(57)【要約】【課題】第１部材の剛性の向上を図ることができる遊技機を提供すること。【解決手段】ベース板６０（第１部材）には、第１入賞部材２７４００の本体部２７４１０（第２部材）の背面に対面される対面部（窪み部２７０６０ｄ）が形成される。即ち、ベース板６０は、第１入賞部材２７４００の本体部２７４１０が配設される位置に貫通形成される開口が対面部により塞がれる（開口に対面部が架設される）。よって、ベース板６０に板厚方向に貫通する開口が形成される場合と比較して、対面部により開口が塞がれる分、ベース板６０の剛性の向上を図ることができる。【選択図】図３１０
2019188259.tif 000002
【特許請求の範囲】
【請求項１】
前面側に遊技領域が形成される第１部材と、その第１部材に着脱可能に配設される第２部材と、その第２部材に配設され少なくとも一部に遊技球が当接可能とされる被当接部材とを備えた遊技機において、
前記第１部材は、その第１部材に配設された前記第２部材の背面に対面される対面部を備えることを特徴とする遊技機。
【請求項２】
前記第１部材の対面部には、凹部が凹設され、前記被当接部材は、前記遊技球が当接される側と反対側であって前記第２部材の背面から突出する部分が前記対面部の凹部に配設されることを特徴とする請求項１記載の遊技機。
【請求項３】
前記被当接部材は、前記遊技球が当接される側と反対側であって前記第２部材の背面から突出する部分が前記対面部の凹部に直接または間接的に当接されていることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、遊技盤（第１部材）と、その遊技盤に締結固定される基部材（第２部材）と、その基部材に植設される釘（被当接部材）とを備えた遊技機が知られている（特許文献１）。
【０００３】
かかる遊技機によれば、基部材を遊技盤に対して着脱できる。即ち、遊技球の当接に伴い、基部材に植設されている釘（被当接部材）に損傷（例えば、折損）が生じた場合には、基部材を交換することで、遊技盤全体の交換を不要とすることができる。
【先行技術文献】
【特許文献】
【０００４】
【特許文献１】特開２００３−３１０９０５号公報
【発明の概要】
【発明が解決しようとする課題】
【０００５】
しかしながら、上述した遊技機では、基部材（第２部材）の外形に対応する開口が遊技盤（第１部材）に貫通形成され、その開口に収容される形で基部材が遊技盤に配設されるため、開口が貫通形成される分、遊技盤の剛性が低下するという問題点があった。
【０００６】
本発明は、上記例示した問題点を解決するためになされたものであり、第１部材の剛性の向上を図ることができる遊技機を提供することを目的とする。
【課題を解決するための手段】
【０００７】
この目的を達成するために請求項１記載の遊技機は、前面側に遊技領域が形成される第１部材と、その第１部材に着脱可能に配設される第２部材と、その第２部材に配設され少なくとも一部に遊技球が当接可能とされる被当接部材とを備えたものであり、前記第１部材は、その第１部材に配設された前記第２部材の背面に対面される対面部を備える。
【０００８】
請求項２記載の遊技機は、請求項１記載の遊技機において、前記第１部材の対面部には、凹部が凹設され、前記被当接部材は、前記遊技球が当接される側と反対側であって前記第２部材の背面から突出する部分が前記対面部の凹部に配設される。
【０００９】
請求項３記載の遊技機は、請求項２記載の遊技機において、前記被当接部材は、前記遊技球が当接される側と反対側であって前記第２部材の背面から突出する部分が前記対面部の凹部に直接または間接的に当接されている。
【発明の効果】
【００１０】
請求項１記載の遊技機によれば、第２部材の背面に対面される対面部を第１部材が備えるので、開口が貫通形成される場合と比較して、対面部により開口が塞がれる分、第１部材の剛性の向上を図ることができる。
【００１１】
請求項２記載の遊技機によれば、請求項１記載の遊技機の奏する効果に加え、製品コストを削減することができる。
【００１２】
ここで、第１部材が対面部を備える場合、その対面部の厚み寸法の分、第２部材の厚み寸法が小さく（薄く）される。そのため、第１部材に配設される被当接部材と同じ長さ寸法の被当接部材を第２部材に配設すると、第２部材の背面から突出する部分（被当接部材の先端）が第１部材の対面部に干渉して、第１部材に第２部材を配設できなくなる。よって、第２部材に配設される被当接部材には、第１部材に配設される被当接部材よりも長さ寸法が小さい（短い）ものを使用することが必要となる。従って、長さ寸法の異なる２種類の被当接部材が必要となる分、部品点数が増加して、製品コストが嵩む。
【００１３】
これに対し、請求項２によれば、請求項１の奏する効果に加え、第１部材の対面部には、凹部が凹設され、被当接部材は、遊技球が当接される側と反対側であって第２部材の背面から突出する部分が遊技盤の凹部に配設されるので、第１部材に配設される被当接部材と同じ長さ寸法の被当接部材を第２部材に配設することができる。これにより、第１部材と第２部材との両者に対して共通の被当接部材を使用することができ、長さ寸法の異なる２種類の被当接部材を準備することを不要とできるので、その分、部品点数を減少でき、製品コストを削減することができる。
【００１４】
また、ここで、第１部材の対面部に凹部が凹設されていない場合には、上述したように、第２部材の背面から被当接部材が突出されていると、その突出する部分（被当接部材の先端）が第１部材の対面部に干渉して、第１部材に第２部材を配設できなくなる。そのため、この場合には、被当接部材を第２部材に打ち込んで配設する際の打ち込み長さの公差を考慮して（即ち、打ち込み長さが目標値よりも大きくなった場合に、被当接部材の先端が第２部材の背面から突出しないように）、被当接部材の打ち込み寸法は、第２部材の厚み寸法よりも小さい（短い）寸法に設定される。よって、その分、第２部材と被当接部材との接触長さが小さく（短く）なり、第２部材による被当接部材の保持力が減少する。
【００１５】
これに対し、請求項２によれば、上述したように、凹部を利用することで、被当接部材の遊技球が当接される側と反対側（被当接部材の先端）を第２部材の背面から突出させる位置まで被当接部材を第２部材に打ち込めるので、第２部材と被当接部材との接触長さを最大として、第２部材による被当接部材の保持力を最大限に確保できる。
【００１６】
請求項３記載の遊技機によれば、請求項２記載の遊技機の奏する効果に加え、被当接部材は、遊技球が当接される側と反対側であって第２部材の背面から突出する部分が対面部の凹部に直接または間接的に当接されるので、第２部材が第１部材から脱落することを抑制できる。
【００１７】
例えば、第１部材への第２部材の配設がねじの締結固定により行われる場合に、ねじの緩みにより締結力が確保できなくなったとしても、被当接部材（第２部材の背面から突出する部分）が凹部に直接または間接的に当接されていることで、被当接部材の凹部への当接を利用して、第２部材が第１部材から脱落することを抑制できる。
【図面の簡単な説明】
【００１８】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】パチンコ機の分解斜視正面図である。
【図６】動作ユニットおよび遊技盤の分解斜視正面図である。
【図７】動作ユニットの正面図である。
【図８】動作ユニットの正面図である。
【図９】動作ユニットの正面図である。
【図１０】動作ユニットの正面図である。
【図１１】遊技盤の分解斜視正面図である。
【図１２】（ａ）は、一般入賞口ユニットの正面図であり、（ｂ）は、図１２（ａ）のＸＩＩｂ−ＸＩＩｂ線における一般入賞口ユニットの断面図である。
【図１３】図２のＸＩＩＩ−ＸＩＩＩ線における遊技盤の断面図である。
【図１４】図１３の範囲ＸＩＶにおける遊技盤の部分拡大断面図である。
【図１５】一般入賞口ユニットの背面図である。
【図１６】図１３の範囲ＸＩＶにおける遊技盤の部分拡大断面図である。
【図１７】センターフレームの分解斜視正面図である。
【図１８】（ａ）は、第１ユニットの正面図であり、（ｂ）は、第１ユニットの側面図であり、（ｃ）は、第１ユニットの背面図である。
【図１９】第１ユニットの分解斜視正面図である。
【図２０】第１ユニットの分解斜視背面図である。
【図２１】図１８（ｂ）のＸＸＩ−ＸＸＩ線における第１ユニットの断面図である。
【図２２】図２１に示す第１ユニットの模式断面図である。
【図２３】図１８（ｂ）のＸＸＩＩＩ−ＸＸＩＩＩ線における第１ユニットの断面図である。
【図２４】（ａ）は、図２１のＸＸＩＶａ−ＸＸＩＶａ線における第１ユニットの断面図であり、（ｂ）は、図２１のＸＸＩＶｂ−ＸＸＩＶｂ線における第１ユニットの断面図であり、（ｃ）は、図２１のＸＸＩＶｃ−ＸＸＩＶｃ線における第１ユニットの断面図である。
【図２５】（ａ）は、図２１の範囲ＸＸＶａにおける第１ユニットの部分拡大図であり、（ｂ）は、図２５（ａ）のＸＸＩＶｂ−ＸＸＩＶｂ線における第１ユニットの断面図である。
【図２６】（ａ）は、図２１の範囲ＸＸＶａにおける第１ユニットの部分拡大図であり、（ｂ）は、図２６（ａ）のＸＸＩＶｂ−ＸＸＩＶｂ線における第１ユニットの断面図である。
【図２７】（ａ）は、図２５（ａ）のＸＸＶＩＩａ−ＸＸＶＩＩａ線における第１ユニットの模式断面図であり、（ｂ）は、図２５（ａ）のＸＸＶＩＩｂ−ＸＸＶＩＩｂ線における第１ユニットの模式断面図であり、（ｃ）は、図２５（ａ）のＸＸＶＩＩｃ−ＸＸＶＩＩｃ線における第１ユニットの模式断面図である。
【図２８】（ａ）は、図２５（ａ）のＸＸＶｂ−ＸＸＶｂ線における第１ユニットの模式断面図であり、（ｂ）は、図２５（ａ）のＸＸＶＩＩＩｂ−ＸＸＶＩＩＩｂ線における第１ユニットの模式断面図である。
【図２９】（ａ）は、第２ユニットの正面図であり、（ｂ）は、第２ユニットの背面図である。
【図３０】第２ユニットの分解斜視正面図である。
【図３１】第２ユニットの分解斜視背面図である。
【図３２】図２９のＸＸＸＩＩ−ＸＸＸＩＩ線における第２ユニットの断面図である。
【図３３】（ａ）は、センターフレームの正面図であり、（ｂ）は、センターフレームの側面図である。
【図３４】（ａ）は、センターフレームの斜視正面図であり、（ｂ）は、センターフレームの斜視背面図である。
【図３５】センターフレームの分解斜視背面図である。
【図３６】図３３のＸＸＸＶＩ−ＸＸＸＶＩ線におけるセンターフレームの断面図である。
【図３７】（ａ）は、遊技盤の模式断面図であり、（ｂ）は、遊技盤の模式分解断面図である。
【図３８】（ａ）は、背面ケースの正面図であり、（ｂ）は、背面ケースの背面図である。
【図３９】（ａ）は、背面ケースの分解斜視正面図であり、（ｂ）は、背面ケースの分解斜視背面図である。
【図４０】（ａ）は、背面ケースの正面図であり、（ｂ）は、背面ケースの背面図である。
【図４１】（ａ）は、背面ケースの正面図であり、（ｂ）は、背面ケースの背面図である。
【図４２】（ａ）は、背面ケースおよび基板ボックスの斜視背面図であり、（ｂ）は、背面ケースおよび基板ボックスの背面図である。
【図４３】下変位ユニットの正面図である。
【図４４】下変位ユニットの背面図である。
【図４５】下変位ユニットの分解斜視正面図である。
【図４６】下変位ユニットの分解斜視背面図である。
【図４７】退避状態における下変位ユニットの正面図である。
【図４８】第１張出状態における下変位ユニットの正面図である。
【図４９】第２張出状態における下変位ユニットの正面図である。
【図５０】退避状態における下変位ユニットの背面図である。
【図５１】第１張出状態における下変位ユニットの背面図である。
【図５２】第２張出状態における下変位ユニットの背面図である。
【図５３】（ａ）は退避状態における、（ｂ）は第１張出状態における、（ｃ）は第２張出状態における、第１リンク部材とカム部材との背面図である。
【図５４】図５０のＬＩＶａ−ＬＩＶａ線における下変位ユニットの断面模式図であり、（ｂ）は、図５１のＬＩＶｂ−ＬＩＶｂ線における下変位ユニットの断面模式図である。
【図５５】（ａ）は、図５０のＬＶａ−ＬＶａ線における下変位ユニットの断面図であり、（ｂ）は、図５１のＬＶｂ−ＬＶｂ線における下変位ユニットの断面図であり、（ｃ）は、図５２のＬＶｃ−ＬＶｃ線における下変位ユニットの断面図である。
【図５６】（ａ）は、図５２のＬＶＩａ−ＬＶＩａ線における下変位ユニットの断面図であり、（ｂ）は、第２張出状態における下変位ユニットの第１リンク部材およびカム部材の正面図である。
【図５７】（ａ）は、下変位部材の正面図であり、（ｂ）は、下変位部材の背面図である。
【図５８】下変位部材の分解斜視正面図である。
【図５９】下変位部材の分解斜視背面図である。
【図６０】（ａ）及び（ｂ）は、下変位部材の正面図である。
【図６１】第１位置における下変位部材の正面図である。
【図６２】第２位置における下変位部材の正面図である。
【図６３】第３位置における下変位部材の正面図である。
【図６４】（ａ）から（ｃ）は、下変位部材の部分拡大図である。
【図６５】（ａ）から（ｃ）は、下変位部材の正面図である。
【図６６】（ａ）から（ｃ）は、下変位部材の正面図である。
【図６７】（ａ）から（ｃ）は、下変位部材の正面図である。
【図６８】（ａ）から（ｃ）は、下変位部材の正面図である。
【図６９】（ａ）は、図６８（ｂ）の範囲ＬＸＩＸａにおける下変位部材の部分拡大図であり、（ｂ）は、図６８（ａ）の範囲ＬＸＩＸｂにおける下変位部材の部分拡大図である。
【図７０】（ａ）は、振分けユニットの上面図であり、（ｂ）は、振分けユニットの背面図である。
【図７１】振分けユニットの分解正面斜視図である。
【図７２】振分けユニットの分解背面斜視図である。
【図７３】図７０（ａ）のＬＸＸＩＩＩ−ＬＸＸＩＩＩ線における振分けユニットの断面図である。
【図７４】（ａ）及び（ｂ）は、図７３の範囲ＬＸＸＩＶにおける振分けユニットの部分拡大図である。
【図７５】（ａ）及び（ｂ）は、振分けユニットの部分拡大図である。
【図７６】（ａ）及び（ｂ）は、振分けユニットの部分拡大図である。
【図７７】（ａ）及び（ｂ）は、振分けユニットの部分拡大図である。
【図７８】（ａ）及び（ｂ）は、振分けユニットの部分拡大図である。
【図７９】振分けユニットおよび下変位ユニットの正面図である。
【図８０】振分けユニットおよび下変位ユニットの上面図である。
【図８１】下変位ユニットの正面図である。
【図８２】振分けユニットの断面図である。
【図８３】下変位ユニットの正面図である。
【図８４】振分けユニットの断面図である。
【図８５】下変位ユニットの正面図である。
【図８６】振分けユニットの断面図である。
【図８７】回転ユニットの正面図である。
【図８８】回転ユニットの背面図である。
【図８９】回転ユニットの分解斜視正面図である。
【図９０】回転ユニットの分解背面斜視図である。
【図９１】装飾ユニットの正面図である。
【図９２】（ａ）は、図９１の矢印ＸＣＩＩａ方向視における装飾ユニットの側面図であり、（ｂ）は、図９１の矢印ＸＣＩＩｂ方向視における装飾ユニットの側面図である。
【図９３】装飾ユニットの分解斜視正面図である。
【図９４】装飾ユニットの分解斜視背面図である。
【図９５】図８９の矢印ＸＣＶａ方向視における回転ユニットであり、（ｂ）は、図８９の矢印ＸＣＶｂにおける回転ユニットである。
【図９６】図８９の矢印ＸＣＶａ方向視における回転ユニットであり、（ｂ）は、図８９の矢印ＸＣＶｂにおける回転ユニットである。
【図９７】（ａ）は閉鎖状態の、（ｂ）は中間状態の、（ｃ）は開放状態の、それぞれにおける装飾ユニットおよび右伝達部材の側面図である。
【図９８】（ａ）は開放状態の、（ｂ）は中間状態の、（ｃ）は閉鎖状態の、それぞれにおける装飾ユニットおよび右伝達部材の側面図である。
【図９９】（ａ）は閉鎖状態における装飾ユニットの側面図であり、（ｂ）は開放状態における装飾ユニットの側面図である。
【図１００】（ａ）は、回転体の正面図であり、（ｂ）は、図１００（ａ）の矢印Ｃｂ方向視における回転体の側面図であり、（ｃ）は、図１００（ａ）の矢印Ｃｃ方向視における回転体の側面図である。
【図１０１】回転体の分解斜視正面図である。
【図１０２】回転体の分解斜視背面図である。
【図１０３】（ａ）は、開閉部材が閉鎖状態における回転体の側面図であり、（ｂ）は、開閉部材が開放状態における回転体の側面図である。
【図１０４】（ａ）及び（ｂ）は、装飾ユニットの側面図である。
【図１０５】下変位ユニットおよび回転ユニットの正面図である。
【図１０６】図１０５の矢印ＣＶＩ方向視における下変位ユニットの上面図である。
【図１０７】下変位ユニットおよび回転ユニットの正面図である。
【図１０８】（ａ）は、球受台の上面図であり、（ｂ）は、球受台の正面図であり、（ｃ）は、図１０８（ａ）のＣＶＩＩＩｃ−ＣＶＩＩＩｃ線における球受台の断面図である。
【図１０９】球受台の分解斜視図である。
【図１１０】（ａ）及び（ｂ）は、球受台の断面図である。
【図１１１】（ａ）及び（ｂ）は、図８７のＣＸＩ−ＣＸＩ線における回転ユニットの断面模式図である。
【図１１２】上変位ユニットの正面図である。
【図１１３】上変位ユニットの分解斜視正面図である。
【図１１４】上変位ユニットの分解斜視背面図である。
【図１１５】上変位部材が退避位置に配置された状態における上変位ユニットの正面図である。
【図１１６】上変位部材が中間位置に配置された状態における上変位ユニットの正面図である。
【図１１７】上変位部材が張出位置に配置された状態における上変位ユニットの正面図である。
【図１１８】（ａ）は、可変部の正面図であり、（ｂ）は、可変部の背面図である。
【図１１９】第２実施形態における下変位部材の分解斜視正面図である。
【図１２０】下変位部材の正面図である。
【図１２１】第３位置における下変位部材の正面図である。
【図１２２】（ａ）は、第３実施形態における下変位部材の正面図であり、（ｂ）は、下変位部材の背面図である。
【図１２３】下変位部材の分解斜視正面図である。
【図１２４】下変位部材の分解斜視背面図である。
【図１２５】（ａ）及び（ｂ）は、下変位部材の正面図である。
【図１２６】（ａ）は、第１位置における下変位部材の正面図であり、（ｂ）は、第２位置における下変位部材の正面図である。
【図１２７】（ａ）は、第３位置における下変位部材の正面図であり、（ｂ）は、第２位置における下変位部材の正面図である。
【図１２８】第４実施形態における下変位ユニットの正面図である。
【図１２９】下変位ユニットの正面図である。
【図１３０】下変位ユニットの正面図である。
【図１３１】（ａ）は、第５実施形態における振分けユニットの上面図であり、（ｂ）は、振分けユニットの背面図である。
【図１３２】振分けユニットの分解斜視正面図である。
【図１３３】振分けユニットの分解斜視背面図である。
【図１３４】図１３１（ａ）のＣＸＸＸＩＶ−ＣＸＸＸＩＶ線における振分けユニットの断面図である。
【図１３５】（ａ）及び（ｂ）は、図１３４の範囲ＣＸＸＸＶにおける振分けユニットの部分拡大図である。
【図１３６】第６実施形態における回転ユニットの正面図である。
【図１３７】回転ユニットの分解斜視正面図である。
【図１３８】振分けユニットの分解斜視背面図である。
【図１３９】（ａ）から（ｃ）は、図１３８の矢印ＣＸＸＸＩＸ方向視における装飾ユニットの側面図である。
【図１４０】（ａ）から（ｃ）は、図１３８の矢印ＣＸＸＸＩＸ方向視における装飾ユニットの側面図である。
【図１４１】第７実施形態における変位ユニットの側面模式図である。
【図１４２】変位ユニットの側面模式図である。
【図１４３】変位部材に遊技球が保持された場合における変位ユニットの側面模式図である。
【図１４４】変位部材に遊技球が保持された場合における変位ユニットの側面模式図である。
【図１４５】第８実施形態におけるパチンコ機の正面図である。
【図１４６】回転操作ユニットの分解斜視正面図である。
【図１４７】図１４５のＣＸＬＶＩＩ−ＣＸＬＶＩＩ線におけるパチンコ機の断面模式図である。
【図１４８】パチンコ機の断面模式図である。
【図１４９】第９実施形態における第１リンク部材の斜視正面図であり、（ｂ）は、下変位ユニットの断面模式図である。
【図１５０】第１０実施形態における遊技盤の断面図である。
【図１５１】第１１実施形態における下変位部材の分解斜視正面図である。
【図１５２】（ａ）及び（ｂ）は、下変位部材の正面図である。
【図１５３】（ａ）は、下変位部材の正面図であり、（ｂ）は、図１５３（ａ）のＣＬＩＩＩｂ−ＣＬＩＩＩｂ線における下変位部材の断面模式図であり、（ｃ）は、図１５３（ａ）のＣＬＩＩＩｃ−ＣＬＩＩＩｃ線における下変位部材の断面模式図である。
【図１５４】（ａ）は、第１２実施形態における球受部の分解斜視正面図であり、（ｂ）は、球受部の正面図である。
【図１５５】（ａ）及び（ｂ）は、下変位部材の正面図であり、（ｃ）は、図１５５（ｂ）のＣＬＶｃ−ＣＬＶｃ線における下変位部材の断面模式図である。
【図１５６】（ａ）は、第１３実施形態における特別入賞装置の正面図であり、（ｂ）は、特別入賞装置の斜視正面図であり、（ｃ）は、図１５６（ａ）のＣＬＶＩｃ−ＣＬＶＩｃ線における特別入賞装置の断面図である。
【図１５７】特別入賞装置の分解斜視正面図である。
【図１５８】（ａ）は、特別入賞装置の上面図であり、（ｂ）は、図１５８（ａ）のＣＬＶＩＩＩｂ−ＣＬＶＩＩＩｂ線における特別入賞装置の断面図である。
【図１５９】（ａ）は、第１４実施形態における背面ケースの背面図であり、（ｂ）は、図１５９（ａ）のＣＬＩＸｂ−ＣＬＩＸｂ線における背面ケースの模式断面図である。
【図１６０】（ａ）は、第１５実施形態における背面ケースの模式断面図であり、（ｂ）は、第１６実施形態における背面ケースの模式断面図である。
【図１６１】（ａ）は、第１７実施形態における背面ケースの背面図であり、（ｂ）は、図１６１（ａ）のＣＬＸＩｂ−ＣＬＸＩｂ線における背面ケースの断面図である。
【図１６２】（ａ）は、第１８実施形態における背面ケースの正面図であり、（ｂ）は、背面ケースの背面図である。
【図１６３】（ａ）は、背面ケースの正面図であり、（ｂ）は、背面ケースの背面図である。
【図１６４】（ａ）は、遊技盤の模式上面図であり、（ｂ）は、パチンコ機１０の模式上面図である。
【図１６５】第１９実施形態における係合部材の分解斜視正面図である。
【図１６６】（ａ）は、背面ケースの正面図であり、（ｂ）は、図１６５のＣＬＸＶＩｂ−ＣＬＸＶＩｂ線におけるワンウェイの断面図である。
【図１６７】第２０実施形態における背面ケースおよび回転ユニットの分解斜視図である。
【図１６８】（ａ）は、係合部材の正面図であり、（ｂ）は、回転ユニット及び係合部材の背面図である。
【図１６９】（ａ）は、回転ユニットおよび係合部材の背面図であり、（ｂ）は、背面ケース２０３００の背面図である。
【図１７０】図１７０は、第２１実施形態における背面ケースおよび回転ユニットの分解斜視図である。
【図１７１】（ａ）は、回転ユニットおよび係合部材の背面図であり、（ｂ）は、図１７１（ａ）のＣＬＸＸＩｂ−ＣＬＸＸＩｂ線における回転ユニットの模式断面図である。
【図１７２】（ａ）は、回転ユニットおよび係合部材の背面図であり、（ｂ）は、背面ケース及び回転ユニットの模式断面図である。
【図１７３】（ａ）は、回転ユニットおよび係合部材の背面図であり、（ｂ）は、背面ケース及び回転ユニットの模式断面図である。
【図１７４】係合部材および固定部材の斜視正面図である。
【図１７５】（ａ）及び（ｂ）は、背面ケースの正面図である。
【図１７６】（ａ）は、図１７５（ｂ）のＣＬＸＸＶＩａ−ＣＬＸＸＶＩａ線における背面ケースの模式断面図である。
【図１７７】第２４実施形態における背面ケースの正面図であり、図１７７（ｂ）は、図１７７（ａ）のＣＬＸＸＶＩＩｂ−ＣＬＸＸＶＩＩｂ線における背面ケースの断面図である。
【図１７８】図１７７（ｂ）のＣＬＸＸＶＩＩＩ−ＣＬＸＸＶＩＩＩ線における背面ケースの断面図である。
【図１７９】（ａ）及び（ｂ）は、第２５実施形態における遊技盤の断面図である。
【図１８０】（ａ）及び（ｂ）は、第２６実施形態における遊技盤の断面図である。
【図１８１】（ａ）及び（ｂ）は、第２７実施形態における遊技盤の断面図である。
【図１８２】（ａ）は、第２８実施形態における遊技盤の断面図であり、（ｂ）は、第２９実施形態における遊技盤の断面図である。
【図１８３】（ａ）は、第３０実施形態における一般入賞口ユニットの断面図であり、（ｂ）は、第３１実施形態における一般入賞口ユニットの断面図である。
【図１８４】第３２実施形態における特別入賞装置の分解斜視正面図である。
【図１８５】（ａ）は、特別入賞装置の正面図であり、（ｂ）は、特別入賞装置の上面図であり、（ｃ）は、図１８５（ａ）のＣＬＸＸＸＶｃ−ＣＬＸＸＸＶｃ線における特別入賞装置の断面図である。
【図１８６】（ａ）は、特別入賞装置の断面図であり、（ｂ）は、図１８６（ａ）のＣＬＸＸＸＶＩｂ−ＣＬＸＸＸＶＩｂ線における特別入賞装置の断面図である。
【図１８７】（ａ）は、第３３実施形態における第１経路部材の分解斜視正面図であり、（ｂ）は、特別入賞装置の断面図である。
【図１８８】（ａ）は、第３４実施形態における遊技盤の正面図であり、（ｂ）は、図１８８（ａ）のＣＬＸＸＸＶＩＩＩｂ−ＣＬＸＸＸＶＩＩＩｂ線における遊技盤の断面図である。
【図１８９】遊技盤の分解斜視正面図である。
【図１９０】図１８８のＣＸＣ−ＣＸＣ線におけるパチンコ機の断面図である。
【図１９１】（ａ）は、第３５実施形態における遊技盤の正面図であり、（ｂ）は、（ａ）のＣＸＣＩｂ−ＣＸＣＩｂ線における遊技盤の断面図である。
【図１９２】特別入賞装置の分解斜視図である。
【図１９３】（ａ）から（ｃ）は、図１９１（ｂ）のＣＸＣＩＩＩ−ＣＸＣＩＩＩ線における遊技盤１３の断面図である。
【図１９４】（ａ）は、第３６実施形態における遊技盤を模式的に示した分解斜視正面図であり、（ｂ）は、遊技盤の断面模式図である。
【図１９５】（ａ）は、第３７実施形態における遊技盤を模式的に示した分解斜視正面図であり、（ｂ）は、遊技盤の断面模式図である。
【図１９６】第３８実施形態における下変位部材の分解斜視正面図である。
【図１９７】（ａ）は、下変位部材の正面図であり、（ｂ）は、図１９７（ａ）のＣＸＣＶＩＩｂ−ＣＸＣＶＩＩｂ線における下変位部材の断面図であり、（ｃ）は、図１９７（ａ）のＣＸＣＶＩＩｃ−ＣＸＣＶＩＩｃ線における下変位部材の断面図である。
【図１９８】第３９実施形態における下変位部材の分解斜視背面図である。
【図１９９】（ａ）は、下変位部材の正面図であり、図１９９（ｂ）及び図１９９（ｃ）は、下変位部材の断面図である。
【図２００】（ａ）は、第４０実施形態における第１ユニットの模式断面図であり、図２００（ｂ）は、図２００（ａ）のＣＣｂ−ＣＣｂ線における第１ユニットの模式断面図である。
【図２０１】（ａ）は、第４１実施形態における第１ユニットの模式断面図であり、（ｂ）は、図２０１（ａ）のＣＣＩｂ−ＣＣＩｂ線における第１ユニットの模式断面図である。
【図２０２】（ａ）は、図２０１（ａ）のＣＣＩＩａ−ＣＣＩＩａ線における第１ユニットの模式断面図であり、（ｂ）は、図２０１（ａ）のＣＣＩＩｂ−ＣＣＩＩｂ線における第１ユニットの模式断面図である。
【図２０３】第４２実施形態における背面ケースの分解斜視正面図である。
【図２０４】（ａ）は、背面ケースの正面図であり、（ｂ）は、図２０４（ａ）のＣＣＩＶｂ−ＣＣＩＶｂ線における背面ケースの模式断面図である。
【図２０５】（ａ）は、背面ケースの正面図であり（ｂ）は、図２０５（ａ）のＣＣＶｂ−ＣＣＶｂ線における背面ケースの模式断面図である。
【図２０６】（ａ）は、遊技盤の背面図であり、（ｂ）は、図２０６（ａ）のＣＣＶＩｂ−ＣＣＶＩｂ線における遊技盤の断面図である。
【図２０７】第４３実施形態における背面ケースの分解斜視正面図である。
【図２０８】（ａ）は、背面ケースの正面図であり、（ｂ）は、背面ケースの背面図である。
【図２０９】（ａ）は、図２０８（ｂ）のＣＣＩＸａ−ＣＣＩＸａ線における背面ケースの断面図であり、（ｂ）は、図２０９（ａ）におけるＣＣＩＸｂ−ＣＣＩＸｂ線における背面ケースの断面図である。
【図２１０】（ａ）及び（ｂ）は、背面ケースの断面図である。
【図２１１】（ａ）及び（ｂ）は、背面ケースの断面図である。
【図２１２】第４４実施形態における背面ケースの分解斜視正面図である。
【図２１３】（ａ）は、背面ケースの正面図であり、（ｂ）は、図２１３（ａ）のＣＣＸＩＩＩｂ−ＣＣＸＩＩＩｂ線における背面ケースの断面図である。
【図２１４】（ａ）から（ｃ）は、背面ケースの断面図である。
【図２１５】第４５実施形態における背面ケースの分解斜視正面図である。
【図２１６】（ａ）は、背面ケースの正面図であり、（ｂ）は、背面ケースの背面図である。
【図２１７】（ａ）は、背面ケースの正面図であり、（ｂ）は、背面ケースの背面図である。
【図２１８】第４６実施形態における遊技盤の断面図である。
【図２１９】（ａ）は、第４７実施形態における遊技盤の部分拡大正面図であり、（ｂ）は、図２１９（ａ）のＣＣＸＩＸｂ―ＣＣＸＩＸｂ線における遊技盤の模式断面図である。
【図２２０】（ａ）は、第４８実施形態における遊技盤の正面図であり、（ｂ）は、図２２０（ａ）のＣＣＸＸｂ−ＣＣＸＸｂ線における遊技盤の断面図である。
【図２２１】（ａ）は、第２経路部材の斜視正面図であり、（ｂ）は、図２２０（ｂ）のＣＣＸＸＩｂ−ＣＣＸＸＩｂ線における特別入賞装置の断面図である。
【図２２２】（ａ）は、第４９実施形態における遊技盤の正面図であり、（ｂ）は、図２２２（ａ）のＣＣＸＸＩＩｂ−ＣＣＸＸＩＩｂ線における遊技盤の断面図である。
【図２２３】特別入賞装置の分解斜視図である。
【図２２４】（ａ）から（ｃ）は、図２２２（ｂ）のＣＣＸＸＩＶ−ＣＣＸＸＩＶ線における遊技盤の断面図である。
【図２２５】（ａ）は、第５０実施形態における特別入賞装置の正面図であり、（ｂ）は、図２２４（ａ）のＣＣＸＸＶｂ−ＣＣＸＸＶｂ線における特別入賞装置の断面図である。
【図２２６】（ａ）は、特別入賞装置の分解斜視正面図であり、（ｂ）は、特別入賞装置の分解斜視背面図である。
【図２２７】（ａ）は、第５１実施形態における特別入賞装置の正面図であり、（ｂ）は、図２２７（ａ）のＣＣＸＸＶＩＩｂ−ＣＣＸＸＶＩＩｂ線における特別入賞装置の断面図である。
【図２２８】第５２実施形態における第１ユニットの断面図である。
【図２２９】（ａ）は、図２２８のＣＣＸＸＩＸａ−ＣＣＸＸＩＸａ線における第１ユニットの断面図であり、（ｂ）は、図２２８のＣＣＸＸＩＸｂ−ＣＣＸＸＩＸｂ線における第１ユニットの断面図である。
【図２３０】第５３実施形態における第１ユニットの断面図である。
【図２３１】（ａ）は、図２３０のＣＣＸＸＸＩａ−ＣＣＸＸＸＩａ線における第１ユニットの断面模式図であり、図２３１（ｂ）は、図２３０のＣＣＸＸＸＩｂ−ＣＣＸＸＸＩｂ線における第１ユニットの断面模式図であり、図２３１（ｃ）は、図２３０のＣＣＸＸＸＩｃ−ＣＣＸＸＸＩｃ線における第１ユニットの断面模式図である。
【図２３２】第５４実施形態における第１ユニットの分解斜視正面図である。
【図２３３】第１ユニットの断面模式図である。
【図２３４】（ａ）から図２３４（ｃ）は、第１ユニットの部分拡大断面模式図である。
【図２３５】（ａ）及び（ｂ）は、第１ユニットの部分拡大断面模式図である。
【図２３６】第５５実施形態における第１ユニットの断面模式図である。
【図２３７】第５６実施形態における特別入賞装置の断面模式図である。
【図２３８】（ａ）から（ｃ）は、特別入賞装置の断面模式図である。
【図２３９】（ａ）から（ｃ）は、第５７実施形態における下変位ユニットの正面模式図である。
【図２４０】（ａ）から（ｃ）は、第１リンク部材およびカム部材の背面図である。
【図２４１】（ａ）から（ｃ）は、第１リンク部材およびカム部材の正面図である。
【図２４２】（ａ）は、第１リンク部材の斜視正面図であり、（ｂ）は、カム部材の斜視背面図であり、（ｃ）は、図２４０（ａ）のＣＣＸＬＩＩｃ−ＣＣＸＬＩＩｃ線における下変位ユニットの断面図である。
【図２４３】（ａ）から（ｃ）は、第５８実施形態における第１リンク部材およびカム部材の背面図である。
【図２４４】図２４４（ａ）から図２４４（ｃ）は、第１リンク部材およびカム部材の正面図である。
【図２４５】第５９実施形態における下変位部材の正面図である。
【図２４６】（ａ）は、球受部の分解斜視正面図であり、（ｂ）は、球受部の正面図である。
【図２４７】（ａ）から（ｃ）は、下変位ユニットの拡大正面図である。
【図２４８】（ａ）及び（ｂ）は、下変位部材の正面図である。
【図２４９】（ａ）は、図２４８（ａ）のＣＣＸＬＩＸａ−ＣＣＸＬＩＸａ線における下変位部材の断面図であり、（ｂ）は、図２４８（ｂ）のＣＣＸＬＩＸｂ−ＣＣＸＬＩＸｂ線における下変位部材の断面図である。
【図２５０】第６０実施形態におけるパチンコ機の正面図である。
【図２５１】パチンコ機の遊技盤の正面図である。
【図２５２】パチンコ機の背面図である。
【図２５３】パチンコ機の電気的構成を示すブロック図である。
【図２５４】遊技盤の分解斜視正面図である。
【図２５５】（ａ）は、入賞口ユニットの正面図であり、（ｂ）は、入賞口ユニットの背面図である。
【図２５６】（ａ）は、入賞口ユニットの側面図であり、（ｂ）は、図２５５（ａ）のＣＣＬＶＩｂ−ＣＣＬＶＩｂ線における入賞口ユニットの断面図である。
【図２５７】（ａ）は、入賞口ユニットの斜視正面図であり、（ｂ）は、入賞口ユニットの斜視背面図である。
【図２５８】第６１実施形態におけるパチンコ機の正面図である。
【図２５９】パチンコ機の分解斜視正面図である。
【図２６０】（ａ）は、入賞口ユニットの正面図であり、（ｂ）は、図２６０（ａ）のＣＣＬＸｂ−ＣＣＬＸｂ線における入賞口ユニットの断面図であり、（ｃ）は、図２６０（ａ）のＣＣＬＸｃ−ＣＣＬＸｃ線における入賞口ユニットの断面図である。
【図２６１】入賞口ユニットの分解斜視正面図である。
【図２６２】入賞口ユニットの分解斜視背面図である。
【図２６３】（ａ）は、遊技盤の正面図であり、（ｂ）は、図２６３（ａ）のＣＣＬＸＩＩＩｂ−ＣＣＬＸＩＩＩｂ線における遊技盤の断面図であり、（ｃ）は、図２６３（ａ）のＣＣＬＸＩＩＩｃ−ＣＣＬＸＩＩＩｃ線における遊技盤の断面図である。
【図２６４】（ａ）は、遊技盤の正面図であり、（ｂ）は、図２６４（ａ）のＣＣＬＸＩＶｂ−ＣＣＬＸＩＶｂ線における遊技盤の断面図であり、（ｃ）は、図２６４（ａ）のＣＣＬＸＩＶｃ−ＣＣＬＸＩＶｃ線における遊技盤の断面図である。
【図２６５】（ａ）は、第６２実施形態における遊技盤の正面図であり、（ｂ）は、図２６５（ａ）のＣＣＬＸＶｂ−ＣＣＬＸＶｂ線における遊技盤の断面図である。
【図２６６】遊技盤の斜視正面図である。
【図２６７】遊技盤の分解斜視正面図である。
【図２６８】（ａ）は、第６３実施形態における遊技盤の正面図であり、（ｂ）は、図２６８（ａ）のＣＣＬＸＶＩＩＩｂ−ＣＣＬＸＶＩＩＩｂ線における遊技盤の断面図である。
【図２６９】遊技盤の分解斜視正面図である。
【図２７０】（ａ）は、第６４実施形態における遊技盤の正面図であり、（ｂ）は、図２７０（ａ）のＣＣＬＸＸｂ−ＣＣＬＸＸｂ線における遊技盤の断面図である。
【図２７１】遊技盤の分解斜視正面図である。
【図２７２】（ａ）は、第６５実施形態における遊技盤の正面図であり、（ｂ）は、図２７２（ａ）のＣＣＬＸＸＩＩｂ−ＣＣＬＸＸＩＩｂ線における遊技盤の断面図である。
【図２７３】遊技盤の分解斜視正面図である。
【図２７４】（ａ）は、第６６実施形態における遊技盤の正面図であり、（ｂ）は、図２７４（ａ）のＣＣＬＸＸＩＶｂ−ＣＣＬＸＸＩＶｂ線における遊技盤の断面図である。
【図２７５】遊技盤の分解斜視正面図である。
【図２７６】（ａ）は、第６７実施形態における遊技盤の断面図である。（ｂ）は、第６８実施形態における遊技盤の断面図である。
【図２７７】第６９実施形態における第１入賞部材の背面斜視図であり、（ｂ）は、第１入賞部材およびベース板の分解斜視正面図である。
【図２７８】（ａ）は、遊技盤の正面図であり、（ｂ）は、図２７８（ａ）のＣＣＬＸＸＶＩＩＩｂ−ＣＣＬＸＸＶＩＩＩｂ線における遊技盤の断面図である。
【図２７９】（ａ）は、第７０実施形態における第１入賞部材およびベース板の分解斜視正面図であり、（ｂ）は、第１入賞部材およびベース板の断面図である。
【図２８０】（ａ）は、第７１実施形態における第１入賞部材の分解斜視正面図であり、（ｂ）は、図２８０（ａ）の第１入賞部材の分解上面図である。
【図２８１】（ａ）は、第１入賞部材の上面図であり、（ｂ）は、図２８１（ａ）の範囲ＣＣＬＸＸＸＩｂにおける第１入賞部材の部分拡大上面図である。
【図２８２】（ａ）は、第７２実施形態における遊技盤の断面図であり、（ｂ）は、図２８２（ａ）のＣＣＬＸＸＸＩＩｂ−ＣＣＬＸＸＸＩＩｂ線における遊技盤の断面図である。
【図２８３】遊技盤の分解斜視正面図である。
【図２８４】第７３実施形態における遊技盤及び通路形成部材の分解斜視正面図である。
【図２８５】（ａ）及び（ｂ）は、遊技盤および通路形成部材の断面図である。
【図２８６】（ａ）は、第７４実施形態における第１入賞部材の斜視正面図であり、（ｂ）は、遊技盤の断面図である。
【図２８７】（ａ）及び（ｂ）は、第７５実施形態における遊技盤および前面枠の断面図である。
【図２８８】第７６実施形態における遊技盤の分解斜視正面図である。
【図２８９】（ａ）は、遊技盤の正面図であり、（ｂ）は、図２８９（ａ）のＣＣＬＸＸＸＩＸｂ−ＣＣＬＸＸＸＩＸｂ線における遊技盤の断面図である。
【図２９０】（ａ）は、第７７実施形態における遊技盤の正面図であり、（ｂ）は、図２９０（ａ）のＣＣＸＣｂ−ＣＣＸＣｂ線における遊技盤の断面図である。
【図２９１】遊技盤の分解斜視正面図である。
【図２９２】（ａ）から（ｃ）は、遊技盤の断面図である。
【図２９３】第７８実施形態における遊技盤の分解斜視正面図である。
【図２９４】（ａ）は、遊技盤の正面図であり、（ｂ）は、図２９４（ａ）のＣＣＸＣＩＶｂ−ＣＣＸＣＩＶｂ線における遊技盤の断面図である。
【図２９５】（ａ）は、遊技盤の正面図であり、（ｂ）は、図２９５（ａ）のＣＣＸＣＶｂ−ＣＣＸＣＶｂ線における遊技盤の断面図である。
【図２９６】（ａ）は、第７９実施形態における遊技盤の正面図であり、（ｂ）は、図２９６（ａ）のＣＣＸＣＶＩｂ−ＣＣＸＣＶＩｂ線における遊技盤の断面図である。
【図２９７】遊技盤の分解斜視正面図である。
【図２９８】（ａ）は、第８０実施形態における遊技盤の正面図であり、（ｂ）は、図２９８（ａ）のＣＣＸＣＶＩＩＩｂ−ＣＣＸＣＶＩＩＩｂ線における遊技盤の断面図である。
【図２９９】（ａ）及び（ｂ）は、図２９８（ａ）のＣＣＸＣＩＸｂ−ＣＣＸＣＩＸｂ線における遊技盤の断面図である。
【図３００】（ａ）は、第８１実施形態における入賞口ユニットの分解斜視図であり、（ｂ）は、遊技盤の正面図である。
【図３０１】（ａ）は、図３００（ｂ）のＣＣＣＩａ−ＣＣＣＩａ線における遊技盤の断面図であり、（ｂ）は、図３００（ａ）のＣＣＣＩｂ−ＣＣＣＩｂ線における遊技盤の断面図である。
【図３０２】（ａ）は、第８２実施形態における第１入賞部材の斜視正面図であり、（ｂ）は、遊技盤の正面図である。
【図３０３】（ａ）及び（ｂ）は、図３０２（ａ）のＣＣＣＩＩＩａ−ＣＣＣＩＩＩａ線における遊技盤の断面図である。
【図３０４】第８３実施形態における第１入賞部材について説明する。
【図３０５】第８４実施形態における第１入賞部材のベース板への締結方向について説明する。
【図３０６】（ａ）は、遊技盤の正面図であり、（ｂ）及び（ｃ）は、図３０６（ａ）のＣＣＣＶＩ−ＣＣＣＶＩ線における遊技盤の断面図である。
【図３０７】第８５実施形態における遊技盤の分解斜視正面図である。
【図３０８】（ａ）及び（ｂ）は、遊技盤の断面図である。
【図３０９】第８６実施形態における遊技盤の正面図である。
【図３１０】遊技盤の分解正面斜視図である。
【図３１１】ベース板及び入賞口ユニットの正面斜視図である。
【図３１２】ベース板及び入賞口ユニットの分解正面斜視図である。
【図３１３】（ａ）は、ベース板及び入賞口ユニットの正面図であり、（ｂ）は、図３１３（ａ）のＣＣＣＸＩＩＩｂ−ＣＣＣＸＩＩＩｂ線におけるベース板及び入賞口ユニットの断面図である。
【図３１４】（ａ）は、第１入賞部材の正面斜視図であり、（ｂ）は、第１入賞部材の正面図であり、（ｃ）は、第１入賞部材の側面図である。
【図３１５】（ａ）は、窪み部及び貫通穴の正面斜視図であり、（ｂ）は、窪み部及び貫通穴の正面図であり、（ｃ）は、図３１５（ｂ）のＣＣＣＸＶｃ−ＣＣＣＸＶｃ線における窪み部及び貫通穴の断面図である。
【図３１６】（ａ）は、第２入賞部材の正面斜視図であり、（ｂ）は、第２入賞部材の正面図であり、（ｃ）は、第２入賞部材の上面図である。
【図３１７】（ａ）は、窪み部（ベース板）に第１入賞部材が取り付けられた状態の正面図であり、（ｂ）は、図３１７（ａ）のＣＣＣＸＶＩＩｂ−ＣＣＣＸＶＩＩｂ線におけるベース板及び第１入賞部材の断面図である。
【図３１８】第８７実施形態におけるベース板及び入賞口ユニットの正面斜視図である。
【図３１９】ベース板及び入賞口ユニットの分解正面斜視図である。
【図３２０】（ａ）は、ベース板及び入賞口ユニットの正面図であり、（ｂ）は、図３２０（ａ）のＣＣＣＸＸｂ−ＣＣＣＸＸｂ線におけるベース板及び入賞口ユニットの断面図である。
【図３２１】（ａ）は、第１入賞部材の正面斜視図であり、（ｂ）は、第１入賞部材の正面図であり、（ｃ）は、第１入賞部材の上面図であり、（ｄ）は、第１入賞部材の側面図である。
【図３２２】（ａ）は、窪み部の正面斜視図であり、（ｂ）は、窪み部の正面図であり、（ｃ）は、図３２２（ｂ）のＣＣＣＸＸＩＩｃ−ＣＣＣＸＸＩＩｃ線における窪み部の断面図である。
【図３２３】第８８実施形態におけるベース板及び入賞口ユニットの正面斜視図である。
【図３２４】ベース板及び入賞口ユニットの分解正面斜視図である。
【図３２５】（ａ）は、ベース板及び入賞口ユニットの正面図であり、（ｂ）は、図３２５（ａ）のＣＣＣＸＸＶｂ−ＣＣＣＸＸＶｂ線におけるベース板及び入賞口ユニットの断面図である。
【図３２６】（ａ）は、第１入賞部材の正面斜視図であり、（ｂ）は、第１入賞部材の正面図であり、（ｃ）は、第１入賞部材の側面図である。
【図３２７】（ａ）は、窪み部の正面斜視図であり、（ｂ）は、窪み部の正面図であり、（ｃ）は、図３２７（ｂ）のＣＣＣＸＸＶＩＩｃ−ＣＣＣＸＸＶＩＩｃ線における窪み部の断面図である。
【図３２８】第８９実施形態におけるベース板及び入賞口ユニットの正面斜視図である。
【図３２９】ベース板及び入賞口ユニットの分解正面斜視図である。
【図３３０】（ａ）は、ベース板及び入賞口ユニットの正面図であり、（ｂ）は、図３３０（ａ）のＣＣＣＸＸＸｂ−ＣＣＣＸＸＸｂ線におけるベース板及び入賞口ユニットの断面図である。
【図３３１】（ａ）は、第１入賞部材の正面斜視図であり、（ｂ）は、第１入賞部材の正面図であり、（ｃ）は、第１入賞部材の側面図である。
【図３３２】（ａ）は、窪み部の正面斜視図であり、（ｂ）は、窪み部の正面図であり、（ｃ）は、図３３２（ｂ）のＣＣＣＸＸＸＩＩｃ−ＣＣＣＸＸＸＩＩｃ線における窪み部の断面図である。
【図３３３】第９０実施形態におけるベース板及び入賞口ユニットの正面斜視図である。
【図３３４】ベース板及び入賞口ユニットの分解正面斜視図である。
【図３３５】（ａ）は、ベース板及び入賞口ユニットの正面図であり、（ｂ）は、図３３５（ａ）のＣＣＣＸＸＸＶｂ−ＣＣＣＸＸＸＶｂ線におけるベース板及び入賞口ユニットの断面図である。
【図３３６】（ａ）は、第１入賞部材の正面斜視図であり、（ｂ）は、第１入賞部材の正面図であり、（ｃ）は、第１入賞部材の側面図であり、（ｄ）は、図３３６（ｃ）のＣＣＣＸＸＸＶＩｄ−ＣＣＣＸＸＸＶＩｄ線における第１入賞部材の断面図である。
【図３３７】（ａ）は、窪み部の正面斜視図であり、（ｂ）は、窪み部の正面図であり、（ｃ）は、図３３７（ｂ）のＣＣＣＸＸＸＶＩＩｃ−ＣＣＣＸＸＸＶＩＩｃ線における窪み部の断面図である。
【図３３８】第９１実施形態におけるベース板及び入賞口ユニットの正面斜視図である。
【図３３９】ベース板及び入賞口ユニットの分解正面斜視図である。
【図３４０】（ａ）は、ベース板及び入賞口ユニットの正面図であり、（ｂ）は、図３４０（ａ）のＣＣＣＸＬｂ−ＣＣＣＸＬｂ線におけるベース板及び入賞口ユニットの断面図である。
【図３４１】（ａ）は、第１入賞部材の正面斜視図であり、（ｂ）は、第１入賞部材の正面図であり、（ｃ）は、第１入賞部材の上面図である。
【図３４２】（ａ）は、窪み部の正面斜視図であり、（ｂ）は、窪み部の正面図であり、（ｃ）は、図３４２（ｂ）のＣＣＣＸＬＩＩｃ−ＣＣＣＸＬＩＩｃ線における窪み部の断面図である。
【図３４３】第９２実施形態におけるベース板及び入賞口ユニットの正面斜視図である。
【図３４４】ベース板及び入賞口ユニットの分解正面斜視図である。
【図３４５】（ａ）は、ベース板及び入賞口ユニットの正面図であり、（ｂ）は、図３４５（ａ）のＣＣＣＸＬＶｂ−ＣＣＣＸＬＶｂ線におけるベース板及び入賞口ユニットの断面図である。
【図３４６】（ａ）は、第１入賞部材の正面斜視図であり、（ｂ）は、第１入賞部材の正面図であり、（ｃ）は、第１入賞部材の上面図である。
【図３４７】（ａ）は、窪み部の正面斜視図であり、（ｂ）は、窪み部の正面図であり、（ｃ）は、図３４７（ｂ）のＣＣＣＸＬＩＩｃ−ＣＣＣＸＬＩＩｃ線における窪み部の断面図である。
【図３４８】第９３実施形態におけるベース板及び入賞口ユニットの正面斜視図である。
【図３４９】ベース板及び入賞口ユニットの分解正面斜視図である。
【図３５０】（ａ）は、ベース板及び入賞口ユニットの正面図であり、（ｂ）は、図３５０（ａ）のＣＣＣＬｂ−ＣＣＣＬｂ線におけるベース板及び入賞口ユニットの断面図である。
【図３５１】（ａ）は、第１入賞部材の正面斜視図であり、（ｂ）は、第１入賞部材の正面図であり、（ｃ）は、第１入賞部材の上面図である。
【図３５２】（ａ）は、窪み部の正面斜視図であり、（ｂ）は、窪み部の正面図であり、（ｃ）は、図３５２（ｂ）のＣＣＣＬＩＩｃ−ＣＣＣＬＩＩｃ線における窪み部の断面図である。
【図３５３】第９４実施形態におけるベース板及び入賞口ユニットの正面斜視図である。
【図３５４】ベース板及び入賞口ユニットの分解正面斜視図である。
【図３５５】（ａ）は、ベース板及び入賞口ユニットの正面図であり、（ｂ）は、図３５５（ａ）のＣＣＣＬＶｂ−ＣＣＣＬＶｂ線におけるベース板及び入賞口ユニットの断面図であり、（ｃ）は、図３５５（ａ）のＣＣＣＬＶｃ−ＣＣＣＬＶｃ線におけるベース板及び入賞口ユニットの断面図である。
【図３５６】（ａ）は、第１入賞部材の正面斜視図であり、（ｂ）は、第１入賞部材の正面図であり、（ｃ）は、図３５６（ｂ）のＣＣＣＬＶＩｃ−ＣＣＣＬＶＩｃ線における第１入賞部材の断面図である。
【図３５７】（ａ）は、窪み部の正面斜視図であり、（ｂ）は、窪み部の正面図であり、（ｃ）は、図３５７（ｂ）のＣＣＣＬＶＩＩｃ−ＣＣＣＬＶＩＩｃ線における窪み部の断面図である。
【図３５８】第９５実施形態におけるベース板及び入賞口ユニットの正面斜視図である。
【図３５９】ベース板及び入賞口ユニットの分解正面斜視図である。
【図３６０】ベース板及び入賞口ユニットの分解背面斜視図である。
【図３６１】（ａ）は、ベース板及び入賞口ユニットの正面図であり、（ｂ）は、図３６１（ａ）のＣＣＣＬＸＩｂ−ＣＣＣＬＸＩｂ線におけるベース板及び入賞口ユニットの断面図である。
【図３６２】（ａ）は、第１入賞部材の正面斜視図であり、（ｂ）は、第１入賞部材の正面図であり、（ｃ）は、第１入賞部材の側面図である。
【図３６３】（ａ）は、ベース板の正面斜視図であり、（ｂ）は、ベース板の背面斜視図であり、（ｃ）は、ベース板の背面図であり、（ｄ）は、図３６３（ｃ）のＣＣＣＬＸＩＩＩｄ−ＣＣＣＬＸＩＩＩｄ線におけるベース板の断面図である。
【図３６４】第９６実施形態におけるベース板及び入賞口ユニットの正面斜視図である。
【図３６５】ベース板及び入賞口ユニットの分解正面斜視図である。
【図３６６】ベース板及び入賞口ユニットの分解背面斜視図である。
【図３６７】（ａ）は、ベース板及び入賞口ユニットの正面図であり、（ｂ）は、図３６７（ａ）のＣＣＣＬＸＶＩＩｂ−ＣＣＣＬＸＶＩＩｂ線におけるベース板及び入賞口ユニットの断面図であり、（ｃ）は、図３６７（ａ）のＣＣＣＬＸＶＩＩｃ−ＣＣＣＬＸＶＩＩｃ線におけるベース板及び入賞口ユニットの断面図である。
【図３６８】（ａ）は、第１入賞部材の正面斜視図であり、（ｂ）は、第１入賞部材の背面斜視図であり、（ｃ）は、第１入賞部材の背面図であり、（ｄ）は、第１入賞部材の側面図である。
【図３６９】（ａ）は、ベース板の正面斜視図であり、（ｂ）は、ベース板の背面斜視図であり、（ｃ）は、ベース板の背面図であり、（ｄ）は、図３６９（ｃ）のＣＣＣＬＸＩＸｄ−ＣＣＣＬＸＩＸｄ線におけるベース板の断面図であり、（ｅ）は、図３６９（ｃ）のＣＣＣＬＸＩＸｅ−ＣＣＣＬＸＩＸｅ線におけるベース板の断面図である。
【図３７０】第９７実施形態におけるベース板及び入賞口ユニットの正面斜視図である。
【図３７１】ベース板及び入賞口ユニットの分解正面斜視図である。
【図３７２】ベース板及び入賞口ユニットの分解背面斜視図である。
【図３７３】（ａ）は、ベース板及び入賞口ユニットの正面図であり、（ｂ）は、図３７３（ａ）のＣＣＣＬＸＸＩＩＩｂ−ＣＣＣＬＸＸＩＩＩｂ線におけるベース板及び入賞口ユニットの断面図であり、（ｃ）は、図３７３（ａ）のＣＣＣＬＸＸＩＩＩｃ−ＣＣＣＬＸＸＩＩＩｃ線におけるベース板及び入賞口ユニットの断面図である。
【図３７４】（ａ）は、第１入賞部材の正面斜視図であり、（ｂ）は、第１入賞部材の背面斜視図であり、（ｃ）は、第１入賞部材の背面図であり、（ｄ）は、第１入賞部材の側面図である。
【図３７５】（ａ）は、ベース板の正面斜視図であり、（ｂ）は、ベース板の背面斜視図であり、（ｃ）は、ベース板の背面図であり、（ｄ）は、図３７５（ｃ）のＣＣＣＬＸＸＶｄ−ＣＣＣＬＸＸＶｄ線におけるベース板の断面図であり、（ｅ）は、図３７５（ｃ）のＣＣＣＬＸＸＶｅ−ＣＣＣＬＸＸＶｅ線におけるベース板の断面図である。
【図３７６】第９８実施形態におけるベース板及び入賞口ユニットの正面斜視図である。
【図３７７】ベース板及び入賞口ユニットの分解正面斜視図である。
【図３７８】ベース板及び入賞口ユニットの分解背面斜視図である。
【図３７９】（ａ）は、ベース板及び入賞口ユニットの正面図であり、（ｂ）は、図３７９（ａ）のＣＣＣＬＸＸＩＸｂ−ＣＣＣＬＸＸＩＸｂ線におけるベース板及び入賞口ユニットの断面図であり、（ｃ）は、図３７９（ａ）のＣＣＣＬＸＸＩＸｃ−ＣＣＣＬＸＸＩＸｃ線におけるベース板及び入賞口ユニットの断面図である。
【図３８０】（ａ）は、第１入賞部材の正面斜視図であり、（ｂ）は、第１入賞部材の背面斜視図であり、（ｃ）は、第１入賞部材の背面図であり、（ｄ）は、第１入賞部材の上面図である。
【図３８１】（ａ）は、ベース板の正面斜視図であり、（ｂ）は、ベース板の背面斜視図であり、（ｃ）は、ベース板の正面図であり、（ｄ）は、図３８１（ｃ）のＣＣＣＬＸＸＸＩｄ−ＣＣＣＬＸＸＸＩｄ線におけるベース板の断面図であり、（ｅ）は、図３８１（ｃ）のＣＣＣＬＸＸＸＩｅ−ＣＣＣＬＸＸＸＩｅ線におけるベース板の断面図である。
【図３８２】第９９実施形態におけるベース板及び入賞口ユニットの正面斜視図である。
【図３８３】ベース板及び入賞口ユニットの分解正面斜視図である。
【図３８４】ベース板及び入賞口ユニットの分解背面斜視図である。
【図３８５】（ａ）は、ベース板及び入賞口ユニットの正面図であり、（ｂ）は、図３８５（ａ）のＣＣＣＬＸＸＸＶｂ−ＣＣＣＬＸＸＸＶｂ線におけるベース板及び入賞口ユニットの断面図であり、（ｃ）は、図３８５（ａ）のＣＣＣＬＸＸＸＶｃ−ＣＣＣＬＸＸＸＶｃ線におけるベース板及び入賞口ユニットの断面図である。
【図３８６】（ａ）は、第１入賞部材の正面斜視図であり、（ｂ）は、第１入賞部材の背面斜視図であり、（ｃ）は、第１入賞部材の背面図であり、図３８６（ｄ）は、第１入賞部材の側面図である。
【図３８７】（ａ）は、ベース板の正面斜視図であり、（ｂ）は、ベース板の背面斜視図であり、（ｃ）は、ベース板の背面図であり、（ｄ）は、図３８７（ｃ）のＣＣＣＬＸＸＸＶＩＩｄ−ＣＣＣＬＸＸＸＶＩＩｄ線におけるベース板の断面図である。
【図３８８】第１００実施形態におけるベース板及び入賞口ユニットの正面斜視図である。
【図３８９】ベース板及び入賞口ユニットの分解正面斜視図である。
【図３９０】（ａ）は、ベース板及び入賞口ユニットの正面図であり、（ｂ）は、図３９０（ａ）のＣＣＣＸＣｂ−ＣＣＣＸＣｂ線におけるベース板及び入賞口ユニットの断面図である。
【図３９１】（ａ）は、窪み部の正面斜視図であり、（ｂ）は、窪み部の正面図であり、（ｃ）は、図３９１（ｂ）のＣＣＣＸＣＩｃ−ＣＣＣＸＣＩｃ線における窪み部の断面図である。
【図３９２】第１０１実施形態におけるベース板及び入賞口ユニットの正面斜視図である。
【図３９３】ベース板及び入賞口ユニットの分解正面斜視図である。
【図３９４】（ａ）は、ベース板及び入賞口ユニットの正面図であり、（ｂ）は、図３９４（ａ）のＣＣＣＸＣＩＶｂ−ＣＣＣＸＣＩＶｂ線におけるベース板及び入賞口ユニットの断面図である。
【図３９５】（ａ）は、第１入賞部材の正面斜視図であり、（ｂ）は、第１入賞部材の背面斜視図であり、（ｃ）は、第１入賞部材の背面図であり、（ｄ）は、図３９５（ｃ）のＣＣＣＸＣＶｄ−ＣＣＣＸＣＶｄ線における第１入賞部材の断面図である。
【図３９６】（ａ）は、窪み部の正面斜視図であり、（ｂ）は、窪み部の正面図であり、（ｃ）は、図３９６（ｂ）のＣＣＣＸＣＶＩｃ−ＣＣＣＸＣＶＩｃ線における窪み部の断面図である。
【図３９７】第１０２実施形態におけるベース板及び入賞口ユニットの正面斜視図である。
【図３９８】ベース板及び入賞口ユニットの分解正面斜視図である。
【図３９９】（ａ）は、ベース板及び入賞口ユニットの正面図であり、（ｂ）は、図３９９（ａ）のＣＣＣＸＣＩＸｂ−ＣＣＣＸＣＩＸｂ線におけるベース板及び入賞口ユニットの断面図である。
【図４００】（ａ）は、第１入賞部材の正面斜視図であり、（ｂ）は、第１入賞部材の背面斜視図であり、（ｃ）は、第１入賞部材の背面図であり、（ｄ）は、第１入賞部材の側面図である。
【図４０１】（ａ）は、窪み部の正面斜視図であり、（ｂ）は、窪み部の正面図であり、（ｃ）は、図４０１（ｂ）のＣＤＩｃ−ＣＤＩｃ線における窪み部の断面図である。
【図４０２】第１０３実施形態におけるベース板及び入賞口ユニットの正面斜視図である。
【図４０３】ベース板及び入賞口ユニットの分解正面斜視図である。
【図４０４】（ａ）は、ベース板及び入賞口ユニットの正面図であり、（ｂ）は、図４０４（ａ）のＣＤＩＶｂ−ＣＤＩＶｂ線におけるベース板及び入賞口ユニットの断面図である。
【図４０５】（ａ）は、第１入賞部材の正面斜視図であり、（ｂ）は、第１入賞部材の背面斜視図であり、（ｃ）は、第１入賞部材の背面図であり、（ｄ）は、図４０５（ｃ）のＣＤＶｄ−ＣＤＶｄ線における第１入賞部材の断面図である。
【図４０６】第１０４実施形態におけるベース板及び入賞口ユニットの正面斜視図である。
【図４０７】ベース板及び入賞口ユニットの分解正面斜視図である。
【図４０８】ベース板及び入賞口ユニットの分解背面斜視図である。
【図４０９】（ａ）は、ベース板及び入賞口ユニットの正面図であり、（ｂ）は、図４０９（ａ）のＣＤＩＸｂ−ＣＤＩＸｂ線におけるベース板及び入賞口ユニットの断面図である。
【図４１０】（ａ）は、第１入賞部材の正面斜視図であり、（ｂ）は、第１入賞部材の背面斜視図であり、（ｃ）は、第１入賞部材の背面図であり、（ｄ）は、第１入賞部材の側面図である。
【図４１１】（ａ）は、窪み部の正面斜視図であり、（ｂ）は、窪み部の背面斜視図であり、（ｃ）は、窪み部の背面図であり、（ｄ）は、図４１１（ｃ）のＣＤＸＩｄ−ＣＤＸＩｄ線における窪み部の断面図である。
【発明を実施するための形態】
【００１９】
以下、本発明の実施形態について、添付図面を参照して説明する。まず、図１から図１１１を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００２０】
なお、以下の説明では、図１に示す状態のパチンコ機１０に対して、紙面手前側を前方（正面）側として、紙面奥側を後方（背面）側として説明する。また、図１に示す状態のパチンコ機１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、パチンコ機１０の上下方向，左右方向，前後方向をそれぞれ示している。
【００２１】
図１に示すように、パチンコ機１０は、略矩形状に組み合わせた木枠により外殻が形成される外枠１１と、その外枠１１と略同一の外形形状に形成され外枠１１に対して開閉可能に支持された内枠４とを備えている。外枠１１には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００２２】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００２３】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００２４】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１０の正面側に視認可能となっている。
【００２５】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２６】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２７】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２８】
窓部５ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２９】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００３０】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００３１】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００３２】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００３３】
遊技盤１３の前面中央部分は、前扉５の窓部５ｃ（図１参照）を通じて内枠４の前面側から視認することができる。以下に、主に図２を参照して、遊技盤１３の構成について説明する。
【００３４】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００３５】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３６】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３７】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３８】
なお、本パチンコ機１０では、第１入賞口６４，第２入賞口６４０のいずれかに入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３９】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００４０】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００４１】
確変中や時短中は、第２図柄の当たり確率がアップするだけではなく、第２入賞口６４０に付随する第１電動役物６４０ａが開放される時間も変更され、通常中と比して長い時間が設定される。第１電動役物６４０ａが開放された状態（開放状態）にある場合は、その第１電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００４２】
なお、確変中や時短中において、第２入賞口６４０に付随する第１電動役物６４０ａの開放時間を変更するのではなく、または、その開放時間を変更することに加えて、１回の当たりで第１電動役物６４０ａが開放する回数を通常中よりも増やす変更を行うものとしてもよい。また、確変中や時短中において、第２図柄の当たり確率は変更せず、第２入賞口６４０に付随する第１電動役物６４０ａが開放される時間および１回の当たりで第１電動役物６４０ａが開放する回数の少なくとも一方を変更するものとしてもよい。また、確変中や時短中において、第２入賞口６４０に付随する第１電動役物６４０ａが開放される時間や、１回の当たりで第１電動役物６４０ａを開放する回数は変更せず、第２図柄の当たり確率だけを、通常中と比してアップするよう変更するものであってもよい。
【００４３】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６の球の通過をトリガとして第２図柄を変動表示するＬＥＤで構成される第２図柄表示装置（図示せず）とが設けられている。
【００４４】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００４５】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４６】
第２図柄表示装置は、球が第１スルーゲート６６を通過する毎に表示図柄（第２図柄（図示せず））としての「○」の図柄と「×」の図柄とを所定時間交互に点灯させる変動表示を行うものである。パチンコ機１０では、球が第１スルーゲート６６を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４７】
パチンコ機１０は、第２図柄表示装置における変動表示が所定図柄（本実施形態においては「○」の図柄）で停止した場合に、第２入賞口６４０に付随された第１電動役物６４０ａが所定時間だけ作動状態となる（開放される）よう構成されている。
【００４８】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の第１電動役物６４０ａが開放状態となる機会を遊技者に多く与えることができる。よって、確変中および時短中は、第２入賞口６４０へ球が入賞しやすい状態とすることができる。
【００４９】
なお、確変中または時短中において、当たり確率を高める、１回に当たりに対する第１電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａの開放時間や開放回数を遊技状態にかかわらず一定にしてもよい。
【００５０】
第１スルーゲート６６は、可変表示装置ユニット８０の右側の領域において遊技盤に組み付けられる。第１スルーゲート６６は、遊技盤に発射された球のうち、遊技盤を流下する球の一部が通過可能に構成されている。第１スルーゲート６６を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００５１】
球の第１スルーゲート６６の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００５２】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００５３】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００５４】
一方、第１入賞口６４の正面視右方には、球が入賞し得る第２入賞口６４０が配設されている。第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５５】
また、第１入賞口６４，第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５６】
さらに、第１入賞口６４の正面視左側には、球が入賞し得る第３入賞口８２が配設されている。第３入賞口８２は、球が入賞すると送球ユニット６００を介して後述する振分けユニット５００の第１開口５２１へ入賞した球を送球することができる。即ち、第３入賞口８２は後述する第１開口５２１と連通した状態で配置されている。
【００５７】
第３入賞口８２には第３電動役物８２ａが付随されている。この第３電動役物８２ａは、遊技盤１３に対して回転変位して開閉可能に構成されており、通常は第３電動役物８２ａが閉鎖状態（縮小状態）となって球が第３入賞口８２へ入賞し難い状態となっている。一方、第１入賞口６４又は第２入賞口６４０の入賞を契機とする大当たりの判定があった場合、その大当たり前、後、又は大当たり中に、第３電動役物８２ａが所定時間開放（拡大状態）となり、球が第３入賞口８２へ入賞しやすい状態となる。また、第３入賞口８２の下流側には、通過した球を検出するセンサ装置ＳＥ１が搭載される。
【００５８】
なお、第３電動役物８２ａの開放のタイミングは、第１入賞口６４及び第２入賞口５６４０の入賞を契機にして行われるものでなくても良く、第１スルーゲート６６寝の球の通過を契機として行われる第２図柄の変動表示の結果、「○」の図柄が第２図柄表示装置に表示された場合、開放されるものであっても良い。
【００５９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００６０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａが開放状態（拡大状態）となる回数が増える。更に、確変中または時短中は、第１電動役物６４０ａが開放される時間も、通常中より長くなる。よって、確変中または時短中は、通常時と比して、第２入賞口６４０へ球が入賞しやすい状態を作ることができる。
【００６１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような第１電動役物６４０ａは有しておらず、球が常時入賞可能な状態となっている。
【００６２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００６３】
一方、確変中や時短中は、第１スルーゲート６６に球を通過させることで、第２入賞口６４０に付随する第１電動役物６４０ａが開放状態となりやすく、第２入賞口６４０に入賞しやすい状態であるので、第２入賞口６４０へ向けて、可変表示装置ユニット８０の右方を球が通過するように球を発射し（所謂「右打ち」）、第１スルーゲート６６を通過させて第１電動役物６４０ａを開放状態にすると共に、第２入賞口６４０への入賞によって１５Ｒ確変大当たりとなることを狙った方が、遊技者にとって有利となる。
【００６４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００６５】
第１入賞口６４の右側には可変入賞装置６５が配設されており、その略中央部分に横長矩形状の特定入賞口（大開放口）６５ａが設けられている。パチンコ機１０においては、第１入賞口６４，第２入賞口６４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００６６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００６９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００７０】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００７１】
遊技盤１３には、球の落下方向を適宜分散、調整等するために多数の釘が植設されているとともに、風車等の各種部材（役物）とが配設されている。
【００７２】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００７４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７８】
次に、図４を参照して、本パチンコ機１０の電気的構成について説明する。図４は、パチンコ機１０の電気的構成を示すブロック図である。
【００７９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１０の主要な処理を実行する。
【００８０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００８１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００８３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００８４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００９０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータＫＭ１，ＫＭ２，ＫＭ３が含まれる。
【００９１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００９２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００９３】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００９４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００９５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００９６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９７】
次いで、図５から図１０を参照して、動作ユニット２００の概略構成について説明する。図５は、パチンコ機１０の分解斜視正面図であり、図６は、動作ユニット２００及び遊技盤１３の分解斜視正面図である。また、図７から図１０は、動作ユニット２００の正面図である。
【００９８】
なお、図７では、上変位部材９４０が上方に退避されると共に、下変位部材４４０が下方に退避された状態が、図８では、図７に示す状態から、上変位部材９４０が下方に回転変位された状態が、図９では、図７に示す状態から、下変位部材４４０が後述する第１張出位置に張り出された状態が、図１０では、下変位部材４４０が、最大の張り出し位置である第２張出位置に変位された状態が、それぞれ図示される。
【００９９】
図５及び図６に示すように、動作ユニット２００は、箱状に形成される背面ケース３００を備え、その背面ケース３００の内部空間に、上変位ユニット９００、下変位ユニット４００、回転ユニット７００及び遊技盤１３の背面に取着される振分けユニット５あ００と送球ユニット６００とが収容される。
【０１００】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【０１０１】
上変位ユニット９００は、背面ケース３００の底壁部３０１のうちの開口３０１ａの上側部分に配設される正面視矩形横長のベース部材９１０と、そのベース部材９１０に摺動可能に配設される上変位部材９４０とを備え、背面ケース３００の開口３０１ａ（即ち、第３図柄表示装置８１）の正面側で、上変位部材９４０を摺動させつつ回転変位させる演出を実行可能に形成される。なお、上変位ユニット９００の詳しい説明は後述する。
【０１０２】
下変位ユニット４００は、背面ケース３００の底壁部３０１のうちの開口３０１ａの下側部分に配設される正面視矩形横長のベース部材４１０と、そのベース部材４１０に摺動可能に配設される下変位部材４４０とを備え、背面ケースの開口３０１ａ（即ち、第３図柄表示装置８１）の正面側で、下変位部材４４０を摺動させつつ回転変位させる演出を実行可能に形成される。なお、下変位ユニット４００の詳しい説明は後述する。
【０１０３】
回転ユニット７００は、背面ケース３００の底壁部３０１のうちの開口３０１ａの下側部分の正面視右側（矢印）に配設される正面視略矩形の背面ベース７２０と、その背面ベース７２０の前方に配設される回転体８００とを備え、遊技盤１３の正面視右側下方に形成される透明の板部を介して回転体８００を回転変位させる演出を遊技者に視認可能とされる。なお、回転ユニット７００の詳細な説明については後述する。
【０１０４】
送球ユニット６００は、遊技盤１３の背面側に取着され、遊技盤１３の第３入賞口８２から遊技盤１３の背面側に送球される遊技球を後述する振分けユニット５００の第１開口５１１に送球する経路が形成される。
【０１０５】
振分けユニット５００は、遊技盤１３の背面側に取着される経路形成部材５１０と、経路形成部材５１０との対向に所定の隙間を形成した状態で配設されるベース板５２０と、そのベース板５２０に取着され経路形成部材５１０とベース板５２０との対向間を流下する遊技球を各送球経路（第２送球経路ＫＲ２又は第３送球経路ＫＲ３）に振り分ける振分け部材５４０とを備える。この振分け部材５４０に振り分けられた遊技球が下変位ユニット４００に送球される。なお、振分けユニット５００の詳しい説明は後述する。
【０１０６】
＜第１の装飾体と第２の装飾体が前後方向に隣り合う位置に配置される＞
次いで、図１１から図１６を参照して、遊技盤１３に配設される一般入賞口ユニット１５０について説明する。
【０１０７】
初めに、図１１及び図１２を参照して、一般入賞口ユニット１５０について説明する。図１１は、遊技盤１３の分解斜視正面図であり、図１２（ａ）は、一般入賞口ユニット１５０の正面図であり、図１２（ｂ）は、図１２（ａ）のＸＩＩｂ−ＸＩＩｂ線における一般入賞口ユニット１５０の断面図である。
【０１０８】
図１１及び図１２に示すように、遊技盤１３は、正面視略矩形状の板部材から形成されるベース板６０と、そのベース板６０に形成される開口部分に配設されるセンターフレーム８６及び一般入賞口ユニット１５０と、を備える。
【０１０９】
ベース板６０は、正面視において中央部分に開口される第１開口部６０ａと、レール部材７６，７７により形成される遊技領域の重力方向下側に開口される第２開口部６０ｂと、を備える。第１開口部６０ａには、センターフレーム８６が配設され、第２開口部６０ｂには、一般入賞口ユニット１５０が配設される。また、ベース板６０には、正面側（矢印Ｆ方向側）に装飾（模様や図柄等）が形成されたシールが貼付されて、遊技者にその装飾を視認させることができる。なお、ベース板６０の正面側の装飾は、シールに限られるものではなく、ベース板６０の正面に装飾が印刷（塗装）されるものであっても良い。
【０１１０】
一般入賞口ユニット１５０は、遊技盤１３の遊技領域（ベース板６０の正面）に配設され、遊技領域を流下する遊技球の経路を変更可能とされる。また、一般入賞口ユニット１５０は、内レール７６及び外レール７７により囲われて形成される遊技領域に対して、正面視（矢印Ｂ方向視）における重力方向下側（矢印Ｄ方向側）の端部に沿う位置に配置される。なお、図１３〜図１６では、ベース板６０に配設されるシールが装飾部材６０ｃの符号を付して図示される。また、本実施形態では、装飾部材６０ｃにキャラクター（人）が描かれる。
【０１１１】
一般入賞口ユニット１５０は、正面視において三日月状に形成される本体部１５１と、その本体部１５１の端部から正面側（矢印Ｆ方向側）に立設される第１立設部１５２と、その第１立設部１５２の重力方向上側（矢印Ｕ方向側）の端部から遊技領域の中央側に向かって延設される第２立設部１５３と、本体部１５１の背面側に配設される装飾部材１５４と、本体部１５１の正面側に形成される複数（本実施形態では３個）の一般入賞口６３と、を主に備える。
【０１１２】
本体部１５１は、ベース板６０の板厚方向に開口される第２開口部６０ｂの開口形状よりも若干大きい外形に設定され、第２開口部６０ｂの開口に覆設された状態でベース板６０の正面側に配設される。また、第２開口部６０ｂにより、本体部１５１に配設される一般入賞口６３に流入する遊技球を遊技盤１３（ベース板６０）の背面側に送球できる。さらに、本体部１５１は、正面視において内側部分から外側の端部に向かうほどベース板６０側に傾斜する傾斜面１５１ａと、ベース板６０側（矢印Ｂ方向側）の背面に凹設される凹部１５１ｂと、その凹部１５１ｂを除いた本体部１５１の背面を形成する背面１５１ｄと、を主に備えて形成される。
【０１１３】
傾斜面１５１ａは、ベース板６０の正面に対して略３０度ほど傾斜して形成される。これにより、遊技盤１３の遊技領域を流下する遊技球を、傾斜面１５１ａに当接させて傾斜面１５１ａの傾斜に沿って流下させて、本体部１５１の正面側に移動させることができる。
【０１１４】
ここで、本体部１５１の端部に傾斜面１５１ａが形成されず、本体部１５１の側面が、ベース板６０の正面に対して垂直に形成される場合には、遊技盤１３の遊技領域を流下する遊技球が、本体部１５１の側面に対して直交する方向から当接（衝突）して、その当接した遊技球が流下方向と反対方向に跳ね返る恐れがある。
【０１１５】
これに対し、本実施形態では、傾斜面１５１ａにより、本体部１５１の側面に当接する遊技球を本体部の正面側に移動させることができるので、遊技領域を流下する遊技球の流下が一時的に停滞することを抑制できる。その結果、ベース板６０の正面側から一般入賞口ユニット１５０の本体部１５１の正面に遊技球をスムーズに流下させることができる。
【０１１６】
背面１５１ｄは、上述したように本体部１５１の背面であり、背面視における凹部１５１ｂの周囲に一定の幅で形成される。また、背面１５１ｄは、一般入賞口ユニット１５０がベース板６０に配設された状態において、ベース板６０（装飾部材６０ｃ）の正面に当接して配設される。
【０１１７】
凹部１５１ｂは、正面側（矢印Ｆ方向側）に向かって凹設される。また、凹部１５１ｂは、凹設方向の底面となる凹設底面１５１ｂ２と、その凹設底面１５１ｂ２の外縁から背面側（矢印Ｂ方向側）に向かって立設される内側面１５１ｂ３と、を有する。
【０１１８】
凹設底面１５１ｂ２は、後述する装飾部材１５４の接着面であり、本体部１５１の正面と平行な平面として形成される。これにより、本体部１５１を介して装飾部材１５４の装飾を視認した場合に、装飾部材１５４の装飾を一様に視認させることができる。
【０１１９】
内側面１５１ｂ３は、正面視における前後方向（矢印Ｆ−Ｂ方向）に延設される。また、内側面１５１ｂ３の正面視における形状は、後述する装飾部材１５４の外形と略同一に形成される。これにより、凹部１５１ｂに装飾部材１５４を配設した場合に、装飾部材１５４が凹部１５１ｂの外側に突出することを抑制できる。従って、一般入賞口ユニット１５０が、ベース板６０に配設された際に、背面１５１ｄとベース板６０との間に装飾部材１５４が挟まることで本体部１５１の背面１５１ｄとベース板６０との間に隙間が形成されることを抑制できる。これにより、本体部１５１がベース板６０に対して、通常の配設位置よりも正面側に張り出すことを抑制できる。その結果、ベース板６０の正面側から一般入賞口ユニット１５０の本体部１５１の正面に遊技球をスムーズに流下させることができる。
【０１２０】
凹部１５１ｂは、その凹設空間に後述する装飾部材１５４を収容する凹みであり、凹設深さ（正面側（矢印Ｆ方向側）への凹設距離）が、装飾部材１５４の厚み寸法よりも大きく設定される。また、凹部１５１ｂは、正面視における本体部１５１の端部から本体部１５１の内側に一定の距離を隔てた位置で本体部１５１の端部の形状に沿って凹設される。
【０１２１】
よって、凹部１５１ｂの内側に装飾部材１５４を配設した場合に、装飾部材１５４の背面が、本体部１５１よりも背面側に張り出すことを抑制できる。従って、一般入賞口ユニット１５０がベース板６０に配設された際に、凹設底面１５１ｂ２とベース板６０との間に装飾部材１５４が挟まることで本体部１５１の背面１５１ｄとベース板６０との間に隙間が形成されることを抑制できる。これにより、本体部１５１がベース板６０に対して通常の配設位置よりも正面側に張り出すことを抑制できる。その結果、本体部１５１の重力方向上方（矢印Ｕ方向）から一般入賞口ユニット１５０の本体部１５１の正面に遊技球をスムーズに流下させることができる。
【０１２２】
第１立設部１５２は、遊技領域の端部側（内レール７６側）における本体部１５１の端部から正面側（矢印Ｆ方向側）に立設される。第１立設部１５２は、その立設寸法がベース板６０（装飾部材６０ｃ）の正面に植立される内レール７６の植立方向の幅寸法と略同一に設定される。また、第１立設部１５２は、遊技盤１３の正面側を覆う前扉５のガラスユニット１６との対向間の間隔が遊技球の直径よりも小さく設定される。これにより、本体部１５１の正面側を流下する遊技球を、遊技領域の重力方向下側の端部で第１立設部１５２に衝突させることができる。その結果、本体部１５１の正面側を流下する遊技球が内レール７６に衝突することを抑制でき、内レール７６が遊技球と衝突して曲げられることを抑制できる。
【０１２３】
ここで、内レール７６と外レール７７との対向間は、球発射ユニット１１２ａ（図４参照）から発射された遊技球を遊技盤１３の上部へ案内するための空間であり、内レール７６と外レール７７との対向間に補強等を配設するスペースが限られる。そのため、内レール７６が曲がることを防止する目的で補強を配設することが困難であり、遊技領域を流下する遊技球が内レール７６に衝突して、内レール７６が曲がる恐れがあった。
【０１２４】
これに対して、本実施形態では、遊技領域内に配設される一般入賞口ユニット１５０（第１立設部１５２）により遊技領域を流下する遊技球が内レール７６に衝突しにくくすることができる。従って、内レール７６が曲ることで、内レール７６及び外レール７７の対向間の距離が変更されることを抑制できる。その結果、遊技球を安定して遊技領域に打ち出すことができる。
【０１２５】
第２立設部１５３は、正面視において第１立設部１５２の重力方向上側（矢印Ｕ方向側）の端部から遊技領域の中央（第１入賞口６４）に向かって下降傾斜して延設される（図２参照）。これにより、内レール７６とセンターフレーム８３との対向間（図２参照）を流下する遊技球が、第２立設部１５３の下降傾斜する延設部分の上面（矢印Ｕ方向側の面）に送球されると、その遊技球を第２立設部１５３の下降傾斜に沿って転動させて、遊技領域の中央に向けて送球することができる。これにより、内レール７６と外レール７７との対向間側（矢印Ｌ方向側）の遊技領域を流下する遊技球を、遊技領域の中央に配設される第１入賞口６４に入賞（流入）させやすくできる。
【０１２６】
装飾部材１５４は、板状に形成されると共に、本体部１５１の背面側に接着される。また、装飾部材１５４は、本体部１５１側の正面にベース板６０の装飾部材６０ｃに形成される装飾と正面視において連なる装飾が形成される。これにより、ベース板６０に形成される装飾を装飾部材１５４の装飾と合わせて１の装飾に視認させることができる。なお、本実施形態では、装飾部材１５４にキャラクター（人）の一部が描かれており、装飾部材６０ｃのキャラクターと装飾部材１５４のキャラクターとを合わせて１人のキャラクターとして視認させることができる。
【０１２７】
また、装飾部材１５４は、光透過性材料から形成される。これにより、ベース板６０の背面側（矢印Ｂ方向側）から第２開口部６０ｂを通した光を装飾部材１５４の背面から入射させて、装飾部材１５４の正面側（矢印Ｆ方向側）から出射させることができる。よって、装飾部材１５４の正面に形成される装飾を明るくして、遊技者に視認させることができ、遊技者に装飾部材１５４の装飾を視認させやすくできる。
【０１２８】
次いで、図１３を参照して、ベース板６０と一般入賞口ユニット１５０とについて説明する。図１３は、図２のＸＩＩＩ−ＸＩＩＩ線における遊技盤１３の断面図である。
【０１２９】
図１３に示すように、装飾部材１５４は、ベース板６０の第２開口部６０ｂの正面視における開口形状よりも外形が大きく形成される。これにより、一般入賞口ユニット１５０がベース板６０に配設されると、装飾部材１５４の端部は、本体部１５１の凹部１５１ｂの凹設底面１５１ｂ２とベース板６０（装飾部材６０ｃ）との間に配置される。よって、本体部１５１と装飾部材１５４との接着が経年劣化等により剥がれた場合に、装飾部材１５４が遊技盤１３から脱落することを抑制できる。
【０１３０】
また、装飾部材１５４は、ベース板６０と前後方向（矢印Ｆ−Ｂ方向）において重なる幅寸法が、後述する本体部１５１の背面から突設される突起１５５が挿入されるベース板６０の円形状の開口６０ｇ（図１１参照）の直径よりも大きく設定される。これにより、装飾部材１５４の本体部１５１に対する配置の位置ずれ、又は、装飾部材６０ｃを形成した位置のずれにより、正面視における装飾部材１５４及び装飾部材６０ｃの装飾の間に隙間が形成されることを抑制できる。その結果、ベース板６０の装飾部材６０ｃと装飾部材１５４の装飾とを１の装飾として遊技者に認識させやすくできる。
【０１３１】
また、本体部１５１に配設される３個の一般入賞口６３は、遊技盤１３の背面側に配設される振り分けユニット５００（図７１参照）の開口５１４〜５１６に接続されており、一般入賞口６３に入賞した遊技球は、振り分けユニット５００の第４送球経路ＫＲ４に送球される。なお、振り分けユニット５００についての詳しい説明は後述する。
【０１３２】
さらに、振り分けユニット５００には、正面側に光を照射可能な光源を備える基板（図示しない）がベース板５２０（図７１参照）に配設されており、その基板から照射される光がベース板６０の第２開口部６０ｂを挿通して一般入賞口ユニット１５０の背面に照射される。
【０１３３】
よって、第２開口部６０ｂは、一般入賞口ユニット１５０の一般入賞口６３から入賞する遊技球の経路および一般入賞口ユニット１５０の背面に光を照射する空間として利用される。これにより、遊技球を送球するための開口と、光を通過させるための開口と、２箇所の開口を分けて形成する必要がなくなるので、一般入賞口ユニット１５０の背面の全域に光を照射しやすくすることができると共に、一般入賞口ユニット１５０の本体部１５１の全域に一般入賞口６３を配置することができる。その結果、一般入賞口ユニット１５０の設計の自由度を向上することができると共に、一般入賞口ユニット１５０の全域から光を出射して一般入賞口ユニット１５０の装飾（装飾部材１５４）を遊技者に視認させやすくできる。
【０１３４】
また、本実施形態によれば、図１３に示すように、遊技盤１３のベース板６０の装飾部材６０ｃと連なる装飾の装飾部材１５４は、ベース板６０の正面に沿って配設される本体部１５１の背面に配置されるので、ベース板６０の装飾部材６０ｃと装飾部材１５４の装飾とを前後方向（矢印Ｆ−Ｂ方向）に隣合う（近づいた）位置に配置することができる。これにより、装飾部材６０ｃ及び装飾部材１５４の正面視に対して傾斜した角度（例えば、パチンコ機１０（図１参照）の重力方向上側端部と同じ高さの視点）から装飾部材６０ｃ及び装飾部材１５４を視認した際に、一般入賞口ユニットの装飾が一般入賞口ユニットの正面に配設される場合に比べて、装飾部材６０ｃ及び装飾部材１５４の装飾がずれて視認されることを抑制できる。その結果、ベース板６０の装飾部材６０ｃと装飾部材１５４の装飾との連結部分を遊技者の視点に関わらず同様の位置関係で遊技者に視認させることができ、遊技盤１３の意匠性を向上できる。
【０１３５】
次いで、図１４を参照して、装飾部材１５４及びベース板６０の装飾部材６０ｃの連結について詳しく説明する。図１４は、図１３の範囲ＸＩＶにおける遊技盤１３の部分拡大断面図である。なお、図１４では、遊技者に視認される光の経路が２点鎖線で図示される。
【０１３６】
上述したように、ベース板６０の装飾部材６０ｃと装飾部材１５４の装飾とは、合わせて１の装飾として遊技者に視認される。従って、ベース板６０の装飾部材６０ｃと装飾部材１５４の装飾とを１の装飾（模様）として遊技者に視認させるために、両者の装飾の位置ずれを抑える必要がある。しかしながら、ベース板６０に装飾を形成する際、又は、本体部１５１に装飾部材１５４を配設する際に、その装飾を正確な位置（毎回同じ位置）に配置することが困難である。従って、ベース板６０に一般入賞口ユニット１５０を配設した場合に、ベース板６０の装飾部材６０ｃに対する装飾部材１５４の装飾の位置がずれて配設されることで、装飾部材６０ｃと装飾部材１５４との装飾を合わせて１の装飾として遊技者に視認させにくくなるという問題点があった。
【０１３７】
これに対して、本実施形態によれば、装飾部材１５４は、その端部が傾斜面１５１ａの背面側に配置される。これにより、装飾部材１５４の装飾とベース板６０の装飾部材６０ｃの装飾との連結部分が、遊技者から正確に認識されにくくする（連結部分をぼやかして遊技者に視認させる）ことができる。よって、装飾部材６０ｃと装飾部材１５４とを１の装飾として遊技者に認識させることができる。
【０１３８】
詳しく説明すると、図１４に示すように、装飾部材１５４の装飾と装飾部材６０ｃの装飾との連結部（以下、「境界Ｐ１」（図１４参照）と称す）は、本体部１５１の傾斜面１５１ａの背面側に位置される。よって、境界Ｐ１から遊技者の視点に向かって出射される光と、本体部１５１の正面と傾斜面１５１ａとの連結部（以下、「境界Ｐ２」（図１４参照）と称す）から遊技者の視点に向かって出射される光とを、装飾部材６０ｃ又は装飾部材１５４の異なる位置で反射した光にすることができる（即ち、境界Ｐ１から遊技者の視点に向かって出射される光の経路上に、境界Ｐ２が形成されることを抑制できる）。
【０１３９】
従って、境界Ｐ１では、装飾部材１５４に対する装飾部材６０ｃの配置のずれが装飾の位置ずれとして遊技者に認識されやすく、又、境界Ｐ２では、光の屈折方向の違いによる装飾の位置ずれが遊技者に認識されやすいところ、境界Ｐ１及び境界Ｐ２のそれぞれの位置から遊技者が視認する装飾を異なる位置の装飾にすることができるので、境界Ｐ１及び境界Ｐ２における装飾の位置ずれが、同一の位置で遊技者に視認されることを抑制できる。従って、境界Ｐ１における装飾の位置ずれと、境界Ｐ２における装飾の位置ずれとが合わさり、装飾の位置ずれ量が大きくなって遊技者に認識されることを抑制できる。その結果、装飾部材６０ｃと装飾部材１５４との装飾を遊技者に１の装飾として認識させやすくでき、遊技盤１３の意匠性を向上できる。
【０１４０】
さらに、境界Ｐ１を傾斜面１５１ａの背面側に配置することで、遊技者の視点において、装飾部材６０ｃ及び本体部１５１の連結部（以下、「境界Ｐ３」（図１４参照）と称す）と、境界Ｐ２との間に境界Ｐ１を配置することができる。よって、本体部１５１から光が出射する際に光が屈折することによる装飾の位置ずれ位置（境界Ｐ２，Ｐ３）の間に、境界Ｐ１を配置することができる。従って、装飾の位置がずれて認識される領域が間延びすることを抑制できる。即ち、装飾の位置がずれて視認される領域を遊技盤１３の正面に対して限定的にすることができる。その結果、装飾の位置ずれ領域を遊技盤１３の遊技領域に対して、少なくすることができるので、装飾部材６０ｃ及び装飾部材１５４の装飾を遊技者に１の装飾として認識させやすくできる。
【０１４１】
なお、本実施例では、ベース板６０の装飾部材６０ｃにキャラクターの顔が装飾され、一般入賞口ユニット１５０の装飾部材１５４に装飾部材６０ｃに装飾されたキャラクターの体が装飾される。即ち、装飾部材６０ｃと装飾部材１５４との装飾の連結部分には、その装飾の輪郭が位置される。よって、装飾部材６０ｃと装飾部材１５４との連結部分の位置ずれを装飾の輪郭線であると遊技者に認識させることができる。その結果、装飾部材６０ｃ及び装飾部材１５４の装飾を遊技者に１の装飾として認識させやすくできる。
【０１４２】
さらに、本実施例では、ベース板６０の装飾部材６０ｃにキャラクターの顔の首元までが装飾され、一般入賞口ユニット１５０の装飾部材１５４に装飾部材６０ｃに装飾されたキャラクターの体が着用する服が装飾され、キャラクターの顔（首）と服との色合いが異なるもの（本実施例では、顔が肌色で服が黒色）で装飾される。これにより、装飾部材６０ｃと装飾部材１５４との連結部分の位置ずれを色合いの異なる部分とすることで、装飾部材６０ｃと装飾部材１５４とが分割されていることを遊技者に認識させにくくすることができる。その結果、装飾部材６０ｃ及び装飾部材１５４の装飾を遊技者に１の装飾として認識させやすくできる。
【０１４３】
本体部１５１には、上述したように背面側に凹部１５１ｂが凹設され、その内側に装飾部材１５４が配設される。また、凹部１５１ｂの内側の側面（内側面１５１ｂ３）の形状は、正面視における装飾部材１５４の外形と略同一に設定される。これにより、装飾部材１５４を本体部１５１に配設する際には、凹部１５１ｂの内側面１５１ｂ３をガイド（位置決め）として利用することができる。その結果、装飾部材１５４を本体部１５１に貼付する際に、装飾部材１５４の配置が本体部１５１に対して位置ずれすることを抑制できる。
【０１４４】
さらに、本体部１５１の背面側には円柱状に突出する突起１５５（図１５参照）が複数個所（本実施形態では、３箇所（図１５参照））に形成される。突起１５５は、一般入賞口ユニット１５０をベース板６０に配設する場合にベース板６０との位置決めをする位置決め突起であり、ベース板６０に凹設される凹部６０ｄに挿入される。また、突起１５５は、少なくとも１箇所（本実施形態では１箇所）が、凹部１５１ｂの凹設底面１５１ｂ２から突設され、装飾部材１５４に形成される開口に挿入される。従って、突起１５５を本体部１５１に装飾部材１５４を配設する場合の位置決めとして利用することができる。
【０１４５】
よって、突起１５５により、一般入賞口ユニット１５０をベース板６０に配設する際の位置決めをすることができると共に、装飾部材１５４を本体部１５１に配設する際の位置決めをすることができる。従って、装飾部材６０ｃの正面側に装飾部材１５４を配置する際の位置決めとなる部分を同一の部分とすることができるので、装飾部材６０ｃの装飾と装飾部材１５４の装飾とが位置ずれすることを抑制できる。その結果、装飾部材６０ｃの装飾と装飾部材１５４の装飾とを合わせて１の装飾として遊技者に認識させやすくできる。
【０１４６】
さらに、凹設底面１５１ｂ２から突設される突起１５５は、後述する範囲Ｅ１（図１５参照）の領域（接着テープ１５４ａの貼付領域）に形成される。これにより、本体部１５１に装飾部材１５４を配設する際に、装飾部材１５４の開口に突起１５５を挿入した状態で、装飾部材１５４の縁部の一箇所を凹部１５１ｂの内側面１５１ｂ３に位置を合わせて配設することで、本体部１５１に対して装飾部材１５４の２箇所を位置決めすることができる。従って、装飾部材１５４の縁部を凹部１５１ｂの内側面１５１ｂ３の２箇所で位置をあわせて、装飾部材１５４を本体部１５１に配設する必要がなくなる。その結果、装飾部材１５４の本体部１５１への配設作業を簡易にできる。
【０１４７】
次いで、図１５及び図１６を参照して、本体部１５１と装飾部材１５４との接着について説明する。図１５は、一般入賞口ユニット１５０の背面図であり、図１６は、図１３の範囲ＸＩＶにおける遊技盤１３の部分拡大断面図である。なお、図１５では、装飾部材１５４に貼付される接着テープ１５４ａの範囲が、Ｅ１の符号を付して２点鎖線で図示される。また、図１４では、遊技者に視認される光の経路が２点鎖線で図示される。なお、本実施形態では、接着テープ１５４ａが、光透過性の両面のテープから形成されて、範囲Ｅ１に貼付される。
【０１４８】
図１５及び図１６に示すように、装飾部材１５４と本体部１５１とを接着する接着テープ１５４ａは、装飾部材１５４の端部に沿って一定の幅で貼付される。これにより、接着テープ１５４ａが貼付されていない領域（範囲Ｅ１以外の部分）では、接着テープ１５４ａの厚みの分、本体部１５１（凹設底面１５１ｂ２）と装飾部材１５４（装飾部材の正面）との間に所定の幅の隙間（空間）が形成される。
【０１４９】
また、接着テープ１５４ａは、装飾部材１５４の端部から境界Ｐ３を通過して傾斜面１５１ａと直交する仮想線ＰＫ１（図１４参照）を超える領域に接着される。これにより、本体部１５１を通過して傾斜面１５１ａから出射される光が、装飾部材１５４の装飾の影響を受ける部分（波長が変化される部分）を接着テープ１５４ａを貼付した範囲Ｅ１（装飾部材１５４の端部）とすることができる。その結果、遊技者が所定以上の角度から一般入賞口ユニット１５０を視認した場合にも、装飾部材６０ｃと装飾部材１５４の装飾とを１の装飾として遊技者に視認させやすくすることができる。
【０１５０】
ここで、遊技者が、通常よりも高い位置（例えば、パチンコ機１０（図１参照）の重力方向上側端部と同じ高さの視点）から遊技盤１３を視認する場合には、図１６に示すように、傾斜面１５１ａから遊技者の目線に向かって抜け出る光Ｌが、本体部１５１の正面および背面を繰り返し反射して、本体部１５１の内部を通過する。この場合、装飾部材１５４の正面の全域が接着テープ１５４ａを介して本体部１５１と当接するものであると、装飾部材１５４側で反射される度に装飾部材１５４の装飾により光の波長が変更される。従って、本体部１５１の内部を通過して傾斜面１５１ａから出射される光は、装飾部材１５４の端部の装飾による波長の変化のみで反射することができない。よって、傾斜面１５１ａから遊技者に認識される装飾が本体部１５１の正面から遊技者に視認される装飾の波長と異なるために、本体部１５１と傾斜面１５１ａとで、装飾が連ならなくなるという問題点があった。
【０１５１】
これに対し、本実施形態では、装飾部材１５４の本体部１５１への接着部分を範囲Ｅ１のみとすることで、本体部１５１の内部を反射して通過する光Ｌが、装飾部材１５４の装飾の影響を受けないよう（光の波長が変更されないよう）にすることができる。その結果、図１６に示すように、本体部１５１を通過して傾斜面１５１ａから出射される光が、装飾部材１５４の装飾の影響を受ける部分（波長が変化される部分）を接着テープ１５４ａを貼付した範囲Ｅ１（装飾部材１５４の端部）とすることができ、遊技者に視認される傾斜面１５１ａの装飾と隣合う装飾と連なるものとして遊技者に視認させやすくできる。その結果、遊技盤１３の意匠性を向上できる。
【０１５２】
次いで、図１７から図３６を参照して、特別入賞装置５５０について説明する。初めに、図１７を参照して、特別入賞装置５５０の配設方法について説明する。図１７は、センターフレーム８６の分解斜視正面図である。
【０１５３】
図１７に示すように、センターフレーム８６は、ベース板６０の中央の開口を取り囲む略円形の枠状に形成されるベース枠８６ａと、そのベース枠８６ａの径方向外側に突出される突設部８６ｂと、を備えて構成される。
【０１５４】
ベース枠８６ａは、ベース板６０の中央の開口に沿う形状とされ、その中央の開口の内側にベース枠８６ａの一部が挿入されると共に、ベース枠８６ａの一部を除く部分がベース板６０の正面側に張り出した状態でベース板６０に配設される。
【０１５５】
突設部８６ｂは、遊技盤１３の遊技領域に対して、正面視右側（矢印Ｒ方向側）に突設される。これにより、突設部８６ｂに配設される特別入賞装置５５０を遊技領域に対して正面視右側（矢印Ｒ方向側）に配設することができ、特別遊技状態となった際の右打ち時の遊技球の送球経路の一部を特別入賞装置５５０により構成することができる。
【０１５６】
また、突設部８６ｂは、前後方向（矢印Ｆ−Ｂ方向）に開口する開口部８６ｂ１と、その開口部８６ｂ１の上方（矢印Ｕ方向）に位置し背面側（矢印Ｂ方向側）に向かって凹設される凹部８６ｂ２と、を主に備える。
【０１５７】
開口部８６ｂ１は、後述する特別入賞装置５５０の第１ユニット５５１の一部が挿入される。これにより、第１ユニット５５１を、突設部８６ｂの背面側に配設される特別入賞装置５５０の第２ユニット５５２と開口部８６ｂ１を介して連結することができる。
【０１５８】
凹部８６ｂ２は、後述する特別入賞装置５５０の第１ユニット５５１の一部を内側に収容可能とされる。また、凹部８６ｂ２には、遊技球の通過を検知可能な検出装置８６ｂ３が配設される。これにより、第１ユニット５５１の凹部８６ｂ２の内側に収容される部分を通過する遊技球を検出することができる。
【０１５９】
特別入賞装置５５０は、センターフレーム８６の突設部８６ｂの正面側（矢印Ｆ方向側）に配設される第１ユニット５５１と、突設部８６ｂの背面側（矢印Ｂ方向側）に配設される第２ユニット５５２と、を主に備えて構成される。
【０１６０】
第１ユニット５５１は、その内部を遊技球が流下可能な空間（経路）を備え、一部が遊技盤１３の遊技領域に配設される。また、第１ユニット５５１は、第２ユニット５５２を挿通されたネジによりセンターフレーム８６に配設される。なお、第１ユニット５５１及び第２ユニット５５２の配設方法についての詳しい説明は後述する。
【０１６１】
次いで、図１８から図２０を参照して、特別入賞装置５５０の第１ユニット５５１の構成について説明する。図１８（ａ）は、第１ユニット５５１の正面図であり、図１８（ｂ）は、第１ユニット５５１の側面図であり、図１８（ｃ）は、第１ユニット５５１の背面図である。図１９は、第１ユニット５５１の分解斜視正面図であり、図２０は、第１ユニット５５１の分解斜視背面図である。
【０１６２】
図１８から図２０に示すように、第１ユニット５５１は、正面側に配設される第１経路部材５６０と、その第１経路部材５６０の背面側に配設される第２経路部材５７０と、その第２経路部材５７０の背面に配設される第３経路部材５８０と、を主に備えて形成される。
【０１６３】
第１経路部材５６０は、遊技盤１３の遊技領域の正面に沿った板状に形成される正面板５６４と、上方側（矢印Ｕ方向側）が開放する断面略Ｕ字状に形成され、正面板５６４の上方側端部から背面側に突設される第１受入部５６１、第２受入部５６２及び第３受入部５６３と、その第１受入部５６１、第２受入部５６２及び第３受入部５６３の下側（矢印Ｄ方向側）に連なって形成されると共に、正面板５６４の一部の端部に沿って延設される第１壁部５６５と、その第１壁部５６５の下方に形成され、所定の間隔を隔てた２箇所から突設される２組の第２壁部５６６及び第３壁部５６７と、を主に備える。
【０１６４】
正面板５６４は、後述する第２経路部材５７０又は第３経路部材５８０との対向間に形成される遊技球の流下経路の正面側の壁部となる板部材であり、光透過部材から形成される。これにより、遊技者は、第１ユニット５５１の内部を流下する遊技球を正面板５６４を介して（通して）視認することができる。
【０１６５】
また、正面板５６４は、第２経路部材５７０側（背面側（矢印Ｂ方向側）に突設される案内部５６４ａを備える。
【０１６６】
案内部５６４ａは、第１ユニット５５１の内側を流下する遊技球により、正面板５６４の壁面の全域が汚れることを抑制する壁部であり、後述する第２経路部材５７０又は第３経路部材５８０との対向間を流下する遊技球の流下経路に沿って延設される。また、案内部５６４ａは、第１ユニット５５１を流下する遊技球の転動面から遊技球の半径分離れた位置に突設される。言い換えると、案内部５６４ａは、第１経路部材５６０を流下する遊技球の中心位置と、略同一の位置に突設される。これにより、正面板５６４と遊技球とが当接する部分を案内部５６４ａの突設先端部に限定することができる。従って、正面板５６４の全域に遊技球と当接することにより傷が生じることや遊技球に付着した汚れが移着することを抑制できる。その結果、正面板５６４を介して第１経路部材５６０の内部を流下する遊技球を遊技者に視認させやすくできる。
【０１６７】
第１受入部５６１、第２受入部５６２及び第３受入部５６３は、第１ユニット５５１の上方（矢印Ｕ方向）の遊技領域から流下する遊技球を第１ユニット５５１の内部に受け入れる部分であり、上方側の開口が遊技球の直径よりも大きい寸法に設定される。また、第１受入部５６１、第２受入部５６２及び第３受入部５６３は、正面板５６４の上方側（矢印Ｕ方向側）の端部に左右方向（矢印Ｌ−Ｒ方向）に並設される。
【０１６８】
第１受入部５６１は、第２受入部５６２及び第３受入部５６３よりも遊技球の受け入れ幅（左右方向（矢印Ｌ−Ｒ方向）の幅寸法）が大きく設定される。これにより、特別入賞装置５５０に流入する遊技球は、第２受入部５６２又は第３受入部５６３よりも第１受入部５６１に流入しやすくされる。
【０１６９】
また、第１受入部５６１は、第１ユニット５５１の内側に形成される流下経路に連通される。これにより、第１受入部５６１に受け入れられた遊技球は、第１ユニット５５１の内側を流下される。なお、第１ユニット５５１の遊技球の流下経路については後述する。
【０１７０】
第２受入部５６２及び第３受入部５６３は、後述する第２ユニット５５２の内側に形成される流下経路に連通される。これにより、第２受入部５６２及び第３受入部５６３に受け入れられた遊技球が第２ユニット５５２の内側を流下される。なお、第２ユニット５５２の流下経路については後述する。
【０１７１】
第１壁部５６５は、後述する第２経路部材５７０に形成される第４壁部５７３との対向間に遊技球を送球する空間を形成する内壁である。第１壁部５６５は、一端が上述した第１受入部５６１の下方側に連結され、他端側が第２受入部５６２及び第３受入部５６３の下側に亘って左右方向（矢印Ｌ−Ｒ方向）に延設される上方側壁部５６５ａと、背面視略Ｃ字状に湾曲して形成され上方側壁部５６５ａに連結する湾曲壁部５６５ｂと、から主に構成される。
【０１７２】
上方側壁部５６５ａは、後述する第４壁部５７３の上面（矢印Ｕ方向側の面）を遊技球が転動する際に、その転動面の上方を覆う内壁であり、第４壁部５７３の上面と直交する方向に遊技球の直径よりも上方側（矢印Ｕ方向側）に離間する位置に形成される。
【０１７３】
湾曲壁部５６５ｂは、後述する第４壁部５７３の上面を転動する遊技球の転動方向を変更する内壁であり、第４壁部５７３の転動側端部と対向する位置に形成される。また、湾曲壁部５６５ｂは、第４壁部５７３の転動側端部を中心とする半円弧状に形成される。これにより、第４壁部５７３の上面を転動する遊技球を、湾曲壁部５６５ｂの内壁に沿って流下させることで、第４壁部５７３の下面側に案内することができると共に、その転動方向を第４壁部５７３の上面の転動方向と反対にすることができる。
【０１７４】
第２壁部５６６は、第１ユニット５５１の内部を流下する遊技球の主の流下経路から分岐する経路の空間を形成する内壁であり、正面板５６４の背面から突設される一対の壁部の対向間が、遊技球の直径よりも若干大きい寸法に設定される。これにより、第１ユニット５５１を流下する経路を増やすことができる。
【０１７５】
第３壁部５６７は、第１ユニット５５１の内部を流下する遊技球の主の送球経路（主経路ＳＫ３）から分岐する経路の内面を形成する壁部であり、正面板５６４の背面から突設される一対の壁部の対向間が、遊技球の直径よりも若干大きい寸法に設定される。これにより、第１ユニット５５１を流下する遊技球の経路を増やすことができる。
【０１７６】
また、第２壁部５６６と第３壁部５６７とは、それぞれ下流側の端部が第１ユニット５５１の左右方向（矢印Ｌ−Ｒ方向）の反対側に配置される。これにより、後述する分岐通路から第１ユニット５５１の左右方向の両側に遊技球を送球することができる。
【０１７７】
第２経路部材５７０は、第１経路部材５６０の正面板５６４と対向する板状のベース板５７１と、そのベース板５７１の正面から第１経路部材５６０側に突設される第４壁部５７３と、その第４壁部５７３から下方側に所定の距離離間する位置に突設される第５壁部５７４と、その第５壁部５７４から下方側に所定の距離離間する位置に突設される第６壁部５７５と、を主に備えて形成される。
【０１７８】
ベース板５７１は、第１経路部材５６０の正面板５６４と遊技球の直径よりも若干大きい距離を隔てる位置に配設される。これにより、正面板５６４とベース板５７１との間に遊技球を流下させることができる。また、ベース板５７１は、第１受入部５６１、第２受入部５６２及び第３受入部５６３のそれぞれに対応する位置に開口する第１開口部５７１ａ、第２開口部５７１ｂ及び第３開口部５７１ｃと、第１開口部５７１ａの下方に開口する第４開口部５７１ｄと、第５壁部５７４及び第６壁部５７５のそれぞれの上方に開口する第５開口部５７１ｅ及び第６開口部５７１ｆと、第５壁部５７４および第６壁部５７５の間に位置し背面側に凹設される凹設部５７１ｇと、を備える。
【０１７９】
第１開口部５７１ａ、第２開口部５７１ｂ及び第３開口部５７１ｃは、上述した第１経路部材５６０の第１受入部５６１、第２受入部５６２及び第３受入部５６３に流入する遊技球をベース板５７１の背面側に通過させる開口である。
【０１８０】
また、ベース板５７１は、第１開口部５７１ａ、第２開口部５７１ｂ及び第３開口部５７１ｃの下側端部から背面側に突出する第１転動部５７６、第２転動部５７７及び第３転動部５７８を備える。これにより、第１開口部５７１ａを通過する遊技球は、後述する第３経路部材５８０に、第２開口部５７１ｂ又は第３開口部５７１ｃを通過する遊技球は、後述する第２ユニット５５２に、それぞれ送球される。
【０１８１】
第１開口部５７１ａ及び第４開口部５７１ｄは、背面側に後述する第３経路部材５８０の一部が覆設される。これにより、第１開口部５７１ａを通過する遊技球は、第４開口部５７１ｄからベース板５７１の正面側（矢印Ｆ方向側）に送球される。
【０１８２】
第４壁部５７３は、第４開口部５７１ｄの下側端部に沿ってベース板５７１から突設されると共に、左右方向（矢印Ｌ−Ｒ方向）に延設される。また、第４壁部５７３は、ベース板５７１の正面視左側に開口される第４開口部５７１ｄ側から正面視右側（矢印Ｒ方向側）に向かう程、上面が下方に傾斜して形成される。これにより、第４開口部５７１ｄを通過してベース板５７１の正面側に送球される遊技球を、第４壁部５７３の上面に乗せると共に、第４壁部５７３の上面の傾斜によりベース板５７１の右側（矢印Ｒ方向側）に送球できる。
【０１８３】
第５壁部５７４は、上述した第１壁部５６５の湾曲壁部５６５ｂから送球される遊技球の転動面となる部分であり、第４壁部５７３の下面と直交する方向に遊技球の直径よりも下方側に離間する位置に突設されると共に、ベース板５７１の左右方向（矢印Ｌ−Ｒ方向）に延設される。また、第５壁部は、湾曲壁部５６５ｂ側（矢印Ｒ方向側）から後述する凹設部５７４ｇ側（矢印Ｌ方向側）に向かう程、上面（矢印Ｕ方向側の面）が下方に傾斜して形成される。これにより、湾曲壁部５６５ｂから第５壁部５７４の上面に送球される遊技球を、凹設部５７４ｇ側に転動させることができる。さらに、第５壁部５７４は、遊技球の転動面に下方側に向かって凹む第１受入凹部５７４ａ及び第２受入凹部５７４ｂを備える。
【０１８４】
第１受入凹部５７４ａ及び第２受入凹部５７４ｂは、第５壁部５７４の延設方向に並設される。また、第１受入凹部５７４ａ及び第２受入凹部５７４ｂは、凹設幅および凹設深さが、遊技球の直径よりも大きい寸法に設定される。さらに、第１受入凹部５７４ａ及び第２受入凹部５７４ｂの内側には、ベース板５７１に開口する第５開口部５７１ｅが形成される。これにより、第１受入凹部５７４ａ又は第２受入凹部５７４ｂに流入する遊技球は、第５開口部５７１ｅを通過してベース板５７１の背面側に送球される。
【０１８５】
凹設部５７４ｇは、第５壁部５７４の下流側端部（矢印Ｌ方向側の端部）の上方に形成されており、第５壁部５７４の上面を転動する遊技球を凹設部５７４ｇの内側に流入させると共に凹設部５７４ｇの下方（矢印Ｄ方向）に形成される第６壁部５７５の上部に送球することができる。
【０１８６】
第６壁部５７５は、第５壁部５７４を転動して凹設部５７４ｇに送球される遊技球の転動面となる部分であり、第５壁部５７４の下面から下方側に遊技球の直径よりも離間する位置でベース板５７１から突設され、ベース板５７１の左右方向（矢印Ｌ−Ｒ）方向に延設される。また、第６壁部５７５は、凹設部５７４ｇ側（矢印Ｌ方向側）から上述した第３壁部５６７側に向かって上面が下方に傾斜して形成される。これにより、凹設部５７４ｇから第６壁部５７５の上面に送球される遊技球を、第３壁部５６７により形成される送球経路側に転動させることができる。また、第６壁部５７５は、遊技球の転動面に下方側に向かって凹む第３受入凹部５７５ａ及び第４受入凹部５７５ｂを備える。
【０１８７】
第３受入凹部５７５ａ及び第４受入凹部５７５ｂは、第６壁部５７５の延設方向に並設される。また、第３受入凹部５７５ａ及び第４受入凹部５７５ｂは、凹設幅および凹設深さが、遊技球の直径よりも大きい寸法に設定される。さらに、第３受入凹部５７５ａ及び第４受入凹部５７５ｂの内側には、ベース板５７１に開口する第６開口部５７１ｆが形成される。これにより、第３受入凹部５７５ａ及び第４受入凹部５７５ｂに流入した遊技球は、第６開口部５７１ｆを通過してベース板５７１の背面側に送球される。
【０１８８】
第３経路部材５８０は、第２経路部材５７０の重力方向上方側（矢印Ｕ方向側）の背面に配設される第１覆設部材５８１と、第２経路部材５７０の重力方向下方側（矢印Ｄ方向側）の背面に配設される第２覆設部材５８２と、第１覆設部材５８１及び第２覆設部材５８２の間に配設される第１駆動ユニット５８３と、第２覆設部材５８２の背面に配設される第２駆動ユニット５８４とを主に備えて構成される。
【０１８９】
第１覆設部材５８１は、上述した第１開口部５７１ａ及び第４開口部５７１ｄの背面側に配設される湾曲部５８１ａと、その湾曲部５８１ａの下方側に連なる板状の取付部５８１ｂと、を主に備える。
【０１９０】
湾曲部５８１ａは、第１開口部５７１ａ及び第４開口部５７１ｄ（第２経路部材５７０）側が開放される断面Ｕ字状に湾曲して形成され、その内側に第１転動部５７６が配設される（図２４（ａ）参照）。また、湾曲部５８１ａの湾曲内側の壁面と第１転動部５７６の突設先端部との離間距離は、遊技球の直径よりも大きく設定される。これにより、第１転動部５７６を転動する遊技球を湾曲部５８１ａの内壁に沿って流下させて、第１転動部５７６の下方側に送球することができる。よって、背面側に湾曲する湾曲部５８１ａに遊技球を送球することで、遊技球の転動時間を長くすることができる。その結果、遊技盤１３の遊技領域と平行な平面上に遊技球の転動面を確保できない場合でも、遊技球の転動速度を遅くすることができる。
【０１９１】
さらに、湾曲部５８１ａは、下方側の端部が、第４開口部５７１ｄの下側内縁よりも若干高い位置に配置される。これにより、第１転動部５７６から湾曲部５８１ａの内壁に沿って流下されて第４開口部５７１ｄに送球された遊技球が逆流して、湾曲部５８１ａの内側に流入することを抑制できる。
【０１９２】
取付部５８１ｂは、第１覆設部材５８１を第２経路部材５７０の背面に締結するためのネジを挿通する貫通孔５８１ｂ１が２箇所に貫通形成される。また、取付部５８１ｂは、背面側に向かって円柱状に突設される柱状体５５１ａを備える。柱状体５５１ａは、後述する第２ユニット５５２を第１ユニット５５１に締結するためのネジ穴が先端に穿設される。これにより、第２ユニット５５２の背面側から挿通されるネジを柱状体５５１ａに螺合させて第１ユニット５５１と第２ユニット５５２とを締結することができる。
【０１９３】
第２覆設部材５８２は、第６開口部５７１ｆの背面側に配設される第２湾曲部５８２ａと、第１受入凹部５７４ａ〜第４受入凹部５７５ｂの背面側に配設される背面側壁部５８２ｂと、を主に備える。
【０１９４】
第２湾曲部５８２ａは、第６開口部５７１ｆ（第２経路部材５７０）側が開放される断面Ｕ字状に湾曲して形成される（図２４（ｃ）参照）。また、第２湾曲部５８２ａは、正面側から背面側に向かって立設される立設壁５８２ａ１をＵ字の内側に備える。立設壁５８２ａ１により、第２湾曲部５８２ａの内部空間が、正面視左側（矢印Ｌ方向側）の第１空間５８２ａ２と、立設壁５８２ａ１を間に挟んで第１空間５８２ａ２の隣に形成される第２空間５８２ａ３とに分けられる。
【０１９５】
第１空間５８２ａ２及び第２空間５８２ａ３は、遊技球の直径よりも大きい空間であり、正面側から背面側に向かって形成される。また、第１空間５８２ａ２及び第２空間５８２ａ３は、背面側で連結される。また、第１空間５８２ａ２の内面は、背面側に向かう程、下方に傾斜して形成され、第２空間５８２ａ３の内面は正面側に向かう程、下方に傾斜して形成される。これにより、凹設部５７１ｇから第２湾曲部５８２ａに送球される遊技球は、第１空間５８２ａ２の傾斜により、背面側に転動されると共に背面側の端部で第２湾曲部５８２ａの湾曲により第２空間５８２ａ３に送球され、第２空間５８２ａ３の傾斜により正面側に転動され、第６開口部５７１ｆの開口を通過して、ベース板５７１の正面側に送球される。
【０１９６】
背面側壁部５８２ｂは、第１受入凹部５７４ａ〜第４受入凹部５７５ｂに送球されて、第５開口部５７１ｅ及び第６開口部５７１ｆを通過する遊技球を特別入賞装置５５０の下方に案内する送球経路の背面側の壁部である。これにより、第１受入凹部５７４ａ〜第４受入凹部５７５ｂに送球される遊技球を回収することができる。従って、第１受入凹部５７４ａ〜第４受入凹部５７５ｂに送球されて、後述する検出装置ＳＥ３〜ＳＥ６を通過して遊技価値を遊技者に付与した遊技球が再度遊技領域を流下して、遊技価値が再度遊技者に付与されることを防止できる。
【０１９７】
第１駆動ユニット５８３は、電力により前後方向に変位する軸を備える第１ソレノイド５８３ａと、その第１ソレノイド５８３ａの軸に連結される第１可変板５８３ｂと、第１ソレノイド５８３ａ及び第１可変板５８３ｂの周囲を囲む第１保護部材５８３ｃと、を主に備える。
【０１９８】
第１可変板５８３ｂは、左右方向（矢印Ｌ−Ｒ方向）に長い矩形状の板部材であり、第１ソレノイド５８３ａの軸の変位に合わせて前後方向（矢印Ｆ−Ｂ方向）に変位される。また、第１可変板５８３ｂが正面側に張り出された状態では、その第１可変板５８３ｂの先端が上述した第５開口部５７１ｅに挿入されると共に、第１受入凹部５７４ａ及び第２受入凹部５７４ｂの上側に配置される。これにより、第１可変板５８３ｂが正面側に張り出された状態では、その第１可変板５８３ｂにより第１受入凹部５７４ａ及び第２受入凹部５７４ｂへの遊技球の流入を防止することができる。
【０１９９】
第１保護部材５８３ｃは、第２経路部材５７０側が開放する箱状に形成され、その内部に第１ソレノイド５８３ａの軸と第１可変板５８３ｂとを連結する機構が配設される。また、第１保護部材５８３ｃは、前後方向に貫通する貫通孔５８３ｃ１を複数備える。
【０２００】
貫通孔５８３ｃ１は、第１駆動ユニット５８３を第２経路部材５７０に締結するためのネジを挿通する部分である。貫通孔５８３ｃ１を挿通されたネジは、第１覆設部材５８１の貫通孔５８１ｂ１、又は、第２覆設部材５８２の貫通孔５８２ｂ１を挿通されて、第２経路部材５７０に穿設される孔に螺合される。よって、第１駆動ユニット５８３を第２経路部材５７０に配設することで、第１覆設部材５８１及び第２覆設部材５８２を第２経路部材５７０に配設することができる。これにより、第１覆設部材５８１及び第２覆設部材５８２のネジの締結部分を少なくすることができ、製造コストを削減できる。
【０２０１】
また、第１覆設部材５８１又は第２覆設部材５８２を第２経路部材５７０と第１駆動ユニット５８３との間に挟んだ状態とすることができるので、第１駆動ユニット５８３が、特別入賞装置５５０から無理に外された場合に、第１覆設部材５８１又は第２覆設部材５８２と第２経路部材５７０との締結を不完全として、遊技球が第１覆設部材５８１又は第２覆設部材５８２を通過できない状態としやすい。その結果、不正がされた状態で、遊技が継続されることを抑制できる。
【０２０２】
第２駆動ユニット５８４は、第１駆動ユニット５８３と同様に、電力により前後方向に変位する軸を備える第２ソレノイド５８４ａと、その第２ソレノイド５８４ａの軸に連結される第２可変板５８４ｂと、第２ソレノイド５８４ａ及び第２可変板５８４ｂの周囲を覆う第２保護部材５８４ｃと、を主に備える。
【０２０３】
第２可変板５８４ｂは、左右方向（矢印Ｌ−Ｒ方向）に長い板状体から形成されると共に、正面視においてクランク状に屈曲して形成される。また、第２可変板５８４ｂが正面側に張り出された状態では、その第２可変板５８４ｂの先端が、上述した第６開口部５７１ｆに挿入されると共に、第３受入凹部５７５ａ及び第４受入凹部５７５ｂの上側に配置される。これにより、第２可変板５８４ｂが正面側に張り出された状態では、その第２可変板５８４ｂにより第３受入凹部５７５ａ及び第４受入凹部５７５ｂへの遊技球の流入を防止することができる。
【０２０４】
第２保護部材５８４ｃは、第２経路部材５７０側が開放する箱状に形成され、その内部に第２ソレノイド５８４ａの軸と第２可変板５８４ｂとを連結する機構が配設される。また、第２保護部材５８４ｃは、第１経路部材５６０の第２壁部５６６により形成される送球経路の背面側を覆う背面側壁部５８４ｃ１を備える。これにより、背面側壁部５８４ｃ１と第２壁部５６６とで送球経路を形成できるだけでなく、背面側壁部５８４ｃ１と第２壁部５６６とで、第２経路部材５７０を覆うことができる。その結果、第１ユニット５５１の側面から不正部材が挿入されて、第２経路部材５７０に配設される検出装置ＳＥ３〜ＳＥ６に不正が行われることを抑制しやすくできる。
【０２０５】
次いで、図２１から図２４を参照して第１受入部５６１から第１ユニット５５１の内部に流入する遊技球の送球経路について説明する。図２１は、図１８（ｂ）のＸＸＩ−ＸＸＩ線における第１ユニット５５１の断面図である。図２２は、図２１に示す第１ユニット５５１の模式断面図である。図２３は、図１８（ｂ）のＸＸＩＩＩ−ＸＸＩＩＩ線における第１ユニット５５１の断面図である。図２４（ａ）は、図２１のＸＸＩＶａ−ＸＸＩＶａ線における第１ユニット５５１の断面図であり、図２４（ｂ）は、図２１のＸＸＩＶｂ−ＸＸＩＶｂ線における第１ユニット５５１の断面図であり、図２４（ｃ）は、図２１のＸＸＩＶｃ−ＸＸＩＶｃ線における第１ユニット５５１の断面図である。
【０２０６】
なお、第１ユニット内部に流入する遊技球は、遊技球の主経路ＳＫ１〜ＳＫ６を主経路ＳＫ１、主経路ＳＫ２、主経路ＳＫ３、主経路ＳＫ４、主経路ＳＫ５、主経路ＳＫ６の順に流下する。又は、主経路ＳＫ１〜ＳＫ６を流下する途中の主経路ＳＫ３から主経路ＳＫ３に連通する副経路ＨＫ１に流入されて副経路ＨＫ１を流下する。もしくは、主経路ＳＫ１〜主経路ＳＫ６を流下する途中の主経路ＳＫ５から主経路ＳＫ５に連通する副経路ＨＫ２又は副経路ＨＫ３のどちらかに流入されて副経路ＨＫ２又は副経路ＨＫ３のどちらかを流下する。
【０２０７】
また、副経路ＨＫ１〜ＨＫ３には、遊技球の通過を検知する検出装置ＳＥ３〜ＳＥ６が配設されており、その検出装置ＳＥ３〜ＳＥ６の遊技球の検出により、遊技者に所定の遊技価値が付与される。本実施形態では、所定の球数の賞球により、遊技者に遊技価値が付与される。
【０２０８】
図２１から図２４に示すように、主経路ＳＫ１は、第１覆設部材５８１の湾曲部５８１ａ及び第２経路部材５７０の第１転動部５７６（図２４（ａ）参照）により形成される空間であり、第１開口部５７１ａと第４開口部５７１ｄとを連通する。上述したように、湾曲部５８１ａは、第１開口部５７１ａ及び第４開口部５７１ｄ（第２経路部材５７０）側が開放される断面Ｕ字状に湾曲して形成され、主経路ＳＫ１を通過する遊技球を背面側に迂回させることができる。これにより、正面視における領域が限られる空間（第１開口部５７１ａ又は第４開口部５７１ｄの内側を遊技球が通過する際に、遊技球の左右方向における移動量を少なくすることができるので、主経路ＳＫ１を通過する遊技球を遊技者に視認させやすくすることができる。これにより、第１ユニット５５１を通過する遊技球を遊技者に視認させやすくして、遊技者の興趣を高めることができる。
【０２０９】
また、後述するように、主経路ＳＫ１に流入する遊技球は、遊技者に所定の遊技価値が付与されるので、遊技者に遊技価値が付与される可能性がある遊技球の転動を遊技者に視認させやすくできる。その結果、遊技者に興趣を与えやすくすることができる。なお、主経路ＳＫ１は、後述する主経路ＳＫ２と連通されており、主経路ＳＫ１を通過する遊技球を主経路ＳＫ２に流入させることができる。
【０２１０】
また、主経路ＳＫ１の湾曲部５８１ａは、上述したセンターフレーム８６の凹部８６ｂ２（図１７参照）に収容されて配設される。これにより、主経路ＳＫ１に遊技球が詰まった（流れが遅い）場合に、その不具合を検出装置８６ｂ３（図１７参照）により検出して、エラーを報知することができる。
【０２１１】
さらに、主経路ＳＫ１の通路幅は、遊技球の直径よりも若干大きく設定されると共に、検出装置ＳＥ３〜ＳＥ７（図２３参照）の遊技球が通過する開口よりも小さく設定される。これにより、基準の遊技球の直径（１１ミリメートル）よりも直径の大きい遊技球（不正な遊技球）が製造されて、その球で不正（遊技）が行われた場合に、その球を主経路ＳＫ１の内側に留めることができる。よって、不正な遊技球が、主経路ＳＫ１の下流側に配設される検出装置ＳＥ３〜ＳＥ７に流下して不正が行われることを抑制できる。また、不正な遊技球を主経路ＳＫ１に留めることで、検出装置８６ｂ３（図１７参照）により検出して、エラー（不正）を報知することができる。なお、この場合の不正とは、検出装置ＳＥ３〜ＳＥ７のいずれかの開口に不正な遊技球を嵌めて、検出装置ＳＥ３〜ＳＥ７に検出を継続させて、不正な遊技球の払い出し（遊技価値）を得ることである。
【０２１２】
主経路ＳＫ２は、第１経路部材５６０の第１壁部５６５と、第２経路部材５７０の第４壁部５７３との間に形成される空間である。主経路ＳＫ２に流入される遊技球は、第４壁部５７３の上面を転動して流下される。上述したように、第４壁部５７３は、左右方向（矢印Ｌ−Ｒ方向）に延設され第４開口部５７１ｄから離間するにつれて下降傾斜して形成される。
【０２１３】
従って、上述した湾曲部５８１ａ（背面側への湾曲経路）は、遊技球の送球方向の切り替え部分（主経路ＳＫ１と主経路ＳＫ２との連結部分）に形成されるので、遊技者が、主経路ＳＫ１を流下する遊技球を見失うことを抑制できる。即ち、左右方向に延びる直線状の送球経路（例えば、主経路ＳＫ２）の途中に背面側に湾曲する経路が形成される場合には、その湾曲する経路で一定の加速度で転動する遊技球の加速度が変化される（小さくなる）ので、遊技球を追っていた目線が遊技球よりも先行してしまうことで、遊技者が遊技球を見失う恐れがある。
【０２１４】
これに対し、遊技球の転動方向が切り替えられて本来遊技球の転動速度が遅くされる部分に背面側への湾曲経路を形成するので、遊技者の目線が遊技球よりも先行することを抑制して、遊技者が遊技球を見失うことを抑制できる。
【０２１５】
また、主経路ＳＫ１の内壁である湾曲部５８１ａは、遊技盤１３の左右方向中央部に対して若干右方（矢印Ｒ方向）に配設される第１ユニット５５１の正面視左側（矢印Ｌ方向側の端部）に形成される。よって、遊技盤１３の正面に位置する遊技者から第１ユニット５５１を視認しやすい側に、背面側への湾曲経路（主経路ＳＫ１）が形成されるので、遊技者が主経路ＳＫ１から主経路ＳＫ２を通過する遊技球を見失うことを抑制しやすくできる。
【０２１６】
また、主経路ＳＫ２は、湾曲経路ＷＫ１に連通されており、湾曲経路ＷＫ１を介して、後述する主経路ＳＫ３と連通される。これにより、主経路ＳＫ２を通過する遊技球は、湾曲経路ＷＫ１を介して、主経路ＳＫ３に流入される。なお、湾曲経路ＷＫ１についての詳しい説明は後述する。
【０２１７】
主経路ＳＫ３は、第２経路部材５７０の第４壁部５７３と、第５壁部５７４との間に形成される空間である。主経路ＳＫ３に流入される遊技球は、第５壁部５７４の上面を転動して流下される。また、主経路ＳＫ３には、上述した第１駆動ユニット５８３の第１可変板５８３ｂが張出時に主経路ＳＫ３上に突出される。この主経路ＳＫ３上に第１可変板５８３ｂが突出した状態では、第５壁部５７４の上部を転動する遊技球が、第１可変板５８３ｂの上面を転動して主経路ＳＫ４に送球される。
【０２１８】
一方、主経路ＳＫ３上から第１可変板５８３ｂが退避した状態では、第５壁部５７４に形成される第１受入凹部５７４ａ及び第２受入凹部５７４ｂの内部に形成される空間の副経路ＨＫ１に遊技球が流入される。副経路ＨＫ１は、第５開口部５７１ｅを介して背面側壁部５８２ｂにより形成される回収経路に送球される。
【０２１９】
この様に、第１ユニット５５１は、遊技球の送球経路上に張り出し、又は、送球経路上から退避する第１可変板５８３ｂを備え、第１可変板５８３ｂの変位により、第１ユニット５５１の主経路ＳＫ３を流下する遊技球が副経路ＨＫ１に案内される場合と、主経路ＳＫ４に案内される場合と、に変更することができるので、第１ユニット５５１を流下する遊技球の流下方向に変化を与えることができる。
【０２２０】
この場合、副経路ＨＫ１に流入する遊技球は、遊技者に所定の遊技価値が付与されるので、遊技者に、遊技球が副経路ＨＫ１に流入したかどうかを注視させることができる。また、第１可変板５８３ｂは、第１ユニット５５１に形成される送球経路の途中に配置され、遊技者の視認方向（矢印Ｆ−Ｂ方向）に変位されるので、遊技者から第１可変板５８３ｂの変位を視認させにくくすることができる。その結果、第１ユニット５５１の流下する遊技球に注視させることができ、遊技者に遊技球の流下による興趣を与えやすくできる。
【０２２１】
また、副経路ＨＫ１は、正面視において遊技球を右側（矢印Ｒ方向側）から左側（矢印Ｌ方向側）に送球する主経路ＳＫ３と、その主経路ＳＫ３の下方に位置し遊技球を左側から右側に送球する主経路ＳＫ６との間を形成する第５壁部５７４に形成される。従って、副経路ＨＫ１は、遊技球を左右に送球させる間の空間を利用して形成されるので、第１ユニット５５１の外形が上下方向に大きくなることを抑制できる。その結果、第１ユニット５５１の外形を小さくすることで、遊技者が遊技球を目で追う範囲を狭めることができ、遊技者に第１ユニット５５１を流下する遊技球を視認させやすくすることができる。
【０２２２】
主経路ＳＫ４は、凹設部５７１ｇと第１経路部材５６０の突起５６８とにより形成される空間である。主経路ＳＫ４に流入する遊技球は、突起５６８に当接して凹設部５７１ｇの内側（背面側）に送球された後に、凹設部の内面に沿って突起５６８の周囲を転動して凹設部の外側（正面側）に送球される。即ち、遊技球は、突起５６８を迂回するように転動される。また、主経路ＳＫ４は、主経路ＳＫ５に連通されており、主経路ＳＫ４を通過する遊技球を主経路ＳＫ５に流入させることができる。
【０２２３】
主経路ＳＫ５は、上述した第３経路部材５８０の第２覆設部材５８２の第１空間５８２ａ２及び第２空間５８２ａ３により形成される空間である。主経路ＳＫ５に流入される遊技球は、上述したように第１空間５８２ａ２の内部を背面側に転動した後に、第２空間５８２ａ３の内部を正面側に転動される。また、主経路ＳＫ５には、上述した第２駆動ユニット５８４の第２可変板５８４ｂが張出時に主経路ＳＫ５上に突出する。この主経路ＳＫ５上に第２可変板５８４ｂが突出した状態では、第２湾曲部５８２ａの内部を転動する遊技球が、主経路ＳＫ６に送球される。
【０２２４】
一方、主経路ＳＫ５上から第２可変板５８４ｂが退避した状態では、第６壁部５７５に形成される第３受入凹部５７５ａ及び第４受入凹部５７５ｂの内部に形成される空間の副経路ＨＫ２に遊技球が流下される。副経路ＨＫ２は、第６開口部５７１ｆを介して背面側壁部５８２ｂにより形成される回収経路に送球される。
【０２２５】
また、主経路ＳＫ５を構成する第２湾曲部５８２ａは、上述したように背面側に湾曲して形成されており、主経路ＳＫ５を通過する遊技球を背面側に迂回させることができる。これにより、正面視における領域が所定の限られた空間に設定される場合でも、遊技球が転動可能な距離を長くすることができる。
【０２２６】
さらに、第２可変板５８４ｂは、主経路ＳＫ５の上流側の一部と、主経路ＳＫ５の下流側の一部とで張出し、又は、退避の変位がされるように構成され、それら主経路ＳＫ５の上流側と主経路ＳＫ５の下流側との間に背面側への湾曲経路が形成されるので、主経路ＳＫ５を通過する遊技球により遊技者に遊技価値が付与される可能性がある時間を長くできる。その結果、遊技者に興趣を与える時間を長くすることができる。
【０２２７】
主経路ＳＫ４と主経路ＳＫ５との連通部分には、副経路ＨＫ３が連通される。副経路ＨＫ３は、第１経路部材５６０の第２壁部５６６と、第３経路部材５８０の背面側壁部５８４ｃ１との対向間に形成される空間である。
【０２２８】
副経路ＨＫ３は、主経路ＳＫ４から主経路ＳＫ５に遊技球が流入した際の遊技球の流下方向（正面視右方向（矢印Ｒ方向）と異なる方向（正面視左方向（矢印Ｌ方向））に開口される。また、副経路ＨＫ３は、その流入口の下側内縁が第２可変板５８４ｂよりも下方（矢印Ｄ方向）に設定される。
【０２２９】
ここで、遊技球が主経路ＳＫ４から主経路ＳＫ５に正常に（重力以外の外力が作用しない状態で）流下する場合には、主経路ＳＫ４から主経路ＳＫ５又は副経路ＨＫ２に遊技球が流入される。一方、遊技球が主経路ＳＫ４から副経路ＨＫ２に流入するタイミングで第２可変板５８４ｂが張出されて第２可変板５８４ｂの先端面と遊技球が当接して、遊技球に重力以外の外力が作用した場合には、第２可変板５８４ｂにより副経路ＨＫ３の流入口に遊技球が押し出されて副経路ＨＫ３に流入される。
【０２３０】
よって、第１ユニット５５１は、遊技球の送球経路上に張り出し、又は、送球経路上から退避する第２可変板５８４ｂを備え、第２可変板５８４ｂの変位により、第１ユニット５５１の主経路ＳＫ４又は主経路ＳＫ５を流下する遊技球が主経路ＳＫ５、副経路ＨＫ２又は副経路ＨＫ３のいずれかに案内されるので、第１ユニット５５１を流下する遊技球の流下方向に変化を与えることができる。
【０２３１】
この場合、副経路ＨＫ２又は副経路ＨＫ３に流入する遊技球により遊技者に所定の遊技価値が付与されるので、遊技者に、遊技球が副経路ＨＫ２又は副経路ＨＫ３に流入したかどうかを注視させることができる。また、第２可変板５８４ｂは、第１ユニット５５１に形成される送球経路の途中に配置されるので、遊技者から板部材５８４ｂ２の変位を視認させにくくすることができる。その結果、第１ユニット５５１を流下する遊技球に注視させることができ、遊技者に遊技球の流下による興趣を与えやすくできる。
【０２３２】
また、上述したように、主経路ＳＫ４を挟んで上流側では、第１可変板５８３ｂにより、遊技球の流下する経路が切り替えられる。よって、上流側の副経路ＨＫ１に流入せず遊技者に遊技価値が付与されていない遊技球をさらに下流に流下させて副経路ＨＫ２又はＨＫ３に流入させることができる。従って、遊技者に遊技価値が一度付与される可能性があった遊技球を流下経路の切り替え部分を通過させることで、遊技球が副経路ＨＫ２及びＨＫ３に流入する願望を遊技者に再度持たせることができる。
【０２３３】
さらに、遊技球の流下する経路が切り替えられる主経路ＳＫ３と主経路ＳＫ５との間には、背面側に湾曲する主経路ＳＫ４が配設される。従って、正面視における所定の範囲内で遊技球を転動させることができ、遊技者に遊技球の位置を認識させやすくできる。即ち、主経路ＳＫ３を流下した後に、主経路ＳＫ４を通して遊技球の位置を遊技者に認識させることで、主経路ＳＫ４の下流に連結される主経路ＳＫ５を転動する遊技球を遊技者に注視させやすくできる。その結果、遊技球が副経路ＨＫ２及びＨＫ３に流入する遊技球を遊技者に視認させやすくでき、遊技者の興趣を向上できる。
【０２３４】
また、第２可変いた５８４ｂの正面側の左右の両端部には、左右方向の端部に向かう程、背面側に傾斜する傾斜面５８４ｂ１（図２４（ｃ）参照）が形成される。これにより、遊技球が主経路ＳＫ４から副経路ＨＫ２に流入するタイミングで第２可変板５８４ｂが張出されて第２可変板５８４ｂの先端面と遊技球とが当接した際に、傾斜面５８４ｂ１により遊技球を副経路ＨＫ３の流入口側に押し出すことができる。従って、傾斜面５８４ｂ１及び副経路ＨＫ２により第２可変板５８４ｂと第１経路部材５６０との間に遊技球が挟まることを防止することができると共に、遊技球が流下されるタイミングの違いにより流下方向が切り替えられる経路を複数（本実施形態では３経路）形成することができる。
【０２３５】
主経路ＳＫ６は、第１経路部材５６０の第３壁部５６７で囲われる空間である。主経路ＳＫ６を流下する遊技球は、遊技盤１３の遊技領域に送球される。従って、第１受入部５６１に流入した遊技球が、第１受入凹部５７４ａ〜第４受入凹部５７５ｂに流入されない場合には、遊技者に遊技価値が付与されず、主経路ＳＫ６から遊技盤１３の遊技領域に送球されて、遊技盤１３に形成されるアウト口７１から回収される。
【０２３６】
＜遊技球を前後方向に変位させる案内手段＞
次いで、図２５から図２８を参照して、主経路ＳＫ２から主経路ＳＫ３への遊技球の流下について説明する。図２５（ａ）及び図２６（ａ）は、図２１の範囲ＸＸＶａにおける第１ユニット５５１の部分拡大図であり、図２５（ｂ）及び図２６（ｂ）は、図２５（ａ）のＸＸＶｂ−ＸＸＶｂ線における第１ユニット５５１の断面図である。図２７（ａ）は、図２５（ａ）のＸＸＶＩＩａ−ＸＸＶＩＩａ線における第１ユニット５５１の模式断面図であり、図２７（ｂ）は、図２５（ａ）のＸＸＶＩＩｂ−ＸＸＶＩＩｂ線における第１ユニット５５１の模式断面図であり、図２７（ｃ）は、図２５（ａ）のＸＸＶＩＩｃ−ＸＸＶＩＩｃ線における第１ユニット５５１の模式断面図である。図２８（ａ）は、図２５（ａ）のＸＸＶｂ−ＸＸＶｂ線における第１ユニット５５１の模式断面図であり、図２８（ｂ）は、図２５（ａ）のＸＸＶＩＩＩｂ−ＸＸＶＩＩＩｂ線における第１ユニット５５１の模式断面図である。なお、図２６では、湾曲経路ＷＫ１を流下する遊技球が図示される。
【０２３７】
図２５から図２８に示すように、主経路ＳＫ２、主経路ＳＫ３及び湾曲経路ＷＫ１は、第２経路部材５７０のベース板５７１に、背面側に向かって断面円弧状に凹設される第１凹部５７１ｈ、第２凹部５７１ｉ及び第３凹部５７１ｊと、主経路ＳＫ２上の内壁から正面側に階段状に突出する第１段部５７１ｋと、主経路ＳＫ３上の内壁から階段状に突出する第２段部５７１ｍと、を備える。
【０２３８】
第１経路部材５６０の正面板５６４は、第１凹部５７１ｈ、第２凹部５７１ｉ及び第３凹部５７１ｊと対向する位置に、それぞれ第１凸部５６４ｂ、第２凸部５６４ｃ及び第３凸部５６４ｄが突設される。
【０２３９】
第２凹部５７１ｉと第２凸部５６４ｃとの対向間寸法Ｌ１１（図２８（ａ）参照）は、遊技球の直径よりも大きい値に設定されると共に、正面板５６４及びベース板５７１の対向間の距離寸法Ｌ１２（図２８（ａ）参照）よりも小さい値に設定される。これにより、第１凹部５７１ｈ、第２凹部５７１ｉ及び第３凹部５７１ｊと、第１凸部５６４ｂ、第２凸部５６４ｃ及び第３凸部５６４ｄとの対向間に送球される遊技球を第１凹部５７１ｈ、第２凹部５７１ｉ及び第３凹部５７１ｊと、第１凸部５６４ｂ、第２凸部５６４ｃ及び第３凸部５６４ｄに当接させて、遊技球の転動（流下）速度を遅くすることができる。
【０２４０】
また、第１凹部５７１ｈ及び第１凸部５６４ｂの対向間寸法と、第３凹部５７１ｊ及び第３凸部５６４ｄの対向間寸法とは、第２凹部５７１ｉと第２凸部５６４ｃとの対向間寸法Ｌ１１と略同一の距離に設定される。
【０２４１】
さらに、第１凸部５６４ｂ、第２凸部５６４ｃ及び第３凸部５６４ｄの突設先端面と、第１凹部５７１ｈ、第２凹部５７１ｉ及び第３凹部５７１ｊを除くベース板５７１の正面との対向間の距離寸法Ｌ１３（図２８（ａ）参照）は、遊技球の直径よりも小さく設定される。これにより、第１凹部５７１ｈ、第２凹部５７１ｉ及び第３凹部５７１ｊと、第１凸部５６４ｂ、第２凸部５６４ｃ及び第３凸部５６４ｄとの対向間に送球される遊技球を第１凸部５６４ｂ、第２凸部５６４ｃ及び第３凸部５６４ｄに衝突させることができる。その結果、遊技球の転動（流下）速度を遅くすることができる。
【０２４２】
また、この場合、第１凸部５６４ｂ、第２凸部５６４ｃ及び第３凸部５６４ｄに当接した遊技球は、第１凹部５７１ｈ、第２凹部５７１ｉ及び第３凹部５７１ｊの内側を流下される。従って、流下する遊技球を第１凹部５７１ｈ、第２凹部５７１ｉ及び第３凹部５７１ｊの凹設方向に案内することができる。
【０２４３】
段部５７１ｋは、主経路ＳＫ２の背面側の内壁から正面側に突出される。また、段部５７１ｋは、主経路ＳＫ２の経路内における下流側に形成される。段部５７１ｋは、主経路ＳＫ２の上流側の端部が、ベース板５７１の正面から正面側に突出した位置に設定されると共に、下流側の端部が彎曲経路ＷＫ１の背面と同一の位置に設定される。これにより、主経路ＳＫ２を流下する遊技球を、段部５７１ｋに当接させて、正面側に移動させることができる。
【０２４４】
また、段部５７１ｋは、上流側の端部が上流側から下流側に向かって正面側に突出する傾斜面として形成される。これにより、主経路ＳＫ２を流下して段部５７１ｋの上流側の端部に当接する遊技球を正面側に案内しつつ下流側に流下させることができる。
【０２４５】
さらに、段部５７１ｋは、上流側の端部が、正面板５６４に形成される第１凸部５６４ｂよりも主経路ＳＫ２の上流側に形成される。これにより、段部５７１ｋに当接して正面側に案内される遊技球を第１凸部５６４ｂに当接させやすくすることができる。
【０２４６】
第１凹部５７１ｈは、主経路ＳＫ２を構成するベース板５７１に凹設されており、正面視において、水平方向（矢印Ｌ−Ｒ方向）に長い楕円形状に形成される。また、第１凹部５７１ｈは、段部５７１ｋにより正面側に突出された位置におけるベース板５７１に形成される。第１凹部５７１ｈの上下方向の中心における背面側への凹設深さは、段部５７１ｋの正面側への高さ寸法Ｌ２２（図２７（ｂ）参照）と、略同一に設定される。これにより、暴れずに主経路ＳＫ２を送球される遊技球を、第１凹部５７１ｈの凹設方向（背面側（矢印Ｂ方向側）に変位させなくても、第１凹部５７１ｈの内側に流入させることができる。
【０２４７】
一方、暴れた状態で主経路ＳＫ２を送球される遊技球は、段部５７１ｋの上流側の端部に当接させて、主経路ＳＫ２の正面側に案内して、正面板５６４の第１凸部５６４ｂに当接させる。これにより、遊技球の暴れを抑制しつつ、遊技球を第１凹部５７１ｈの内側に送球することができる。
【０２４８】
さらに、第１凹部５７１ｈは、主経路ＳＫ２の上流側における遊技球の転動面（第４壁部５７３の矢印Ｕ方向側の面）から直交する方向の凹設底面までの高さ寸法Ｙ８（図２５（ａ）参照）が遊技球の半径分に設定され、主経路ＳＫ２の下流側における遊技球の転動面（第４壁部５７３の矢印Ｕ方向側の面）から直交する方向の凹設底面までの高さ寸法Ｙ９（図２５（ａ）参照）が遊技球の半径分よりも高く設定される。これにより、主経路ＳＫ２を流下する遊技球を第１凹部５７１ｈに沿って送球する際に、重力方向上側（矢印Ｕ方向側）に持ち上がる方向の抵抗を遊技球に作用させて、遊技球の転動速度を小さくすることができる。その結果、湾曲経路ＷＫ１に流入する遊技球の転動速度を十分に小さくすることができ、遊技球をスムーズに流下させやすくすることができる。
【０２４９】
第１凹部５７１ｈの断面における半径Ｘ１１（図２７（ｂ）参照）は、遊技球の半径よりも大きい値に設定されており、第１凹部５７１ｈの内側に遊技球が送球された際に、その内壁に遊技球を当接可能とされる。これにより、第１凹部５７１ｈと当接する遊技球の当接部分が２箇所になることを抑制して、当接部分が増えることによる遊技球の転動に対する抵抗が大きくなることを抑制できる。その結果、遊技球が主経路ＳＫ２で停止することを抑制できる。
【０２５０】
第１凹部５７１ｈと対向する位置に形成される第１凸部５６４ｂは、第１凹部５７１ｈの上流側の端部から主経路ＳＫ２の遊技球の送球方向（図２７（ｂ）の矢印Ｒ方向）に離間する位置に形成され、その離間する値が遊技球の半径よりも小さい寸法に設定される。これにより、主経路ＳＫ２を流下する遊技球を第１凸部５６４ｂに当接させて第１凹部５７１ｈの内側に送球しやすくできる。
【０２５１】
第２凹部５７１ｉは、湾曲経路ＷＫ１のベース板５７１に凹設されており、正面視における外形が重力方向（矢印Ｕ−Ｄ方向）に長い楕円形状に形成される。また、第２凹部５７１ｉは、正面視における上下方向（矢印Ｕ−Ｄ方向）中央位置が、湾曲経路ＷＫ１の経路の中間位置に設定される。さらに、第２凹部５７１ｉは、正面視における左右方向（矢印Ｌ−Ｒ方向）中央位置が湾曲経路ＷＫ１の送球方向に対して直交する方向の中央位置に形成される。
【０２５２】
なお、主経路ＳＫ１、湾曲経路ＷＫ１及び主経路ＳＫ２は、正面視において遊技球の送球方向に対して直交する幅寸法Ｌ１８（図２５（ａ）参照）がすべて同一の寸法に設定されており、その幅寸法Ｌ１８が、遊技球の直径の略１．１倍に設定される。
【０２５３】
また、第１凹部５７１ｈ、第２凹部５７１ｉ及び第３凹部５７１ｊは、正面視における短手方向の最大の幅寸法が、上述した幅寸法Ｌ１８の略１／２に設定される。これにより、各経路（主経路ＳＫ１、湾曲経路ＷＫ１及び主経路ＳＫ２）を通過する遊技球の中心を第１凹部５７１ｈ、第２凹部５７１ｉ及び第３凹部５７１ｊの正面側を通過させることができるので、遊技球を第１凹部５７１ｈ、第２凹部５７１ｉ及び第３凹部５７１ｊの内側に送球しやすくできる。
【０２５４】
段部５７１ｍは、主経路ＳＫ３の背面側の内壁から正面側に突出される。また、段部５７１ｍは、主経路ＳＫ３の経路内における上流側に形成される。段部５７１ｍは、主経路ＳＫ３の下流側の端部が、ベース板５７１の正面側に突出した位置に設定されると共に、上流側の端部が彎曲経路ＷＫ１の背面と同一の位置に設定される。これにより、主経路ＳＫ３を流下する遊技球が、段部５７１ｍよりも下流側に送球された後に、段部５７１ｍを超えて上流側に逆流（跳ね返る）することを抑制できる。
【０２５５】
第３凹部５７１ｊは、主経路ＳＫ３の内壁を構成するベース板５７１に形成されており、正面視において、水平方向（矢印Ｌ−Ｒ方向）に長い楕円形状に形成される。また、第３凹部５７１ｊは、段部５７１ｍにより正面側に突出された位置におけるベース板５７１に形成される。第３凹部５７１ｊの上下方向の中心における背面側への凹設深さは、段部５７１ｍの正面側への高さ寸法Ｌ２３（図２７（ｃ）参照）と、略同一に設定される。これにより、主経路ＫＲ３を送球される遊技球を、第３凹部５７１ｊの内側から外側に流出させやすくできる。
【０２５６】
さらに、主経路ＳＫ３の下流側における第３凹部５７１ｊの端部は、後述する副経路ＨＫ１に流下する経路を切り替える第１可変板５８３ｂの主経路ＳＫ３の上流側における端部（矢印Ｒ方向側の端部）の重力方向上方（矢印Ｕ方向）に配置される。これにより、第１可変板５８３ｂの停止位置がその変位により重力方向上方にずれた場合（第１可変板５８３ｂが、湾曲壁部５６５ｂの下流側端部よりも上方に配置された場合）に、主経路ＳＫ３を通過する遊技球を第３凹部５７１ｊの内面に沿って送球することで、第１可変板５８３ｂに引っ掛かることなく送球できる。その結果、第１壁部５６５と第１可変板５８３ｂとが隣合う部分において、第１可変板５８３ｂを下方に配置する必要がなくなり、第１ユニット５５１の上下方向寸法が大きくなることを抑制できる。
【０２５７】
また、この場合、第３凹部５７１ｊは、正面視における長手方向が、水平方向（矢印Ｌ−Ｒ方向）に形成されており、主経路ＳＫ３を流下する遊技球に対して上方に離間されるので、第１壁部５６５から第１可変板５８３ｂに送球される遊技球に対して、上方側に持ち上がる方向の抵抗を作用させることができる。その結果、第１壁部５６５から第１可変板５８３ｂに送球される遊技球が、第１可変板５８３ｂに引っ掛かることを抑制できる。
【０２５８】
さらに、第１ユニット５５１は、正面視における遊技盤１３に対して水平方向の一側（矢印Ｒ方向側）に遊技球を送球する主経路ＳＫ２と、その主経路ＳＫ２から送球された遊技球を主経路ＳＫ２の案内方向と反対方向の水平方向の他側に送球する主経路ＳＫ３と、主経路ＳＫ２および主経路ＳＫ３の一側同士を連結する湾曲経路ＷＫ１と、を備え、湾曲経路ＷＫ１は、遊技盤に対して正面側または背面側の少なくとも一方に遊技球を送球する案内手段（第２凸部５６４ｃ及び第２凹部５７１ｉ）を遊技盤に対して正面側および背面側の内壁に備えるので、湾曲経路ＷＫ１を通過する遊技球を正面側または背面側（正面視における遊技盤１３の前後方向）に移動させることができる。
【０２５９】
従って、湾曲経路ＷＫ１を通過する遊技球の送球経路が正面視における前後方向に同一の平面に形成される場合よりも、主経路ＳＫ２（第１経路）を転動して加速した遊技球の流下速度を遅くすることができる。よって、遊技球の流下速度を遅くできる分、湾曲経路ＷＫ１の内壁に衝突した遊技球が主経路ＳＫ２に戻る、又は、湾曲経路ＷＫ１の内側で主経路ＳＫ２の送球方向（正面視における水平方向（矢印Ｌ−Ｒ方向））に揺れ動く（ぶれる）ことを抑制できる。これにより、湾曲経路ＷＫ１を通過する遊技球を遊技者の視線が一定方向に追うことができる。その結果、湾曲経路ＷＫ１に送球された遊技球を遊技者に視認させやすくすることができる。
【０２６０】
また、正面視における遊技盤１３に対して遊技球が水平方向（正面視左右方向）に揺れ動く（ぶれる）ことを抑制できるので、その分、主経路ＳＫ２および主経路ＳＫ３を連結する湾曲経路ＷＫ１の経路を長くして遊技球が揺れ動くことを抑制する必要がなくなり、湾曲経路ＷＫ１の経路を短くすることができる。その結果、第１ユニット５５１を遊技盤１３に対して所定の領域内に収めることができ、遊技盤１３に対する第１ユニット５５１の配設スペースを確保できる。
【０２６１】
さらに、第１凹部５７１ｈは、主経路ＳＫ２の上流側に向かって、その主経路ＳＫ２の流下方向と直交する方向（矢印Ｕ−Ｄ方向）に凹設幅が大きくされる。これにより、主経路ＳＫ２を流下する遊技球を第１凹部５７１ｈに受け入れやすくできる。また、第１凹部５７１ｈは、主経路ＳＫ２の下流側に向かって、凹設幅が小さく設定されるので、第１凹部５７１ｈに受け入れられた遊技球を同じ位置から抜け出させやすい。即ち、第１凹部５７１ｈは、主経路ＳＫ２の上流側で遊技球を受け入れやすく、主経路ＳＫ２の下流側で同じ位置から遊技球を抜け出させやすくできる。その結果、主経路ＳＫ２の下流に連通される湾曲経路ＷＫ１の第２凹部５７１ｉに遊技球を送球しやすくできる。
【０２６２】
この場合、第１凹部５７１ｈの主経路ＳＫ２の流下方向（矢印Ｒ方向）における凹設端部は、主経路ＳＫ２を送球される遊技球の転動方向において主経路ＳＫ２の転動面（第４壁部５７３の上面）を超える位置に形成される。従って、第１凹部５７１ｈを抜け出る遊技球に、主経路ＳＫ２の転動面の影響を受けにくくすることができる。その結果、第１凹部５７１ｈから抜け出た遊技球を湾曲経路ＷＫ１の第２凹部５７１ｉに送球しやすくできる。
【０２６３】
また、主経路ＳＫ２は、第４開口部５７１ｄ側から湾曲壁部５６５ｂ側（即ち、正面視左側（矢印Ｌ方向側）から正面視右側（矢印Ｒ方向側））に向かって、その経路の内部空間が正面板５６４側（正面側（矢印Ｆ方向側））に傾斜して形成される。また、主経路ＳＫ２は、その転動面（第４壁部５７３の重力方向上側の面）が正面側に向かって下降傾斜して形成される。これにより、主経路ＳＫ２を流下する遊技球を正面板５６４側を転動させやすくすることができ、その遊技球を正面板５６４に形成される第１凸部５６４ｂに当接させやすくできる。その結果、第１凸部５６４ｂで遊技球の転動速度を遅くさせやすくでき、主経路ＳＫ２を流下する遊技球が湾曲壁部５６５ｂと衝突した反力で主経路ＳＫ２を逆流することを抑制できる。その結果、遊技球の送球方向の変更箇所で遊技球を安定して流下させることができる。
【０２６４】
第２凹部５７１ｉは、その上方端部（矢印Ｕ方向側端部）が、主経路ＳＫ２（第４壁部５７３）を転動する遊技球の中心の転動軌跡に沿って直線状に描かれる仮想線ＩＬ３（図２５（ａ）参照）と接する位置に形成される。これにより、主経路ＳＫ２を比較的速い速度で送球されて湾曲経路ＷＫ１に流入する遊技球を第２凹部５７１ｉに受け入れやすくすることができる。
【０２６５】
遊技球の送球方向の変更箇所（湾曲経路ＷＫ１）には、第２凹部５７１ｉ及び第２凸部５６４ｃが形成される。上述したように、第１凸部５６４ｂ、第２凸部５６４ｃ及び第３凸部５６４ｄの突設先端面と、第１凹部５７１ｈ、第２凹部５７１ｉ及び第３凹部５７１ｊを除くベース板５７１の正面との対向間の距離寸法Ｌ１３（図２８（ａ）参照）は、遊技球の直径よりも小さく設定されるので、第２凹部５７１ｉ及び第２凸部５６４ｃの間を流下する遊技球を第２凸部５６４ｃに当接させて第２凹部５７１ｉの内側に押し入れることができる。よって、主経路ＳＫ３に流入する（第２凹部５７１ｉ及び第２凸部５６４ｃの間から抜け出る）遊技球を、第２凹部５７１ｉの内面の円弧に沿って流下させることができる。
【０２６６】
ここで、主経路ＳＫ２から湾曲経路ＷＫ１に送球された遊技球は、主経路ＳＫ２の遊技球の転動方向に寄った位置を流下しやすくなる。従って、第２凹部５７１ｉの内側を流下する遊技球は、第２凹部５７１ｉの正面視右側（矢印Ｒ方向側）の領域の内面に当接して流下される。よって、主経路ＳＫ３に流入する遊技球の送球方向を主経路ＳＫ３の流下方向（湾曲壁部５６５ｂ側から凹設部５７１ｇ（図２１参照）側）に向けやすくできる。その結果、遊技球の送球方向の変更箇所で、遊技球が湾曲壁部５６５ｂと衝突して流下が一時的に停止することを抑制できる（図２８参照）。
【０２６７】
さらに、湾曲経路ＷＫ１から主経路ＳＫ３に送球される遊技球の送球方向を主経路ＳＫ３の流下方向に向かう方向に向けることができるので、遊技球が湾曲壁部５６５ｂに衝突する力を小さくすることができる。その結果、湾曲壁部５６５ｂに遊技球が繰り返し衝突することによる湾曲壁部５６５ｂの破損を抑制できる。
【０２６８】
また、第１凸部５６４ｂは、正面側に配設される第１経路部材５６０に形成され、第１凹部５７１ｈは、背面側に配設される第２経路部材５７０に形成される。
【０２６９】
ここで、第１経路部材５６０に正面側に向かって凹設される凹部（第２経路部材５７０の第１凹部５７１ｈに対応する凹部）を形成すると、凹部を凹設する分第１経路部材５６０の板厚を厚くする必要がある。よって、第１経路部材５６０の板厚が増す分、第１経路部材５６０の透過性が悪くなり、第１ユニット５５１を通過する遊技球を遊技者が視認しにくくなる。
【０２７０】
また、第１経路部材５６０の正面に部分的に膨出する膨出部分の背面に凹設部分を形成すると、第１経路部材５６０の正面側に膨出部分が膨出する分、遊技盤１３の正面側に配設されるガラスユニット１６（図１参照）との間の隙間を大きくする必要がある。よって、第１経路部材５６０がガラスユニット１６から離れる分、第１経路部材５６０の内部を通過する遊技球を遊技者が視認しにくくなる。
【０２７１】
これに対し、第１凸部５６４ｂは、正面側に配設される第１経路部材５６０に形成され、第１凹部５７１ｈは、背面側に配設される第２経路部材５７０に形成されるので、正面側に配設される第１経路部材５６０の厚みを薄くすることができる。また、第１経路部材５６０の正面側に部分的に突出する部分が形成されないので、第１経路部材５６０をガラスユニット１６に近づけて配設することができる。その結果、第１経路部材５６０の内部を通過する遊技球を遊技者に視認させやすくできる。
【０２７２】
第２凸部５６４ｃは、主経路ＳＫ２（第４壁部５７３の上面）よりも重力方向下方（矢印Ｄ方向）に位置すると共に、正面視における主経路ＳＫ２の転動方向と略同一方向に下降傾斜して形成される。これにより、第２凸部５６４ｃと第２凹部５７１ｉとの対向間を流下する遊技球を、第２凸部５６４ｃの傾斜により第２凹部５７１ｉの正面視右側（矢印Ｒ方向側）の領域に案内することができる。上述したように、第２凹部５７１ｉは、凹設面が湾曲して形成されるので、第２凹部５７１ｉの正面視右側（矢印Ｒ方向側）の領域の内側に当接して流下する遊技球を主経路ＳＫ３の流下方向（湾曲壁部５６５ｂ側から凹設部５７１ｇ（図２１参照）側）に向けて送球することができる。その結果、湾曲経路ＷＫ１から主経路ＳＫ３への遊技球の流入をスムーズにさせることができる。
【０２７３】
また、第２凹部５７１ｉは、正面視における下方側（矢印Ｄ方向側）の端部が主経路ＳＫ３を転動する遊技球の中心の転動軌跡に沿って直線状に描かれる仮想線ＩＬ４（図２５（ａ）参照）に接する位置に形成される。これにより、第２凹部５７１ｉの下流側端部から排出される遊技球の中心の高さを仮想線ＩＬ４上に設定することができる。上述したように、本実施形態では、第２凹部５７１ｉから排出される遊技球を主経路ＳＫ３の流下方向（湾曲壁部５６５ｂ側から凹設部５７１ｇ（図２１参照）側）に向けて送球することができるので、第２凹部５７１ｉから排出される遊技球が、主経路ＳＫ３又は湾曲経路ＷＫ１の内面と当接して主経路ＳＫ３に送球される遊技球が、湾曲経路ＷＫ１の内壁と衝突してそれらの経路の内側で停滞することを抑制できる。
【０２７４】
よって、主経路ＳＫ３に流入する遊技球の流下方向を、主経路ＳＫ３の転動面に近い位置で、主経路ＳＫ３の送球方向に向けることができる。これにより、湾曲経路ＷＫ１から主経路ＳＫ３に流入する遊技球が、湾曲経路ＷＫ１の遊技球の送球方向に対して直交する方向に送球されることを抑制できる。その結果、主経路ＳＫ３に送球される遊技球が、湾曲経路ＷＫ１の内壁と衝突して停滞することを抑制できる。
【０２７５】
＜高い遊技価値が付与される第１部材を正面側に配設する＞
次いで、図２９から図３１を参照して第２ユニット５５２の構成について説明する。図２９（ａ）は、第２ユニット５５２の正面図であり、図２９（ｂ）は、第２ユニット５５２の背面図である。図３０は、第２ユニット５５２の分解斜視正面図であり、図３１は、第２ユニット５５２の分解斜視背面図である。
【０２７６】
図２９から図３１に示すように、第２ユニット５５２は、第１ユニット５５１側（正面側（矢印Ｆ方向側））に配設される第４経路部材６１０と、その第４経路部材６１０の背面側（矢印Ｂ方向側）に配設される第５経路部材６２０と、その第５経路部材６２０の背面側に配設され第５経路部材６２０との対向間に遊技球の送球経路を形成する第６経路部材６３０と、第２ユニット５５２の側面に配設される装飾部材６５０と、を主に備える。
【０２７７】
第４経路部材６１０は、上述したセンターフレーム８６を介して、第１ユニット５５１の背面側（矢印Ｂ方向側）に取付される。また、第４経路部材６１０は、正面視縦長矩形の板状に形成される取付板６１１と、その取付板６１１の端部から第１ユニット５５１側（正面側（矢印Ｆ方向側））に立設される側壁部６１２と、第１ユニット５５１の第２転動部５７７及び第３転動部５７８に内部空間が連通される第１連通路６１５及び第２連通路６１６と、を備える。
【０２７８】
取付板６１１は、第１ユニット５５１側（正面側（矢印Ｆ方向側））に円形状に凹設されると共にその凹設底面に貫通孔が形成される挿通部６１７と、第５経路部材６２０側（背面側（矢印Ｂ方向側））に円形状に突設されると共に突設先端面にネジが螺合する孔が穿設される経路側締結部６１８及び装飾側締結部６１９と、取付板６１１の中央に開口される開口部６１３と、その開口部６１３の外側に開口される第２挿通部６１４と、を備える。
【０２７９】
挿通部６１７は、第１ユニット５５１と第２ユニット５５２とを締結するためのネジの先端を挿通する部分であり、取付板６１１の複数個所（本実施形態では、３箇所）に形成される。
【０２８０】
経路側締結部６１８は、後述する第６経路部材６３０の挿通孔６３２に挿通されるネジが螺合される部分であり、挿通孔６３２と対向する位置に形成される。これにより、第６経路部材６３０を第４経路部材６１０に締結できる。
【０２８１】
装飾側締結部６１９は、後述する装飾部材６５０に形成される締結孔６５２に挿通されるネジが螺合される部分であり、締結孔６５２と対向する位置に形成される。これにより、装飾部材６５０を第４経路部材６１０に締結できる。
【０２８２】
開口部６１３は、第１ユニット５５１に配設される第１ソレノイド５８３ａ及び第２ソレノイド５８４ａと対向する位置に形成される。これにより、第１ユニット５５１の背面に第４経路部材６１０を配設した際に、開口部６１３の内側に第１ソレノイド５８３ａ及び第２ソレノイド５８４ａを配設した状態とできる。従って、第１ユニット５５１の背面に第４経路部材６１０を配設した際に、第４経路部材６１０が前後方向に大きくなることを抑制できると共に、第１ソレノイド５８３ａ及び第２ソレノイド５８４ａの周囲を第４経路部材６１０で囲むことができる。
【０２８３】
第１連通路６１５及び第２連通路６１６は、正面視において上方側（矢印Ｕ方向側）が開放するＵ字状に形成されると共に、前後方向（矢印Ｆ−Ｂ方向）に延設される。また、第１連通路６１５及び第２連通路６１６は、正面側の端部が第１ユニット５５１の第２転動部５７７及び第３転動部５７８の背面側に当接されると共に、背面側の端部が後述する第５経路部材６２０の第１流入口６２５及び第２流入口６２６の端部の正面側に当接される。さらに、第１連通路６１５及び第２連通路６１６は、第１ユニット５５１側から第５経路部材６２０に向かって下降傾斜して形成される。これにより、第１ユニット５５１の第２転動部５７７及び第３転動部５７８から第１連通路６１５及び第２連通路６１６に送球される遊技球を、その第１連通路６１５及び第２連通路６１６を転動させて、第５経路部材６２０の第１流入口６２５及び第２流入口６２６に流入させることができる。
【０２８４】
第２挿通部６１４は、第４経路部材６１０をセンターフレーム８６の突設部８６ｂに締結する際に、突設部８６ｂのネジ孔８６ｂ４に螺合するネジを挿通する穴であり、突設部８６ｂに形成されるネジ孔８６ｂ４（図３５参照）と対応する位置に形成される。これにより、センターフレーム８６の突設部８６ｂの背面に第４経路部材６１０を配設できる。
【０２８５】
側壁部６１２は、第１ユニット５５１及び第２ユニット５５２とが締結された際に、第１ユニット５５１の背面側（矢印Ｂ方向側）に配置される第１ソレノイド５８３ａの側面及び第２ソレノイド５８４ａの側面を覆う板部材であり、取付板６１１の端部全域から第１ユニット５５１側（正面側（矢印Ｆ方向側））に立設される。なお、側壁部６１２の正面側（第１ユニット５５１側）への立設寸法は、センターフレーム８６の突設部８６ｂと当接する長さに設定される。これにより、第１ユニット５５１及び第２ユニット５５２との間に側壁部６１２が配置されるので、第１ユニット５５１及び第２ユニット５５２との間に隙間が形成されることを抑制できる。その結果、第１ユニット５５１及び第２ユニット５５２との間に不正物が挿入されることを抑制できる。
【０２８６】
第５経路部材６２０は、正面視略矩形の板から形成される板部材６２１と、その板部材６２１に開口される第１流入口６２５及び第２流入口６２６と、第２流入口６２６の周囲から第２流入口６２６の下方に亘って第６経路部材６３０側（背面側（矢印Ｂ方向側））に立設される第２立設壁６２３と、第１流入口６２５の周囲から第１流入口６２５の下方に亘って第６経路部材６３０側に立設される第１立設壁６２４と、板部材６２１から第６経路部材６３０側に突設される被締結部６２７と、を主に備える。
【０２８７】
板部材６２１は、第４経路部材６１０の正面視における外形よりも小さい外形に形成されると共に、第４経路部材６１０の背面側（矢印Ｂ方向側）に配設される。また、板部材６２１は、正面視における中央部に開口される中央開口部６２２を備える。この中央開口部６２２は、背面視における第２ソレノイド５８４ａの外形よりも大きく形成されると共に、第２ソレノイド５８４ａと対応する位置に形成される。これにより、板部材６２１（第５経路部材６２０）を第４経路部材６１０の背面側に配設した際に、第４経路部材６１０の開口部６１３の内側を挿通される第２ソレノイド５８４ａを中央開口部６２２の内側に配置できる。
【０２８８】
第１流入口６２５及び第２流入口６２６は、上述したように第４経路部材６１０の第１連通路６１５及び第２連通路６１６を連動する遊技球を第５経路部材６２０及び第６経路部材６３０の対向間に受け入れる部分（流入させる開口）である。
【０２８９】
被締結部６２７は、後述する第６経路部材６３０に形成される締結孔６３３を挿通されたネジの先端を螺合させる部分であり、締結孔６３３と対応する位置に形成される。これにより、第５経路部材６２０と第６経路部材６３０とが締結される。また、被締結部６２７の第６経路部材６３０側への突出寸法は、遊技球の直径よりも大きく設定される。これにより、第５経路部材６２０と第６経路部材６３０との間に遊技球を流下可能な隙間が形成される。
【０２９０】
第１立設壁６２４は、第１流入口６２５から第５経路部材６２０及び第６経路部材６３０の対向間に流入される遊技球を案内する壁であり、下方側に延設されると共に第２立設壁６２３と連結される。第２立設壁６２３は、第２流入口から第５経路部材６２０に流入された遊技球を案内する壁であり、板部材６２１の上下方向に亘って延設される。なお、第１立設壁６２４及び第２立設壁６２３により形成される送球経路についての説明は後述する。
【０２９１】
第６経路部材６３０は、正面視略矩形の板から形成されるベース板６３１と、第５経路部材６２０の中央開口部６２２と対向する位置のベース板６３１に開口される第２中央開口部６３４と、ベース板６３１の第２中央開口部６３４の周囲に貫通形成される挿通孔６３２及び締結孔６３３と、を備える。
【０２９２】
第２中央開口部６３４は、正面視において第５経路部材６２０の中央開口部６２２と略同一の大きさに形成され、第５経路部材６２０と第６経路部材６３０とが組み合わされた際に、第５経路部材６２０の中央開口部６２２と連通される。これにより、第２ユニット５５２が第１ユニット５５１の背面側に配設された際に、第１ユニット５５１の第１ソレノイド５８３ａを第２中央開口部６３４の内側に配置できる。
【０２９３】
次いで、図３２を参照して、第５経路部材６２０により形成される送球経路について説明する。図３２は、図２９のＸＸＸＩＩ−ＸＸＸＩＩ線における第２ユニット５５２の断面図である。
【０２９４】
図３２に示すように、第２ユニット５５２は、第５経路部材６２０の第１立設壁６２４に囲われて形成される副経路ＨＫ４と、第２立設壁６２３に囲われて形成される副経路ＨＫ５とを備える。
【０２９５】
副経路ＨＫ４は、第１流入口６２５から下方に延設された後、後述する副経路ＨＫ５側に屈曲されて、副経路ＨＫ５に連通される。また、副経路ＨＫ４には、下方への延設部分に遊技球の通過を検出する検出装置ＳＥ７が配設される。これにより、副経路ＨＫ４を遊技球が通過したことを検出できる。また、検出装置ＳＥ７が遊技球の通過を検出すると、遊技者に所定の遊技価値が付与される（本実施形態では、遊技球の賞球）。
【０２９６】
なお、本実施形態では、検出装置ＳＥ７を遊技球が通過することに伴って遊技者に賞球される遊技球の数（例えば３個）が、第１ユニット５５１に配設される検出装置ＳＥ３〜ＳＥ６を遊技球が通過することに伴って遊技者に賞球される遊技球の数（例えば１５個）よりも少なくされる。即ち、検出装置ＳＥ７を通過することに伴って遊技者に付与される遊技価値は、第１ユニット５５１に配設される検出装置ＳＥ３〜ＳＥ６を遊技球が通過することに伴って遊技者に付与される遊技価値よりも高く設定される。これにより、第１ユニット５５１を通過する遊技球に注目させやすくできる。その結果、遊技者に興趣を与えやすくすることができる。
【０２９７】
副経路ＨＫ５は、第２流入口６２６から下方に延設されると共に、第２ユニット５５２の下方でパチンコ機１０の回収経路に連通される。従って、副経路ＨＫ５を流下する遊技球は、遊技者に遊技価値が付与されることなく回収される。また、副経路ＨＫ４を流下して検出装置ＳＥ７に検出された遊技球は、副経路ＨＫ５に送球されて、パチンコ機１０に回収される。
【０２９８】
また、特別入賞装置５５０は、光を透過可能な材料から形成されて遊技領域の正面側に配設される第１ユニット５５１と、その第１ユニット５５１の背面側に配設される第２ユニット５５２と、を備え、第１ユニット５５１は、遊技球を入球可能な第１受入部５６１を備え、第２ユニット５５２は、遊技球を入球可能な第２受入部５６２及び第３受入部５６３を備え、第１受入部５６１に入球する遊技球の方が、第２受入部５６２及び第３受入部５６３に入球する遊技球よりも遊技者に高い遊技価値（遊技球の払い出し）が付与される。
【０２９９】
従って、第１ユニット５５１及び第２ユニット５５２の遊技球の送球経路の取り回しが複雑に形成される（例えば、第１ユニット５５１の送球経路と第２ユニット５５２の送球経路とが正面視における前後方向に交差する）場合に比べて、第１ユニット５５１および第２ユニット５５２に同じタイミングで遊技球が流下された場合に第１ユニット５５１を流下する遊技球を遊技者に注視させやすくできる。よって、遊技価値の高い第１受入部５６１を備える第１ユニット５５１を流下する遊技球を遊技者に視認させやすくすることができる。その結果、遊技者に高い遊技価値が付与される経路を通過する遊技球を遊技者に視認させることができるので、遊技者の興趣を向上させやすくできる。
【０３００】
また、第１ユニット５５１へ遊技球を送球する送球経路の流入口（第１受入部５６１）と、第２ユニット５５２へ遊技球を送球する送球経路の流入口（第２受入部５６２及び第３受入部５６３）は、隣り合う位置に形成されるので、高い遊技価値が付与される第１ユニット５５１に流入するか、低い遊技価値が付与される第２ユニット５５２に流入するか、遊技球が流入するまで遊技者に判断させにくくすることできる。その結果、遊技球が特別入賞装置５５０に流入する直前まで遊技者に興趣を与えやすくできる。
【０３０１】
次いで、図３３から図３７を参照して、センターフレーム８６への特別入賞装置５５０の配設状態について説明する。図３３（ａ）は、センターフレーム８６の正面図であり、図３３（ｂ）は、センターフレーム８６の側面図である。図３４（ａ）は、センターフレーム８６の斜視正面図であり、図３４（ｂ）は、センターフレーム８６の斜視背面図である。図３５は、センターフレーム８６の分解斜視背面図である。図３６は、図３３のＸＸＸＶＩ−ＸＸＸＶＩ線におけるセンターフレーム８６の断面図である。図３７（ａ）は、遊技盤１３の模式断面図であり、図３７（ｂ）は、遊技盤１３の模式分解断面図である。なお、図３７（ａ）及び図３７（ｂ）は、図３６の断面に対応する。
【０３０２】
＜第１部材をベース部材側に付勢する固定手段＞
図３３から図３７に示すように、特別入賞装置５５０は、センターフレーム８６を間に挟んで、そのセンターフレーム８６の正面側に取り外し可能な第１ユニット５５１と、センターフレーム８６の背面側に取り外し可能な第２ユニットと、から構成される。
【０３０３】
第１ユニット５５１は、その第１ユニット５５１の背面側に配設される第１ソレノイド５８３ａ及び第２ソレノイド５８４ａがセンターフレーム８６の開口部８６ｂ１に挿入された状態で、突設部８６ｂの正面側に配設される。また、第１ユニット５５１は、第２ユニット５５２側に円柱状に突出する柱状体５５１ａを備える。
【０３０４】
柱状体５５１ａは、第２ユニット５５２の第４経路部材６１０に形成される挿通部６１７と対向する位置に形成されると共に、挿通部６１７を挿通したネジが螺合する孔を先端に備える。
【０３０５】
第１ユニット５５１のセンターフレーム８６への固定は、第２ユニット５５２の第４経路部材６１０に形成される挿通部６１７及び第２挿通部６１４に挿通されるネジにより固定される。詳しく説明すると、第１ユニット５５１は、背面側（矢印Ｂ方向側）に配設される第４経路部材６１０との間にセンターフレーム８６の突設部８６ｂを介した状態で配設される。また、第１ユニット５５１は、第４経路部材６１０の挿通部６１７から挿通されるネジが柱状体５５１ａに螺合されることで、第２ユニット５５２と締結される。
【０３０６】
さらに、第１ユニット５５１と第２ユニット５５２とを締結した状態で、第２ユニット５５２に形成される第２挿通部６１４に挿通されたネジを突設部８６ｂに凹設されるネジ孔８６ｂ４（図３５参照）に螺合させることで、突設部８６ｂと第４経路部材６１０とを締結できる。上述したように、第４経路部材６１０と第１ユニット５５１とは、締結固定されるので、第４経路部材６１０が突設部８６ｂに締結されることで第１ユニット５５１が突設部８６ｂに対して締結される。
【０３０７】
また、図３７に示すように、ベース板６０の第１開口部６０ａの上下方向における開口寸法Ｙ１（図３７（ｂ）参照）は、第１ユニット５５１（第２経路部材５７０）の上下方向寸法Ｙ２（図３７（ｂ）参照）よりも若干小さく設定される。また、第１ユニット５５１のベース板６０の正面との当接面から、第２ユニット５５２のベース板６０への当接面までの距離寸法Ｙ４（図３７（ｂ）参照）は、第１ユニット５５１と第２ユニット５５２とが締結された際に、ベース板６０の厚み寸法Ｙ３（図３７（ｂ）参照）よりも若干小さく設定される。
【０３０８】
これにより、第１ユニット５５１と第２ユニットと５５２とを締結した場合に、第１ユニット５５１をベース板６０側（背面側）に付勢することができる。よって、ベース板６０の正面と第１ユニット５５１との間に隙間が形成されることを抑制できる。従って、第１ユニット５５１をベース板６０の正面側からネジで締結する必要がなくなり、その分、ネジの締結代を第１ユニット５５１の正面に必要としてないので、その分、第１ユニット５５１の正面側の領域を遊技球の送球空間として利用することができる。その結果、第１ユニット５５１に形成される遊技球の送球空間を確保することができる。
【０３０９】
また、第１ユニット５５１と第２ユニット５５２との締結部分（柱状体５５１ａ）は、第１ユニット５５１の背面側に突出形成されるので、締結部分がベース板６０の正面側に形成される場合に比べて、第１ユニット５５１に形成される遊技球の送球空間を確保することができる。
【０３１０】
また、第２ユニット５５２をベース板６０（正面側）に付勢することができるので、第２ユニット５５２とベース板６０との間に隙間が形成されることを抑制できる。従って、第２ユニット５５２とベース板６０との対向間から針金やピアノ線等の不正物が挿入されて、第１ユニット５５１の第１ソレノイド５８３ａ及び第２ソレノイド５８４ａに不正がされることを抑制できる。
【０３１１】
さらに、第１ユニット５５１は、ベース板６０の背面側から挿通されるネジによりベース板６０に配設されるので、第１ユニット５５１の正面側にベース板６０との締結代（ネジが挿通される開口が形成される延設部分）を形成する必要がなくなる。その結果、正面視における第１ユニット５５１の外形に対して、全域を送球経路として利用でき、第１ユニット５５１の送球経路を大きくすることができる。
【０３１２】
また、ベース板６０と第１ユニット５５１との締結部分がベース板６０の背面側であるので、遊技盤１３の正面側からされる不正によりベース板６０と第１ユニット５５１との締結部分が外されることを抑制できる。その結果、第１ユニット５５１への不正を抑制できる。さらに、ベース板６０と第１ユニット５５１との締結部分がベース板６０の背面側であるので、遊技者からネジの頭部を認識させにくくすることができる。その結果、第１ユニット５５１をベース板６０に固定するための構成が遊技者に認識されることにより、遊技者の興趣が低下することを抑制できる。
【０３１３】
また、第１ユニット５５１は、ベース板６０の背面側から締結される固定手段（ネジ）により、ベース板６０に対し背面側に付勢された状態でベース板６０に配設されるので、第１ユニット５５１に作用する背面側への付勢力により、第１ユニット５５１とベース板６０とを密着した状態で配設することができる。
【０３１４】
さらに、第１ユニット５５１と第２ユニット５５２とは、それぞれに遊技球を送球可能な送球経路が形成された状態でセンターフレーム８６に配設されるので、第１ユニット５５１の送球経路および第２ユニット５５２の送球経路が、第１ユニット５５１と第２ユニット５５２との組立時にずれることを抑制できる。その結果、第１ユニット５５１及び第２ユニット５５２の内部を流下する遊技球が、第１ユニット５５１及び第２ユニット５５２の送球経路で停止することを抑制できる。
【０３１５】
また、第１ユニット５５１は、第１ユニット５５１に送球された遊技球を第２ユニット５５２に流入させるための転動面（第２転動部５７７及び第３転動部５７８）を備える。従って、第１ユニット５５１及び第２ユニット５５２のそれぞれが、センターフレーム８６の突設部８６ｂに締結されるものであると、センターフレーム８６に対する第１ユニット５５１の組付け誤差が生じて、第１ユニット５５１から第２ユニット５５２への遊技球の送球がスムーズに行われなくなる恐れがあった。
【０３１６】
これに対し、本実施形態では、上述したように第１ユニット５５１は、第２ユニット５５２に締結されるので、第１ユニット５５１及び第２ユニット５５２の締結時の誤差を最小（締結した際に誤差ができる箇所を最小）とすることができる。その結果、第１ユニット５５１から第２ユニット５５２への遊技球の送球をスムーズに行うことができる。
【０３１７】
第４経路部材６１０に締結される第５及び第６経路部材６２０，６３０は、背面視において第４経路部材６１０の挿通部６１７及び第２挿通部６１４の少なくとも一部と重なる位置に配置される。これにより、第１ユニット５５１は、第４経路部材６１０に締結される第５及び第６経路部材６２０，６３０を取り外した後でのみセンターフレーム８６から取り外し可能とされる。これにより、主経路ＳＫ１〜ＳＫ６を形成する第１ユニット５５１がセンターフレーム８６から取り外されて主経路ＳＫ１〜ＳＫ６に不正が行われることを抑制できる。
【０３１８】
さらに、突設部８６ｂは、端部に第２ユニット５５２側に立設する（折り返される）立設部８６ｂ５を備える（図３３（ｂ）参照）。これにより、第１ユニット５５１と第２ユニット５５２とが、センターフレーム８６の突設部８６ｂを間に介してセンターフレーム８６に配設された状態では、立設部８６ｂ５が、第１ユニット５５１の背面側に配設される第１ソレノイド５８３ａ及び第２ソレノイド５８４ａを取り囲んだ状態とされる。
【０３１９】
よって、第１ユニット５５１及び第２ユニット５５２がセンターフレーム８６に配設された状態で、第１ユニット５５１及び第２ユニット５５２の対向間から針金やピアノ線などの不正物が挿入されることを抑制できる。その結果、第１ユニット５５１及び第２ユニット５５２がセンターフレーム８６に配設された状態で第１ユニット５５１の第１ソレノイド５８３ａ及び第２ソレノイド５８４ａに不正が行われることを抑制できる。
【０３２０】
また、第１ユニット５５１と第２ユニット５５２との間には、第１ソレノイド５８３ａ及び第２ソレノイド５８４ａの正面側の一部が配設されると共に、立設部８６ｂ５が介設される。よって、立設部８６ｂ５が配設される空間を利用して、第１ソレノイド５８３ａ及び第２ソレノイド５８４ａの正面側の一部を配設することができる。従って、第１ソレノイド５８３ａ及び第２ソレノイド５８４ａの正面側の一部が、第１ユニット５５１と第２ユニット５５２との間に収容される分、第１ソレノイド５８３ａ及び第２ソレノイド５８４ａが背面側に突出することを抑制できる。その結果、第１ソレノイド５８３ａ及び第２ソレノイド５８４ａの背面側の周囲を第２ユニット５５２により取り囲みやすくすることができ、第１ソレノイド５８３ａ及び第２ソレノイド５８４ａに背面側から不正がされることを第２ユニット５５２により抑制することができる。
【０３２１】
さらに、第１ユニット５５１と第２ユニット５５２との間には、第１ソレノイド５８３ａ及び第２ソレノイド５８４ａの正面側の一部が配設されるので、第２ユニット５５２を流下する遊技球を第１ソレノイド５８３ａ及び第２ソレノイド５８４ａで隠して遊技者側から視認しにくくすることができる。これにより、第１ユニット５５１を流下する遊技球の動線と第２ユニット５５２を流下する遊技球の動線とが正面視において重なる場合であっても、第１ユニット５５１を流下する遊技球を遊技者に視認させやすくできる。その結果、第２ユニット５５２を流下する遊技球により遊技者に付与される遊技価値よりも高い遊技価値が遊技者に付与される第１ユニット５５１を流下する遊技球を遊技者に視認させることができるので、遊技者に興趣を与えやすくできる。
【０３２２】
また、第１ユニット５５１及び第２ユニット５５２がセンターフレーム８６に配設された状態では、装飾部材６５０が、センターフレーム８６のベース枠８６ａの内側の側面を覆う状態で配設される。これにより、センターフレーム８６のベース枠８６ａの開口を介して（挿通して）特別入賞装置５５０に針金やピアノ線などの不正物が挿入されることを抑制できる。
【０３２３】
図３６及び図３７に示すように、第１ユニット５５１に配設される第１ソレノイド５８３ａは、背面側が第２ユニット５５２の第４経路部材６１０及び第５経路部材６２０に形成される中央開口部６２２及び第２中央開口部６３４の内側に挿入される。これにより、第２ユニット５５２が背面側（矢印Ｂ方向側）に膨出することを抑制できると共に、第１ソレノイド５８３ａに針金やピアノ線等の不正物がアクセスされることを抑制できる。
【０３２４】
また、第１ソレノイド５８３ａの荷重を第２ユニット５５２により支持することができるので、第１ソレノイド５８３ａが配設される第１ユニット５５１の第２経路部材５７０が撓むことを抑制できる。その結果、第１ユニット５５１の遊技球の通過を安定させることができる。
【０３２５】
さらに、上述したように、センターフレーム８６に形成される突設部８６ｂの開口部８６ｂ１に第１ソレノイド５８３ａ及び第２ソレノイド５８４ａが囲われて配設されるので、比較的荷重の大きい（重い）第１ソレノイド５８３ａ及び第２ソレノイド５８４ａを開口部８６ｂ１（突設部８６ｂ）により支持することができる。その結果、突設部８６ｂが、特別入賞装置５５０の荷重により撓むことを抑制できる。
【０３２６】
よって、ベース板６０に配設されるセンターフレーム８６が曲る（撓む）ことを抑制できるので、センターフレーム８６に配設される第１ユニット５５１の配置がベース板６０に対して位置ずれすることを抑制できる。その結果、遊技盤１３の遊技領域から第１ユニット５５１（特別入賞装置５５０）に遊技球をスムーズに流入させることができる。
【０３２７】
また、第１ユニット５５１から第２ユニット５５２へ遊技球を送球する第２転動部５７７及び第３転動部５７８は、突設部８６ｂの開口部８６ｂ１の外側に形成される。これにより、開口部８６ｂ１の内側に配置される第１ソレノイド５８３ａ及び第２ソレノイド５８４ａの駆動により発生する電磁力により、第１ユニット５５１から第２ユニット５５２に送球される遊技球の転動が阻害されることを抑制できる。言い換えると、第１ソレノイド５８３ａ及び第２ソレノイド５８４ａの駆動により発生する電磁力が突設部８６ｂの外側に作用することを突設部８６ｂにより抑制できる。その結果、第１ユニット５５１から第２ユニット５５２への遊技球の送球を安定させることができる。
【０３２８】
上述したように、第１ソレノイド５８３ａは、背面側が第２ユニット５５２の中央開口部６２２及び第２中央開口部６３４に挿入されて配設される。これにより、第１ユニット５５１の検出装置ＳＥ３〜６及び第１ソレノイド５８３ａの配線を中央開口部６２２及び第２中央開口部６３４を挿通させて配設することができる。また、それらの配線を第１ソレノイド５８３ａに沿って配設することができるので、配線が絡まることを抑制できる。
【０３２９】
さらに、第１ソレノイド５８３ａの荷重を、第２ユニット５５２の中央開口部６２２及び第２中央開口部６３４により支えることができるので、第１ユニット５５１が配設される突設部８６ｂが撓むことを抑制できる。よって、ベース板６０に配設されるセンターフレーム８６が曲る（撓む）ことを抑制できるので、センターフレーム８６に配設される第１ユニット５５１の配置がベース板６０に対してずれることを抑制できる。その結果、遊技盤１３の遊技領域から第１ユニット５５１（特別入賞装置５５０）に遊技球をスムーズに流入させることができる。
【０３３０】
＜基板ユニットの固定部材を背面部材に配設する変位部材＞
次いで、図３８から図４２を参照して、背面ケース３００及び基板ボックス１００の連結構造についての詳しい説明する。まず、図３８及び図３９を参照して、背面ケース３００の構造について説明する。
【０３３１】
図３８（ａ）は、背面ケース３００の正面図であり、図３８（ｂ）は、背面ケース３００の背面図である。図３９（ａ）は、背面ケース３００の分解斜視正面図であり、図３９（ｂ）は、背面ケース３００の分解斜視背面図である。
【０３３２】
図３８及び図３９に示すように、背面ケース３００は、底壁部３０１の正面側（箱状に形成された開放側（矢印Ｆ方向側））に配設される係合部材３１０と、背面ケース３００の背面側（矢印Ｂ方向側）に配設され、上述した基板ボックス１００（主制御装置１１０）を固定する固定部材３２０と、を主に備える。
【０３３３】
また、背面ケース３００は、底壁部３０１に正面側の２箇所から突設される突設部３０１ｂと、固定部材３２０と対向する位置に開口する第１開口部３０１ｃと、係合部材３１０と対向する位置に開口する第２開口部３０１ｄと、を備える。
【０３３４】
突設部３０１ｂは、係合部材３１０をスライド可能な状態で保持するための軸であり、後述する係合部材３１０に開口する摺動溝３１４の内側に挿通される。また、突設部３０１ｂは、円環状に突設されており、その円環状の内側にネジを螺合できる。よって、突設部３０１ｂを摺動溝３１４の内側に挿通した後に、摺動溝３１４の溝幅よりも直径の大きい頭部を有するネジを突設部３０１ｂに螺合することで、係合部材３１０を背面ケース３００に配設できる。
【０３３５】
第１開口部３０１ｃは、後述する固定部材３２０の一部（係合部材３１０との係合部分）を挿通するための開口であり、固定部材３２０の係合部分（後述する被係合部３３２）を挿通可能な形状に形成される。これにより、背面ケース３００（底壁部３０１）の背面側に配設される固定部材３２０を、背面ケース３００（底壁部３０１）の正面側に配設される係合部材３１０で係合させることができる。
【０３３６】
また、第１開口部３０１ｃは、固定部材３２０と係合部材３１０との係合側（矢印Ｌ方向側）の反対側（矢印Ｒ方向側）となる端部に背面側に突出する突壁３０１ｃ１を備える。突壁３０１ｃ１は、背面側の突設先端が略９０度屈曲する鉤状に形成され、その屈曲方向が、第１開口部３０１ｃから離間する方向（矢印Ｒ方向）に設定される。
【０３３７】
突壁３０１ｃ１は、先端が後述する固定部材３２０の係止部３３１に挿入される。これにより、固定部材３２０と係合部材３１０との係合部分の反対側（矢印Ｒ方向側）を係止させることができる。その結果、背面ケース３００に配設される固定部材３２０を左右（矢印Ｌ−Ｒ方向）の両端で支持する（係合させる）ことができ、固定部材３２０と係合部材３１０との係合部分に力が集中することを抑制して固定部材３２０及び係合部材３１０が破損することを抑制できる。なお、第１開口部３０１ｃへの固定部材３２０の配設についての詳しい説明は後述する。
【０３３８】
第２開口部３０１ｄは、後述する係合部材３１０の一部（操作子３１５）を背面ケース３００の背面側に挿通するための開口であり、これにより、係合部材３１０を背面ケースの背面側から操作することができる。よって、上述したように、固定部材３２０を背面ケース３００の背面に配置した後に、背面ケース３００の背面側から係合部材３１０を操作して、固定部材３２０と係合部材とを背面ケース３００（底壁部３０１）の正面側で係合させることができる。
【０３３９】
係合部材３１０は、正面視における外形がクランク状に形成されており、互いに平行となる方向に延設される第１片３１１及び第２片３１２と、その第１片３１１及び第２片３１２の端部同士を第１片３１１及び第２片３１２の延設方向と直交する方向に連結する第３片３１３とから構成される。
【０３４０】
上述した２の摺動溝３１４は、第１片３１１及び第２片第３１２にそれぞれ１箇所づつ形成され、第１片３１１及び第２片３１２の延設方向（矢印Ｌ−Ｒ方向）に長い長穴状に開口される。これにより、係合部材３１０は、第１片３１１及び第２片３１２の延設方向（矢印Ｌ−Ｒ方向）に摺動可能とされる。
【０３４１】
第１片３１１は、第３片３１３が連結される他側（矢印Ｌ方向側）と反対側の一側（矢印Ｒ方向側）の端部が、後述する固定部材３２０との係合部分として形成されており、第１片３１１の延設方向と略直交する方向である上下方向（矢印Ｕ−Ｄ方向）の両外側に突出する係合部３１６と、その２箇所の係合部３１６の略中間位置から第１片３１１の延設方向（矢印Ｌ−Ｒ方向）に凹設される凹部３１７と、背面ケース３００の底壁部３０１側（背面側（矢印Ｂ方向側））に向かって突出する操作子３１５と、を備える。
【０３４２】
係合部３１６は、正面視における外形が略三角形状に形成され、一側（矢印Ｒ方向側）の外面が、一側の端部から他側（矢印Ｌ方向側）に向かう程、第１片３１１の外側に突出する傾斜面として形成される一方、他側の外面が、第１片３１１の延設方向（矢印Ｌ−Ｒ方向）に対して略直交する方向である上下方向（矢印Ｕ−Ｄ方向）延設される。
【０３４３】
凹部３１７は、第１片３１１の厚み方向に切り欠いて形成されると共に、第１片３１１の一側（矢印Ｒ方向側）端部から他側（矢印Ｌ方向側）に向かって凹設される。よって、第１片３１１の一側が二股に分割される。これにより、第１片３１１の一側の剛性を他側に比べて低くすることができる。その結果、第１片３１１の一側を弾性変形させやすくして、係合部材３１０を固定部材３２０と係合させやすくできる。なお、係合部材３１０と固定部材３２０との係合についての詳しい説明は後述する。
【０３４４】
操作子３１５は、係合部材３１０を操作する操作部分であり、第１片３１１の他側の端部に形成され、その突出寸法が、背面ケース３００の底壁部３０１の板厚よりも大きい値に設定され、少なくとも作業者が指で掴める程度の寸法分、背面ケース３００の背面側に突出される。これにより、操作子３１５を底壁部３０１の第２開口部３０１ｄから突出させることができると共に、その突出部分（操作子３１５の先端）を掴ませて操作させることができる。
【０３４５】
第２片３１２は、正面側に円形に凹設される締結孔３１８を備える。締結孔３１８は、後述する回転ユニット７００の背面ベース７２０に貫通される孔（図８９参照）に挿通されるネジを螺合させる部分である。これにより、背面ケース３００の内側（底壁部３０１の正面側）に回転ユニット７００を配設した後、回転ユニット７００の背面側に配設される係合部材３１０を操作して、係合部材３１０を規定位置（後述する固定部材３２０との係合位置）に操作することができると共に、締結孔３１８にネジを螺合して係合部材３１０と回転ユニット７００（背面ベース７２０）とを締結することができる。従って、規定位置に配置される係合部材３１０を背面ケース３００の背面側から突出する操作子３１５の操作のみでは、操作不能にすることができる。その結果、パチンコ機１０が組み上げられた状態で、操作子３１５が不正に操作されて、固定部材３２０と基板ボックス１００（主制御装置１１０）とが、不正な基板ボックスに簡易に交換されることを抑制できる。
【０３４６】
なお、この場合、回転ユニット７００の背面ベース７２０の孔を挿通して締結孔３１８に締結されるネジは、遊技盤１３に配設される第１入賞口６４を取り外した孔から操作可能としてもよい。この場合、遊技盤１３と背面ケース３００との締結を解除する必要がなくなるので、正常な基板ボックス１００への交換作業が複雑化することを抑制できる。その結果、正常な基板ボックス１００の交換作業を簡易にすることができる。
【０３４７】
固定部材３２０は、背面ケース３００と別部材から構成される。これにより、背面ケース３００に比べて外形の小さい固定部材３２０に基板ボックス１００をカシメ固定させることができるので、固定部材３２０が背面ケース３００と一体に形成される場合に比べて、基板ボックス１００を配設しやすくできる。その結果、基板ボックス１００が固定部材３２０から取り外されにくい状態で基板ボックス１００を背面ケース３００に配設しやすくできる。
【０３４８】
また、背面ケース３００は、それぞれのパチンコ機の型式で同一形状の部品として流用することができるところ、基板ボックス１００は、それぞれのパチンコ機１０の型式で形状や大きさが異なるので、基板ボックス１００が配設される固定部材３２０を別のパチンコ機との流用品とすることができない。従って、固定部材３２０が背面ケース３００と一体に形成される場合に比べて、背面ケース３００の成形時の金型を別のパチンコ機と同一の金型とすることができる。その結果、背面ケース３００に比べて外形の小さい固定部材３２０の金型を形成するだけですむので、製造コストを削減できる。
【０３４９】
固定部材３２０は、上述した係合部材３１０と係合する介設部材３３０と、その介設部材３３０に締結される軸支部材３４０とから構成される。これにより、軸支部材３４０を別の遊技機の固定部材と同一の形状の流用品として使用することができる。
【０３５０】
介設部材３３０は、正面側（矢印Ｆ方向側）が開放する箱状に形成され、他側（矢印Ｌ方向側）の側面に突設される係止部３３１と、他側（矢印Ｌ方向側）の側面から背面ケース３００側（正面側）に突出して枠状に形成される被係合部３３２と、箱状の底面に円形状に開口する挿通孔３３３と、背面から軸支部材３４０側に突出する突部３３４と、を主に備える。
【０３５１】
また、介設部材３３０には、被係合部３３２の重力方向（矢印Ｕ−Ｄ方向）の両外側から正面側（矢印Ｆ方向側）に向かって円柱状に突出する突起が形成される。また、背面ケース３００の底壁部３０１には、被係合部３３２の重力方向の両外側から突出する突起と対応する位置に凹設される円形状の開口形成される。よって、開口に突起が挿入されることで、正面視における垂直方向への介設部材３３０（固定部材３２０）の移動が規制される。
【０３５２】
係止部３３１は、固定部材３２０の他側（矢印Ｌ方向側）を底壁部３０１に係合させるための開口を備え、その開口に上述した第１開口部３０１ｃの周囲から断面Ｌ字状に突設される突壁３０１ｃ１が挿通されることで底壁部３０１に係合される。これにより、介設部材３３０（固定部材３２０）を背面ケース３００に配設する際に、介設部材３３０の係止部３３１に突壁３０１ｃ１を挿通させて介設部材３３０の一側（矢印Ｒ方向側）を背面ケース３００に対して係止することができる。
【０３５３】
被係合部３３２は、係合部材３１０と係合する部分であり、背面ケース３００側（矢印Ｆ方向側）への突出寸法が、背面ケース３００に配設される係合部材３１０を超える寸法に設定され、囲われる空間の正面側（矢印Ｆ方向側）の内面から底壁部３０１の正面までの距離寸法が、係合部材３１０の正面から底壁部３０１の正面までの距離よりも大きく設定される。これにより、被係合部３３２により囲われる空間と係合部材３１０とが、前後方向（矢印Ｆ−Ｂ方向）において重なる位置に配置される。
【０３５４】
挿通孔３３３は、介設部材３３０を後述する軸支部材３４０と締結するネジを挿通する貫通孔であり、軸支部材３４０の締結孔３４３と同軸上に設定される。
【０３５５】
突部３３４は、断面略Ｌ字状に形成され、その屈曲側の先端部と介設部材３３０の底面との間の距離が後述する軸支部材３４０の挿入部３４４の板厚よりも大きく設定される。これにより、突部３３４の屈曲側の先端部と介設部材３３０の底面との対向間に挿入部３４４を挿入して配設できる。
【０３５６】
軸支部材３４０は、背面ケース３００側（矢印Ｆ方向側）が開放する箱状に形成される本体部３４１と、その本体部３４１の背面側（矢印Ｂ方向側）から断面略Ｕ字状に膨出する支持部３４２と、を主に備えて形成される。
【０３５７】
本体部３４１は、上方側（矢印Ｕ方向側）の側面から上方に向かって突出する挿入部３４４と、箱状に形成される本体部３４１の底面側（矢印Ｄ方向側）から背面側（矢印Ｂ方向側）に向かって凹設される締結孔３４３とを主に備える。
【０３５８】
挿入部３４４は、上述したように突部３３４の屈曲側の先端部と介設部材３３０の底面との対向間に挿入される板部材である。これにより、軸支部材３４０の上方側が背面ケース３００の背面側に傾倒することを抑制できる。
【０３５９】
締結孔３４３は、挿入部３４４と反対側の端部に偏る下方側（矢印Ｄ方向側）に配置される。また、上述したように、締結孔３４３は、介設部材３３０の挿通孔３３３（図３９（ｂ）参照）を挿通するネジを締結する孔である。従って、軸支部材３４０は、上方側（矢印Ｕ方向側）の挿入部３４４が介設部材３３０の突部３３４に挿入されると共に、下方側が介設部材３３０と締結固定される。よって、軸支部材３４０は、下方側のネジの締結のみで介設部材３３０に固定されるので、締結部分を少なくすることができ、製造工程の簡易化をすることができる。
【０３６０】
支持部３４２は、上述した基板ボックス１００（主制御装置１１０）の軸受部１１７とかしめ締結される部分であり、内部にかしめ金具を配設可能な中空状に形成される。なお、基板ボックス１００は、かしめ金具による締結により、軸支部材３４０に対して回転可能な状態で保持される。
【０３６１】
次いで、図４０（ａ）から図４１（ｂ）を参照して、係合部材３１０と固定部材３２０との係合について説明する。図４０（ａ）は、係合部材３１０及び固定部材３２０の係合前の状態における背面ケース３００の正面図であり、図４０（ｂ）は、係合部材３１０及び固定部材３２０の係合前の状態における背面ケース３００の背面図である。図４１（ａ）は、係合部材３１０及び固定部材３２０の係合後の状態における背面ケース３００の正面図であり、図４１（ｂ）は、係合部材３１０及び固定部材３２０の係合後の状態における背面ケース３００の背面図である。なお、図４０（ｂ）及び図４１（ｂ）では、背面ケース３００と重なる係合部材３１０の外形の一部が鎖線で図示される。
【０３６２】
図４０（ａ）及び図４０（ｂ）に示すように、係合部材３１０及び固定部材３２０の係合前に、介設部材３３０及び軸支部材３４０が介設部材３３０側（正面側（矢印Ｆ方向側））から挿入されるネジにより締結されて組み合わされる。これにより、介設部材３３０及び軸支部材３４０が背面ケース３００の背面側から不正に分解される（締結されたネジが取り外される）ことを抑制できる。その結果、軸支部材３４０にかしめ固定される基板ボックス１００が不正な基板ボックスに交換されることを抑制できる。
【０３６３】
締結された状態の介設部材３３０及び軸支部材３４０（固定部材３２０）は、上述したように介設部材３３０の係止部３３１の内側に第１開口部３０１ｃに形成される突壁３０１ｃ１が挿入される。この場合、締結された状態の介設部材３３０及び軸支部材３４０（固定部材３２０）は、突壁３０１ｃ１の屈曲側（矢印Ｒ方向側）から第１開口部３０１ｃに配設される。
【０３６４】
背面ケース３００に固定部材３２０が配置されると、被係合部３３２により囲われる空間が、係合部材３１０の一側（係合部３１６側）端部と対向する位置に配置される。これにより、係合部材３１０をスライド変位させることで、係合部材３１０の一側（矢印Ｒ方向側）端部を被係合部３３２に囲われる空間に挿入できる。
【０３６５】
ここで、係合部材３１０の２箇所の係合部３１６の上下方向（矢印Ｕ−Ｄ方向）における外側寸法は、上述した固定部材３２０の被係合部３３２により囲われる空間の上下方向における開口寸法よりも大きく設定される。そのために、被係合部３３２により囲われる空間に係合部材３１０を配設できないという問題点がある。
【０３６６】
これに対して、係合部材３１０は、上述したように第１片３１１の一側（矢印Ｒ方向側）に凹設される凹部３１７により、第１片３１１を弾性変形しやすくできると共に、係合部３１６の三角形状により、係合部材３１０がスライド変位されて被係合部３３２の内縁と当接した際の力を係合部材３１０の凹部３１７側に作用させることができる。その結果、二股に形成される第１片３１１を弾性変形させて被係合部３３２に囲われる空間に挿入できる。
【０３６７】
図４１（ａ）及び図４１（ｂ）に示すように、係合部材３１０及び固定部材３２０は、係合部材３１０がスライド変位されて、係合部材３１０の第１片３１１が、介設部材３３０の被係合部３３２により囲われる空間に挿通されると、弾性変形された第１片３１１が変形前の形状に戻される。上述したように、係合部３１６は、他側の側面が第１片３１１の延設方向と略直交する方向に延設される。従って、係合部材３１０を反対方向にスライド変位させる力のみでは、第１片３１１を凹部３１７側に弾性変形させる力が作用されない。即ち、係合部３１６の傾斜面および凹部３１７により第１片３１１を被係合部３３２により囲われる空間に挿入しやすくできると共に、係合部３１６の他側（矢印Ｌ方向側）の側面により被係合部３３２により囲われる空間に挿入された第１片３１１を抜けにくくすることができる。その結果、遊技者の不正行為により、背面ケース３００の背面側から固定部材３２０が取り外されることを抑制でき、固定部材３２０にかしめ締結される基板ボックス１００（主制御装置１１０）が不正な基板ボックスに交換されることを抑制できる。
【０３６８】
また、背面ケース３００は、ベース板６０及び背面ケース３００の間に配設され、ベース板６０の背面側（矢印Ｂ方向側）であって、ベース板６０および背面ケース３００（底壁部３０１）の対向間の外側から操作可能な係合部材３１０を備え、固定部材３２０は、背面ケース３００の正面側（矢印Ｆ方向側）に突出する被係合部３３２を備え、その被係合部３３２と係合部材３１０とが係合して、背面ケース３００に配設されるので、ベース板６０及び背面ケース３００の間に役物装置（本実例では、回転ユニット７００）を配設した状態で、ベース板６０及び背面ケース３００の間の外側から係合部材３１０を操作して、係合部材３１０と固定部材３２０とを係合させることができる。
【０３６９】
従って、係合部材３１０をベース板６０及び背面ケース３００の対向間に配設される役物装置に邪魔されることなく、固定部材３２０を背面ケース３００に配設することができる。その結果、固定部材３２０を背面ケース３００に簡易に配設することができる。
【０３７０】
また、背面ケース３００の正面側（矢印Ｆ方向側）に配設される被係合部３３２に係合部材３１０を係合させるので、背面ケース３００と固定部材３２０との係合部分をベース板６０及び背面ケース３００の対向間に配置することができる。これにより、ベース板６０の背面側（矢印Ｂ方向側）から係合部材３１０と固定部材３２０との係合部分へのアクセスが困難とされる。その結果、ベース板６０の背面側から係合部材３１０と固定部材３２０との係合が解除されて、固定部材３２０に不正がされる（例えば、不正な固定部材に交換される）ことを抑制できる。
【０３７１】
また、背面ケース３００は、固定部材３２０が配設される部分に開口される第１開口部３０１ｃと、係合部材３１０が配設される部分に開口される第２開口部３０１ｄとを備え、係合部材３１０は、背面ケース３００の正面側（矢印Ｆ方向側）に配設されると共に第２開口部３０１ｄを介して（挿通して）背面ケース３００の背面側（矢印Ｂ方向側）から操作可能とされ、固定部材３２０は、第１開口部３０１ｃを通過した被係合部３３２が背面ケース３００の正面側に配置されるので、係合部材３１０と固定部材３２０の被係合部３３２との係合部分に背面ケース３００の背面側からアクセスし難くできる。その結果、背面ケース３００に配設される役物装置の大きさに関係なく、固定部材３２０を背面ケース３００に固定することができると共に、遊技盤１３の背面側から操作されて不正な基板ボックスに交換されることを防止することができる。
【０３７２】
さらに、係合部材３１０は、第２開口部３０１ｄを挿通して背面ケース３００の背面側（矢印Ｂ方向側）に突出する操作子３１５を備えるので、背面ケース３００の正面側（矢印Ｆ方向側）に係合部材３１０を配設した状態で係合部材３１０を操作しやすくできる。その結果、係合部材３１０と固定部材３２０の被係合部３３２との係合操作をさせやすくできる。
【０３７３】
また、係合部材３１０は、背面ケース３００（底壁部３０１）の正面側と平行な平面上をスライド変位可能とされるので、係合部材３１０が、背面ケース３００に対して前後方向（矢印Ｆ−Ｂ方向）に変位されない分、係合部材３１０の正面側（矢印Ｆ方向側）を背面ケース３００に配設される役物装置の配設スペースとして利用しやすくできる。その結果、背面ケース３００（底壁部３０１）の正面側の領域を役物装置の配設スペースとして利用しやすくできる。
【０３７４】
次いで、図４１に示す状態から、背面ケース３００から固定部材３２０を取り外す場合の操作について説明する。
【０３７５】
図４１に示すように、第１開口部３０１ｃは、正面視略Ｌ字状に開口されており、固定部材３２０の被係合部３３２と係合状態における係合部材３１０の凹部３１７が、第１開口部３０１ｃを介して背面ケース３００の背面側（矢印Ｂ方向側）から操作可能とされる。
【０３７６】
よって、係合部材３１０の凹部３１７の外側部分を、専用の工具等で凹部３１７の凹設側に弾性変形させることで、係合部材３１０の係合部３１６と被係合部３３２との係合が解除される。この係合を解除した状態で、係合部材３１０を被係合部３３２により係合される内部空間から引き出す方向（矢印Ｌ方向）に変位させた後、係合部材３１０の変形を戻すことで、係合部材３１０と被係合部３３２との係合を解除することができる。
【０３７７】
なお、係合部材３１０の凹部３１７の外側部分と第１開口部３０１ｃとの隙間は、なるべく小さく形成されることが好ましい。これによれば、背面ケース３００から固定部材３２０を取り外す人の指を挿入不可能にできると共に、専用の工具の挿入は可能とされる。その結果、専用の工具を有する作業者のみに基板ボックス１００（主制御装置１１０）を交換可能とさせることができ、不正な基板ボックス１００に交換されることを抑制できる。
【０３７８】
次いで、図４２（ａ）及び図４２（ｂ）を参照して、軸支部材３４０にかしめ締結される基板ボックス１００（主制御装置１１０）について説明する。図４２（ａ）は、背面ケース３００及び基板ボックス１００（主制御装置１１０）の斜視背面図であり、図４２（ｂ）は、背面ケース３００及び基板ボックス１００（主制御装置１１０）の背面図である。なお、図４２（ｂ）では、基板ボックス１００と重なる係合部材３１０の外形が鎖線で図示される。
【０３７９】
図４２（ａ）及び図４２（ｂ）に示すように、基板ボックス１００は、一端側（矢印Ｒ方向側）の端部から突出する軸受部１１７を備える。軸受部１１７は、上下方向（矢印Ｕ−Ｄ方向）に所定の間隔を隔てて一対配設される。一対の軸受部１１７は、上述したように軸支部材３４０の支持部３４２とかしめ締結される部分であり、支持部３４２の上下方向（矢印Ｕ−Ｄ方向）の寸法と対向間の間隔が略同一に設定される。これにより、基板ボックス１００は、一対の軸受部１１７の対向間に支持部３４２を配設すると共に、軸受部１１７の上方からかしめピンを挿入してかしめ固定することで、軸支部材３４０に締結される。
【０３８０】
以上のように構成される基板ボックス１００によれば、基板ボックス１００は、軸支部材３４０に対して回転可能に保持されると共に、係合部材３１０の背面側に配設されるので、上述したように、操作子３１５を操作して係合部材３１０を固定部材３２０に係合させる場合には、基板ボックス１００を回転させることで、操作子３１５を操作させやすくできる。また、係合部材３１０を固定部材３２０に係合させた後には、基板ボックス１００を係合部材３１０の背面側に配置することで、操作子３１５を背面ケース３００の背面側から操作しにくくできる。その結果、パチンコ機１０が組み立てられた後に、操作子３１５が操作されて、不正な基板ボックスに交換されることを抑制できる。
【０３８１】
なお、基板ボックス１００の他端側（矢印Ｌ方向側）は、背面ケース３００の底壁部３０１に向かって、基板ボックス１００の背面側（矢印Ｂ方向側）から挿入されて背面ケース３００に締結されるネジにより固定される。これにより、基板ボックス１００は、背面ケース３００の背面側に回転（動作）不能な状態で配設される。
【０３８２】
次いで、図４３から図６９を参照して、下変位ユニット４００の詳細な構成を説明する。まず、図４３から図４６を参照して、下変位部材４４０を変位させる構造について説明する。
【０３８３】
図４３は、下変位ユニット４００の正面図であり、図４４は、下変位ユニット４００の背面図である。図４５は、下変位ユニット４００の分解斜視正面図であり、図４６は、下変位ユニット４００の分解斜視背面図である。なお、図４３から図１４では、下変位部材４４０が退避位置（ベース部材４１０に対して一番下方に配置された位置）に配置された状態が図示される。
【０３８４】
図４３から図４６に示すように、下変位ユニット４００は、背面ケース３００の底壁部３０１（図６参照）に配設されるベース部材４１０と、そのベース部材４１０に配設される伝達部材４２０と、ベース部材４１０に連結されると共に伝達部材４２０の変位に伴って変位されるリンク部材４３０と、一端がベース部材４１０に摺動可能に連結されると共に他端がリンク部材４３０に連結されてリンク部材４３０から駆動力を伝達されることで変位する下変位部材４４０とを主に備えて形成される。
【０３８５】
ベース部材４１０は、正面視矩形横長の板部材を前後方向に２枚組み合わせて形成され、正面側に配置される正面ベース４１１と、背面側に配置される背面ベース４１２とを備える。正面ベース４１１と背面ベース４１２との対向間には、伝達部材４２０及びリンク部材４３０とが配置される。
【０３８６】
正面ベース４１１は、前後方向（図４３紙面奥行方向）に貫通した２つの摺動溝４１１ａ，４１１ｂと、背面側に突出する円柱状の２本の軸支ピン４１１ｃ，４１１ｄと、軸支ピン４１１ｄを軸とした円弧状に突出する湾曲壁部４１１ｅとを主に備えて形成される。
【０３８７】
摺動溝４１１ａ，４１１ｂは、下変位部材４４０の背面側から突出する２本の突起４７２，４７３がそれぞれ挿通される孔である。摺動溝４１１ａ，４１１ｂは、それぞれ左右方向に長く伸びて形成される。よって、摺動溝４１１ａ，４１１ｂに挿通された突起４７２，４７３を摺動溝４１１ａ，４１１ｂに沿って変位させることで、下変位部材４４０を左右方向に摺動させることができる。
【０３８８】
また、摺動溝４１１ａ，４１１ｂは、それぞれ円弧状に湾曲して形成されており、正面ベース４１１の左側（図４３左側）端部から右側（図４３右側）端部にかけて上方（図４３上方向）に開口される。さらに、摺動溝４１１ａ，４１１ｂは、それぞれの円弧の軸が異なる位置に配置され、上下方向（図４３上下方向）における対向間の隙間が左端部から右端部にかけて狭くされる。
【０３８９】
後述する下変位部材４４０のベース部材４７０の突起４７２，４７３は、その間の距離が変わらないので、下変位部材４４０を摺動溝に沿って摺動させた場合には、下変位部材４４０を回転させつつ変位させることができる。即ち、２つの摺動溝４１１ａ，４１１ｂの間の距離を変更することで、下変位部材４４０に回転の駆動力を与えることなく下変位部材４４０を摺動に伴って回転させることができる。なお、下変位部材４４０の詳しい変位の態様は後述する。
【０３９０】
軸支ピン４１１ｃは、後述する伝達部材４２０のカム部材４２２の軸部４２２ａに挿入される突起であり、軸部４２２ａの内径よりも小さい外径の円柱状に形成される。また、軸支ピン４１１ｃは、金属製の棒状体から形成され、正面ベース４１１に外嵌される。よって、カム部材４２２にその外周面から軸方向に向かって力が作用した際に、軸支ピン４１１ｃが折れる（破損する）ことを抑制できる。
【０３９１】
軸支ピン４１１ｄは、後述する第１リンク部材４３１の一端に形成される貫通孔４３１ａに挿入される突起であり、貫通孔４３１ａの内径よりも小さい外径の円柱状に形成される。また、軸支ピン４１１ｄは、金属性の棒状体から形成され、正面ベース４１１に外嵌される。よって、第１リンク部材４３１に貫通孔４３１ａの方向に向かって力が作用した際に、軸支ピン４１１ｄが折れる（破損する）ことを抑制できる。
【０３９２】
湾曲壁部４１１ｅは、正面ベース４１１の背面側から突出すると共に、軸支ピン４１１ｄの軸を中心に湾曲して形成される。湾曲壁部４１１ｅの突出距離は、後述する第１リンク部材４３１の板状突起４３１ｂの突出先端面に当接する距離に設定される。よって、第１リンク部材４３１が前方側に位置ずれすることが抑制される。また、湾曲壁部４１１ｅは、軸支ピン４１１ｄの軸を中心に湾曲して形成されるので、第１リンク部材４３１が軸支ピン４１１ｄの軸周りに回転された場合でも、第１リンク部材４３１の板状突起４３１ｂを湾曲壁部４１１ｅの突出先端面と当接させることができる。
【０３９３】
回収口４１１ｆは、後述する下変位部材４４０の球受部４６７の移動により、出射開口４７１から出された球を、回収口４１１ｆに流入させて回収するための開口である。回収口４１１ｆの下流側は、球の回収経路に連結される。回収口４１１ｆは、正面ベース４１１の右側端部に突出して形成される孔であり、その開口面が、退避状態における下変位部材４４０と対向した面および第１張出状態における下変位部材４４０の出射開口４７１の重力方向下側に位置する面とされる。
【０３９４】
また、退避状態における下変位部材４４０の出射開口４７１は、回収口４１１ｆの上方に配置される。よって、出射開口４７１から出射された球を回収口４１１ｆに受け入れて速やかに回収することができる。
【０３９５】
背面ベース４１２は、正面側（図４４紙面手前側）から背面側に向かって凹設される溝部４１２ａ，４１２ｂと、溝部４１２ｂの近傍に正面側に向かって突出形成される係止部４１２ｃとを主に備えて形成される。
【０３９６】
溝部４１２ａは、上述した正面ベース４１１の軸支ピン４１１ｃの先端側を挿入する孔であり、軸支ピン４１１ｃの外径よりも大きい内径の円形に形成されると共に、軸支ピン４１１ｃと対向する位置に凹設される。よって、カム部材４２２は、軸部４２２ａに軸支ピン４１１ｃを挿通した後に、正面ベース４１１と背面ベース４１２とが組み合されることで、ベース部材４１０から脱落不能に保持される。また、背面ベース４１２が、軸支ピン４１１ｃの先端部を保持することができるので、カム部材４２２にその外周面から軸方向に力が作用した際に、軸支ピン４１１ｃが正面ベース４１１との連結部から曲がって折れることを抑制できる。
【０３９７】
溝部４１２ｂは、上述した正面ベース４１１の軸支ピン４１１ｄの先端側を挿入する孔であり、軸支ピン４１１ｄの外径よりも大きい内径の円形に形成されると共に、軸支ピン４１１ｄと対向する位置に凹設される。よって、第１リンク部材４３１は、貫通孔４３１ａに軸支ピン４１１ｄを挿通した後に、正面ベース４１１と背面ベース４１２とが組み合わされることで、ベース部材４１０から脱落不能に保持される。また、背面ベース４１２が、軸支ピン４１１ｄの先端部を保持することができるので、第１リンク部材４３１に貫通孔４３１ａの方向に力が作用した際に、軸支ピン４１１ｄが正面ベース４１１との連結部から曲がって折れることを抑制できる。
【０３９８】
係止部４１２ｃは、後述する付勢ばねＳＰ１の一端側を係止する板であり、付勢ばねＳＰ１の外側に形成される。これにより、付勢ばねＳＰ１の一端側を係止することができる。なお、付勢ばねＳＰ１の詳しい説明は後述する。
【０３９９】
伝達部材４２０は、正面ベース４１１の正面側に取着される駆動モータＫＭ１の軸に連結される伝達ギヤ４２１と、その伝達ギヤ４２１と歯合され伝達ギヤ４２１の駆動に伴って回転されるカム部材４２２とを主に備えて形成される。
【０４００】
伝達ギヤ４２１は、外周面全域に歯合面を有するギヤであり、駆動モータＫＭ１の軸部に外嵌される。よって、駆動モータＫＭ１に電力が付与されて軸部が回転されると、伝達ギヤ４２１も同様に回転される。
【０４０１】
カム部材４２２は、正面視における外形が大きさの異なる２つの半円の一端同士を組み合わせた形状に形成されると共に、前後方向に所定の厚みを有する板状体から形成される。カム部材４２２の外形の小さい半円部には、外周面に伝達ギヤ４２１と歯合する歯面４２２ｂが刻設されると共に、半円の中心に軸部４２２ａが貫通形成される。カム部材４２２の外形の大きい半円部には、後述するリンク部材４３０と対向する背面側に凹設される摺動溝４２２ｃが形成される。
【０４０２】
軸部４２２ａは、上述したように軸支ピン４１１ｃを挿通する孔であり、軸支ピン４１１ｃに軸部４２２ａが回転可能に軸支されることで、カム部材４２２が軸支ピン４１１ｃの軸を中心に回転可能に保持される。
【０４０３】
カム部材４２２は、歯面４２２ｂが伝達ギヤ４２１と歯合した状態でベース部材４１０に配設されるので、伝達ギヤ４２１が回転されると、カム部材４２２が軸部４２２ａの軸を中心に回転できる。
【０４０４】
摺動溝４２２ｃは、カム部材４２２の半径の大きい半円部の外周部に沿って凹設される。従って、一端側から他端側に向かうにつれて軸部４２２ａとの距離が大きくされる。また、摺動溝４２２ｃは、下変位部材４４０が後述する退避状態に位置する際に第１リンク部材４３１の摺動突起４３１ｄから貫通孔４３１ａの方向に延設される段部４２２ｃ１と、下変位部材４４０が後述する第２張出状態に位置する際に摺動突起４３１ｄから貫通孔４３１ａの方向に延設される段部４２２ｃ３と、下変位部材４４０が退避状態と第２張出状態との中間状態の第１張出状態に位置する際に摺動突起４３１ｄから貫通孔４３１ａの方向に延設される段部４２２ｃ２とを備える。
【０４０５】
リンク部材４３０は、第１リンク部材４３１と第２リンク部材４３２との２つのリンク部材から形成される。また、リンク部材４３０は、第１リンク部材４３１と第２リンク部材４３２とのそれぞれの端部が回転可能に連結して形成される。
【０４０６】
第１リンク部材４３１は、正面視略くの字形状に屈曲して形成されると共に、前後方向に所定の厚みを有する板状に形成される。第１リンク部材４３１は、カム部材４２２の変位に伴って変位するリンクであり、一端側に前後方向に貫通する貫通孔４３１ａと、他端側に背面側に突出する円柱状の連結突起４３１ｃと、上述した湾曲壁部４１１ｅと対向する位置に突出する板状突起４３１ｂと、屈曲部分の正面側に突出する円柱状の摺動突起４３１ｄとを主に備えて形成される。
【０４０７】
貫通孔４３１ａは、上述したように軸支ピン４１１ｄが挿入される貫通孔である。第１リンク部材４３１は、貫通孔４３１ａに軸支ピン４１１ｄが挿入された状態で正面ベース４１１と背面ベース４１２とが組み合わされることで、ベース部材４１０に対して回転可能に保持される。
【０４０８】
板状突起４３１ｂは、第１リンク部材４３１が前後方向に位置ずれすることを抑制して、第１リンク部材４３１が前方に配置されるカム部材４２２と衝突することを抑制する突起であり、貫通孔４３１ａを軸とした湾曲状に突出する板状体に形成されると共に、その突出長さが、カム部材４２２の前後方向の厚みよりも大きく設定される。これによりカム部材４２２の背面と第１リンク部材４３１の正面とが衝突することを抑制できる。
【０４０９】
また、板状突起９４３１ｂの突設寸法は、カム部材４２２の厚み（矢印Ｆ−Ｂ方向寸法）寸法よりも大きく設定される。さらに、板状突起４３１ｂの突設先端面と対向するベース部材４１０（湾曲壁部４１１ｅ）とは、若干の隙間（距離Ｘ１４（図５５（ａ）参照））を隔てて配置される。
【０４１０】
カム部材４２２は、板状突起４３１ｂを除く第１リンク部材９４３１の正面と湾曲壁部４１１ｅの突出面（背面）との対向間における領域を変位可能な状態で配置される。また、カム部材４２２及び第１リンク部材４３１との対向間の隙間と、カム部材４２２及びベース部材４１０の対向間の隙間と、を合わせた２箇所の隙間の寸法は、上述した距離Ｘ１４よりも大きく設定される。
【０４１１】
これにより、上述した距離Ｘ１４が小さくなる方向（矢印Ｆ方向）に第１リンク部材９４３１が、撓んだ際に板状突起４３１ｂの突設先端面を対向するベース部材４１０（湾曲壁部４１１ｅ）に当接させることができる。よって、板状突起９４３１ｂを除く第１リンク部材９４３１の正面と湾曲壁部４１１ｅの突出面（背面）との対向間にカム部材４２２が挟まれて変位が規制されることを抑制できる。
【０４１２】
連結突起４３１ｃは、後述する第２リンク部材４３２と連結される軸部であり、第２リンク部材４３２の貫通孔４３２ａに挿入されると共に、背面側から頭部の外径が貫通孔４３２ａよりも大きいネジ等が締結される。これにより、第１リンク部材４３１と第２リンク部材４３２とが回転可能に連結される。
【０４１３】
貫通孔４３１ａの縁部には、背面側に突出する壁部４３１ｆが形成される。壁部４３１ｆは、後述する付勢ばねＳＰ１をその外周面にはめ込んで保持するための壁面である。
【０４１４】
リンク側係合部４３１ｅは、壁部４３１ｆにはめ込んだ付勢ばねＳＰ１の他端側を係止する突起であり、第１リンク部材４３１の一端側の背面側に鉤状に突出して形成される。よって、付勢ばねＳＰ１は、一端側が背面ベース４１２の係止部４１２ｃに係合された状態とされ、他端側が第１リンク部材４３１のリンク側係合部４３１ｅに係合された状態とされる。従って、付勢ばねＳＰ１の付勢力を、第１リンク部材４３１の他端側をベース部材４１０に対して上方に回転させる方向に作用させることができる。その結果、下変位部材４４０を回転変位させる際に、付勢ばねＳＰ１の付勢力が作用するので、駆動モータＫＭ１の消費エネルギーを抑えることができる。
【０４１５】
摺動突起４３１ｄは、貫通孔４３１ａからカム部材４２２の軸部４２２ａとの離間距離と略同一距離貫通孔４３１ａから離間した位置に形成される。また、摺動突起４３１ｄは、その先端部分が摺動溝４２２ｃの内側に挿入される。即ち、摺動突起４３１ｄは、その外径の大きさが、摺動溝４２２ｃの対向間における幅寸法よりも小さく形成される。
【０４１６】
摺動突起４３１ｄは、摺動溝４２２ｃの内側に配置されることで、カム部材４２２の回転変位に伴って、摺動溝４２２ｃの内側を摺動して変位される。即ち、カム部材４２２が変位されることで、第１リンク部材４３１が、貫通孔４３１ａの軸を中心に回転変位される。なお、第１リンク部材４３１の変位についての詳しい説明は後述する。
【０４１７】
また、摺動突起４３１ｄと板状突起４３１ｂとは、近接する位置に形成されるので、板状突起４３１ｂにより第１リンク部材４３１の前方への変位が抑制される。よって、摺動突起４３１ｄがカム部材４２２を前方に押し出すことを抑制できる。その結果、カム部材４２２に凹設される摺動溝４２２ｃの凹設深さを深くする必要がなくなり、カム部材４２２の前後方向の厚さを厚くすることなくその剛性を確保できる。
【０４１８】
第２リンク部材４３２は、一方が長い正面視矩形に形成されると共に、前後方向に所定の厚みを備えた板状に形成される。第２リンク部材４３２は、一端側に前後方向に貫通形成される貫通孔４３２ａと、他端側に前後方向に貫通形成される貫通孔４３２ｂとを主に備えて形成される。
【０４１９】
貫通孔４３２ａは、上述したように第１リンク部材４３１と連結されるための孔であり、内部に連結突起４３１ｃが挿入される。これにより、第２リンク部材４３２は、第１リンク部材４３１に対して回転可能に連結される。
【０４２０】
貫通孔４３２ｂは、後述する下変位部材４４０と連結されリンク部材４３０の変位を下変位部材４４０に伝達できる。貫通孔４３２ｂは、後述する背面ケース４８２の突起４８２ａが挿入される孔であり、その内径が突起４８２ａの外径よりも大きく形成される。よって、貫通孔４３２ｂに突起４８２ａを挿入すると共に、突起４８２ａの先端部に貫通孔４３２ｂの内径よりも大きい頭部を有するネジ等を締結することで、下変位部材４４０が、第２リンク部材４３２に対して回転可能に保持される。よって、下変位部材４４０の駆動は、カム部材４２２が回転変位された際に、その変位がリンク部材４３０を介して伝達される。
【０４２１】
次いで、図４７から図５２を参照して、下変位部材４４０の変位動作について説明する。図４７は、退避状態における下変位ユニット４００の正面図であり、図４８は、第１張出状態における下変位ユニット４００の正面図であり、図４９は、第２張出状態における下変位ユニット４００の正面図である。図５０は、退避状態における下変位ユニット４００の背面図であり、図５１は、第１張出状態における下変位ユニット４００の背面図であり、図５２は、第２張出状態における下変位ユニット４００の背面図である。なお、図５０から図５２では、背面ベース４１２が透明視された状態が図示される。また、図５０から図５２では、第１リンク部材４３１の板状突起４３１ｂ及び湾曲壁部４１１ｅの一部が鎖線で図示される。
【０４２２】
また、退避状態とは、摺動溝４２２ｃの内側に配置される摺動突起４３１ｄが、段部４４２ｃ１の対向間に配置され、下変位部材４４０が下側に配置された状態である。第２張出状態とは、摺動突起４３１ｄが段部４４２ｃ３の対向間に配置され、下変位部材４４０の先端側が一番上方に配置された状態である。第１張出状態とは、摺動突起４３１ｄが段部４４２ｃ２の対向間に配置され、下変位部材４４０が、退避状態と第２張出状態との中間状態に配置された状態である。
【０４２３】
図４７及び図５０に示すように、退避状態における下変位ユニット４００は、第１位置のカム部材４２２が、伝達ギヤ４２１に回転されて摺動溝４２２ｃの他端側（段部４２２ｃ３側）を軸部４２２ａの背面視右側（図５０右側）へ位置させた状態とされる。この場合、第１リンク部材４３１の摺動突起４３１ｄは、摺動溝４２２ｃの内壁に沿って案内されて、段部４２２ｃ１に位置した状態とされる。よって、第１リンク部材４３１は、他端側（連結突起４３１ｃ側）が、一端側の貫通孔４３１ａの背面視右側（図５０右側）に位置した状態（貫通孔４３１ａを軸に回転して他端側を回転可能な範囲の下端に位置させた状態（第１従動位置））とされる。
【０４２４】
第２リンク部材４３２は、第１リンク部材４３１に連結されるので、第１リンク部材４３１に連結される一端側（貫通孔４３２ａ側）が、背面視右側（図５０右側）へ位置される。これにより、第２リンク部材４３２に連結される下変位部材４４０は、正面ベース４１１と連結される突起４７２，４７３が、摺動溝４１１ａ，４１１ｂの背面視右側（図５０右側）に位置された状態とされる。上述したように、摺動溝４１１ａ，４１１ｂの垂直方向の対向間の距離は、背面視右側の方が左側よりも大きくされるので、下変位部材４４０は、長手方向を左右方向と略平行にした状態で配置される。即ち、正面ベース４１１の前方に配置された状態とされる。
【０４２５】
図４７及び図５０に示す退避状態から図４６及び図５１に示す第１張出状態への変位は、カム部材４２２が変位されることで行われる。
【０４２６】
第１張出状態では、駆動モータＫＭ１の駆動力により伝達ギヤ４２１が回転され、カム部材４２２が、退避状態の位置から略９０度回転されて第３位置に変位される。これにより、カム部材４２２の他端側（段部４２２ｃ３側）を軸部４２２ａの上方に位置した状態とされる。この回転変位により、摺動溝４２２ｃの内壁に案内される第１リンク部材４３１の摺動突起４３１ｄが摺動溝４２２ｃの変位に伴って変位されて、第３従動位置に配置される。なお、第１張出状態では、摺動突起４３１ｄが、摺動溝４２２ｃの段部４２２ｃ２の内壁の対向間に案内される。
【０４２７】
よって、第１リンク部材４３１は、摺動突起４３１ｄの変位により貫通孔４３１ａを中心に略３０度回転され、他端側（連結突起４３１ｃ側）が退避状態の位置から、背面視左上（図５１左上）に変位される。
【０４２８】
第１リンク部材４３１の回転変位により、第１リンク部材４３１に連結される第２リンク部材４３２が変位され、第２リンク部材４３２に連結される下変位部材４４０が変位される。この場合、下変位部材４４０は、突起４７２，４７３が、正面ベース４１１の摺動溝４１１ａ，４１１ｂに摺動可能に連結されるので、摺動溝４１１ａ，４１１ｂの形状に沿って変位される。上述したように、摺動溝４１１ａ，４１１ｂの垂直方向の対向間の距離は、背面視右側から左側に行くに従って狭くされるので、下変位部材４４０は、正面視右側（図４８右側）にスライド変位されつつ、先端側が上方に回転変位される。
【０４２９】
また、第１張出状態では、先端側の重力方向下側に回収口４１１ｆが位置された状態とされる。即ち、下変位部材４４０を退避状態から第１張出状態への遷移の際に、スライド変位させつつ回転変位させることで、下変位部材４４０の先端側をベース部材４１０の正面視右側に張り出させることなく変位させることができる。その結果、他の変位役物の可変領域と異なる変位領域を形成しやすくできる。他の変位役物と衝突することを抑制できる。
【０４３０】
また、回収口４１１ｆが下変位部材４４０の一端側（正面ベース４１１に連結される突起４７２、４７３側と反対側）の下方に位置されるので、後述する下変位部材４４０の球受部４６７が発射動作して、球が出射開口４７１からそのまま下方に落下した場合に、球を回収口４１１ｆに送球させることができる。
【０４３１】
図４８及び図５１に示す第１張出状態から図４９及び図５２に示す第２張出状態への変位は、第１張出状態から更にカム部材４２２が変位されることで行われる。
【０４３２】
第２張出状態では、第１張出状態から、駆動モータＫＭ１の駆動力により伝達ギヤ４２１が回転され、カム部材４２２が、第１張出状態の位置（第３位置）から略９０度回転された第２位置に配置される。よって、カム部材４２２の他端側（段部４２２ｃ３側が軸部４２２ａの上方に位置した状態とされる。また、この回転変位により摺動溝４２２ｃの内壁に案内される第１リンク部材４３１の摺動突起４３１ｄが摺動溝４２２ｃの変位に伴って変位されて、第２従動位置に配置される。なお、第２張出状態では、摺動突起４３１ｄが、摺動溝４２２ｃの段部４２２ｃ１の内壁の対向間に案内される。
【０４３３】
よって、第１リンク部材４３１は、摺動突起４３１ｄの変位により貫通孔４３１ａを中心に略３０度回転され、他端側（連結突起４３１ｃ側）が第１張出状態の位置から、背面視略左上（図５２左上）に変位される。
【０４３４】
第１リンク部材４３１の回転変位により、第１リンク部材４３１に連結される第２リンク部材４３２が変位され、第２リンク部材４３２に連結される下変位部材４４０が変位される。この場合、下変位部材４４０は、突起４７２，４７３が、正面ベース４１１の摺動溝４１１ａ，４１１ｂに摺動可能に連結されるので、摺動溝４１１ａ，４１１ｂの形状に沿って変位される。上述したように、摺動溝４１１ａ，４１１ｂの垂直方向の対向間の距離は、背面視右側から左側に行くに従って狭くされるので、下変位部材４４０は、正面視右側（図４９右側）にスライド変位されつつ、先端側が上方に回転変位される。
【０４３５】
また、第１張出状態と同様に、第２張出状態では、先端側の重力方向下側に回収口４１１ｆが位置された状態とされる。即ち、下変位部材４４０を退避状態から第２張出状態への遷移の際に、スライド変位させつつ回転変位させることで、下変位部材４４０の先端側をベース部材４１０の正面視右側に張り出させることなく変位させることができる。その結果、他の変位役物の可変領域と異なる変位領域を形成しやすくでき、他の変位役物と衝突することを抑制できる。
【０４３６】
次いで、図５３を参照して、各状態における第１リンク部材４３１とカム部材４２２との位置関係を説明する。図５３（ａ）は退避状態における、図５３（ｂ）は第１張出状態における、図５３（ｃ）は第２張出状態における、第１リンク部材４３１とカム部材４２２との背面図である。なお、図５３（ａ）から図５３（ｃ）では、カム部材４２２の第１リンク部材４３１と重なる部分が鎖線で図示される。
【０４３７】
図５３（ａ）に示すように、退避状態では、第１リンク部材４３１の摺動突起４３１ｄが、摺動溝４２２ｃの段部４２２ｃ１の内壁の対向間に配置される。また、上述したように、摺動突起４３１ｄは、貫通孔４３１ａからカム部材４２２の軸部４２２ａとの離間距離と略同一距離、貫通孔４３１ａから離間した位置に形成される。よって、退避状態に位置する第１リンク部材４３１に貫通孔４３１ａの軸を中心に回転する力が作用する際に、その力を摺動突起４３１ｄから、カム部材４２２の軸部４２２ａに作用させることできる。従って、第１リンク部材４３１の回転力で、カム部材４２２が回転することを抑制できる。その結果、退避状態において、第２リンク部材４３２を介して第１リンク部材４３１に連結される下変位部材４４０が変位されること抑制できる。
【０４３８】
図５３（ｂ）に示すように、第１張出状態では、第１リンク部材４３１の摺動突起４３１ｄ、摺動溝４２２ｃの段部４２２ｃ２の内壁の対向間に配置される。よって、退避状態と同様に、第１張出状態に位置する第１リンク部材４３１に貫通孔４３１ａを中心に回転する力が作用する際に、その力を摺動突起４３１ｄから、カム部材４２２の軸部４２２ａに作用させることができる。従って、第１リンク部材４３１の回転力で、カム部材４２２が回転することを抑制できる。その結果、第１張出状態において、第２リンク部材４３２を介して第１リンク部材４３１に連結される下変位部材４４０が変位されることを抑制できる。
【０４３９】
ここで、第１張出位置では、下変位部材４４０の変位の中間位置となるために停止した状態を維持させるためには、駆動モータＫＭ１を停止状態で維持させる必要がある。そのため、第１張出位置（変位の中間位置）で下変位部材４４０を停止させていると消費エネルギーが嵩むという問題があった。
【０４４０】
これに対し、本実施形態では、第１張出状態では、第１リンク部材４３１の摺動突起４３１ｄが、摺動溝４２２ｃの段部４２２ｃ２の内壁の対向間に配置されるので、上述したように、下変位部材４４０が変位されることを抑制できる。よって、下変位部材４４０を変位の途中の位置で停止させた際に、駆動モータＫＭ１の電力を停止させたとしても、下変位部材４４０が変位することを抑制できる。その結果、下変位部材４４０を変位途中で停止した際に駆動モータＫＭ１の消費エネルギーが嵩むことを抑制できる。
【０４４１】
図５３（ｃ）に示すように、第２張出状態では、第１リンク部材４３１の摺動突起４３１ｄ、摺動溝４２２ｃの段部４２２ｃ２の内壁の対向間に配置される。よって、退避状態および第１張出状態と同様に、第２張出状態に位置する第１リンク部材４３１に貫通孔４３１ａの軸を中心に回転する力が作用する際に、その力を摺動突起４３１ｄから、カム部材４２２の軸部４２２ａに作用させることができる。従って、第１リンク部材４３１の回転力で、カム部材４２２が回転することを抑制できる。その結果、第２張出状態において、第２リンク部材４３２を介して第１リンク部材４３１に連結される下変位部材４４０が変位されることを抑制できる。
【０４４２】
また、各段部４２２ｃ１，４２２ｃ２，４２２ｃ３は、摺動突起４３１ｄと貫通孔４３１ａとを結ぶ方向に延設されるので、第１リンク部材４３１の摺動突起４３１ｄが変位する方向の摺動溝４２２ｃの幅寸法を小さくできる。よって、退避位置、第１張出位置および第２張出位置での、第１リンク部材４３１が貫通孔４３１ａの軸を中心に回転変位できる摺動溝４２２ｃと摺動突起４３１ｄとの隙間を小さくできる。従って、各状態における第１リンク部材４３１が、貫通孔４３１ａの軸を中心に回転変位可能な隙間を小さくできる。その結果、各状態における下変位部材４４０が振動や変位停止時の慣性力で揺れ動く幅を小さくでき、遊技者に停止した状態を視認させやすくできる。
【０４４３】
よって、下変位部材４４０を駆動する伝達部材４２０及びリンク部材４３０（駆動機構）は、球受部４６７から遊技球が出射される際の反作用の方向に下変位部材４４０が変位されることを規制することができるので、反作用に伴って下変位部材４４０がベース部材４１０に対して変位されることを抑制できる。その結果、下変位部材４４０のがたつきを抑制できる。
【０４４４】
次いで、図５４を参照して、リンク部材４３０及びカム部材４２２との前後方向の関係を説明する。図５４（ａ）は、図５０のＬＩＶａ−ＬＩＶａ線における下変位ユニット４００の断面模式図であり、図５４（ｂ）は、図５１のＬＩＶｂ−ＬＩＶｂ線における下変位ユニット４００の断面模式図である。なお、図５１及び図５２では、背面ベース４１２を透明視して図示したが、図５４（ａ）及び（ｂ）では、透明視していない状態の下変位ユニット４００の断面図が図示される。
【０４４５】
図５４（ａ）に示すように、退避状態における下変位ユニット４００のリンク部材４３０は、背面ベース４１２とカム部材４２２との間に配置される。よって、下変位部材４４０が前後方向に揺れ動くことを抑制できる。即ち、第１リンク部材４３１の他端側は、第２リンク部材４３２を介して複数の備品を組み合わせて構成される下変位部材４４０に連結されるので、下変位部材４４０の荷重により前後方向に撓む恐れがあるところ、カム部材４２２が前方に配置されるので、第１リンク部材４３１が前方に撓むことを抑制できる。その結果、第１リンク部材４３１が前方に動くことを抑制できるので、下変位部材４４０が前後方向へ揺れ動くことを抑制できる。
【０４４６】
図５４（ｂ）に示すように、第１張出状態における下変位ユニット４００のリンク部材４３０は、退避状態の場合と同様に、背面ベース４１２とカム部材４２２との間に配置される。よって、下変位部材４４０が前後方向に揺れ動くことを抑制できる。
【０４４７】
また、退避状態および第１張出状態では、カム部材４２２がリンク部材４３０の第１リンク部材４３１と第２リンク部材４３２との連結部分の前方側に配置される。よって、リンク部材４３０は、２の部材から形成されるとその連結部分を回転可能にする必要があるためその隙間の分、他の部分より剛性が弱くなり屈曲しやすくなるところ、前方側にカム部材４２２が配置されるので、リンク部材４３０の連結部分が屈曲することを抑制できる。その結果、下変位部材４４０が前後方向にゆれ動くことを抑制できる。
【０４４８】
＜従動部材の変位を規制する規制手段により変位部材の変位を規制する＞
次いで、図５５及び図５６を参照して、カム部材４２２と湾曲壁部４１１ｅとの関係について説明する。図５５（ａ）は、図５０のＬＶａ−ＬＶａ線における下変位ユニット４００の断面図であり、図５５（ｂ）は、図５１のＬＶｂ−ＬＶｂ線における下変位ユニット４００の断面図であり、図５５（ｃ）は、図５２のＬＶｃ−ＬＶｃ線における下変位ユニット４００の断面図である。
【０４４９】
図５５（ａ）に示すように、下変位ユニット４００が退避状態（第１位置）とされる場合には、カム部材４２２と湾曲壁部４１１ｅとが、前後方向（矢印Ｆ−Ｂ方向）において異なる位置に配置される。従って、下変位ユニット４００を退避状態（第１位置）から第１張出状態（第３位置）へ変位させる際に、カム部材４２２に作用する抵抗が大きくなることを抑制できる。その結果、下変位部材４４０の変位開始を安定させることができる。
【０４５０】
図５５（ｂ）及び図５５（ｃ）に示すように、下変位ユニット４００が第１張出状態（第３位置）とされる場合には、カム部材４２２の一部が、湾曲壁部４１１ｅの正面側（矢印Ｆ方向側）に所定の隙間を隔てる位置に配置される。これにより、カム部材４２２が正面方向に変位する場合に、カム部材４２２の軸方向の側面を湾曲壁部４１１ｅに当接させて、カム部材４２２が正面側に変位することを抑制できる。
【０４５１】
なお、カム部材４２２の正面ベース４１１側（矢印Ｆ方向側）の面は、正面ベース４１１の背面と平行な平坦面に形成される（図４５参照）。これにより、カム部材４２２が湾曲壁部４１１ｅ側に変位した場合に、カム部材４２２の平坦面を湾曲壁部４１１ｅに当接させることができる。よって、カム部材４２２が湾曲壁部４１１ｅに部分的に当接することを抑制して、一部に力が集中することを抑制できる。その結果、カム部材４２２が破損することを抑制できる。
【０４５２】
ここで、上述したように、下変位部材４４０は、退避状態（第１位置）から第１張出状態（第３位置）に変位される場合に先端側（正面ベース４１１に連結される突起４７３と長手方向反対側）が上方（矢印Ｕ方向）に回転変位される。よって、下変位部材４４０の長手方向の方向成分が重力方向に近づく分、下変位部材４４０が前後方向に傾倒する力成分が大きくされる。従って、第１張出状態（第３位置）とされる場合には、退避状態（第１位置）とされる場合よりも、下変位部材４４０を支えるリンク部材４３０に作用する前後方向の力が大きくされる。その結果、リンク部材４３０に連結されるカム部材４２２が、前後方向に変位されやすくなる。
【０４５３】
これに対し、本実施形態では、下変位ユニット４００が退避状態（第１位置）から第１張出状態（第３位置）を超えて変位される場合に、カム部材４２２の一部が湾曲壁部４１１ｅの正面側に配設されるので、正面側へのカム部材４２２の変位を規制することができる。その結果、第１張出状態（第３位置）から第２張出状態（第２位置）の間で下変位部材４４０が前後方向に揺れ動くことを抑制でき、下変位部材４４０の変位を遊技者に視認させやすくできる。
【０４５４】
なお、リンク部材４３０の背面側への変位は、上述したようにリンク部材４３０を背面ベース４１２及びカム部材４２２との間に配設することで規制できる。即ち、リンク部材４３０が背面側に揺れ動く場合には、リンク部材４３０を背面ベース４１２に当接させて、リンク部材４３０の変位を規制することができる。その結果、下変位部材４４０が前後方向に揺れ動くことを抑制できる。
【０４５５】
また、正面ベース４１１は、リンク部材４３０の従動方向以外の方向の揺動を規制する規制手段（湾曲壁部４１１ｅ）を備え、カム部材４２２は、第１位置と第２位置との間で変位され、第１位置から第１位置および第２位置の中間位置の第３位置を変位する第１変位領域と、第３位置から第２位置を変位する第２変位領域とを変位可能とされ、リンク部材４３０は、カム部材４２２が第１位置から第２位置に変位されることで、第１従動位置から第２従動位置に従動され、第１従動位置から第１従動位置および第２従動位置との中間位置の第３従動位置を変位する第１従動領域と、第３従動位置から第２従動位置を変位する第２従動領域とを変位可能とされ、第２変位領域と第１従動領域との一部が同一の領域に設定され、カム部材４２２が第２変位領域を変位される際に、規制手段（湾曲壁部４１１ｅ）によりカム部材４２２の変位方向以外の方向の揺動が規制されるので、規制手段（湾曲壁部４１１ｅ）の同一の部分を利用してリンク部材４３０およびカム部材４２２の揺動を規制することができる。
【０４５６】
従って、規制手段（湾曲壁部４１１ｅ）を１箇所に形成すれば良いので、カム部材４２２とリンク部材４３０とのそれぞれに変位を規制する規制手段が形成される場合に比べて、規制手段の形状を簡易にでき、製造コストを抑えることができる。
【０４５７】
また、リンク部材４３０およびカム部材４２２の揺動を規制手段（湾曲壁部４１１ｅ）の同一の部分を利用して規制することができるので、１の規制手段（湾曲壁部４１１ｅ）にリンク部材４３０とカム部材４２２と規制部分をそれぞれ形成する必要がないので、その分、規制手段（湾曲壁部４１１ｅ）を小さくすることができる。
【０４５８】
また、下変位ユニット４００が、退避状態から第２張出状態に変位される場合には、正面ベース４１１に形成される摺動溝４１１ａ，４１１ｂに挿入される下変位部材４４０の突起４７２，４７３（突起４７２，４７３に配設されるカラーＣ（図１４参照））がカム部材４２２の変位に伴って、カム部材４２２の他端側（段部４２２ｃ３側）の正面側（矢印Ｆ方向側）に移動される（図５０から図５２参照）。これにより、カム部材４２２の他端側（段部４２２ｃ３側）が、突起４７２，４７３（突起４７２，４７３に配設されるカラーＣ）により背面側に押し出されると、カム部材４２２が、軸部４２２ａを中心に前後方向に回転変位されてリンク部材４３０と当接する恐れがある。
【０４５９】
これに対し、本実施形態では、上述したように、正面側へのカム部材４２２の変位を湾曲壁部４１１ｅに当接させて規制することができるので、カム部材４２２が軸部４２２ａを中心に前後方向に回転変位することを抑制できる。その結果、リンク部材４３０とカム部材４２２とが当接することを抑制できる。
【０４６０】
また、本実施形態では、カム部材４２２が、第１張出状態（第３位置）を超えて変位される場合に湾曲壁部４１１ｅにより変位が規制されるので、カム部材４２２が初期動作時に湾曲壁部４１１ｅと当接して摩擦抵抗が大きくなることを抑制できる。その結果、カム部材４２２の初期動作を安定させることができる。
【０４６１】
次いで、図５６を参照して、下変位ユニット４００が第２変位状態とされる場合の、カム部材４２２と第１リンク部材４３１とについて説明する。図５６（ａ）は、図５２のＬＶＩａ−ＬＶＩａ線における下変位ユニット４００の断面図であり、図５６（ｂ）は、第２張出状態（第２位置）における下変位ユニット４００の第１リンク部材４３１及びカム部材４２２の正面図である。なお、図５６（ｂ）では、ベース部材４１０の外形が鎖線で図示される。
【０４６２】
図５６に示すように、下変位ユニット４００が、第２変位状態とされる場合には、カム部材４２２の端部が、第１リンク部材４３１の板状突起４３１ｂと当接する。これにより、下変位ユニット４００を退避状態（第１位置）から第２変位状態に変位する方向へのカム部材４２２の回転変位を規制することができる。その結果、カム部材４２２の回転変位を停止する動作を、伝達ギヤ４２１及び歯面４２２ｂの歯合部分と、カム部材４２２及び第１リンク部材４３１の当接部分とに分散することができ、伝達ギヤ４２１及び歯面４２２ｂの歯面が破損することを抑制できる。
【０４６３】
また、下変位ユニット４００が第２変位状態とされる場合には、第１リンク部材４３１の板状突起４３１ｂとカム部材４２２との当接面が、カム部材４２２の軸部４２２ａとその当接部分とを通る仮想線ＫＳ１と直交する方向に設定される。これにより、第１リンク部材４３１の軸周りに、第２変位状態から退避状態（第１位置）の方向に変位する力が作用する際に、その力が、カム部材４２２の軸部４２２ａの軸周りに回転する方向に作用することを抑制できる。その結果、第１リンク部材４３１に作用する力でカム部材４２２が回転することを抑制できる。
【０４６４】
ここで、上述したように、下変位部材４４０が先端側（正面ベース４１１に連結される突起４７３と長手方向反対側）が上方（矢印Ｕ方向）に回転変位される。従って、下変位部材４４０の長手方向の方向成分が重力方向に近づく分、下変位部材４４０を支える第１リンク部材４３１の貫通孔４３１ａの軸周りに作用する回転方向の力が最大となるところ、第１リンク部材４３１からカム部材４２２への力の伝達が抑制されるので、下変位部材４４０を第２変位状態の位置で維持しやすくできる。
【０４６５】
さらに、カム部材４２２が第２変位状態の位置に配置される際には、下変位部材４４０の荷重により第１リンク部材４３１の貫通孔４３１ａの軸周りに回転する力が作用される。この場合、カム部材４２２の端部が板状突起４３１ｂに押し出されてカム部材４２２が軸部４２２ａの軸周りに回転する方向の力ＰＷ１（図５６（ｂ）参照）と、カム部材４２２の摺動溝４２２ｃの内壁が摺動突起４３１ｄより押し出されてカム部材４２２が軸部４２２ａの軸周りに回転する方向の力ＰＷ２（図５６（ｂ）参照）と、が打ち消し合う方向に作用する。その結果、カム部材４２２が第１リンク部材４３１から作用される力で回転することを抑制できる。
【０４６６】
次いで、図５７から図６０を参照して、下変位部材４４０の構成について詳細な説明をする。図５７（ａ）は、下変位部材４４０の正面図であり、図５７（ｂ）は、下変位部材４４０の背面図である。図５８は、下変位部材４４０の分解斜視正面図であり、図５９は、下変位部材４４０の分解斜視背面図である。図６０（ａ）及び（ｂ）は、下変位部材４４０の正面図である。
【０４６７】
なお、図６０（ａ）では、下変位部材４４０の装飾部材４５０が透明視された状態が図示され、図６０（ｂ）では、下変位部材４４０の装飾部材４５０及び正面ケース４８１が透明視された状態が図示される。
【０４６８】
図５７から図６０に示すように、下変位部材４４０は、正面ベース４１１に連結されるベース部材４７０と、そのベース部材４７０の前後を覆うケース部材４８０と、ケース部材４８０とベース部材４７０との間に変位可能に配設される伝達機構４６０と、ケース部材４８０の前後を覆う態様で形成される装飾部材４５０とを主に備えて形成される。
【０４６９】
ベース部材４７０は、正面視矩形横長に形成される板部材であり、一端側の背面側に突出する突起４７２，４７３と、他端側の縁部から正面側に立設する立設壁４７１ａと、左右方向（図５７左右方向）中央部の上端から正面側に上下反対のＵ字状に突出する突設壁４７７と、ベース部材４７０の上端に突設壁４７７の端部から一端側に刻設されるラックギヤ４７６と、正面側に突出する軸部４７４，４７５と、ベース部材４７０の一端側の背面に取着される長方形状の配線係止部４７８と、ベース部材４７０の上下方向中央部に一端側から他端側に延びて凹設される開口４７９とを主に備えて形成される。
【０４７０】
突起４７２，４７３は、上述したように正面ベース４１１の摺動溝４１１ａ，４１１ｂに挿入されて、下変位部材４４０と正面ベース４１１とを連結する連結部分である。よって、摺動溝４１１ａ，４１１ｂの内壁の対向間の寸法よりも小さい外径の円柱状に形成される。
【０４７１】
立設壁４７１ａは、後述する正面ケース４８１が、ベース部材４７０に取着された際に、正面ケース４８１とベース部材４７０との対向間に隙間を形成するための壁部であり、球の直径よりも大きい立設寸法に設定される。
【０４７２】
軸部４７４，４７５は、後述する伝達機構４６０の伝達ギヤ４６２，４６３の軸に挿入され伝達ギヤ４６２，４６３を回転可能に保持する突起であり、伝達ギヤ４６２，４６３の軸孔の内径よりも小さい外径の円柱状に形成される。
【０４７３】
ラックギヤ４７６は、後述する伝達ギヤ４６５と歯合する歯面が刻設される。これにより、後述する可動ラック４６４が、ベース部材４７０に対してスライド変位することで、伝達ギヤ４６５を回転させることができる。
【０４７４】
突設壁４７７は、後述する送球ユニット６００から送球される球を、装飾部材４５０の開口４５１ａを介してベース部材４７０の前方に受け入れた際に、球が下変位部材４４０の外側に落下することを抑制するための壁面であり、略Ｕ字に形成された対向する壁部の間は、球の直径よりも大きく形成される。
【０４７５】
配線係止部４７８は、ベース部材４７０の背面側に配設される制御基板へのフレキシブル配線（図示せず）を係止するための部材であり、ベース部材４７０との間にフレキシブル配線の一端を介した状態でベース部材４７０の背面側に取着される。これにより、下変位部材４４０がベース部材４１０に対して変位可能に配設されるものであっても、フレキシブル配線が絡むことを抑制できる。
【０４７６】
また、配線係止部４７８は、背面側に、円柱状に突出する突起４７８ａを備える。突起４７８ａの突出距離は、背面側に連結されるリンク部材４３０よりも背面側に突出する距離に設定されると共に、背面ベース４１２の正面と当接可能な距離に設定される。これにより、下変位部材４４０が後方側に揺れ動くことを抑制できると共に、リンク部材４３０が背面ベース４１２と衝突することを抑制できる。
【０４７７】
開口４６９は、正面側に配設される可動ラック４６４のスライド変位方向を規定する開口であり、後述する可動ラック４６４の案内板４６４ｄが内部に挿入される。
【０４７８】
伝達機構４６０は、ベース部材４７０の前方に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の前方にスライド変位可能に配設される可動ラック４６４と、その可動ラック４６４に回転可能に配置されると共に、ラックギヤ４７６に歯合した状態とされる伝達ギヤ４６５と、その伝達ギヤ４６５に歯合される歯面を有し可動ラック４６４の前方をスライド変位可能に配設されるラック４６６と、そのラック４６６の一端側に回転可能に配設される球受部４６７とを主に備えて形成される。
【０４７９】
伝達ギヤ４６１は、駆動モータＫＭ２の軸部分が軸孔に内嵌されるギヤであり、駆動モータＫＭ２に連結された状態で駆動モータＫＭ２がベース部材４７０に取着されることで、ベース部材４７０に配設される。
【０４８０】
伝達ギヤ４６２，４６３は、上述したように、軸孔にベース部材４７０の軸部４７４，４７５が挿入されてベース部材に回転可能に保持される。また、伝達ギヤ４６１から４６３はそれぞれ歯合されたギヤ列であり、伝達ギヤ４６１が駆動モータＫＭ２により回転されることで、終端の伝達ギヤ４６３が回転される。
【０４８１】
可動ラック４６４は、正面視矩形横長の板状に形成され、下端面に刻設されるラックギヤ４６４ａと、正面側から円柱状に突出する軸部４６４ｂと、上端面の一端側から上方に突出する当接板４６４ｃと、上下方向略中央位置に一端から他端にかけて突出される案内板４６４ｄと、その案内板４６４ｄと反対の正面側に突出するラック案内部４６４ｅと、下方の他端に突出する衝突部４６４ｆとを主に備えて形成される。
【０４８２】
ラックギヤ４６４ａは、伝達ギヤ４６３と歯合する歯面である。よって、ベース部材４７０にラックギヤ４６４ａと伝達ギヤ４６３を歯合した状態で配置することで、可動ラック４６４を駆動モータＫＭ２の駆動で変位可能とできる。
【０４８３】
軸部４６４ｂは、伝達ギヤ４６５が回転可能に保持される軸部分であり、伝達ギヤ４６５の軸孔よりも小さい外径の円柱状に形成される。
【０４８４】
当接板４６４ｃは、後述する振分けユニット５００の振分け部材５４０に当接して振分け部材５４０を変位させる当接部である。即ち、可動ラック４６４の変位によって、振分け部材５４０を変位可能とされる。なお、当接板４６４ｃと振分け部材５４０との当接態様については後述する。
【０４８５】
案内板４６４ｄは、上述したように、ベース部材４７０の開口４７９の内部に挿入される板状体であり、駆動モータＫＭ２の駆動により変位される可動ラック４６４の変位方向を規定することができる。即ち、駆動モータＫＭ２の駆動により変位される可動ラック４６４を開口４７９の延設方向に沿って変位させることができる。なお、本実施形態では、開口４７９は、左右方向に延設されるので、可動ラック４６４をベース部材４７０に対して左右方向にスライド変位させることができる。
【０４８６】
ラック案内部４６４ｅは、後述するラック４６６の変位方向を規制するための突壁であり、左右方向に一端から他端に亘って突設される。
【０４８７】
衝突部４６４ｆは、後述する変位部材４９２の突起４９２ｂと当接して変位部材４９２を変位させる壁部であり、可動ラック４６４の下端に突出して形成される。また、衝突部４６４ｆは、他端側が傾斜した状態に形成される。これにより、変位部材４９２の突起４９２ｂをその傾斜面に沿って摺動させて変位させることができる。
【０４８８】
ラック４６６は、正面視矩形横長の棒状体から形成され、上端面に刻設されるラックギヤ４６６ａと、他端側の端部から背面側に円柱状に突出する軸部４６６ｂと、正面側に突出する２つの摺動板４６６ｃと、背面側に一端から他端に亘って凹設される凹設部４６６ｄとを主に備えて形成される。
【０４８９】
ラックギヤ４６６ａは、可動ラック４６４に取着される伝達ギヤ４６５に歯合される。これにより、ラック４６６が可動ラック４６４の前方に配置された状態では、可動ラック４６４がスライド変位することで、そのスライド変位に伴って伝達ギヤ４６５が回転され、ラック４６６に駆動力が伝達される。従って、ラック４６６は、可動ラック４６４に対して変位できる。
【０４９０】
軸部４６６ｂは、後述する球受部４６７の軸孔４６７ｂに挿入される突起であり、軸孔４６７ｂの内径よりも大きい外径の円柱状に形成される。これにより、球受部４６７を回転可能に保持できる。
【０４９１】
摺動板４６６ｃは、後述する正面ケース４８１の開口４８１ａに挿入される突起であり、所定の厚みを有する板状体から形成される。これにより、ラック４６６に伝達ギヤ４６５から駆動力が伝達され、ラック４６６が可動ラック４６４に対して変位された場合に、ラック４６６の変位方向を開口４８１ａの延設される方向に規定することができる。
【０４９２】
凹設部４６６ｄは、ラック４６６が可動ラック４６４の前方に配設された際に、内側にラック案内部４６４ｅを配置した状態とされる。これにより、ラック４６６に伝達ギヤ４６５から駆動力が伝達され、ラック４６６が可動ラック４６４に対して変位された場合に、ラック４６６の変位方向をラック案内部４６４ｅの延設方向に規定することができる。
【０４９３】
ここで、ラック４６６の変位方向を規制するためには、凹設部４６６ｄ及びラック案内部４６４ｅを形成すれば、ラック４６６の変位方向をラック案内部４６４ｅの延設方向に規定することができる。しかしながら、下変位部材４４０は、左右方向にスライド変位しつつ回転変位するものであるので、下変位部材４４０の変位状態によっては、自重により伝達ギヤ４６５及びラック４６６の歯合の状態が変わり、伝達ギヤ４６５からラック４６６へ駆動力がうまく伝達されなくなる恐れがあった。
【０４９４】
これに対し、本実施形態では、ラック４６６の変位方向を規定する箇所が、摺動板４６６ｃ及び開口４８１ａと凹設部４６６ｄ及びラック案内部４６４ｅとの２箇所形成されるので、下変位部材４４０の変位状態が変化された際に、伝達ギヤ４６５及びラック４６６の歯合状態が変化することを抑制できる。その結果、伝達ギヤ４６５からラック４６６への駆動の伝達が阻害されることを抑制できる。
【０４９５】
また、摺動板４６６ｃは、ラック４６６の左右方向（図５７（ａ）左右方向）の２箇所から突出形成されており、他端側（軸部４６６ｂの反対側）の摺動板４６６ｃが、ラックの変位終端位置（ラック４６６が可動ラック４６４に対して一番張り出された位置）において、伝達ギヤ４６５の下方（図５７下側）に配置される。
【０４９６】
ここで、変位終端位置では、後述するようにラック４６６の軸部４６６ｂに配設される球受部４６７が発射動作（回転変位）をするので、ラック４６６の一端側に配設される球受部４６７の変位による慣性力で、ラックの他端側が変位しやすい。そのため、伝達ギヤ４６５及びラック４６６の歯合面に負荷がかかり易く、伝達ギヤ４６５及びラック４６６が破損する恐れがあった。
【０４９７】
これに対し、本実施形態では、他端側（軸部４６６ｂの反対側）の摺動板４６６ｃが、ラックの変位終端位置（ラック４６６が可動ラック４６４に対して一番張り出された位置）において、伝達ギヤ４６５の下方（図５７下側）に配置されるので、球受部４６７が発射動作（回転動作）をした際に、伝達ギヤ４６５及びラック４６６との歯合する位置のラック４６６が変位することを抑制できる。その結果、伝達ギヤ４６５及びラック４６６が破損することを抑制できる。
【０４９８】
球受部４６７は、遊技球を保持する部分であり、正面視略Ｕ字に形成され、Ｕ字の内側部分に球を受け入れることが可能に形成される。即ち、球受部４６７のＵ字の内側は、球の外形よりもやや大きく形成される。これにより、球受部４６７の内側部分に１球可能とされる。また、球受部４６７は、Ｕ字の下端位置に前後方向に貫通する軸孔４６７ｂと、下方の外周面から、下側に突出する脚部４６７ａとを主に備えて形成される。
【０４９９】
軸孔４６７ｂは、上述したように、ラック４６６に球受部４６７を回転可能な状態で保持するための軸孔であり、ラック４６６の軸部４６６ｂの外径よりも大きい内径に形成される。よって、球受部４６７は、ラック４６６の軸部４６６ｂを軸孔４６７ｂに挿入することで回転可能に保持できる。また、軸部４６６ｂを軸孔４６７ｂに挿入した後に、付勢ばねＳＰ２が軸部４６６ｂの軸周囲に配設され、軸部４６６ｂに軸孔４６７ｂの内径よりも頭部の大きいネジ等が締結される。これにより、球受部４６７は、正面視右周りに付勢された状態でラック４６６に配設される。なお、球受部４６７の態様について詳しい説明は後述する。
【０５００】
脚部４６７ａは、球受部４６７が付勢ばねＳＰ２により回転されることを付勢する突起であり、球受部４６７のＵ字の開放部分を上方に向けた状態で、先端が後述する正面ケース４８１の底壁部４８１ｂに当接する位置に設定される。これにより、球受部４６７が回転されることを規制できる。
【０５０１】
ケース部材４８０は、ベース部材４７０の前後を覆設する部材であり、ベース部材４７０の正面側に配設される正面ケース４８１と、背面側に配設される背面ケース４８２とを主に備える。
【０５０２】
正面ケース４８１は、正面視矩形横長の板状に形成され、重力方向略中間位置に左右方向に広がる開口４８１ａと、背面側の下端面に突出形成される底壁部４８１ｂと、下方縁部に前後方向に貫通する軸孔４８１ｃとを主に備えて形成される。
【０５０３】
開口４８１ａは、前後方向に貫通形成されており、上述したように、ベース部材４７０に正面ケース４８１が配設されると内部にラックの摺動板４６６ｃが挿入された状態とされる。
【０５０４】
底壁部４８１ｂは、正面ケース４８１の下端部から背面側に突出形成されると共に、左右方向に延設される。また、底壁部４８１ｂは、正面ケース４８１がベース部材４７０に配設された状態では、その上面に球受部４６７の脚部４６７ａが当接した状態とされる。
【０５０５】
背面ケース４８２は、ベース部材４７０の背面側に制御基板４９１を配設するための板部材であり、正面視における外形が、ベース部材４７０の外形よりも小さい矩形横長に形成される。また、背面ケース４８２は、背面側に突出する突起４８２ａを備える。
【０５０６】
突起４８２ａは、上述したように、第２リンク部材４３２の貫通孔４３２ｂと連結される連結部であり、貫通孔４３２ｂの内径よりも小さい外径の円柱状に形成される。よって、突起４８２ａを貫通孔４３２ｂに挿入した後に、突起４８２ａの先端に貫通孔４３２ｂの内径よりも頭部の大きいネジ等を締結することで、背面ケース４８２と第２リンク部材４３２とを回転可能な状態で連結できる。
【０５０７】
装飾部材４５０は、模様やキャラクターを模した外形形状に形成され、表面にその模様やキャラクターの絵が描かれる。装飾部材４５０は、正面ケース４８１の正面側に配設される正面側装飾部４５１と、背面ケース４８２の背面側に配設される背面側装飾部４５２とを主に備えて形成される。なお、本実施形態では、装飾部材４５０にサメの模様（キャラクター）が描かれる。
【０５０８】
正面側装飾部４５１は、正面視において正面ケース４８１の外形よりも大きい外径に形成され、正面ケース４８１に取着される。これにより、正面側装飾部の背面側に配設される部材（ケース部材４８０、ベース部材４７０等）を遊技者から視認不可能とすることができる。
【０５０９】
背面側装飾部４５２は、正面側装飾部４５１の上端後方に配設される。これにより、背面側装飾部４５２の上方から正面側装飾部４５１の背面側に配置される部材を遊技者から視認不能とすることができる。
【０５１０】
また、正面側装飾部４５１と前後方向同一平面上に変位部材４９２が配設される。変位部材４９２は、背面側に突出する軸部４９２ａと、突起４９２ｂとを主に備えて形成される。
【０５１１】
軸部４９２ａは、正面ケース４８１の軸孔４８１ｃの内径よりも小さい外径の円柱状に形成される。よって、軸部４９２ａを軸孔４８１ｃに挿入することで、変位部材４９２を回転可能な状態で正面ケースに連結できる。また、軸孔４８１ｃを挿入された軸部４９２ａの先端側には、付勢ばねＳＰ３が配設される。これにより、変位部材４９２を付勢した状態で配設することができる。なお、変位部材４９２の変位の詳しい説明は後述する。
【０５１２】
軸部４９２ａは、上述した可動ラック４６４の衝突部４６４ｆに衝突されることで、変位部材４９２に軸部４９２ａの軸を中心に回転する駆動力を伝達できる。即ち、可動ラック４６４は、その変位に伴って変位部材４９２を回転変位させることができる。
【０５１３】
よって、下変位部材４４０は、下変位部材４４０（基部材）に変位可能に配設される変位部材４９２（配設部材）を備え、球受部４６７（変位部材）は、遊技球を保持可能かつ射出可能に形成され、変位部材４９２は、球受部４６７から遊技球が出射される際に変位可能とされるので、下変位部材４４０のがたつきの発生を抑制することができる。
【０５１４】
即ち、球受部４６７から遊技球が発射されると、遊技球の重さの分、下変位部材４４０の重心位置が変化されるところ、例えば、遊技球の発射に伴う重心位置の変化を相殺する方向へ変位部材４９２を変位させる構成を採用した場合には、重心位置の変化に伴う下変位部材４４０のがたつきの発生を抑制できる。また、球受部４６７から遊技球が発射されると、その遊技球の発射に伴い下変位部材４４０が反作用を受けるところ、例えば、遊技球の発射に伴う反作用を相殺する方向へ変位部材４９２を変位させる構成を採用した場合には、反作用に伴う下変位部材４４０のがたつきの発生を抑制できる。
【０５１５】
また、上述したように、カム部材４２２が第２変位状態の位置に配置される際には、カム部材４２２が軸部４２２ａの軸周りに回転する方向の力ＰＷ１（図５６（ｂ）参照）と、カム部材４２２が軸部４２２ａの軸周りに回転する方向の力ＰＷ２（図５６（ｂ）参照）とが打ち消し合う方向に作用して、カム部材４２２が第１リンク部材４３１から作用される力で回転することを抑制できる。従って、第２変位状態では、カム部材４２２とリンク部材４３０とを安定した状態で配置することができる。よって、第２変位状態の位置で、下変位部材４４０の球受部４６７から遊技球が発射された際に、その遊技球の発射による慣性力で第１リンク部材４３１またはカム部材４２２が揺れ動くことを抑制できる。
【０５１６】
さらに、変位部材４９２の変位は、球受部４６７の変位により衝突部４６４ｆが、軸部４９２ａに衝突されることで行われるので、変位部材４９２を変位させるための駆動手段を別途設ける必要がない。即ち、球受部４６７を変位させるための駆動モータＫＭ２を、変位部材４９２を変位させるための駆動手段として、兼用することができる。よって、その分、下変位部材４４０を軽量化して、そのがたつきを抑制しやすくできる。
【０５１７】
また、球受部４６７の変位に機械的に同期させて変位部材４９２を変位させることができるので、例えば、球受部４６７の位置をセンサ装置で検出し、その検出結果に応じて変位部材４９２を駆動手段で駆動する制御を不要とでき、その分、製品コストの削減を図ることができると共に、球受部４６７に対する変位部材４９２の変位動作の信頼性を確保できる。
【０５１８】
次いで、図６１から図６４を参照して、伝達機構４６０の遷移について説明する。図６１は、第１位置における下変位部材４４０の正面図であり、図６２は、第２位置における下変位部材４４０の正面図であり、図６３は、第３位置における下変位部材４４０の正面図である。図６４（ａ）から（ｃ）は、下変位部材４４０の部分拡大図である。
【０５１９】
なお、第１位置は、球受部４６７がベース部材４７０に対して左右方向（図６１左右方向）略中央位置に配置された位置である。第２位置は、球受部４６７が、突設壁４７７の重力方向下側（図６２下側）に配置された位置である。第３位置は、球受部４６７が、ベース部材４７０の左右方向右端に配置された位置である。
【０５２０】
また、図６１から図６４では、下変位部材４４０の装飾部材４５０及び正面ケース４８１が透明視されると共に、正面ケース４８１の底壁部４８１ｂの外形が鎖線で図示される。さらに、図６４（ａ）及び（ｂ）では、第３位置に変位する直前の遷移状態が順に図示され、図６４（ｃ）では、第３位置における下変位部材４４０が図示される。
【０５２１】
図６１に示すように、第１位置における下変位部材４４０は、可動ラック４６４が、ベース部材４７０に対して左右方向左端に位置した状態とされる。また、第１位置では、ラック４６６が可動ラック４６４の前方に配置され、ラック４６６と可動ラック４６４とが前後方向に重なった状態とされる。即ち、ラック４６６も可動ラック４６４と同様に、ベース部材４７０に対して左右方向左端に位置される。よって、ラック４６６に連結される球受部４６７はベース部材４７０に対して左右方向略中央位置に配置される。
【０５２２】
第１位置では、上述したように、可動ラック４６４、ラック４６６がベース部材４７０の左右方向左端に集められた状態とされる。ここで、下変位部材４４０は、スライド変位しつつ回転変位する（退避状態から第１及び第２張出状態に変位する）ので、下変位部材４４０の重心位置が、回転する軸の近傍に配置された状態とすることが望ましい。
【０５２３】
本実施形態によれば、球受部４６７を変位させる伝達機構４６０が可動ラック４６４及びラック４６６を前後に重畳した状態（２段ラック）とされるので、その重心位置を正面ベース４１１の摺動溝４１１ａ，４１１ｂ側（下変位部材４４０の回転軸側）に近づけることができる。
【０５２４】
従って、上述したように下変位部材４４０を退避状態の位置から第１及び第２張出状態の位置に変位させる際には、下変位部材４４０を第１位置とすることで、下変位部材４４０を回転変位させる際の駆動力を小さくできる。よって、下変位部材４４０を変位させる駆動モータＫＭ１の消費エネルギーを抑えることができる。
【０５２５】
図６１に示す第１位置から図６２に示す第２位置への変位は、駆動モータＫＭ２を駆動させることで行われる。
【０５２６】
第１位置から駆動モータＫＭ２が駆動されると、駆動モータＫＭ２の軸に連結される伝達ギヤ４６１が回転される。これにより、伝達ギヤ４６２及び伝達ギヤ４６３が回転される。伝達ギヤ４６３が回転されると、伝達ギヤ４６３と歯合するラックギヤ４６４ａから、可動ラック４６４に駆動力が伝達されて可動ラック４６４がベース部材４７０に対して右方向にスライド変位される。
【０５２７】
可動ラック４６４がスライド変位されると、そのスライド変位に伴って可動ラック４６４に配設される伝達ギヤ４６５がベース部材４７０のラックギヤ４７６により回転される。これにより、伝達ギヤ４６５に歯合されるラックギヤ４６６ａによりラック４６６へ駆動力が伝達される。その結果、ラック４６６が可動ラック４６４に対して左右方向右側へスライド変位されて、球受部４６７が第２位置へ変位される。
【０５２８】
図６２に示す第２位置から図６３に示す第３位置への変位は、第１位置から第２位置までの変位と同様に、駆動モータＫＭ２の駆動により行われる。なお、駆動モータＫＭ２からラック４６６までの駆動の伝達については第１位置から第２位置までの変位と同様であるため、その詳細な説明は省略する。
【０５２９】
図６３及び図６４に示すように、第３位置に球受部４６７が変位されると、球受部４６７は、脚部４６７ａと正面ケース４８１の底壁部４８１ｂとの当接状態が解除され、軸部４６６ｂに配置した付勢ばねＳＰ２の付勢力により軸孔４６７ｂの軸を中心に回転変位される。
【０５３０】
詳しく説明すると、第１及び第２位置（第３位置における球受部４６７よりも正面視左側に球受部４６７が配置されている状態）では、球受部４６７の脚部４６７ａの先端が正面ケース４８１の底壁部４８１ｂの上面に当接した状態とされ、付勢ばねＳＰ２の付勢力による軸孔４６７ｂを中心に正面視時計回りへの回転が規制される。
【０５３１】
一方、球受部４６７の脚部４６７ａの先端部は、第３位置へ変位されると、底壁部４８１ｂの端部よりも正面視右側に配置され、底壁部４８１ｂとベース部材４７０の立設壁４７１ａとの対向間に形成される凹部４８１ｂ１の内側に配置される。よって、球受部４６７は付勢ばねＳＰ２の付勢力により軸孔４６７ｂの軸を中心に回転される。第３位置で球受部４６７が回転されると、脚部４６７ａの先端が底壁部４８１ｂの端面と当接して、球受部４６７の軸孔４６７ｂを中心とする回転が規制される。これにより、球受部４６７は、軸孔４６７ｂを中心に略４０度回転された位置で停止される。なお、以下では、第３位置における球受部４６７の回転変位を発射動作と称して説明する。
【０５３２】
また、球受部４６７が第１位置から第３位置方向（第１方向）へ変位する際の軌道領域に凹設される凹部４８１ｂ１を備え、球受部４６７は、第１方向へ変位する際に、凹部４８１ｂ１に係合される脚部４６７ａを備えると共に、脚部４６７ａが凹部４８１ｂ１に係合されることで姿勢が変化可能に形成されるので、球受部４６７の姿勢を変化させるための構造を簡素化できる。
【０５３３】
さらに、球受部４６７が第２位置から第３位置へ変位されると、衝突部４６４ｆが可動ラック４６４の変位により正面視右側にスライド変位され、変位部材４９２の突起４９２ｂと衝突する。これにより、変位部材４９２が軸部４９２ａの軸を中心に回転変位される。
【０５３４】
即ち、球受部４６７が、第３位置に変位されると、球受部４６７が回転変位されると共に、変位部材４９２が回転変位される。よって、球受部４６７が、発射動作をして球受部４６７の内側から球が排出されて、下変位部材４４０が軽くなることで下変位部材４４０が揺れ動く力と、変位部材４９２が回転変位する慣性力とを反対方向に作用させることができる。その結果、下変位部材４４０の内部から球が排出された際に下変位部材４４０が揺れ動くことを抑制できる。
【０５３５】
次いで、図６５を参照して、球受部４６７への球の受入動作について説明する。図６５（ａ）から（ｃ）は、下変位部材４４０の正面図である。なお、図６５（ａ）から（ｃ）では、球受部４６７へ球を受け入れる受入動作する遷移状態が順に図示される。
【０５３６】
また、図６５（ａ）から（ｃ）では、下変位部材４４０の装飾部材４５０及び正面ケース４８１が透明視されると共に、正面ケース４８１の底壁部４８１ｂの外形が鎖線で図示される。
【０５３７】
更に、図６５（ａ）から（ｃ）では、下変位部材４４０が退避状態における水平方向が仮想線Ｈ１の符号を付して２点鎖線で図示されると共に、下変位部材４４０が第１張出状態における水平方向が仮想線Ｈ２の符号を付して図示される。また、下変位部材４４０が退避状態の位置から第１張出状態の位置まで回転された角度を角度θの符号を付して図示される。なお、仮想線Ｈ１，仮想線Ｈ２及び角度θは図６５以降の図にも図示される。
【０５３８】
図６５（ａ）に示すように、退避状態（下変位部材４４０の長手方向を仮想線Ｈ１と平行にした状態）の下変位ユニット４００において、下変位部材４４０の球受部４６７を第１位置に変位させることで、後述する振分けユニット５００から遊技球Ｔ１が下変位部材４４０の正面側装飾部４５１に形成される開口４５１ａに送球される。開口４５１ａに送球される遊技球Ｔ１は突設壁４７７の内側に送球されて、下変位部材４４０の内部に送球される。
【０５３９】
図６５（ｂ）に示すように、開口４５１ａに遊技球Ｔ１が送球されると下変位部材４４０が第２位置へ変位される。よって、上述したように第２位置では、球受部４６７が突設壁４７７の下方に配置されるので、突設壁４７７の内側に送球された遊技球Ｔ１を、球受部４６７の内側に送球できる。球受部４６７に遊技球Ｔ１が受け入れられることで、球受部４６７の動作に伴って遊技球Ｔ１を変位させることができる。
【０５４０】
図６５（ｃ）に示すように、球受部に遊技球Ｔ１が送球されると、下変位部材４４０は、第１位置へ変位される。これにより、球受部４６７に遊技球Ｔ１を配置した状態で第１位置に球受部４６７を配置した状態とできる。
【０５４１】
ここで、ベース部材と、そのベース部材に一側が変位可能に配設される基部材と、その基部材に変位可能に配設される変位部材とを備えた遊技機が知られている。この遊技機によれば、基部材を遊技領域へ張り出して遊技者から視認可能にされる張出位置と、遊技領域から後退される退避位置との間で変位される演出に加え、基部材を張出位置に配置した状態において変位部材を変位させる演出を行うことができる。
【０５４２】
しかしながら、上述した従来の遊技機では、ベース部材に基部材の一側が変位可能に配設されるため、変位部材が変位されると、一側を死点として、ベース部材に対する基部材のがたつきが発生しやすいという問題点があった。特に、変位部材を停止状態から変位させる際には、加速度の変化が最大となるため、慣性力の影響により、基部材のがたつきが発生しやすい。
【０５４３】
これに対し、本実施形態では、球受部４６７は、第２位置から変位を開始する態様と、第１位置よりも下変位部材４４０（基部材）の一側に近い第１位置から変位を開始する態様とを形成可能に形成され、少なくとも下変位部材４４０がベース部材４１０に対して所定位置に配置された状態（例えば、下変位部材４４０が遊技領域へ張り出して遊技者から視認可能とされる第１張出状態）では、第１位置から変位を開始するので、基部材の下変位部材４４０のがたつきを抑制することができる。即ち、第１位置は、第２位置よりも、下変位部材の一側に近い位置とされるので、かかる第１位置を球受部４６７の変位開始位置とすることで、球受部４６７の重さを、下変位部材４４０がベース部材４１０に対してがたつく際の死点に近づけておくことができ、その分、球受部４６７を停止状態から変位される際の慣性力の影響を下変位部材４４０に作用させ難くできる。その結果、下変位部材４４０のがたつきを抑制しやすくできる。
【０５４４】
また、下変位部材４４０は、上述したように、スライド変位しつつ回転変位（退避状態から第１及び第２張出状態に変位）される。そのため、遊技球Ｔ１を回転軸の遠方に配置した状態で下変位部材４４０が回転変位されると、遊技球Ｔ１に遠心力が発生しやすくなり、遊技球Ｔ１が動いて球受部４６７の内壁と遊技球Ｔ１との衝突による衝突音が発生、又は球受部４６７が破損するという問題点があった。
【０５４５】
これに対し、本実施形態では、遊技球Ｔ１を球受部４６７に受け入れた後に、下変位部材４４０を第１位置に変位させることができるので、遊技球Ｔ１を下変位部材４４０の回転軸の近傍に配置する（近づける）ことができる。従って、下変位部材４４０に遊技球Ｔ１を受け入れた状態で下変位部材４４０を、回転変位（退避状態から第１及び第２張出状態に変位）させた際に、遊技球Ｔ１に遠心力が発生することを抑制できる。その結果、遊技球Ｔ１と球受部４６７とが衝突した際に衝突音が発生する、又は球受部４６７が破損することを抑制できる。
【０５４６】
さらに、本実施形態では、下変位部材４４０は、球受部４６７を動作させる伝達機構４６０が可動ラック４６４、伝達ギヤ４６５（ピニオンギヤ）及びラック４６６（ラック部材）で形成され、ラック４６６に球受部４６７が配設されるので、球受部４６７の変位を第１位置から開始する際には、ラック４６６の重さだけでなく可動ラック４６４、ラック４６６の重さも下変位部材４４０の一側（下変位部材４４０がベース部材４１０に対してがたつく際の支点）に近づけておくことができる。その結果、球受部４６７を停止状態から変位される際の下変位部材４４０のがたつきを抑制しやすくできる。
【０５４７】
また、球受部４６７に遊技球Ｔ１を受け入れた状態では、遊技球Ｔ１の荷重分、下変位部材４４０の荷重が重くされる。そのため、上述したように、下変位部材４４０を第１位置にした状態とすることで、下変位部材４４０の重心位置を正面ベース４１１の摺動溝４１１ａ，４１１ｂ側（下変位部材４４０の回転軸側）に移動させ易くできる。従って、下変位部材４４０を退避状態の位置から第１及び第２張出状態の位置に変位させる際には、下変位部材４４０を第１位置とすることで、下変位部材４４０を回転変位させる際の駆動力を小さくできる。よって、下変位部材４４０を変位させる駆動モータＫＭ１の消費エネルギーを抑えることができる。
【０５４８】
次いで、図６６を参照して、球の払出動作について説明する。図６６（ａ）から（ｃ）は、下変位部材４４０の正面図である。なお、図６６（ａ）から（ｃ）では、球の払出動作における下変位部材４４０の遷移状態が順に図示される。また、図６６（ａ）から（ｃ）では、下変位部材４４０の装飾部材４５０及び正面ケース４８１が透明視されると共に、正面ケース４８１の底壁部４８１ｂの外形が鎖線で図示される。さらに、球の払出動作とは、下変位部材４４０の球受部４６７に受け入れた遊技球Ｔ１を出射開口４７１から下変位部材４４０の外方に払い出す動作である。
【０５４９】
図６６（ａ）から（ｃ）に示すように、下変位部材４４０の球受部４６７に受け入れた球を払い出す払出動作は、下変位部材４４０を第１位置から順に第３位置まで変位させることで行われる。
【０５５０】
即ち、受入動作で球受部４６７の内側に遊技球Ｔ１を受け入れて、第１位置に配置された下変位部材４４０を、第３位置に変位させることで、遊技球Ｔ１が球受部４６７の変位に伴って、出射開口４７１側に運搬される。出射開口４７１側に移動された遊技球Ｔ１は、球受部４６７のスライド変位と第３位置における球受部４６７の発射動作とにより、出射開口４７１側への慣性力が付与されて、球受部４６７の内側から飛び出される。これにより下変位部材４４０の内部から球を払い出すことができる。
【０５５１】
ここで、球受部４６７（変位部材）が第１位置から変位を開始する際の変位方向は、下変位部材４４０の位置側から離間する方向であるので、球受部４６７が第１位置に配置された状態では、ラック４６６（ラック部材）をより下変位部材４４０の一側からベース部材４１０へ近づけることができる。即ち、下変位部材４４０の一側から、離間する方向へ球受部４６７（ラック４６６）が変位するためには、ラック４６６は、球受部４６７の変位が開始された後に、伝達ギヤ４６５（ピニオンギヤ）が歯合されるラックギヤ４６６ａ側の部分を下変位部材４４０の一側に向けることとなる。よって、ラック４６６の重さをより下変位部材４４０の一側（下変位部材４４０が、ベース部材４１０に対してがたつく際の支点）に近づけておくことができ、その結果、球受部４６７を停止状態から変位される際の下変位部材４４０のがたつきを抑制しやすくできる。
【０５５２】
球受部４６７は、第３位置方向（第１方向）へ変位され、第３位置に達すると姿勢が変化可能に形成されるので、第３位置までは、１球の遊技球Ｔ１を球受部４６７が保持した状態を維持しやすくして、球受部４６７からの遊技球Ｔ１の脱落を抑制できる一方、第２位置に達した際には、球受部４６７の姿勢の変化を利用して、遊技球Ｔ１を球受部４６７の内側から払出しやすくできる。
【０５５３】
なお、下変位部材４４０を退避状態（下変位部材４４０の長手方向を仮想線Ｈ１と水平に配置した状態）の位置で図６６（ａ）から図６６（ｃ）に示す球受部４６７の払出動作を行う場合は、下変位部材４４０の外側に払い出された遊技球が、回収口４１１ｆの内部に送球される。
【０５５４】
一方、下変位部材４４０が第１張出状態（下変位部材４４０の長手方向が仮想線Ｈ１から角度θ回転された状態）の位置で球受部４６７の払出動作を行う場合は、下変位部材４４０の外側に払い出された遊技球が、回転ユニット７００の球受台７１０の上部に送球される。
【０５５５】
次いで、図６７及び図６８参照して、下変位部材４４０の内部に２球以上の球が送球された際の排出動作について説明する。図６７（ａ）から（ｃ）及び図６８（ａ）から（ｃ）は、下変位部材４４０の正面図である。
【０５５６】
なお、図４３（ａ）から（ｃ）及び図４４（ａ）から（ｃ）では、排出動作の遷移状態が順に図示される。また、図４３（ａ）から（ｃ）及び図４４（ａ）から（ｃ）では、下変位部材４４０の装飾部材４５０及び正面ケース４８１が透明視されると共に、正面ケース４８１の底壁部４８１ｂの外形が２点鎖線で図示される。
【０５５７】
図６７（ａ）から（ｃ）に示すように、後述する振分けユニット５００から２球以上の球が連続して送球された場合には、下変位部材４４０を受入動作させることで、２球目の遊技球Ｔ２を球受部４６７の変位経路上に落下させることができる。
【０５５８】
即ち、球受部４６７を第１位置から第２位置へ変位させて１球目の遊技球Ｔ１を球受部４６７の内側に送球することができ、２球目の遊技球Ｔ２を１球目の遊技球Ｔ１に当接させて、突設壁４７７の内側に留めて置くことができる（図６７（ｂ）参照）。第２位置で１球目の遊技球Ｔ１を受け入れた後に球受部４６７を第１位置に変位させることで、球受部４６７に１球目の遊技球Ｔ１を受け入れた状態で、球受部４６７を第１位置に変位させて、２球目の遊技球Ｔ２を球受部４６７の変位経路上に落下させることができる。
【０５５９】
ここで、第２位置で球受部４６７に受け入れる球を球受部４６７の変位により、第３位置へ変位させる遊技機では、後述する振分けユニット５００の振分け部材５４０の変位に動作不良が生じると規定数以上の遊技球が球受部４６７の軌道領域に送球される恐れがあり、この場合、規定数を超えた分の遊技球により不具合を生じる恐れがあるという問題点があった。例えば、規定数を超えた分の遊技球が、球受部４６７を駆動させる伝達機構４６０に入り込み、可動部分に噛み込まれることで、破損を招く恐れがあった。或いは、規定数を超えた分の遊技球が遊技領域外（例えば、遊技盤１３の背面側または背面ケース３００の内側）へ流出する恐れがあった。
【０５６０】
これに対し、本実施形態によれば、球受部４６７が、第２位置から球の送球方向と反対方向となる第１位置に変位可能に形成されるので、その分、球受部４６７の軌道領域を拡大できる。よって、例えば、振分け部材５４０に動作不良が生じ、規定数以上の遊技球が送球された場合でも、球受部４６７の軌道領域が拡大されている分、規定数を超えた分の遊技球を軌道領域に受け入れることができる。その結果、規定数を超えた分の遊技球を、球受部４６７の第３位置への変位に伴って移動させることができる。よって、規定数を超えた分の遊技球が、球受部４６７を駆動させる伝達機構４６０に入り込むことや、遊技領域外へ流出することを抑制でき、その結果、規定数を超えた分の遊技球による不具合を生じ難くできる。
【０５６１】
また、球受部４６７は、第２位置において後述する振分けユニット５００から送球された１球の遊技球Ｔ１を受け取って保持可能とされると共に、第２位置から第１位置の方向（第２方向）へ少なくとも、遊技球の直径を超える距離だけ変位可能に形成されるので、第２位置において１球の遊技球を受け取った後、球受部４６７を第２位置から第３方向（第１方向）へ変位させることで、規定数を超える分の遊技球を球受部４６７の軌道領域（球受部の４６７よりも第１方向の領域）に送球させることができる。よって、２球目以降の遊技球Ｔ２を、球受部４６７の第３位置方向（第１方向）への変位に伴って移動させることができる。
【０５６２】
この場合、１球目の遊技球Ｔ１を球受部４６７が保持し、２球目以降の遊技球Ｔ２を球受部４６７の軌道領域に送球できるので、１球目の遊技球Ｔ１と、２球目以降の遊技球Ｔ２とを分離することができる。よって、例えば、球受部４６７を第３位置方向（第１方向）へ変位させることで、１球目の遊技球Ｔ１を球受部材が保持した状態を維持しつつ、２球目以降の遊技球Ｔ２のみを軌道領域から排出する動作が可能となる。
【０５６３】
また、球受部４６７を第２位置に変位させて１球目の球を受け入れた後に、第３位置に変位させて球受部４６７の内側から遊技球Ｔ１を排出するものでは、２球目の遊技球Ｔ２がラック４６６の上部に落下して、２球目の遊技球Ｔ２が球受部４６７と伝達ギヤ４６５との間に送球されて、２球目の遊技球Ｔ２を下変位部材４４０の外方に排出不能となる恐れがある。
【０５６４】
これに対し、本実施形態では、球受部４６７に球を受け入れる受入動作を、第２位置で球受部４６７の内側に遊技球Ｔ１を受け入れた後、出射開口４７１とは反対の第１位置へ変位させることができるので、２球目の遊技球Ｔ２が下変位部材４４０の外方に排出不能となることを抑制できる。
【０５６５】
言い変えると、役物内に送球された遊技球を排出する排出動作をする役物を備える遊技機では、球を排出する部材（本実施形態では球受部４６７）の動作を球を受け入れる位置（第２位置）と球を排出する位置（第３位置）に変位させるのみであると、２球以上の遊技球が役物内に送球された場合に、球を排出する部材に対して排出口（出射開口４７１）と反対側に２球目の遊技球Ｔ２を排出する恐れがあるところ、本実施形態では、１球目の遊技球Ｔ１を受け入れた後に、球受部４６７を出射開口４７１と反対側の第１位置に変位させることで、２球目の遊技球Ｔ２を球受部４６７と出射開口４７１との間に送球することができる。
【０５６６】
図６８（ａ）から（ｃ）に示すように、２球目の遊技球Ｔ２を球受部４６７の変位経路上に送球した後に、球受部４６７を発射動作する前の第３位置まで変位させることで、２球目の遊技球Ｔ２を球受部４６７に当接させた状態で出射開口４７１側に転動させることができる。その結果、２球目の遊技球Ｔ２を出射開口４７１から排出することができる。
【０５６７】
この場合、球受部４６７は、そのＵ字部分の下端面が球受部４６７の変位経路上に送球される２球目の遊技球Ｔ２の中心位置よりも上方（図６８（ａ）上方）に配置される。また、脚部４６７ａが底壁部４８１ｂの上面と当接した状態において、底壁部４８１ｂとの当接面に対して略４５度傾倒した状態で配置される。さらに、球受部４６７のＵ字の右側（図６８（ａ）右側）の側面が脚部４６７ａの右側の端部と上下方向に同一となる位置に配置されるので、２球目の遊技球Ｔ２の外面を脚部４６７ａに当接させることができる。
【０５６８】
また、脚部４６７ａは、底壁部４８１ｂの上面に対して略４５度傾倒した状態とされるので、２球目の遊技球Ｔ２の下半球（底壁部４８１ｂ側の下半球）の外面と当接される。これにより、２球目の遊技球Ｔ２を出射開口４７１側に転動させる際に、脚部４６７ａの傾斜面で２球目の遊技球Ｔ２を上方に持ち上げる力を発生させることができる。よって、２球目の遊技球Ｔ２が底壁部４８１ｂの上面を転動する際の２球目の遊技球Ｔ２と底壁部４８１ｂとの摩擦力を小さくできる。その結果、２球目の遊技球Ｔ２を出射開口４７１側に転動する際に、球受部４６７が停止されることを抑制できる。
【０５６９】
言い変えると、脚部４６７ａは、球受部４６７から第１位置から第３位置に向かう方向（第１方向）へ向けて突設されると共に、その突設先端が、球受部４６７の軌道領域へ送球された遊技球（即ち、２球目以降の遊技球Ｔ２）の下半面に当接可能に形成されるので、球受部４６７が第１位置から第３位置方向（第１方向）へ変位される際には、遊技球をその下半面を脚部４６７ａで押しつつ移動させることができる。その結果、２球目以降の遊技球Ｔ２を球受部４６７の軌道領域から排出しやすくできる。
【０５７０】
また、球受部４６７に保持される１球目の遊技球Ｔ１と、球受部４６７の軌道領域へ送球された遊技球（２球目以降の遊技球Ｔ２）との間に脚部４６７ａが介在することで、かかる脚部４６７ａの突設長さの分、１球目の遊技球Ｔ１と２球目以降の遊技球Ｔ２との間隔を確保できる。よって、１球目の遊技球Ｔ１を球受部４６７が保持した状態を維持しつつ、２球目以降の遊技球Ｔ２のみを軌道領域から排出しやすくできる。
【０５７１】
さらに、凹部４８１ｂ１との係合により、球受部４６７の姿勢を変化させる役割と、遊技球をその下半面を押しつつ移動させる役割とを脚部４６７ａに兼用させるので、その分、部品点数を削減して製品コストの削減を図ることができる。
【０５７２】
また、凹部４８１ｂ１は、第１位置から第３位置方向（第１方向）における大きさが遊技球の直径よりも小さくされるので、球受部４６７の軌道領域へ送球された遊技球（即ち、２球目以降の遊技球Ｔ２）が、球受部４６７の第１方向への変位に伴って移動される際に、凹部４８１ｂ１を通過しやすくできる。その結果、２球目以降の遊技球Ｔ２を軌道領域から排出しやすくできる。
【０５７３】
上述したように、下変位ユニット４００が退避状態に配置されると、下変位部材４４０の出射開口４７１の下方に回収口４１１ｆが配置された状態とされる。よって、退避状態において排出動作された遊技球Ｔ２は、回収口４１１ｆに送球される。
【０５７４】
一方、下変位ユニット４００が第１張出状態に配置されると、回収口４１１ｆは、出射開口４７１の下方に位置した状態とされる。また、回収口４１１ｆの開口は、上方側が開口される。よって、排出動作された遊技球Ｔ２は、回収口４１１ｆに送球される。
【０５７５】
即ち、回収口４１１ｆは、ベース部材４７０における第１方向側（立設壁４７１ａ側）の端部の鉛直方向下方に配設されると共に鉛直方向上に開口を有するので、球受部４６７の第３位置方向（第１方向）への移動に伴って移動され、球受部４６７の軌道領域から排出される遊技球（即ち、２球目以降の遊技球Ｔ２）を回収口４１１ｆの開口から受け入れて回収することができる。
【０５７６】
また、回収口４１１ｆの開口は、少なくとも退避状態、第１張出状態および第２張出状態のそれぞれの位置において、ベース部材４７０における第１方向側（立設壁４７１ａ側）の端部の鉛直方向下方に配設される。これにより、下変位ユニット４００が、退避位置、第１張出状態および第２張出状態のいずれに変位された場合でも球受部４６７の軌道領域から排出される遊技球（即ち、２球目以降の遊技球Ｔ２）を回収部材の開口から受け入れて回収することができる。
【０５７７】
なお、下変位部材４４０を退避状態（下変位部材４４０の長手方向を仮想線Ｈ１と水平に配置した状態）の位置で図６７（ａ）から（ｃ）及び図６８（ａ）から（ｃ）に示す球受部４６７の排出動作を行う場合は、下変位部材４４０の外側に払い出された遊技球が、回収口４１１ｆの内部に送球される。また、下変位部材４４０が第１張出状態（下変位部材４４０の長手方向が仮想線Ｈ１から角度θ回転された状態）の位置で球受部４６７の排出動作を行う場合は、下変位部材４４０の外側に払い出された遊技球が、上述したように回収口４１１ｆに送球される。
【０５７８】
次に図６９を参照して、２球目の遊技球Ｔ２が出射開口４７１から排出される際の構成について説明する。図６９（ａ）は、図６８（ｂ）の範囲ＬＸＩＸａにおける下変位部材４４０の部分拡大図であり、図６９（ｂ）は、図６８（ａ）の範囲ＬＸＩＸｂにおける下変位部材４４０の部分拡大図である。
【０５７９】
図６９に示すように、球受部４６７が発射動作の直前の第３位置まで変位されると、遊技球Ｔ２を立設壁４７１ａ側の球受部４６７の側面に当接させて、出射開口４７１から下変位部材４４０の外方に押し出すことができる。
【０５８０】
この場合、球受部４６７の脚部４６７ａが底壁部４８１ｂと立設壁４７１ａとの間に挿入されて球受部４６７が回転動作する際に遊技球Ｔ２と球受部４６７とを当接させることで、球受部４６７の回転の力を遊技球Ｔ２に伝達させることができる。その結果、遊技球Ｔ２を出射開口４７１から排出させやすくできる。また、球受部４６７が遊技球Ｔ２に当接された際の反発力を利用して球受部４６７を回転動作する前の状態に戻すことができる。よって、球受部４６７の軌道領域に送球された遊技球Ｔ２を排出する際に、球受部４６７に保持した１球目の遊技球Ｔ１が脱落することを抑制できる。
【０５８１】
さらに、下変位部材４４０は、球受部４６７が第２位置から第３位置方向（第１方向）へ変位する際の軌道領域に遊技球の半径よりも低い高さで立設されると共に凹部４８１ｂ１よりも第１方向側に位置する立設壁４７１ａを備え、球受部４６７の軌道領域へ送球された２球目以降の遊技球が球受部４６７の第１方向への変位に伴って移動されると、その遊技球Ｔ２が立設壁４７１ａと球受部４６７とに当接されて、球受部４６７の姿勢変化が規制可能に形成されるので、１球目の遊技球Ｔ１を球受部４６７が保持した状態を維持しつつ、２球目の以降の遊技球のみを軌道領域から排出しやすくできる。
【０５８２】
即ち、立設壁４７１ａは、底壁部４８１ｂの上面から立設先端までの高さが遊技球の半径よりも低い高さで立設されるので、球受部４６７の第１方向への変位に伴って脚部に押されて遊技球Ｔ２が移動されると、遊技球Ｔ２の下半面を立設壁４７１ａに当接させて、かかる立設壁４７１ａを遊技球が乗り越え易くできる。この場合、球受部４６７に遊技球Ｔ２が当接され（即ち、球受部４６７と立設壁４７１ａとの間に遊技球Ｔ２が介在され）、遊技球Ｔ２から球受部４６７へ反力を作用させることができるので、球受部の姿勢変化を規制でき、球受部４６７が保持している１球目の遊技球が脱落することを抑制できる。その結果、１球目の遊技球を球受部４６７が保持した状態を維持しつつ、２球目以降の遊技球Ｔ２のみを遊技領域から排出しやすくできる。
【０５８３】
一方、球受部４６７の軌道領域に２球目以降の遊技球Ｔ２が送球されていない場合には、立設壁４７１ａと球受部４６７との間に遊技球が介在されていないので、脚部４６７ａが凹部に４８１ｂ１に係合されることで、球受部４６７の姿勢を変化させることができる。その結果、球受部４６７の姿勢の変化を利用して１球目の遊技球Ｔ１（即ち、球受部４６７に保持されている遊技球）を球受部４６７から排出しやすくできる。
【０５８４】
次いで、図７０から図７２を参照して、振分けユニット５００について詳細な説明をする。図７０（ａ）は、振分けユニット５００の上面図であり、図７０（ｂ）は、振分けユニット５００の背面図である。図７１は、振分けユニット５００の分解正面斜視図であり、図７２は、振分けユニット５００の分解背面斜視図である。
【０５８５】
図７０から図７２に示すように、振分けユニット５００は、正面視略矩形の板状体に形成されるベース板５２０と、そのベース板５２０の正面側に取着されベース板５２０との対向間に球が流下可能な複数の流下経路を形成する経路形成部材５１０と、ベース板５２０の背面側に回転可能に取着される振分け部材５４０と、ベース板５２０の端面に取着されベース板５２０と経路形成部材５１０との対向間に形成される球の流下経路を延長する延長経路部材５３０とを主に備えて形成される。
【０５８６】
ベース板５２０は、背面側に突出する円柱状の軸部５２３と、その軸部５２３の軸を中心とする円弧形状に貫通形成される第１開口５２１と、その第１開口５２１よりも半径の大きい円弧形状に貫通形成される第２開口５２２と、上端の側面に上端側が開放する断面Ｕ字状形成されると共に左右方向に延設される転動部５２５と、背面側に鉤状に突出する係止部５２４とを主に備えて形成される。
【０５８７】
軸部５２３は、後述する振分け部材５４０の軸孔５４５に挿入されて、振分け部材５４０を回転可能な状態でベース部材に取着する軸であり、軸孔５４５の内径よりも小さい外径に形成される。
【０５８８】
第１開口５２１及び第２開口５２２は、後述する振分け部材５４０の規制板５４１及び貯留板５４２が挿通される開口であり、規制板５４１及び貯留板５４２の板の厚みよりも大きい幅の開口に形成される。また、振分け部材５４０は、回転可能な状態でベース板５２０に取着されるので、第１開口５２１及び第２開口５２２は、規制板５４１及び貯留板５４２の正面視における周方向の寸法よりも円弧の長さが大きく形成される。
【０５８９】
係止部５２４は、振分け部材５４０に形成される係止部５４４とで付勢ばねＳＰ４を係止する係合部であり、付勢ばねＳＰ４の一端が係止される。
【０５９０】
転動部５２５は、球が転動する底面であり、背面視左側（図７０（ｂ）左側）の一端に向かって下側に傾斜して形成されると共にＵ字に形成される湾曲形状が球の外形よりも大きく形成される。よって、転動部５２５を転動する球が転動部で停止することを抑制して、一端側に球を転動させることができる。
【０５９１】
また転動部５２５は、前後の側面からＵ字の内側に向かって突出する複数の突起５２５ｂと、一端側の端部に背面側に開口する開口５２５ａとを備える。
【０５９２】
突起５２５ｂは、前後の側面に一定の間隔を隔てて形成されると共に、前方側に形成される突起５２５ｂと背面側に形成される突起５２５ｂとが正面視において互い違いとなる位置に形成される。よって、転動部５２５を転動する球を、突起５２５ｂに衝突させることができるので、転動部５２５を転動する球の転動速度を遅くすることができる。
【０５９３】
ここで、上述したように、下変位ユニット４００の球受部４６７への球の送球は、球受部４６７を第１位置へ配置した状態で行われる（図６５（ａ）及び図６５（ｂ）参照）。そのため、第３送球経路ＫＲ３の転動部５２５を転動する遊技球の送球速度が速くされると、球受部４６７を第２位置へ移動する前に遊技球が下変位部材４４０の内部に送球される恐れがある。
【０５９４】
これに対し、本実施形態では、第３送球経路ＫＲ３の転動部５２５の内面に突設される複数の突起５２５ｂが形成され、第３送球経路ＫＲ３の転動部５２５を通過する遊技球に抵抗を付与することができるので、第３送球経路ＫＲ３を通過する遊技球の速度を遅くすることができる。よって、その分、切り替え位置（第１位置）から受け取り位置（第２位置）まで球受部４６７が変位する際に、必要とされる時間を長くできるので、球受部４６７に遊技球を確実に受け取らせることができる。また、球受部４６７に必要とされる変位速度を遅くできる分、駆動モータＫＭ２の変位速度の出力を小さくして、製品コストの削減を図ることができる。
【０５９５】
開口５２５ａは、転動部５２５の一端の背面側に開放して形成されており、その背面視における外形は球の大きさよりも大きく形成される。よって、転動部５２５を一端側に転動する球は、開口５２５ａから排出される。
【０５９６】
経路形成部材５１０は、ベース板５２０よりも左右方向の横幅が小さい矩形縦長の板状に形成されると共に、背面側に遊技球の外径よりも大きい複数の壁が形成され、その複数の壁の対向間を球の外径よりも大きく形成することで、その内部に複数の球の流下経路が形成される。
【０５９７】
経路形成部材５１０は、上端面に開口する第１開口５１１と、第１開口５１１の側壁の対向間に形成される第１送球経路ＫＲ１と、第１送球経路ＫＲ１に連結される第２送球経路ＫＲ２及び第３送球経路ＫＲ３と、第２送球経路ＫＲ２及び第３送球経路ＫＲ３の端部において経路形成部材５１０の側面に開口する第２開口５１２及び第３開口５１３と、前後方向に貫通形成される複数の開口５１４，５１５，５１６と、開口５１４，５１５，５１６の背面側の壁で形成される第４送球経路ＫＲ４と、その第４送球経路ＫＲ４の端部において経路形成部材５１０の側面に開口する第４開口５１７とを主に備えて形成される。
【０５９８】
第１開口５１１は、後述する送球ユニット６００から送球される球を振分けユニットの内部に流入させるための開口であり、経路形成部材５１０の上端の側面に形成されると共に、その外形が球よりも大きく形成される。また、第１開口５１１は、送球ユニット６００と連結されており送球ユニット６００から送球される球を流入可能とされる。
【０５９９】
第１送球経路ＫＲ１は、第１開口５１１から流入した球をベース板５２０及び経路形成部材５１０との対向間を流下させる経路であり、下方向に延設して形成される。また、第４送球経路ＫＲ４は、経路形成部材５１０の上下方向略３分の１程度に延設して形成されており下流の端部が、第２送球経路ＫＲ２及び第３送球経路ＫＲ３に連結される。即ち、第１送球経路ＫＲ１を流下する球が、第２送球経路ＫＲ２又は第３送球経路ＫＲ３に流下可能に形成される。
【０６００】
第２送球経路ＫＲ２は、上述したように、第１送球経路ＫＲ１に連結されて形成される経路であり、下流側の端部が第２開口５１２に連結される。即ち、第１開口５１１から流下して第１送球経路ＫＲ１を流下する球が第２送球経路ＫＲ２へ流下すると、第２開口５１２から振分けユニット５００の外方へ排出される。
【０６０１】
第２開口５１２は、球を回収する回収経路（図示せず）に連結される。よって、第２開口から排出される球は、回収経路により回収される。また、第２開口５１２の内側（第２送球経路ＫＲ２の下流端）には、遊技球の通過を検出するセンサ装置ＳＥ２が配置される。よって、第３入賞口８２を通過する遊技球の球数をセンサ装置ＳＥ１で検出すると共に、第２送球経路ＫＲ２を通過する遊技球の球数をセンサ装置ＳＥ２で検出することで、第３送球経路ＫＲ３を通過する遊技球の個数を検知することができる。
【０６０２】
即ち、後述する規制板５４１の上流に所定の球数（１球）の遊技球が貯留されたか否かをセンサ装置ＳＥ１及びセンサ装置ＳＥ１の差で検知することができる。例えば、第３電動役物８２ａの一回の開放時に、第３入賞口８２（センサ装置ＳＥ１）を通過する球数が８個であり、第２送球経路ＫＲ２（センサ装置ＳＥ２）を通過する球数が７個の場合は、第３送球経路ＫＲ３に１球分の遊技球を流下（貯留）した状態であることを検出できる。
【０６０３】
第３送球経路ＫＲ３は、上述したように、第１送球経路ＫＲ１に連結されて形成される経路であり、下流側の端部が第３開口５１３に連結される。即ち、第１開口５１１から流下して第１送球経路ＫＲ１を流下する球が第３送球経路ＫＲ３へ流下すると、第３開口５１３から排出される。
【０６０４】
第３開口５１３は、ベース板５２０の転動部５２５の他端側（開口５２５ａの反対の端部側）の上方に形成される。よって、第３開口５１３から排出される球は、転動部５２５の内側に送球される。即ち、第３送球経路ＫＲ３に送球される球は、第３開口５１３を介して転動部５２５に送球される。
【０６０５】
開口５１４から５１６は、それぞれ遊技盤１３に形成される第３入賞口８２の背面側に形成されており、第３入賞口８２に入賞した球が送球される。即ち、遊技盤１３の正面側の遊技領域を流下する球が第３入賞口８２に入賞すると、球は開口５１４から５１６に振分けユニット５００の内部に送球される。
【０６０６】
第４送球経路ＫＲ４は、開口５１４から５１６に連結して形成されており、下流側で１つの経路に連結されて、経路形成部材５１０の下端面に形成される第４開口に連結される。第４開口は、球を回収する回収経路（図示せず）に連結される。よって、遊技盤１３の第３入賞口８２に入賞した球は、振分けユニット５００の第４送球経路ＫＲ４に送球された後に、第４開口５１７から排出されて回収される。
【０６０７】
延長経路部材５３０は、下側が開放する断面Ｕ字に形成されると共に、左右方向に延設される。また、延長経路部材５３０は、そのＵ字の内径が球の外径よりも大きく形成される。よって、ベース板５２０の転動部５２５の上部に配設されることで、転動部５２５の上部に送球される球を、転動部５２５及び延長経路部材５３０の内側を送球可能にできると共に、転動部を転動する球が、転動部５２５から落下することを抑制できる。
【０６０８】
さらに、延長経路部材５３０は、転動部５２５に形成される突起５２５ｂと左右方向同じ位置に一定の間隔で形成される突起５３１が形成される。これにより、突起５２５ｂと同様に転動部５２５を転動する球の転動速度を遅くすることができる。
【０６０９】
振分け部材５４０は、一方が長く形成される正面視矩形に形成され、前後方向に所定の厚みを備えて形成される。振分け部材５４０は、正面側に板状体で突出する規制板５４１及び貯留板５４２と、上方の一端側に貫通形成される軸孔５４５と、背面側に鉤状に形成される係止部５４４とを主に備えて形成される。
【０６１０】
軸孔５４５は、上述したように、ベース板５２０の軸部５２３が挿入される貫通孔であり、前後方向に貫通して形成される。振分け部材５４０は、ベース板５２０の軸部５２３を軸孔５４５に挿通すると共に、背面側から軸孔よりも頭部の大きいネジ等を軸部５２３に締結することにより、ベース板５２０に回転可能な状態で取着される。
【０６１１】
規制板５４１は、第１開口５２１を介して第１送球経路ＫＲ１と第２送球経路ＫＲ２との連結部分に配置されて第１送球経路ＫＲ１を流下する球が第２送球経路ＫＲ２へ流入することを規制する板部材であり、軸孔５４５の正面側の端面よりも正面側に突出して形成されると共に、ベース板５２０から正面側への突出距離が球の半径よりも大きく設定される。
【０６１２】
また、規制板５４１は、軸孔５４５の軸を中心とする円弧状に湾曲して形成される。これにより、振分け部材５４０が軸孔５４５の軸を中心に回転変位された際に、規制板５４１の変位領域を最小にすることができる。
【０６１３】
貯留板５４２は、第２開口５２２を介して第２送球経路ＫＲ２上に配置され、第２送球経路ＫＲ２を流下する球を貯留板５４２の上流側に貯留する板部材であり、軸孔５４５の正面側の端面よりも正面側に突出して形成されると共に、ベース板５２０から正面側への突出距離が、球の半径よりも大きく設定される。
【０６１４】
また、貯留板５４２は、軸孔５４５の軸を中心とする円弧状に湾曲して形成されると共に、その円弧の半径が規制板５４１の湾曲部分の半径よりも大きく形成される。よって、貯留板５４２は、軸孔５４５から規制板５４１よりも離間した位置に形成される。これにより、規制板５４１を第１送球経路ＫＲ１と第２送球経路ＫＲ２との連結部分に突出させることができると共に、貯留板５４２を第２送球経路ＫＲ２上に配置することができる。さらに、振分け部材５４０が軸孔５４５の軸を中心に回転変位された際の変位領域を最小にすることができる。
【０６１５】
突起部５４３は、上述した下変位部材４４０の当接板４６４ｃに衝突されることで、振分け部材５４０に回転の駆動力を作用させる駆動伝達部材であり、振分け部材５４０の他端側に突出して形成される。即ち、振分け部材５４０の回転軸となる軸孔５４５が形成される一端側と反対側に、駆動力が伝達される突起部５４３が形成される。これにより、下変位部材４４０の当接板４６４ｃの衝突する力を小さくすることができる。
【０６１６】
従って、当接板４６４ｃを変位させる駆動モータＫＭ３の駆動力を小さくすることができるので、駆動モータＫＭ３の消費エネルギーを小さくすることができる。また、駆動の際に、当接板４６４ｃが突起部５４３と衝突する際のエネルギーを小さくできるので、当接板４６４ｃと突起部５４３とが衝突した際に衝突音を小さくすることができる。なお、当接板４６４ｃと突起部５４３との衝突の際の詳しい態様については後述する。
【０６１７】
さらに、突起部５４３の突出先端の当接板４６４ｃとの当接箇所は、円形状に膨出する膨出部５４３ａが形成される。膨出部５４３ａに当接板４６４ｃを当接させることで、当接板と振分け部材５４０との接地面積を小さくすることができる。従って、振分け部材５４０を回転変位させる際に、突起部５４３（膨出部５４３ａ）と当接板４６４ｃと摩擦抵抗を小さくすることができる。その結果、駆動モータＫＭ３の消費エネルギーが大きくなることを抑制できる。
【０６１８】
係止部５４４は、上述したようにベース板５２０の係止部５２４との間で付勢ばねＳＰ４を係止する部分である。よって、振分け部材５４０の他端側が常に係止部５２４側に回転する力を付与することができるので、振分け部材５４０がパチンコ機１０の振動等でゆれ動くことを抑制できる。
【０６１９】
次いで、図７３を参照して、振分けユニット５００の球の流下経路について詳しく説明する。図７３は、図７０（ａ）のＬＸＸＩＩＩ−ＬＸＸＩＩＩ線における振分けユニット５００の断面図である。なお、図７３では、振分け部材５４０が、鎖線で図示される。また、図７３では、振分け部材５４０が貯留位置に配置された状態が図示される。
【０６２０】
ここで、振分け部材５４０が貯留位置に配置された状態とは、振分け部材５４０が付勢ばねＳＰ４の付勢力により回転され、第２送球経路ＫＲ２上に貯留板５４２を配置した状態のことである。
【０６２１】
図７３に示すように、第１送球経路ＫＲ１は、その流下経路の下端側が、ベース板５２０の左右方向（図７３左右方向）の中央部分に向かって傾倒されると共に、その傾倒部分が緩やかなＳ字状に湾曲して形成される。また、Ｓ字状に湾曲した先端部分が第３送球経路ＫＲ３に連結され、第２送球経路ＫＲ２が、第１送球経路ＫＲ１の端部に第１送球経路ＫＲ１の傾倒する方向と反対方向に傾倒した状態で連結される。
【０６２２】
これにより、第１送球経路ＫＲ１を流下する球を傾倒部分の下面に衝突させることで、球の流下方向を重力方向から第１送球経路ＫＲ１の傾倒する方向に向けることができる。よって、球を第３送球経路ＫＲ３の入り口（第１送球経路ＫＲ１と第３送球経路ＫＲ３との連結部分）に向かって流下させることができる。従って、振分け部材５４０が配置されていない状態では、第１送球経路ＫＲ１を流下する球を第３送球経路ＫＲ３に送球することができる。
【０６２３】
ここで、遊技球が流下する流下経路と、その流下経路から分岐される第１分岐通路および第２分岐通路と、流下通路を流下した遊技球を第１分岐通路または第２分岐通路の一方へ振り分ける遊技機が知られている。
【０６２４】
しかしながら、従来の遊技機では、流下通路を流下した遊技球を第１分岐通路と第２分岐通路とへ１球ずつ交互に振り分ける構造であるため、流下通路を流下する遊技球が、第１分岐通路と第２分岐通路とに均等に（即ち、半数ずつ）振分けられる。即ち、第１分岐通路へ振り分ける遊技球の数を変更できないという問題点があった。
【０６２５】
これに対し、本実施形態では、変位可能に形成されると共に第３送球経路ＫＲ３から遊技球を受け取る球受部４６７を備え、球受部４６７に連動する当接板４６４ｃが振分け部材５４０に当接して変位されることで、振分け部材５４０が変位されるので、球受部４６７の変位に応じて、第３送球経路ＫＲ３または第２送球経路へ振り分ける遊技球の数を変更できる。即ち、第３送球経路ＫＲ３へ振り分ける遊技球の数を変更できる。
【０６２６】
なお、振分け部材５４０の変位は、球受部４６７の変位を利用して、振分け部材５４０を変位させることができるので、かかる振分け部材５４０を変位させるための駆動手段や伝達機構を別途設けることを不要とできる。よって、その分、部品点数を削減して、製品コストの削減を図ることができる。
【０６２７】
また、例えば、センサ装置による位置検出や駆動手段による駆動を利用して振分け部材５４０の変位を制御する構造では、検出不良や制御不良による誤作動によって、振分け部材の振分け動作の信頼性の低下を招くところ、本実施形態によれば、振分け部材５４０による振分け先を、球受部４６７の変位に機械的に同期させて切り換えることができるので、振分け動作の信頼性の向上を図ることができる。
【０６２８】
特に、球受部４６７は、第３送球経路ＫＲ３の転動部５２５から遊技球を受けとる部材であるので、かかる球受部４６７の変位に同期させて振分け部材５４０の振分け先を第３送球経路に切り替えることで、第３送球経路ＫＲ３に振分けられた遊技球を変位部材に確実に受け取らせることができる。
【０６２９】
さらに、従来の遊技機では、流下経路を流下する遊技球が、第１分岐通路または第２分岐通路の一方へ振り分けられるのみであるため、遊技者に興趣を与えることが不十分であった。
【０６３０】
これに対し、本実施形態によれば、規制板５４１（振分手段）による振り分け先が第３送球経路ＫＲ３（第１分岐通路）とされた状態では、第３における遊技球の流下を規制し、振分け部材５４０による振り分け先が、第２送球経路ＫＲ２（第２分岐通路）とされた状態では第３送球経路ＫＲ３における遊技球の流下を許容する貯留板５４２（流下状態変更手段）を備えるので、遊技者に興趣を与えることができる。
【０６３１】
即ち、規制板５４１による振り分け先が第３送球経路とされると、第３送球経路ＫＲ３へ振り分けられた遊技球の流下を規制して第３送球経路ＫＲ３に遊技球を貯留すると共に、規制板５４１による振り分け先が第２送球経路ＫＲ２とされると、第３送球経路ＫＲ３における遊技球の流下を許容し、第３送球経路ＫＲ３に貯留されていた遊技球を流下させる（開放する）ことができる。これにより、第１送球経路ＫＲ１（流下経路）を流下する遊技球を第３送球経路ＫＲ３又は、第２送球経路ＫＲ２の一方へ振り分ける動作に加え、第３送球経路ＫＲ３に振り分けられた遊技球を流下させる（開放する）動作を形成できる。更に、これら貯留および開放の動作を、振分け動作に連動して、交互に形成できる。その結果、遊技者に興趣を与えることができる。
【０６３２】
また、規制板５４１（振分手段）と貯留板５４２（流下状態変更手段）とが一体に形成される振分け部材５４０（一体部材）を備えるので、それら規制板５４１と貯留板５４２とを動作させる構造の簡素化と動作の信頼性の向上とを図ることができる、即ち、規制板５４１と貯留板５４２とが別体に形成される場合には、２部品となるため、それら２部品を動作させる構造が複雑化すると共に動作の信頼性の低下を招く。
【０６３３】
これに対し、本実施形態によれば、規制板５４１と貯留板５４２とを一部品として形成できるので、その分、構造を簡素化でき、製品コストの削減と動作の信頼性の向上とを図ることができる。
【０６３４】
さらに、振分け部材５４０は、貯留位置（第１状態位置）と規制位置（第２状態位置）とに変位可能に形成され、振分け部材５４０が貯留位置に変位された状態では、規制板５４１が第３送球経路ＫＲ３（第１分岐通路）を振分け先とする位置に配置され且つ貯留板５４２が第３送球経路ＫＲ３における遊技球の流下を規制する位置に配置され、振分け部材５４０が規制位置に変位された状態では、規制板５４１が第２送球経路ＫＲ２を振分け先とする位置に配置され且つ貯留板５４２が第３送球径路における遊技球の流下を許容する位置に配置されるので、振分け部材５４０を２位置（貯留位置および規制位置）で変位させることで、第１送球経路ＫＲ１（流下通路）を流下する遊技球を第３送球経路ＫＲ３又は第２送球経路の一方へ振り分ける動作に加え、第３送球経路ＫＲ３に振り分けられた遊技球の流下を一端停止させる（貯留する）動作と、その停止された（貯留された）遊技球を流下させる（開放する）動作とを形成できると共に、これら貯留および開放の動作を、振り分け動作に連動して、交互に形成できる。即ち、構造を簡素化して、製品コストの削減と動作の信頼性の向上とを図ることができる。
【０６３５】
振分け部材５４０（一体部材）は、回転可能に形成され、貯留板５４２（流下状態変更手段）は、第３送球経路ＫＲ３（第１分岐通路）に対して出没可能に形成され、第３送球経路ＫＲ３へ突出することで遊技球の流下を規制すると共に、振分け部材５４０の回転軸を中心とする円弧状に湾曲した形状に形成されるので、規制板５４１の出没の為に第３送球経路ＫＲ３の内壁に開口される孔（凹部５１９）の面積を小さくすることができる。
【０６３６】
貯留板５４２（流下状態変更手段）は、第３送球経路ＫＲ３（第１分岐通路）の上流を臨む側が凹となる姿勢で配設されるので、第３送球経路ＫＲ３への貯留板５４２が突出し始めた初期の状態（即ち、通路内へ流下状態変更手段の先端側のみが突出されている状態）において、貯留板５４２の先端側の形状を遊技球の流下を規制しやすい向きで配置でき、第３送球経路ＫＲ３に振り分けられた遊技球の流下を規制しやすくできる。
【０６３７】
また、貯留板５４２が、第３送球経路へ最大に突出され遊技球の流下を規制する状態では、貯留板５４２の凹により遊技球を安定して保持できるので、遊技球の暴れを抑制できる。
【０６３８】
振分けユニット５００は、振分け部材５４０（一体部材）に付勢力を付与して、規制板５４１が第３送球経路（第１分岐通路）へ突出する方向へ付勢する付勢ばねＳＰ４（付勢手段）を備え、規制板５４１から振分け部材５４０の回転軸までの距離が、規制板５４１から振分け部材５４０の回転軸までの距離よりも大きくされるので、付勢ばねＳＰ４の付勢力を利用して、振分け部材５４０を貯留板５４２が第３応急経路へ突出する姿勢（即ち、貯留位置）に維持しやすくできる。
【０６３９】
この場合、貯留板５４２から振分け部材５４０の回転軸までの距離が、規制板５４１から振分け部材５４０の回転軸までの距離よりも大きくされるので、流下する遊技球が衝突されると、回転軸からの距離が大きい分、同じ衝撃力が作用した場合でも、貯留板５４２が没入しやすいところ、付勢ばねＳＰ４の付勢方向が、貯留板５４２が第３送球経路ＫＲ３へ突出する方向とされることで、その付勢力の分、貯留板５４２が凹部５１９へ没入されることを抑制できる。
【０６４０】
また、振分け部材５４０（一体部材）は、その自重により貯留板５４２（流下状態変更手段）が第３送球経路（第１分岐通路）へ突出する方向へ回転されるので、かかる自重を利用して振分け部材５４０を、貯留板５４２が第３送球経路ＫＲ３へ突出する姿勢（即ち、貯留位置）に維持しやすくできる。よって、遊技球が衝突した場合には、その自重の分、貯留板５４２が凹部５１９へ没入されることを抑制できる。
【０６４１】
また、付勢ばねＳＰ４（付勢手段）が脱落した場合でも、振分け部材５４０を、その自重により、規制板５４１が第３送球経路ＫＲ３へ突出した姿勢に維持して、第３送球経路へ遊技球が流下することを抑制できる。
【０６４２】
さらに、振分け部材５４０に付勢力を付与して、振分け部材５４０による振分け先を第３送球経路ＫＲ３又は第２送球経路ＫＲ２の一方に維持させる付勢ばねＳＰ４を備え、球受部４６７が振分け部材５４０を付勢ばねＳＰ４の方向に抗する方向へ変位させることで、振分け部材５４０による振分け先が第３送球経路ＫＲ３または第２送球経路ＫＲ２の他方に切替えられると共に、付勢ばねの付勢力によって、振分け部材５４０による振分け先が第３送球経路ＫＲ３または第２送球経路ＫＲ２の一方に復帰される。
【０６４３】
従って、振分け部材５４０による振り分け先が不用意に切り換えられることを抑制できる。この場合、球受部４６７の変位に伴って振分け部材５４０が変位され、その振り分け先が切り替えられた後、切り替え前の振り分け先への復帰は、付勢ばねＳＰ４の付勢力により行うことができるので、球受部４６７に連動する当接板４６４ｃが振分け部材５４０と当接されていることを不要とできる。即ち、球受部４６７に連動する当接板４６４ｃを振分け部材５４０から離間させることができる。よって、球受部４６７の可動範囲の設計の自由度を高めることができる。
【０６４４】
次いで、図７４を参照して、振分け部材５４０の変位について説明する。図７４（ａ）及び（ｂ）は、図７３の範囲ＬＸＸＩＶにおける振分けユニット５００の部分拡大図である。なお、図７４（ａ）は、振分け部材５４０が貯留位置に位置する状態が、図７４（ｂ）は、振分け部材５４０が規制位置に位置する状態がそれぞれ図示される。また、振分け部材５４０が規制位置に配置された状態とは、振分け部材５４０の突起部５４３に下変位部材４４０の当接板４６４ｃが衝突して、振分け部材５４０が軸孔５４５の軸を中心に回転されて、第１送球経路ＫＲ１と第３送球経路ＫＲ３との連結部分に規制板５４１を配置した状態のことである。
【０６４５】
図７４（ａ）に示すように、振分け部材５４０が貯留位置に配置された状態では、貯留板５４２が第３送球経路ＫＲ３上に配置されると共に、規制板５４１が経路形成部材５１０の背面側の壁に形成される凹部５１８の内側に配置される。
【０６４６】
この場合、貯留板５４２の第３送球経路ＫＲ３の内側に突出した先端の端部とその先端と対向する第３送球経路ＫＲ３の内壁との距離寸法Ｌ１は、球の直径よりも小さくされる。よって、第３送球経路ＫＲ３の上流（第１送球経路ＫＲ１）から送球される球は、貯留板５４２の上流側に停止される。
【０６４７】
また、貯留板５４２の湾曲した部分の内側から第１送球経路ＫＲ１と第３送球経路ＫＲ３との連結部分までの距離寸法Ｌ２は、球の半径よりも大きく設定されると共に、球の直径よりも小さく設定される。これにより、貯留板５４２の上流側に停止される球の数を１球とすることができる。なお、以下では、貯留板５４２の上流側に球を１球停止させた振分けユニット５００の状態を貯留状態と称す。
【０６４８】
一方、図７４（ｂ）に示すように、振分け部材５４０が、規制位置に配置された状態では、規制板５４１が第１送球経路ＫＲ１と第３送球経路ＫＲ３との連結部分に配置されると共に、貯留板５４２が、経路形成部材５１０の背面側の壁部に形成される凹部５１９の内側に配置される。
【０６４９】
この場合、規制板５４１の第１送球経路ＫＲ１内側に突出した先端の端部と第３送球経路ＫＲ３の入り口の内壁までの距離寸法Ｌ３は、球の直径よりも小さくされる。よって、第１送球経路ＫＲ１を流下する球は、規制板５４１に衝突して、第２送球経路ＫＲ２に送球される。
【０６５０】
即ち、振分け部材５４０を規制位置と貯留位置とで切り換えることで、第１送球経路ＫＲ１を送球される球を第３送球経路ＫＲ３に送球して、第３送球経路ＫＲ３上に停止させる状態と、第１送球経路ＫＲ１を流下する球を第３送球経路ＫＲ３に流入不能として、第２送球経路ＫＲ２に送球される状態とを形成することができる。
【０６５１】
よって、１つの振分け部材５４０を変位させることで、１の流下する経路から２の流下する経路に分かれる場合に、球の流下経路をどちらかに確実に切り替えることができる。
【０６５２】
また、付勢ばねＳＰ４は、振分け部材５４０に付勢力を付与して、振分け部材５４０による振り分け先を第２送球経路ＫＲ２に維持させるので、球受部４６７が遊技球を受け取り不能な状態において、振分け部材５４０による振り分け先が第３送球経路に切り替えられることを抑制できる。
【０６５３】
さらに、規制板５４１（振分手段）は、第１送球経路ＫＲ１（流下通路）または第３送球経路ＫＲ３（第１分岐通路）に対して出没可能に形成されると共に、その出没位置が、第１送球経路ＫＲ１の下流端における流下方向の延長線上における内壁とされるので、第１送球経路ＫＲ１の下端側から流下する遊技球に近い位置で、規制板５４１を突出させることができる。よって、規制板５４１を流下通路または第３送球経路ＫＲ３（第１分岐通路）へ突出させ始めてから遊技球を振り分けできる状態となるまでに要する時間を短くすることができる。その結果、規制板５４１による振り分け先の切り替えを確実に行うことができる。
【０６５４】
また、規制板５４１（振分手段）は、第３送球経路ＫＲ３（第１分岐通路）に突出されることで、第１送球経路ＫＲ１（流下通路）を流下する遊技球を第２送球経路（第２分岐通路）へ振り分けるものであり、規制板５４１の突出方向が、第２送球経路ＫＲ２の上流端を指向する方向に設定されるので、第１送球経路ＫＲ１を流下する遊技球が突出動作の途中の規制板に当接した場合には、かかる遊技球を規制板の突出動作に伴って、第２送球経路ＫＲへ押し込むことができる。その結果、第２送球経路ＫＲ２への振り分けをより確実に行うことができる。
【０６５５】
なお、本実施形態では、振分け部材５４０の規制板５４１が、貯留板５４２よりも軸孔５４５と近接した位置に配置されるが、規制板５４１が規制板５４１よりも軸孔５４５と離間した位置に配置されてもよい。即ち、振分け部材５４０の軸孔５４５を図７４（ａ）及び図７４（ｂ）に示す第３送球経路ＫＲ３の下流側の背面のポイントＰの位置に振分け部材５４０の軸を配置してもよい。この場合、振分け部材５４０に形成される規制板５４１及び貯留板５４２の配置位置は、本実施形態と同一の位置に形成される。
【０６５６】
軸孔５４５をポイントＰに配置した状態では、振分け部材５４０を回転変位させた際の規制板５４１の変位速度を貯留板５４２よりも早くできる。そのため、後述するように振分け部材５４０を貯留位置から規制位置に変位させた際には、規制板５４１を早く流下経路上に突出させることができる。その結果、規制位置から貯留位置に振分け部材５４０を切り替えたタイミングで、第１送球経路ＫＲ１を流下する遊技球が第３送球経路ＫＲ３に流入することを抑制することができる。
【０６５７】
また、この場合、規制板５４１及び貯留板５４２の正面視における形状は、ポイントＰを中心とする円弧状に形成される。これにより、振分け部材５４０が規制位置から貯留位置（又は反対）に変位される際に規制板５４１及び貯留板５４２の変位領域を最小とすることができる。さらに、規制板５４１及び貯留板５４２を第３送球経路ＫＲ３の外側に受け入れる凹部５１８，５１９は、規制板５４１及び規制板５４１の変位軌跡に沿った凹設形状とされる。
【０６５８】
次いで、図７５及び図７６を参照して、振分け部材５４０が貯留位置に配置される際に、送球経路から２球以上の球が送球された場合の説明をする。図７５（ａ）及び（ｂ）は、振分けユニット５００の部分拡大図である。図７６（ａ）及び（ｂ）は、振分けユニット５００の部分拡大図である。
【０６５９】
なお、図７８（ａ）及び（ｂ）は、図７４（ａ）の振分けユニット５００の部分拡大図と対応する。また、図７５（ａ）から図７６（ｂ）までは、球が流入された際の球の遷移状態が順に図示される。さらに、図７５（ａ）から図７６（ｂ）は、振分け部材５４０が貯留位置に配置された状態とされる。
【０６６０】
図７５（ａ）及び（ｂ）に示すように、振分け部材５４０が貯留位置に配置された状態で、１球目の遊技球Ｔ１が第１送球経路ＫＲ１に送球されると、上述したように、遊技球Ｔ１は、第３送球経路ＫＲ３に送球されて、貯留板５４２の上方に停止される。
【０６６１】
この場合、貯留板５４２は、第３送球経路ＫＲ３の上端から球の半径から直径の間の距離下流側に配置された位置とされるので、貯留板５４２の上部に停止された球の一部が、第１送球経路ＫＲ１側に突出された状態とされる（図７５参照）。
【０６６２】
よって、第３送球経路ＫＲ３（第１分岐通路）は、上述したように、下流へ向けて下降傾斜して形成されると共に、その重力方向側の内壁を遊技球が転動可能に形成され、貯留板５４２（流下状態変更手段）は、重力方向下側の内壁から第３送球経路ＫＲ３内へ出没可能に形成されるので、貯留板５４２を第３送球経路ＫＲ３内へ突出させ始めてから遊技球の流下を規制できる状態となるまでに要する時間を短くすることができる。その結果、規制板５４１の振り分け先が第２送球経路ＫＲ２（第２分岐通路）から第３送球経路ＫＲ３に切り替えられ、第３送球経路ＫＲ３に遊技球が振分けられた際に、その遊技球の流下の規制に貯留板５４２の突出を間に合わせ易くできる。
【０６６３】
また、規制板５４１は、第３送球経路ＫＲ３に対して出没可能に形成され、第３送球経路ＫＲ３に最大に突出した状態では、突出する方向の力成分が遊技球から貯留板５４２へ作用されるので、第３送球経路ＫＲ３へ振り分けられた遊技球の流下を規制する際に、その遊技球が衝突した際の衝撃で貯留板５４２が凹部５１９に没入することを抑制できる。よって、遊技球の流下を規制しやすくできる。
【０６６４】
次に、図７６（ａ）及び（ｂ）に示すように、振分けユニット５００が貯留状態の場合に第１送球経路ＫＲ１に２球目の遊技球Ｔ２が送球されると、遊技球Ｔ２は、第１送球経路ＫＲ１から第３送球経路ＫＲ３の上端に方向に送球される。第３送球経路ＫＲ３の上端部には遊技球Ｔ１が停止された状態とされるので、遊技球Ｔ２は、遊技球Ｔ１に衝突して第２送球経路ＫＲ２に送球される。
【０６６５】
この場合、上述したように、遊技球Ｔ１は、第１送球経路ＫＲ１側に突出した状態とされるので、遊技球Ｔ２を第３送球経路ＫＲ３の内側に送球することなく第２送球経路ＫＲ２に案内することができるので、遊技球Ｔ２を第３送球経路ＫＲ３の内部に留まることなく第２送球経路ＫＲ２に送球することができる。よって、第１送球経路ＫＲ１及び第２送球経路ＫＲ２の送球を安定させることができる。
【０６６６】
即ち、第１送球経路ＫＲ１（流下通路）における第２送球経路ＫＲ２（第２分岐通路）を望む側の内壁は、第１送球経路ＫＲ１を流下する遊技球を、第３送球経路ＫＲ３（第１分岐通路）に貯留された規定数（１球）の遊技球のうちの末尾の遊技球を第３送球経路ＫＲ３の側面へ案内可能に形成されるので、第１送球経路ＫＲ１を流下する遊技球を、規定数の遊技球のうちの末尾の遊技球に衝突させた後、第２送球経路ＫＲ２へ流下させやすくできる。
【０６６７】
なお、規定数の遊技球のうち、末尾の遊技球とは、上流側（規制板５４１と反対側）に位置する遊技球を意味する。また、本実施形態では、規定数は１球に設定される。この場合、末尾の遊技球は、第３送球経路ＫＲ３に貯留されている遊技球そのものを意味する。
【０６６８】
また、上述したように、第１送球経路ＫＲ１（流下通路）は、その流下経路の下端側が、ベース板５２０の左右方向（図７３左右方向）の中央部分に向かって傾倒されると共に、その傾倒部分が緩やかなＳ字状に湾曲して形成される。即ち、第１送球経路ＫＲ１（流下通路）の下流端の流下方向は、第３送球経路ＫＲ３の上流端の流下方向に形成されるので、第１送球経路ＫＲ１を流下する遊技球が、第３送球経路に貯留された規定数の遊技球のうちの末尾の遊技球に衝突した際に、末尾の遊技球に作用される反発力の方向を第３送球経路ＫＲ３の上流端の流下方向と異ならせることができる。その結果、衝突の際の反発力で、末尾の遊技球が第３送球経路ＫＲ３の上流端から飛び出して、第２送球経路ＫＲ２へ流入されることを抑制できる。
【０６６９】
さらに、第３送球経路ＫＲ３の上端部は、第１送球経路ＫＲ１の下端部の傾斜方向に傾斜して形成されるので、遊技球Ｔ２が遊技球Ｔ１と衝突する位置を遊技球Ｔ１の上半球にすると共に、第２送球経路ＫＲ２側とすることができる。よって、遊技球Ｔ１に衝突した遊技球Ｔ２の跳ね返り方向を第２送球経路ＫＲ２の入り口（上端）側とすることができる。従って、遊技球Ｔ１に衝突する遊技球Ｔ２を第２送球経路ＫＲ２に送球しやすくできる。その結果、第１送球経路ＫＲ１及び第２送球経路ＫＲ２に球が停滞することを抑制できる。
【０６７０】
また、規制板５４１による振り分け先が、第３送球経路ＫＲ３（第１分岐通路）とされると共に第３送球経路ＫＲ３における遊技球の流下が貯留板５４２（流下状態変更手段）により規制され、第３送球経路ＫＲ３に規定数（１球）の遊技球が貯留された状態では、第１送球経路ＫＲ１（流下通路）を流下する遊技球が第２送球経路ＫＲ２（第２分岐通路）へ流下可能に形成されるので、規定数以上の遊技球が流下通路を流下する場合に、規定数を超える分の遊技球（２球目以降の遊技球Ｔ２）が第１送球経路ＫＲ１に滞ることを抑制できる。よって、規制板５４１の変位（振り分け先を第２送球経路ＫＲ２とする動作）が、第１送球経路ＫＲ１に滞った遊技球によって阻害されることを抑制できる。
【０６７１】
次いで、図７７を参照して、振分け部材５４０が規制位置に配置される際に、送球経路に球が送球された場合の説明をする。図７７（ａ）及び（ｂ）は、振分けユニット５００の部分拡大図である。
【０６７２】
なお、図７７（ａ）及び（ｂ）は、図７４（ａ）の振分けユニット５００の部分拡大図と対応する。また、図７７（ａ）及び（ｂ）は、球が流入された際の球の遷移状態がそれぞれ図示される。さらに、図７７（ａ）及び（ｂ）は、振分け部材５４０が規制位置に配置された状態とされる。
【０６７３】
図７７（ａ）及び（ｂ）に示すように、振分け部材５４０が規制位置に配置された状態で第１送球経路ＫＲ１に球が送球されると、送球された遊技球Ｔ１は、第１送球経路ＫＲ１の下端で規制板５４１に衝突する。これにより、遊技球Ｔ１は、第２送球経路ＫＲ２に案内されて、第２送球経路ＫＲ２を流下する。
【０６７４】
次いで、図７８を参照して、第３送球経路ＫＲ３の下流側に球を流下させる際の動作について説明する。図７８（ａ）及び（ｂ）は、振分けユニット５００の部分拡大図である。
【０６７５】
なお、図７８（ａ）及び（ｂ）は、図７４（ａ）の振分けユニット５００の部分拡大図と対応する。また、図７８（ａ）及び（ｂ）は、球が流入された際の球の遷移状態がそれぞれ図示される。さらに、図７８（ａ）は振分け部材５４０が貯留位置に配置された状態が、図７８（ｂ）は振分け部材５４０が規制位置に配置された状態が、それぞれ図示される。
【０６７６】
図７８（ａ）及び（ｂ）に示すように、振分けユニット５００が貯留状態（図７８（ａ）に示す状態）とされた際に、振分け部材５４０が変位されて規制位置に配置されると、貯留板５４２の上方に停滞された遊技球Ｔ１が第３送球経路ＫＲ３の下流側に流下される。
【０６７７】
即ち、第３送球経路ＫＲ３への球の流下は、貯留板５４２の上方に停滞された球のみとされる。また、上述したように貯留板５４２の上方に停滞する球は、１とされるので第３送球経路ＫＲ３への球の流下を１球ずつ行うことができる。よって、第３送球経路ＫＲ３の下流側に流下される球の数を安定させることができるので、第３送球経路ＫＲ３に意図しない球数の球が流下されることを抑制できる。
【０６７８】
よって、振分け部材５４０（振分手段）は、その振分け部材５４０の変位に伴って第３送球経路（第１分岐通路）に対して出没可能に形成される規制板５４１（第１出没部）及び貯留板（第２出没部）を備え、規制板５４１は、第３送球経路へ突出することで、第１送球経路ＫＲ１（流下通路）を流下する遊技球を第２送球経路ＫＲ２（第２分岐通路）へ振り分け可能に形成され、貯留板５４２は、規制板５４１よりも第３送球経路ＫＲ３の下流側に位置すると共に、第３送球経路ＫＲ３に突出することで、第３送球経路ＫＲ３に振り分けられた遊技球の流下を規制可能に形成され、それら規制板５４１及び貯留板５４２は、一方が第３送球経路ＫＲ３の通路内へ突出した状態では他方が第３送球経路ＫＲ３の通路外（凹部５１８，５１９の内側）に退避されるので、球受部４６７（変位部材）の変位に伴って振分け部材５４０を変位させることで、規定数（１球）の遊技球のみを第３送球経路ＫＲ３へ振り分けて球受部４６７に受け取らせることができる。
【０６７９】
即ち、規制板５４１が突出することで、第１送球経路ＫＲ１を流下する遊技球を第２送球経路へ振り分ける第１の状態と、規制板５４１は退避することで、第１送球経路ＫＲ１を流下する遊技球を第３送球経路へ振り分ける第２の状態と、第２出没部が突出することで、第３送球経路ＫＲ３へ振り分けられた遊技球の流下を規制（遊技球を貯留）する第３の状態と、第２出没部が退避することで、第３送球経路に貯留されていた遊技球を流下させて球受部へ受け取らせる第４の状態とを形成することができ、これら各状態を組み合わせることで、規定数（１球）の遊技球のみを第３送球経路ＫＲ３へ振り分けて球受部４６７に受け取らせることができる。
【０６８０】
また、振分け部材５４０が、規制板５４１及び５４２を備える、即ち、１の部品として形成されるので、振分け部材５４０の構造（規制板５４１及び貯留板５４２を動作させ、それらの機能を発揮させるための構造）を簡略かできる。更に、規制板５４１及び貯留板５４２は、一方が第３送球経路ＫＲ３の通路内へ突出した状態では、他方が第３送球経路ＫＲ３の通路外へ退避されるので、球受部４６７の２つの位置（第１位置および第２位置）に応じて、振分け部材５４０も２つの位置に変位可能に形成されれば足りる。即ち、振分け部材５４０を２つの位置で変位させることで、上述した第１から第４の状態を形成できる。よって、振分け部材５４０の構造および球受部４６７の変位に伴い振分け部材５４０を変位させる構造を簡素化でき、その分、遊技球の振り分け動作の信頼性の向上を図ることができる。
【０６８１】
次いで、図７９から図８０を参照して、振分けユニット５００及び下変位ユニット４００について説明する。図７９は、振分けユニット５００及び下変位ユニット４００の正面図である。図８０は、振分けユニット５００及び下変位ユニット４００の上面図である。なお、下変位ユニット４００は、退避位置に配置された状態が図示される。
【０６８２】
図７９及び図８０に示すように、振分けユニット５００は、下変位ユニット４００の正面側（図８０下側）に配置される。この場合、振分けユニット５００の転動部５２５に形成される開口５２５ａと、下変位部材４４０の装飾部材４５０に形成される開口４５１ａとが前後方向に重なる位置に配置される。よって、転動部５２５を転動される球は、開口５２５ａ及び開口４５１ａを介して下変位部材４４０の内部に送球される。
【０６８３】
言い変えると、下変位部材４４０への球の送球は、遊技盤１３の前方の遊技領域を流下する球を遊技盤１３に形成される第３入賞口８２から送球ユニット６００及び振分けユニット５００を介して行われる。
【０６８４】
よって、振分けユニット５００は、球受部４６７の軌道領域に連通される転動部５２５を備え、振分け部材５４０は、転動部５２５における遊技球の通過を規制するので、例えば、振分け部材５４０に動作不良が生じ、２球目以降の遊技球Ｔ２が送球された場合でも、２球目以降の遊技球Ｔ２を、転動部５２５を介して、振分け部材５４０の軌道領域へ確実に送球させることができる。その結果、２球目以降の遊技球Ｔ２による不具合を生じ難くできる。
【０６８５】
次いで、図８１から図８６を参照して、振分け部材５４０と下変位部材４４０との関係について説明する。図８１、図８３及び図８５は、下変位ユニット４００の正面図であり、図８２、図８４及び図８６は、振分けユニット５００の断面図である。なお、図８１、図８３及び図８５では、下変位部材４４０の装飾部材４５０及び正面ケース４８１が透明視されると共に、正面側に配設される振分けユニット５００の振分け部材５４０のみが図示される。また、図８２、図８４及び図８６では、振分け部材５４０が鎖線で図示されると共に、背面側に配設される下変位部材４４０の当接板４６４ｃが鎖線で図示される。
【０６８６】
さらに、図８１及び図８２では、下変位部材４４０の球受部４６７が第１位置に、振分け部材５４０が規制位置にそれぞれ配置された状態が図示されると共に、下変位部材４４０が退避状態に位置する状態が図示される。図８３及び図８４では、下変位部材４４０の球受部４６７が第２位置に、振分け部材５４０が貯留位置にそれぞれ配置された様態が図示されると共に、下変位部材４４０が退避状態に位置する状態が図示される。図８５及び図８６では、下変位部材４４０の球受部４６７が第１位置に、振分け部材５４０が貯留位置にそれぞれ配置された状態が図示されると共に、下変位部材４４０が第１張出状態に位置する状態が図示される。
【０６８７】
図８１及び図８２に示すように、下変位部材４４０が退避状態に配置された状態および下変位部材４４０の球受部４６７が第１位置に配置された状態では、上述したように球受部４６７を駆動するラック４６６が下変位部材４４０の他端側（下変位部材４４０の正面視左側）に配置されると共に、背面側に可動ラック４６４が前後方向に重なった状態に配置される。
【０６８８】
即ち、可動ラック４６４は、ラック４６６と同様に、下変位部材４４０の他端側（下変位部材４４０の正面視左側）に配置された状態とされる。よって、可動ラック４６４に形成される当接板４６４ｃは、下変位部材４４０の他端側に位置される。この場合、当接板４６４ｃの他端側の側面（正面視左側の面）が、振分け部材５４０の突起部５４３に当接した状態とされる。これにより、振分け部材５４０は、軸孔５４５の軸を中心に回転の駆動力が作用されて、規制板５４１を第１送球経路ＫＲ１に突出させた位置（規制位置）に変位される。
【０６８９】
従って、下変位部材４４０が退避状態にされると共に、球受部４６７が第１位置に配置された状態では、振分けユニット５００の第１送球経路ＫＲ１に送球される球は、第３送球経路ＫＲ３に流下されず、第２送球経路ＫＲ２に送球される。また、上述したように、貯留板５４２の上方に球を貯留した貯留状態から振分け部材５４０を規制位置へ変位させることで、第３送球経路ＫＲ３の下流側（貯留板５４２の下流側）に遊技球を送球できる。この際に、球受部４６７を球受動作させることで球受部４６７の内側に遊技球を送球することができる。
【０６９０】
なお、遊技球を振分けユニット５００に貯留した状態とするための第３電動役物８２ａの開放動作は、球受部４６７が第１位置に変位する前に行われ、球受部４６７が第１位置に変位される際には、第３電動役物８２ａが閉鎖した状態とされる。これにより、振分け部材５４０を貯留位置から規制位置に変位させた際に、第１送球経路ＫＲ１を通過する遊技球が規制板５４１及び貯留板５４２により流下が規制されず、意図しない遊技球が第３送球経路ＫＲ３の下流側に送球されることを抑制できる。
【０６９１】
また、振分け部材５４０は、球受部４６７の変位に連動して動作可能に形成されるので、球受部４６７の変位に応じて、球受部４６７の軌道領域への遊技球の送球を規制または、許容できる。即ち、遊技球の送球の規制または許容を、球受部４６７の変位に機械的に同期させて切り替えることができるので、例えば、振分け部材５４０の位置を検出するセンサの検出結果に応じて振分け部材５４０を駆動する、駆動手段、或いは、それら各手段の制御を不要とでき、その分、製品コストの削減を図ることができると共に、動作の信頼性の向上を図ることができる。
【０６９２】
さらに、振分け部材５４０は、球受部４６７が第２位置から第１位置方向（第２方向）へ変位されることに連動して、球受部４６７の軌道領域へ遊技球Ｔ２を送球することを許容するので、球受部４６７の軌道領域であって、球受部４６７よりも第１方向側の領域に遊技球を確実に送球させることができる。
【０６９３】
また、球受部４６７は、振分け部材５４０を切り替える切り替え位置とその切り替え位置（第１位置）とは異なる位置に設定される受け取り位置（第２位置）とに、変位可能に形成され、球受部４６７が切り替え位置に変位された状態では、振分け部材５４０による振り分け先が第３送球経路ＫＲ３に切り替えられ、球受部４６７が受け取り位置に変位された状態では、第３送球経路から球受部４６７が遊技球を受け取り可能とされると共に、振分け部材５４０による振り分け先が第２送球経路ＫＲ２に切り替えられるので、球受部４６７が球を受け取り可能な規定数（本実施形態では１球）を超えた遊技球が第３送球経路ＫＲ３に振り分けられることを抑制できる。
【０６９４】
即ち、切り替え位置と受け取り位置とを同一の位置に設定した場合には、振分け部材５４０による振り分け先が第３送球経路へ切り替えられた状態のままで、球受部４６７が遊技球を受け取るため、球受部４６７が受け取り可能な規定数を超えて遊技球が第３送球経路ＫＲ３へ振り分けられる恐れがある。第３送球経路ＫＲ３への遊技球の流入を規制する手段を別途設けた場合には、構造が複雑化して信頼性が低下すると共に、製品コストの増加を招く。
【０６９５】
これに対し、実施形態では、球受部４６７が切り替え位置へ変位され、規定数（本実施形態では１球）の遊技球が第３送球経路ＫＲ３へ振り分けられた後に、振分け部材５４０が受け取り位置へ変位されると、振り分け先が第２送球経路ＫＲ２へ切り替えられた状態とされるので、第３送球経路へ１球を超えた遊技球が流下しないようにできる。よって、球受部４６７が、受け取り可能な規定数（１球）を超えた遊技球が第３送球経路ＫＲ３へ振り分けられることを抑制できる。また、上述した手段（第３送球経路ＫＲ３への遊技球の流入を規制する手段）を別途設ける必要がないので、信頼性の向上と製品コストの低減とを図ることができる。
【０６９６】
また、パチンコ機１０は、電源を入れた（オンした）際に、各動作ユニットが電源を切った（オフした）位置から始動する。さらに、パチンコ機１０の電源を切った場合にその制御のみがリセットされる可能性がある。その場合、振分け部材５４０が駆動手段を備えるものであると、電源入れた際に、貯留状態の振分けユニット５００が初期動作の際に動作して第３送球経路ＫＲ３に遊技球を流下させて、第３位置に配置された球受部４６７の退避側（第１位置側）に遊技球が送球される恐れがある。
【０６９７】
これに対し、本実施形態では、振分け部材５４０の変位と球受部４６７の変位とが同期されるので、パチンコ機１０が所定の基準位置に位置しない状態で電源が切られたとしても、パチンコ機１０の電源を投入した際に意図しない遊技球が球受部４６７の軌道領域に送球されることを抑制できる。その結果、下変位部材４４０の内部に遊技球が詰まることを抑制できる。
【０６９８】
さらに、下変位部材４４０の軌道領域に遊技球を残した状態で、電源がオフされた場合には、球受部４６７に上述した排出動作させることで、球受部４６７の軌道領域に残された遊技球を下変位部材４４０の外方に排出して、回収口４１１ｆから回収することができる。
【０６９９】
次いで、図８３及び図８４を参照して説明する。図８３及び図８４に示すように、下変位部材４４０が退避状態に配置された状態および下変位部材４４０の球受部４６７が第２位置または第３位置（第１位置以外の位置）に配置された状態では、上述したように、球受部４６７を駆動するラック４６６が下変位部材４４０の左右方向（図８３左右方向）略中央位置に配置されると共に、可動ラック４６４が下変位部材４４０の他端側（図８３左右方向左側）の端部から、一端側に可動した位置に配置される。
【０７００】
よって、可動ラック４６４に形成される当接板４６４ｃは、下変位部材４４４０の他端側の端部から一端側に離間した位置に配置される。この場合、当接板４６４ｃの他端側の面（正面視左側の面）が、振分け部材５４０の突起部５４３と離間した状態とされる。これにより、振分け部材５４０は、振分け部材５４０とベース板５２０との間に介設される付勢ばねＳＰ４の付勢力により軸孔５４５の軸を中心に回転されて、貯留板５４２を第３送球経路ＫＲ３に突出させた位置（貯留位置）に変位される。
【０７０１】
従って、下変位部材４４０が、退避状態にされると共に、球受部４６７が第２位置または第３位置（第１位置以外の位置）に配置された状態では、振分けユニット５００の第１送球経路ＫＲ１に送球される球が、貯留板５４２の上方に停止した状態とされる。また、上述したように、振分けユニット５００が貯留状態の場合に第１送球経路ＫＲ１に送球される球は、貯留板５４２の上方に停止した球と衝突して第２送球経路ＫＲ２に送球される。
【０７０２】
次いで、図８５及び図８６を参照して説明する。図８５及び図８６に示すように、下変位部材４４０が第１張出状態または第２張出状態に配置された状態では、上述したように下変位部材４４０が、正面ベース４１１に対してスライド変位されると共に回転変位される。よって、可動ラック４６４に形成される当接板４６４ｃは、下変位部材４４０の変位に伴って変位され、振分け部材５４０の突起部５４３と離間した状態とされる。これにより、振分け部材５４０は、振分け部材５４０とベース板５２０との間に介設される付勢ばねＳＰ４の付勢力により軸孔５４５の軸を中心に回転されて、貯留板５４２を第３送球経路ＫＲ３に突出させた位置（貯留位置）に変位される。
【０７０３】
従って、下変位部材４４０が、第１張出状態または第２張出状態とされると、振分けユニット５００の第１送球経路ＫＲ１に送球される球が、貯留板５４２の上方に停止した状態とされる。また、上述したように、振分けユニット５００が貯留状態の場合に第１送球経路ＫＲ１に送球される球は、貯留板５４２の上方に停止した球と衝突して第２送球経路ＫＲ２に送球される。
【０７０４】
即ち、下変位部材４４０が、第１張出状態および第２張出状態（退避状態以外の状態）とされる場合には、下変位部材４４０の変位に伴って、装飾部材４５０の開口４５１ａの位置が変位するために、開口４５１ａと振分けユニット５００の開口５２５ａとの球の連通状態が解除される。そのため、第３送球経路ＫＲ３に球を流下すると、開口４５１ａから球が背面ケース３００の内部に排出される恐れがあるところ、本実施形態では、振分け部材５４０を貯留位置とすることで第３送球経路ＫＲ３の下流側に球が流下することを抑制することができる。その結果、背面ケース３００の球が内部に球が排出されることを抑制できる。
【０７０５】
言い変えると、下変位ユニット４００の下変位部材４４０は、退避状態、第１張出状態および第２張出状態とで変位可能に形成され、退避状態に下変位部材４４０が位置する際に、下変位部材４４０に球受部４６７が配設されるので、下変位部材４４０を退避状態に配置した状態で球受部４６７を変位させる態様と、第１又は第２張出状態に配置した状態で球受部４６７を変位させる態様とを形成することができる。よって、その分、演出効果を高めることができる。
【０７０６】
この場合、下変位部材４４０が第１又は第２張出状態に配置された状態では、球受部４６７が第３送球経路ＫＲ３の転動部５２５から遊技球を受け取り不能（第３送球経路ＫＲ３の転動部５２５と下変位部材４４０の開口４５１ａとが非連通の状態）とされるところかかる状態では、球受部４６７に連動する当接板４６４ｃが振分け部材５４０に当接不能とされるので、球受部４６７は遊技球を受け取り不能な状態（下変位部材４４０が第１張出状態または第２張出状態に配置された状態）において、振分け部材５４０による振り分け先が第３送球経路ＫＲ３に切り替えられることを抑制できる。
【０７０７】
また、振分け部材５４０は、下変位部材４４０のベース部材４７０と別部材として形成される振分けユニット５００のベース板５２０に配設されるので、その分、下変位部材４４０のベース部材４７０の大型化を抑制することができる。
【０７０８】
ここで、下変位部材４４０の第１張出状態から退避状態への変位は左右方向への回転変位だけでなく回転変位もされるため、傾倒状態の当接板４６４ｃその回転変位をした際に、当接板４６４ｃの上面に振分け部材５４０の突起部５４３が当接して振分け部材５４０が回転変位できない恐れがある。
【０７０９】
これに対し、本実施形態では、下変位ユニット４００が、図８５に示す第１張出位置に変位した状態から、退避状態に変位する場合には、球受部４６７を第１位置以外の箇所（第２位置または第３位置）に変位させた状態とされる。これにより、退避状態に変位した下変位部材４４０の当接板４６４ｃが、突起部５４３と衝突することを抑制できる。その結果、当接板４６４ｃの上面に振分け部材５４０の突起部５４３が当接して振分け部材５４０が回転変位できなくなることを抑制できる。
【０７１０】
また、振分け部材５４０は、上述したように膨出部５４３ａが形成されるので、制御不良等により、下変位ユニット４００を第１張出状態から退避状態に変位させる際に、当接板４６４ｃの上面に振分け部材５４０の突起部５４３が当接した場合にも、振分け部材５４０を回転変位させることができる。
【０７１１】
即ち、膨出部５４３ａにより当接板４６４ｃとの接地面積を小さくできるので、当接板４６４ｃが当接した際に膨出部５４３ａをその面に沿って摺動させやすくできる。よって、振分け部材５４０を回転変位させやすくできる。その結果、当接板４６４ｃの上面に振分け部材５４０の突起部５４３が当接して振分け部材５４０が回転変位できなくなることを抑制できる。
【０７１２】
次いで、図８７から図９０を参照して、回転ユニット７００の駆動伝達部分の構成について説明する。図８７は、回転ユニット７００の正面図であり、図８８は、回転ユニット７００の背面図であり、図８９は、回転ユニット７００の分解斜視正面図であり、図９０は、回転ユニット７００の分解背面斜視図である。
【０７１３】
図８７から図９０に示すように、回転ユニット７００は、複数の変位部材で構成される装飾ユニット７５０と、その装飾ユニット７５０の重力方向上側に配置される球受台７１０と、その球受台７１０及び装飾ユニット７５０の背面側に配置される背面ベース７２０と、装飾ユニット７５０の正面視左側に配設される左側伝達部材７３０と、装飾ユニット７５０の正面視右側に配設される右側伝達部材７４０と、を主に備えて形成される。
【０７１４】
球受台７１０は、上述した下変位ユニット４００の下変位部材４４０の一側の出射開口４７１から出射される遊技球を落下させる部材である。これにより、下変位部材４４０の内側に送球された球を回転ユニット７００に送球させることができる。なお、球受台７１０の詳細な構成については、後述する。
【０７１５】
装飾ユニット７５０は、側面視において上方に湾曲部分を配置した略Ｄ字状のブロック体であり、正面側にキャラクターや模様の装飾が施される。また、装飾ユニット７５０は、複数の部材から構成されており、後述する駆動の伝達により変位可能に構成される。なお、装飾ユニット７５０の構成についての説明は後述する。
【０７１６】
背面ベース７２０は、球受台７１０の背面側および装飾ユニット７５０の背面側を連結する板部材であり、正面視略矩形に形成される。上述したように装飾ユニット７５０は、複数の可動部材で構成されるために、その締結部分が限定されるところ、遊技者から視認不能とされる位置の背面側で装飾ユニット７５０と球受台７１０とを連結することで、装飾ユニット７５０の可動域を確保しつつ、装飾ユニット７５０と球受台７１０とを１つのユニットとして組み付けることができる。
【０７１７】
左側伝達部材７３０は、装飾ユニット７５０の左側側面（図８７左側）に配設される駆動モータＫＭ４と、その駆動モータＫＭ４の駆動力を伝達する伝達部材７３０と、駆動モータＫＭ４が取着されるモータベース７３２と、伝達部材７３０を覆設するギヤカバー７３３と、そのギヤカバー７３３に取着されると共にギヤカバー７３３との対向間に所定の隙間を形成する送球経路カバー７３４とを主に備えて形成される。
【０７１８】
駆動モータＫＭ４は、後述する装飾ユニット７５０の各部材を可動させるための駆動源である。駆動モータＫＭ４の駆動は、後述する伝達部材７３０により伝達される。
【０７１９】
伝達部材７３０は、駆動モータＫＭ４の軸に取着される伝達ギヤ７３１ａと、その伝達ギヤ７３１ａに歯合する伝達ギヤ７３１ｂと、その伝達ギヤ７３１ｂに歯合する伝達ギヤ７３１ｃと、その伝達ギヤ７３１ｃと隣り合って配置されると共に軸７３５により同軸に配設される伝達ギヤ７３１ｄと、伝達ギヤ７３１ｄと歯合される負荷ギヤ７３１ｅとを主に備えて形成される。
【０７２０】
伝達ギヤ７３１ａは、上述したように駆動モータＫＭ４に取着されており、駆動モータＫＭ４が回転駆動されることで回転する。
【０７２１】
伝達ギヤ７３１ｂは、内部にワンウェイクラッチＯＷ１が配設されると共に、そのワンウェイクラッチＯＷ１の内輪が回転の駆動力を装飾ユニット７５０を右側の右側伝達部材７４０に伝達する軸部ＪＢ１に連結される。
【０７２２】
なお、ワンウェイクラッチＯＷ１は、内側に配置されると共に外周面にカム面が形成される内輪と、その内輪の外側に配設される外輪と、内輪および外輪との間に複数のスプリング及びローラーと、を備え、内輪に対して外輪が一方向に回転しようとするとカム面とローラーとの接触面圧が高くなり、抵抗となって内輪への動力を伝達し、内輪に対して外輪が他方向に回転すると、カム面とローラーとの接触面圧が低くなり、滑って動力伝達を切断するカム式のクラッチである。
【０７２３】
よって、伝達ギヤ７３１ｂは、駆動モータＫＭ４から一方向の駆動力が伝達されると、軸部ＪＢ１に回転の駆動力を伝達できると共に、駆動モータＫＭ４から他方向の駆動力が伝達されると、内輪に対して外輪が滑って軸部ＪＢ１への駆動力の伝達が遮断される。
【０７２４】
伝達ギヤ７３１ｃは、伝達ギヤ７３１ｂと同様に内部にワンウェイクラッチＯＷ１が配設される。また、伝達ギヤ７３１ｃのワンウェイクラッチＯＷ１の内側には、軸７３５が配設されている。
【０７２５】
よって、伝達ギヤ７３１ｃは、駆動モータＫＭ４から一方向の駆動力が伝達されると、軸７３５に回転の駆動力を伝達できると共に、駆動モータＫＭ４から他方向の駆動力が伝達されると、内輪に対して外輪が滑って軸７３５への駆動力の伝達が遮断される。また、伝達ギヤ７３１ｃは、伝達ギヤ７３１ｂと歯合されており、互いの回転方向は反対方向とされる。そのため、伝達ギヤ７３１ｂが一方向の回転とされる際には、伝達ギヤ７３１ｃが他方向の回転とされる。一方、伝達ギヤ７３１ｂが他方向の回転とされる際には、伝達ギヤ７３１ｂが一方向の回転とされる。即ち、駆動モータＫＭ４の回転方向が切り換えられることにより、軸部ＪＢ１が回転する態様または軸７３５が回転する態様に切り換えられる。
【０７２６】
伝達ギヤ７３１ｄは、軸７３５に取着される。上述したように軸７３５は、伝達ギヤ７３１ｃが一方向に回転された場合にのみ回転される。よって、伝達ギヤ７３１ｃは、伝達ギヤ７３１ｃが一方向に回転された場合のみ一方向に回転し、他方向への回転は非回転とされる。
【０７２７】
負荷ギヤ７３１ｅは、軸孔が箱部材７６０に取着される抵抗部材７９１の軸部７９１ａに連結される。抵抗部材７９１は、箱部材７６０に締結されるベース部分に対して回転可能な軸部７９１ａを備えて形成される。抵抗部材７９１は、軸部７９１ａがベース部分に対して回転する際に所定量の抵抗が作用するように形成される。即ち、軸部７９１ａを回転させるには、所定量の力が必要とされるので、軸部７９１ａに連結される負荷ギヤ７３１ｅを回転させる力も同様に所定量以上の力が必要とされる。
【０７２８】
これにより、伝達ギヤ７３１ｄに歯合される回転体８００が伝達ギヤ７３１ｄの回転により、回転されて停止した際にその、慣性力によって回転することを抑制できる。即ち、軸部７９１ａがベース部分に対して回転する際の抵抗は、回転体８００の回転が停止した際に回転体８００の軸周りに作用する慣性力よりも大きく設定される。
【０７２９】
また、負荷ギヤ７３１ｅは、伝達ギヤ７３１ｃと同軸に配設される伝達ギヤ７３１ｄに連結される。よって、駆動モータＫＭ４にかかる負荷ギヤ７３１ｅの抵抗を、伝達ギヤ７３１ｄを回転させる一方向の回転のみとすることができる。即ち、伝達ギヤ７３１ｃが、他方向に回転される際には、伝達ギヤ７３１ｃと伝達ギヤ７３１ｄとの駆動の伝達が遮断されるので、負荷ギヤ７３１ｅの抵抗が作用することを抑制できる。その結果、伝達ギヤ７３１ｂを一方向に回転かせる際には、負荷ギヤ７３１ｅの抵抗が作用することを抑制できる。
【０７３０】
モータベース７３２は、装飾ユニット７５０側が開放する箱状体に形成され、箱の底部分の外側（図８７左側）に駆動モータＫＭ４が軸を箱の内側に挿通した状態で配設される。これにより、駆動モータＫＭ４の軸に連結される伝達ギヤ７３１ａをモータベース７３２の内側に配設できる。即ち、モータベース７３２の箱の深さ寸法は、伝達ギヤ７３１ａの幅寸法よりも大きく設定される。その結果、モータベース７３２に駆動モータＫＭ４及び伝達ギヤ７３１ａを取着した状態で装飾ユニット７５０に配置することができると共に、伝達ギヤ７３１ａが装飾ユニット７５０に衝突することを抑制できる。
【０７３１】
ギヤカバー７３３は、背面視縦長矩形に形成されると共に、間に左側伝達部材７３０を配置した状態で装飾ユニット７５０に締結される。また、装飾ユニット７５０には、後述する回転体８００の軸孔と対向する位置に貫通孔７３３ａが貫通形成される。これにより、回転体８００の内部を転動する球を貫通孔７３３ａを介して外方に排出することができる。なお、回転体８００に送球される球についての説明は後述する。
【０７３２】
送球経路カバー７３４は、ギヤカバー７３３の外側（図８７左側）に配置される部材であり、板状体から形成されると共に、その縁部からギヤカバー７３３側に突出する壁部が立設される。これにより、ギヤカバー７３３と送球経路カバー７３４との対向間に隙間を形成することができ、ギヤカバー７３３の貫通孔７３３ａを挿通された球をその隙間を挿通させて回転ユニット７００の外側に排出することができる。ギヤカバー７３３と送球経路カバーとの対向間の隙間から排出された球は図示しない回収経路に送球されて回収される。
【０７３３】
右側伝達部材７４０は、上述した軸部ＪＢ１の他端側に連結される回転部材７４１と、その回転部材７４１に一端が連結されるアーム部材７４２と、回転部材７４１及びアーム部材７４２とを覆設した状態で装飾ユニット７５０に配設されるクランクカバー７４３とを主に備えて形成される。
【０７３４】
回転部材７４１は、円盤状の板状に形成される本体部７４１ｂと、その本体部７４１ｂの軸にはめ込まれるワンウェイクラッチＯＷ１と、装飾ユニット７５０の反対側（図８７右側）に突出する円柱状の突起７４１ａとを主に備えて形成される。
【０７３５】
回転部材７４１に取着されるワンウェイクラッチＯＷ１は、内輪の軸孔が軸部ＪＢの他端側に挿入される。また、ワンウェイクラッチＯＷ１は、軸部ＪＢ１の回転方向と反対の回転が内輪に入力されると内輪と外輪とが非伝達とされるように配置される。
【０７３６】
これにより、回転部材７４１に軸部ＪＢ１から伝達される回転速度よりも速い回転速度の駆動力をワンウェイクラッチＯＷ１の外輪に入力した場合に、外輪のみを回転させて回転部材７４１を駆動モータＫＭ４の駆動以外の駆動力で回転させることができる。その結果、回転部材７４１に速度の異なる２つ以上の回転をさせることができる。
【０７３７】
アーム部材７４２は、側面視Ｃ字とＩ字とを組み合わせた形状であり、Ｃ字の一端にＩ字の他端が連結されて形成される。また、アーム部材７４２は、Ｃ字部分とＩ字部分との連結部分に貫通形成される軸孔７４２ａと、Ｉ字部分の一端に貫通形成される楕円状の第１摺動溝７４２ｂと、Ｃ字部分の他端に貫通形成される楕円状の第２摺動溝７４２ｃとを主に備えて形成される。
【０７３８】
軸孔７４２ａは、後述する箱部材７６０の右側側面板７６４に形成される軸部７６４ａが挿入される孔であり、軸部７６４ａの外径よりも大きい内径に形成される。よって、アーム部材７４２は、軸孔７４２ａに軸部７６４ａが挿入されて、装飾ユニット７５０に配設されるので、装飾ユニット７５０に対して回転可能とされる。
【０７３９】
第１摺動溝７４２ｂは、回転部材７４１の突起７４１ａが挿入される孔であり、楕円に形成された短手方向の幅寸法が、突起７４１ａの外径よりも大きく設定される。よって、第１摺動溝７４２ｂの内側に突起７４１ａを挿入できると共に、回転部材７４１の回転により、アーム部材７４２を回転変位させることができる。
【０７４０】
また、回転部材７４１は、外径がアーム部材７４２のＩ字部分の長手方向寸法よりも小さく形成されると共に、軸がアーム部材７４２の軸孔７４２ａからＩ字部分の長手方向寸法の半分の距離よりも離間した位置に配置される。これにより、回転部材７４１を回転させることでアーム部材７４２に軸孔７４２ａの軸を中心とした回転の往復運動をさせることができる。
【０７４１】
第２摺動溝７４２ｃは、後述する右側蓋部７７３の突起７７３ａが挿入される孔であり、楕円に形成された短手方向の幅寸法が、突起７７３ａの外径よりも大きく設定される。よって、第２摺動溝７４２ｃの内側に突起７７３ａを挿入できる。また、右側蓋部７７３は、箱部材７６０に対して回転変位可能に形成されている。よって、上述したように回転部材７４１が回転されて、アーム部材７４２が回転の往復運動をすることで、アーム部材７４２の他端に連結される右側蓋部７７３を箱部材７６０に対して回転させることができる。
【０７４２】
クランクカバー７４３は、背面視楕円に形成される楕円部分７４３ａと、その楕円部分７４３ａの背面側に連なって形成される球送球部７４３ｂとを主に備えて形成される。
【０７４３】
楕円部分７４３ａは、アーム部材７４２を覆設するカバーであり、側面視における外形がアーム部材７４２及びアーム部材７４２の変位領域よりも大きく形成されると共に、縁部から装飾ユニット７５０側にアーム部材７４２の厚みよりも大きく突出する壁部が形成される。これにより、クランクカバー７４３を装飾ユニット７５０に配設した際に、クランクカバー７４３と装飾ユニット７５０との対向間にアーム部材７４２を配設できる。
【０７４４】
球送球部７４３ｂは、遊技盤１３の前方の流下領域を流下する球が所定の回収口より回収された際に、その球を回収経路に送球するための経路部材であり、内部に所定の大きさの空間を備える棒状に形成される。また、球送球部７４３ｂは、上端側が、開口され遊技盤１３の回収口に連結されると共に、下端側が、装飾ユニット７５０に形成される開口に連結される。これにより、遊技盤１３に回収された球を、球送球部７４３ｂを介して装飾ユニット７５０の内部に通して図示しない回収経路に案内することができる。
【０７４５】
次いで、図９１から図９５を参照して装飾ユニット７５０について説明する。図９１は、装飾ユニット７５０の正面図である。図９２（ａ）は、図９１の矢印ＸＣＩＩａ方向視における装飾ユニット７５０の側面図であり、図９２（ｂ）は、図９１の矢印ＸＣＩＩｂ方向視における装飾ユニット７５０の側面図である。図９３は、装飾ユニット７５０の分解斜視正面図であり、図９４は、装飾ユニット７５０の分解斜視背面図である。なお、図９１（ｂ）及び図９１（ｃ）では、箱部材７６０の右側側面板７６４及び左側側面板７６５と透明視された状態が図示される。
【０７４６】
図９１から図９４に示すように、装飾ユニット７５０は、装飾ユニット７５０の外側の装飾部分となる箱部材７６０及び箱部材７６０の重力方向上側（図９１（ａ）上側）に配設される蓋部材７７０と、箱部材７６０及び蓋部材７７０の内部に配設される回転体８００とを主に備えて形成される。
【０７４７】
箱部材７６０は、回転体８００の下方に配設されるベース部材７６２と、そのベース部材７６２の前方に配設される前面板７６１と、ベース部材７６２の底面に配置される下面板７６３と、ベース部材７６２の正面視右側に配設される右側側面板７６４と、ベース部材７６２の正面視左側に配設される左側側面板７６５とを主に備えて形成される。
【０７４８】
ベース部材７６２は、上面視において回転体８００よりも大きい矩形横長に形成されると共に、重力方向に球の外径よりも大きい厚みを備えて形成される。ベース部材７６２は、上面が回転体８００の軸と同軸の曲面に形成される。これにより、ベース部材７６２を回転体８００の近傍に配置した際にベース部材７６２と回転体８００の衝突を抑制できる。
【０７４９】
ベース部材７６２は、上面に左右方向に亘って下側に凹設される凹部７６２ａと、底面に略Ｌ字に凹設される球送球部７６２ｂとを主に備えて形成される。
【０７５０】
凹部７６２ａは、内側に上述した軸部ＪＢ１が配設される溝であり、装飾ユニット７５０の側面に配設される伝達ギヤ７３１ｂの軸上に凹設される。これにより、軸部ＪＢ１を介して駆動モータＫＭ４の駆動力を伝達することができる。
【０７５１】
球送球部７６２ｂは、底面にＬ字に屈曲して凹設されており、一端側が、右側側面板７６４の開口７６４ｂに連結されると共に、他端側が、前面板７６１の入賞口７６１ａの背面側に連結される。また、球送球部７６２ｂの凹設幅は、球の直径よりも大きく形成される。これにより、下側に下面板７６３が配設されることで箱部材７６０の内部に球を送球可能とできる。
【０７５２】
前面板７６１は、正面視矩形横長に形成されると共に、背面側に所定の厚みを備えて形成される。また、前面板７６１は、正面側に球が挿入可能な大きさの入賞口７６１ａが形成される。入賞口７６１ａは、上述したように背面側に配設されるベース部材７６２の球送球部７６２ｂに連結される。よって、入賞口７６１ａの内部に送球された球は、ベース部材７６２の球送球部７６２ｂに送球される。
【０７５３】
右側側面板７６４は、側面視における外形が上方が湾曲するＤ字状に形成される。また、右側側面板７６４は、装飾ユニット７５０の外側に突出する軸部７６４ａと、その軸部７６４ａの下方に貫通形成される軸受部７６４ｃと、回転体８００の回転軸と同一の軸の湾曲状に開口形成される湾曲開口７６４ｄと、クランクカバー７４３の球送球部７６２ｂの下端と対向する位置に開口する開口７６４ｂと、回転体８００の回転軸の軸上に側面視半円形に貫通形成される係合部７６４ｅとを主に備えて形成される。
【０７５４】
開口７６４ｂは、クランクカバー７４３の球送球部から送球される球をベース部材７６２へ送球可能にするための孔であり、球の外径よりも大きく形成される。これにより、クランクカバー７４３に送球された球を、ベース部材７６２に送球できる。
【０７５５】
軸受部７６４ｃは、上述した軸部ＪＢ１が挿入される孔であり、軸部ＪＢ１の外径よりも大きい内径に形成される。これにより、上述した右側伝達部材７４０に駆動力を伝達することができる。
【０７５６】
湾曲開口７６４ｄは、右側蓋部７７３突出する突起７７３ａが内部に挿通される開口である。また、湾曲開口７６４ｄは、蓋部材７７０が回転変位されるために、蓋部材７７０の回転軸と同軸の円弧形状に形成される。これにより、蓋部材７７０が回転変位された際に、突起７７３ａと湾曲開口７６４ｄとが衝突することを抑制できる。
【０７５７】
係合部７６４ｅは、回転体８００の内部に配設されるベース板８１０の正面視右側の端部と係合してベース板８１０を回転不能に保持する部材である。即ち、ベース板８１０の右端部８１１の先端部８１１ａが係合部７６４ｅに挿入されて配置される。これにより、ベース板８１０が回転不能とされる。
【０７５８】
左側側面板７６５は、側面視における外形が右側側面板７６４と略同一に形成される。また、左側側面板７６５は、回転体８００の軸上に貫通形成される貫通孔７６５ａと、回転体８００側に向かって突出する軸部７６５ｂと、抵抗部材７９１の軸部７９１ａが挿入される貫通孔７６５ｃとを主に備えて形成される。
【０７５９】
貫通孔７６５ａは、回転体８００の正面視左側における開口から排出される球を、上述したモータベース７３２の貫通孔７３３ａに挿通するための開口である。即ち、貫通孔７６５ａは、回転体８００の軸上に形成されると共に、その内径の大きさが回転体８００の正面視左における開口の内径と同一の大きさに設定される。
【０７６０】
軸部７６５ｂは、後述する回転規制部材７８０に形成される軸孔７８１に挿入されて、回転規制部材７８０を回転可能な状態で保持できる。なお、回転規制部材７８０の変位については後述する。
【０７６１】
貫通孔７６５ｃは、上述したように抵抗部材７９１の軸部７９１ａを挿通する孔であり、上述した負荷ギヤ７３１ｅの側面と対向する位置に形成される。
【０７６２】
下面板７６３は、ベース部材７６２の下面に配設されることで、ベース部材７６２の球送球部７６２ｂと下面板７６３とで、球が通過可能な送球経路を形成する板部材である。また、下面板７６３には、上下方向に貫通する開口７６３ａが形成される。開口７６３ａは、球送球部７６２ｂの内側を送球された球を、図示しない回収経路に送球するための開口である。よって、前面板７６１の入賞口７６１ａに入賞した球および遊技領域から右側伝達部材７４０の球送球部７４３ｂに送球され球を装飾ユニット７５０の内部から排出できる。
【０７６３】
蓋部材７７０は、回転体８００の軸と同軸の湾曲状に形成される湾曲蓋部７７１と、その湾曲蓋部７７１の正面視右側の側面に締結される右側蓋部７７３と、湾曲蓋部７７１の正面視左側の側面に締結される左側蓋部７７２とを主に備えて形成される。
【０７６４】
湾曲蓋部７７１は、上述したように側面視における外形が、回転体８００の軸と同軸の湾曲形状に形成されると共に、回転体８００のよりも大きい半径で形成される。湾曲蓋部７７１は、正面側の一部に透明板から形成される透明部７７１ａを備える。
【０７６５】
透明部７７１ａは、遊技者から回転体８００の外周面に描かれた模様やキャラクターなどを遊技者に視認可能にさせる板である。即ち、遊技者は、回転体８００が蓋部材７７０に上端側が覆設された態様であっても、透明部７７１ａを介して回転体８００の表示を視認可能とされる。
【０７６６】
右側蓋部７７３は、側面視円環状に形成され、円環外側の半径が湾曲蓋部７７１の半径と略同一に設定される。また、右側蓋部７７３の内径は、回転体８００の右端部８１１の側面視における外形の大きさよりも大きく形成される。これにより、右側蓋部７７３は、円環状の内側部分に回転体８００の右端部８１１を挿通した状態で配設される。
【０７６７】
さらに、右側蓋部７７３は、装飾ユニット７５０の外側（正面視右側）に突出する突起７７３ａと、外周縁部に径方向内側に向かって凹設される凹部７７３ｂとを主に備えて形成される。突起７７３ａは、上述したように、アーム部材７４２の第２摺動溝７４２ｃに挿入される突起である。
【０７６８】
凹部７７３ｂは、後述する開閉部材８７０の突起８７１が挿入されることで、開閉部材８７０を回転させることができる。よって、凹部７７３ｂは、凹設幅が、突起８７１の外形よりも大きく設定される。また、凹部７７３ｂは、湾曲蓋部７７１が配設される右側蓋部７７３の縁部と略反対の位置に形成される。
【０７６９】
左側蓋部７７２は、側面視円環状に形成され、円環外側の半径が湾曲蓋部７７１の半径と略同一に設定される。また、左側蓋部７７２の内径は、後述する左回転部８８０の歯面８８１ａの外径よりも大きく形成される。これにより、左側蓋部７７２は、円環状の内側部分に回転体８００の左回転部８８０を挿通した状態で配設される。
【０７７０】
また、左側蓋部７７２は、装飾ユニット７５０の外側（正面視左側）に突出する板状体のセンサ板７７２ａが形成される。センサ板７７２ａは、図示しない二股状のセンサの対向間に配置されることで、左側蓋部７７２の位置を検出できる。
【０７７１】
ここで、回転体８００に対する蓋部材７７０について説明する。回転体８００を組み上げた状態での蓋部材７７０の配設は、組み上げ前（別部材）の右側蓋部７７３及び左側蓋部７７２の内側に回転体８００の左右の端部をそれぞれ挿入した状態とする。それから、右側蓋部７７３及び左側蓋部７７２と湾曲蓋部７７１を組み上げることで回転体８００と蓋部材７７０とが連結される。よって、蓋部材７７０は、回転体８００の軸を中心に、回転体に対して回転可能とされる。
【０７７２】
回転規制部材７８０は、側面視略Ｌ字状に屈曲して形成される。回転規制部材７８０は、屈曲部分に貫通した軸孔７８１と、一端側に屈曲方向に突出する突起７８２と、他端側の先端に平坦に形成される当接面７８３とを主に備えて形成される。
【０７７３】
軸孔７８１には、上述したように左側側面板７６５の軸部７６５ｂが挿入される。これにより、回転規制部材７８０は、左側側面板７６５に対して回転可能に保持される。また、軸部には、付勢ばねＳＰ５が挿入される。その結果、回転規制部材７８０には、１方向の回転力が作用される。
【０７７４】
突起７８２は、後述する左回転部８８０の係合突起８８２と係合することで、回転体８００の回転変位を規制できる。当接面７８３は、上述した蓋部材７７０の背面側の端部が当接する面であり、蓋部材７７０が当接されることで、回転規制部材７８０を回転させることができる。なお、回転規制部材７８０と回転体８００との規制態様については後述する。
【０７７５】
次いで、図９５から図９６を参照して、駆動モータＫＭ４が回転された場合の駆動力の伝達経路を説明する。図９５（ａ）及び図９６（ａ）は、図８９の矢印ＸＣＶａ方向視における回転ユニット７００であり、図９５（ｂ）及び図９６（ｂ）は、図８９の矢印ＸＣＶｂにおける回転ユニット７００である。
【０７７６】
なお、図９５では、駆動モータＫＭ４の軸が正方向（時計回り）に回転された際の各部材の変位方向が２点鎖線で図示される。図９６では、駆動モータＫＭ４の軸が負方向（反時計回り）に回転された際に各部材の変位方向が２点鎖線で図示される。
【０７７７】
図９５（ａ）及び図９５（ｂ）に示すように、駆動モータＫＭ４が正方向に駆動されると、伝達ギヤ７３１ａが正方向に回転される。伝達ギヤ７３１ａが正方向に回転されると、伝達ギヤ７３１ｂが負方向に回転されると共に、伝達ギヤ７３１ｃが正方向に回転される。
【０７７８】
この場合、伝達ギヤ７３１ｂに配設されるワンウェイクラッチＯＷ１は、外輪の回転を内輪に非伝達とされ、軸部ＪＢ１が非回転とされる。よって、軸部ＪＢ１に連結される回転部材７４１に駆動力が非伝達とされ、アーム部材７４２は停止状態とされる。
【０７７９】
一方、伝達ギヤ７３１に配設されるワンウェイクラッチＯＷ１は、外輪の回転を内輪に伝達する状態とされ、軸７３５が回転される。よって、軸７３５に連結される伝達ギヤ７３１ｄが回転される。これにより、伝達ギヤ７３１ｄに歯合される負荷ギヤ７３１ｅおよび回転体８００の歯面８８１ａが回転される。即ち、駆動モータＫＭ４が正回転をすると、蓋部材７７０への駆動力は非伝達とされると共に、回転体８００への駆動力は伝達状態とされる。
【０７８０】
図９６（ａ）及び図９６（ｂ）に示すように、駆動モータＫＭ４が負方向に駆動されると、伝達ギヤ７３１ａが負方向に回転される。伝達ギヤ７３１ａが負方向に回転されると、伝達ギヤ７３１ｂが正方向に回転されると共に、伝達ギヤ７３１ｃが負方向に回転される。
【０７８１】
この場合、伝達ギヤ７３１ｂに配設されるワンウェイクラッチＯＷ１は、外輪の回転を内輪に伝達する状態とされ、軸部ＪＢ１が回転される。よって、軸部ＪＢ１に連結される回転部材７４１に駆動力が伝達され、回転部材７４１が回転される。これにより、アーム部材７４２が軸孔７４２ａの軸を中心とする回転往復運動をして、蓋部材７７０が変位される。
【０７８２】
一方、伝達ギヤ７３１に配設されるワンウェイクラッチＯＷ１は、外輪の回転を内輪に非伝達とされ、軸７３５が非回転とされる。よって、軸７３５に連結される伝達ギヤ７３１ｄに駆動力が非伝達とされ、回転体８００及び負荷ギヤ７３１ｅは非回転状態とされる。即ち、駆動モータＫＭ４が負回転をすると、蓋部材７７０への駆動力は伝達状態とされると共に、回転体８００への駆動力は非伝達とされる。
【０７８３】
よって、駆動モータＫＭ４からの駆動力を、回転体８００へ伝達する伝達ギヤ７３１ｃ（回転側駆動手段）と蓋部材７７０を介して後述する開閉部材８７０へ伝達する伝達ギヤ７３１ｂ（変位側伝達手段）とに、ワンウェイクラッチＯＷ１を配設することで、駆動モータＫＭ４の回転方向に応じて、その回転力を伝達ギヤ７３１ｃまたは伝達ギヤ７３１ｂの一方へ伝達すると共に他方への伝達を遮断することができる。その結果、駆動モータＫＭ４の回転方向を切り替えるのみで、その回転駆動力により駆動する駆動対象を切り替えることができる、即ち、駆動モータＫＭ４の回転方向に応じて、回転体８００の回転およびその回転の停止と、開閉部材８７０の変位およびその停止とを切り替えることができ、複数の態様を形成可能としつつ、構造を簡素化できる。
【０７８４】
ここで、ワンウェイクラッチＯＷ１を利用して駆動手段の回転方向に応じて、その駆動対象（回転体８００または開閉部材８７０（蓋部材７７０）を切り替える構造では、駆動モータＫＭ４からの駆動力の伝達が遮断されると、駆動力により駆動されていた方向への回転または変位が自在な状態となる。そのため、例えば、駆動手段の駆動対象が回転体８００から開閉部材８７０（蓋部材７７０）に切り替えられ、駆動力の伝達が遮断されると、回転体８００は、回転自在な状態となり慣性力により回転が継続（自転）される恐れがある。
【０７８５】
これに対し、本実施形態では、伝達ギヤ７３１ｃにより駆動される伝達ギヤ７３１ｄに歯合される負荷ギヤ７３１ｅ（負荷用歯車）を備えるので、駆動モータＫＭ４からの回転の駆動力の伝達が遮断されても、負荷ギヤ７３１ｅを回転させる際の負荷（抵抗）を利用して、回転体８００の回転が継続されることを抑制できる。
【０７８６】
次いで、図９７及び図９８を参照して、蓋部材７７０の変位について説明する。図９７（ａ）及び図９８（ｃ）は閉鎖状態の、図９７（ｂ）及び図９８（ｂ）は中間状態の、図９７（ｃ）及び図９８（ａ）は開放状態の、それぞれにおける装飾ユニット７５０及び右側伝達部材７４０の側面図である。
【０７８７】
なお、図９７（ａ）から図９７（ｃ）及び図９８（ａ）から図９８（ｃ）では、右側伝達部材７４０のクランクカバー７４３が取り外された状態が図示される。また、装飾ユニット７５０の閉鎖状態とは、蓋部材７７０が回転体８００の上方（図９７（ａ）上方）半面を覆う状態に配置された状態であり、開放状態とは、蓋部材７７０が回転変位され、回転体８００の背面側（図９７（ｃ）右側）に配置された状態である。中間状態とは、蓋部材７７０が、閉鎖状態と開放状態との間の位置に配置された状態である。
【０７８８】
さらに、図９７（ａ）から図９７（ｃ）では、閉鎖状態から開放状態へ変位される状態が順に図示され、図９８（ａ）から図９８（ｃ）では、開放状態から閉鎖状態へ変位される状態が順に図示される。
【０７８９】
まず、図９７を参照して、閉鎖状態から開放状態へ変位される際の蓋部材７７０の変位について説明する。アーム部材７４２への駆動力の伝達は、上述したように駆動モータＫＭ４を負方向に回転させることで行われる。
【０７９０】
閉鎖状態では、回転部材７４１の突起７４１ａは、アーム部材７４２の軸孔７４２ａよりも背面側（図９７（ａ）右側）に配置された状態とされる。よって、アーム部材７４２は、突起７４１ａが挿入される第１摺動溝７４２ｂが軸孔７４２ａよりも背面側に配置される。
【０７９１】
アーム部材７４２の軸孔７４２ａと第１摺動溝７４２ｂと第２摺動溝７４２ｃとは略同一直線上に形成される。従って、第１摺動溝７４２ｂの反対側の端部に形成される第２摺動溝７４２ｃが軸孔７４２ａよりも正面側（図９７（ａ）左側）に配置された状態とされる。その結果、蓋部材７７０の右側面に突出する突起７７３ａが、第２摺動溝７４２ｃに案内されて、蓋部材７７０の湾曲蓋部７７１を回転体８００の上方に配置した状態とされる。
【０７９２】
次に、図９７（ｂ）に示すように、回転部材７４１を略９０度回転させて、突起７４１ａを回転部材７４１の軸の下方に位置させると、アーム部材７４２の第１摺動溝７４２ｂが、突起７４１ａの変位に伴って軸孔７４２ａの重力方向下側（図９７（ｂ）下側）に変位される。
【０７９３】
従って、第１摺動溝７４２ｂの反対側の端部に形成される第２摺動溝７４２ｃが、軸孔７４２ａの重力方向上側（図９７（ｂ）上側）に配置された状態とされる。その結果、蓋部材７７０の突起７７３ａが、第２摺動溝７４２ｃに案内されて、蓋部材７７０の湾曲蓋部７７１を回転体８００の背面側に回転変位させた位置に配置した状態とされる。
【０７９４】
この場合、蓋部材７７０の重心位置が、蓋部材７７０の回転軸（円柱状に形成される回転体８００の中心位置）よりも背面側に配置される。よって、蓋部材７７０の荷重により、蓋部材７７０を閉鎖状態から開放状態へ変位させる方向に回転力が作用される。上述したように、回転部材７４１は、ワンウェイクラッチＯＷ１が配設されており、外輪が内輪に対して先行して回転可能に構成されるので、蓋部材７７０の荷重により駆動モータＫＭ４の駆動を停止して蓋部材７７０を継続して回転させることができる。
【０７９５】
図９７（ｃ）に示すように、蓋部材７７０は、回転体の背面側まで変位されると、回転部材７４１の突起７４１ａが中間状態の位置から略９０度回転された位置に停止される。即ち、突起７４１ａの変位領域の一番左側（図９７左側）端部とされる。よって、アーム部材７４２の回転が規制され、蓋部材７７０の回転が停止される。
【０７９６】
即ち、閉鎖状態から開放状態への蓋部材７７０の変位は、駆動モータＫＭ４を駆動して中間状態に変位させる動作と、蓋部材７７０の荷重り落下する動作とで行われる。
【０７９７】
その結果、蓋部材７７０を閉鎖状態から開放状態へ変位させる際には、駆動モータＫＭ４を駆動させる区間を全区間の半分とすることができるので、駆動モータＫＭ４の消費エネルギーを小さくできる。
【０７９８】
さらに、閉鎖状態から中間状態への変位速度は、駆動モータＫＭ４の回転速度に従う態様に、中間状態から開放状態までの変位速度は、蓋部材７７０の荷重に従う態様に、それぞれすることができるので、閉鎖状態から開放状態までの変位速度を２段階に変化させることができる。従って、駆動モータＫＭ４の変位速度を変更することなく蓋部材７７０の変位速度を変更させることができるので、制御を複雑化する必要がない。その結果、制御を簡易にでき、制御不良が発生することを抑制できる。
【０７９９】
なお、蓋部材７７０が駆動モータＫＭ４の回転速度に従う変位区間を第１区間と称し、蓋部材７７０が蓋部材７７０の荷重に従う変位区間を第２区間と称し、第１区間には、ＤＫ１の符号を、第２区間には、ＤＫ２の符号を付して説明する。
【０８００】
次に、図９８を参照して、開放状態から閉鎖状態へ変位される際の蓋部材７７０の変位について説明する。
【０８０１】
上述したように、開放状態では、回転部材７４１の突起７４１ａは、アーム部材７４２の軸孔７４２ａよりも正面側（図９８（ａ）左側）配置された状態とされて、蓋部材７７０の湾曲蓋部７７１を回転体８００の背面側に配置した状態とされる。
【０８０２】
次に、図９８（ｂ）に示すように、回転部材７４１を略９０度回転させて、突起７４１ａを回転部材７４１の軸の上方に位置させると、アーム部材７４２の第１摺動溝７４２ｂが突起７４１ａの変位に伴って軸孔７４２ａの重力方向下側（図９８（ｂ）下側）に変位される。
【０８０３】
従って、第１摺動溝７４２ｂの反対側の端部に形成される第２摺動溝７４２ｃが、軸孔７４２ａの重力方向上側（図９８（ｂ）上側）に配置された状態とされる。その結果、蓋部材７７０の突起７７３ａが、第２摺動溝７４２ｃに案内されて、蓋部材７７０の湾曲蓋部７７１を回転体８００の背面側に位置させた状態から略４５度上方に回転変位させた位置に配置した状態とされる。
【０８０４】
また、閉鎖状態の位置（図９７（ａ）の位置）に変位させた蓋部材７７０は、遊技領域（遊技盤１３の正面側）に配置されており、開放状態の位置（図９７（ｃ）の位置）に変位させた蓋部材７７０は、遊技領域の領域外（遊技盤１３の背面側）に配置される。よって、遊技領域を流下する遊技球が回転体８００に衝突して、かかる回転体８００が回転されることを抑制できる。特に、本実施形態では後述するように回転体８００には、遊技領側へ向かって変位する開閉部材８７０が配設されるので、遊技領域を流下する遊技機が開閉部材８７０に衝突して、かかる開閉部材８７０が開放される（張り出される）ことを抑制できる。
【０８０５】
また、蓋部材７７０は、開放状態の位置では、遊技領域の領域外に配置されるので、蓋部材７７０の開放状態の位置への変位により、開閉部材８７０が遊技領域へ張り出すためのスペースを確保することができる。よって、その分、回転体８００の外面を遊技領域側へ近づけることができ、遊技者に開閉部材８７０を視認させやすくできる。
【０８０６】
さらに、蓋部材７７０は、回転体８００の回転軸と略平行な軸まわりに回転可能に形成されると共に、回転体８００の外面に沿って、湾曲する板状に形成されるので、閉鎖状態の位置（覆設位置）及び開放状態の位置（退避位置）の間で変位する際に必要なスペースを抑制できる、よって、その分、他の部材を配設するためのスペースを確保できる。また、このように蓋部材７７０が湾曲して形成されることで、遊技領域を流下する遊技球が、閉鎖状態の位置に配置された蓋部材７７０上に停留されることを抑制して、スムーズに流下させることができる。
【０８０７】
次に、図９８（ｃ）に示すように、回転部材７４１を更に略９０度回転させて、突起７１ａを回転部材７４１の軸の右側に変位させると、アーム部材７４２の第１摺動溝７４２ｂが突起７４１ａの変位に伴って軸孔７４２ａよりも背面側（図９８（ｃ）右側）に変位される。
【０８０８】
従って、第１摺動溝７４２ｂの反対側の端部に形成される第２摺動溝７４２ｃが、軸孔７４２ａよりも正面側（図９８（ｃ）左側）に配置された状態とされる。その結果、蓋部材７７０の突起７７３ａが、第２摺動溝７４２ｃに案内されて、蓋部材７７０の湾曲蓋部７７１を回転体８００の上方に配置した状態とされる。
【０８０９】
この場合、蓋部材７７０の変位に伴って、蓋部材７７０の重心位置が、蓋部材７７０の回転軸よりも正面側に変位される。よって、中間状態から閉鎖状態の途中で、蓋部材７７０の荷重により、蓋部材７７０を開放状態から閉鎖状態へ変位させる方向に回転力が作用される。よって、駆動モータＫＭ４の駆動を停止した状態でも、蓋部材７７０の荷重により蓋部材７７０を継続して回転させることができる。
【０８１０】
よって、蓋部材７７０の荷重により蓋部材７７０を閉鎖状態とすることができるので、蓋部材７７０を確実に閉鎖状態とできる。
【０８１１】
ここで、蓋部材７７０の回転変位が駆動モータＫＭ４のみにより変位するものであると、駆動モータＫＭ４の駆動停止動作がずれた場合に、蓋部材７７０を正常な位置で停止できなくなる恐れがある。また、本実施形態のように、回転部材７４１の回転方向が１つの場合、駆動モータＫＭ４の停止動作が遅れた場合に、正常な位置へ戻すには１回転分の回転が必要となる。
【０８１２】
これに対し、本実施形態では、蓋部材７７０を停止させる位置を蓋部材７７０の荷重を利用して機械的に停止させることができるので、蓋部材７７０の停止位置がずれることを抑制することができる。
【０８１３】
ここで、駆動力を発生する駆動手段と、その駆動手段の駆動力により変位される変位部材と、その変位部材への駆動力を伝達する伝達手段とを備えた遊技機が知られている。しかしながら、上述した従来の遊技機では、駆動手段から変位部材への伝達手段による駆動力の伝達状態が常に一定であるため、駆動手段が一定の駆動速度で駆動されると、変位部材も一定の速度で変位され、かかる変位部材の変位態様に変化を付与することができない。そのため、変位部材の変位に伴う演出の演出効果が不十分であるという問題点があった。
【０８１４】
なお、駆動手段の駆動速度を増減させれば、変位部材の変位速度を変化させることはできるが、変位部材の変位区間のうちの所定の区間における変位速度を他の区間における変位速度と異なる変位速度とするためには、変位部材の位置を検出するセンサ装置を配置し、そのセンサ装置の検出結果に応じて、駆動手段の出力を増減させる制御が必要となり、製品コストや制御コストの増加を招く。また、構造および制御が複雑となり、その信頼性の低下を招く。
【０８１５】
これに対し、本実施形態では、伝達手段（回転部材７４１及びアーム部材７４２）は、ワンウェイクラッチＯＷ１を備え、ワンウェイクラッチＯＷ１の内輪（第１部材）がワンウェイクラッチＯＷ１の外輪（第２部材）に対して、一方向に変位される場合には、内輪および外輪にローラーが係合して、駆動力が伝達されると共に、内輪が外輪に対して他方向へ変位される場合には、内輪および外輪へのローラーの係合が解除されて、駆動力の伝達が遮断され、蓋部材７７０（変位部材）の変位区間のうちの第２区間ＤＫ２（所定の区間）では、外輪が内輪に対して一方向へ向けて変位されるので、回転部材７４１の駆動状態にかかわらず、第２区間ＤＫ２における蓋部材７７０の変位速度を、他の区間における蓋部材７７０の変位速度よりも速くすることができる。よって、蓋部材７７０に変化を付与して、その蓋部材７７０の変位に伴う演出効果を高めることができる。
【０８１６】
また、駆動モータＫＭ４の駆動状態に関わらず、外輪を内輪に対して一方向に先行させることができるので、例えば、蓋部材７７０の変位区間における全区間において、駆動モータＫＭ４を一定の駆動速度で駆動でき、蓋部材７７０の変位区間の途中で（即ち第１区間ＤＫ１か第２区間ＤＫ２かに応じて）、駆動モータＫＭ４の駆動速度を増減させる必要がない。その結果、制御を簡略化して、制御コストを削減できると共に、動作の信頼性の向上を図ることができる。或いは、第２区間ＤＫ２では、駆動手段の動作を停止させることができ、この場合には、消費エネルギーの抑制を図ることができる。
【０８１７】
また、内輪を外輪に対して他方向へ変位させる方向の駆動状態では、ローラーの係合が解除されて、駆動力の伝達が遮断されるので、変位部材を停止状態（被駆動状態）とすることができ、かかる駆動状態における駆動手段（駆動モータＫＭ４）の駆動力を回転体８００を駆動するための駆動力として利用することができる。即ち、駆動手段（駆動モータＫＭ４）の駆動方向を切り替えることで蓋部材７７０と回転体８００との２部材をそれぞれ変位させることができる。
【０８１８】
また、蓋部材７７０は、回転可能に形成されると共に、その重心位置が回転中心から偏心された位置に配置され、第２区間ＤＫ２では、蓋部材７７０の重さが外輪を一方向へ変位させる方向へ作用可能に形成されるので、かかる蓋部材７７０の重さを利用して、外輪を内輪に対して一方向へ先行して変位させることができる。即ち、第２区間ＤＫ２における蓋部材７７０の変位速度を、第１区間ＤＫ１の区間における蓋部材７７０の変位速度よりも速くすることができる。その結果、蓋部材７７０の変位態様に変化を付与して、その変位部材の変位に伴う演出効果を高めることができる。
【０８１９】
さらに、駆動力の伝達は、ワンウェイクラッチＯＷ１の外輪が取着される本体部７４１ｂ及びその本体部７４１ｂから突出すると共に、その本体部７４１ｃの回転中心から変位して位置する突起７４１ａ（ピン部）を有する回転部材７４１（クランク部材）と、アーム部材７４２とで行われるので、外輪によって回転部材７４１を回転させ、突起７４１ａを第１摺動溝７４２ｂに沿って摺動させることで、回転部材７４１の他端側（第２摺動溝７４２ｃ側）を往復運動させることができる。この場合、アーム部材７４２の他端側が蓋部材７７０の往復運動に伴って、蓋部材７７０を開放状態の位置と閉鎖状態の位置との間で往復動作させることができる。即ち、駆動モータＫＭ４の駆動方向を切り替えることなく、蓋部材７７０の変位方向を切り替えることができる。
【０８２０】
またこの場合、第２区間ＤＫの区間を往復動作の両方に形成することができるので、蓋部材７７０が往復動作される際には、いずれの方向へ変位させる際にも、その変位の途中から蓋部材７７０の変位速度を早くすることができる、その結果、蓋部材７７０の変位態様に変化を付与して、その蓋部材の変位に伴う演出効果を高めることができる。
【０８２１】
次いで、図９９を参照して、回転規制部材７８０の変位について説明する。図９９（ａ）は閉鎖状態における装飾ユニット７５０の側面図であり、図９９（ｂ）は開放状態における装飾ユニット７５０の側面図である。なお、図９９（ａ）及び図９９（ｂ）では、箱部材７６０の左側側面板７６５が透明視された状態が図示される。
【０８２２】
図９９（ａ）に示すように、蓋部材７７０が閉鎖状態とされる場合には、回転規制部材７８０は、付勢ばねＳＰ５の付勢力により、突起７８２側が下方に押し下げられた状態（図９９（ａ）において軸孔７８１の軸を中心に時計回りに回転された状態）とされる。
【０８２３】
よって、回転体８００の回転軸から係合突起８８２の外側までの距離寸法Ｌ４は、回転体８００の回転軸から回転規制部材７８０の突起７８２の先端までの距離寸法Ｌ５よりも小さくされる（Ｌ４＜Ｌ５）。
【０８２４】
従って、回転体８００と回転規制部材７８０とは係合されず、回転体８００は回転可能とされる。
【０８２５】
一方、図９９（ｂ）に示すように、蓋部材７７０が開放状態とされる場合には、回転規制部材７８０は、当接面７８３が回転体８００の背面側に変位される蓋部材７７０と当接して、当接面７８３が下方に押し下げられた状態（図９９（ｂ）において軸孔７８１の軸を中心に反時計回りに回転された状態）とされる。
【０８２６】
よって、回転体８００の回転軸から係合突起８８２の外側までの距離寸法Ｌ４は、回転体８００の回転軸から回転規制部材７８０の突起７８２の先端までの距離寸法Ｌ６よりも大きくされる（Ｌ６＜Ｌ４）。
【０８２７】
その結果、左回転部８８０の係合突起８８２を重力方向一番下方に配置した状態の回転体８００において、係合突起８８２の内側に回転規制部材７８０の突起７８２を挿入することができる。即ち、回転体８００と回転規制部材７８０とが係合されるので、回転体８００が回転不能とされる。なお、本実施形態では、回転体８００の回転を不能とする位置（係合突起８８２の内側に突起７８２が挿入される位置）が後述する回転体８００の開閉部材８７０が開放状態とされる位置に設定される。
【０８２８】
即ち、回転体８００の回転を規制する回転規制部材７８０（回転規制手段）は、開閉部材８７０（変位部材）が、開放位置（第２位置）へ変位され、変位部材の他側が遊技領域に張り出された場合に回転体８００の回転を規制するので、開閉部材８７０が張り出された状態で回転体８００が回転されて、その回転軌跡上に位置する他の部材に開閉部材８７０が干渉することを抑制できる。また、遊技領域を流下する遊技球を変位部材が受け止めた際に作用する荷重や変位部材の上面を転動する遊技球の重さにより回転体８００が回転されることを抑制できる。
【０８２９】
ここで、変位可能に形成される第１部材および第２部材を備え、第１部材が、第２部材の少なくとも一部を視認不能に覆う覆設位置と、その覆設位置に配置された状態よりも第２部材を視認不能に覆う領域を減少させる退避位置との間で変位可能に形成された遊技機が知られている。この遊技機によれば、第１部材を覆設位置に配置し、第２部材を遊技者から視認不能とした状態から、第１部材を退避位置に変位させることで、第２部材を露出させて遊技者に視認させる演出を行うことができる。
【０８３０】
しかしながら、上述した従来の遊技機では、第２部材が変位可能に形成されているため、第２部材が露出された際に、かかる第２部材が変位される恐れがある。そのため、遊技者に第２部材を適正な状態で視認させることができず、演出効果が低下するという問題点があった。
【０８３１】
これに対し、本実施形態によれば、蓋部材７７０（第１部材）は、開放状態の位置（退避位置）に変位された状態において、回転体８００（第２部材）の変位を規制可能に形成されるので、かかる回転体８００を適正な状態で遊技者に視認させることができ、演出効果を確保できる。即ち、蓋部材７７０を開放状態の位置へ変位させ、回転体８００を露出させるという演出を行う際に、その演出のために行わざる得ない蓋部材７７０の開放状態の位置への変位を、回転体８００の変位を規制する手段として利用する。よって、回転体８００の変位を規制するための機構を別途設けることや制御を行う必要がなく、その分、構造を簡素化できる。
【０８３２】
また、回転体８００は、後述するように外周面の形状が回転中心から非対称に形成される（図１０１参照）。よって、回転体８００は、回転可能に形成されると共に、その重心位置が回転中心から偏心されるので、かかる回転体８００の設計の自由度を高めることができる。即ち、回転体８００をその重心位置が、回転中心に位置する形状とする必要がなく、回転軸に対して非対称の形状を採用できるので、かかる回転体８００による演出効果を高めることができる。一方で、このように、回転体８００の重心位置が偏心されていると、回転体８００がその重力で、回転中心まわりに回転（自転される恐れがある）よって、閉鎖状態の位置に変位された蓋部材７７０が、回転体８００の変位を規制可能に形成される構成が特に有効となり、これにより、回転体８００を適正な状態で遊技者に視認させることができ、演出効果を確保できる。
【０８３３】
なお、回転体８００は、軸を中心に対称に形成されていてもよい。この場合、回転体８００を比重の異なる２つ以上の部材から形成することでその重心位置を回転軸と異なる位置に配置することができる。例えば、半面を金属材料から形成して、残りの半面を可撓性材料から形成することで、一般的に可撓性材料よりも比重の大きい金属材料側に重心を位置させることができる。
【０８３４】
次いで、図１００から図１０２を参照して回転体８００の構成について説明する。図１００（ａ）は、回転体８００の正面図であり、図１００（ｂ）は、図１００（ａ）の矢印Ｃｂ方向視における回転体８００の側面図であり、図１００（ｃ）は、図１００（ａ）の矢印Ｃｃ方向視における回転体８００の側面図である。図１０１は、回転体８００の分解斜視正面図であり、図１０２は、回転体８００の分解斜視背面図である。
【０８３５】
図１００から図１０２に示すように、回転体８００は、複数の部材を組み合わせることで円柱状に形成される。回転体８００は、軸部分に配置されるベース板８１０と、そのベース板８１０を取り囲んで配置され円環状に組み合わせられる第１表示部８３０、第２表示部８４０、第３表示部８５０及び第４表示部８６０と、軸方向の一端に配設される右回転部８９と、軸方向の他端に配設される左回転部８８０と、第１表示部８３０の内側に配設される開閉部材８７０とを主に備えて形成される。
【０８３６】
ベース板８１０は、軸方向視における断面が断面略Ｌ字に形成されると共に、軸方向に延設した形状に形成される。ベース板８１０は、左右の両端部から外側に突出する右端部８１１及び左端部８１２を備えて形成される。
【０８３７】
右端部８１１は、ベース板８１０の正面視右側（図１００（ａ）右側）から円環状に突出して形成される。右端部８１１は、その右端部８１１の突出先端に部分的に突出する先端部８１１ａと、円環状の内側部分の連通孔８１１ｂとを主に備えて形成される。
【０８３８】
先端部８１１ａは、右端部８１１の先端部分から、軸方向にさらに突出されると共に、右側側面視（図１００（ｃ）の方向視）における突出領域が右側側面板７６４の係合部７６４ｅの内側の領域よりも小さく設定される。先端部８１１ａは、上述したように右側側面板７６４の係合部７６４ｅの内側に挿入される。これにより、ベース板８１０と右側側面板７６４（蓋部材７７０）とが係合された状態とされる。その結果、ベース板８１０を後述する各表示面（第１表示部８３０、第２表示部８４０、第３表示部８５０及び第４表示部８６０）の回転変位に対して停止した状態にできる。
【０８３９】
連通孔８１１ｂは、後述するＬＥＤ基盤８２０に連結される配線（図示せず）を挿通する開口であり、ベース板８１０の正面視右側の側面に貫通形成される。これにより、配線を挿通することができる。
【０８４０】
左端部８１２は、ベース板８１０の正面視左側（図１００（ａ）左側）から円環状に突出して形成される。左端部８１２は、その左端部８１２の下側半円から突出する先端部８１２ａと、円環状の内側部分の連通孔８１２ｂとを主に備えて形成される。
【０８４１】
先端部８１２ａは、左端部８１２の先端部分から、軸方向にさらに突出されると共に、左側側面視（図１００（ｂ）の方向視）における突出形状が円環状の下半円とされる。
【０８４２】
連通孔８１２ｂは、後述する開閉部材８７０により回転体８００の内部に送球された球を回転体８００の外側に排出するための経路である。連通孔８１２ｂは、その内径が、球よりも大きく設定されると共に、ギヤカバー７３３に形成された貫通孔７３３ａと略同一に設定される。
【０８４３】
また、連通孔８１２ｂは、ギヤカバー７３３の貫通孔７３３ａに連結される開口であり、左端部８１２の突出距離が貫通孔７３３ａと当接する距離に設定される。さらに、貫通孔７３３ａの端面の上半球には、突起７３３ｂが形成される。突起７３３ｂの突出距離は、先端部８１２ａの突出距離と略同一に設定される。これにより、ベース板８１０とギヤカバー７３３（左側伝達部材７３０）とが係合された状態とされる。その結果、ベース板８１０を後述する各表示面（第１表示部８３０、第２表示部８４０、第３表示部８５０及び第４表示部８６０）の回転変位に対して停止した状態にできる。
【０８４４】
ベース板８１０の底面には、逆回転防止部材８１３が回転可能状態で配設される。逆回転防止部材８１３は、上面視略円形に形成されると共に、一端側に傾斜した突起８１３ａが形成される。また、逆回転防止部材８１３は、ベース板８１０との間に付勢ばねＳＰ６が配設されており、これにより、突起８１３ａを常に正面視左側（図１００（ａ）左側）に付勢した状態とされる。
【０８４５】
右回転部８９０は、所定の厚みの板状に形成されると共に、側面視円環状に形成される。右回転部８９０は、円環の内側の内径がベース板８１０の右端部８１１の大きさよりも大きく形成される。これにより、右回転部８９０の内側にベース板８１０の右端部８１１を挿入できる。また、右回転部８９０は、左右方向に貫通する軸孔８９１と、その軸孔８９１を中心に湾曲して開口される摺動溝８９２とを主に備えて形成される。
【０８４６】
軸孔８９１は、後述する開閉部材８７０の軸部８７２が挿入される孔であり、軸部８７２の外径よりも大きい内径に形成される。これにより、開閉部材８７０の軸部８７２が第１表示部８３０に対して変位することを抑制できる。
【０８４７】
摺動溝８９２は、軸孔８９１を中心とした湾曲形状に形成され、その半径は、開閉部材８７０の突起８７１及び軸部８７２までの離間距離と同一に設定される。これにより、摺動溝８９２の内部に開閉部材８７０の突起８７１が挿入されることで、開閉部材８７０の変位の際に突起８７１を摺動溝８９２の内部を摺動させることができる。
【０８４８】
左回転部８８０は、所定の厚みの板状に形成されると共に、側面視円環状に形成される。左回転部８８０は、円環の内側の内径がベース板８１０の左端部８１２の大きさよりも大きく形成される。これにより、左回転部８８０の内側に、ベース板８１０の左端部８１２を挿入できる。また、左回転部８８０は、内縁部分から円環状に突出する壁部８８１と、側壁から突出する係合突起８８２と、内縁部に傾斜面を連続して並べた係止部８８３とを主に備えて形成される。
【０８４９】
壁部８８１は、回転体８００の正面視左側に突出して形成される。壁部８８１は、突出先端の外周面にギヤの歯面８８１ａが刻設されると共に、内側に開口する連通孔８８１ｂを備える。歯面８８１ａは、上述したように伝達ギヤ８８１ｄに歯合される。これにより、駆動モータＫＭ４の駆動力を回転体８００に伝達させることができる。
【０８５０】
連通孔８８１ｂは、回転体８００の内部空間と外部空間とを連通する開口であり、後述する開閉部材８７０の開放により回転体８００の内部に送球された球を排出できる。
【０８５１】
係合突起８８２は、上述したように、回転規制部材７８０が係合される突起である。係合突起８８２は、左回転部８８０の正面視左側の側面から突出して形成される。また、係合突起８８２は、所定の距離離間した位置に２つ形成されており、その間に回転規制部材７８０の突起７８２が挿入可能に形成される。
【０８５２】
係止部８８３は、その断面が鋸歯状に形成される。左回転部８８０は、ベース板８１０に配設されると、係止部８８３に上述した逆回転防止部材８１３の突起８１３ａの先端が当接された状態とされる。これにより、左回転部８８０を一方向へ回転させる回転力が作用する際には、係止部８８３の傾斜面に沿って突起８１３ａを摺動させて左回転部８８０を回転させることができるが、左回転部８８０を他方向へ回転させる回転力が作用する際には、係止部８８３の面が突起８１３ａに引っ掛り回転が抑制される。
【０８５３】
これにより、回転体８００が駆動モータＫＭ４の回転駆動力により回転される方向とは逆方向へ回転されることを規制することができるので、例えば、回転体８００の重心位置の偏りや遊技球の衝突などに起因して回転体が逆回転されることを抑制できる。
【０８５４】
第１表示部８３０から第４表示部８６０は、それぞれが同一の湾曲形状に形成されており、互いの端面が連結されることで、一つの円環状にできる。また、１つの円環にされた第１表示部８３０から第４表示部８６０の内径は、左右の回転部８８０，８９０の外径と略同一に設定される。これにより、各表示部８３０〜８６０を左右の回転部８８０，８９０に配設することで第１表示部８３０から第４表示部８６０を１つの円柱状に形成することができる。
【０８５５】
また、第１表示部８３０から第４表示部８６０は、それぞれにキャラクターや模様が描かれており、上述したように左回転部８８０から駆動力が伝達されることで回転して、それぞれのキャラクターや模様を遊技者に視認させることができる。
【０８５６】
第１表示部８３０は、その湾曲面に開口した開口８３１と、軸側に開放すると共にＵ字状に突出形成される軸受部８３２とを主に備えて形成される。
【０８５７】
開口８３１は、内部に後述する開閉部材８７０を配置する開口であり、開閉部材８７０の外形と略同一の内径の開口に形成される。軸受部８３２は、開放したＵ字部分に開閉部材８７０の軸部８７２を挿入可能な大きさに形成される。よって、開閉部材８７０を開口８３１に挿入すると共に、開閉部材８７０の軸部８７２を軸受部８３２に挿入することで、開閉部材８７０を第１表示部８３０に対して回転変位させることができる。なお、開閉部材８７０の変位態様についての説明は後述する。
【０８５８】
ＬＥＤ基盤８２０は、電力が供給されることで、ＬＥＤ基盤８２０に搭載されたＬＥＤライトを発光させることができる。またＬＥＤ基盤８２０は、ベース板８１０の背面側に取着される。
【０８５９】
次いで、図１０３を参照して、開閉部材８７０の開閉について説明する。図１０３（ａ）は、開閉部材８７０が閉鎖状態における回転体８００の側面図である。図１０３（ｂ）は、開閉部材８７０が開放状態における回転体８００の側面図である。なお、図１０３では、開閉部材８７０が他の部材と重なる際に、その外径が鎖線で図示される。
【０８６０】
また、開閉部材８７０の閉鎖状態とは、開閉部材８７０の外周面が、第１表示部８３０の外周面と略平行に配置された状態である。一方、開閉部材８７０の開放状態とは、開閉部材８７０の外周面が第１表示部８３０の外周面と交差する状態に配置された状態である。
【０８６１】
図１０３（ａ）に示すように、開閉部材８７０が閉鎖状態における回転体８００は、開閉部材８７０の突起８７１が、右回転部８９０の摺動溝８９２の一端側（図１０３（ａ）では軸部８７２の下方側）に位置される。
【０８６２】
一方、図１０３（ｂ）に示すように、開閉部材８７０が開放状態における回転体８００は、開閉部材８７０の突起８７１が、右回転部８９０の摺動溝８９２の他端側に位置される。即ち、開閉部材８７０の変位は、突起８７１が右回転部８９０の摺動溝８９２の内部を摺動することで行われる。
【０８６３】
次いで、図１０４を参照して、突起８７１の変位について説明する。図１０４（ａ）及び（ｂ）は、装飾ユニット７５０の側面図である。なお、図１０４（ａ）及び図１０４（ｂ）では、箱部材７６０の右側側面板７６４が透明視された状態で図示される。
【０８６４】
また、図１０４（ａ）では、装飾ユニット７５０が閉鎖状態とされ、開閉部材８７０が閉鎖状態とされた状態が図示される。図１０４（ｂ）では、装飾ユニット７５０が開放状態とされ、開閉部材８７０が開放状態とされた状態が図示される。
【０８６５】
図１０４（ａ）に示すように、装飾ユニット７５０が閉鎖状態とされると、右側蓋部７７３の外縁部が突起８７１と当接した状態とされる。装飾ユニット７５０が閉鎖状態において、右側蓋部７７３の下半面における回転軸からの外径Ｌ７は、右回転部８９０の軸から摺動溝８９２の一端側までの距離Ｌ８よりも小さくされる（Ｌ７＜Ｌ８）。
【０８６６】
また、Ｌ７とＬ８との寸法の差は、突起８７１の外径と略同一に設定される。よって、右側蓋部７７３の外縁部が突起８７１と当接した状態では、突起８７１が摺動溝８９２の一端側に変位される。その結果、開閉部材８７０が閉鎖状態とされる。即ち、装飾ユニット７５０が閉鎖状態とされる際に、開閉部材８７０が開放状態に変位することを抑制できる。
【０８６７】
図１０４（ｂ）に示すように、装飾ユニット７５０が開放状態とされると、右側蓋部７７３の変位に伴って外縁部に形成される凹部７７３ｂが変位する。この場合、凹部７７３ｂの内側に突起８７１が挿入される。これにより、突起８７１は、摺動溝８９２を他側に変位可能とされる。その結果、軸部８７２と第１表示部８３０との間に配設される付勢ばねＳＰ７の付勢力により、開閉部材８７０が開放状態とされる。
【０８６８】
上述したように、開閉部材８７０の開放状態への変位は、蓋部材７７０の変位に従って行うことができる。よって、開閉部材８７０を駆動させる駆動源を回転体８００に配設する必要がないため、回転体８００を小さく形成できる。
【０８６９】
また、開閉部材８７０を変位させるための駆動モータＫＭ４を蓋部材７７０を変位させるための駆動手段として兼用できる。この場合、開閉部材８７０と蓋部材７７０とを別々の駆動手段の駆動力により変位させる場合には、制御不良が生じると開閉部材８７０と蓋部材７７０とが干渉するおそれがあるところ、開閉部材８７０と蓋部材７７０とを機械的に連結してそれらの変位を同期させることができるので、開閉部材８７０と蓋部材７７０とが干渉することを抑制できる。
【０８７０】
図１０４（ｂ）に示すように、開閉部材８７０を開放すると、回転の先端側は、箱部材７６０の入賞口７６１ａの上方に配置される。これにより、後述する球受台７１０の送球部７１１ｃから送球される球を開閉部材８７０の上面に落下させることができる。
【０８７１】
この場合、開閉部材８７０は、回転先端側が、軸部８７２よりも上方に配置される。よって、上面に落下する球を回転体８００の内部側へ転動させることができる。回転体８００の内部へ転動される遊技球は、回転体８００の内部に配設されるベース板８１０の上面に転動される。更に、ベース板８１０は、左端部８１２側に向かって下方に傾斜した状態とされるので、ベース板８１０の上面に転動される球を左端部８１２側に転動させて、その内側から回転体８００の外方に排出することができる。即ち、回転体８００の内部を球の送球経路として利用することができる。
【０８７２】
また、回転体８００には、上述したように、回転体８００の回転を規制する回転規制部材７８０が配設されるので、蓋部材７７０を開放状態の位置に変位させ、回転体８００を露出させる演出を行う際には、更に、開閉部材８７０を変位させることで、その演出効果を高めることができる。一方で、回転体８００が回転（自転）される恐れがある。よって開放状態の位置に変位された蓋部材７７０が、回転体８００の変位を規制可能に形成されるという構成が特に有効となり、これにより、回転体８００を適正な状態で遊技者に視認させることができ、演出効果を確保できる。
【０８７３】
ここで、回転可能に形成され、その回転軸まわりの外面が、遊技者に視認可能に配設される回転部材を備えた遊技機が知られている。この遊技機によれば、回転部材が円筒状に形成され、その外周面の表示（図柄）を回転部材を回転させつつ、又は、回転部材を停止させて遊技者に視認させることができる。しかしながら、上述した従来の遊技機では、遊技者に視認させるための表示をその外面に保持するための部材のとして利用されるのみで、回転部材の活用が不十分であるという問題点があった。即ち、回転部材は、遊技者が視認可能な程度の表示を保持する必要があるため、比較的大型に形成される。そのため、その占有空間が嵩む一方、その外面以外の部分は活用されていない。
【０８７４】
これに対し、本実施形態によれば、回転体８００（回転部材）は、その内部に形成される内部空間を外部に連通させると共に、遊技球が通過可能に形成される開口８３１及び連通孔８８１ｂ（連通口）を備えるので、遊技領域を流下する遊技球を、開口８３１及び連通孔８８１ｂを介して内部空間へ流入または内部空間から流出させることができる。よって、デッドスペースとされる回転体８００の内部空間を遊技球の貯留空間または送球通路として機能させることができ、その分、回転体８００を活用できる。
【０８７５】
また、上述した従来の遊技機では、回転部材を停止に伴って、外周面の表示を遊技者に視認させる演出態様を形成できるのみであるため、演出態様の変化が乏しく、演出効果が不十分であるいう問題点があった。
【０８７６】
これに対し、本実施形態によれば、回転体８００（回転部材）の外面に変位可能に配設される開閉部材８７０（変位部材）を備えるので、回転体８００の回転または停止に伴って外面の表示を遊技者に視認させる演出態様に加え、開閉部材８７０を変位させる演出態様を形成できるので、その分、演出態様に変化を付与して、演出効果を高めることができる。
【０８７７】
蓋部材７７０（変位部材）は、閉鎖位置（第１位置）に変位されると、回転体８００（回転部材）の外面の一部が開閉部材８７０により形成されるので、回転体８００の外形を小さくでき、その分、回転体８００が回転するのに要するスペースを小さくできる。一方、開閉部材８７０が、開放位置（第２位置）へ変位されると、回転体８００の径方向外方へ開閉部材８７０が突出されるので、開閉部材８７０の変位を遊技者に視認させやすくでき、演出効果を高めることができる。また、開閉部材８７０を閉鎖位置に配置した状態で回転体８００を回転させると共に、その回転を停止した際に開閉部材８７０を開放位置に配置する（変位させる）ことで、回転体８００の外面として視認していた部分（開閉部材８７０）が、回転体８００の径方向外方へ突出される態様を形成でき、興趣を高めることができる。
【０８７８】
また、回転体８００の内部空間にベース板８１０に光を発光するＬＥＤ基盤８２０が配設される。よって、開閉部材８７０が開放位置にされることで、回転体８００の外面が開放され内部空間が外部に連通され、ＬＥＤ基盤８２０からの発光を外部に出射させることができる。一方、開閉部材８７０が閉鎖位置にされることで、回転体８００の外面が閉鎖され、ＬＥＤ基盤８２０からの発光が外部へ出射されること遮断することができる。その結果、演出効果を高めることができる。
【０８７９】
ここで、回転体８００を回転可能にすると共に、その回転体８００に開閉部材８７０を変位可能に配設するためには、回転体８００及び開閉部材８７０のそれぞれに駆動手段が必要となり、製品コストが嵩む。また、開閉部材８７０を変位させるための駆動手段を回転体８００に搭載すると、回転体８００の重量が増加するため、回転体８００の回転の開始または、停止を円滑に行うことが困難となる。
【０８８０】
これに対し、本実施形態によれば、開閉部材８７０は、蓋部材７７０の変位に伴って変位され、蓋部材７７０及び回転体８００は同一の駆動モータＫＭ４により変位されるので、１の駆動モータＫＭ４を兼用して、回転体８００の回転と、開閉部材８７０の変位とを行うことができる。よって、製品コストの削減を図ることができる。また、開閉部材を変位させるための駆動手段を回転体８００に搭載する必要がないので、回転体８００の重量を軽量化でき、回転体８００の回転の開始または停止を円滑に行うことができる。
【０８８１】
また、開口８３１（第１連通口）及び連通孔８８１ｂ（第二連通口）は、異なる位置に形成されるので、開口８３１を外部から内部空間に遊技球を流入させる流入口とし、連通孔８８１ｂを内部空間から外部へ遊技球を流出させる流出口とすることができる。即ち、回転体８００（回転部材）を回転させなくても（停止状態に維持したままで）、回転体８００を遊技球の送球通路として活用できる。
【０８８２】
さらに、開口８３１は、回転体８００の外周面に形成され、連通孔８８１ｂは、回転体８００の軸方向の端面に形成されるので、回転体８００（回転部材）の内部空間への遊技球の流入を遊技者に視認しやすくできると共に、回転体８００を停止状態に維持したままで、遊技球を排出することができる。
【０８８３】
即ち、回転体８００は、外面が遊技者から視認可能に配設されるところ、その外面に、開口８３１（流入口）が形成されるので、遊技球の流入を遊技者に視認させやすくできる。一方、回転体８００の外面に連通孔８８１ｂが形成されると、かかる連通孔８８１ｂが上方となる回転位置に回転体８００が配置されると、内部空間から遊技球を流出させることができないところ、連通孔８８１ｂ（流出口）は、回転体８００の回転軸方向の端面に形成されるので、回転体８００の回転位置に関わらず、内部空間から遊技球を流出可能な状態を形成できる。
【０８８４】
また、開口８３１（第１連通口）の内側には、変位可能な開閉部材８７０（変位部材）が配設され、開閉部材８７０が閉鎖位置（第１位置）へ変位されると、開口８３１が開閉部材８７０によって遮蔽され、開閉部材８７０が開放位置（第２位置）へ変位されると、開口８３１が開放されるので、開口８３１を介した遊技球の流入を遮蔽状態と許容状態とに切り替えることができる。
【０８８５】
さらに、開閉部材８７０（変位部材）は、一側が回転体８００（回転部材）に回転可能に軸支され、開閉部材８７０が開放位置（第２位置）に変位されると、一側と反対側となる他側が遊技領域へ張り出されるので、遊技領域を流下する遊技球を開閉部材８７０の上面に受け止めさせることができる。よって、開口８３１が、流入口として形成されると、遊技領域を流下する遊技球を開閉部材８７０を利用して、回転体８００の内部空間へ流入させやすくできる。
【０８８６】
また、遊技領域を流下する遊技球を開閉部材８７０の上面に止め易くさせることができる。よって、例えば、回転体８００に遊技球の流入口が形成される場合には、遊技領域を流下する遊技球を、開閉部材８７０を利用して、流入口に流入させやすくすることができる。この場合、遊技領域を流下する遊技球を開閉部材８７０に受け止めさせると、その際に作用する荷重や変位部材の上面を転動する遊技球の重さにより回転体８００が回転される恐れがある。よって、開放状態の位置に変位された蓋部材７７０が、回転規制部材７８０を変位させて回転体８００の変位を規制可能に形成されるという構成が特に有効となり、これにより、開閉部材８７０を遊技領域の所定の位置に張り出せた状態を維持しやすくできる。
【０８８７】
開閉部材８７０の軸部８７２は、回転体８００の回転方向側に配置される。言い変えると、開閉部材８７０（変位部材）は、その一側が他側よりも回転体８００（回転部材）の回転方向前方側に位置される。よって、回転体８００が回転される際に、その回転部材の周りに配設される部材に開閉部材８７０が干渉したとしても、かかる干渉により発生する力を開閉部材８７０を閉じる（閉鎖位置へ変位させる）方向へ作用させることができる。即ち、回転体８００の回転時に開閉部材８７０が他の部材に干渉して張り出される（第２位置）へ変位されることを抑制できる。また、開閉部材８７０が他の部材に係合して回転体８００の回転が阻害されることを抑制できる。
【０８８８】
また、回転体８００の内部空間に配設されるベース板８１０（固定部材）は、回転体８００が回転可能に配設される箱部材７６０（ベース部材）に対して非回転とされるので、開口８３１から回転体８００の内部空間に流入された遊技球をベース板８１０の上面を連通孔８８１ｂへ向けて転動させることで、回転体８００の回転に伴って、遊技球が内部空間で暴れる又は、遊技球の転動が阻害され内部空間に留まることを抑制できる。
【０８８９】
上述したように、開閉部材８７０の開閉動作は、蓋部材７７０の変位によって規制されるので、開放状態（第２位置）へ変位された開閉部材８７０が回転体８００の周囲の部材に干渉することを抑制できる。
【０８９０】
上述したように、回転体８００には、ベース板８１０の背面側に取着されるＬＥＤ基盤８２０への配線を挿通させる連通孔８１１ｂが、連通孔８８１ｂが形成された回転体８００の端面と反対の端面に形成される。よって、連通孔８８１ｂおよび連通孔８１１ｂのそれぞれに使用できるスペースを確保しやすくできる。
【０８９１】
即ち、回転体８００の内部に配設するＬＥＤ基盤に電気的な配線をする場合、回転体８００の外周面から配線を挿通すると回転体８００の回転により配線が絡まるため、回転体の軸方向端面から配線することが好ましいところ、回転体８００の軸方向両端面に遊技球が流入する開口および遊技球が流出する開口を形成するものであると、配線を挿通させるスペースが確保し難くなる。
【０８９２】
これに対し、本実施形態では、回転体８００の遊技球の流入口をその外周面とできるので、回転体８００の軸方向端面の一方を遊技球の流出口とすると共に、他方を配線の挿入口とすることができるので、配線を挿通させるスペースを確保しやすくできる。
【０８９３】
その結果、連通孔８８１ｂを介して遊技球の排出をスムーズに行わせることができると共に、電気的接続線（ＬＥＤ基盤８２０への配線）の開口への配線作業を行いやすくできる。また、連通孔８８１ｂと連通孔８１１ｂとを最大限離間させることができるので、回転体８００の内部空間を連通孔８８１ｂへ転動する遊技球と電気的接続線との干渉を抑制しやすくできる。
【０８９４】
次いで、図１０５及び図１０６を参照して、下変位ユニット４００及び回転ユニット７００について説明する。図１０５は、下変位ユニット４００及び回転ユニット７００の正面図であり、図１０６は、図１０５の矢印ＣＶＩ方向視における下変位ユニット４００の上面図である。なお、図１０５及び図１０６では、退避状態における下変位ユニット４００が図示される。
【０８９５】
図１０５及び図１０６に示すように、下変位ユニット４００及び回転ユニット７００は、左右方向に隣合う位置に配置される。また、前後方向（図１０６上下方向）における下変位ユニット４００及び回転ユニット７００は、球受台７１０の前後方向略中央位置に下変位部材４４０の出射開口４７１が配置される。
【０８９６】
次いで、図１０７を参照して、下変位ユニット４００から回転ユニット７００への球の送球を態様を説明する。図１０７は、下変位ユニット４００及び回転ユニット７００の正面図である。なお、図１０７では、下変位ユニット４００が第１張出状態に配置された状態が図示される。
【０８９７】
図１０７に示すように、下変位ユニット４００が、第１張出状態とされ、下変位部材４４０の内部に配設された球受部４６７が内側に球を受け入れた状態（球受動作をした状態）で発射動作をすると、上述したように、下変位部材４４０の出射開口４７１から球受部４６７の内部に配置された球が下変位部材４４０の外方に排出される。
【０８９８】
下変位部材４４０の出射開口４７１から排出された球は、自由落下をして、正面視右側に配設される回転ユニット７００の球受台７１０に落下する。その結果、下変位ユニット４００から回転体８００へ球を送球することができる。
【０８９９】
次いで、図１０８及び図１０９を参照して、球受台７１０の構成について説明する。図１０８（ａ）は、球受台７１０の上面図であり、図１０８（ｂ）は、球受台７１０の正面図であり、図１０８（ｃ）は、図１０８（ａ）のＣＶＩＩＩｃ−ＣＶＩＩＩｃ線における球受台７１０の断面図である。図１０９は、球受台７１０の分解斜視図である。
【０９００】
図１０８及び図１０９に示すように、球受台７１０は、箱状に形成される皿受部７１１と、その皿受部７１１の内側に配設されるソレノイド７１２と、そのソレノイド７１２に連結される変位部材７１３と、ソレノイド７１２を覆設するカバー部材７１４とを主に備えて形成される。
【０９０１】
皿受部７１１は、底面を形成する底板７１１ａと、その底板７１１ａの縁部に立設される立設部７１１ｂと、底板７１１ａの外縁の一部から突出する送球部７１１ｃと、その送球部７１１ｃの縁部に立設される立設部７１１ｂに貫通形成される軸孔７１１ｄとを主に備えて形成される。
【０９０２】
底板７１１ａは、後述する送球部７１１ｃ側に向かって下方に撓んだ形状に形成される。これにより、底板７１１ａの上部に送球された球をその撓み（傾斜）で送球部７１１ｃ側に転動させることができる。
【０９０３】
また、底板７１１ａは、可撓性材料で形成されると共に、底板７１１ａの下面（図１０８（ｃ）下面）には、シボ加工が施され、表面に細かい凹凸が形成される。これにより、底板７１１ａを成形した際に、熱収縮する比率を上面と底面とで異ならせて、底面側に撓み易くできる。即ち、シボ加工が施される底面は、凹凸により熱収縮した際に底板側を凸に湾曲させる方向へ力が作用し難くなる。一方、上面側は、平坦面に形成されるので熱収縮した際に水平方向に引張る力が作用して端部が上方に変化し易くなる（上面側が凹の湾曲を形成しやすい）。従って、熱収縮した際に球が転動しやすくなる方向に撓み易くできる。その結果、底板７１１ａを成形した際に不良品となることを抑制できる。
【０９０４】
立設部７１１ｂは、送球部７１１ｃの外縁部から重力方向上側（図１０８（ｃ）上側）に立設される壁部である。立設部７１１ｂの立設距離は、球の外径よりも大きく設定される。これにより、底板７１１ａの上部に送球される球がその縁部から下方に落下することを抑制できる。なお、本実施形態では、立設部７１１ｂの立設寸法が球の直径の略１．５倍に設定される。
【０９０５】
また、立設部７１１ｂは、底板７１１ａの領域を２つに分断する中央立設部７１１ｂ１が立設部７１１ｂに連結して形成される。中央立設部７１１ｂ１により、一方を球が送球される領域に、他方を後述するソレノイド７１２が配設される領域に、底板７１１ａの上部の領域が分けられる。
【０９０６】
送球部７１１ｃは、底板７１１ａの正面側に形成される。また、左右方向（図１０８（ａ）左右方向）の位置が底板７１１ａの略中央位置よりも右側（図１０８右側）に配置される。さらに、送球部７１１ｃは、底板から突出される従って下方に湾曲される。これにより、底板７１１ａから送球される球を送球部７１１ｃを介して下方に落下させることができる。なお、送球部７１１ｃの下側には、蓋部材７７０の入賞口７６１ａが配設されており（図１０６参照）、送球部７１１ｃから落下する球を入賞口７６１ａの内部に送球できる。
【０９０７】
軸孔７１１ｄは、後述する変位部材７１３の軸部７１３ａが挿入される。これにより、変位部材７１３を軸孔７１１ｄの軸を中心に回転変位させることができる。
【０９０８】
ソレノイド７１２は、電力が付与されることで、ソレノイド７１２の内部に挿入した軸をピストン変位させることができる。ソレノイド７１２の軸には、伝達部材７１２ａが取着される。伝達部材７１２ａは、ソレノイド７１２の駆動力を後述する変位部材７１３に伝達する部材であり、先端に連通孔７１２ａ１が貫通形成される。
【０９０９】
変位部材７１３は、断面Ｃ字状に形成され、その一端にＣ字の外側に突出する突起７１３ｂと、両端にＣ字の内側に突出する軸部７１３ａとを主に備えて形成される。
【０９１０】
突起７１３ｂは、ソレノイド７１２の連通孔７１２ａ１に挿入される突起であり、連通孔７１２ａ１の内径よりも大きい外径の円柱状に形成される。これにより、ソレノイド７１２の変位が伝達部材７１２ａを介して変位部材７１３に伝達される。
【０９１１】
軸部７１３ａは、軸孔７１１ｄに挿入される軸である。軸部７１３ａが軸孔７１１ｄに挿入されることで、変位部材７１３は、軸部７１３ａの軸を中心に回転できる。即ち、ソレノイド７１２の変位により、変位部材７１３が駆動される。
【０９１２】
カバー部材７１４は、ソレノイド７１２の外形よりも大きい外形に形成されており、底板７１１ａの上部に配置されたソレノイド７１２の上方に配置されると共に、皿受部７１１に締結固定される。これにより、ソレノイド７１２を固定することができる。
【０９１３】
次いで、図１１０を参照して球受台７１０に落下する球について説明する。図１１０（ａ）及び図１１０（ｂ）は、球受台７１０の断面図である。なお、図１１０（ａ）及び図１１０（ｂ）は、図１０８（ｃ）の球受台７１０の断面と対応する。
【０９１４】
図１１０に示すように、下変位ユニット４００の下変位部材４４０から送球される球は、重力方向に自由落下すると共に、球受部４６７の発射動作により回転ユニット７００側（図１１０（ａ）右側）へ変位する。即ち、球受台７１０の底板７１１ａに対して正面視右下方向に落下される。
【０９１５】
この場合、上述したように、底板７１１ａは、送球部７１１ｃ側に向かって下方に撓んで形成され、送球部７１１ｃは底板７１１ａに対して右側に形成されるので、球が落下する底板７１１ａの上面を右側に向かって下方に傾斜する傾斜面にできる。よって、球の変位方向と球が落下する底板７１１ａの傾斜方向とを平行に近づけることができる。
【０９１６】
これにより、図１１０（ｂ）に示すように、底板７１１ａに落下した球が上方向（図１１０（ｂ）上方向）にバウンドすることを抑制できる。従って、下変位ユニット４００の下変位部材４４０から回転ユニット７００の球受台７１０に送球される球が、球受台７１０から落下することを抑制できる。
【０９１７】
さらに、底板７１１ａに落下した球を、その落下の勢いで送球部７１１ｃ側に転動させることができる。よって、送球部７１１ｃまでの球の転動時間を短くすることができる。その結果、下変位部材４４０から球受台７１０へ送球される球をスムーズに送球することができる。
【０９１８】
次いで、図１１１を参照して、球受台７１０の発光について説明する。図１１１（ａ）及び（ｂ）は、図８７のＣＸＩ−ＣＸＩ線における回転ユニット７００の断面模式図である。なお、図１１１（ａ）は、装飾ユニット７５０が閉鎖状態に、図１１１（ｂ）では、装飾ユニット７５０が開放状態に、それぞれ配置された状態が図示される。
【０９１９】
図１１１（ａ）に示すように、装飾ユニット７５０が閉鎖状態に配置された状態での球受台７１０への光の発光は、背面ベース７２０の背面側に配置されるＬＥＤ基盤７２１により行われる。
【０９２０】
詳しく説明すると、ＬＥＤ基盤７２１のＬＥＤ７２１ａから発光する光を、蓋部材７７０の背面側に反射させることで、球受台７１０の底板７１１ａへ入射させる。また、上述したように、底板７１１ａの底面には、シボ加工が施されるので、シボ加工の凹凸により入射された光を乱反射させることができる。これにより、球受台７１０の底面全体を発光させることができる。
【０９２１】
一方、図１１１（ｂ）に示すように、装飾ユニット７５０が開放状態に配置された状態では、上述したように、蓋部材７７０に透明部７７１ａが形成されるので、ＬＥＤ基盤７２１のＬＥＤ７２１ａは、蓋部材７７０に反射されず透過される。蓋部材７７０の内側には回転体８００が形成されるので、回転体８００の外周面で反射させて球受台７１０へ入射させることができる。
【０９２２】
またこの場合、回転体８００の第３表示部８５０を球受台７１０側（図１１１（ｂ）上側）に回転させることで、ベース板８１０の背面側に配置されるＬＥＤ基盤８２０のＬＥＤ８２１から発光する光を、回転体８００の内壁に反射させて第３表示部８５０から出射させることができる。
【０９２３】
上述したように、第３表示部８５０の内壁には、シボ加工が施されており、表面に複数の凹凸が形成される。よって、他の表示部よりも第３表示部８５０は、回転体８００の外側に光を出射させやすくできる。そのため、第３表示部８５０を球受台７１０側に配置することが好ましい。
【０９２４】
次いで、図１１２から図１１８を参照して、上変位ユニット９００の詳細な構成を説明する。まず、図１１２から図１１４を参照して、上変位部材９４０を変位させる構造について説明する。
【０９２５】
図１１２は、上変位ユニット９００の正面図である。図１１３は、上変位ユニット９００の分解斜視正面図である。図１１４は、上変位ユニット９００の分解背面斜視である。なお、図１１２から図１１４では、上変位部材９４０が退避位置（ベース部材９１０に対して一番上方に配置された位置）に配置された状態が図示される。
【０９２６】
図１１２から図１１４に示すように、上変位ユニット９００は、背面ケース３００の底壁部３０１（図６参照）に配設されるベース部材９１０と、そのベース部材９１０の内部に配設される伝達部材９２０と、ベース部材９１０に回転可能に連結されると共に伝達部材９２０の変位に伴って変位される回転部材９３０と、一端がベース部材４１０に摺動変位可能に連結されると共に回転部材９３０に連結されて回転部材９３０から駆動力を伝達されることで変位する上変位部材９４０とを主に備えて形成される。
【０９２７】
ベース部材９１０は、正面視矩形横長の板部材を前後方向に２枚組み合わされて形成され、正面側に配設される正面ベース９１１と、背面側に配設される背面ベース９１２とを備える。正面ベース９１１及び背面ベース９１２との対向間には、伝達部材９２０及び回転部材９３０とが配設される。
【０９２８】
正面ベース９１１は、前後方向（図１１２紙面奥行方向）に貫通した３つの摺動溝９１１ｃ，９１１ｄ，９１１ｅと、周方向中央位置の背面側に突出する軸支ピン９１１ｂと、正面ベースの一端側（正面視左側）の正面に突出する軸部９１１ｆと、一端側の前後方向に貫通する開口９１１ａとを主に備えて形成される。
【０９２９】
開口９１１ａは、正面ベース９１１に配設される駆動モータＫＭ５の軸を背面側に挿通させるための開口である。これにより、正面ベース９１１の正面側に配設される駆動モータＫＭ５の軸を正面ベース９１１の背面側に挿通することができる。
【０９３０】
軸支ピン９１１ｇ，９１１ｂは、後述する伝達ギヤ９２２及び伝達ギヤ９２３の軸孔に挿通され、伝達ギヤ９２２及び伝達ギヤ９２３を回転可能に保持できる。即ち、軸支ピン９１１ｇ，９１１ｂは、伝達ギヤ９２２及び伝達ギヤ９２３の軸孔の内径よりも小さい外径の円柱状に形成される。
【０９３１】
摺動溝９１１ｃは、軸支ピン９１１ｂの軸を中心とする円弧状に貫通形成される。摺動溝９１１ｃは、後述する伝達ギヤ９２３の軸支ピン９２３ａが挿通される開口であり、その円弧の半径が、後述する伝達ギヤ９２３の軸孔から軸支ピン９２３ａまでの距離と略同一に設定される。これにより、軸支ピン９２３ａを摺動溝９１１ｃの内部に挿通した状態で伝達ギヤ９２３を回転させた際に、軸支ピンと、摺動溝９１１ｃの内壁とが衝突することを抑制できる。
【０９３２】
摺動溝９１１ｄ，９１１ｅは、後述する上変位部材９４０の軸支ピン９５１，９５２が挿入される溝であり、その短手方向の幅寸法が軸支ピン９５１，９５２の外径よりも大きく設定される。
【０９３３】
摺動溝９１１ｅは、正面ベース９１１の長手方向（正面視左右方向）に直線状に形成される。一方、摺動溝９１１ｄは、正面ベース９１１の下方を中心とした円弧状に形成される。即ち、摺動溝９１１ｅおよび摺動溝９１１ｄは、非平行に形成される。よって、左右方向に異なる位置では、２つの摺動溝９１１ｅ，９１１ｄの上下方向の対向間の距離寸法が異なる状態に形成される。これにより、摺動溝９１１ｅ，９１１ｄの内部を軸支ピン９５１，９５２を摺動させた場合に、その上下方向の対向間の距離寸法の差によって、上変位部材９４０が回転しつつ摺動される。
【０９３４】
軸部９１１ｆは、正面側に円柱状に突出して形成される。軸部９１１ｆは、後述する回転部材９３０の一端に形成される貫通孔９３１に挿通して、回転部材９３０を回転可能な状態で保持することができる。即ち、軸部９１１ｆは、回転部材９３０の貫通孔９３１の内径よりも小さい外径に形成される。
【０９３５】
背面ベース９１２は、正面ベース９１１の背面側に所定の間隔を隔てて取着される板部材である。背面ベース９１２は、金属材料から形成される。これにより、ベース部材９１０の全体の剛性を向上することができる。その結果、横長矩形に形成されるベース部材９１０に比較的重量の重い上変位部材９４０が配設された際に、ベース部材９１０がねじれることを抑制できる。
【０９３６】
伝達部材９２０は、正面ベース９１１と背面ベース９１２との対向間に配設される。伝達部材９２０は、駆動モータＫＭ５の軸に連結される伝達ギヤ９２１と、その伝達ギヤ９２１に歯合される伝達ギヤ９２２と、その伝達ギヤ９２２に歯合される伝達ギヤ９２３とを主に備えて形成される。
【０９３７】
伝達ギヤ９２１は、上述したように軸孔に正面ベース９１１の正面側に配設された駆動モータＫＭ５の軸が挿入されて駆動モータＫＭ５と連結される。これにより、伝達ギヤ９２１は、駆動モータＫＭ５の駆動力により回転変位することができる。
【０９３８】
伝達ギヤ９２２は、上述したように伝達ギヤ９２１及び伝達ギヤ９２３と歯合される。これにより、伝達ギヤ９２１の回転の駆動力を伝達ギヤ９２３に伝達することができる。
【０９３９】
伝達ギヤ９２３は、その外周縁部に正面側に突出する軸支ピン９２３ａを備えて形成される。よって、伝達ギヤ９２３が回転されると、軸支ピン９２３ａは、伝達ギヤ９２３の軸周りに回転変位される。
【０９４０】
回転部材９３０は、一方側が長い棒状に形成され、一端側の端部に前後方向に貫通形成される貫通孔９３１と、長手方向略中央位置に長手方向に延設された開口９３２とを主に備えて形成される。
【０９４１】
貫通孔９３１は、上述したように、正面ベース９１１の軸部９１１ｆが挿入される開口であり、軸部９１１ｆが挿入されることで、回転部材９３０を正面ベース９１１に対して回転可能な状態で保持することができる。また、軸部９１１ｆの先端には、付勢ばねＳＰ８が配設される。これにより、回転部材９３０は、正面ベース９１１に対して他端側を上方に持ち上げる方向に付勢される。
【０９４２】
開口９３２は、伝達ギヤ９２３の軸支ピン９２３ａが挿入される溝であり、内部を軸支ピン９２３ａが摺動可能に形成される。上述したように、伝達ギヤ９２３が回転変位されて軸支ピン９２３ａの配置が変位する際に、開口９３２の内側を軸支ピン９２３ａが変位する。よって、回転部材９３０は、一端が回転可能に軸支された状態で配置されるので、軸支ピン９２３ａの変位により一端を軸に回転される。
【０９４３】
また、回転部材９３０の他端側には、正面視円環状に形成されると共に、背面側に所定の厚みを備えた板状に形成される円環部材９３３が配設される。
【０９４４】
円環部材９３３の正面側には、その外周縁に沿って対称の位置に凹設される２つの摺動溝９３３ａを備えて形成される。円環部材９３３は、後述する上変位部材９４０との連結される部分であり、内側に上変位部材９４０の軸部９５３が挿入される。また、円環部材９３３と上変位部材９４０とは回転可能に連結されており、回転部材９３０が回転変位するに共に伴って上変位部材９４０が変位可能とされる。
【０９４５】
摺動溝９３３ａには、内側に上変位部材９４０の突起９６１が挿入されており、上変位部材９４０が回転部材に対して回転変位することで、突起９６１が摺動溝９３３ａの内部を摺動できる。
【０９４６】
また、摺動溝９３３ａの円弧軸は、回転部材９３０に対する上変位部材９４０の回転軸とは、異なる位置に配置される。これにより、上変位部材９４０が回転部材９３０に対して回転変位した際に、第１開放部９６０を変位できる。なお、第１開放部９６０の詳しい説明は後述する。
【０９４７】
なお、回転部材９３０の一端側（回転軸側）には、前方に板状体から形成される軸部カバー９１３及び変形規制カバー９１４が配設される。軸部カバー９１３は、回転部材９３０の回転軸部分の前方に配設されており、回転部材９３０が前後方向にがたつくことが抑制される。変形規制カバー９１４は、回転軸から所定距離離間した位置に配設されており、回転部材９３０が他端側に配設される上変位部材９４０の重みで前後方向に変形することを抑制できる。
【０９４８】
上変位部材９４０は、正面ベース９１１及び回転部材９３０に連結されるベース体９５０と、そのベース体９５０の背面側に回転可能に配設される２つの第１開放部９６０と、ベース体９５０の正面側に回転可能に配設される２つの第２開放部９７０と、一端側に配設される可変部９８０とを主に備えて形成される。
【０９４９】
ベース体９５０は、一端側の背面に突出形成される２つの軸支ピン９５１，９５２と、他端側の背面に突出形成される軸部９５３とを主に備えて形成される。
【０９５０】
軸支ピン９５１，９５２は、上述したように正面ベース９１１の摺動溝９１１ｅ，９１１ｄに挿入される突起である。よって、上変位部材９４０が、回転部材９３０により駆動された際に、軸支ピン９５１，９５２が摺動溝９１１ｅ，９１１ｄに沿って摺動することで、上変位部材９４０を左右方向にスライド変位させると共に、他端側を下方に回転変位させることができる。
【０９５１】
軸部９５３は、上述したように、円環部材９３３に挿入されて回転部材９３０と連結される突起であり、円環部材９３３の内径よりも小さい外径の円柱状に形成される。これにより、上変位部材９４０を回転部材９３０に回転可能に連結できる。よって、回転部材９３０が駆動モータＫＭ５の駆動力により、一端を軸に回転変位されると、円環部材９３３の変位により、上変位部材９４０に駆動力が伝達される。その結果、上変位部材９４０が、摺動溝９１１ｅ，９１１ｄに沿って変位することができる。
【０９５２】
第１開放部９６０は、前後方向に所定の厚みを備えた板部材であり、ベース体９５０の背面側に２枚配設される。第１開放部９６０は、ベース体９５０の他端側に回転可能に軸支されて配設される。また、第１開放部９６０は、背面側に突出すると共に、円環部材９３３の摺動溝９３３ａの内側に配設される突起９６１を備える。これにより、上変位部材９４０が回転部材９３０の変位により回転部材９３０に対して回転変位した際に、突起９６１を摺動溝９３３ａの内側を摺動させることができる。
【０９５３】
この場合、上述したように摺動溝９３３ａの湾曲軸は、回転部材９３０に対する上変位部材９４０の回転軸と異なる位置に配置されるので、突起９６１が摺動溝９３３ａの内側を摺動するに伴って、ベース体９５０に軸支された第１開放部９６０を回転変位することができる。
【０９５４】
第２開放部９７０は、前後方向に所定の厚みを備えた板部材であり、ベース体９５０の正面側に２枚配置される。第２開放部９７０は、ベース体９５０の他端側に回転可能に軸支されて配設される。また。第２開放部９７０は、第１開放部９６０が所定の変位をされた際に係合する係合突起（図示せず）を備えて形成される。これにより、上述したように第１開放部９６０が、上変位部材９４０が所定の回転変位をされた際に、軸支部分を軸に回転変位されると、第２開放部９７０と係合して第２開放部９７０を回転変位させることができる。
【０９５５】
次いで、図１１５から図１１７を参照して、上変位部材９４０の変位について説明する。図１１５は、上変位部材９４０が退避位置に配置された状態における上変位ユニット９００の正面図である。図１１６は、上変位部材９４０が中間位置に配置された状態における上変位ユニット９００の正面図である。図１１７は、上変位部材９４０が張出位置に配置された状態における上変位ユニット９００の正面図である。
【０９５６】
なお、上変位部材９４０の退避位置とは、軸支ピン９５１，９５２が、正面ベース９１１の摺動溝９１１ｄ，９１１ｅの他端側（正面ベース９１１の正面視右側）に配置された状態の位置である。また、張出位置とは、軸支ピン９５１，９５２が、正面ベース９１１の摺動溝９１１ｄ，９１１ｅの一端側（正面ベース９１１の正面視左側）に配置され状態の位置である。更に、中間位置とは、上変位部材９４０が退避位置と張出位置との中間の位置に変位された状態の位置である。
【０９５７】
図１１５から図１１７に示すように、上変位部材９４０が正面ベース９１１に対して変位されると、上変位部材９４０は、その長手方向を略水平方向（図１１５左右方向）から略鉛直方向（図１１７上下方向）に回転変位される。
【０９５８】
また、その回転変位に伴って、上変位部材９４０の一端側の位置が、正面ベース９１１の正面視右側端部の位置から正面視略中央位置に変位される。即ち、上変位部材９４０は、上述したように駆動モータＫＭ５の駆動力により回転部材９３０が回転されると、スライド変位しつつ回転変位される。
【０９５９】
また、図１１６に示す中間位置から、図１１７に示す張出位置までの変位時に、上変位部材９４０に配設される第１開放部９６０がベース体９５０に対して回転変位される、よって、第１開放部９６０の回転変位に係合して変位する第２開放部９７０も同様にベース体９５０に対して回転変位される。よって、張出位置では、上変位部材９４０の長手方向を鉛直方向に向けると共に、第１開放部９６０及び第２開放部９７０が変位した状態とされる。
【０９６０】
なお、本実施形態では、上変位部材９４０は、人間の腕（手も含む）形を模した形状に形成されている。よって、第１位置から第３位置に変位して、第１開放部９６０及び第２開放部９７０が変位されることで、人間の腕が太くなるような変位を遊技者に視認させることができる。
【０９６１】
次いで、図１１８を参照して、可変部９８０の詳細な説明をする。図１１８（ａ）は、可変部９８０の正面図であり、図１１８（ｂ）は、可変部９８０の背面図である。
【０９６２】
図１１８（ａ）及び図１１８（ｂ）に示すように、可変部９８０は、人間の手を模した形状に形成されており、手の後部分を形成する本体部９８１と、本体部９８１に連結されて手の指部分を形成する指部９８２〜９８６とを主に備えて形成される。
【０９６３】
本体部９８１の内部には、駆動モータ（図示しない）が配設されており、内部に配設される可変板（図示しない）を前後方向（図１１８（ａ）上下方向）にピストン変位可能とされる。
【０９６４】
指部９８２は、親指に相当する部分であり、基部側が本体部９８１の可変板に連結される。これにより、可変板がピストン運動をされることで指部９８２を変位させることができる。
【０９６５】
指部９８３〜９８６は、その内側に基部側に配設される第１リンクＲＢ１と、先端側に配設される第２リンクＲＢ２とを主に備えて形成される。
【０９６６】
第１リンクＲＢ１は、先端側が第２リンクＲＢ２に回転可能な状態で連結されると共に基部側が本体部９８１の可変板に連結される。従って、本体部９８１の可変板がピストン運動をされることで、第１リンクＲＢ１および第１リンクＲＢ１を介して第２リンクＲＢ２を変位させることができる。これにより、指部９８３〜９８６を変位させることができる。なお、本実施形態では、指部９８２〜９８６を変位させることで、手の指を開閉する動作を遊技者に視認させることができる。
【０９６７】
正面ベース４１１は、前後方向（図４３紙面奥行方向）に貫通した２つの摺動溝４１１ａ，４１１ｂと、背面側に突出する円柱状の２本の軸支ピン４１１ｃ，４１１ｄと、軸支ピン４１１ｄを軸とした円弧状に突出する湾曲壁部４１１ｅとを主に備えて形成される。
【０９６８】
摺動溝４１１ａ，４１１ｂは、下変位部材４４０の背面側から突出する２本の突起４７２，４７３がそれぞれ挿通される孔である。摺動溝４１１ａ，４１１ｂは、それぞれ左右方向に長く伸びて形成される。よって、摺動溝４１１ａ，４１１ｂに挿通された突起４７２，４７３を摺動溝４１１ａ，４１１ｂに沿って変位させることで、下変位部材４４０を左右方向に摺動させることができる。
【０９６９】
また、摺動溝４１１ａ，４１１ｂは、それぞれ円弧状に湾曲して形成されており、正面ベース４１１の左側（図４３左側）端部から右側（図４３右側）端部にかけて上方（図４３上方向）に開口される。さらに、摺動溝４１１ａ，４１１ｂは、それぞれの円弧の軸が異なる位置に配置され、上下方向（図４３上下方向）における対向間の隙間が左端部から右端部にかけて狭くされる。
【０９７０】
下変位部材４４０のベース部材４７０の突起４７２，４７３は、その間の距離が変わらないので、下変位部材４４０を摺動溝に沿って摺動させた場合には、下変位部材４４０を回転させつつ変位させることができる。即ち、２つの摺動溝４１１ａ，４１１ｂの間の距離を変更することで、下変位部材４４０に回転の駆動力を与えることなく下変位部材４４０を摺動に伴って回転させることができる。
【０９７１】
軸支ピン４１１ｃは、後述する伝達部材４２０のカム部材４２２の軸部４２２ａに挿入される突起であり、軸部４２２ａの内径よりも小さい外径の円柱状に形成される。また、軸支ピン４１１ｃは、金属製の棒状体から形成され、正面ベース４１１に外嵌される。よって、カム部材４２２にその外周面から軸方向に向かって力が作用した際に、軸支ピン４１１ｃが折れる（破損する）ことを抑制できる。
【０９７２】
次いで、図１１９から図１２１を参照して、第２実施形態における下変位部材２４４０について説明する。第１実施形態では、可動ラック４６４及びラック４６６が、駆動モータＫＭ２の駆動力により同方向に変位する場合を説明したが、第２実施形態における下変位部材２４４０は、可動ラック２４６４及びラック４６６が駆動モータＫＭ２の駆動力により反対方向に変位される。なお、上記第１実施形態と同一の部分には、同一の符号を付してその説明は、省略する。
【０９７３】
まず、第２実施形態における下変位部材２４４０の全体構成について、図１１９及び図１２０を参照して説明する。図１１９は、第２実施形態における下変位部材２４４０の分解斜視正面図である。図１２０は、下変位部材２４４０の正面図である。なお、図１２０では、下変位部材２４４０の装飾部材４５０及び正面ケース４８１が透明視された状態が図示される。
【０９７４】
図１１９及び図１２０に示すように、第２実施形態における下変位部材２４４０は、正面ベース４１１に連結されるベース部材２４７０と、そのベース部材２４７０の前後を覆うケース部材４８０と、ケース部材４８０とベース部材２４７０との間に変位可能に配設される伝達機構２４６０と、ケース部材４８０の前後を覆う態様で形成される装飾部材４５０とを主に備えて形成される。
【０９７５】
ベース部材２４７０は、正面視矩形横長に形成される板部材であり、一端側の背面に突出する突起４７２，４７３と、他端側の縁部から正面側に立設する立設壁４７１ａと、左右方向（図１２０左右方向）中央部の上端から正面側に上下方向反対のＵ字状に突出する突設壁４７７と、正面側に突設する軸部４７４，４７５と、その軸部４７４，４７５よりも上方に突設する軸部２４７０ａ，２４７０ｂとを主に備えて形成される。
【０９７６】
軸部２４７０ａは、後述する伝達ギヤ２４６８ａが回転可能に軸支される軸部材であり、伝達ギヤ２４６８ａの軸孔よりも小さく形成される。
【０９７７】
軸部２４７０ｂは、後述する伝達ギヤ２４６８ｂが回転可能に軸支される軸部材であり、伝達ギヤ２４６８ｂの軸孔よりも小さく形成される。後述するように、伝達ギヤ２４６８ａ及び軸部２４７０ａとは、その外周面に刻設されるギヤ歯面が歯合された状態で配設される。即ち、軸部２４７０ａ及び軸部２４７０ｂの正面視における間隔は、伝達ギヤ２４６８ａ及び伝達ギヤ２４６８ｂの半径分の距離に設定される。
【０９７８】
伝達機構２４６０は、ベース部材４７０の前方に配置されており、伝達ギヤ４６１，４６２，４６３と、その伝達ギヤ４６１に軸部分が連結される駆動モータＫＭ２と、伝達ギヤ４６３と歯合する歯面を有し、ベース部材４７０の前方にスライド変位可能に配設される可動ラック２４６４と、その可動ラック２４６４に歯合する伝達ギヤ２４６８ａと、その伝達ギヤ２４６８ａに歯合する伝達ギヤ２４６８ｂと、その伝達ギヤ２４６８ｂに歯合するラック４６と、そのラック４６６の一端側に回転可能に配設される球受部４６７とを主に備えて形成される。
【０９７９】
可動ラック２４６４は、正面視矩形横長の板状体に形成され、下端面に刻設されるラックギヤ４６４ａと、上端面に刻設されるラックギヤ２４６４ｇと、下方の端部に突出する衝突部４６４ｆとを主に備えて形成される。
【０９８０】
ラックギヤ２４６４ｇは、後述する伝達ギヤ２４６８ａに歯合される。これにより、駆動モータＫＭ４から駆動が伝達されてラック４６６が変位されると、その変位に伴って伝達ギヤ２４６８ａを回転させることができる。
【０９８１】
伝達ギヤ２４６８ａ，２４６８ｂは、上述したように互いに歯合した状態でベース部材２４７０の軸部２４７０ａ，２４７０ｂにそれぞれ軸支される。これにより、伝達ギヤ２４６８ａが回転されると、伝達ギヤ２４６８ｂが回転される。また、伝達ギヤ２４６８ｂは、ラック４６６のラックギヤ４６６ａに歯合されており伝達ギヤ２４６８ｂが回転されると、ラック４６６に駆動力が伝達されてラック４６６が変位される。
【０９８２】
即ち、駆動モータＫＭ４の駆動力によりラック４６６を駆動させることができる。なお、伝達ギヤ２４６８ａ，２４６８ｂは、一部前後方向にずれた位置に配置されており、伝達ギヤ２４６８ａはラック４６６に、伝達ギヤ２４６８ｂは可動ラック２４６４にそれぞれ衝突することが抑制される。
【０９８３】
次いで、図１２１を参照して、下変位部材２４４０の変位について説明する。図１２１は、下変位部材２４４０の正面図である。なお、図１２１では、図１２０と同様に、下変位部材２４４０の装飾部材４５０及び正面ケース４８１が透明視された状態で図示される。
【０９８４】
図１２１に示すように、駆動モータＫＭ２に電力が付与されて、上述した伝達機構２４６０により、球受部４６７が発射位置に変位されると、可動ラック４６４及びラック４６６が互いに異なる方向に変位される。
【０９８５】
詳しく説明すると、駆動モータＫＭ４が回転されることで、可動ラック４６４は、下変位部材４４０の他端側（図１２１左側）に変位される。この変位に伴って、伝達ギヤ２４６８ａ，２４６８ｂが回転されて、ラック４６６が一端側（図３右側）に変位される。これにより、球受部４６７を第３位置に変位させることができる。
【０９８６】
よって、球受部４６７が、第１位置から変位されると、その球受部４６７の変位方向と逆方向となる変位成分を形成することができるので、球受部４６７の変位に伴い、下変位部材２４４０の重心位置が変化されることを可動ラック４６４の変位で小さくすることができる。その結果、重心位置の変化に起因する下変位部材２４４０のがたつきを抑制できる。
【０９８７】
次いで、図１２２から図１２７を参照して、第３実施形態における下変位部材３４４０について説明する。第１実施形態では、ラックピニオン機構により球受部４６７をスライド変位させる場合を説明したが、第３実施形態における下変位部材３４４０は、リンク機構により球受部４６７がスライド変位される。なお、上記各実施形態と同一の部分には、同一の符号を付してその説明は省略する。
【０９８８】
まず、第３実施形態における下変位部材３４４０の全体構成について、図１２２から図１２５を参照して説明する。図１２２（ａ）は、第３実施形態における下変位部材３４４０の正面図であり、図１２２（ｂ）は、下変位部材３４４０の背面図である。図１２３は、下変位部材３４４０の分解斜視正面図であり、図１２４は、下変位部材３４４０の分解斜視背面図である。図１２５（ａ）及び９１（ｂ）は、下変位部材３４４０の正面図である。
【０９８９】
なお、図１２５（ａ）では、下変位部材３４４０の装飾部材４５０が透明視された状態が図示され、図１２５（ｂ）では、下変位部材３４４０の装飾部材４５０及び正面ケース３４８１が透明視された状態が図示される。
【０９９０】
図１２２から図１２５に示すように、第３実施形態における下変位部材３４４０は、正面ベース４１１に連結されるベース部材３４７０とそのベース部材３４７０の前後を覆うケース部材４８０と、ケース部材４８０とベース部材３４７０との間に変位可能に配設される伝達機構３４６０と、ケース部材４８０の前後を覆う態様で形成される装飾部材４５０とを主に備えて形成される。
【０９９１】
ベース部材３４７０は、正面視矩形横長に形成される板部材であり、一端側の背面に突出する突起４７２，４７３と、他端側の縁部から正面側に立設する立設壁４７１ａと、その立設壁４７１ａの基端側から連なって形成されると共にベース部材３４７０の下方の縁部に立設される摺動壁３４７０ｃと、左右方向（図１２２（ａ）左右方向）中央部の上端から正面側に上下方向反対のＵ字状に突出する突設壁４７７と、ベース部材４７０の上下方向中央部に一端側から他端側に延びつつ凹設される開口４７９とを主に備えて形成される。
【０９９２】
摺動壁３４７０ｃは、球受部４６７の脚部４６７ａと当接して、その球受部４６７の位置（態様）を規制するための壁部である。即ち、球受部４６７の下方の位置まで突出形成される。これにより、球受部４６７をそのＵ字部分の開口を上方に向けた状態で保持することができる。
【０９９３】
また、摺動壁３４７０ｃは、立設壁４７１ａ側の端部の下方に凹設される凹部３４７０ｃ１が形成される。凹部３４７０ｃ１は、球受部４６７の脚部４６７ａの先端をその内部に受け入れる溝である。これにより、球受部４６７が後述する伝達機構３４６０により立設部側に摺動された際に、球受部４６７を凹部に受け入れて球受部４６７を回転させることができる。その結果、球受部４６７に発射動作（Ｕ字の内部に保持された球を下変位部材３４４０の外方に排出する動作）をさせることができる。
【０９９４】
伝達機構３４６０は、後述する正面ケース３４８０に取着される駆動モータＫＭ２と、駆動モータＫＭ２の軸に連結されて回転可能に配設される第１リンク部材３４６８と、その第１リンク部材３４６８に回転可能な状態で連結される第２リンク部材３４６９と、その第２リンク部材３４６９の一端側に連結される球受部４６７とを主に備えて形成される。
【０９９５】
第１リンク部材３４６８は、矩形横長の板状体から形成され、一端側に貫通形成される軸孔３４６８ｂと、駆動モータＫＭ２の軸に連結される連結孔３４６８ａと、他端側に膨出して形成される荷重部３４６８ｃとを主に備えて形成される。
【０９９６】
軸孔３４６８ｂは、後述する第２リンク部材３４６９の回転軸３４６９ａが挿通される貫通孔であり、回転軸３４６９ａの外径よりも大きい内径で前後方向に貫通形成される。
【０９９７】
連結孔３４６８ａは、上述したように駆動モータＫＭ２の軸に締結される孔であり、駆動モータＫＭ２の軸の外径と略同一の内径に形成される。連結孔３４６８ａに駆動モータＫＭ２の軸が内嵌されて締結されることで、第１リンク部材３４６８が、駆動モータＫＭ２の駆動力で回転可能とされる。
【０９９８】
荷重部３４６８ｃは、連結孔３４６８ａよりも他端側に膨出して形成される。荷重部３４６ｃは、第１リンク部材３４６８の重心を連結孔３４６８ａよりも他端側に位置させるための荷重を与えるための部材であり、一端側よりも外側に膨出して形成される。
【０９９９】
第２リンク部材３４６９は、矩形横長の状態に形成されると共に、第１リンク部材３４６８の背面側に配設される。第２リンク部材３４６９は、他端側から正面に向かって円柱状に突出する回転軸３４６９ａと、一端側に前後方向に貫通形成される貫通孔３４６９ｂとを主に備えて形成される。
【１０００】
回転軸３４６９ａは、上述したように、第１リンク部材３４６８の軸孔３４６８ｂに挿入される。これにより、第１リンク部材３４６８と第２リンク部材３４６９とを回転可能な状態で連結することができる。
【１００１】
貫通孔３４６９ｂは、球受部４６７を第２リンク部材３４６９に連結するための開口である。また、貫通孔３４６９ｂは球受部４６７の軸孔４６７ｂの内径より小さく形成される。よって、球受部４６７の軸孔４６７ｂと貫通孔３４６９ｂとを同軸上に配置すると共に、開口４６９の短手方向の幅よりも頭の大きいネジをベース部材３４７０背面側から開口４７９及び軸孔４６７ｂを挿通させて貫通孔３４６９ｂに締結させることで、球受部４６７が回転可能な状態で第２リンク部材に連結される。
【１００２】
ケース部材４８０は、ベース部材４７０の前後を覆設する部材であり、ベース部材４７０の正面側に配設される正面ケース３４８１と、背面側に配設される背面ケース４８２とを主に備える。
【１００３】
正面ケース３４８１は、正面視矩形横長の板状に形成され、駆動モータＫＭ２と対向する位置に貫通される開口３４８１ｄと、背面側の下端面に突出形成される底壁部４８１ｂと、下方縁部に前後方向に貫通する軸孔４８１ｃとを主に備えて形成される。
【１００４】
開口３４８１ｄは、正面ケース３４８１の正面側に配設される駆動モータＫＭ２の軸を背面側に挿通させるための孔であり、駆動モータＫＭ２の軸よりも大きい外径に形成される。これにより、正面ケース３４８１の正面側に配設される駆動モータＫＭ２の駆動力を背面側に配置される第１リンク部材３４６８に伝達できる。
【１００５】
次いで、図１２６及び図１２７を参照して、下変位部材３４４０の変位について説明する。図１２６（ａ）は、第１位置における下変位部材４４０の正面図であり、図１２６（ｂ）は、第２位置における下変位部材４４０の正面図である。図１２７（ａ）は、第３位置における下変位部材４４０の正面図であり、図１２７（ｂ）は、第２位置における下変位部材４４０の正面図である。
【１００６】
なお、図１２６（ａ）から図１２７（ｂ）までは、下変位部材４４０の遷移状態が順に図示される。また、図１２６（ａ）及び図１２６（ｂ）または図１２７（ａ）及び図１２７（ｂ）は、下変位部材３４４０の装飾部材４５０及び正面ケース４８１が透明視された状態が図示される。
【１００７】
図１２６及び図１２７に示すように、第１位置における下変位部材４４０は、第１リンク部材３４６８及び第２リンク部材３４６９がその長手方向（図１２６（ａ）左右方向）をベース部材３４７０の長手方向（図１２６（ａ）左右方向）と略平行な状態とされると共に、第１リンク部材３４６８及び第２リンク部材３４６９が前後方向に重なる態様で配置される。
【１００８】
即ち、第１リンク部材３４６８及び第２リンク部材３４６９との連結部分をベース部材３４７０の一端側（図１２６（ａ）左側）に配置した状態とされる。これにより、第２リンク部材３４６９が一端側に配置される。その結果、球受部４６７が第１位置に配置される。
【１００９】
次いで、図１２６（ｂ）に示すように、第１位置の状態から、駆動モータＫＭ２が回転されて、第１リンク部材３４６８が回転変位されると、第１リンク部材３４６８の一端側がベース部材３４７０に対して変位される。これにより、第１リンク部材３４６８の一端側に連結される第２リンク部材３４６９が変位される。この場合、第２リンク部材３４６９の一端側は、球受部４６７に連結されると共にベース部材３４７０の開口４７９に沿って摺動可能とされるので、第２リンク部材３４６９の一端側がベース部材３４７０の他端側に押し出される。その結果、第２リンク部材３４６９の他端側に連結される球受部４６７を第２位置に変位させることができる。
【１０１０】
次に、図１２７（ａ）に示すように、第２位置の状態から、駆動モータＫＭ２がさらに回転変位されて、第１リンク部材３４６８が、第１位置の状態から略１８０度回転されると、第１リンク部材３４６８と第２リンク部材３４６９との連結部分がその回転軸に対してベース部材３４７０の他端側に配置された状態とされる。よって、第２リンク部材３４６９の一端側が更にベース部材３４７０の他端側に押し出されて、球受部４６７が第３位置に配置される。
【１０１１】
この場合、球受部４６７の脚部４６７ａの先端が、凹部３４７０ｃ１の内側に配置されることで、球受部４６７が付勢ばねＳＰ２により回転されて発射動作される。
【１０１２】
さらに、第１リンク部材３４６８の荷重部３４６８ｃが、ベース部材３４７０の一端側に変位される。これにより、球受部４６７がベース部材に対して変位した際に下変位部材３４４０の重心位置が変化されることを抑制できる。その結果、下変位部材３４４０のがたつきを抑制できる。
【１０１３】
即ち、球受部４６７が、第１位置から変位されると、その球受部４６７の変位方向と逆方向となる変位成分を形成することができるので、球受部４６７の変位に伴い、下変位部材３４４０の重心位置が変化されることを荷重部３４６８ｃの変位で小さくすることができる。その結果、重心位置の変化に起因する下変位部材４４０のがたつきを抑制できる。
【１０１４】
また、第３実施形態では、図１２７（ｂ）に示すように、第１リンク部材３４６８の回転を継続させることで、球受部４６７を第２位置および第１位置に退避させることができる。よって、駆動モータＫＭ２の制御を切り替える必要がなく、第２位置または第１位置への変位を早く行うことができる。
【１０１５】
従って、球受部４６７の内側から遊技球を排出した際には、下変位部材４４０の重心位置が変化するので、下変位部材３４４０ががたつき易くなるところ、球受部４６７を素早く退避させて、その重心位置を下変位部材４４０の回転軸に素早く近づけることで下変位部材３４４０のがたつきを抑制することができる。
【１０１６】
更に、球受部４６７の変位を直ちに行うことで、球受部４６７の内側から遊技球を排出した際の排出動作の反作用による下変位部材３４４０のぐらつきを抑えることができる。
【１０１７】
即ち、球受部４６７の内側から遊技球を排出した際には、排出された遊技球の分、下変位部材４４０の荷重が軽くなり、反作用で下変位部材３４４０が上方に変位しやすいところ、球受部４６７を直ちに変位させることで、球受部４６７の回転変位による反作用でベース部材４７０を下方に変位させる力を作用させて、下変位部材３４４０から球が排出された際の反作用を打ち消すことができる。
【１０１８】
次いで、図１２８から図１３０を参照して、第４実施形態における下変位ユニット４４００について説明する。第１実施形態では、退避状態に配置された下変位部材４４０が発射動作可能に形成される場合を説明したが、第４実施形態における下変位ユニット４４００は、退避状態に配置された下変位部材４４０の発射動作が規制される。なお、上記各実施形態と同一の部分には同一の符号と付してその説明は省略する。
【１０１９】
まず、第４実施形態における下変位ユニット４４００の全体構成について図１２８を参照して説明する。図１２８は、第４実施形態における下変位ユニット４４００の正面図である。なお、図１２８では、下変位部材４４０の装飾部材４５０及び正面ケース４８１が透明視された状態が図示されると共に、正面ケース４８１の底壁部４８１ｂが、鎖線で図示される。また、図１２８では、下変位部材４４０が退避状態であって、球受部４６７が第１位置に配置された状態が図示される。
【１０２０】
図１２８に示すように、第４実施形態における下変位ユニット４４００は、下変位部材４４０のベース部材４７０に、立設壁４７１ａと正面ケース４８１の底壁部４８１ｂとの対向間に開口される開口４４７１ｂが形成される。
【１０２１】
開口４４７１ｂは、内部に後述する係合壁４４１１ｇの先端部分４４１１ｇ１が挿入される。即ち、開口４４７１ｂは、先端部分４４１１ｇ１よりも大きく開口される。
【１０２２】
正面ベース４１１には、回収口４１１ｆの底面に連続する略Ｌ字状に形成された係合壁４４１１ｇが形成される。
【１０２３】
係合壁４４１１ｇは、略Ｌ字に屈曲した先端部分４４１１ｇ１が開口４４７１ｂに挿入されることで、球受部４６７が第３位置で回転されること（発射動作すること）を規制することができる。即ち、先端部分４４１１ｇ１の先端位置が、退避状態に位置する下変位部材４４０の底壁部４８１ｂの上面の高さと略同一に設定される。
【１０２４】
次いで、図１２９及び図１３０を参照して、下変位ユニット４４００の各部材が変位された状態について説明する。図１２９及び図１３０は、下変位ユニット４４００の正面図である。なお、図１２９及び図１３０では、図１２８と同様に下変位部材４４０の装飾部材４５０及び正面ケース４８１が透明視された状態が図示されると共に、正面ケース４８１の底壁部４８１ｂが、鎖線で図示される。
【１０２５】
また、図１２９では、下変位部材４４０が退避状態であって、球受部４６７が第３位置に配置された状態が図示される。また、図１３０では、下変位部材４４０が第１張出状態であって、球受部４６７が第１位置に配置された状態が図示される。
【１０２６】
図１２９に示すように、球受部４６７が第３位置に変位されると、球受部４６７の脚部４６７ａの先端が係合壁４４１１ｇの先端部分４４１１ｇ１の上面に当接して凹部４８１ｂ１又は開口４４７１ｂへの侵入が規制される。これにより、球受部４６７が回転されることが規制される。
【１０２７】
よって、球受部４６７の軌道領域上に送球された球を、下変位部材４４０の外方に排出するために球受部４６７に払出動作をさせた際に、第３位置で球受部４６７が回転して、球受部４６７の内側に保持した遊技球が排出されることを抑制できる。
【１０２８】
即ち、球受部４６７の第３位置への変位に伴って、規定数（１球）を超える遊技球を球受部４６７の軌道領域から排出する際に、球受部４６７の姿勢が変化されることを規制できる。よって、規定数を超える分の遊技球のみを軌道領域から排出しやすくできる。
【１０２９】
一方、図１３０に示すように、下変位部材４４０が第１張出状態の位置（退避状態の位置ではない位置）に変位されると、ベース部材４７０に対して、下変位部材４４０が変位されるので、下変位部材４４０の開口４４７１ｂと係合壁４４１１ｇとが離間される。よって、第１張出状態では、球受部４６７を第３位置に変位させて発射動作をすることができる。
【１０３０】
即ち、球受部４６７の第３位置への変位に伴って、規定数（１球）を超える分の遊技球を球受部４６７の軌道領域から排出する際に、球受部４６７の姿勢が変化されることを抑制して、規定数の遊技球を球受部４６７が保持した状態を維持しやすくできる一方、下変位部材４４０が第１及び第２張出位置に変位されると係合壁４４１１ｇが開口４４７１ｂの内部空間から離間されるので、球受部４６７の第３位置への変位に伴って脚部４６７ａが開口４４７１ｂに係合されることで、球受部４６７の姿勢を変化させ、規定数の遊技球を球受部４６７から排出しやすくできる。
【１０３１】
次いで、図１３１から図１３５を参照して、第５実施形態における振分けユニット５５００について説明する。第１実施形態では、振分け部材５４０が回転して貯留状態と規制状態とを形成する場合を説明したが、第５実施形態における振分け部材５４０は、スライド変位して貯留状態と規制状態とを形成する。なお、上記各実施形態と同一の部分には同一の符号を付してその説明は省略する。
【１０３２】
まず、第５実施形態における振分けユニット５５００の全体構成について図１３１から図１３４を参照して説明する。図１３１（ａ）は、第５実施形態における振分けユニット５５００の上面図であり、図１３１（ｂ）は、振分けユニット５５００の背面図である。図１３２は、振分けユニット５５００の分解斜視正面図であり、図１３３は、振分けユニット５５００の分解斜視背面図である。図１３４は、図１３１（ａ）のＣＸＸＸＩＶ−ＣＸＸＸＩＶ線における振分けユニット５５００の断面図である。なお、図１３４では、振分け部材５４０の外形が鎖線で図示される。
【１０３３】
図１３１から図１３３に示すように、第５実施形態における振分けユニット５５００は、正面視略矩形に形成されるベース板５５２０と、そのベース板５５２０の正面側に取着されベース板５５２０との対向間に球が流下可能な複数の流下経路を形成する経路形成部材５１０と、ベース板５５２０の背面側にスライド可能に取着される振分け部材５５４０と、ベース板５５２０の端面に取着されベース板５５２０と経路形成部材５１０との対向間に形成される球の流下経路を延長する延長経路部材５３０とを主に備えて形成される。
【１０３４】
ベース板５５２０は、背面側に突出する円柱状の２本の軸部５５２６と、長方形状に貫通形成される第１開口５５２１及び第２開口５５２２と、上端の側面に上端側が開放する断面Ｕ字状形成されると共に左右方向に延設される転動部５２５と、背面側に鉤状に突出する係止部５２４とを主に備えて形成される。
【１０３５】
軸部５５２６は、背面側に２本突出して形成されており、それぞれ後述する２つの摺動溝５５４６の内部に挿入される。
【１０３６】
第１開口５５２１及び第２開口５５２２は、後述する振分け部材５５４０の規制板５４１及び貯留板５５４２が挿通される開口であり、規制板５５４１及び貯留板５５４２の板の厚みよりも大きい幅の開口に形成される。また、振分け部材５５４０は、スライド可能な状態でベース板５５２０に取着されるので、第１開口５５２１及び第２開口５５２２は、規制板５５４１及び貯留板５５４２よりも振分け部材５５４０のスライド方向に大きい開口に形成される。
【１０３７】
振分け部材５５４０は、一方が長く形成される正面視矩形に形成され、前後方向に所定の厚みを備えて形成される。振分け部材５５４０は、正面側に板状に突出する規制板５５４１及び貯留板５５４２と、その規制板５５４１及び貯留板５５４２の延設方向と略同一方向に長い長穴に形成される摺動溝５５４６と、背面側に鉤状に形成される係止部５４４とを主に備えて形成される。
【１０３８】
規制板５５４１は、第１開口５５２１を介して、第１送球経路ＫＲ１と第２送球経路ＫＲ２との連結部分に配設されて、第１送球経路ＫＲ１を流下する遊技球が第２送球経路ＫＲ２へ流入することを規制する板部材であり、第１開口５５２１から突出される距離が遊技球の半径よりも大きい距離に設定される。
【１０３９】
また、規制板５５４１は、正面視直線状に形成され、その延設される方向が、振分け部材５４０のスライド方向と略同一に設定される。これにより、振分け部材５５４０がスライド変位された際に、規制板５５４１の変位領域を最小にすることができる。その結果、第１開口５５２１の開口領域を最小にすることができ、ベース板５５２０の剛性を確保することができる。
【１０４０】
貯留板５５４２は、第２開口５５２２を介して、第２送球経路ＫＲ２上に配置され、第２送球経路ＫＲ２を流下する遊技球を貯留板５５４２の上流側に流下する板部材であり、第２開口５５２２から突出される距離が遊技球の半径よりも大きい距離に設定される。
【１０４１】
また、貯留板５５４２は、正面視直線状に形成され、その延設される方向が、振分け部材５４０のスライド方向と略同一に設定される。これにより、振分け部材５５４０がスライド変位された際に、貯留板５５４２の変位領域を最小にすることができる。その結果、第２開口５５２２の開口領域を最小にすることができ、ベース板５５２０の剛性を確保することができる。
【１０４２】
摺動溝５５４６は、前後方向に貫通形成される長穴である。摺動溝５５４６は、その内部にベース板５５２０の軸部５５２６が挿入される。よって、軸部５５２６を摺動溝５５４６に挿入する共に、背面側からネジ等を軸部５５２６の先端に締結することで、振分け部材５５４０をベース板５５２０に対してスライド変位可能な状態で保持することができる。
【１０４３】
摺動溝５５４６は、２箇所に形成されそれぞれの長手方向が平行に形成される。これにより、振分け部材５５４０が回転変位することを抑制しつつ、振分け部材５５４０をスライド変位させることができる。
【１０４４】
次いで、図１３５を参照して、振分け部材５５４０の変位について説明する。図１３５（ａ）及び図１３５（ｂ）は、図１３４の範囲ＣＸＸＸＶにおける振分けユニット５５００の部分拡大図である。なお、図１３５（ａ）では、振分け部材５５４０が貯留位置に配置された状態が、図１３５（ｂ）では、振分け部材５５４０が規制位置に配置された状態が、それぞれ図示される。
【１０４５】
図１３５（ａ）に示すように、振分け部材５５４０が規制位置配置された状態では、貯留板５５４２が第３送球経路ＫＲ３状に配置される共に、規制板５５４１が経路形成部材５１０の背面側の壁に形成される凹部５１８の内側に配置される。
【１０４６】
この場合、貯留板５５４２の第３送球経路ＫＲ３の内側に突出した先端とその先端と対向する第３送球経路の内壁との距離寸法Ｌ９は、遊技球の直径よりも小さくされる。よって、第３送球経路ＫＲ３の上流（第１送球経路ＫＲ１）から送球される球は、貯留板５５４２の上流側に停止される。
【１０４７】
一方、図１３５（ｂ）に示すように、振分け部材５５４０が、規制位置に配置された状態では、規制板５５４１が第１送球経路ＫＲ１と第３送球経路ＫＲ３との連結部分に配置されると共に、規制板５５４１が第１送球経路ＫＲ１と第３送球経路ＫＲ３との連結部分に配置され、貯留板５５４２が、経路形成部材５１０の背面側の壁部に形成される凹部５１９の内側に配置される。
【１０４８】
この場合、規制板５５４１の第１送球経路ＫＲ１の内側に突出した先端の端部と第３送球経路ＫＲ３の入り口の内壁までの距離寸法Ｌ１０は、遊技球の直径よりも小さくされる。よって、第１送球経路ＫＲ１を流下する球は、規制板５５４１に衝突して第２送球経路ＫＲ２に送球される。
【１０４９】
即ち、振分け部材５５４０を規制位置と貯留位置とで切り換えることで、第１送球経路ＫＲ１を送球される球を第３送球経路ＫＲ３に送球して、第３送球経路ＫＲ３上に停止させる状態と、第１送球経路ＫＲ１を流下する球を第３送球経路ＫＲ３に流入不能として、第２送球経路ＫＲ２に送球される状態とを形成することができる。
【１０５０】
よって、１つの振分け部材５５４０をスライド変位させることで、１の流下する経路から２の流下する経路に分かれる場合に、球の流下経路をどちらかに確実に切り替えることができる。
【１０５１】
また、規制板５５４１（振分手段）は、第１送球経路ＫＲ１（流下通路）または第３送球経路ＫＲ３（第１分岐通路）に対して出没可能に形成されると共に、その出没位置が、第１送球経路ＫＲ１の下流端における流下方向の延長線上における内壁とされる。よって、第１送球経路ＫＲ１の下端側から流下する遊技球に近い位置で、規制板５５４１を突出させることができる。よって、規制板５５４１を流下通路または第３送球経路ＫＲ３（第１分岐通路）へ突出させ始めてから遊技球を振り分けできる状態となるまでに要する時間を短くすることができる。その結果、規制板５５４１による振り分け先の切り替えを確実に行うことができる。
【１０５２】
また、規制板５５４１（振分手段）は、第３送球経路ＫＲ３（第１分岐通路）に突出されることで、第１送球経路ＫＲ１（流下通路）を流下する遊技球を第２送球経路（第２分岐通路）へ振り分けるものであり、規制板５５４１の突出方向が、第２送球経路ＫＲ２の上流端を指向する方向に設定されるので、第１送球経路ＫＲ１を流下する遊技球が突出動作の途中の規制板に当接した場合には、かかる遊技球を規制板の突出動作に伴って、第２送球経路ＫＲへ押し込むことができる。その結果、第２送球経路ＫＲ２への振り分けをより確実に行うことができる。
【１０５３】
次いで、図１３６から図１４０を参照して、第６実施形態における回転ユニット６７００について説明する。第１実施形態では、回転体８００の駆動に負荷ギヤ７３１ｅが連結され、回転体８００が慣性力で動作することが規制される場合を説明したが、第６実施形態における回転体８００は、負荷ギヤ７３１ｅが取り外される。なお、上記各実施形態と同一の部分には同一の符号を付してその説明は省略する。
【１０５４】
まず、第６実施形態における回転ユニット６７００の全体構成について図１３６から図１３８を参照して説明する。図１３６は、第６実施形態における回転ユニット６７００の正面図であり、図１３７は、回転ユニット６７００の分解斜視正面図である。図１３８は、振分けユニット６５００の分解斜視背面図である。
【１０５５】
図１３６から図１３８に示すように、回転ユニット６７００は、回転変位する回転体８００を備える装飾ユニット６７５０と、その装飾ユニット６７５０の重力方向上側に配置される球受台７１０と、その球受台７１０及び装飾ユニット６７５０の背面側に配置される背面ベース７２０と、装飾ユニット６７５０の正面視左側に配設される左側伝達部材７３０と、装飾ユニット６７５０の正面視右側に配設されるクランクカバー７４３と、を主に備えて形成される。
【１０５６】
装飾ユニット６７５０は、重力方向上側が開放される箱形状に形成される箱部材７６０と、その箱部材の内側に回転可能に配設される回転体８００とを主に備えて形成される。即ち、第１実施形態では、装飾ユニット７５０は、箱部材７６０と蓋部材７７０との内側に回転体８００が配置されたが、第６実施形態では、蓋部材７７０が取り外された状態で形成される。
【１０５７】
左側伝達部材７３０は、装飾ユニット７５０の左側側面（図１３６左側）に配設される駆動モータＫＭ４と、その駆動モータＫＭ４の駆動力を伝達する伝達部材６７３１と、駆動モータＫＭ４が取着されるモータベース７３２と、伝達部材６７３１を覆設するギヤカバー７３３と、そのギヤカバー７３３に取着されると共にギヤカバー７３３との対向間に所定の隙間を有して形成される送球経路カバー７３４とを主に備えて形成される。
【１０５８】
伝達部材６７３１は、駆動モータＫＭ４の軸に取着される伝達ギヤ７３１ａと、その伝達ギヤ７３１ａに歯合する伝達ギヤ６７３１ｂと、その伝達ギヤ６７３１ｂに歯合する伝達ギヤ７３１ｃと、その伝達ギヤ７３１ｃと隣り合って配置されると共に軸７３５により同軸に配設される伝達ギヤ７３１ｄとを主に備えて形成される。
【１０５９】
伝達ギヤ６７３１ｂは、伝達ギヤ７３１ｃに駆動力を伝達するギヤである。なお、第１実施形態では、伝達ギヤ７３１ｂの内部にワンウェイクラッチＯＷ１が取着されたが、第６実施形態の伝達ギヤ６７３１ｂには、ワンウェイクラッチＯＷ１が取り外される。また、伝達ギヤ７３１ｃ及び伝達ギヤ７３１ｄについては、第１実施形態と同じであるので、その詳細な説明は省略する。
【１０６０】
よって、駆動モータＫＭ４から一方向の駆動力が伝達されると、軸７３５に回転の駆動力を伝達できると共に、駆動モータＫＭ４から他方向の駆動力が伝達されるとワンウェイクラッチＯＷ１の内輪に対して外輪が滑って（空転して）軸７３５への駆動力の伝達が遮断される。
【１０６１】
次いで、図１３９及び図１４０を参照して、回転体８００の回転について説明する。図１３９（ａ）から図１３９（ｃ）は、図１３８の矢印ＣＸＸＸＩＸ方向視における装飾ユニット６７５０の側面図であり、図１４０（ａ）から図１４０（ｃ）は、図１３８の矢印ＣＸＸＸＩＸ方向視における装飾ユニット６７５０の側面図である。
【１０６２】
なお、図１３９及び図１４０では、箱部材７６０の左側側面板７６５が透明視された状態が図示される。また、図１３９（ａ）から図１３９（ｃ）では、回転体８００の重心Ｇが第２区間ＤＫ２を変位する態様が順に図示され、図１４０（ａ）から図１４０（ｃ）では、回転体８００の重心Ｇが第１区間ＤＫ１を変位する態様が順に図示される。
【１０６３】
図１３９に示すように、回転体８００は、駆動モータＫＭ４から一方向の駆動力が伝達されると左方向視（図１３９方向視）右回り（時計回り）に回転変位される。
【１０６４】
回転体８００は、上述したように回転軸を中心を非対称に形成され、回転軸と異なる位置に重心Ｇが配置される。そのため、回転体８００が図１４０（ａ）に示す重心Ｇを回転軸の上側に配置した状態から回転されて、図１４０（ｂ）に示めす重心Ｇを回転軸と略水平の位置に変位し始めると、その荷重により回転方向に回転する力が作用される。
【１０６５】
そのため、伝達ギヤ７３１ｃに配置されたワンウェイクラッチＯＷ１の外輪と内輪との間に介設されるローラーの係合が解除され、外輪（回転体８００側）が内輪（駆動モータ側）に対して先行して駆動する状態とされる。即ち、第２区間では、回転体８００の回転速度を駆動モータＫＭ４の回転速度よりも速くして回転させることができる。
【１０６６】
なお、第２区間ＤＫ２をその荷重で回転する回転体８００は、その荷重により、図１３９（ｃ）に示す重心Ｇを回転軸の下側に位置する位置まで回転される。
【１０６７】
一方、図１４０に示すように、第１区間ＤＫ１を回転体８００の重心Ｇが変位する場合には、回転体８００の荷重がその回転する方向と反対方向に作用する。そのため、回転体８００は、駆動モータＫＭ４の回転速度に従って回転される。
【１０６８】
よって、第６実施形態では、第２区間ＤＫ２における回転体８００の変位速度を第１区間ＤＫ１における回転体８００の変位速度よりも早くすることができる。その結果、回転体８００の変位態様に変化を付与して、その回転体８００の変位に従う演出効果を高めることができる。
【１０６９】
次いで、図１４１から図１４４を参照して、第７実施形態について説明する。上述した第１実施形態では、蓋部材７７０がその自重により、ワンウェイクラッチＯＷ１の外輪を内輪に対して先行させる（即ち、蓋部材７７０の変位速度を速くする）場合を説明したが、第７実施形態における変位部材７７１０は、遊技球の重さを利用して、ワンウェイクラッチＯＷ１の外輪を内輪に対して先行させる（即ち、変位部材７７１０の変位速度を速くする）。なお、上述した各実施形態と同一の部分には同一の符号を付して、その説明は省略する。
【１０７０】
図１４１及び図１４２は、第７実施形態における変位ユニット７７００の側面模式図である。なお、図１４１では、変位部材７７１０が上昇位置に配置された状態が、図１４２では、変位部材７７１０が下降位置に配置された状態が、それぞれ模式的に図示される。
【１０７１】
図１４１及び図１４２に示すように、変位ユニット７７００は、スライド変位可能に形成される変位部材７７１０と、その変位部材７７１０へ駆動手段（図示せず、例えば、電動モータ）の回転駆動力を伝達する伝達部材７７２０と、変位部材７７１０のスライド変位に伴って回転される負荷ギヤ７７３０とを主に備える。
【１０７２】
変位部材７７１０は、図示しない支持機構によって仮想線Ｌ１に沿って直線変位可能に支持される部材であり、その変位部材７７１０の側面から突設される被駆動ピン７７１１と、変位部材７７１０の下面に仮想線Ｌ１に沿って刻設されるラックギヤ７７１２と、変位部材７７１０の先端に回転可能に軸支される球受け部材７７１３とを主に備える。
【１０７３】
なお、仮想線Ｌ１は、図１４１に示す上昇位置から図１４２に示す下降位置へ向かうに従って下降傾斜する直線として設定される。即ち、上昇位置では、下降位置よりも、変位部材７７１０が重力方向上方に位置される。
【１０７４】
被駆動ピン７７１１は、伝達部材７７２０のアーム部材７７２３における駆動溝７７２３ｂに摺動可能に挿通される部材であり、駆動溝７７２３ｂの溝幅よりも若干小さな外形の円柱状体として形成される。ラックギヤ７７１２には、負荷ギヤ７７３０が歯合されており、かかる負荷ギヤ７７３０が変位部材７７１０のスライド変位に伴って回転される。
【１０７５】
球受け部材７７１３は、変位部材７７１０の上面に遊技球を保持するための部材であり、回転軸７７１３ａを中心に回転されることで、図１４１に示す起立状態と図１４２に示す傾倒状態とを形成可能とされる。起立状態では、一端側が変位部材７７１０の上面よりも突出されることで、遊技球を保持可能とされる（図１４３参照）。一方、傾倒状態では、一端側が変位部材７７１０の上面よりも下方に位置されることで、変位部材７７１０の上面から遊技球を排出可能とされる（図１４４参照）。
【１０７６】
なお、球受け部材７７１３は、図示しない付勢ばね（例えば、ねじりばね）から作用する付勢力により起立状態に維持される。変位部材７７１０（球受け部材７７１３）の軌道上には、係合ピン７７４０が固定されており、変位部材７７１０が下降位置へスライド変位されると、球受け部材７７１３の他端側に係合ピン７７４０が係合されることで、球受け部材７７１３が回転されて、傾倒状態とされる。一方、変位部材７７１０が上昇位置へスライド変位されると、球受け部材７７１３が付勢ばねの弾性回復力により回転されて、傾倒状態に復帰される。
【１０７７】
伝達部材７７２０は、上述した図示しない駆動手段により回転駆動される円板状の回転部材７７２１と、その回転部材７７２１の軸方向端面から突設されると共に回転部材７７２１の回転中心から偏心して位置する円柱状の駆動ピン７７２２と、その駆動ピン７７２２が一端側に摺動可能に挿通される被駆動溝７７２３ａが開口形成されるアーム部材７７２３とを主に備える。
【１０７８】
回転部材７７２１と駆動手段との間には、ワンウェイクラッチＯＷ１が介設される。詳細には、ワンウェイクラッチＯＷ１は、内輪が駆動手段に連結されると共に、外輪が回転部材７７２１に連結され、内輪が駆動手段により矢印Ａ方向（図１４１の時計周り）に回転駆動されると、その回転駆動力を外輪に伝達する（即ち、回転部材７７２１を矢印Ａ方向へ回転させる）一方、内輪が駆動手段により矢印Ａ方向と反対方向（図１４１の反時計周り）に回転駆動されると、外輪（回転部材７７２１）への動力伝達を切断する。
【１０７９】
アーム部材７７２３は、被駆動溝７７２３ａが開口形成される一端側とは反対側となる他端側に、変位部材の７７１０の被駆動ピン７７１１が摺動可能に挿通される駆動溝７７２３ｂが開口形成されると共に、それら被駆動溝７７２３ａ及び駆動溝７７２３ｂの間（中間部分）が回転軸７７２３ｃにより回転可能に軸支される。
【１０８０】
なお、駆動ピン７７２２は、被駆動溝７７２３ａの溝幅よりも若干小さな外形の円柱状体として形成される。また、被駆動溝７７２３ａ及び駆動溝７７２３ｂは、アーム部材７７２３の長手方向に沿った直線状の溝として形成される。
【１０８１】
以上のように形成された変位ユニット７７００によれば、変位部材７７１０が図１４１に示す上昇位置に配置された状態から、回転部材７７２１が矢印Ａ方向（図１４１の時計回り）に回転されると、駆動ピン７７２２が被駆動溝７７２３ａの内壁面に作用して、アーム部材７７２３が回転軸７７２３ｃを中心として図１４１時計回りに回転される。このアーム部材７７２３の時計回りの回転に伴って、駆動溝７７２３ｂの内壁面が被駆動ピン７７１１を押し下げる方向へ作用することで、変位部材７７１０が、仮想線Ｌ１に沿ってスライド変位され、図１４２に示す下降位置に配置される。
【１０８２】
一方、変位部材７７１０が図１４２に示す下降位置に配置された状態から、回転部材７７２１が矢印Ａ方向（図１４１の時計回り）に更に回転されると、駆動ピン７７２２が被駆動溝７７２３ａの内壁面に作用して、アーム部材７７２３が回転軸７７２３ｃを中心として図１４１反時計回りに回転される。このアーム部材７７２３の反時計周りの回転に伴って、駆動溝７７２３ｂの内壁面が被駆動ピン７７１１を押し上げる方向に作用することで、変位部材７７１０が、仮想線Ｌ１に沿ってスライド変位され、図１４１に示す上昇位置に配置される。
【１０８３】
ここで、負荷ギヤ７７３０は、第１実施形態における負荷ギヤ７３１ｅと同様に、回転する際に所定量の抵抗が発生するように形成される。これにより、変位部材７７１０の重さ（自重）がアーム部材７７２３に作用して、回転部材７７２１を矢印Ａ方向（図１４１の時計周り）に回転させることで、ワンウェイクラッチＯＷ１の外輪が内輪に対して一方向（矢印Ａ方向）へ先行することを抑制できる。即ち、遊技球を保持していない状態では、上昇位置から下降位置へ向かう際の変位部材７７１０の変位速度が速くされることを抑制できる。
【１０８４】
即ち、駆動手段の回転駆動力により回転部材７７２１が矢印Ａ方向（図１４１及び図１４２の時計回り）に回転されている間、その回転駆動手段の回転駆動の速度に応じたスライド速度で、変位部材７７１０が上昇位置と下降位置との間を往復変位（スライド変位）される。
【１０８５】
図１４３及び図１４４は、変位部材７７１０に遊技球が保持された場合における変位ユニット７７００の側面模式図である。なお、図１４３では、変位部材７７１０が上昇位置に配置された状態が、図１４４では、変位部材７７１０が下降位置に配置された状態が、それぞれ模式的に図示される。
【１０８６】
図１４３及び図１４４に示すように、変位部材７７１０は、その上面に遊技球を保持可能に形成される。即ち、本実施形態では、変位ユニット７７００が遊技領域において遊技球が流下される領域に配置され、その流下する遊技球を変位部材７７１０がその上面で受け止め可能に形成される。なお、図１４３では、符号Ｔで示す４球の遊技球が変位部材７７１０の上面に保持された状態が例示される。
【１０８７】
この場合、変位部材７７１０が遊技球を保持した状態では、その遊技球の重さの分、変位部材７７１０全体としての重さを大きく（重く）して、負荷ギヤ７７３０の回転に伴う抵抗を越えさせることができる。即ち、変位部材７７１０全体の重さ（遊技球を含む重さ）をアーム部材７７２３に作用させ、回転部材７７２１を矢印Ａ方向（図１４３の時計周り）に回転させることで、ワンウェイクラッチＯＷ１の外輪を内輪に対して一方向（矢印Ａ方向）へ先行させることができる。その結果、上昇位置から下降位置へ向かう際の変位部材７７１０の変位速度を、遊技球を保持していない場合（図１４１参照）の変位速度よりも、速くすることができる。
【１０８８】
また、保持されている遊技球の数に応じて、変位部材７７１０全体としての重さを異ならせることができる。これにより、変位部材７７１０に遊技球が保持されているか否かだけでなく、保持している遊技球の数に応じても、変位部材７７１０の変位速度を異ならせる（変化させる）ことができる。その結果、変位部材７７１０の変位速度のバリエーションを増やすことができ、その分、変位部材７７１０の変位に伴う演出の演出効果を高めることができる。
【１０８９】
上述したように、変位部材７７１０には、その先端（下方傾斜側の端部）に球受け部材７７１３が配設される。よって、遊技領域を流下される遊技球を変位部材７７１０（その上面または球受け部材７７１３）が受け止めた際には、その遊技球から変位部材７７１０に作用される力を、下降位置へ向けてスライド変位させる力として作用させることができる。即ち、かかる力を、アーム部材７７２３及び回転部材７７２１を介して、ワンウェイクラッチＯＷ１の外輪を内輪に対して一方向（矢印Ａ方向）へ先行させる方向へ作用させることができる。
【１０９０】
これにより、流下する遊技球を、変位部材７７１０（その上面または球受け部材７７１３）が受け止めた際に、その遊技球の運動エネルギーを利用して、変位部材７７１０の下降位置へ向かう方向へのスライド変位の変位速度をより速くすることができる。
【１０９１】
この場合、流下する遊技球は、その流下方向や流下速度がそれぞれ異なる。そのため、受け止める遊技球の流下状態（流下方向や流下速度）の差に応じて、変位部材７７１０に作用される力（運動エネルギーの大きさ）を異ならせることができる。これにより、変位部材７７１０に遊技球が保持されているか否かや保持されている遊技球の数だけでなく、遊技球の流下状態に応じても、変位部材７７１０の変位速度を異ならせる（変化させる）ことができる。その結果、変位部材７７１０の変位速度のバリエーションを増やすことができ、その分、変位部材７７１０の変位に伴う演出の演出効果を高めることができる。
【１０９２】
また、第７実施形態では、回転部材７７２１の回転方向が一方向とされるので、駆動手段の駆動方向を切り替える必要がない。言い変えると、回転手段を一方向に連続して回転させることで、変位部材７７１０を往復変位させることができる。よって、駆動手段の駆動方向を切り替える時間をなくすことができる。その結果、駆動手段の切り替えを必要としない分、変位部材７７１０を直ちに変位させることができる。
【１０９３】
この場合、変位部材７７１０の変位を直ちに行うことで、球受け部材７７１３が回転変位して変位部材７７１０（その上面または球受け部材７７１３）が受け止めた遊技球を落下させる動作をした際の反作用による変位部材７７１０のがたつきを抑制することができる。
【１０９４】
即ち、変位部材７７１０（球受け部材７７１３）から遊技球を落下させた際には、落下された遊技球の分、変位部材７７１０の荷重が軽くなり、反作用で変位部材７７１０が上方に変位しやすいところ、変位部材７７１０を直ちに変位させることで、球受け部材７７１３の変位による反作用で、変位部材７７１０を下方に変位させる力を作用させて、変位部材７７１０から球が落下された際の反作用を打ち消すことができる。
【１０９５】
なお、遊技領域を流下する遊技球とは、遊技盤１３の前面（正面）を重力方向に沿って移動する遊技球に限定されず、重力方向と異なる方向へ移動する遊技球も含まれる。重力方向と異なる方向へ移動する遊技球としては、例えば、釘やチューリップ、役物などに衝突して、重力方向と異なる方向へ移動する遊技球や、ステージを転動した後、そのステージから飛び出して、重力方向と異なる方向へ移動する遊技球が例示される。
【１０９６】
ここで、本実施形態では、負荷ギヤ７７３０を設けることで、変位部材７７１０が遊技球を保持していない状態では（図１４１参照）、変位部材７７１０が下降位置へ向けてスライド変位される際に、ワンウェイクラッチＯＷ１の外輪が内輪に対して一方向（矢印Ａ方向）へ先行しない（即ち、変位部材７７１０の変位速度が速くならない）ように構成した。
【１０９７】
これに対し、負荷ギヤ７７３０を省略する又はその負荷ギヤ７７３０の抵抗を小さい値に設定して、変位部材７７１０が下降位置へ向けてスライド変位される際に、ワンウェイクラッチＯＷ１の外輪が内輪に対して一方向（矢印Ａ方向）へ先行する（即ち、変位部材７７１０の変位速度が速くなる）ように構成しても良い。即ち、変位部材７７１０の重さ（自重）のみを、アーム部材７７２３に作用させ、回転部材７７２１を矢印Ａ方向（図１４１の時計周り）に回転させた場合でも、ワンウェイクラッチＯＷ１の外輪が内輪に対して先行するようにしても良い。
【１０９８】
次いで、図１４５から図１４８を参照して、第８実施形態における上皿８０１７について説明する。第８実施形態における上皿８０１７には、正面視した左右方向略中央位置に回転操作ユニット８６５０が配設される。なお、上記各実施形態と同一の部分には、同一の符号を付してその説明を省略する。
【１０９９】
まず、第８実施形態における回転操作ユニット８６５０の全体構成について、図１４５から図１４７を参照して説明する。図１４５は、第８実施形態におけるパチンコ機１０の正面図である。図１４６は、回転操作ユニット８６５０の分解斜視正面図である。図１４７は、図１４５のＣＸＬＶＩＩ−ＣＸＬＶＩＩ線におけるパチンコ機１０の断面模式図である。
【１１００】
図１４５から図１４７に示すように、回転操作ユニット８６５０は、パチンコ機１０の上皿８０１７の内部空間に配置されると共に、後述する回転操作部８６５４の外周面が上皿８０１７の外方に突出した状態で配設される。
【１１０１】
回転操作ユニット８６５０は、駆動モータＫＭ６と、その駆動モータＫＭ６の軸部に連結される伝達ギヤ８６５１と、その伝達ギヤ８６５１の外周面に歯合される伝達ギヤ８６５２と、その伝達ギヤ８６５２の軸孔に内嵌される軸部８６５３と、その軸部８６５３に内輪が外嵌するワンウェイクラッチＯＷ１と、そのワンウェイクラッチＯＷ１の外輪が内嵌される回転操作部８６５４とを主に備えて形成される。
【１１０２】
伝達ギヤ８６５１は、駆動モータＫＭ６の軸に連結される。よって、駆動モータＫＭ６に回転の駆動力が付与されることで、伝達ギヤ８６５１を回転できる。上述したように、伝達ギヤ８６５１には、伝達ギヤ８６５２が歯合された状態で配置される。従って、駆動モータＫＭ６に回転の駆動力が付与されると、伝達ギヤ８６５１を介して伝達ギヤ８６５２を回転できる。
【１１０３】
軸部８６５３は、円柱状に形成された棒部材であり、その軸方向長さは回転操作部８６５４の左右方向の幅寸法よりも長く形成される。軸部８６５３は、上述したように、一方が伝達ギヤ８６５２の軸孔に内嵌されると共に、他方がワンウェイクラッチＯＷ１の内輪に挿入される。これにより、伝達ギヤ８６５２が回転された際の駆動力をワンウェイクラッチＯＷ１に伝達することができる。
【１１０４】
ワンウェイクラッチＯＷ１は、上述したように内輪と外輪とその間に係合されるローラーとから形成されており、内輪が一方向に回転されると内輪の回転を外輪に伝達できると共に内輪が他方向に回転されると内輪の回転を外輪に非伝達にできる。
【１１０５】
回転操作部８６５４は、円環状に形成されており、その外周面の一部が上皿８０１７から突出した状態で配設される。また、回転操作部８６５４の内円部には、ワンウェイクラッチＯＷ１の外輪が内嵌される。即ち、回転操作部８６５４の内傾は、ワンウェイクラッチＯＷ１の外径と略同一に形成される。よって、回転操作部８６５４は、ワンウェイクラッチＯＷ１の外輪が回転されることで、回転が伝達される。
【１１０６】
その結果、駆動モータＫＭ６が駆動されて、一方向に回転されると、その回転が伝達ギヤ８６５１，８６５２及びワンウェイクラッチＯＷ１の内輪を介してワンウェイクラッチＯＷ１の外輪に伝達されて、回転操作部８６５４が回転される。一方、駆動モータＫＭ６が駆動されて、他方向に回転されると、ワンウェイクラッチＯＷ１の内輪と外輪とが非伝達とされ回転操作部８６５４への回転駆動の伝達が遮断される。
【１１０７】
次に、図１４８を参照して、遊技者が回転操作部８６５４を操作する場合の説明をする。図１４８は、パチンコ機１０の断面模式図である。なお、図１４８の断面は、図１４７と対応する。
【１１０８】
上述したように、回転操作部８６５４は、駆動モータＫＭ６が回転されることで、回転操作部８６５４が回転する態様と、駆動モータＫＭ６の回転を非回転とすることで、回転操作部８６５４の回転変位が停止された態様を形成することができる。
【１１０９】
さらに、図１４８に示すように、駆動モータＫＭ６が一方向へ回転され、回転操作部８６５４がＡ方向に回転される際に、遊技者が回転操作部８６５４の外周面を操作して回転操作部８６５４に回転Ａ方向と同一方向に回転力を発生させると、ワンウェイクラッチＯＷ１の外周面および回転操作部８６５４が先行して回転される。即ち、回転操作部８６５４は、遊技者の操作により駆動モータＫＭ６の回転速度よりも速い速度の回転で操作することができる。
【１１１０】
また、回転操作部８６５４が非回転（駆動モータＫＭ６が非回転）とされる際に、遊技者が回転Ａ方向に回転操作部８６５４に駆動力を付与することで回転操作部８６５４を回転変位させることができる。
【１１１１】
よって、第８実施形態では、回転操作部８６５４が、駆動モータＫＭ６の駆動により非回転または回転状態の態様を形成するだけでなく、回転操作部８６５４が遊技者の操作により停止状態から回転する態様および回転操作部８６５４が遊技者の操作により回転状態から更に早い速度で回転される態様を形成することができる。
【１１１２】
その結果、回転操作部８６５４の変位態様を遊技者に視認させる態様を複数形成することができるので、遊技者に興趣を与えることができる。また、回転操作部８６５４の回転態様を複数形成することで、パチンコ機１０の演出態様を複数形成することができるので、その演出を増加できる分、遊技者に興趣を与えることができる。
【１１１３】
なお、回転操作部８６５４の側面には、その回転回数を計測するセンサ装置等が配置されており、回転操作部８６５４の回転数や回転速度に基づいて変化される演出を行うことができる。
【１１１４】
次いで、図１４９を参照して、第９実施形態における第１リンク部材９４３１について説明する。第９実施形態における第１リンク部材９４３１の板状突起９４３１ｂは、カム部材４２２との当接面が傾斜して形成される傾斜面９４３１ｂ１を備える。なお、上記各実施形態と同一の部分には同一の符号を付してその説明を省略する。
【１１１５】
図１４９（ａ）は、第９実施形態における第１リンク部材９４３１の斜視正面図であり、図１４９（ｂ）は、下変位ユニット４００の断面模式図である。なお、図１４９（ｂ）は、図５６（ａ）の断面模式図と対応する。
【１１１６】
なお、第９実施形態における下変位ユニット４００は、第１実施形態における下変位ユニット４００と同様に、背面ケース３００の底壁部３０１（図６参照）に配設されるベース部材４１０と、そのベース部材４１０に配設される伝達部材４２０と、その伝達部材４２０から駆動力が伝達されることで変位する下変位部材４４０（図４５参照）と、を備える。また、第９実施形態における下変位ユニット４００は、ベース部材４１０及び下変位部材４４０に連結されると共に伝達部材４２０の駆動に伴って変位されるリンク部材９４３０を備え、そのリンク部材９４３０の変位により下変位部材４４０が変位される。
【１１１７】
図１４９に示すように、第９実施形態における第１リンク部材９４３１は、正面視略くの字形状に屈曲して形成されると共に、前後方向に所定の厚みを有する板状に形成される。第１リンク部材９４３１は、一端側（図１４９（ａ）矢印Ｄ方向側）の前後方向に貫通する貫通孔４３１ａと、他端側（図１４９（ａ）矢印Ｕ方向側）の背面側に突出する円柱状の連結突起４３１ｃ（図４６参照）と、ベース部材４１０の湾曲壁部４１１ｅと対向する位置に突出する板状突起９４３１ｂと、屈曲部分の正面側に突出する円柱状の摺動突起４３１ｄと、備える。
【１１１８】
板状突起９４３１ｂは、貫通孔４３１ａの軸を中心に湾曲状に延設されると共に、正面側（正面ベース４１１側（矢印Ｆ方向側））に向かって突設される。また、板状突起９４３１ｂの突設寸法は、カム部材４２２の厚み（矢印Ｆ−Ｂ方向寸法）寸法よりも大きく設定される。さらに、板状突起９４３１ｂの突設先端面と対向するベース部材４１０（湾曲壁部４１１ｅ）とは、若干の隙間（距離Ｘ１４（図１４９（ｂ）参照））を隔てて配置される。
【１１１９】
カム部材４２２は、板状突起９４３１ｂを除く第１リンク部材９４３１の正面と湾曲壁部４１１ｅの突出面（背面）との対向間における領域を変位可能な状態で配置される。また、カム部材４２２及び第１リンク部材９４３１との対向間の隙間と、カム部材４２２及びベース部材４１０の対向間の隙間と、を合わせた２箇所の隙間の寸法は、上述した距離Ｘ１４よりも大きく設定される。
【１１２０】
これにより、上述した距離Ｘ１４が小さくなる方向（矢印Ｆ方向）に第１リンク部材９４３１が、撓んだ際に板状突起９４３１ｂの突設先端面を対向するベース部材４１０（湾曲壁部４１１ｅ）に当接させることができる。よって、板状突起９４３１ｂを除く第１リンク部材９４３１の正面と湾曲壁部４１１ｅの突出面（背面）との対向間にカム部材４２２が挟まれて変位が規制されることを抑制できる。
【１１２１】
また、板状突起９４３１ｂは、カム部材４２２側（図１４９（ｂ）矢印Ｌ方向側）の周方向の側面に、カム部材４２２に向かうに従って正面側に突出する傾斜面９４３１ｂ１を備える。傾斜面９４３１ｂ１は、図１４９（ｂ）に示すように、突出側（矢印Ｆ方向側）に向かって略４５度傾斜して形成される。
【１１２２】
これにより、下変位ユニット４００が第２変位状態とされてカム部材４２２の端部が板状突起９４３１ｂに当接した際に、カム部材４２２を第１リンク部材９４３１の背面（矢印Ｆ方向側の面）に押し付ける（変位させる）ことができると共に、第１リンク部材９４３１の板状突起９４３１ｂの突設先端面（矢印Ｆ方向側の面）を湾曲壁部４１１ｅに押し付けることができる。その結果、カム部材４２２及び第１リンク部材９４３１が前後方向（矢印Ｆ−Ｂ方向）に揺れ動くことを抑制でき、下変位部材４４０を第２変位状態の位置で維持しやすくできる。
【１１２３】
なお、この場合、カム部材４２２の端部には、傾斜面９４３１ｂ１との当接部分に傾斜面９４３１ｂ１と平行な平面が形成されることが好ましい。これにより、カム部材４２２と傾斜面９４３１ｂ１とが当接した際に、カム部材４２２を背面側（矢印Ｂ方向側）に変位させやすくできる。
【１１２４】
次いで、図１５０を参照して、第１０実施形態における一般入賞口ユニット１０１５０について説明する。上記第１実施形態では、一般入賞口ユニット１５０は、接着テープ１５４ａが、装飾部材１５４の端部に貼付される場合について説明したが、第１０実施形態では、接着テープ１０１５４ａが装飾部材１０１５４の端部から所定の幅を隔てる内側に貼付される。なお、上記各実施形態と同一の部分には、同一の符号を付してその説明は省略する。
【１１２５】
図１５０は、第１０実施形態における遊技盤１３の断面図である。なお、図１５０は、図１６の断面図に対応する。また、第１０実施形態における一般入賞口ユニット１０１５０は、第１実施形態における一般入賞口ユニット１５０と同様に、遊技盤１３の遊技領域（ベース板６０の正面）に配設され、遊技領域を流下する遊技球の経路を変更可能とされる。また、一般入賞口ユニット１０１５０は、内レール７６及び外レール７７により囲われて形成される遊技領域に対して、正面視（矢印Ｂ方向視）における重力方向下側（矢印Ｄ方向側）の端部に沿う位置に配置される。
【１１２６】
さらに、一般入賞口ユニット１０１５０は、正面視において三日月状に形成される本体部１５１と、その本体部１５１の端部から正面側（矢印Ｆ方向側）に立設される第１立設部１５２（図１２参照）と、その第１立設部１５２の重力方向上側（矢印Ｕ方向側）の端部から遊技領域の中央側に向かって延設される第２立設部１５３（図１２（ａ）参照）と、本体部１５１の正面側に形成される複数（本実施形態では３個）の一般入賞口６３（図１２（ａ）参照）と、備える。
【１１２７】
図１５０に示すように、第１０実施形態における一般入賞口ユニット１０１５０は、本体部１０１５１の背面に配設される装飾部材１０１５４を備える。装飾部材１０１５４は、本体部１５１と接着される接着テープ１０１５４ａが、装飾部材１０１５４の端部から所定の幅を隔てる内側に貼付される。これにより、接着テープ１０１５４ａの厚みの分、本体部１５１と装飾部材１０１５４との間に所定の隙間（空間）が装飾部材１０１５４の端部に形成される。その結果、遊技者が所定以上の角度（例えば、パチンコ機１０（図１参照）の重力方向上側端部と同じ高さの視点）から一般入賞口ユニット１０１５０を視認した場合に、装飾部材６０ｃと装飾部材１０１５４の装飾との境界を遊技者に視認させにくくすることができる。
【１１２８】
詳しく説明すると、装飾部材１０１５４の端部に本体部１５１との間の空気層を形成することで、本体部１５１の内部を反射して本体部１５１の端部（傾斜面１５１ａ）から遊技者側に出射する光Ｌが、装飾部材１０１５４の端部での装飾の影響を受けないようにする（光Ｌの波長が変更されにくくする）ことができる。また、接着テープ１０１５４ａの内部を通過して、装飾部材１０１５４の装飾の影響の受ける光は、本体部１５１の内部を繰り返し反射されることで本体部１５１の外側に出射されるので、遊技者の視点に向かって反射される際に、装飾部材１０１５４の装飾の影響を少なくすることができる。
【１１２９】
よって、遊技者に出射される光Ｌの波長の変化を少なくすることができ、遊技者が所定以上の角度から一般入賞口ユニット１０１５０を視認した場合に、装飾部材６０ｃと装飾部材１０１５４の装飾との境界を認識させにくくすることができる。その結果、通常の角度（例えば、遊技盤１３の重力方向略中間位置と同一の高さの視点）から装飾部材６０ｃと装飾部材１０１５４の装飾を遊技者が視認する場合には、ベース板の装飾部材６０ｃと装飾部材１０１５４の装飾とを１の装飾として遊技者に視認させやすくできると共に、所定の角度（例えば、パチンコ機１０（図１参照）の重力方向上側端部と同じ高さの視点）から視認する場合には、境界部分の装飾を見にくくして、装飾が分割されていることを遊技者に分かりにくくすることができる。
【１１３０】
次いで、図１５１から図１５３を参照して、第１１実施形態における下変位部材１１４４０について説明する。上記第１実施形態では、下変位部材４４０の背面側に配設される制御基板４９１により装飾部材４５０に光を照射する場合について説明したが、第１１実施形態の下変位部材１１４４０は、制御基板４９１から照射される光により内部の遊技球の位置を遊技者に認識させることができる。なお、上記各実施形態と同一の部分には、同一の符号を付してその説明は省略する。
【１１３１】
初めに、図１５１及び図１５２を参照して、第１１実施形態における下変位部材１１４４０の全体構成について説明する。図１５１は、第１１実施形態における下変位部材１１４４０の分解斜視正面図である。図１５２（ａ）及び図１５２（ｂ）は、下変位部材１１４４０の正面図である。なお、図１５２（ａ）では、制御基板４９１に配設される発光体１１４９１ａの外形が鎖線で図示され、図１５２（ｂ）では、装飾部材１１４５０が取り外された状態が図示される。
【１１３２】
図１５２（ａ）及び図１５２（ｂ）に示すように、第１１実施形態における下変位部材１１４４０は、正面ベース４１１（図４５参照）に連結されるベース部材４７０と、そのベース部材４７０の前後を覆うケース部材４８０と、ケース部材４８０及びベース部材４７０の間に変位可能に配設される伝達機構１１４６０と、ケース部材４８０の前後（矢印Ｆ−Ｂ方向）を覆う態様で形成される装飾部材１１４５０と、を主に備えて形成される。
【１１３３】
装飾部材１１４５０は、模様やキャラクターを模した外形に形成され、表面にその模様やキャラクターの絵が描かれる。装飾部材１１４５０は、正面ケース４８１の正面側（矢印Ｆ方向側）に配設される正面側装飾部１１４５１と、背面ケース４８２の背面側（矢印Ｂ方向側）に配設される背面側装飾部４５２とを主に備えて形成される。なお、本実施形態では、装飾部材１１４５０にサメの模様（キャラクター）が描かれる。
【１１３４】
正面側装飾部１１４５１は、正面視において正面ケース４８１の外形よりも大きい外形に形成され、正面ケース４８１に取着される。これにより、正面側装飾部１１４５１の背面側に配設される部材（ケース部材４８０、ベース部材４７０等）を遊技者から視認不可能とすることができる。また、正面側装飾部１１４５１は、正面視における内側に光透過性材料から形成される透過部１１４５１ｂを備える。
【１１３５】
透過部１１４５１ｂは、後述する制御基板４９１に配設される複数の発光体１１４９１ａと対向する位置の全域に形成されており、複数の発光体１１４９１ａから照射される光を遊技者側に導光可能とされる。また、透過部１１４５１ｂは、正面側（矢印Ｆ方向側）が、上下方向（矢印Ｕ−Ｄ方向）の外側端部に向かって背面側（矢印Ｂ方向側）に湾曲して形成される。これにより、透過部１１４５１ｂの背面側から入射される光が透過部１１４５１ｂの内部を通過して正面側から出射される際に、拡散しやすくされる。
【１１３６】
伝達機構１１４６０は、ベース部材４７０の正面側（矢印Ｆ方向側）に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の正面側をスライド変位可能に配設される可動ラック４６４と、その可動ラック４６４に回転可能に配置される伝達ギヤ４６５と、ベース部材４７０に形成され、伝達ギヤ４６５が歯合される歯面のラックギヤ４７６と、伝達ギヤ４６５に歯合される歯面を有し可動ラック４６４の正面側をスライド変位可能に配設されるラック１１４６６と、そのラック１１４６６の一端側に回転可能に配設される球受部４６７と、を主に備える。
【１１３７】
ラック１１４６６は、正面視矩形横長の棒状体から形成され、上端面に刻設されるラックギヤ４６６ａと、長手方向の他端側（矢印Ｌ方向側）の端部から背面側（矢印Ｂ方向側）に円柱状に突出する軸部４６６ｂと、正面側（矢印Ｆ方向側）に突出する２つの摺動板４６６ｃと、長手方向の一端（矢印Ｒ方向側）から他端に亘って背面に凹設される凹設部４６６ｄ（図５９参照）と、ラックギヤ４６６ａの正面側から上方（矢印Ｕ方向）に突設される遮蔽板１１４６６ｅと、を備える。
【１１３８】
遮蔽板１１４６６ｅは、非光透過性の材料から形成されており、発光体１１４９１ａから出射される光を遮断可能とされる。また、遮蔽板１１４６６ｅは、上方への突設高さ（矢印Ｕ方向高さ）が、背面側に配設される発光体１１４９１ａよりも高い位置（矢印Ｕ方向側の位置）とされる。これにより、ラック１１４６６の変位に伴って、遮蔽板１１４６６ｅを前後方向（矢印Ｆ−Ｂ方向）に変位させて、発光体１１４９１ａから照射される光を遮断できる。
【１１３９】
制御基板４９１は、ベース部材４７０の背面側（矢印Ｂ方向側）に配設されており、正面側に光を照射できる発光体１１４９１ａを複数個備える。複数の発光体１１４９１ａは、下変位部材１１４４０の長手方向（矢印Ｌ−Ｒ方向）に並設されると共に、ベース部材４７０を介して正面側（矢印Ｆ方向側）に配設される球受部４６７よりも上方（矢印Ｕ方向）に配設される。これにより、球受部４６７により、発光体１１４９１ａから出射された光が遮られることを抑制できる。
【１１４０】
次いで、図１５３を参照して、遊技球が球受部４６７の内側に送球された状態について説明する。図１５３（ａ）は、下変位部材１１４４０の正面図であり、図１５３（ｂ）は、図１５３（ａ）のＣＬＩＩＩｂ−ＣＬＩＩＩｂ線における下変位部材１１４４０の断面模式図であり、図１５３（ｃ）は、図１５３（ａ）のＣＬＩＩＩｃ−ＣＬＩＩＩｃ線における下変位部材１１４４０の断面模式図である。
【１１４１】
図１５３に示すように、球受部４６７に遊技球が受け入れられると、受け入れられた遊技球が、発光体１１４９１ａの正面側（矢印Ｆ方向側）に重なる位置に配置される。これにより、球受部４６７により受け入れられた遊技球で、発光体１１４９１ａから遊技者側に照射される光を遮断することができる。その結果、下変位部材１１４４０の内側に送球された遊技球の位置を光が遮断されてできる影により遊技者に認識させることができる。
【１１４２】
また、第１１実施形態では、装飾部材１１４５０の背面側に配設され、球受部４６７の変位領域に向けて光を出射可能な制御基板４９１を備え、制御基板４９１は、球受部４６７の背面側に配設され、球受部４６７または球受部４６７に受け入れられた遊技球により、制御基板４９１から出射される光を遮断して、装飾部材１１４５０から出射される光の光量を部分的に異ならせるので、球受部４６７または球受部４６７に受け入れられた遊技球の正面側に位置する装飾部材１１４５０から出射される光の光量と、その他の位置の装飾部材１１４５０から出射される光の光量と、を異ならせる（暗くして影を形成する）ことで、その光量の異なる部分の背面側に球受部４６７または球受部４６７に受け入れられた遊技球が位置することを遊技者に認識させることができる。
【１１４３】
詳しく説明すると、球受部４６７の背面側に制御基板４９１が配設される場合には、制御基板４９１から出射される光を球受部４６７または球受部４６７に受け入れた遊技球により遮断することで、球受部４６７または球受部４６７に受け入れた遊技球の正面側の装飾部材１１４５０から出射される光の光量を装飾部材１１４５０の他の部分よりも暗くすることができる。その結果、装飾部材１１４５０から出射される光量の少ない（暗い）部分の背面側に球受部４６７または球受部４６７に受け入れた遊技球が位置することを遊技者に認識させることができる。
【１１４４】
また、球受部４６７は、遊技球の下半球を受け入れる形状に形成され、発光体１１４９１ａは、球受部４６７に受け入れられる遊技球の中心よりも高い位置に配置されるので、発光体１１４９１ａから照射される光が球受部４６７に照射されにくくすることができる。従って、発光体１１４９１ａから照射される光により、遊技球を受け入れる球受部４６７及び球受部４６７をスライド変位させるラック１１４６６の外形が影となって、透過部１１４５１ｂに影が形成されることを抑制できる。その結果、球受部４６７に受け入れられた遊技球でのみ、透過部１１４５１ｂに影を形成することができるので、遊技球が球受部４６７に受け入れられていない状態で球受部４６７が変位する場合に、遊技者の視線が球受部４６７に注目されることを抑制できる。
【１１４５】
次いで、図１５４及び図１５５を参照して、第１２実施形態における球受部１２４６７について説明する。上記第１１実施形態では、球受部４６７に受け入れた遊技球により発光体１１４９１ａから照射される光を遮断する場合について説明したが、第１２実施形態では、球受部１２４６７に配設される第３片１２４６７ｅにより発光体１１４９１ａから照射される光を遮蔽する。なお、上記各実施形態と同一の部分には、同一の符号を付してその説明は省略する。
【１１４６】
初めに、図１５４を参照して、第１２実施形態における球受部１２４６７の構成について説明する。図１５４（ａ）は、第１２実施形態における球受部１２４６７の分解斜視正面図であり、図１５４（ｂ）は、球受部１２４６７の正面図である。なお、図１５４（ａ）では、球受部１２４６７の一部が鎖線で図示される。
【１１４７】
なお、第１２実施形態における下変位部材１２４４０は、上記第１１実施形態における下変位部材１１４４０と同様に、正面ベース４１１（図４５参照）に連結されるベース部材４７０と、そのベース部材４７０の前後を覆うケース部材４８０と、ケース部材４８０の前後（矢印Ｆ−Ｂ方向）を覆う態様で形成される装飾部材１１４５０と、を主に備えて形成される。また、第１２実施形態における下変位部材１２４４０は、ケース部材４８０及びベース部材４７０の間に変位可能に配設され、遊技球を受け入れることで変形可能な球受部１２４６７ｃを有する伝達機構１２４６０を備える。
【１１４８】
図１５４に示すように、第１２実施形態における球受部１２４６７は、正面視略Ｌ字に屈曲して形成される第１片１２４６７ｃと、その第１片１２４６７ｃに連結される第２片１２４６７ｄと、その第２片１２４６７ｄに連結されると共に第１片１２４６７ｃ及び第２片１２４６７ｄの背面側に配設される第３片１２４６７ｅと、を備える。
【１１４９】
第１片１２４６７ｃ及び第２片１２４６７ｄは、開口４５１ａ（図５７参照）から下変位部材１２４４０の内側に送球された遊技球を保持する部分であり、第１片１２４６７ｃ及び第２片１２４６７ｄの対向間に遊技球が送球されると、第１片１２４６７ｃに対して第２片１２４６７ｄが離間する方向に変位され、第１片１２４６７ｃの一部と第２片１２４６７ｄとが正面視においてＵ字状に配置され、そのＵ字の内側部分に遊技球を保持することができる。
【１１５０】
第１片１２４６７ｃは、正面視においてＬ字に形成される一方の延設側を形成する受入片１２４６７ｃ４と、他方の延設側を形成する脚部４６７ａと、受入片１２４６７ｃ４及び脚部４６７ａとの連結部分（屈曲部分）に前後方向（矢印Ｆ−Ｂ方向）に貫通する軸孔４６７ｂが形成される円環状の屈曲部１２４６７ｃ５と、屈曲部１２４６７ｃ５を間に挟んで反対側に突出する連結部１２４６７ｃ１と、を備える。
【１１５１】
受入片１２４６７ｃ４は、第１片１２４６７ｃ及び第２片１２４６７ｄにより正面視Ｕ字状に形成される他方側（矢印Ｒ方向側）の側面を形成する部分であり、正面において三日月状に形成されると共に、第２片１２４６７ｄから離間する方向に凹となる湾曲形状に形成される。
【１１５２】
連結部１２４６７ｃ１は、屈曲部１２４６７ｃ５の軸方向（矢印Ｆ−Ｂ方向）に所定の間隔を隔てて２箇所から突設される。また、連結部１２４６７ｃ１は、後述する第２片１２４６７ｄ及び第３片１２４６７ｅを連結する部分であり、軸孔４６７ｂの軸方向に沿って延設されると共に断面円形状に開口される連結孔１２４６７ｃ２を備える。
【１１５３】
連結孔１２４６７ｃ２は、後述する第３片１２４６７ｅに突設される軸部１２４６７ｅ３が挿入される開口である。連結孔１２４６７ｃ２は、後述する第２片１２４６７ｄに形成される挿通孔１２４６７ｄ３に挿通した軸部１２４６７ｅ３が背面側（矢印Ｂ方向側）から挿入される。また、軸部１２４６７ｅ３は、連結孔１２４６７ｃ２の挿入側と反対側（正面側（矢印Ｆ方向側））から挿入されるネジにより締結される。これにより、第１片１２４６７ｃに第２片１２４６７ｄ及び第３片１２４６７ｅを締結することができる。
【１１５４】
また、第１片１２４６７ｃは、連結部１２４６７ｃ１の突設基端側に重力方向下側（矢印Ｄ方向側）に凹む凹部１２４６７ｃ３を備える。凹部１２４６７ｃ３の凹設底面は、第１片１２４６７ｃ及び第２片１２４６７ｄにより遊技球が保持される底面の中で一番低い位置（最下部）に形成される。これにより、第１片１２４６７ｃ及び第２片１２４６７ｄに保持される遊技球は、凹部１２４６７ｃ３の内側に転動される。
【１１５５】
第２片１２４６７ｄは、第１片１２４６７ｃの受入片１２４６７ｃ４及び第２片１２４６７ｄにより正面視Ｕ字状に形成される他方側（矢印Ｌ方向側）の側面を形成する部分であり、正面視において三日月状に形成されると共に、受入片１２４６７ｃ４から離間する方向に凹となる湾曲形状に形成される。また、第１片１２４６７ｃ、第２片１２４６７ｄの連結部分に前後方向（矢印Ｆ−Ｂ方向）に円形状に開口する挿通孔１２４６７ｄ３と、背面側（矢印Ｂ方向側）から正面側（矢印Ｆ方向側）に向かって断面円形状に凹設される凹設部１２４６７ｄ２と、を主に備える。
【１１５６】
第２片１２４６７ｄは、挿通孔１２４６７ｄ３に、第３片１２４６７ｅの軸部１２４６７ｅ３が挿入され、凹設部１２４６７ｄ２に、第３片１２４６７ｅの連結軸１２４６７ｅ４が挿入される。従って、第２片１２５６７ｄが変位されると、第３片１２４６７ｅも同様に変位される。よって、第２片１２５６７ｄが第１片１２４６７ｃに対して回転変位されると、第３片１２５６７ｅも同様に第１片１２４６７ｃに対して回転変位される。
【１１５７】
さらに、第２片１２４６７ｄは、第１片１２４６７ｃの２箇所に突設される連結部１２４６７ｃ１の対向間に配設されて、第１片１２４６７ｃに連結される。これにより、第２片１２４６７ｄが挿通孔１２４６７ｄ３の軸方向にねじれた場合に、連結部１２４６７ｃ１の対向側の側面に第２片１２４６７ｄを当接させて軸部１２４６７ｅ３が折れることを抑制できる。
【１１５８】
凹設部１２４６７ｄ２は、後述する第３片１２４６７ｅの連結軸１２４６７ｅ４を挿入する孔であり、連結軸１２４６７ｅ４と略同一の形状に凹設される。
【１１５９】
第３片１２４６７ｅは、正面視略半円形の板状に形成される遮蔽板１２４６７ｅ１と、その遮蔽板１２４６７ｅ１から正面側（矢印Ｆ方向側）に向かって突設される軸部１２４６７ｅ３及び連結軸１２４６７ｅ４と、を備える。
【１１６０】
遮蔽板１２４６７ｅ１は、非光透過性の材料から形成されており、発光体１１４９１ａの正面側に配置される場合に、発光体１１４９１ａから照射される光を遮蔽することができる。なお、遮蔽板１２４６７ｅ１による発光体１１４９１ａの光の遮蔽については後述する。
【１１６１】
軸部１２４６７ｅ３は、上述したように第１片１２４６７ｃの連結孔１２４６７ｃ２及び第２片１２４６７ｄの挿通孔１２４６７ｄ３に挿入される円柱体である。また、軸部１２４６７ｅ３の突設先端面には、軸部１２４６７ｅ３の挿入側と反対側から連結孔１２４６７ｃ２に挿入されるネジを螺合可能な孔が形成される。よって、軸部１２４６７ｅ３を連結孔１２４６７ｃ２及び挿通孔１２４６７ｄ３に挿入した状態で、軸部１２４６７ｅ３の挿入先端面にネジを締結することで、第１片１２４６７ｃ、第２片１２４６７ｄ及び第３片１２４６７ｅを連結することができると共に、第３片１２４６７ｅを第１片１２４６７ｃに対して回転可能な状態にできる。
【１１６２】
連結軸１２４６７ｅ４は、上述したように、第２片１２４６７ｄの凹設部１２４６７ｄ２に挿入される。これにより、第２片１２４６７ｄが第１片１２４６７ｃに対して軸部１２４６７ｅ３を中心に回転変位した際に、連結軸１２４６７ｅ４を第２片１２４６７ｄの変位に伴って変位させることができる。従って、第３片１２４６７ｅを第２片１２４６７ｄの変位に伴って変位させることができる。
【１１６３】
次いで、図１５５を参照して、第１２実施形態における球受部１２４６７の変位について詳しく説明する。図１５５（ａ）及び図１５５（ｂ）は、下変位部材１２４４０の正面図であり、図１５５（ｃ）は、図１５５（ｂ）のＣＬＶｃ−ＣＬＶｃ線における下変位部材１２４４０の断面模式図である。なお、図１５５（ａ）及び図１５５（ｂ）では、下変位部材１２４４０の一部および発光体１１４９１ａが鎖線で図示される。また、図１５５（ａ）では、遊技球が球受部１２４６７に受け入れられる前（保持される前）の状態が図示され、図１５５（ｂ）では、遊技球が球受部１２４６７に受け入られた（保持された）状態が図示される。
【１１６４】
図１５５に示すように、球受部１２４６７は、遊技球が第１片１２４６７ｃ及び第２片１２４６７ｄの対向間に受け入れられる前の状態では、第３片１２４６７ｅの荷重により第２片１２４６７ｄが第１片１２４６７ｃ側に近づいた状態とされ、第３片１２４６７ｅが、球受部１２４６７の背面側に配設される発光体１１４９１ａよりも下方に位置される。従って、球受部１２４６７に遊技球が受け入れられる前では、発光体１１４９１ａから照射される光を遊技者側に出射することができる。
【１１６５】
一方、第１片１２４６７ｃ及び第２片１２４６７ｄの対向間に遊技球が受け入れられると、受け入れられた遊技球は、第１片１２４６７ｃ及び第２片１２４６７ｄの受入面（正面視Ｕ字に形成される内側の側面）を転動して、その受入面の最下端に位置する凹部１２４６７ｃ３に案内される。これにより、遊技球の外面で第２片１２４６７ｄを軸部１２４６７ｅ３を中心に第１片１２４６７ｃから離間する方向に回転させることができる。その結果、第２片１２４６７ｄの変位に伴って移動する第３片１２４６７ｅを球受部１２４６７の背面側に配設される発光体１１４９１ａの正面側（矢印Ｆ方向側）に配置することができる。
【１１６６】
従って、発光体１１４９１ａから出射される光を第３片１２４６７ｅの遮蔽板１２４６７ｅ１により遮蔽することができる。その結果、球受部１２４６７に遊技球が受け入れられた場合にのみ、発光体１１４９１ａから出射される光を遮蔽しやすくできるので、下変位部材１２４４０に受け入れられた遊技球の位置を発光体１１４９１ａの光を遮蔽する影の位置で遊技者に認識させることができる。
【１１６７】
また、第２片１２４６７ｄは、凹設部１２４６７ｄ２に連結軸１２４６７ｅ４が挿入されて、第３片１２４６７ｅの荷重が常に作用される。第３片１２４６７ｅの重心Ｇ（図１５４（ｂ）参照）は、第２片１２５６７ｄ及び第３片１２５６７ｅとの連結部分から、軸部１２４６７ｅ３を挟んで反対側に設定される。これにより、第２片１２４６７ｄおよび第３片１２４６７ｄｅに重力以外の力が作用していない状態では、第３片１２４６７ｅの荷重により、第２片１２４６７ｄを第１片１２４６７ｃ側に、回転させることができる。
【１１６８】
従って、球受部１２４６７から遊技球が排出される（取り出される）と、第３片１２４６７ｅの荷重により第２片１２４６７ｄを第１片１２４６７ｃの受入片１２４６７ｃ４側に変位させることができる。
【１１６９】
さらに、球受部１２４６７は、第１実施形態における球受部４６７と同様に、下変位部材１２４４０の内部をスライド変位させる動作により、軸穴１２４６７ｂを中心に回転されて、下変位部材１２４４０の出射開口４７１（図６６参照）から受け入れた遊技球が外側に排出される。
【１１７０】
ここで、球受部１２４６７に受け入れられた遊技球を排出する構造として、球受部１２４６７のスライド移動に伴って、軸孔４６７ｂを中心に球受部１２４６７の回転させる構造では、球受部１２４６７のスライド速度により、軸孔４６７ｂを中心とする球受部１２４６７の回転速度が変更される。従って、球受部１２４６７のスライド速度のみに回転速度が依存するので、球受部１２４６７からの遊技球の排出速度が安定しないという問題点があった。
【１１７１】
これに対し、第１２実施形態では、第３片１２４６７ｅの荷重により第２片１２４６７ｄが回転する方向と、遊技球を出射する際の軸孔４６７ｂを軸とする球受部１２４６７の回転方向とが略同一の方向に設定されるので、出射開口４７１から出射される遊技球に第２片１２４６７ｄが変位する際の駆動力を付与することができる。従って、球受部１２４６７を変位させて出射開口４７１から遊技球を排出する際の球受部１２４６７から遊技球に作用させる力を小さくしても、出射される遊技球の速度を維持することができる。その結果、球受部１２４６７から出射される遊技球の排出速度を安定させることができる。
【１１７２】
次いで、図１５６から図１５８を参照して、第１３実施形態における特別入賞装置１３５５０について説明する。上記第１実施形態では、特別入賞装置５５０の第１ユニット５５１の内部に流入した遊技球の送球経路を第３経路部材５８０の第１及び第２駆動ユニット５８３，５８４により切り替える場合を説明したが、第１３実施形態では、特別入賞装置１３５５０の送球経路の対向間隔を変更することで、特別入賞装置１３５５０の内部を流下する遊技球の流下経路を調整する。なお、上記各実施形態と同一の部分には、同一の符号を付してその説明は省略する。
【１１７３】
初めに、図１５６及び図１５７を参照して、第１３実施形態における特別入賞装置１３５５０の全体構成について説明する。図１５６（ａ）は、第１３実施形態における特別入賞装置１３５５０の正面図であり、図１５６（ｂ）は、特別入賞装置１３５５０の斜視正面図であり、図１５６（ｃ）は、図１５６（ａ）のＣＬＶＩｃ−ＣＬＶＩｃ線における特別入賞装置１３５５０の断面図である。図１５７は、特別入賞装置１３５５０の分解斜視正面図である。
【１１７４】
図１５６及び図１５７に示すように、第１３実施形態における特別入賞装置１３５５０は、正面側に配設される第１経路部材１３５６０と、その第１経路部材１３５６０の背面側に配設される第２経路部材１３５７０と、を備える。
【１１７５】
第１経路部材１３５６０は、遊技盤１３の遊技領域の正面に沿った板状に形成される正面板１３５６４と、その正面板１３５６４の左右の端部から背面側（ベース板６０側）に突設される第１壁部１３５６５と、を主に備える。
【１１７６】
正面板１３５６４は、後述する第２経路部材１３５７０との対向間に形成される遊技球の流下経路の正面側の壁部となる板部材であり、光透過部材から形成される。これにより、遊技者は、特別入賞装置１３５５０の内部を流下する遊技球を正面板１３５６４を介して視認することができる。また、正面板１３５６４は、第２経路部材１３５７０側に突出する第１凸部１３５６４ｂ、第２凸部１３５６４ｃと、その第１凸部１３５６４ｂ、第２凸部１３５６４ｃの下方に位置し第２経路部材１３５７０側に突設される第３凸部１３５６４ｄと、を備える。
【１１７７】
第１凸部１３５６４ｂ及び第２凸部１３５６４ｃは、特別入賞装置１３５５０の内部を流下する遊技球を案内するための突起であり、正面板１３５６４の左右方向外側（矢印Ｌ−Ｒ方向外側）から正面板１３５６４の左右方向中央側に向かって下降傾斜して形成される。
【１１７８】
第３凸部１３５６４ｄは、正面板１３５６４の左右方向（矢印Ｌ−Ｒ方向）中央に位置し重力方向（矢印Ｕ−Ｄ方向）に延設される。なお、第１３実施形態では、遊技盤１３の遊技領域において、特別入賞装置１３５５０の左右方向（矢印Ｌ−Ｒ方向）略中央位置の左右で特別入賞装置１３５５０から流下する遊技球の送球経路が異なり、特別入賞装置１３５５０の正面視左側から流下する遊技球は、第１入賞口６４（図２参照）に送球され、送球された遊技球により、遊技者に特定の遊技価値が付与される（所定数の遊技球が払い出される）。一方、特別入賞装置１３５５０の正面視右側から流下する遊技球は、遊技盤１３のアウト口７１に送球され、パチンコ機１０に回収される。
【１１７９】
なお、第１３実施形態では、特別入賞装置１３５５０の左側（矢印Ｌ方向側）の下方（矢印Ｄ方向側に第１入賞口６４が配置される。これにより、特別入賞装置１３５５０の正面視左側から流下する遊技球を第１入賞口６４に流入させることができる。
【１１８０】
第１壁部１３５６５は、遊技盤１３のベース板６０と特別入賞装置１３５５０とを連結する部分であり、突設先端部に左右外側に突出する連結板１３５６５ａを左右の第１壁部１３５６５にそれぞれ２箇所ずつ備える。
【１１８１】
連結板１３５６５ａは、特別入賞装置１３５５０を遊技盤１３のベース板６０に締結するためのネジを挿入するための貫通孔１３５６５ａ１が貫通形成される。この貫通穴１３５６５ａ１に挿通したネジにより、特別入賞装置１３５５０をベース板６０に締結することができる。
【１１８２】
第２経路部材１３５７０は、第１経路部材１３５６０の正面板１３５６４と対向する板状のベース板１３５７１と、そのベース板１３５７１の左右（矢印Ｌ−Ｒ方向）の端部から第１経路部材１３５６０の正面板１３５６４側に突設される第４壁部１３５７３と、を備える。
【１１８３】
ベース板１３５７１は、第１経路部材１３５６０の正面板１３５６４との対向間の隙間で遊技球の送球経路を形成する部材であり、正面視における外形が正面板１３５６４の外形よりも小さく形成される。これにより、ベース板１３５７１の正面側を正面板１３５６４で覆うことができるので、遊技者側からベース板１３５７１を視認しにくくすることができる。
【１１８４】
また、ベース板１３５７１は、第１経路部材１３５６０側に突出する第４凸部１３５７１ｂ、第５凸部１３５７１ｃと、それら第４凸部１３５７１ｂ及び第５凸部１３５７１ｃの下方に位置し正面板１３５６４側に突設される第６凸部１３５７１ｄと、を主に備える。
【１１８５】
第４凸部１３５７１ｂ及び第５凸部１３５７１ｃは、特別入賞装置１３５５０の内部を流下する遊技球を案内するための突起であり、ベース板１３５７１の左右方向外側（矢印（Ｌ−Ｒ方向外側）からベース板１３５７１の中央側に向かって下降傾斜して形成される。
【１１８６】
第６凸部１３５７１ｄは、上述した第３凸部１３５６４ｄと対向する位置に形成されており、第３凸部１３５６４ｄの先端と所定の隙間を有する長さに形成される。なお、第３凸部１３５６４ｄと、第６凸部１３５７１ｄとの対向間の隙間は、遊技球の直径よりも小さい寸法に設定される。
【１１８７】
第４壁部１３５７３は、第１経路部材１３５６０を挿通したネジを締結するための締結孔１３５７３ａが左右の第４壁部１３５７３のそれぞれに２箇所ずつ穿設される。これにより、第１経路部材１３５６０と第２経路部材１３５７０とが締結固定される。
【１１８８】
また、第４壁部１３５７３の締結孔１３５７３ａの周囲には、第１経路部材１３５６０と第２経路部材１３５７０との対向間の隙間を調整するシム部材ＳＩが配設される。
【１１８９】
シム部材ＳＩは、薄い板状の透明材料から形成されており、遊技者側から視認されにくくされる。また、本実施形態では、シム部材ＳＩは、正面視左側の端部に配設され、正面視左側の正面板１３５６４とベース板１３５７１の対向間の間隔が大きくされる。
【１１９０】
次いで、図１５８を参照して、第１３実施形態における特別入賞装置１３５５０の内部を流下する遊技球について説明する。図１５８（ａ）は、特別入賞装置１３５５０の上面図であり、図１５８（ｂ）は、図１５８（ａ）のＣＬＶＩＩＩｂ−ＣＬＶＩＩＩｂ線における特別入賞装置１３５５０の断面図である。
【１１９１】
図１５８に示すように、特別入賞装置１３５５０は、正面視左側の端部にシム部材ＳＩが配設され、正面視左側における正面板１３５６４とベース板１３５７１との対向間の間隔Ｌ１４（図１５８（ａ）参照）が、正面視右側における正面板１３５６４とベース板１３５７１との対向間の間隔Ｌ１５（図１５８（ａ）参照）よりも大きく設定される（Ｌ１４＞Ｌ１５）。
【１１９２】
なお、間隔Ｌ１４は、正面板１３５６４とベース板１３５７１とが対向する位置における左側（矢印Ｌ方向側）端部の間隔である。また、間隔Ｌ１５は、正面板１３５６４とベース板１３５７１とが対向する位置における右側（矢印Ｒ方向側）端部の間隔である。さらに、間隔Ｌ１５は、遊技球の直径よりも大きく設定されており、特別入賞装置１３５５０の上方から流下する遊技球を左右方向のどの位置からでも特別入賞装置１３５５０の内部に流入させることができる（Ｌ１４＞Ｌ１５＞遊技球の直径）。
【１１９３】
また、特別入賞装置１３５５０は、第３凸部１３５６４ｄ及び第６凸部１３５７１ｄにより下流側が左右に区画される。これにより、特別入賞装置１３５５０の上流側の主経路ＳＫ１（図１５８（ｂ）参照）を流下する遊技球は、特別入賞装置１３５５０の正面視左側に形成される主経路ＳＫ２と、正面視右側に形成される副経路ＨＫ１とのどちらか一方に流入される。なお、上述したように、特別入賞装置１３５５０の下流側の遊技領域は、特別入賞装置１３５５０の左右方向の略中央位置で送球経路が異なって形成されている。従って、主経路ＳＫ２から遊技領域に送球される遊技球は、特定の入賞口に送球され、副経路ＨＫ１から遊技領域に送球される遊技球は、遊技盤１３のアウト口７１に送球される。
【１１９４】
さらに、上述した正面板１３５６４の第１凸部１３５６４ｂ及び第２凸部１３５６４ｃと、ベース板１３５７１の第４凸部１３５７１ｂ及び第５凸部１３５７１ｃとの突出寸法は、略同一に設定される。即ち、正面板１３５６４から背面側に向かって突出する第１凸部１３５６５ｂと第２凸部１３５６４ｃとは、その突出寸法が同一に設定される。また、ベース板１３５７１から正面側に向かって突出する第４凸部１３５７１ｂと第５凸部１３５７１ｃとは、その突出寸法が同一に設定される。さらに、第１凸部１３５６５ｂと第４凸部１３５７１ｂとの突出寸法が同一に設定される。
【１１９５】
また、第１凸部１３５６４ｂ及び第２凸部１３５６４ｃと第４凸部１３５７１ｂ及び第５凸部１３５７１ｃとは、上下方向の高さが異なる位置に配置される。即ち、正面板１３５６４から背面側に向かって突出する第１凸部１３５６５ｂと第２凸部１３５６４ｃとは、同一の高さから突出される。また、ベース板１３５７１から正面側に向かって突出する第４凸部１３５７１ｂと第５凸部１３５７１ｃとは、同一の高さから突出される。さらに、第１凸部１３５６５ｂと第４凸部１３５７１ｂとは、異なる高さに配置され、第４凸部１３５７１ｂが、第１凸部１３５６５ｂよりも下方に配置される。また、重力方向２箇所から突設される第４凸部１３５７１ｂの中間位置に、重力方向の２箇所から突設される第１凸部１３５６５ｂの下方側が配置される。
【１１９６】
これにより、特別入賞装置１３５５０の内部を流下する遊技球を第１凸部１３５６４ｂ及び第４凸部１３５７１ｂ又は第２凸部１３５６４ｃ及び第５凸部１３５７１ｃに順に衝突させつつ流下させることができる。その結果、遊技球を第１凸部１３５６４ｂ及び第２凸部１３５６４ｃと第４凸部１３５７１ｂ及び第５凸部１３５７１ｃの延設方向に沿って流下させることができる。
【１１９７】
特別入賞装置１３５５０の正面視左側における正面板１３５６４及び第４凸部１３５７１ｂ又は、ベース板１３５７１及び第１凸部１３５６４ｂの対向間の距離寸法Ｌ１６（図１５８（ａ）参照）は、シム部材ＳＩにより遊技球の直径よりも大きく設定されると共に、特別入賞装置１３５５０の正面視右側における正面板１３５６４及び第５凸部１３５７１ｃ又は、ベース板１３５７１及び第２凸部１３５６４ｃの対向間の距離寸法Ｌ１７は、遊技球の直径よりも小さく設定される。
【１１９８】
なお、間隔Ｌ１６は、第４凸部１３５７１ｂ及び第１凸部１３５６４ｂの第５凸部１３５７１ｃ及び第２凸部１３５６４ｃ側（矢印Ｒ方向側）の端部における正面板１３５６４又はベース板１３５７１との対向間の距離寸法である。また、間隔Ｌ１７は、第５凸部１３５７１ｃ及び第２凸部１３５６４ｃの第４凸部１３５７１ｂ及び第１凸部１３５６４ｂ側（矢印Ｌ方向側）の端部における正面板１３５６４又はベース板１３５７１との対向間の距離寸法である。
【１１９９】
さらに、第１３実施形態では、特別入賞装置１３５５０の左側（矢印Ｌ方向側）の下方（矢印Ｄ方向側に第１入賞口６４が配置される。これにより、特別入賞装置１３５５０の正面視左側から流下する遊技球を第１入賞口６４に流入させることができる。
【１２００】
よって、特別入賞装置１３５５０の正面視右側（矢印Ｒ方向側）から特別入賞装置１３５５０の主経路ＳＫ１に流入される遊技球は、第２凸部１３５６４ｃ及び第５凸部１３５７１ｃに当接しやすくされ、第２凸部１３５６４ｃ及び第５凸部１３５７１ｃの延設方向に沿って流下させて副経路ＨＫ１側に案内されやすくなる。一方、特別入賞装置１３５５０の正面視左側（矢印Ｌ方向側）から特別入賞装置１３５５０の主経路ＳＫ１に流入される遊技球は、第１凸部１３５６４ｂ及び第４凸部１３５７１ｂに衝突し難くされ、そのまま副経路ＨＫ１に送球されやすくなる。その結果、特別入賞装置１３５５０の内部に流入した遊技球の流下方向を変更することができる。
【１２０１】
なお、本実施形態では、第１凸部１３５６４ｂ、第２凸部１３５６４ｃ、第４凸部１３５７１ｂ及び第５凸部１３５７１ｃが、第６凸部１３５７１ｄ及び第３凸部１３５６４ｄ（主経路ＨＫ１と副経路ＳＫ６との遊技球の流入口）よりも上方（矢印Ｕ方向）に形成される。よって、主経路ＳＫ１を流下する遊技球の大半を副経路ＨＫ１に流下させることができると共に、副経路ＨＫ１よりも相対的に少ない個数の遊技球を主経路ＳＫ６に流下させることができる。
【１２０２】
また、第１３実施形態では、第１経路部材１３５６０と第２経路部材１３５７０との対向間をシム部材ＳＩにより調整すると共に非平行として、第１経路部材１３５６０と第２経路部材１３５７０との対向間を流下する遊技球の位置（遊技球の流下する方向）を調整することができる。
【１２０３】
従って、ベース板６０の正面に打ち付けられた釘のベース板６０の正面に対する角度を変更して遊技球が流下されやすい方向を調整する場合に比べて、特別入賞装置１３５５０の内側を流下されやすい方向を遊技者に認識させにくくすることができる。その結果、遊技者が遊技機で遊技をする前に遊技が不利であると認識することを抑制でき、遊技機の稼動率を向上できる。
【１２０４】
また、第１経路部材１３５６０及び第２経路部材１３５７０の対向方向の２方向（前後方向（矢印Ｆ−Ｂ方向））を変更することのみで、特別入賞装置１３５５０の内側を流下する遊技球の流下方向を変更できるので、遊技盤１３（ベース板６０）の正面に対して全方向に調整可能な釘よりも、その調整を簡易にできる。その結果、調整者の意図する方向に遊技球を流下させやすくできる。
【１２０５】
なお、調整者の意図する方向とは、例えば、副経路ＨＫ１側（矢印Ｌ方向側）の第１経路部材１３５６０及び第２経路部材１３５７０の対向間を主経路ＳＫ６側（矢印Ｒ方向側）の第１経路部材１３５６０及び第２経路部材１３５７０の対向間よりも大きくして、特別入賞装置１３５５０の内側を流下する遊技球が副経路ＨＫ１に流下する、又は、主経路ＳＫ６側（矢印Ｒ方向側）の第１経路部材１３５６０及び第２経路部材１３５７０の対向間を副経路ＨＫ１側（矢印Ｌ方向側）の第１経路部材１３５６０及び第２経路部材１３５７０の対向間よりも大きくして、特別入賞装置１３５５０の内側を流下する遊技球が主経路ＳＫ６に流下することである。
【１２０６】
さらに、正面側に配設される第１経路部材１３５６０に対して、シム部材ＳＩを挟むことにより背面側に配設される第２経路部材１３５７０を前後方向（矢印Ｆ−Ｂ方向）に移動させることができるので、第１経路部材１３５６０と第２経路部材１３５７０との対向間の距離を遊技者に認識させにくくすることができる。即ち、遊技者から遠方側に配設される第２経路部材１３５７０が前後方向に移動されるので、遊技者から近い第１経路部材１３５６０が変位される場合に比べて、第１経路部材１３５６０と第２経路部材１３５７０の対向間の距離を遊技者に把握されにくくすることができる。その結果、遊技機の稼動率を向上することができる。
【１２０７】
次いで、図１５９を参照して、第１４実施形態における係合部材１４３１０について説明する。上記第１実施形態では、係合部材３１０の操作子３１５が、背面ケース３００の底壁部３０１側（背面側（矢印Ｂ方向側））に向かって突出して形成される場合について説明したが、第１４実施形態における操作子１４３１５は、突出先端面が基端側に向かって傾斜して形成される。なお、上記各実施形態と同一の部分には、同一の符号を付してその説明は省略する。
【１２０８】
図１５９（ａ）は、第１４実施形態における背面ケース３００の背面図であり、図１５９（ｂ）は、図１５９（ａ）のＣＬＩＸｂ−ＣＬＩＸｂ線における背面ケース３００の模式断面図である。
【１２０９】
なお、第１４実施形態における背面ケース１４３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【１２１０】
また、第１４実施形態における背面ケース１４３００は、底壁部３０１の正面側（箱状に形成された開放側（矢印Ｆ方向側））に配設される係合部材１４３１０と、背面ケース１４３００の背面側（矢印Ｂ方向側）に配設され、基板ボックス１００（主制御装置１１０）を固定する固定部材３２０と、を主に備える。
【１２１１】
図１５９に示すように、第１４実施形態における係合部材１４３１０は、正面視における外形がクランク状に形成されており、互いに平行となる方向に延設される第１片１４３１１及び第２片３１２と、その第１片１４３１１及び第２片３１２の端部同士を第１片１４３１１及び第２片３１２の延設方向と直交する方向に連結する第３片３１３とから構成される。
【１２１２】
第１片１４３１１は、第３片３１３が連結される他側と反対側の一側（矢印Ｒ方向側）の端部が、固定部材３２０の被係合部３３２（図４１（ａ）参照）との係合部分として形成されており、第１片１４３１１の延設方向と略直交する方向である上下方向（矢印Ｕ−Ｄ方向）の両外側に突出する係合部３１６と、その２箇所の係合部３１６の略中間位置から第１片１４３１１の延設方向（矢印Ｌ−Ｒ方向）に凹設される凹部３１７と、背面ケース３００の底壁部３０１側（背面側（矢印Ｂ方向側））に向かって突出する操作子１４３１５と、を備える。
【１２１３】
操作子１４３１５は、第１片１４３１１の他側（矢印Ｌ方向側）の端部に形成され、その突出寸法が、背面ケース３００の底壁部３０１の板厚よりも大きい値に設定され、少なくとも作業者が指で掴める程度の寸法分、背面ケース１４３００（底壁部３０１）の背面側に突出される。これにより、操作子１４３１５を底壁部３０１の第２開口部３０１ｄから突出させることができると共に、その突出部分（操作子１４３１５の先端）を掴ませて操作させることができる。
【１２１４】
また、操作子１４３１５の突出先端面は、係合部３１６側（第１片１４３１１の他側（矢印Ｌ方向側）に向かうほど操作子１４３１５の基端側に近づく傾斜面１４３１５ａとして形成される。これにより、係合部材１４３１０と固定部材３２０との係合を解除する方向（矢印Ｌ方向側）に作業者が操作子１４３１５を操作する際に、係合部材１４３１０と固定部材３２０との係合を解除する方向に作用する力を小さくすることができる。
【１２１５】
即ち、傾斜面１４３１５ａにより作業者が操作子１４３１５を操作した力を分散することができる。これにより、背面ケース３００の背面側から操作子１４３１５を操作して係合部材１４３１０と固定部材３２０との係合を解除し難くすることができる。その結果、不正に固定部材３２０に配設される基板ボックス１００を交換しようとする作業者が、背面ケース３００の背面側から操作子１４３１５を操作して、固定部材３２０を背面ケース３００から取り外すことを抑制できる。
【１２１６】
また、傾斜面１４３１５ａの係合部３１６側の端部は、背面ケース３００の底壁部３０１の背面よりも正面側（矢印Ｆ方向側）に配置される。これにより、係合部材１４３１０と固定部材３２０との係合を解除する目的で操作子１４３１５を操作する作業者の手を傾斜面１４３１５ａに当接させることができる。その結果、操作子１４３１５を操作し難くして、固定部材３２０に配設される基板ボックス１００を不正に交換しようとする作業者が、背面ケース３００の背面側から操作子１４３１５を操作して、固定部材３２０を背面ケース３００から取り外すことを抑制できる。
【１２１７】
次いで、図１６０（ａ）を参照して、第１５実施形態における係合部材１５３１０について説明する。上記第１実施形態では、係合部材３１０の操作子３１５は、背面ケース３００の底壁部３０１側（背面側（矢印Ｂ方向側））に向かって突出して形成される場合について説明したが、第１５実施形態における操作子１５３１５は、係合部材１５３１０の第１片１５３１１に軸支される。なお、上記各実施形態と同一の部分には、同一の符号を付してその説明は省略する。
【１２１８】
図１６０（ａ）は、第１５実施形態における背面ケース３００の模式断面図である。なお、図１６０（ａ）の断面は、図１５９（ｂ）の断面と対応する。
【１２１９】
なお、第１５実施形態における背面ケース１５３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１２２０】
また、第１５実施形態における背面ケース１５３００は、底壁部３０１の正面側（箱状に形成された開放側（矢印Ｆ方向側））に配設される係合部材１５３１０と、背面ケース１５３００の背面側（矢印Ｂ方向側）に配設され、基板ボックス１００（主制御装置１１０）を固定する固定部材３２０（図４１参照）と、を主に備える。
【１２２１】
図１６０（ａ）に示すように、第１５実施形態における係合部材１５３１０は、正面視における外形がクランク状に形成されており、互いに平行となる方向に延設される第１片１５３１１及び第２片３１２（図４１参照）と、その第１片１４３１１及び第２片３１２の端部同士を第１片１５３１１及び第２片３１２の延設方向と直交する方向に連結する第３片３１３（図４１参照）とから構成される。
【１２２２】
第１片１５３１１は、第３片３１３が連結される他側（矢印Ｌ方向側）と反対側の一側（矢印Ｒ方向側）の端部が、固定部材３２０の被係合部３３２（図４１（ａ）参照）との係合部分として形成されており、第１片１５３１１の延設方向と略直交する方向である上下方向（矢印Ｕ−Ｄ方向）の両外側に突出する係合部３１６（図４１参照）と、その２箇所の係合部３１６の略中間位置から第１片１５３１１の延設方向（矢印Ｌ−Ｒ方向）に凹設される凹部３１７（図４１参照）と、背面ケース３００の第２開口部３０１ｄに挿通される操作子１５３１５と、その操作子１５３１５が軸支される軸受部１５３１９と、を主に備える。
【１２２３】
軸受部１５３１９は、第１片１５３１１の第３片３１３が連結される他側（矢印Ｌ方向側）に第１片１５３１１から突設される。また、軸受部１５３１９は、後述する操作子１５３１５を重力方向（矢印Ｕ−Ｄ方向）に挿通した円柱状の軸部材１５３１５ｃが挿入される凹部が形成される。
【１２２４】
操作子１５３１５は、棒状に形成されると共に、第１片１５３１１側の端部に重力方向に貫通する貫通孔１５３１５ｂと、その貫通孔１５３１５ｂに挿入される軸部材１５３１５ｃと、を備える。
【１２２５】
よって、操作子１５３１５は、貫通孔１５３１５ｂに挿入された軸部材１５３１５ｃが、軸受部１５３１９の凹部に挿入されることで、第１片１５３１１に対して回転変位可能な状態で保持される。また、操作子１５３１５の回転軸（軸部材１５３１５ｃ）は、第１片１５３１１よりも正面側に配置される。これにより、図１６０（ａ）に示す状態の操作子１５３１５の上方視における右方向（時計回り）の回転を第１片１５３１１の他側の端部に当接させて規制することができると共に、左方向（反時計回り）の回転を許容することができる。
【１２２６】
よって、係合部材１５３１０と固定部材３２０との係合を解除する方向（矢印Ｌ方向側）に作業者が操作子１５３１５を操作する際（図１６０（ａ）に示す状態の操作子１５３１５を反時計周りに回転させる際）に、係合部材１５３１０と固定部材３２０との係合を解除する方向（矢印Ｌ方向）に作用する力を小さくすることができる。これにより、背面ケース３００の背面側から操作子１５３１５を操作して係合部材１５３１０と固定部材３２０との係合を解除しにくくすることができる。その結果、固定部材３２０に配設される基板ボックス１００を不正に交換しようとする遊技者が、背面ケース３００の背面側から操作子１５３１５を操作して、固定部材３２０を背面ケース３００から取り外すことを抑制できる。
【１２２７】
次いで、図１６０（ｂ）を参照して、第１６実施形態における係合部材１５３１０について説明する。上記第１実施形態では、係合部材３１０のスライド操作を操作子３１５により行われる場合について説明したが、第１６実施形態では、係合部材１６３１０の第１片１６３１１の端部が操作されることで行われる。なお、上記各実施形態と同一の部分には、同一の符号を付してその説明は省略する。
【１２２８】
図１６０（ｂ）は、第１６実施形態における背面ケース３００の模式断面図である。なお、図１６０（ｂ）の断面は、図１６０（ａ）の断面と対応する。また、第１６実施形態における背面ケース１６３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１２２９】
さらに、第１６実施形態における背面ケース１６３００は、底壁部３０１の正面側（箱状に形成された開放側（矢印Ｆ方向側））に配設される係合部材１６３１０と、背面ケース１６３００の背面側（矢印Ｂ方向側）に配設され、基板ボックス１００（主制御装置１１０）を固定する固定部材３２０（図４１参照）と、を主に備える。
【１２３０】
図１６０（ｂ）に示すように、第１６実施形態における係合部材１６３１０は、正面視における外形がクランク状に形成されており、互いに平行となる方向に延設される第１片１６３１１及び第２片３１２（図４１参照）と、その第１片１６３１１及び第２片３１２の端部同士を第１片１６３１１及び第２片３１２の延設方向と直交する方向に連結する第３片３１３（図４１参照）とから構成される。また、第１６実施形態における係合部材１６３１０は、背面ケース３００に形成される第２開口部３０１ｄに背面側から挿通させた指によりスライド変位可能とされる。
【１２３１】
第１片１６３１１は、第３片３１３が連結される他側（矢印Ｌ方向側）と反対側の一側（矢印Ｒ方向側）の端部が、固定部材３２０の被係合部３３２（図４１参照）との係合部分として形成されており、第１片３１１の延設方向と略直交する方向である上下方向（矢印Ｕ−Ｄ方向）の両外側に突出する係合部３１６（図４１参照）と、その２箇所の係合部３１６の略中間位置から第１片１６３１１の延設方向（矢印Ｌ−Ｒ方向）に凹設される凹部３１７（図４１参照）と、を主に備える。
【１２３２】
図１６０（ｂ）に示すように、係合部材１６３１０の係合部３１６と固定部材３２０の被係合部３３２とが係合した状態では、第１片１６３１１の他側（矢印Ｌ方向側）の端部が第２開口部３０１ｄの開口に対して水平方向外側に配置される。従って、係合部材１６３１０と固定部材３２０との係合を解除する方向（矢印Ｌ方向側）に作業者が係合部材１６３１０を操作する際には、背面ケース３００の第２開口部３０１ｄから挿入する指で、係合部材１６３１０と固定部材３２０との係合を解除する方向に係合部材１６３１０を変位させにくくすることができる。その結果、固定部材３２０に配設される基板ボックス１００を交換しようとしてする作業者が、背面ケース３００の背面側から係合部材１６３１０を不正に操作して、固定部材３２０を背面ケース３００から取り外すことを抑制できる。
【１２３３】
次いで、図１６１を参照して、第１７実施形態における背面ケース１７３００について説明する。上記第１実施形態では、背面ケース３００の第２開口部３０１ｄから、係合部材３１０の操作子３１５が突出する場合について説明したが、第１７実施形態では、背面ケース１７３００の第２開口部３０１ｄから突出する操作子３１５が、所定の位置で背面ケースの一部に覆われる。なお、上記各実施形態と同一の部分には同一の符号を付してその詳しい説明を省略する。
【１２３４】
図１６１（ａ）は、第１７実施形態における背面ケース１７３００の背面図であり、図１６１（ｂ）は、図１６１（ａ）のＣＬＸＩｂ−ＣＬＸＩｂ線における背面ケース１７３００の断面図である。
【１２３５】
図１６１に示すように、第１７実施形態における背面ケース１７３００は、正面視略矩形の底壁部１７３０１と、その底壁部１７３０１の４辺の外縁から正面へ向けて立設される外壁部３０２とを備え、それら各壁部１７３０１，３０２により一面側（正面側）が開放された箱状に形成される。底壁部１７３０１には、その中央に正面視矩形の開口３０１ａが開口形成され、その開口３０１ａを通じて、底壁部１７３０１の背面に配設される第３図柄表示装置８１（図２参照）が視認可能とされる。
【１２３６】
また、背面ケース１７３００は、底壁部１７３０１に正面側の２箇所から突設される突設部３０１ｂと、固定部材３２０と対向する位置に開口する第１開口部３０１ｃと、係合部材３１０と対向する位置に開口する第２開口部３０１ｄと、その第２開口部３０１ｄの第１開口部３０１ｃ側（矢印Ｒ方向側）の背面を覆設する覆設部１７３０１ｅと、を備える。
【１２３７】
覆設部１７３０１ｅは、第２開口部３０１ｄの第１開口部３０１ｃ側（矢印Ｒ方向側）の端部から背面側（矢印Ｂ方向側）に向かって立設される。また、覆設部１７３０１ｅは立設先端部が背面視における第２開口部３０１ｄの開口の内側に向かって屈曲する屈曲部１７３０１ｅ１を備える。これにより、覆設部１７３０１ｅは、第１開口部３０１ｃ側（矢印Ｒ方向側）と反対側（矢印Ｌ方向側）が開口する箱形状に形成される。
【１２３８】
また、覆設部１７３０１ｅの立設距離（底壁部１７３０１ｃの背面から屈曲部１７３０１ｅ１の正面との間の距離）は、底壁部１７３０１ｃから突出する操作子３１５の突出寸法よりも大きく設定される。さらに、覆設部１７３０１ｅは、背面視における屈曲部１７３０１ｅ１の左右方向（矢印Ｌ−Ｒ方向）の寸法が、背面視における操作子３１５の左右方向の寸法よりも大きく設定される。
【１２３９】
これにより、係合部材３１０の係合部３１６と固定部材３２０の被係合部３３２とが係合した状態では、図１６１（ｂ）に示すように、操作子３１５が覆設部１７３０１ｅの内側に配置される。従って、係合部材３１０と固定部材３２０との係合を解除する方向（矢印Ｌ方向側）に係合部材３１０を作業者が操作する際に、背面ケース１７３００の背面側から操作子３１５を掴みにくくすることができる。これにより、係合部材３１０と固定部材３２０との係合を解除する方向（矢印Ｌ方向側）に係合部材３１０が変位されることを抑制できる。その結果、固定部材３２０に配設される基板ボックス１００を不正に交換しようとしてする作業者（遊技者）が、背面ケース１７３００の背面側から係合部材３１０を操作して、固定部材３２０を背面ケース１７３００から取り外すことを抑制できる。
【１２４０】
次いで、図１６２から図１６４を参照して、第１８実施形態における背面ケース１８３００について説明する。上記第１実施形態では、係合部材３１０が、直線方向（矢印Ｌ−Ｒ方向）にスライド変位される場合について説明したが、第１８実施形態における係合部材１８３１０は、背面ケース１８３００に対して回転変位される。なお、上記各実施形態と同一の部分については、同一の符号を付してその詳しい説明を省略する。
【１２４１】
初めに、図１６２及び図１６３を参照して、第１８実施形態における背面ケース１８３００の構成および係合部材１８３１０の操作について説明する。図１６２（ａ）及び図１６３（ａ）は、第１８実施形態における背面ケース１８３００の正面図であり、図１６２（ｂ）及び図１６３（ｂ）は、背面ケース１８３００の背面図である。なお、図１６２（ａ）及び図１６２（ｂ）では、係合部材１８３１０と固定部材１８３２０とが係合した状態が図示され、図１６３（ａ）及び図１６３（ｂ）では、係合部材１８３１０と固定部材１８３２０との係合が解除された状態が図示される。
【１２４２】
図１６２及び図１６３に示すように、第１８実施形態における背面ケース１８３００は、正面視略矩形の底壁部１８３０１と、その底壁部１８３０１の４辺の外縁から正面へ向けて立設される外壁部１８３０２とを備え、それら各壁部１８３０１，１８３０２により一面側（正面側）が開放された箱状に形成される。また、背面ケース１８３００は、底壁部１８３０１の正面側（箱状に形成された開放側（矢印Ｆ方向側））に配設される係合部材１８３１０と、背面ケース１８３００の背面側に配設され、基板ボックス１００（主制御装置１１０）を固定する固定部材１８３２０と、を備える。
【１２４３】
底壁部１８３０１は、その中央に正面視矩形の開口３０１ａが開口形成され、その開口３０１ａを通じて、底壁部１８３０１の背面に配設される第３図柄表示装置８１（図２参照）が視認可能とされる。また、底壁部１８３０１は、固定部材１８３２０と対向する位置に開口する第１開口部１８３０１ｃと、その第１開口部１８３０１ｃの下方（矢印Ｄ方向）に位置し、正面側に突出する突設部１８３０１ｂと、を備える。
【１２４４】
第１開口部１８３０１ｃは、後述する固定部材１８３２０の被係合部１８３３２を挿通するための開口であり、正面視において被係合部１８３３２よりも大きい形状に形成される。これにより、背面ケース１８３００の内側に役物装置（回転ユニット７００）を配設した後で、背面ケース１８３００の背面側から固定部材１８３２０の係合部分を背面ケース１８３００の正面側に配置することができる。
【１２４５】
突設部１８３０１ｂは、後述する係合部材１８３１０を軸支する部材であり、の底壁部１８３０１の正面から円柱状に突設される。また、突設部１８３０１ｂの突設先端面には、ネジを螺合する孔が凹設される。これにより、係合部材１８３１０を背面ケース１８３００に配設した状態で、突設部１８３０１ｂにネジを螺合することで、係合部材１８３１０が突設部１８３０１ｂから抜け出ることを規制できる。
【１２４６】
外壁部１８３０２は、正面視において右側（矢印Ｒ方向側）の側面に左右方向（矢印Ｌ−Ｒ方向）に開口する開口部１８３０２ａを備える。開口部１８３０２ａは、後述する係合部材１８３１０の回転軌跡上に形成される。これにより、係合部材１８３１０を背面ケース１８３００の内側に配設した後に、係合部材１８３１０を回転させることで係合部材１８３１０を背面ケース１８３００の外側に突出させることができる。
【１２４７】
固定部材１８３２０は、後述する係合部材１８３１０と係合する介設部材１８３３０と、その介設部材１８３３０に締結される軸支部材３４０と、から構成される。
【１２４８】
介設部材１８３３０は、正面側が開放する箱状に形成され、他側（矢印Ｌ方向側）の側面に突設される係止部１８３３１と、一側（矢印Ｒ方向側）の側面から背面ケース３００側に突出して枠状に形成される被係合部１８３３２と、箱状の底面（矢印Ｂ方向側の側面）に円形状に開口する挿通孔３３３（図３９（ｂ）参照）と、背面から突出する突部３３４と、を主に備える。
【１２４９】
係止部１８３３１は、固定部材３２０の他側（矢印Ｌ方向側）を底壁部１８３０１に係合させるための開口を備え、その開口に上述した第１開口部１８３０１ｃの周囲から断面Ｌ字状に突設される突壁１８３０１ｃ１が挿通されることで底壁部１８３０１に係合される。
【１２５０】
これにより、介設部材１８３３０（固定部材１８３２０）を背面ケース１８３００に配設する際に、介設部材１８３３０の係止部１８３３１に突壁１８３０１ｃ１を挿通させて介設部材１８３３０の他側（矢印Ｌ方向側）を背面ケース１８３００に対して係止することができる。
【１２５１】
被係合部１８３３２は、係合部材１８３１０と係合する部分であり、背面ケース１８３００側（矢印Ｆ方向側）への突出寸法が、背面ケース１８３００に配設される係合部材１８３１０を超える寸法に設定され、囲われる空間の正面側（矢印Ｆ方向側）の内面から底壁部１８３０１の正面までの距離寸法が、係合部材１８３１０の正面から底壁部１８３０１の正面までの距離よりも大きく設定される。これにより、被係合部１８３３２により囲われる空間と係合部材１８３１０とが、前後方向（矢印Ｆ−Ｂ方向）において重なる位置に配置される。
【１２５２】
係合部材１８３１０は、正面視略Ｌ字状に形成されており、背面ケース１８３００の突設部１８３０１ｂに軸支される第２片１８３１２と、その第２片１８３１２の一方の端部から屈曲して形成される第１片１８３１１と、から構成される。
【１２５３】
第２片１８３１２は、第１片１８３１１が形成される側と反対側の端部に前後方向（矢印Ｆ−Ｂ方向）に円形状に開口される軸支孔１８３１２ａを備える。軸支孔１８３１２ａは、上述した背面ケース１８３００の突設部１８３０１ｂが挿入される孔であり、これにより、係合部材１８３１０を背面ケース１８３００の内側に軸支した状態で配設できる。
【１２５４】
第１片１８３１１は、上述した軸支孔１８３１２ａの軸を中心として円弧状に延設される。これにより、係合部材１８３１０を軸支孔１８３１２ａの軸を中心として回転させた際に第１片１８３１１の変位領域を最小とすることができる。また、第１片１８３１１は、第２片１８３１２との連結側と反対側の端部に、軸支孔１８３１２ａから径方向の両側に突出する係合部１８３１６と、その２箇所の係合部３１６の略中間位置から第１片１８３１１の延設方向に凹設される凹部１８３１７と、を備える。
【１２５５】
２箇所の係合部１８３１６は、正面視における外形が略三角形状に形成される。また、２箇所の係合部１８３１６の一方の係合部１８３１６は、第２片１８３１２との連結部と反対側の端部から第２片１８３１２との連結部側に向かう程、第１片１８３１１の径方向外側に突出する外形に形成される。２箇所の係合部１８３１６の他方の係合部１８３１６は、第２片１８３１２との連結部と反対側の端部から第２片１８３１２との連結部側に向かう程、第１片１８３１１の径方向内側に突出する外形に形成される。
【１２５６】
凹部１８３１７は、第１片１８３１１の厚み方向に切り欠いて形成されると共に、第１片１８３１１の第２片１８３１２との連結側と反対側の端部から、第１片１８３１１の延設方向に沿って第２片１８３１２との連結側に向かって凹設される。よって、第１片１８３１１の端部が二股に分割される。これにより、第１片１８３１１の第２片１８３１２との連結側と反対側の端部を、第２片１８３１２との連結側よりも弾性変形させやすくして、係合部材１８３１０を固定部材１８３２０と係合させやすくできる。
【１２５７】
次いで、係合部材１８３１０と固定部材１８３２０との係合について説明する。図１６３に示すように、介設部材１８３３０及び軸支部材３４０は、係合部材１８３１０との係合前に介設部材１８３３０側から挿入されるネジにより締結されて組み合わされる。
【１２５８】
また、係合部材１８３１０は、上述したように背面ケース１８３００の突設部１８３０１ｂに軸支された状態で配設され、第１片１８３１１と第２片１８３１２との連結部が、背面ケース１８３００の開口部１８３０２ａから突出された状態で配設される。
【１２５９】
なお、背面ケース１８３００に軸支された係合部材１８３１０は、重心が背面ケース１８３００の突設部１８３０１ｂよりも開口部１８３０２ａ側に位置しており、外部の力が作用していない状態では、重力により第１片１８３１１と第２片１８３１２との連結部が背面ケース１８３００の開口部１８３０２ａから突出する方向に回転される力が、係合部材１８３１０に作用される。これにより、係合部材１８３１０と固定部材１８３２０との係合が不完全であった場合に、係合部材１８３１０を背面ケース１８３００の外側に突出させて、係合部材１８３１０と固定部材１８３２０との係合の忘れを防止することができる。
【１２６０】
締結された状態の介設部材１８３３０及び軸支部材３４０（固定部材１８３２０）は、介設部材１８３３０の係止部１８３３１に第１開口部１８３０１ｃの周囲から突設される突壁１８３０１ｃ１が挿入されて、固定部材１８３２０の正面視左側（矢印Ｌ方向側）が背面ケース１８３００に係止される。この場合、固定部材１８３２０の被係合部１８３３２が、第１開口部１８３０１ｃの内側に挿入され、その被係合部１８３３２に囲われた空間が係合部材１８３１０の第１片１８３１１の先端と対向する位置に配設される。
【１２６１】
次に、係合部材１８３１０を固定部材１８３２０に係合させる作業者は、背面ケース１８３００の開口部１８３０２ａから突出した係合部材１８３１０（第１片１８３１１と第２片１８３１２との連結部）を背面ケース１８３００の内側（矢印Ｒ１方向側）に押し込む（図１６３参照）ことで、係合部材１８３１０を突設部１８３０１ｂを中心に回転させる。
【１２６２】
これにより、図１６２に示すように、係合部材１８３１０の先端を、被係合部１８３３２の内部空間に挿入できる。この場合、２箇所の係合部１８３１６の外側端部同士の離間寸法は、被係合部１８３３２の内部空間の上下方向の開口寸法よりも大きく設定されるが、係合部材１８３１０の凹部１８３１７により、第１片１８３１１が弾性変形させやすくされるので、第１片１８３１１の端部を凹部１８３１７の内側に弾性変形させて、２箇所の係合部１８３１６の外側端部同士の離間寸法を、被係合部１８３３２の内部空間の上下方向の開口寸法よりも小さくして第１片１８３１１の端部を被係合部１８３３２の内側に挿入できる。
【１２６３】
また、係合部材１８３１０の第１片１８３１１と第２片１８３１２との連結部分は、背面ケース１８３００の開口部１８３０２ａの内側に挿入されるので、係合部材１８３１０が、係合された状態で係合部材１８３１０が背面ケース１８３００の外側から操作されることを抑制できる。その結果、係合部材１８３１０が不正に操作されて、固定部材１８３２０に連結される基板ボックス１００（主制御装置１１０）が不正な基板に交換されることを抑制できる。
【１２６４】
次に、第１８実施形態における係合部材１８３１０と固定部材１８３２０との係合の解除は、について説明する。図１６３（ａ）に示すように、第１開口部１８３０１ｃは、正面視略Ｌ字状に開口されており、固定部材１８３２０の被係合部１８３３２と係合状態における係合部材１８３１０の凹部１８３１７が、第１開口部１８３０１ｃを介して背面ケース１３００の背面側（矢印Ｂ方向側）から操作可能とされる。
【１２６５】
よって、係合部材１８３１０の凹部１８３１７の外側部分を、専用の工具等で凹部１８３１７の凹設側に弾性変形させることで、係合部材１８３１０の係合部１８３１６と被係合部１８３３２との係合が解除される。この係合を解除した状態で、係合部材１８３１０を被係合部１８３３２により係合される内部空間から引き出す方向（矢印Ｌ方向）に変位させた後、係合部材３１０の変形を戻すことで、係合部材１８３１０と被係合部１８３３２との係合を解除することができる。
【１２６６】
なお、係合部材１８３１０の凹部１８３１７の外側部分と第１開口部１８３０１ｃとの隙間は、なるべく小さく形成されることが好ましい。これによれば、背面ケース３００から固定部材１８３２０を取り外す人の指を挿入不可能にできると共に、専用の工具の挿入は可能とされる。その結果、専用の工具を有する作業者のみに基板ボックス１００（主制御装置１１０）を交換可能とさせることができ、不正な基板ボックス１００に交換されることを抑制できる。
【１２６７】
次いで、図１６４を参照して、係合部材１８３１０を固定部材１８３２０に係合し忘れた場合についての説明をする。図１６４（ａ）は、遊技盤１３の模式上面図であり、図１６４（ｂ）は、パチンコ機１０の模式上面図である。なお、図１６４（ａ）及び図１６４（ｂ）では、係合部材１８３１０を被係合部１８３３２に係合し忘れた状態が図示される。また、図１６４（ａ）及び図１６４（ｂ）では、正面視において枠状に形成される外枠１１の上方側の一片を取り外した状態が図示される。
【１２６８】
上述したように、係合部材１８３１０と被係合部１８３３２との係合が不完全であった場合に、重力により係合部材１８３１０を背面ケース１８３００の外側に突出させることができる。この場合、遊技盤１３の左右方向（矢印Ｌ−Ｒ方向）における係合部材１８３１０の端部から背面ケース１８３００の右側（矢印Ｒ方向側）の端部までの距離寸法ＬＲ１（図１６４（ａ）参照）が、遊技盤１３が配設される外枠１１の左右方向における内側の左右方向寸法ＬＲ２（図１６４（ｂ）参照）よりも大きく設定される。これにより、係合部材１８３１０と固定部材１８３２０とが非係合の場合に、遊技盤１３を外枠１１の内側に挿入しようとすると、係合部材１８３１０の背面側を外枠１１の正面に当接させることができる。その結果、係合部材１８３１０と固定部材１８３２０とが非係合の場合に、遊技盤１３が外枠１１に配設されることを抑制して、係合部材１８３１０と固定部材１８３２０との係合の忘れを抑制することができる。
【１２６９】
次いで、図１６５及び図１６６を参照して、第１９実施形態における係合部材１９３１０について説明する。上記第１８実施形態では、外枠１１の内側に係合部材１８３１０を配置して係合部材１８３１０が不正に操作されることを抑制したが、第１９実施形態では、係合部材１９３１０の解除方向への回転を規制して、係合部材１８３１０が不正に操作されることを抑制する。なお、上記各実施形態と同一の部分については、同一の符号を付してその詳しい説明を省略する。
【１２７０】
図１６５は、第１９実施形態における係合部材１９３１０の分解斜視正面図である。図１６６（ａ）は、背面ケース１８３００の正面図であり、図１６６（ｂ）は、図１６５のＣＬＸＶＩｂ−ＣＬＸＶＩｂ線におけるワンウェイ１９３５０の断面図である。
【１２７１】
図１６５に示すように、第１９実施形態における係合部材１９３１０は、正面視略Ｌ字状に形成されており、背面ケース１９３００に対して回転軸を有する第２片１９３１２と、その第２片１９３１２の一方の端部から屈曲して形成される第１片１８３１１と、から構成される。
【１２７２】
第２片１９３１２は、第１片１８３１１が形成される側と反対側の端部に前後方向（矢印Ｆ−Ｂ方向）に円形状に開口する嵌合孔１９３１２ｂを備える。嵌合孔１９３１２ｂは、後述するワンウェイ１９３５０が嵌合される孔であり、ワンウェイ１９３５０の外輪１９３５１と略同一の内径に形成される。
【１２７３】
ワンウェイ１９３５０は、外周面にカム面が形成される内輪１９３５２と、その内輪１９３５２との外側を囲む円環状に形成される外輪１９３５１と、それら外輪１９３５１及び内輪１９３５２の間に配設される複数のスプリング１９３５３及びローラ１９３５４と、を備え（図１６６（ｂ）参照）、外輪１９３５１に対して内輪１９３５２が一方向に回転しようとするとカム面とローラ１９３５４との接触面圧が高くなり、抵抗となって外輪への動力を伝達し、外輪１９３５１に対して内輪が他方向に回転すると、カム面とローラ１０３５４との接触面圧が低くなり滑って動力伝達を切断するカム式のクラッチである。なお、ワンウェイ１９３５０の詳しい説明は後述する。
【１２７４】
また、ワンウェイ１９３５０の内輪１９３５２には、中心に操作子１９３６０が挿入される。操作子１９３６０は、背面ケース１９３００の背面側（矢印Ｂ方向側）に配置される操作部１９３６１と、その操作部１９３６１の正面側（矢印Ｆ方向側）に突設される挿入部１９３６２と、を主に備える。
【１２７５】
操作部１９３６１は、背面ケース１９３００の背面側から操作子１９３６０を作業者が操作する部分であり、円形状に形成され、その外形が後述する挿入部１９３６２が挿通される開口よりも大きく形成される。これにより、操作子１９３６０を背面ケース１９３００の背面側から配設した場合に、操作部１９３６１が背面ケース１９３００の正面側（矢印Ｆ方向側）に抜け出ることを抑制できる。
【１２７６】
挿入部１９３６２は、操作部１９３６１の軸と同軸上の円柱状に形成され、正面側（矢印Ｆ方向側）に突設される。また、挿入部１９３６２は、その外周面に径方向に突設される突壁１９３６２ａを備える。
【１２７７】
突壁１９３６２ａは、挿入部１９３６２に対してワンウェイ１９３５０の内輪１９３５２が空転することを防止する係合部分であり、内輪１９３５２に形成される凹部１９３５２ａに挿入される。これにより、操作子１９３６０に作用する回転力が内輪１９３５２に非伝達とされることを防止できる。
【１２７８】
さらに、挿入部１９３６２の突設先端面には、正面視円形状に凹設される凹部が形成されており、その凹部に正面側から背面側に向かってネジを螺合させることで、ワンウェイ１９３５０に対して操作子１９３６０を連結できる。
【１２７９】
次いで、図１６６を参照して背面ケース１９３００と係合部材１９３１０との配設状態について説明する。背面ケース１９３００は、正面視略矩形状の底壁部１９３０１と、その底壁部１９３０１の４辺の外縁から正面へ向けて立設される外壁部３０２とを備え、それら各壁部１９３０１，３０２により一面側（正面側）が開放された箱状に形成される。また、背面ケース１９３００は、底壁部１９３０１の正面側（箱状に形成された開放側（矢印Ｆ方向側））に配設される係合部材１９３１０と、背面ケース１９３００の背面側に配設され、基板ボックス１００（主制御装置１１０）を固定する固定部材１８３２０と、を備える。
【１２８０】
底壁部１９３０１は、その中央に正面視矩形の開口３０１ａが開口形成され、その開口３０１ａを通じて、底壁部１９３０１の背面に配設される第３図柄表示装置８１（図２参照）が視認可能とされる。また、底壁部１９３０１には、固定部材１８３２０と対向する位置に開口する第１開口部１８３０１ｃと、その第１開口部１８３０１ｃの下方（矢印Ｄ方向）に位置し、前後方向に開口して内側に上述した操作子１９３６０の挿入部１９３６２が挿入される開口（図示しない）と、を備える。
【１２８１】
上述した係合部材１９３１０は、嵌合孔１９３１２ｂの内側にワンウェイ１９３５０を内観した状態の係合部材１９３１０を底壁部１０３０１の正面側に配設した後に、背面ケース１９３００の背面側から操作子１９３６０の挿入部１９３６２を背面ケース１９３００の開口を介してワンウェイ１９３５０の内輪１９３５２の内側に挿入することで底壁部１９３０１に配設される。
【１２８２】
次いで、ワンウェイ１９３５０の動作について説明する。上述したようにワンウェイ１９３５０は、内輪１９３５２の一方向と他方向との回転方向で外輪１９３５１への動力の伝達が許容される場合と遮断される場合とに切り替えられる。
【１２８３】
初めに、内輪１９３５２の動力が外輪に伝達される場合について説明する。図１６６（ｂ）に示すように、内輪１９３５２が一方向（矢印ＬＫ方向（図１６６（ｂ）参照））に回転されると、内輪１９３５２のカム面と外輪１９３５１の内周面との間にローラ１９３５４が挟まり、ローラ１９３５４の接触が抵抗となって、内輪１９３５２の動力が外輪１９３５１に伝達される。この場合、一方向の回転方向が、係合部材１９３１０を固定部材１８３２０に係合させる方向に設定される。
【１２８４】
次いで、内輪１９３５２の動力が遮断される場合について説明する。内輪１９３５２が他方向（矢印ＲＫ方向（図１６６（ｂ）参照））に回転されると、ローラ１９３５４が外輪１９３５１の内周面と接触する抵抗により、内輪１９３５２の径方向内側に変位される。これにより、外輪１９３５１の内周面とローラ１９３５４との接触面圧が低くなり、ローラ１９３５４が外輪１９３５１に対して滑って動力伝達を遮断する。この場合、他方向の回転方向が、係合部材１９３１０を固定部材１８３２０との係合を解除する方向に設定される。
【１２８５】
これにより、係合部材１９３１０を背面ケース１９３００に配設した状態で、操作子１９３６０を回転させて係合部材１９３１０を固定部材１８３２０に係合させることができる。さらに、係合部材１９３１０と固定部材１８３２０とが係合した状態から操作子１９３６０を回転させて係合部材１９３１０と固定部材１８３２０との係合を解除することが規制される。その結果、係合部材１９３１０（操作子１９３６０）が不正に操作されて、固定部材１８３２０に連結される基板ボックス１００（主制御装置１１０）が不正な基板に交換されることを抑制できる。
【１２８６】
次いで、図１６７から図１６９を参照して、第２０実施形態における係合部材２０３１０について説明する。上記第１実施形態では、係合部材３１０の移動が回転ユニット７００の背面ベース７２０に挿通されるネジにより規制される場合について説明したが、第２０実施形態では、係合部材２０３１０が固定部材３２０に係合された際に、係合部材２０３１０の移動が回転ユニット２０７００の背面ベース２０７２０に形成される係合部２０７２４ａに係合されることで規制される。なお、上記各実施形態と同一の部分については、同一の符号を付してその詳しい説明を省略する。
【１２８７】
初めに、図１６７及び図１６８を参照して、第２０実施形態における係合部材２０３１０及び回転ユニット２０７００について説明する。図１６７は、第２０実施形態における背面ケース２０３００及び回転ユニット２０７００の分解斜視図である。図１６８（ａ）は、係合部材２０３１０の正面図であり、図１６８（ｂ）は、回転ユニット２０７００及び係合部材２０３１０の背面図である。
【１２８８】
なお、第２０実施形態における背面ケース２０３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１２８９】
また、第２０実施形態における背面ケース２０３００は、底壁部３０１の正面側（箱状に形成された開放側（矢印Ｆ方向側））に配設される係合部材２０３１０と、背面ケース２０３００の背面側（矢印Ｂ方向側）に配設され、基板ボックス１００（主制御装置１１０）を固定する固定部材３２０と、を主に備える。さらに、第２０実施形態における背面ケース２０３００には、底壁部３０１の正面に回転ユニット２０７００が配設される。
【１２９０】
図１６７及び図１６８に示すように、第２０実施形態における背面ケース２０３００の底壁部３０１の正面側（矢印Ｆ方向側）に配設される係合部材２０３１０は、正面視における形状がクランク状に形成されており、互いに平行となる方向に延設される第１片３１１及び第２片２０３１２と、その第１片３１１及び第２片２０３１２の端部同士を第１片３１１及び第２片２０３１２の延設方向と直交する方向に連結する第３片３１３とから構成される。
【１２９１】
第１片３１１及び第２片２０３１２には、その延設方向に長い長穴の摺動溝３１４がそれぞれ形成されており、これにより、係合部材２０３１０は、第１片３１１及び第２片２０３１２の延設方向（矢印Ｌ−Ｒ方向）に摺動可能とされる。
【１２９２】
また、第２片２０３１２は、係合部材２０３１０の摺動方向と平行な側面に凹設される凹部２０３１２ｃを備える。凹部２０３１２ｃは、後述する回転ユニット２０７００の背面ベース２０７２０の係合部２０７２４ａの先端が挿入される凹みであり、係合部２０７２４ａの外形と略同一の形状に形成される。
【１２９３】
詳しく説明すると、凹部２０３１２ｃは、第２片２０３１２の第３片３１３との連結側と反対側（矢印Ｌ方向側）の端部までの寸法ＳＨ１（図１６８（ａ）参照）が、係合部材２０３１０の摺動溝３１４の内部を突設部３０１ｂが摺動可能な寸法ＳＨ２（図１６８（ｂ）参照）と略同一に設定される。また、凹部２０３１２ｃは、正面視における角度が直角の三角形に凹設されると共に、その直角の部分が第２片２０３１２の第３片３１３との連結側（矢印Ｒ方向側）に設定される。
【１２９４】
回転ユニット２０７００は、背面ケース２０３００の底壁部３０１のうちの開口３０１ａの下側部分の右側（矢印Ｒ方向側に配設される正面視矩形状の背面ベース２０７２０と、その背面ベース２０７２０の正面側（矢印Ｆ方向側）に配設される回転体８００（図９３参照）とを備え、遊技盤１３に配設される光透過性のセンターフレーム８６を介して回転体８００を回転変位させる演出を遊技者に視認させることができる。
【１２９５】
背面ベース２０７２０は、球受台７１０の背面および装飾ユニット７５０の背面側（矢印Ｂ方向側）を連結する板部材であり、球受台７１０及び装飾ユニット７５０の背面側に配設される。また、背面ベース２０７２０は、背面から立設される立設壁２０７２４を備える。
【１２９６】
立設壁２０７２４は、背面ケース２０３００に配設される係合部材２０３１０の外縁を取り囲む形状に延設される。また、立設壁２０７２４は、係合部材２０３１０の凹部２０３１２ｃと対向する位置に形成され、凹部２０３１２ｃの内側に先端が挿入される係合部２０７２４ａを備える。
【１２９７】
係合部２０７２４ａは、係合部材２０３１０を固定部材３２０に係合させる方向（矢印Ｒ方向）に立設壁２０７２４から突設され、係合部材２０３１０の摺動方向と直交する方向において、立設壁２０７２４と所定の隙間を隔てて形成される。これにより、係合部２０７２４ａの剛性を低くして、係合部２０７２４ａを弾性変形させやすくできる。また、立設壁２０７２４と係合部２０７２４ａとの隙間の分、係合部２０７２４ａが弾性変形可能な領域を確保することができる。
【１２９８】
また、係合部２０７２４ａは、突設先端部に係合部材２０３１０側に屈曲する屈曲部２０７２４ａ１を備え、その屈曲部２０７２４ａ１の正面視形状が、上述した凹部２０３１２ｃと略同一形状の三角形状に形成される。これにより、係合部材２０３１０は、固定部材３２０との係合前において、係合部材２０３１０の凹部２０３１２ｃの内側に屈曲部２０７２４ａ１が配置される。よって、係合部材２０３１０を、その変位方向（矢印Ｌ−Ｒ方向）に摺動させにくくすることができる（図１６８（ｂ）参照）。
【１２９９】
従って、係合部材２０３１０が背面ケース２０３００に対して振動や揺れ等の力により振動して、固定部材３２０との係合方向（矢印Ｒ方向）に移動することを抑制できる。よって、背面ケース２０３００に固定部材３２０が配設される前に、係合部材２０３１０の位置が変位して、固定部材３２０を背面ケース２０３００に配設した際に、固定部材３２０の被係合部３３２が係合部材２０３１０と当接することを抑制できる。言い換えると、背面ケース２０３００に固定部材３２０を配設する際に、固定部材３２０の被係合部３３２（図１６７参照）を配設する際の変位領域内に、係合部材２０３１０が位置することを抑制できる。その結果、係合部材２０３１０を固定部材３２０との係合を解除する方向に操作する必要がなくなるので、係合部材２０３１０と固定部材３２０とを係合させる際の作業性を向上することができる。
【１３００】
次いで、図１６９を参照して、係合部材２０３１０と固定部材３２０とが係合された状態における係合部材２０３１０及び回転ユニット２０７００について説明する。図１６９（ａ）は、回転ユニット２０７００及び係合部材２０３１０の背面図であり、図１６９（ｂ）は、背面ケース２０３００の背面図である。なお、図１６９（ａ）及び図１６９（ｂ）では、係合部材２０３１０と固定部材２０３２０とが係合した状態が図示される。また、図１６９（ｂ）では、係合部材２０３１０の一部および立設壁２０７２４の外形が鎖線で図示される。
【１３０１】
図１６９に示すように、背面ケース２０３００の背面側（矢印Ｂ方向側）から操作子３１５が操作されて係合部材２０３１０が、背面ケース２０３００の底壁部３０１に対して正面視左側（矢印Ｌ方向側）に配置された状態から、背面ケース２０３００の底壁部３０１に対して正面視右側（矢印Ｒ方向側）に変位されると、係合部材２０３１０の凹部２０３１２ｃの内側に配設された屈曲部２０７２４ａ１が、その凹部２０３１２ｃの傾斜面により凹部２０３１２ｃに押し出される。
【１３０２】
ここで、上述したように、凹部２０３１２ｃは、第２片２０３１２の第３片３１３との連結側と反対側（矢印Ｌ方向側）の端部までの距離寸法ＳＨ１（図１６８（ａ）参照）が、係合部材２０３１０の摺動溝３１４の内部を突設部３０１ｂが摺動可能な寸法ＳＨ２（図１６８（ｂ）参照）と略同一に設定されるので、係合部材２０３１０が固定部材３２０と係合する位置まで変位されると、係合部材２０３１０の第２片２０３１２の第３片３１３との連結側と反対側（矢印Ｌ方向側）の端部が、屈曲部２０７２４ａ１と係合部材２０３１０の変位方向（矢印Ｌ−Ｒ方向）に隣合う位置に配置される。これにより、係合部材２０３１０が、固定部材３２０との係合を解除する方向（矢印Ｌ方向）に不正に変位されることを抑制できる。
【１３０３】
なお、上記第１実施形態と同様に、係合部材２０３１０は、係合部３１６が固定部材３２０の被係合部３３２に引っ掛かる（係合する）ことで、係合部材２０３１０の固定部材３２０との係合を解除する方向への変位が規制される。しかしながら、固定部材３２０の被係合部３３２を背面ケース３００の第１開口部３０１ｃを挿通させるので、被係合部３３２と係合部３１６との係合は、第１開口部３０１ｃを介して不正に解除される恐れがあった。
【１３０４】
これに対して、第２０実施形態では、係合部材２０３１０の固定部材３２０との係合を解除する方向への変位を、固定部材３２０と係合する係合部材２０３１０の係合部３１６と反対側の端部を屈曲部２０７２４ａ１に当接させて規制することができるので、第１開口部３０１ｃから不正物が挿入されて、係合部材２０３１０の端部と屈曲部２０７２４ａ１との係合が解除されることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３０５】
なお、固定部材３２０と係合部材２０３１０とは、背面ケース２０３００の内側（底壁部３０１）に配設される回転ユニット２０７００を背面ケース２０３００から取り外して、係合部材２０３１０の端部と屈曲部２０７２４ａ１との係合を解除した後に、係合部材２０３１０の第１片３１１の端部を弾性変形させて、係合部材２０３１０の端部を被係合部３３２の内部空間から引き出すことで両者の係合を解除できる。
【１３０６】
従って、背面ケース２０３００から、固定部材３２０を取り外す場合には、背面ケース２０３００の正面側から回転ユニット２０７００を取り外す必要があるので、係合部材２０３１０と固定部材３２０との係合が不正に解除されて、固定部材３２０に連結される基板ボックス１００（主制御装置１１０）が不正な基板に交換されることを抑制できる。
【１３０７】
さらに、係合部材２０３１０は、上述したように正面視における形状がクランク状に屈曲して形成されるので、第１片３１１側から挿入される針金やワイヤー等の不正物が直線状に第２片２０３１２の端部まで送られることを規制できる。従って、第１片３１１側から挿入される不正物が正確に第２片２０３１２と屈曲部２０７２４ａ１との係合部分に送れることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３０８】
次いで、図１７０から図１７３を参照して、第２１実施形態における回転ユニット２１７００について説明する。上記第１実施形態では、回転ユニット７００の背面ベース７２０に挿通されるネジにより係合部材３１０の移動が規制される場合について説明したが、第２１実施形態では、回転ユニット２１７００の背面ベース２１７２０に形成される挿入部２１７２４ｂに第１片３１１が挿入されることで、係合部材３１０の移動が規制される。なお、上記各実施形態と同一の部分については、同一の符号を付してその詳しい説明を省略する。
【１３０９】
初めに、図１７０及び図１７１を参照して、第２１実施形態における係合部材３１０及び回転ユニット２１７００の全体構成について説明する。図１７０は、第２１実施形態における背面ケース３００及び回転ユニット２１７００の分解斜視図である。図１７１（ａ）は、回転ユニット２１７００及び係合部材３１０の背面図であり、図１７１（ｂ）は、図１７１（ａ）のＣＬＸＸＩｂ−ＣＬＸＸＩｂ線における回転ユニット２１７００の模式断面図である。
【１３１０】
なお、第２１実施形態における背面ケース２１３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【１３１１】
また、第２１実施形態における背面ケース２１３００は、底壁部３０１の正面側（箱状に形成された開放側（矢印Ｆ方向側））に配設される係合部材３１０と、背面ケース２１３００の背面側（矢印Ｂ方向側）に配設され、基板ボックス１００（主制御装置１１０）を固定する固定部材３２０と、を主に備える。さらに、第２１実施形態における背面ケース２１３００には、底壁部３０１の正面に回転ユニット２１７００が配設される。
【１３１２】
図１７０及び図１７１に示すように、第２１実施形態における回転ユニット２１７００は、背面ケース３００の底壁部３０１のうちの開口３０１ａの下側（矢印Ｄ方向側）部分の右側（矢印Ｒ方向側）に配設される正面視矩形状の背面ベース２１７２０と、その背面ベース２１７２０の正面側に配設される回転体８００（図９３参照）と、を備え、遊技盤１３に配設される光透過性のセンターフレーム８６を介して回転体８００を回転変位させる演出を遊技者に視認させることができる。
【１３１３】
背面ベース２１７２０は、球受台７１０の背面および装飾ユニット７５０の背面側を連結する板部材であり、球受台７１０及び装飾ユニット７５０の背面側に配設される。また、背面ベース２１７２０は、その背面に立設される立設壁２１７２４を備える。
【１３１４】
立設壁２１７２４は、背面ケース３００に配設された状態の係合部材３１０の外縁を取り囲む形状に延設される。また、立設壁２１７２４は、係合部材３１０が背面ケース３００に対して左側（矢印Ｌ方向側）端部に位置する状態（係合部材３１０と固定部材３２０との係合が解除された状態）において、係合部材３１０の凹部３１７に向かって（矢印Ｌ方向に向かって）突設される挿入部２１７２４ｂを備える。
【１３１５】
挿入部２１７２４ｂは、立設壁２１７２４から係合部材３１０の変位方向（矢印Ｌ−Ｒ方向）と平行な方向に延設されると共に、固定部材３２０と係合された状態における係合部材３１０と重力方向（矢印Ｕ−Ｂ方向）に重なる寸法に設定される。また、挿入部２１７２４ｂの先端部には、背面側（係合部材３１０側）に屈曲する屈曲部２１７２４ｂ１が形成され、その屈曲部２１７４２ｂ１の屈曲先端部が、パチンコ機１０の前後方向（矢印Ｆ−Ｂ方向）において、係合部材３１０と重なる長さに設定される。
【１３１６】
さらに、挿入部２１７４２ｂの上下方向（矢印Ｕ−Ｄ方向）における幅寸法は、係合部材３１０の凹部３１７の上下方向における幅寸法よりも小さい寸法に設定される。従って、挿入部２１７２４ｂは、係合部材３１０が固定部材３２０と係合された状態において、屈曲部２１７２４ｂ１が凹部３１７の内側に挿入された状態とされる。これにより、係合部材３１０及び固定部材３２０が係合された状態から係合部材３１０の第１片３１１が凹部３１７の凹設内側に弾性変形されることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３１７】
次いで、図１７１から図１７３を参照して、係合部材３１０を固定部材３２０に係合させる場合の挿入部２１７２４ｂの動作について説明する。図１７２（ａ）及び図１７３（ａ）は、回転ユニット２１７００及び係合部材３１０の背面図である。図１７２（ｂ）及び図１７３（ｂ）は、背面ケース３００及び回転ユニット２１７００の模式断面図である。なお、図１７２（ａ）及び図１７２（ｂ）では、係合部材３１０と固定部材３２０との係合が解除された状態が図示され、図１７３（ａ）及び図１７３（ｂ）では、係合部材３１０が、固定部材３２０へ係合される途中の状態が図示される。
【１３１８】
図１７２及び図１７３に示すように、係合部材３１０は、固定部材３２０との係合が解除された状態から、係合部材３１０の第１片３１１の端部が固定部材３２０の被係合部３３２の内部空間に挿入される際に、第１片３１１の端部が凹部３１７の内側に向かって弾性変形される。これにより、凹部３１７は、その上下方向（矢印Ｕ−Ｄ方向）における幅寸法が、挿入部２１７２４ｂの上下方向の幅寸法よりも小さくされる。
【１３１９】
また、係合部３１６が、被係合部３３２の内部空間に位置する場合（図１７３（ａ）に示す位置の場合）、第１片３１１の端部が挿入部２１７２４ｂの突設先端部を超える位置に配置される。言い換えると、係合部３１６の左右方向における長さ寸法が、挿入部２１７２４ｂの突設先端部から固定部材３２０の被係合部３３２の端部までの対向間寸法よりも大きく設定される。
【１３２０】
よって、係合部３１６が、被係合部３３２の内部空間から押し出される際に、係合部材３１０の第１片３１１側の端部を挿入部２１７２４ｂの屈曲部２１７２４ｂ１に当接させることができる。この場合、挿入部２１７２４ｂは、屈曲部２１７２４ｂ１の傾斜面に沿って先端が正面側（矢印Ｆ方向側）に押し出される。これにより、係合部材３１０を固定部材３２０と係合する位置まで変位させることができる。
【１３２１】
なお、図１７１に示すように、係合部３１６が、被係合部３３２の内部空間から抜け出された場合には、上述したように、第１片３１１の上下方向における凹部３１７の幅寸法よりも、挿入部２１７２４ｂの上下方向における幅寸法が大きくされるため、凹部３１７の内側に屈曲部２１７２４ｂ１が挿入される。
【１３２２】
従って、上述したように、係合部材３１０の第１片３１１が凹部３１７の凹設内側に弾性変形されることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３２３】
なお、係合部材３１０と固定部材３２０とは、背面ケース３００の内側（底壁部３０１）に配設される回転ユニット２１７００を背面ケース２１３００から取り外して、係合部材３１０の端部と背面ケース２０３００との係合を解除した後に、係合部材３１０の第１片３１１の端部を弾性変形させて、係合部材３１０の端部を被係合部３３２の内部空間から引き出すことで両者の係合を解除することができる。
【１３２４】
従って、背面ケース２１３００から、固定部材３２０を取り外す場合には、背面ケース２１３００の正面側から回転ユニット２１７００を取り外す必要があるので、係合部材３１０と固定部材３２０との係合が背面ケース２１３００の背面側から不正に解除されて、固定部材３２０に連結される基板ボックス１００（主制御装置１１０）が不正な基板に交換されることを抑制できる。
【１３２５】
次いで、図１７４から図１７６を参照して、第２２実施形態における係合部材２２３１０及び固定部材２２３２０について説明する。上記第１実施形態では、固定部材３２０の被係合部３３２に係合部材３１０の係合部３１６が係合される場合について説明したが、第２２実施形態では、係合部材２２３１０に凹設される凹部２２３１１ａに固定部材２２３２０に形成される屈曲部２２３３２ａ１が係合される。なお、上記各実施形態と同一の部分については、同一の符号を付してその詳しい説明を省略する。
【１３２６】
図１７４から図１７６（ａ）を参照して、第２２実施形態における係合部材２２３１０及び固定部材２２３２０の構成について説明する。図１７４は、係合部材２２３１０及び固定部材２２３２０の斜視正面図である。図１７５（ａ）及び図１７５（ｂ）は、背面ケース２２３００の正面図である。図１７６（ａ）は、図１７５（ｂ）のＣＬＸＸＶＩａ−ＣＬＸＸＶＩａ線における背面ケース２２３００の模式断面図である。なお、図１７５（ａ）では、係合部材２２３１０と固定部材２２３２０とが係合前の状態が図示され、図１７５（ｂ）では、係合部材２２３１０と固定部材２２３２０とが係合された状態が図示される。
【１３２７】
図１７４から図１７６（ａ）に示すように、第２２実施形態における背面ケース２２３００は、正面視略矩形状の底壁部３０１と、その底壁部３０１の４辺の外縁から正面へ向けて立設される外壁部３０２とを備え、それら各壁部３０１，３０２により、一面側が開放される箱状に形成される。また、背面ケース２２３００は、底壁部３０１の正面側（箱状に形成された開放側（矢印Ｆ方向側））に配設される係合部材２２３１０と、底壁部３０１の背面側に配設され、基板ボックス１００（主制御装置１１０）を固定する固定部材２２３２０とを備える。
【１３２８】
係合部材２２３１０は、正面視における外形がクランク形状に形成されており、互いに平行となる方向に延設される第１片２２３１１及び第２片３１２と、その第１片２２３１１及び第２片３１２の端部同士を第１片２２３１１及び第２片３１２の延設方向と直交する方向に連結する第３片３１３とから構成される。
【１３２９】
また、第１片２２３１１及び第２片３１２には、その延設方向に長い長穴の摺動溝３１４がそれぞれ形成されており、これにより、係合部材２２３１０は、第１片２２３１１及び第２片３１２の延設方向（矢印Ｌ−Ｒ方向）に摺動可能とされる。
【１３３０】
第１片２２３１１は、第３片３１３が連結される側と反対側の端部の正面側（矢印Ｆ方向側）に背面側（矢印Ｂ方向側）に向かって凹設される凹部２２３１１ａを備える。
【１３３１】
凹部２２３１１ａは、後述する固定部材２２３２０に形成される屈曲部２２３３２ａ１が挿入されて、係合部材２２３１０と固定部材２２３２０とを係合させる部分であり、後述するように、係合部材２２３１０の第１片２２３１１の一側（矢印Ｒ方向側）の端部を固定部材２２３２０の被係合部２２３３２の内部空間に収容した場合に、固定部材２２３２０の２２３３２ａと対向する位置に形成される。
【１３３２】
また、凹部２２３１１ａの内部形状は、断面が略直角三角形状に形成されており、直角部分が、第１片２２３１１の端部側（矢印Ｒ方向側）に設定されると共に、凹設底面が第１片２２３１１の端部側に向かって背面側（矢印Ｂ方向）に深くなる傾斜面として形成される。
【１３３３】
固定部材２２３２０は、上述した係合部材２２３１０に係合する介設部材２２３３０と、その介設部材２２３３０の背面側に締結される軸支部材３４０とから構成される。
【１３３４】
介設部材２２３３０は、正面側（矢印Ｆ方向側）が開放する箱状に形成され、一側（矢印Ｒ方向側）の側面に突出する係止部３３１と、他側（矢印Ｌ方向側）の側面から背面ケース２２３００の底壁部３０１側（背面側（矢印Ｂ方向側））に突出して枠状に形成される被係合部２２３３２と、箱状の底面（矢印Ｂ方向側の側面）に円形状に開口する挿通孔３３３（図３９（ｂ）参照）と、背面から突出する突部３３４と、を主に備える。
【１３３５】
被係合部２２３３２は、その囲われた内部空間に係合部材２２３１０の第１片２２３１１の一側（矢印Ｒ方向側）の端部が挿入される部分であり、その内縁形状が、第１片２２３１１の外形よりも若干大きく設定される。また、被係合部２２３３２は、枠状に形成されるうちの正面側（矢印Ｆ方向側）の１辺から係合部材２２３１０の被係合部２２３３２への挿入方向（矢印Ｒ方向側）に突出する突部２２３３２ａを備える。
【１３３６】
突部２２３３２ａは、先端の端部に正面側（矢印Ｆ方向側）に屈曲する屈曲部２２３３２ａ１を備え、その屈曲部２２３３２ａ１が、上述した係合部材２２３１０の凹部２２３１１ａに挿入されることで、係合部材２２３１０と固定部材２２３２０とを係合させることができる。即ち、屈曲部２２３３２ａ１は、係合部材２２３１０が被係合部２２３３２へ挿入された状態における凹部２２３１１ａと対向する位置に形成される。
【１３３７】
この場合、図１７６（ａ）に示すように、係合部材２２３１０と固定部材２２３２０との係合部分が、背面ケース２２３００の底壁部３０１に対して係合部材２２３１０を挟んで正面側に形成される。従って、底壁部３０１に形成される第１開口部３０１ｃから係合部材２２３１０と固定部材２２３２０との係合部分を離間させることができるので、第１開口部３０１ｃから針金やワイヤなどの不正部材が挿入されて、係合部材２２３１０と固定部材２２３２０との係合が不正に解除されることを抑制できる。
【１３３８】
さらに、底壁部３０１と係合部材２２３１０及び固定部材２２３２０の係合部分との間に、係合部材２２３１０の第１片２２３１１を配置することができるので、底壁部３０１に形成される第１開口部３０１ｃ等の開口部から不正に挿入された針金やワイヤ等が、直線的に係合部材２２３１０及び固定部材２２３２０の係合部分に到達することを抑制できる。その結果、底壁部３０１の開口から不正部材（針金やワイヤ等）が挿入されて、係合部材２２３１０と固定部材２２３２０との係合が不正に解除されることを抑制できる。
【１３３９】
また、本実施形態では、突部２２３３２ａが、被係合部２２３３２の内部空間への係合部材２２３１０の挿入方向に突設される。従って、係合部材２２３１０と固定部材２２３２０との係合部分が、固定部材２２３２０の正面側に設定される。これにより、底壁部３０１の第１開口部３０１ｃから針金やワイヤ等の不正部材が挿入された場合に、係合部材２２３１０と固定部材２２３２０との係合部分に到達する不正部材の挿入方向を底壁部３０１の正面に対して斜めに傾かせることができる。これにより、不正部材の先端から係合部材２２３１０と固定部材２２３２０との係合部分の係合を解除する方向の力が伝達されにくくすることができる。その結果、底壁部３０１の第１開口部３０１ｃから不正部材が挿入されて、係合部材２２３１０と固定部材２２３２０との係合が不正に解除されることを抑制できる。
【１３４０】
次いで、図１７６（ｂ）を参照して、第２３実施形態における係合部材２３３１０及び固定部材２３３２０について説明する。上記第２２実施形態では、係合部材２２３１０の被係合部２２３３２への挿入方向に係合部材２２３１０を係合させる突部２２３３２ａが突設される場合を説明したが、第２３実施形態では、係合部材２３３１０の被係合部２３３３２の挿入方向と反対方向に突部２３３３２ａが突設される。なお、上記各実施形態と同一の部分については、同一の符号を付してその詳しい説明を省略する。
【１３４１】
図１７６（ｂ）は、第２３実施形態における背面ケース２３３００の断面図である。なお、図１７６（ｂ）の断面図は、図１７６（ａ）の断面図と対応する。また、第２３実施形態は、上述したように、第２２実施形態における係合部材２２３１０と固定部材２２３２０と、係合位置が異なるのみであるので、係合部材２３３１０と固定部材２３３２０との係合部分以外は、第２２実施形態と同一であるのでその説明は省略する。
【１３４２】
なお、第２３実施形態における背面ケース２２３００は、正面視略矩形の底壁部２３３０１と、その底壁部２３３０１の４辺の外縁から正面へ向けて立設される外壁部３０２とを備え、それら各壁部２３３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１３４３】
また、第２３実施形態における背面ケース２３３００は、底壁部２３３０１の正面側（箱状に形成された開放側（矢印Ｆ方向側））に配設される係合部材２３３１０と、背面ケース２３３００の背面側（矢印Ｂ方向側）に配設され、基板ボックス１００（主制御装置１１０）を固定する固定部材２３３２０と、を主に備える。
【１３４４】
図１７６（ｂ）に示すように、第２３実施形態では、上述したように被係合部２３３３２から突出される突部２３３３２ａの突出方向が、第２２実施形態の突部２２３３２ａ（図１７６（ａ）参照）と反対方向（矢印Ｌ方向）に設定され、その突部２３３３２ａの突出先端に背面側（矢印Ｂ方向側）に向かって屈曲する屈曲部２３３３２ａ１が形成される。
【１３４５】
係合部材２３３１０は、屈曲部２３３３２ａ１と対向する位置に屈曲部２３３３２ａ１の外形よりも大きい矩形状の開口２３３１０ｂが形成される。これにより、係合部材２３３１０が、固定部材２３３２０の被係合部２３３３２の内部空間に挿入されると、開口２３３１０ｂの内側に屈曲部２３３３２ａ１が挿入されて、係合部材２３３１０と固定部材２３３２０とが係合される。
【１３４６】
また、第２３実施形態における背面ケース２３３００の底壁部２３３０１には、固定部材２３３２０と対向する位置に、第３開口部２３３０１ｅが形成される。この第３開口部２３３０１ｅにより、作業者は底壁部２３３０１の背面側から係合部材２３３１０と固定部材２３３２０との係合部分を解除することができる。その結果、背面ケース２３３００から固定部材２３３２０の取り外しの作業を簡易にすることができる。
【１３４７】
次いで、図１７７及び図１７８を参照して、第２４実施形態における背面ケース２４３００について説明する。上記第１８実施形態では、固定部材１８３２０を底壁部１８３０１から取り外す場合に、固定部材１８３２０と係合部材１８３１０との係合を解除する場合について説明したが、第２４実施形態では、固定部材２４３２０を底壁部２４３０１から取り外す場合に、係合部材２４３１０の固定部材２４３２０への挿入部分を切断する。なお、上記各実施形態と同一の部分については、同一の符号を付してその詳しい説明を省略する。
【１３４８】
図１７７（ａ）は、第２４実施形態における背面ケース２４３００の正面図であり、図１７７（ｂ）は、図１７７（ａ）のＣＬＸＸＶＩＩｂ−ＣＬＸＸＶＩＩｂ線における背面ケース２４３００の断面図である。図１７８は、図１７７（ｂ）のＣＬＸＸＶＩＩＩ−ＣＬＸＸＶＩＩＩ線における背面ケース２４３００の断面図である。
【１３４９】
図１７７及び図１７８に示すうように、第２４実施形態における背面ケース２４３００は、正面視略矩形状の底壁部２４３０１と、その底壁部２４３０１の４辺の外縁から正面へ向けて立設される外壁部３０２とを備え、それら各壁部２４３０１，３０２により一面側（正面側）が開放された箱状に形成される。また、背面ケース２４３００は、底壁部２４３０１の正面側（箱状に形成された開放側（矢印Ｆ方向側））に配設される係合部材２４３１０と、底壁部２４３０１の背面側に配設され、基板ボックス１００（主制御装置１１０）を固定する固定部材２４３２０と、を備える。
【１３５０】
底壁部２４３０１は、その中央に正面視矩形状の開口３０１ａが開口形成され、その開口３０１ａを通して、底壁部２４３０１の背面に配設される第３図柄表示装置８１（図２参照）が視認可能とされる。また、底壁部２４３０１には、固定部材２４３２０と対向する位置に開口する第１開口部２４３０１ｃと、その第１開口部２４３０１ｃの左側（矢印Ｌ方向側）に位置し、前後方向（矢印Ｆ−Ｂ方向）に開口して内側に後述する操作子２４３６０の挿入部２４３６２が挿入される開口（図示しない）と、を備える。
【１３５１】
係合部材２４３１０は、正面視Ｔ字状に形成される第２片２４３１２と、その第２片２４３１２の端部から屈曲して円弧状に延設される第１片２４３１１と、を主に備える。第２片２４３１２は、直交する２本の延設部分の連結部分に前後方向に貫通する貫通孔２４３１２ｄを備え、その貫通孔２４３１２ｄから第２片２４３１２の延設部分の外側までの距離が、それぞれ略同一に設定される。
【１３５２】
貫通孔２４３１２ｄは、後述する操作子２４３６０の挿入部２４３６２が挿入される部分であり、挿入部２４３６２の外形と略同一の円形状に形成される。これにより、操作子２４３６０が回転操作されることで、貫通孔２４３１２ｄを中心に係合部材２４３１０が回転変位される。
【１３５３】
第１片２４３１１は、貫通孔２４３１２ｄを中心とする円弧形状に形成され、第２片２４３１２のそれぞれの端部から一方向の回転（正面視左回転）方向に突設される。また、各第１片２４３１１は、突設先端部に貫通孔２４３１２ｄの軸を中心とする径方向の両側に突出する係合部２４３１６と、突設先端面から第２片２４３１２との連結側に向かって凹設される凹部２４３１７と、を備える。
【１３５４】
係合部２４３１６は、後述する固定部材２４３２０と係合させる部分であり、凹部２４３１７により第１片２４３１１の突設先端部（係合部２４３１６が形成される部分）を弾性変形して固定部材２４３２０に形成される被係合部２４３３２に係合させることができる。なお、係合部２４３１６と凹部２４３１７との形状についての詳しい説明は後述する。
【１３５５】
操作子２４３６０は、底壁部２４３０１の背面側（矢印Ｂ方向側）からの操作を底壁部２４３０１の正面側（矢印Ｆ方向側）に配設される係合部材２４３１０に伝達する操作部材であり、円柱状に形成される操作部２４３６１と、その操作部２４３６１と同軸上に突出される挿入部２４３６２と、を備える。操作部２４３６１は、底壁部２４３０１に形成され、挿入部２４３６２を挿通する開口よりも大きい寸法に外径が設定される。これにより、操作子２４３６０の全体が底壁部２４３０１の正面側に変位されることを抑制できる。
【１３５６】
挿入部２４３６２は、上述したように係合部材２４３１０の貫通孔２４３１２ｄに挿入される部分であり、これにより、操作部２４３６１から入力された回転力を係合部材２４３１０に伝達できる。
【１３５７】
固定部材２４３２０は、上述した係合部材２４３１０と係合する介設部材２４３３０と、その介設部材２４３３０の背面側に配設される軸支部材３４０と、から構成される。
【１３５８】
介設部材２４３３０は、正面側（矢印Ｆ方向側）が開放する箱状に形成される。また、介設部材２４３３０は、正面から突設されると共に、下方側（矢印Ｄ方向側）が開放された箱状に形成される収容部２４３３５を備える。収容部２４３３５は、内部に係合部材２４３１０の係合部分（第１片２４３１１の先端部分）を挿入する部分であり、下方側の開放部分が上述した係合部材２４３１０の第１片２４３１１の変位軌跡上に配置される。これにより、係合部材２４３１０を回転させて、係合部材２４３１０の第１片２４３１１の端部を収容部２４３３５の内部空間に収容することができる。
【１３５９】
また、収容部２４３３５は、その内部空間が１箇所の係合部材２４３１０の係合部分よりも大きく形成される。これにより、後述するように係合部材２４３１０が切断された場合に、収容部２４３３５の内部空間に係合部材２４３１０の切断部分を収容することができる。なお、本実施形態では、収容部２４３３５の内部空間の大きさが、係合部材２４３１０の係合部分（第１片２４３１１の先端部分）の略３倍に設定されており、収容部２４３３５の内部空間に少なくとも３個以上の係合部材２４３１０が収容可能とされる。
【１３６０】
収容部２４３３５は、図１７８に示すように、下方側が開口されると共に、開口部分に段部２４３３５ａが階段状に突出され、その段部２４３３５ａに収容部２４３３５の内側に収容される係合部材２４３１０の係合部２４３１６が係合される。これにより、係合部材２４３１０を回転した場合に、第１片２４３１１の先端部を収容部２４３３５の内側に挿入すると共に、係合部材２４３１０と固定部材２４３２０と係合させることができる。
【１３６１】
また、この場合、凹部２４３１７の凹設深さＳＨ３（図１７８参照）は、収容部２４３３５に収容され係合された状態の第１片２４３１１の端部から収容部２４３３５の下方側端までの距離寸法ＳＨ４よりも小さく設定される。従って、係合された第１片２４３１１に形成される凹部２４３１７が、収容部２４３３５の内側に収容された状態とされる。これにより、第１片２４３１１の端部が弾性変形されて係合部材２４３１０と固定部材２４３２０との係合が解除されることを抑制できる。
【１３６２】
従って、第２４実施形態では、収容部２４３３５の内側に挿入される第１片２４３１１の収容部２４３３５から突出する第１片２４３１１を切断することで、底壁部２４３０１から固定部材２４３２０を取り外すことができる。
【１３６３】
この場合、収容部２４３３５の上部内縁から第１片２４３１１の先端部までの距離寸法ＳＨ５（図１７８参照）が、上述した距離寸法ＳＨ４よりも大きく設定される。これにより、第１片２４３１１の切断した部分を収容部２４３３５の上方に移動させることができ、収容部２４３３５の開放側（矢印Ｆ方向側）から他の第１片２４３１１を挿入して段部２４３３５ａに係合させることができる。
【１３６４】
よって、固定部材２４３２０が底壁部２４３０１から取り外された回数を係合部材２４３１０の残りの第１片２４３１１の個数または収容部２４３３５に収容される切断された第１片２４３１１の個数により、判断させることができる。その結果、固定部材２４３２０が底壁部２４３０１から不正に取り外されて、その固定部材２４３２０に連結される基板ボックス１００（主制御装置１１０）が不正な基板に交換された場合に、係合部材２４３１０の残りの第１片２４３１１の個数または収容部２４３３５に収容される切断された第１片２４３１１の個数によ、不正に固定部材２４３２０が取り外されたことを作業者に認識させることができる。
【１３６５】
また、係合部材２４３１０は上述したように第２片２４３１２が、正面視Ｔ字状に形成され、第１片２４３１１が形成されていない側（Ｔ字の上方側）の領域を利用して、係合部材２４３１０を回転させて第１片２４３１１を固定部材２４３２０に挿入することができる。また、第１片２４３１１が切断されるとその第１片２４３１１の切断された領域を利用して、係合部材２４３１０を回転可能とされ、次（他）の第１片２４３１１を固定部材２４３２０に挿入することができる。これにより、第１片２４３１１の収容部２４３３５に収容される順番を決定することができる。よって、作業者は、切断されていない第１片２４３１１がどの位置にあるのかを視認して、固定部材２４３２０が不正に解除されていないのかを判断することができるので、第１片２４３１１の個数を作業者が数える場合よりも、不正がされた痕跡を作業者が見落とすことを抑制できる。
【１３６６】
次いで、図１７９を参照して、第２５実施形態における遊技盤２５０１３について説明する。上記第１実施形態では、一般入賞口ユニット１５０の装飾部材１５４が、本体部１５１に接着される場合について説明したが、第２５実施形態では、装飾部材１５４が、ベース板６０の正面側に接着される。なお、上記各実施形態と同一の部分については、同一の符号を付してその詳しい説明を省略する。
【１３６７】
図１７９（ａ）及び図１７９（ｂ）は、第２５実施形態における遊技盤２５０１３の断面図である。なお、図１７９（ａ）及び図１７９（ｂ）は、図１４の断面図と対応する。また、図１７９（ｂ）では、ベース板６０から一般入賞口ユニット２５１５０が分解された状態が図示される。
【１３６８】
なお、第２５実施形態における遊技盤２５０１３は、第１実施形態における遊技盤１３と同様に、遊技盤２５０１３は、正面視略矩形状の板部材から形成されるベース板６０と、そのベース板６０に形成される開口部分に配設されるセンターフレーム８６を備える。また、遊技盤２５０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２５実施形態では、ベース板６０の第２開口部６０ｂ（図１１参照）の開口部分に一般入賞口ユニット２５１５０が配設される。
【１３６９】
図１７９に示すように、第２５実施形態における遊技盤２５０１３のベース板６０の正面側に配設される一般入賞口ユニット２５１５０は、ベース板６０の正面に沿って配設される本体部１５１と、その本体部１５１の端部に立設される第１立設部１５２と、本体部１５１の正面から立設されると共に、一端が第１立設部１５２に連結される第２立設部１５３と、本体部１５１の背面側に配設される装飾部材２５１５４と、本体部１５１に形成される複数（本実施形態では３個）の一般入賞口６３と、を主に備える。
【１３７０】
装飾部材２５１５４は、光透過性材料から板状に形成されると共に、ベース板６０の正面側に配設される装飾部材６０ｃと連なる模様や文字（絵柄）の装飾が施される。また、装飾部材２５１５４は、その外縁の形状が、本体部１５１に形成される凹部１５１ｂの内縁の形状よりも若干小さく形成される。
【１３７１】
また、装飾部材２５１５４は、ベース板６０（装飾部材６０ｃ）の正面に接着させる接着テープ２５１５４ａを装飾部材２５１５４の背面の端部に備える。これにより、装飾部材２５１５４をベース板６０に接着して配設することができる。従って、作業者は、装飾部材２５１５４をベース板６０へ配置する際に、ベース板６０の装飾部材６０ｃの装飾を視認しつつ装飾部材２５１５４をベース板６０の正面に貼付することができる。よって、装飾部材２５１５４とベース板６０の装飾部材６０ｃとの装飾の位置を合わせやすくすることができる。その結果、装飾部材２５１５４とベース板６０の装飾部材６０ｃとの装飾の位置がずれることを抑制して、遊技者に装飾部材２５１５４とベース板６０の装飾部材６０ｃとを１の装飾として遊技者に視認させやすくできる。
【１３７２】
さらに、装飾部材２５１５４がベース板６０（装飾部材６０ｃ）の正面に直接貼付されるので、本体部１５１の正面側に装飾が施される場合よりも、装飾部材２５１５４と装飾部材６０ｃとの前後方向（矢印Ｆ−Ｂ方向）における配置を近づけることができる。その結果、遊技者が装飾部材２５１５４を斜めから視認した場合の各装飾部材２５１５４，６０ｃの装飾の位置ずれが大きくなることを抑制できる。その結果、遊技者に装飾部材２５１５４とベース板６０の装飾部材６０ｃとを１の装飾として遊技者に視認させやすくできる。
【１３７３】
また、第２５実施形態では、本体部１５１の凹部１５１ｂの凹設寸法Ｘ１が、装飾部材２５１５４及び接着テープ２５１５４ａとを合わせた前後方向（矢印Ｆ―Ｂ方向）における幅寸法Ｘ２よりも、小さく設定される。これにより、装飾部材２５１５４の正面側（矢印Ｆ方向側）から、本体部１５１を配設した場合に、装飾部材２５１５４を凹部１５１ｂの凹設底面１５１ｂ２に装飾部材２５１５４の正面が当接することを抑制できる。
【１３７４】
従って、凹部１５１ｂを除いた本体部１５１の背面を形成する背面部１５１ｄをベース板６０の正面に当接させることができ、背面部１５１ｄとベース板６０との間に隙間が形成されることを抑制できる。その結果、背面部１５１ｄとベース板６０との間にゴミ等が入ってベース板６０の装飾部材６０ｃの装飾が視認されにくくなることを抑制できる。
【１３７５】
次いで、図１８０を参照して第２６実施形態における遊技盤２６０１３について説明する。上記第１実施形態では、一般入賞口ユニット１５０の本体部１５１の端部に直線状の傾斜面１５１ａが形成される場合について説明したが、第２６実施形態では、本体部２６１５１の端部に形成される傾斜面２６１５１ａが外側に膨出する断面円弧状に形成される。なお、上記各実施形態と同一の部分については、同一の符号を付してその詳しい説明を省略する。
【１３７６】
図１８０（ａ）及び図１８０（ｂ）は、第２６実施形態における遊技盤２６０１３の断面図である。なお、図１８０（ａ）及び図１８０（ｂ）は、図１４の断面図に対応する。また、図１８０（ａ）では、遊技者が遊技盤２６０１３を通常の遊技状態よりも高い位置（例えば、パチンコ機１０（図１参照）の重力方向上側端部と同じ高さの（起立した状態の）視点）から視認した場合の視線が２点鎖線で図示され、図１８０（ｂ）では、遊技者が遊技盤２６０１３を通常の遊技状態の位置（例えば、遊技盤２６０１３の重力方向略中間位置と同一の高さの視点）から視認した場合の視線が２点鎖線で図示される。
【１３７７】
なお、第２６実施形態における遊技盤２６０１３は、第１実施形態における遊技盤１３と同様に、遊技盤２６０１３は、正面視略矩形状の板部材から形成されるベース板６０と、そのベース板６０に形成される開口部分に配設されるセンターフレーム８６（図２参照）を備える。また、遊技盤２６０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。
【１３７８】
さらに、第２６実施形態では、ベース板６０の第２開口部６０ｂ（図１１参照）の開口部分に一般入賞口ユニット２６１５０が配設される。従って、一般入賞口ユニット２６１５０は、遊技盤２６０１３の重力方向略中間位置よりも下方に配設される。よって、通常の遊技状態における遊技者が一般入賞口ユニット２６１５０を視認する際の視線は、遊技盤２６０１３に対して下降する方向とされる。
【１３７９】
図１８０に示すように、第２６実施形態における遊技盤２６０１３のベース板６０の正面側に配設される一般入賞口ユニット２６１５０は、ベース板６０の正面に沿う板状の本体部２６１５１と、その本体部２６１５１の背面側に配設される装飾部材１５４と、を備える。
【１３８０】
本体部２６１５１は、透明の樹脂材料から形成され、背面側に配設される装飾部材１５４の模様や文字等（絵柄）の装飾を遊技者側から視認可能とされる。また、本体部２６１５１は、正面視における端部が背面側に向かって傾斜すると共に、断面円弧状に膨出する傾斜面２６１５１ａと、本体部２６１５１の背面から正面側に向かって凹設される凹部１５１ｂと、を主に備えて形成される。
【１３８１】
傾斜面２６１５１ａは、本体部２６１５１の正面側の平面との連結点と、背面側の端部と、を連結する仮想線ＩＬ１（図１８０参照）のベース板６０の正面に対する傾斜角度θ１が、４５度よりも小さく設定される。これにより、傾斜角度θ１が、４５度よりも大きく設定される場合よりも、本体部２６１５１を水平方向に進む光が傾斜面２６１５１ａから本体部２６１５１の外側に入射する際の入射角が大きくされる。よって、本体部２６１５１の外側に光が出射させた際に、その光の進行方向を上方側に屈曲させやすくできる。従って、遊技者が、遊技盤２６０１３に対して通常の遊技状態の位置よりも高い位置（起立した位置）から一般入賞口ユニット２６１５０を視認した場合に、装飾部材１５４，６０ｃの連結部分を正面側から視認させやすくできる。その結果、装飾部材１５４，６０ｃの連結部分の前後方向の位置の違いを遊技者に認識されにくくすることができるので、一般入賞口ユニット２６１５０の装飾部材１５４と、ベース板６０の装飾部材６０ｃとを合わせて１の装飾として視認させやすくできる。なお、本実施形態では、角度θ１が４０度に設定される。
【１３８２】
また、上述したように傾斜面２６１５１ａは、外側に膨出する断面円弧状に形成され、その円弧の軸が仮想線ＩＬ１（本体部２６１５１の正面側の平面との連結点と、背面側の端部と、を連結する線（図１８０参照））よりも背面側（ベース板６０側）に設定される。よって、本体部２６１５１の中央側（図１８０（ａ）下側）に向かうほど、本体部２６１５１を水平方向に進む光が傾斜面２６１５１ａから本体部２６１５１の外側に入射する際の入射角が大きくされる。従って、本体部２６１５１の中央側（図１８０（ａ）下側）に向かうほど、本体部２６１５１を水平方向に進む光が傾斜面２６１５１ａから本体部２６１５１の外側に入射する際の入射角が大きくされる。
【１３８３】
よって、遊技者が傾斜面２６１５１ａを介して、本体部２６１５１の正面側の平面との連結点と背面側の端部との中間位置を通過する水平線ＨＲ１（図１８０（ａ）参照）よりも下方側の装飾を視認した場合に、本体部２６１５１内を通過する遊技者の視線の角度をベース板６０の正面に対して直交する方向（水平方向）に近づけやすくできる。
【１３８４】
さらに、凹部１５１ｂの内側に配設される装飾部材１５４は、その端部の位置が、本体部２６１５１の正面側の平面との連結点と背面側の端部との中間位置を通過する水平線ＨＲ１（図１８０（ａ）参照）よりも下方に設定されると共に、傾斜面２６１５１ａの背面側に設定される。上述したように、水平線ＨＲ１（図１８０（ａ）参照）よりも下方側の装飾を、遊技者が傾斜面２６１５１ａを介して視認した場合に、本体部２６１５１内を通過する遊技者の視線の角度をベース板６０の正面に対して直交する方向（水平方向）に近づけやすくできる。
【１３８５】
従って、図１８０（ａ）に示すように、遊技者が遊技盤２６０１３を通常の遊技状態よりも高い位置（起立した位置）から一般入賞口ユニット２６１５０及びベース板６０を視認した場合にも、傾斜面２６１５１ａを介してベース板６０の装飾部材６０ｃの装飾と、一般入賞口ユニット２６１５０の装飾部材１５４の装飾とを合わせて遊技者に視認させやすくできる。その結果、一般入賞口ユニット２６１５０の装飾部材１５４と、ベース板６０の装飾部材６０ｃとを合わせて１の装飾として視認させやすくできる。
【１３８６】
一方、図１８０（ｂ）に示すように、遊技者が遊技盤２６０１３を通常の遊技状態の高さから一般入賞口ユニット２６１５０及びベース板６０を視認した場合には、傾斜面２６１５１ａの膨出形状により、本体部２６１５１を水平方向に進む光が傾斜面２６１５１ａから本体部２６１５１の外側に入射する際の入射角が直角に近似するので、本体部２６１５１の外側に出射される光を屈折しにくくできる。よって、傾斜面２６１５１ａを介した際に遊技者の視線の方向が屈曲することを抑制して、一般入賞口ユニット２６１５０の装飾部材１５４と、ベース板６０の装飾部材６０ｃと、の前後方向（矢印Ｆ―Ｂ方向）の位置ずれを遊技者に認識されにくくすることができる。その結果、一般入賞口ユニット２６１５０の装飾部材１５４と、ベース板６０の装飾部材６０ｃとを合わせて１の装飾として視認させやすくできる。
【１３８７】
次いで、図１８１を参照して、第２７実施形態における遊技盤２７０１３について説明する。上記第１実施形態では、一般入賞口ユニット１５０の本体部１５１の端部に直線状の傾斜面１５１ａが形成される場合について説明したが、第２７実施形態では、本体部２６１５１の端部形成される傾斜面２７１５１ａが、本体部２７１５１の内側に凹む断面円弧状に形成される。なお、上記各実施形態と同一の部分については、同一の符号を付してその詳しい説明を省略する。
【１３８８】
図１８１（ａ）及び図１８１（ｂ）は、第２７実施形態における遊技盤２７０１３の断面図である。なお、図１８１（ａ）及び図１８１（ｂ）は、図１４の断面図に対応する。また、図１８１（ａ）では、遊技者が遊技盤２７０１３を通常の遊技状態よりも高い位置（例えば、パチンコ機１０（図１参照）の重力方向上側端部と同じ高さの（起立した状態の）視点）から視認した場合の視線が２点鎖線で図示され、図１８１（ｂ）では、遊技者が遊技盤２７０１３を通常の遊技状態の位置（例えば、遊技盤２７０１３の重力方向略中間位置と同一の高さの視点）から視認した場合の視線が２点鎖線で図示される。
【１３８９】
なお、第２７実施形態における遊技盤２７０１３は、第１実施形態における遊技盤１３と同様に、遊技盤２７０１３は、正面視略矩形状の板部材から形成されるベース板６０と、そのベース板６０に形成される開口部分に配設されるセンターフレーム８６（図２参照）を備える。また、遊技盤２７０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。
【１３９０】
さらに、第２７実施形態では、ベース板６０の第２開口部６０ｂ（図１１参照）の開口部分に一般入賞口ユニット２７１５０が配設される。従って、一般入賞口ユニット２６１５０は、遊技盤２６０１３の重力方向略中間位置よりも下方に配設される。よって、通常の遊技状態における遊技者が一般入賞口ユニット２６１５０を視認する際の視線は、遊技盤２６０１３に対して下降する方向とされる。
【１３９１】
図１８１に示すように、第２７実施形態における遊技盤２７０１３のベース板６０の正面側に配設される一般入賞口ユニット２７１５０は、ベース板６０の正面に沿う板状の本体部２７１５１と、その本体部２７１５１の背面側に配設される装飾部材１５４と、を備える。
【１３９２】
本体部２７１５１は、透明の樹脂材料から形成され、背面側に配設される装飾部材１５４の模様や文字等（絵柄）の装飾を遊技者側から視認可能とされる。また、本体部２７１５１は、正面視における端部が背面側に向かって傾斜し、本体部２７１５１の内側に向かって凹設される断面円弧状の傾斜面２７１５１ａと、本体部２７１５１の背面から正面側に向かって凹設される凹部１５１ｂと、を主に備えて形成される。
【１３９３】
傾斜面２７１５１ａは、本体部２７１５１の正面側の平面との連結点と、背面側の端部と、を連結する仮想線ＩＬ２（図１８１参照）のベース板６０の正面に対する傾斜角度θ２が、４５度よりも大きく設定される。これにより、傾斜面２７１５１ａの外側への突出距離を小さくすることができ、本体部２７１５１の外形が大きくなることを抑制できる。
【１３９４】
また、上述したように、傾斜面２７１５１ａは、本体部２７１５１の内側に凹設される断面円弧状に形成され、その円弧の軸が仮想線ＩＬ２（本体部２６１５１の正面側の平面との連結点と、背面側の端部と、を連結する線（図１８１参照））よりも正面側（遊技者側（矢印Ｆ方向側）に設定される。よって、遊技者が傾斜面２７１５１ａを介して、各装飾部材６０ｃ，１５４を視認する場合に、その凹設形状により傾斜面２７１５１ａを介して各装飾部材６０ｃ，１５４の装飾を視認可能な領域を広げることができる。即ち、本体部２７１５１の内側に向かって凹設される断面円弧状により、各装飾部材６０ｃ，１５４から傾斜面２７１５１ａに入射される光を屈折させて、遊技者の視点に向かって集光することができる。その結果、傾斜面２７１５１ａ介して視認される模様や文字（絵柄）を小さくして、各装飾部材６０ｃ，１５４の連結を遊技者に分かりにくくすることができる。その結果、各装飾部材６０ｃ，１５４の位置ずれを遊技者に認識されにくくさせることができ、遊技者の興趣が損なわれることを抑制できる。
【１３９５】
さらに、凹部１５１ｂの内側に配設される装飾部材１５４は、その端部の位置が、本体部２７１５１の正面側の平面との連結点と背面側の端部との中間位置を通過する水平線ＨＲ２よりも上方に設定されると共に、傾斜面２７１５１ａの背面側に設定される。
【１３９６】
これにより、図１８１（ａ）に示すように、遊技者が遊技盤２６０１３を通常の遊技状態よりも高い位置（起立した位置）から一般入賞口ユニット２７１５０及びベース板６０を視認した場合には、装飾部材６０ｃと装飾部材１５４との連結部分の正面側の本体部２６１５１を水平方向に進む光が傾斜面２６１５１ａから本体部２６１５１の外側に入射する際の入射角が大きくされる。従って、装飾部材１５４との連結部分の正面側の本体部２７１５１を水平方向に進む光は、遊技者の視点側に屈折されやすくなるので、遊技者が、遊技盤２７０１３に対して通常の遊技状態の位置よりも高い位置（起立した位置）から一般入賞口ユニット２７１５０を視認した場合に、装飾部材１５４，６０ｃの連結部分を正面側から視認させやすくできる。その結果、装飾部材１５４，６０ｃの連結部分の前後方向の位置の違いを遊技者に認識されにくくすることができるので、一般入賞口ユニット２７１５０の装飾部材１５４と、ベース板６０の装飾部材６０ｃとを合わせて１の装飾として視認させやすくできる。
【１３９７】
一方、図１８１（ｂ）に示すように、遊技者が遊技盤２７０１３を通常の遊技状態の高さから一般入賞口ユニット２７１５０及びベース板６０を視認した場合には、傾斜面２７１５１ａの凹設形状により、装飾部材１５４との連結部分の正面側の本体部２７１５１を水平方向に進む光が傾斜面２７１５１ａから本体部２７１５１の外側に入射する際の入射角が直角に近似するので、本体部２７１５１の外側に出射される光を屈折しにくくできる。よって、傾斜面２７１５１ａを介した際に遊技者の視線の方向が屈曲することを抑制して、一般入賞口ユニット２７１５０の装飾部材１５４と、ベース板６０の装飾部材６０ｃと、の前後方向位置ずれを遊技者に認識させにくくすることができる。その結果、一般入賞口ユニット２７１５０の装飾部材１５４と、ベース板６０の装飾部材６０ｃとを合わせて１の装飾として視認させやすくできる。
【１３９８】
次いで、図１８２（ａ）を参照して、第２８実施形態における遊技盤２８０１３について説明する。上記第１実施形態では、一般入賞口ユニット１５０の本体部１５１に凹設される凹部１５１ｂの端部の内面は、本体部１５１の板厚方向と平行とされる場合について説明したが、第２８実施形態における凹部２８１５１ｂの端部の内面は、凹設底面１５１ｂ２側に向かって内側に傾斜される。なお、上記各実施形態と同一の部分については、同一の符号を付してその詳しい説明を省略する。
【１３９９】
図１８２（ａ）は、第２８実施形態における遊技盤２８０１３の断面図である。なお、図１８２（ａ）は、図１４の断面図に対応する。また、図１８２（ａ）では、遊技者が遊技盤２８０１３を通常の遊技状態の位置（例えば、遊技盤２８０１３の重力方向略中間位置と同一の高さの視点）から視認した場合の視線が２点鎖線で図示される。
【１４００】
なお、第２８実施形態における遊技盤２８０１３は、第１実施形態における遊技盤１３と同様に、遊技盤２８０１３は、正面視略矩形状の板部材から形成されるベース板６０と、そのベース板６０に形成される開口部分に配設されるセンターフレーム８６（図２参照）を備える。また、遊技盤２８０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２８実施形態では、ベース板６０の第２開口部６０ｂ（図１１参照）の開口部分に一般入賞口ユニット２８１５０が配設される。
【１４０１】
図１８２（ａ）に示すように、第２８実施形態における遊技盤２８０１３のベース板６０の正面側に配設される一般入賞口ユニット２８１５０は、ベース板６０の正面に沿う板状の本体部２８１５１と、その本体部２８１５１の背面側に配設される装飾部材１５４と、を備える。
【１４０２】
本体部２８１５１は、透明の樹脂材料から形成され、背面側に配設される装飾部材１５４の模様や文字等（絵柄）の装飾を遊技者側から視認可能とされる。また、本体部２８１５１は、端部が背面側に向かって傾斜される傾斜面１５１ａと、本体部２８１５１の背面から正面側に向かって凹設される凹部２８１５１ｂとを主に備える。
【１４０３】
凹部２８１５１ｂの内側面２８１５１ｂ３は、上述したように、凹設底面１５１ｂ２側から凹設開口側に向かって（矢印Ｆ方向側から矢印Ｂ方向側に向かって）外側に本体部２８１５１の端部側に向かって傾斜して形成される。この場合、その凹部２８１５１ｂの断面における内側面２８１５１ｂ３のベース板６０の正面に対する傾斜角度θ３（図１８２（ａ）参照）が、本体部１５１の傾斜面１５１ａのベース板６０に対する傾斜角度θ４（図１８２（ａ）参照）よりも小さく設定される。
【１４０４】
これにより、図１８２（ａ）示すように、遊技者が本体部２８１５１の傾斜面２８１５１ａを介して装飾部材６０ｃを視認する場合に、本体部２８１５１を通過することで屈曲して遊技者に視認される虚像の装飾位置と、本体部２８１５１を介さずに装飾部材６０ｃを視認した際の実像の装飾位置とを近づけることができる。即ち、本体部２８１５１の傾斜面２８１５１ａ及び凹部の内側面２８１５１ｂ３で屈折されて視認される装飾部材６０ｃの位置を遊技者の視線の延長線上に位置させることができる。その結果、遊技者に本体部２８１５１を介して装飾部材６０ｃを視認させた際に、光の屈折により生じる装飾の位置ずれを抑制して、遊技者の興趣が損なわれることを抑制できる。
【１４０５】
次いで、図１８２（ｂ）を参照して、第２９実施形態における遊技盤２９０１３について説明する。上記第２８実施形態では、凹部２９１５１ｂの断面における内側面２９１５１ｂ３のベース板６０の正面に対する傾斜角度θ３が、傾斜面１５１ａのベース板６０に対する傾斜角度θ４よりも小さく設定される場合について説明したが、第２９実施形態では、凹部２９１５１ｂの断面における内側面２９１５１ｂ３のベース板６０の正面に対する傾斜角度θ５が、傾斜面１５１ａのベース板６０に対する傾斜角度θ６よりも大きく設定される。なお、上記各実施形態と同一の部分については、同一の符号を付してその詳しい説明を省略する。
【１４０６】
図１８２（ｂ）は、第２９実施形態における遊技盤２９０１３の断面図である。なお、図１８２（ｂ）は、図１４の断面図に対応する。また、図１８２（ｂ）では、遊技者が遊技盤２９０１３を通常の遊技状態の位置（例えば、遊技盤２９０１３の重力方向略中間位置と同一の高さの視点）から視認した場合の視線が２点鎖線で図示される。
【１４０７】
なお、第２９実施形態における遊技盤２９０１３は、第１実施形態における遊技盤１３と同様に、遊技盤２９０１３は、正面視略矩形状の板部材から形成されるベース板６０と、そのベース板６０に形成される開口部分に配設されるセンターフレーム８６（図２参照）を備える。また、遊技盤２９０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２９実施形態では、ベース板６０の第２開口部６０ｂ（図１１参照）の開口部分に一般入賞口ユニット２９１５０が配設される。
【１４０８】
図１８２（ｂ）に示すように、第２９実施形態における遊技盤２９０１３のベース板６０の正面側に配設される一般入賞口ユニット２９１５０は、ベース板６０の正面に沿う板状の本体部２９１５１と、その本体部２９１５１の背面側に配設される装飾部材１５４と、を備える。
【１４０９】
本体部２９１５１は、透明の樹脂材料から形成され、背面側に配設される装飾部材１５４の模様や文字等（絵柄）の装飾を遊技者側から視認可能とされる。また、本体部２９１５１は、端部が背面側に向かって傾斜される傾斜面１５１ａと、本体部２９１５１の背面から正面側に向かって凹設される凹部２９１５１ｂとを主に備える。
【１４１０】
凹部２９１５１ｂの内側面２９１５１ｂ３は、上述したように、凹設底面１５１ｂ２側から凹設開口側に向かって（矢印Ｆ方向側から矢印Ｂ方向側に向かって）外側に本体部２９１５１の端部側に向かって傾斜して形成される。この場合、その凹部２９１５１ｂの断面における内側面２９１５１ｂ３のベース板６０の正面に対する傾斜角度θ５（図１８２（ｂ）参照）が、本体部１５１の傾斜面１５１ａのベース板６０に対する傾斜角度θ６（図１８２（ｂ）参照）よりも大きく設定される。
【１４１１】
これにより、図１８２（ｂ）示すように、遊技者が本体部２９１５１の傾斜面１５１ａを介して装飾部材６０ｃを視認する場合に、装飾部材６０ｃ及び装飾部材１５４から傾斜面１５１ａを介して遊技者の視点に照射される光を、凹部２９１５１ｂの内側面２９１５１ｂ３の傾斜に対して、略直交する方向に照射される光とすることができる。従って、装飾部材６０ｃ及び装飾部材１５４から凹部２９１５１ｂの内側面２９１５１ｂ３に光が入射する際に、光が屈折すること抑制できる。その結果、凹部２９１５１ｂの内側面２９１５１ｂ３に光が入射する際に、光が屈折することで、装飾部材６０ｃ及び装飾部材１５４の連結部分が重力方向上側から視認されることを抑制でき、装飾部材６０ｃ及び装飾部材１５４を１の装飾として遊技者に視認させやすくできる。
【１４１２】
また、凹部２９１５１ｂの内側面２９１５１ｂ３と装飾部材１５４の端部との間に所定の隙間を備えるので、その隙間により装飾部材１５４が形成される際に生じる寸法誤差を吸収することができる。
【１４１３】
次いで、図１８３（ａ）を参照して、第３０実施形態における一般入賞口ユニット３０１５０について説明する。上記第２８実施形態では、凹部２８１５１ｂの内側面２８１５１ｂ３が傾斜して形成される場合について説明したが、第３０実施形態では、凹部３０１５１ｂの内側面３０１５１ｂ３が凹部２８１５１ｂの内側に膨出すると共に断面円弧状に湾曲して形成される。なお、上記各実施形態と同一の部分については、同一の符号を付してその詳しい説明を省略する。
【１４１４】
なお、第３０実施形態における遊技盤３００１３は、第１実施形態における遊技盤１３と同様に、遊技盤３００１３は、正面視略矩形状の板部材から形成されるベース板６０と、そのベース板６０に形成される開口部分に配設されるセンターフレーム８６（図２参照）を備える。また、遊技盤３００１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第３０実施形態では、ベース板６０の第２開口部６０ｂ（図１１参照）の開口部分に一般入賞口ユニット３０１５０が配設される。
【１４１５】
図１８３（ａ）は、第３０実施形態における一般入賞口ユニット３０１５０の断面図である。なお、図１８３（ａ）は、図１４の断面図に対応する。また、図１８３（ａ）では、遊技者が、遊技盤３００１３を通常の遊技状態の位置（例えば、遊技盤３００１３の重力方向略中間位置と同一の高さの視点）から視認した場合の視線が２点鎖線で図示される。
【１４１６】
図１８３（ａ）に示すように、第３０実施形態における遊技盤３００１３のベース板６０の正面側に配設される一般入賞口ユニット３０１５０は、ベース板６０の正面に沿う板状の本体部３０１５１と、その本体部３０１５１の背面側に配設される装飾部材１５４と、を備える。
【１４１７】
本体部３０１５１は、透明の樹脂材料から形成され、背面側に配設される装飾部材１５４の模様や文字等（絵柄）の装飾を遊技者側から視認可能とされる。また、本体部３０１５１は、端部が背面側に向かって傾斜される傾斜面１５１ａと、本体部３０１５１の背面から正面側に向かって凹設される凹部３０１５１ｂとを主に備える。
【１４１８】
凹部３０１５１ｂの内側面３０１５１ｂ３は、凹設底面１５１ｂ２側から凹設開口側に向かって（矢印Ｆ方向側から矢印Ｂ方向側に向かって）外側に本体部３０１５１の端部側に傾斜して形成される共に、凹部３０１５１ｂの内側に向かって断面円弧状に膨出する。これにより、凹部３０１５１ｂを介して装飾部材６０ｃを視認する遊技者の視線を装飾部材６０ｃの装飾面と直交する方向（水平方向）に向けやすくできる。その結果、凹部３０１５１ｂを介して遊技盤３００１３の装飾を視認した場合に、装飾部材１５４の端部が視認されることを抑制して、装飾部材６０ｃ及び装飾部材１５４を１の装飾として遊技者に視認させやすくできる。
【１４１９】
次いで、図１８３（ｂ）を参照して第３１実施形態における一般入賞口ユニット３１１５０について説明する。上記第１実施形態では、傾斜面１５１ａは、断面が直線状の面として形成される場合について説明したが、第３１実施形態における傾斜面３１１５１ａは、複数の凹設部３１１５１ａ１を備える。なお、上記各実施形態と同一の部分については、同一の符号を付してその詳しい説明を省略する。
【１４２０】
図１８３（ｂ）は、第３１実施形態における一般入賞口ユニット３１１５０の断面図である。なお、図１８３（ｂ）は、図１４の断面図に対応する。また、第３１実施形態における遊技盤３１０１３は、第１実施形態における遊技盤１３と同様に、遊技盤３１０１３は、正面視略矩形状の板部材から形成されるベース板６０と、そのベース板６０に形成される開口部分に配設されるセンターフレーム８６（図２参照）を備える。また、遊技盤３１０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第３１実施形態では、ベース板６０の第２開口部６０ｂ（図１１参照）の開口部分に一般入賞口ユニット３１１５０が配設される。
【１４２１】
図１８３（ｂ）に示すように、第３１実施形態における遊技盤３１０１３のベース板６０の正面側に配設される一般入賞口ユニット３１１５０は、ベース板６０の正面に沿う板状の本体部３１１５１と、その本体部３１１５１の背面側に配設される装飾部材１５４とを備える。
【１４２２】
本体部３１１５１は、透明の樹脂材料から形成され、背面側に配設される装飾部材１５４の模様や文字等（絵柄）の装飾を遊技者側から視認可能とされる。また、本体部３１１５１は、端部が背面側に向かって傾斜される傾斜面３１１５１ａと、本体部３１１５１の背面から正面側に向かって凹設される凹部１５１ｂとを主に備える。
【１４２３】
傾斜面３１１５１ａは、その傾斜方向と直行する方向に凹設される複数の凹設部３１１５１ａ１を備える。複数の凹設部３１１５１ａ１は、傾斜面３１１５１ａの傾斜方向に複数個並設されると共に、正面視における本体部３１１５１の端部に沿って延設される。これにより、本体部３１１５１の内部に入射されて本体部３１１５１の端部（傾斜面３１１５１ａ）から出射される光を乱反射させることができる。従って、傾斜面３１１５１ａを介して視認される装飾をぼやかした状態で遊技者に視認させることができる。
【１４２４】
ここで、本体部３１１５１に配設される装飾部材１５４の端部は、第１実施形態と同様に傾斜面３１１５１ａの背面側に配設されるので、装飾部材１５４の装飾と装飾部材６０ｃの装飾の連結部分をぼやかした状態で遊技者に視認させることができる。その結果、遊技者に各装飾部材６０ｃ，１５４の連結を認識させにくくすることができ、装飾部材６０ｃの装飾と装飾部材１５４の装飾とを１の装飾として遊技者に認識させやすくできる。
【１４２５】
＜対向間の間隔を調整して流下方向を変更する調整手段＞
次いで、図１８４から図１８６を参照して、第３２実施形態における特別入賞装置３２５５０について説明する。上記第１３実施形態では、第１経路部材１３５６０と第２経路部材１３５７０との間にシム部材ＳＩを挟むことで、第１経路部材１３５６０と第２経路部材１３５７０との対向間隔を調整する場合について説明したが、第３２実施形態では、第１経路部材３２５６０と第２経路部材３２５７０との対向間隔をネジの締結位置により調整する場合について説明する。なお、上記各実施形態と同一の部分には、同一の符号を付してその説明は省略する。
【１４２６】
初めに、図１８４及び図１８５を参照して、第３２実施形態における特別入賞装置３２５５０の構成について説明する。図１８４は、第３２実施形態における特別入賞装置３２５５０の分解斜視正面図である。図１８５（ａ）は、特別入賞装置３２５５０の正面図であり、図１８５（ｂ）は、特別入賞装置３２５５０の上面図であり、図１８５（ｃ）は、図１８５（ａ）のＣＬＸＸＸＶｃ−ＣＬＸＸＸＶｃ線における特別入賞装置３２５５０の断面図である。
【１４２７】
図１８４及び図１８５に示すように、第３２実施形態における特別入賞装置３２５５０は、正面側に配設される第１経路部材３２５６０と、その第１経路部材３２５６０の背面側に配設される第２経路部材３２５７０と、を備える。
【１４２８】
第１経路部材３２５６０は、非光透過の材料から形成される。また、第１経路部材３２５６０は、板状に形成され遊技領域の正面側に配設される正面板３２５６４と、その正面板３２５６４の左右の端部から背面側（ベース板６０側）に突設される第１壁部３２５６５と、を備える。
【１４２９】
正面板３２５６４は、後述する第２経路部材３２５７０との対向間で形成される遊技球の流下経路の正面側の壁部となる板部材であり、非光透過の材料から形成される。これにより、遊技者に特別入賞装置３３５５０の内部を流下する遊技球を視認不能にできる。その結果、遊技者が特別入賞装置３３５５０の内部の遊技球の流下方向を把握することを抑制して、遊技者が遊技をやめることを抑制できる。
【１４３０】
第１壁部３２５６５は、第２経路部材３２５７０と連結（締結）される部分であり、左右方向（板厚方向）に円形状に貫通する貫通孔３２５６５ｃと、２の第１壁部３２５６５の対向面に複数個並設されると共に断面三角形状に突設される一側突部３２５６５ｄと、第１壁部３２５６５の上下の両端から２の第２壁部３２５６６の対向面側に立設される立設部３２５６５ｅとを主に備える。
【１４３１】
貫通孔３２５６５ｃは、第１経路部材３２５６０を第２経路部材３２５７０に締結させるためのネジを挿通する貫通穴であり、各第１壁部３２５６５に１箇所ずつ形成される。
【１４３２】
一側突部３２５６５ｄは、後述する第２経路部材３２５７０の他側凹部３２５７３ｃに挿入されて、第１経路部材３２５６０を第２経路部材３２５７０に対して位置決めをする部分であり、前後方向（矢印Ｆ−Ｂ方向）に並設されると共に、上下方向（矢印Ｕ−Ｄ）方向に延設される。
【１４３３】
立設部３２５６５ｅは、一側突部３２５６５ｄを覆設して、遊技者から一側突部３２５６５ｄを不可視にする部分であり、一側突部３２５６５ｄの突設距離より大きく設定される。これにより、一側突部３２５６５ｄが他側凹部３２５７３ｃに挿入された位置を視認されることを抑制して、第２経路部材３２５７０に対する第１経路部材３２５６０の位置が遊技者に認識されることを抑制できる。その結果、遊技者が不利と判断してパチンコ機１０を遊技しなくなることを抑制できる。
【１４３４】
第２経路部材３２５７０は、第１経路部材３２５６０の正面板３２５６４と対向する板状のベース板３２５７１と、そのベース板３２５７１の左右（矢印Ｌ−Ｒ方向）の端部から第１経路部材３２５６０の正面板３２５６４側に突設される第４壁部３２５７３と、を備える。
【１４３５】
ベース板３２５７１は、第１経路部材３２５６０の正面板３２５６４との対向間の隙間で遊技球の送球経路を形成する部材であり、正面視におけるベース板３２５７１の上下方向（矢印Ｕ−Ｄ方向）の大きさが正面板３２５６４よりも小さくされる。これにより、遊技者側からベース板３２５７１が視認されることを抑制できる。その結果、遊技者が、ベース板３２５７１と正面板３２５６４との対向間隔を視認して遊技が有利または不利であると判断することを防止できる。
【１４３６】
また、ベース板３２５７１は、第１経路部材３２５６０側に突出する第４凸部３２５７１ｂ及び第５凸部３２５７１ｃと、それら第４凸部３２５７１ｂ及び第５凸部３２５７１ｃの下方に位置し、正面板３２５６４側に突設される第６凸部３２５７１ｄと、を備える。
【１４３７】
第４凸部３２５７１ｂ及び第５凸部３２５７１ｃは、特別入賞装置３２５５０の内部を流下する遊技球を案内するための突起であり、ベース板３２５７１の左右方向外側（矢印Ｌ−Ｒ方向外側）からベース板３２５７１の中央側に向かって下降傾斜して形成される。これにより、ベース板３２５７１と正面板３２５６４との対向間を流下して、第４凸部３２５７１ｂ又は第５凸部３２５７１ｃに衝突する遊技球を、それら第４凸部３２５７１ｂ又は第５凸部３２５７１ｃの傾斜方向に流下させやすくすることができる。
【１４３８】
第６凸部３２５７１ｄは、上述した第４凸部３２５７１ｂ及び第５凸部３２５７１ｃの下方側に形成されると共に、ベース板３２５７１の左右方向略中央位置に形成される。また第６凸部３２５７１ｄは、重力方向に延設される。これにより、ベース板３２５７１と正面板３２５６４との対向間を流下して、第４凸部３２５７１ｂ又は第５凸部３２５７１ｃに案内される遊技球を第６凸部３２５７１ｄの左右のどちらかに振り分けられる。
【１４３９】
対向する２箇所の第４壁部３２５７３は、対向方向外側の側面に対向方向の内側に向かって凹設される複数の他側凹部３２５７３ｃと、対向方向に貫通される調整孔３２５７３ｂと、２箇所の第４壁部３２５７３の対向方向内側に形成されると共に調整孔３２５７３ｂを取り囲む収容部３２５７３ｄと、を主に備える。
【１４４０】
他側凹部３２５７３ｃは、第４壁部３２５７３の前後方向（矢印Ｆ−Ｂ方向）に複数個並設されると共に、重力方向に延設される。また、他側凹部３２５７３ｃは、断面略三角形状に凹設して形成され、その断面形状が、一側突部３２５６５ｄと略同一に設定される。これにより、一側突部３２５６５ｄを他側凹部３２５７３ｃに挿入して第１経路部材３２５６０を位置決めすることができる。
【１４４１】
調整孔３２５７３ｂは、上述した第１経路部材３２５６０の貫通孔３２５６５ｃを挿通したネジの先端を収容部３２５７３ｄ側に挿通させる部分である。また、調整孔３２５７３ｂは、前後方向（矢印Ｆ−Ｂ方向）に長い長穴に形成されており、これにより、第２経路部材３２５７０に対する第１経路部材３２５６０の移動が許容される。
【１４４２】
収容部３２５７３ｄは、正面視において断面コ字状に形成されると共に、その両端部が第４壁部３２５７３に連結される。また、収容部３２５７３ｄは、ベース板３２５７１の正面から第４壁部３２５７３の正面側の端部に亘って延設される。これにより、収容部３２５７３ｄにより囲われた空間内に、貫通孔３２５６５ｃ及び調整孔３２５７３ｂを挿通したネジを螺合する螺合板３２５９０を収容できる。
【１４４３】
螺合板３２５９０は、収容部３２５７３ｄにより形成される空間に挿入可能な寸法に設定されると共に、前後方向（矢印Ｆ−Ｂ方向）における幅寸法が収容部３２５７３ｄにより形成される空間の前後方向寸法（第４壁部３２５７３の正面側への突設寸法）よりも小さく設定される。これにより、螺合板３２５９０を収容部３２５７３ｄの内側に挿入できると共に、前後方向に移動可能とされる。
【１４４４】
また、螺合板３２５９０は、貫通孔３２５６５ｃ及び調整孔３２５７３ｂを挿通したネジを螺合する螺合孔３２５９１と、その螺合孔３２５９１の前後方向（矢印Ｆ−Ｂ方向）の両端から２箇所の第４壁部３２５７３の対向面に向かって突設される案内突部３２５９２とを備える。
【１４４５】
螺合孔３２５９１は、２箇所形成されており、上下方向に並んで形成される。また、２箇所の螺合孔３２５９１は、上端から一方の螺合孔３２５９１の距離寸法と下端から他方の螺合孔３２５９１の距離寸法とが同一となる位置に形成される。これにより、どちらか一方の螺合孔３２５９１のネジ溝が潰れた場合に、螺合板３２５９０を上下反転させることで他方の螺合孔３２５９１を利用してネジを締結することができる。
【１４４６】
案内突部３２５９２は、前後の両端部分から左右方向の両外側に所定量突設されると共に、螺合孔３２５９１側に向かって傾斜する傾斜面を備える。これにより、貫通孔３２５６５ｃ及び調整孔３２５７３ｂを挿通したネジの先端を螺合孔３２５９１に案内することができる。特に本実施形態では、螺合孔３２５９１が破損した場合に、上下を反転させることで新しい螺合孔３２５９１を使用できる。この場合、ネジの先端に対する螺合孔３２５９１の位置が合わなくなりやすいので、本実施形態のように、ネジの先端を螺合孔３２５９１に案内する構成が特に有効となる。
【１４４７】
以上のように構成される特別入賞装置３２５５０の第２経路部材３２５７０に対する第１経路部材３２５６０の調整方法は、初めに、第１経路部材３２５６０の貫通孔３２５６５ｃに挿通されると共に螺合板３２５９０に螺合されるネジを緩める。これにより、第２経路部材３２５７０に対し第１経路部材３２５６０の移動が許容された状態とされる。
【１４４８】
次に、第１壁部３２５６５を正面板３２５６４に対して左右方向外側に弾性変形させることで、第２経路部材３２５７０の他側凹部３２５７３ｃに挿入された第１経路部材３２５６０の一側突部３２５６５ｄを他側凹部３２５７３ｃから引き出した後に、前後方向の位置を調整して調整後の位置で、第１壁部３２６５５の弾性変形を戻して再度一側突部３２５６５ｄを他側凹部３２５７３ｃに挿入させる。これにより、第２経路部材３２５７０に対して第１経路部材３２５６０を仮止め（位置決め）することができる。
【１４４９】
最後に、第１経路部材３２５６０の貫通孔３２５６５ｃに挿通されると共に螺合板３２５９０に螺合されるネジを再度締めなおすことで、第２経路部材３２５７０に対する第１経路部材３２５６０の調整が完了される。
【１４５０】
これによれば、上述したように、一側突部３２５６５ｄと他側凹部３２５７３ｃとが対応する形状に形成されるので、仮止めした後にネジを締結することで、一側突部３２５６５ｄを他側凹部３２５７３ｃに押し込むことができる。よって、一側突部３２５６５ｄを他側凹部３２５７３ｃに挿入可能なそれぞれの位置で、常に同じ位置となるように調整させることができる。その結果、調整を行う作業者によって、遊技球の流れにばらつきが発生することを抑制でき、調整を簡易にすることができる。
【１４５１】
次いで、図１８６を参照して、第１経路部材３２５６０の第２経路部材３２５７０の位置調整について説明する。図１８６（ａ）は、特別入賞装置３２５５０の断面図であり、図１８６（ｂ）は、図１８６（ａ）のＣＬＸＸＸＶＩｂ−ＣＬＸＸＸＶＩｂ線における特別入賞装置３２５５０の断面図である。
【１４５２】
図１８６に示すように、左側（矢印Ｌ方向側）の第１経路部材３２５６０が第２経路部材３２５７０に対して正面側（矢印Ｆ方向側）に引き出された場合には、図１８５に示すように、左側の正面板３２５６４及びベース板３２５７１との対向間の距離が右側に比べて広くされる。この場合、正面板３２５６４及びベース板３２５７１の対向間を流下する遊技球は、左側の第４凸部３２５７１ｂに衝突し難くなるので、その分、遊技球を、左側の対向間を流下しやすくできる。これにより、正面板３２５６４及びベース板３２５７１の対向間を流下する遊技球を左側の下方から排出させやすくできる。
【１４５３】
次いで、図１８７を参照して第３３実施形態における特別入賞装置３３５５０について説明する。上記第３２実施形態では、第１経路部材３２５６０の第１壁部３２５６５を弾性変形させた状態で第２経路部材３２５７０に対する第２経路部材３２５７０の位置を調整する場合について説明したが、第３３実施形態では、第１壁部３３５６５を正面板３２５６４に対して可変可能に連結される。なお、上記各実施形態と同一の部分については、同一の符号を付してその詳しい説明を省略する。
【１４５４】
図１８７（ａ）は、第３３実施形態における第１経路部材３３５６０の分解斜視正面図であり、図１８７（ｂ）は、特別入賞装置３３５５０の断面図である。なお、図１８７（ｂ）は、図１８６（ｃ）の断面図と対応する。
【１４５５】
図１８７に示すように、第３３実施形態における特別入賞装置３３５５０は、正面側に配設される第１経路部材３３５６０と、その第１経路部材３３５６０の背面側に配設される第２経路部材３２５７０と、を備える。
【１４５６】
第１経路部材３３５６０は、板状に形成され遊技領域の正面側に配設される正面板３３５６４と、その正面板３３５６４の左右の端部に軸支される第１壁部３３５６５と、を備える。
【１４５７】
正面板３２５６４は、後述する第２経路部材３２５７０との対向間で形成される遊技球の流下経路の正面側の壁部となる板部材であり、非光透過の材料から形成される。これにより、遊技者に特別入賞装置３３５５０の内部を流下する遊技球を視認不能にできる。その結果、特別入賞装置３３５５０の内部の遊技球の流下方向を遊技者が把握することを抑制して、遊技者が遊技をやめることを抑制できる。
【１４５８】
保持部３３５６４ｅは、後述する第１壁部３３５６５を軸支するロッドＲＤを保持する部材であり、円環状に形成された内側部分にロッドＲＤを挿入可能な大きさに設定される。また、保持部３３５６４ｅは、上下方向に所定の距離を隔てる２箇所に形成されており、それら保持部３３５６４ｅの円環部分の軸が上下方向に同軸とされる。また、２箇所の保持部３３５６４ｅのうち下方側に形成される保持部３３５６４ｅは、正面板３３５６４の下側端部に形成されると共に、下端側が塞がれる。これにより、ロッドＲＤを保持部３３５６４ｅの上方側から保持部３３５６４ｅの内側に挿入した場合に、ロッドＲＤが保持部３３５６４ｅの下端から脱落する（抜け出る）ことを抑制できる。
【１４５９】
第１壁部３３５６５は、第２経路部材３２５７０と連結（締結）される部分であり、左右方向（板厚方向）に円形状に貫通する貫通孔３２５６５ｃと、２箇所の第１壁部３２５６５の対向面に複数個並設されると共に断面三角形状に突設される一側突部３２５６５ｄと、第１壁部３２５６５の上下（矢印Ｕ−Ｄ方向）の両端から２の第２壁部３２５６６の対向面側に立設される立設部３２５６５ｅと、正面板３３５６４側に断面円環形状に突出する被軸支部３３５６５ｆと、を主に備える。
【１４６０】
被軸支部３３５６５ｆは、上述した正面板３３５６４の保持部３３５６４ｅに挿入されるロッドＲＤが挿入される部分であり、円環状に形成された内側部分がロッドＲＤを挿入可能な大きさに設定される。また、被軸支部３３５６５ｆは、上下方向に所定の距離を隔てる２箇所に形成されており、それら被軸支部３３５６５ｆの円環部分の軸が上下方向に同軸とされる。また、２箇所の被軸支部３３５６５ｆは、その間に上述した保持部３３５６４ｅのうち上方に形成される保持部３３５６４ｅが配設される。
【１４６１】
これにより、正面板３３５６４及び第１壁部３３５６５との連結は、保持部３３５６４ｅと被軸支部３３５６５ｆとを同軸上に配置すると共に、それら保持部３３５６４ｅと被軸支部３３５６５ｆとの内側に上方側からロッドＲＤを挿入することで、正面板３３５６４に第１壁部３３５６５が回転可能な状態で配設される。
【１４６２】
これにより、図１８７（ｂ）に示すように、第２経路部材３２５７０のベース板３２５７１に対して、第１経路部材３３５６０の正面板３３５６４が非平行に配設される場合に、正面板３３５６４に対して第１壁部３３５６５の角度を変更して配設できる。
【１４６３】
即ち、上記第３２実施形態では、第２経路部材３２５７０のベース板３２５７１に対して第１経路部材３２５６０の正面板３２５６４を非平行に配設した場合に、正面板３２５６４に対して第１壁部３３５６５を弾性変形させた状態で保持する必要がある。また、第２経路部材３２５７０に対して第１経路部材３２５６０の位置を調整する際に、第１壁部３２５６５を正面板３２５６４に対して左右方向外側に弾性変形させて、第２経路部材３２５７０の他側凹部３２５７３ｃに挿入された第１経路部材３２５６０の一側突部３２５６５ｄを他側凹部３２５７３ｃから引き出す必要がある。そのために、正面板３２５６４と第１壁部３２５６５との連結部分が破損する可能性があった。
【１４６４】
これに対し、第３３実施形態では、正面板３３５６４に対して、第１壁部３３５６５を回転させることができるので、第１経路部材３３５６０を弾性変形させる必要がなくなり、正面板３３５６４と第１壁部３３５６５との連結部分が破損することを抑制できる。
【１４６５】
以上のように構成される特別入賞装置３３５５０の第２経路部材３２５７０に対する第１経路部材３３５６０の調整方法は、初めに、第１経路部材３３５６０の貫通孔３２５６５ｃに挿通されると共に螺合板３２５９０に螺合されるネジを緩める。これにより、第２経路部材３２５７０に対し第１経路部材３３５６０の移動が許容された状態とされる。
【１４６６】
次に、第１壁部３３５６５を正面板３３５６４に対して左右方向外側に回転させることで、第２経路部材３２５７０の他側凹部３２５７３ｃに挿入された第１経路部材３３５６０の一側突部３２５６５ｄを他側凹部３２５７３ｃから引き出した後に、前後方向の位置を調整して調整後の位置で、第１壁部３３５６５の回転を戻して再度一側突部３２５６５ｄを他側凹部３２５７３ｃに挿入させる。これにより、第２経路部材３２５７０に対して第１経路部材３２５６０を仮止めすることができる。
【１４６７】
最後に、第１経路部材３３５６０の貫通孔３２５６５ｃに挿通されると共に螺合板３２５９０に螺合されるネジを再度締めなおすことで、第２経路部材３２５７０に対する第１経路部材３３５６０の調整が完了される。
【１４６８】
次いで、図１８８から図１９０を参照して第３４実施形態における特別入賞装置３４５５０について説明する。上記第１３実施形態では、特別入賞装置１３５５０の前後の板の対向間隔を調整することで、遊技球の流下する方向を調整する場合について説明したが、第３４実施形態では、流下経路の内側に向かって突設される突起の位置を変更することで、遊技球の流下する方向を調整できる。なお、上記各実施形態と同一の部分については、同一の符号を付してその詳しい説明を省略する。
【１４６９】
初めに、図１８８及び図１８９を参照して、特別入賞装置３４５５０の全体構成について説明する。図１８８（ａ）は、第３４実施形態における遊技盤３４０１３の正面図であり、図１８８（ｂ）は、図１８８（ａ）のＣＬＸＸＸＶＩＩＩｂ−ＣＬＸＸＸＶＩＩＩｂ線における遊技盤３４０１３の断面図である。図１８９は、遊技盤３４０１３の分解斜視正面図である。
【１４７０】
図１８８及び図１８９に示すように、第３４実施形態における特別入賞装置３４５５０は、遊技盤３４０１３に配設される第１入賞口６４の上方に配設される。また、特別入賞装置３４５５０は、正面側に配設される第１経路部材３４５６０の左右方向における中心線が第１入賞口６４の左右方向における中心線と正面視において同一直線上に配設される。
【１４７１】
さらに、特別入賞装置３４５５０と第１入賞口６４とは、重力方向（矢印Ｕ−Ｄ方向）に遊技球の直径分離れた位置に配設される。これにより、特別入賞装置３４５５０から排出される遊技球を遊技者に視認させることができる。
【１４７２】
特別入賞装置３４５５０は、正面側（矢印Ｆ方向側）に配設される第１経路部材３４５６０と、その第１経路部材３４５６０の背面側（矢印Ｂ方向側）に配設される第２経路部材３４５７０と、その第２経路部材３４５７０の背面側に螺合される固定具３４５５３と、を備える。
【１４７３】
第１経路部材３４５６０は、後述する第２経路部材３４５７０との対向間で形成される遊技球の流下経路の正面側の壁部となる板部材であり、非光透過の材料から形成される。これにより、遊技者に特別入賞装置３４５５０の内部を流下する遊技球を視認不能にできる。その結果、特別入賞装置３４５５０の内部の遊技球の流下方向を遊技者が把握することを抑制して、遊技者が遊技をやめることを抑制できる。
【１４７４】
また、第１経路部材３４５６０は、板状に形成され、遊技領域の正面側（矢印Ｆ方向側）に配設される正面板３４５６４と、その正面板３４５６４の左右の端部から背面側（矢印Ｂ方向側）に立設される第１壁部３４５６５と、を備える。
【１４７５】
正面板３４５６４は、後述する第２経路部材３２５７０との対向間で形成される遊技球の流下経路の正面側の壁部となる板部材であり、後述する第２経路部材３４５７０のベース板３４５７１よりも正面視における外形が大きく形成される。これにより、第１経路部材３４５６０の背面側（矢印Ｂ方向側）に配設される第２経路部材３４５７０を正面板３４５６４で視認しにくくすることができる。従って、遊技者側から第２経路部材３４５７０が視認されることを抑制できる。よって、第２経路部材３４５７０の位置を変更した場合に、その変更が遊技者に認識されることを抑制できる。
【１４７６】
第１壁部３４５６５は、遊技盤１３のベース板３４０６０に締結される部分であり、断面略Ｌ字形状に形成される。第１壁部３４５６５の背面側への立設寸法は、正面板３４５６４と後述するベース板３４５７１の第４凸部３４５７１ｂとの対向間寸法Ｘ３（図１８８（ｂ）参照）が、遊技球の直径よりも若干大きい値に設定される。
【１４７７】
また、第１壁部３４５６５は、立設先端部からベース板３４０６０の正面と平行な方向に屈曲される屈曲部３４５６５ｇを有し、その屈曲部３４５６５ｇに前後方向に貫通する貫通孔３４５６５ｇ１が形成される。貫通孔３４５６５ｇ１は、ネジが挿通される孔であり、貫通孔３４５６５ｇ１に挿通したネジをベース板３４０６０に螺合することで、第１経路部材３４５６０をベース板３４０６０に締結できる。
【１４７８】
第２経路部材３４５７０は、第１経路部材３４５６０の正面板３４５６４と対向する板状のベース板３４５７１と、そのベース板３４５７１の背面側から円柱状に突設される支持部３４５７９と、を備える。
【１４７９】
ベース板３４５７１は、第１経路部材３４５６０の正面板３４５６４との対向間の隙間で遊技球の送球経路を形成する部材であり、正面板３４５６４と所定量離間する位置に形成される。また、ベース板３４５７１は、正面板３４５６４側に突出する第４凸部３４５７１ｂを備える。これにより、ベース板３４５７１及び正面板３４５６４の対向間を流下する遊技球を第４凸部３４５７１ｂに衝突させて流下する方向を変更することができる。
【１４８０】
支持部３４５７９は、第２経路部材３４５７０を軸支する部分であり、円柱状の軸が、ベース板３４５７１の軸と同軸上となる位置（ベース板３４５７１の中心）に形成される。また、遊技盤３４０１３のベース板３４０６０には、支持部３４５７９と対応する位置に円形状の貫通穴３４０６０ｄが開口され、その貫通穴３４０６０ｄの内側に支持部３４５７９が挿入される。これにより、第２経路部材３４５７０が、ベース板３４０６０に軸支される。
【１４８１】
支持部３４５７９は、その突設先端に締結孔３４５７９ａが凹設される。締結孔３４５７９ａは、支持部３４５７９の軸と同軸上に凹設されると共に、内周面に雌ネジ加工がされる。これにより、ベース板３４０６０の背面側から貫通孔３４０６０ｄに挿通される固定具３４５５３のネジ部３４５５３ｂを締結孔３４５７９ａに螺合させることができる。
【１４８２】
固定具３４５５３は、上述した第２経路部材３４５７０を遊技盤３４０１３のベース板３４０６０に締結するための締結部材であり、円柱状に形成される操作部３４５５３ａと、その操作部３４５５３ａの正面側に突設されるネジ部３４５５３ｂと、を備える。
【１４８３】
操作部３４５５３ａは、第２経路部材３４５７０をベース板３４０６０に配設する作業者が把持する部分であり、ベース板３４０６０に形成される貫通孔３４０６０ｄよりも大きい外形に形成される。また、操作部３４５５３ａは、ベース板３４０６０の貫通穴３４０６０ｄの内径よりも大きい外径に設定される。
【１４８４】
これにより、固定具３４５５３のネジ部３４５５３ｂを締結孔３４５７９ａに螺合させて、第２経路部材３４５７０をベース板３４０６０に配設した場合に、固定具３４５５３が貫通穴３４０６０ｄを介してベース板３４０６０の正面側に抜け出ることを抑制できる。
【１４８５】
ネジ部３４５５３ｂは、操作部３４５５３ａの軸と同軸の円柱状に形成されると共に、その外周面に雄ネジ加工がされる。ネジ部３４５５３ｂは、上述したように、第２経路部材３４５７０の締結孔３４５７９ａに螺合される部分であり、ベース板３４０６０の貫通孔３４０６０ｄよりも小さい外径に設定され、貫通孔３４０６０ｄを挿通して第２経路部材３４５７０の締結孔３４５７９ａに螺合される。
【１４８６】
以上のように構成される特別入賞装置３４５５０によれば、特別入賞装置３４５５０から排出される遊技球の排出位置を変更する場合に、作業者は、遊技盤１３のベース板３４０６０に形成される第１開口部６０ａ（センターフレーム８６）を介して遊技盤１３の正面側（矢印Ｆ方向側）から手（腕）をベース板３４０６０の背面側（矢印Ｂ方向側）に挿通させて、固定具３４５５３の操作部３４５５３ａにアクセスさせる。
【１４８７】
次に、操作部３４５５３ａを回転させて、第２経路部材３４５７０の締結孔３４５７９ａに螺合されるネジ部３４５５３ｂを緩める。これにより、第２経路部材３４５７０を支持部３４５７９を中心に回転変位可能な状態にして、第２経路部材３４５７０を回転させて、第２経路部材３４５７０の第４凸部３４５７１ｂの位置を変更する。第４凸部３４５７１ｂの位置が変更されると、特別入賞装置３４５５０の内部を流下する遊技球が第４凸部３４５７１ｂと衝突する位置が変更されるので、特別入賞装置３４５５０から排出される遊技球の排出位置を変更することができる。
【１４８８】
この場合、上述したように、第２経路部材３４５７０のベース板３４５７１は、正面視円形状に形成され、その軸と同軸上に支持部３４５７９が形成されるので、第２経路部材３４５７０を回転させた場合に、正面視におけるベース板３４０６０に対する第２経路部材３４５７０の配置が変化することを抑制できる。よって、第２経路部材３４５７０の回転されたことを遊技者が認識することを抑制できる。その結果、遊技者が不利と判断して遊技をしなくなることを抑制できる。
【１４８９】
次に、図１９０を参照して、第４凸部３４５７１ｂ（第２経路部材３４５７０）の位置を変化させた場合の遊技球の排出位置の変化について説明する。図１９０（ａ）から図１９０（ｄ）は、図１８８のＣＸＣ−ＣＸＣ線におけるパチンコ機３４０１０の断面図である。
【１４９０】
図１９０に示すように、第４凸部３４５７１ｂは、正面視における突出形状が、略Ｖ字状に形成される。従って、図１９０（ａ）に示すように、Ｖ字の屈曲側を下方側に配置した場合には、特別入賞装置３４５５０の上方から流入する遊技球をＶ字の傾斜に沿って中央部分に送球しやすくできる。その結果、特別入賞装置３４５５０の下方に配設される入賞口６４に遊技球を流入させやすくすることができる。
【１４９１】
一方、図１９０（ｂ）に示すように、Ｖ字の屈曲側を上方側に配置した場合には、特別入賞装置３４５５０の上方から流入する遊技球をＶ字の傾斜に沿って左右の両端に送球しやすくできる。その結果、特別入賞装置３４５５０の下方に配設される入賞口６４に遊技球を流入させにくくすることができる。
【１４９２】
また、図１９０（ｃ）及び図１９０（ｂ）に示すように、Ｖ字の屈曲側を左右のどちらかの端部に配置した場合には、特別入賞装置３４５５０の上方から流入する遊技球をＶ字の上方側の傾斜に沿って送球しやすくできると共に、Ｖ字の上方側に衝突されずＶ字の下方側に送球される遊技球をＶ字の下方側の傾斜に沿って送球することができる。従って、Ｖ字の上方側とＶ字の下方側とで遊技球を衝突させる領域の違いで、遊技球が送球される方向を変更することができる。
【１４９３】
なお、詳しい説明は省略するが、図１９０（ａ）から図１９０（ｄ）に示す位置以外の位置に、第４凸部３４５７１ｂの屈曲部分を配置することも可能である。例えば、図１９０（ａ）に示す位置から第２経路部材３４５７０を正面視右方向に１０度回転させた場合には、特別入賞装置３４５５０の上方から流入する遊技球を、Ｖ字の傾斜に沿って流下させて、特別入賞装置３４５５０の下方に配設される入賞口６４の上方側から若干左側（矢印Ｌ方向側）にずれた位置から遊技球を排出しやすくできる。
【１４９４】
次いで、図１９１から図１９３を参照して第３５実施形態における特別入賞装置３５５５０について説明する。上記第３４実施形態では、第２経路部材３４５７０を回転させて第４凸部３４５７１ｂの位置を変更する場合について説明したが、第３５実施形態では、第２経路部材３５５７０をスライドさせて第４凸部３５５７１ｂの位置を変更する。なお、上記各実施形態と同一の部分については、同一の符号を付してその詳しい説明を省略する。
【１４９５】
初めに、図１９１及び図１９２を参照して、第３５実施形態における特別入賞装置３５５５０について説明する。図１９１（ａ）は、第３５実施形態における遊技盤３５０１３の正面図であり、図１９１（ｂ）は、図１９１（ａ）のＣＸＣＩｂ−ＣＸＣＩｂ線における遊技盤３５０１３の断面図である。図１９２は、特別入賞装置３５５５０の分解斜視図である。
【１４９６】
図１９１及び図１９２に示すように、第３５実施形態における特別入賞装置３５５５０は、遊技盤３５０１３に配設される第１入賞口６４の上方側（矢印Ｕ方向側）に配設される。また、特別入賞装置３５５５０は、正面側（矢印Ｆ方向側）に配設される第１経路部材３５５６０の左右方向における中心線が第１入賞口６４の左右方向における中心線と正面視において同一直線状に配設される。
【１４９７】
さらに、特別入賞装置３５５５０と第１入賞口６４とは、重力方向（矢印Ｕ−Ｄ方向）に遊技球の直径分離れた位置に配設される。これにより、特別入賞装置３５５５０から排出される遊技球を遊技者に視認させることができる。
【１４９８】
特別入賞装置３４５５０は、正面側（矢印Ｆ方向側）に配設される第１経路部材３５５６０と、その第１経路部材３５５６０の背面側（矢印Ｂ方向側）に配設される第２経路部材３５５７０と、その第２経路部材３５５７０の背面側に螺合される固定具３４５５３と、を備える。
【１４９９】
第１経路部材３５５６０は、後述する第２経路部材３５５７０との対向間で形成される遊技球の流下経路の正面側の壁部となる板部材であり、非光透過の材料から形成される。これにより、遊技者に特別入賞装置３５５５０の内部の遊技球の流下方向を視認不能にできる。その結果、遊技者が、特別入賞装置３５５５０の内部の遊技球の流下方向を把握することを抑制して、遊技者が遊技をやめることを抑制できる。
【１５００】
また、第１経路部材３５５６０は、板状に形成され、遊技領域の正面側に配設される正面板３４５６４と、その正面板３４５６４の左右の端部から背面側（矢印Ｂ方向側）に立設される第１壁部３５５６５と、を備える。
【１５０１】
正面板３５５６４は、後述する第２経路部材３５５７０との対向間で形成される遊技球の流下経路の正面側（矢印Ｆ方向側）の壁部となる板部材であり、後述する第２経路部材３５５７０のベース板３５５７１よりも正面視における外形が大きく形成される。これにより、第１経路部材３５５６０の背面側（矢印Ｂ方向側）に配設される第２経路部材３５５７０を正面板３５５６４で視認しにくくすることができる。従って、遊技者側から第２経路部材３５５７０が視認されることを抑制できる。よって、第２経路部材３５５７０の位置を変更した場合に、その変更が遊技者に認識されることを抑制できる。
【１５０２】
第１壁部３５５６５は、遊技盤３５０１３のベース板６０に締結される部分であり、断面略Ｌ字形状に形成される第１壁部３４５６５の背面側への立設寸法は、正面板３５５６４と後述するベース板３５５７１の第４凸部３５５７１ｂとの対向間寸法Ｘ４（図１９１（ｂ）参照）が、遊技球の直径よりも若干大きい値に設定される。
【１５０３】
また、第１壁部３５５６５は、立設先端部からベース板６０の正面と平行な方向に屈曲される屈曲部３５５６５ｇを有し、その屈曲部３５５６５ｇに前後方向（矢印Ｆ−Ｂ方向）に貫通する貫通孔３５５６５ｇ１と、屈曲部３５５６５ｇの背面から正面側（矢印Ｆ方向側）に向かって凹設される凹設部３５５６５ｇ２とが形成される。
【１５０４】
貫通孔３５５６５ｇ１は、ネジが挿通される孔であり、貫通孔３５５６５ｇ１に挿通したネジをベース板６０に螺合することで、第１経路部材３５５６０をベース板６０に締結できる。
【１５０５】
凹設部３５５６５ｇ２は、後述する第２経路部材３５５７０のベース板３５５７１の左右（矢印Ｌ−Ｒ方向側）の両端を内側に収容する部分であり、屈曲部３５５６５ｇの基端から凹設されると共に、屈曲部３５５６５ｇの上下方向中央部に凹設される。これにより、ベース板３５５７１の左右の両端を凹設部３５５６５ｇ２の内側に収容した際に、ベース板３５５７１の左右の両端を屈曲部３５３６５ｇにより隠すことができる。よって、遊技者にベース板３５５７１の位置が認識されることを抑制できる。その結果、遊技者が不利と判断して遊技をしなくなることを抑制できる。
【１５０６】
また、凹設部３５５６５ｇ２の凹設寸法は、ベース板３５５７１の板厚よりも大きい深さ寸法に設定されると共に、屈曲部３５５６５ｇの左右の両端の離間距離Ｘ５（図１９１（ｂ）参照）が、ベース板３５５７１の左右方向の幅寸法Ｘ６（図１９１（ｂ）参照）よりも大きく設定される。これにより、ベース板３５５７１（第２経路部材３５５７０）を左右方向に変位させることができる。なお、ベース板３５５７１（第２経路部材３５５７０）の変位方法については後述する。
【１５０７】
第２経路部材３５５７０は、第１経路部材３５５６０の正面板３５５６４と対向する板状のベース板３５５７１と、そのベース板３５５７１の背面側（矢印Ｂ方向側）から背面視矩形状に突設される支持部３５５７９と、を備える。
【１５０８】
ベース板３５５７１は、第１経路部材３５５６０の正面板３５５６４との対向間の隙間で遊技球の送球経路を形成する部材であり、正面板３５５６４と所定量離間する位置に形成される。また、ベース板３５５７１は、正面板３５５６４側（矢印Ｆ方向側）に突出する第４凸部３５５７１ｂを備える。これにより、ベース板３５５７１及び正面板３５５６４の対向間を流下する遊技球を第４凸部３５５７１ｂに衝突させて流下する方向を変更することができる。
【１５０９】
支持部３５５７９は、第２経路部材３５５７０を軸支する部分であり、ベース板３４５７１の軸と同軸上となる位置（ベース板３４５７１の中心）に円柱状の軸が形成される。また、遊技盤３４０１３のベース板６０には、支持部３５５７９と対応する位置に左右方向に長い長穴形状の摺動孔３５０６０ｅが開口され、その摺動孔３５０６０ｅの内側に支持部３５５７９が挿入される。これにより、第２経路部材３５５７０がベース板６０に支持される。
【１５１０】
摺動孔３５０６０ｅは、支持部３５５７９の上下方向（矢印Ｕ−Ｄ方向）寸法と略同一の寸法に短手方向（矢印Ｕ−Ｄ方向）の幅寸法が設定されると共に、支持部３５５７９の左右方向（矢印Ｌ−Ｒ方向）寸法よりも長手方向（矢印Ｌ−Ｒ方向）の幅寸法が大きく設定される。これにより、摺動孔３５０６０ｅの内側に挿入される支持部３５５７９を摺動孔３５０６０ｅの長手方向に摺動可能にできる。
【１５１１】
また、支持部３５５７９は、その突設先端に締結孔３５５７９ａが凹設される。締結孔３５５７９ａは、内周面に雌ネジ可能がされ、固定具３４５５３のネジ部３４５５３ｂを締結孔３５５７９ａに螺合させることができる。なお、支持部３４５７９の突設寸法は、ベース板６０の厚み寸法よりも小さく設定されており、締結孔３５５７９ａに固定具３４５５３のネジ部３４５５３ｂを螺合させることで、第２経路部材３５５７０をベース板６０に固定することができる。
【１５１２】
以上のように構成される特別入賞装置３５５５０によれば、特別入賞装置３５５５０から排出される遊技球の排出位置を変更する場合に、作業者は、遊技盤３５０１３のベース板６０に形成される第１開口部６０ａ（センターフレーム８６）を介して遊技盤３５０１３の正面側（矢印Ｆ方向側）から手（腕）をベース板６０の背面側（矢印Ｂ方向側）に挿通させて、固定具３４５５３の操作部３４５５３ａにアクセスさせる。
【１５１３】
次に、操作部３４５５３ａを回転させて、第２経路部材３５５７０の締結孔３５５７９ａに螺合されるネジ部３４５５３ｂを緩める。これにより、第２経路部材３５５７０を左右方向にスライド変位可能な状態にして、第２経路部材３５５７０をスライド変位させて、第２経路部材３５５７０の第４凸部３５５７１ｂの位置を変更する。第４凸部３５５７１ｂの位置が変更されると、特別入賞装置３５５５０の内部を流下する遊技球が第４凸部３５５７１ｂと衝突する位置が変更されるので、特別入賞装置３５５５０から排出される遊技球の排出位置を変更することができる。
【１５１４】
次に、図１９３を参照して、第４凸部３５５７１ｂ（第２経路部材３５５７０）の位置を変化させた場合の遊技球の排出位置の変化について説明する。図１９３（ａ）から図１９３（ｃ）は、図１９１（ｂ）のＣＸＣＩＩＩ−ＣＸＣＩＩＩ線における遊技盤３５０１３の断面図である。なお、図１９３（ａ）から図１９３（ｃ）では、図１９３（ｂ）における第２経路部材３５５７０の位置を基準位置として、図１９３（ａ）では、第２経路部材３５５７０が基準位置から正面視左側に変位された状態が図示され、図１９３（ｃ）では、第２経路部材３５５７０が基準位置から正面視右側（矢印Ｒ方向側）に変位された状態が図示される。
【１５１５】
図１９３に示すように、第４凸部３５５７１ｂは、正面視における突出形状が、略Ｖ字状に形成され、特別入賞装置３５５５０の上方から流入する遊技球が、Ｖ字の傾斜に沿って中央部分（Ｖ字の屈曲部分）に案内される。
【１５１６】
よって、図１９３（ｂ）に示すように、第４凸部３５５７１ｂのＶ字の屈曲部分が、第１入賞口６４の上方に配設される場合には、特別入賞装置３５５５０の下方から排出される遊技球を第１入賞口６４に流入させやすくできる。
【１５１７】
一方、図１９３（ａ）及び図１９３（ｃ）に示すように、第２経路部材３５５７０を基準位置（図１９３（ｂ）に示す位置）から移動した場合には、第４凸部３５５７１ｂのＶ字の屈曲部分が第１入賞口６４の上部から左右のどちらかにずれた位置に配置されるので、第２経路部材３５５７０が基準位置に配置される場合に比べて、特別入賞装置３５５５０の下方から排出される遊技球が、第１入賞口６４に流入しにくくされる。
【１５１８】
次いで、図１９４を参照して、第３６実施形態における特別入賞装置３６５５０について説明する。上記第１実施形態では、ベース板６０の正面側に配設される第１ユニット５５１が、ベース板６０の背面側に配設される第２ユニット５５２に締結されて、ベース板６０の背面側に向かって付勢された状態で保持される場合について説明したが、第３６実施形態では、第１ユニット３６５５１に形成される締結部３６５５１ｂの弾性回復力により第１ユニット３６５５１がベース板６０の背面側に向かって付勢される。なお、上記各実施形態と同一の部分については、同一の符号を付してその詳しい説明を省略する。
【１５１９】
図１９４（ａ）は、第３６実施形態における遊技盤３６０１３を模式的に示した分解斜視正面図であり、図１９４（ｂ）は、遊技盤３６０１３の断面模式図である。なお、図１９４は、図３６の断面図と対応する。
【１５２０】
図１９４に示すように、第３６実施形態における特別入賞装置３６５５０は、センターフレーム８６が配設される第１開口部６０ａの内側からスライド変位されて、ベース板６０に配設される第１ユニット３６５５１から形成される。
【１５２１】
第１ユニット３６５５１は、その内部に遊技球を送球可能な空間を備え、その空間がベース板６０の正面側（矢印Ｆ方向側）に配設される。これにより、ベース板６０の正面を流下する遊技球を第１ユニット３６５５１の内部に流入させることができる。また、第１ユニット３６５５１は、ベース板６０正面と隣合う側面（背面）から背面側（矢印Ｂ方向側）に向かって突設される締結部３６５５１ｂを備える。
【１５２２】
締結部３６５５１ｂは、第１ユニット３６５５１をベース板６０に締結するネジが挿通される部分であり、背面側（矢印Ｂ方向側）に向かって突設されると共に、ベース板６０の背面と平行な方向に突設先端が屈曲される。
【１５２３】
また、締結部３６５５１ｂは、その屈曲側の側面に正面側（矢印Ｆ方向側）に膨出する膨出部３６５５１ｂ２と、その膨出部３６５５１ｂ２よりも屈曲先端側に板厚方向（矢印Ｆ−Ｂ方向）に貫通する貫通孔３６５５１ｂ１と、を備える。
【１５２４】
また、締結部３６５５１ｂは、第１ユニット３６５５１がベース板６０に装着されていない状態における基端（第１ユニット３６５５１の背面）から屈曲部分の正面までの距離寸法Ｘ７（図１９４（ｂ）参照）が、ベース板６０の厚み寸法よりも大きく設定される。また、締結部３６５５１ｂは、第１ユニット３６５５１がベース板６０に装着されていない状態における基端（第１ユニット３６５５１の背面）から膨出部３６５５１ｂ２の膨出先端位置までの距離寸法Ｘ８（図１９４（ｂ）参照）が、ベース板６０の厚み寸法と同一または、若干小さく設定される。
【１５２５】
膨出部３６５５１ｂ２は、貫通孔３６５５１ｂ１にネジが締結された場合に、ネジが締結される力を第１ユニット３６５５１をベース板６０の背面側（矢印Ｆ方向側）に押し付ける（付勢する）力に変換する部分であり、締結部３６５５１ｂの屈曲部分の基端と貫通孔３６５５１ｂ１との間に形成される。
【１５２６】
これにより、締結部３６５５１ｂを挿通したネジをベース板６０の背面に締結させた場合に、膨出部３６５５１ｂ２がベース板６０の背面と当接することで、屈曲部分とベース板６０との隙間の分、ネジにより屈曲先端側をベース板６０側に押し込む力を屈曲部分の基端側を背面側（矢印Ｂ方向側）に引き抜く力に変換することができる。これにより、第１ユニット３６５５１の背面と、ベース板６０の正面との間に隙間が形成されることを抑制できる。
【１５２７】
その結果、正面側から第１ユニット３６５５１を挿通させたネジをベース板６０に締結する必要がなくなり、その締結代の分、第１ユニット３６５５１を大きく形成しやすくできる。また、第３６実施形態では、第１ユニット３６５５１は、センターフレーム８６が締結される第１開口部６０ａを利用してベース板６０に取付られるので、第１ユニット３６５５１をスライド変位させてベース板６０の第１開口部６０ａに装着しやすくできる。
【１５２８】
次いで、図１９５を参照して、第３７実施形態における特別入賞装置３７５５０について説明する。上記第１実施形態では、ベース板６０の正面側に配設される第１ユニット５５１が、ベース板６０の背面側に配設される第２ユニット５５２に締結されて、ベース板６０の背面側に向かって付勢された状態で保持される場合について説明したが、第３７実施形態では、第１ユニット３７５５１がベース板６０の背面側から挿通されるネジにより締結されて、ベース板６０の背面側に向かって付勢された状態で保持される。なお、上記各実施形態と同一の部分については、同一の符号を付してその詳しい説明を省略する。
【１５２９】
図１９５（ａ）は、第３７実施形態における遊技盤３７０１３を模式的に示した分解斜視正面図であり、図１９５（ｂ）は、遊技盤３７０１３の断面模式図である。なお、図１９５は、（ｂ）は、図３６の断面図と対応する。
【１５３０】
図１９５に示すように、第３７実施形態における特別入賞装置３７５５０は、ベース板６０の正面に配設される第１ユニット３７５５１から形成される。
【１５３１】
第１ユニット３７５５１は、その内部に遊技球を送球可能な空間を備え、その空間がベース板６０の正面側（矢印Ｆ方向側）に配設される。これにより、ベース板６０の正面を流下する遊技球を第１ユニット３７５５１の内部に流入させることができる。また、第１ユニット３７５５１は、背面側（矢印Ｂ方向側）に円環状に突設される複数の円環凸部３７５５１ｂを備える。
【１５３２】
円環凸部３７５５１ｂは、ベース板６０の背面側から挿通されるネジを螺合する部分であり、内周面に雌ネジ加工がされる。なお、本実施形態では、円環凸部３７５５１ｂが第１ユニット３７５５１の背面に４箇所形成される。
【１５３３】
また、円環凸部３７５５１ｂと対向する位置のベース板６０には、円形状に凹設される凹部３７０６０ｄが形成される。凹部３７０６０ｄは、円環凸部３７５５１ｂを内側に挿入する部分であり、円環凸部３７５５１ｂの外径と略同一の内径に形成される。また、凹部３７０６０ｄの凹設深さは、円環凸部３７５５１ｂの突設寸法よりも大きく設定される。
【１５３４】
また、凹部３７０６０ｄの凹設底面には、凹部３７０６０の同軸上の円形状に貫通形成される貫通孔３７０６０ｄ１が形成される。貫通孔３７０６０ｄ１は、円環凸部３７５５１ｂに螺合されるネジの先端が挿通される孔であり、凹部３７０６０ｄの内径よりも小さい内径の開口に形成される。これにより、ベース板６０の背面側（矢印Ｂ方向側）からベース板６０の正面側（矢印Ｆ方向側）に配設される第１ユニット３７５５１にネジを締結できる。
【１５３５】
この場合、上述したように、凹部３７０６０ｄの凹設深さは、円環凸部３７５５１ｂの突設寸法よりも大きく設定されるので、ネジを円環凸部３７５５１ｂに螺合させることで、円環凸部３７５５１ｂ（第１ユニット３７５５１）を背面側（矢印Ｂ方向側）に付勢した状態で、第１ユニット３７５５１をベース板６０に配設できる。これにより、第１ユニット３７５５１の背面と、ベース板６０の正面との間に隙間が形成されることを抑制できる。
【１５３６】
その結果、正面側から第１ユニット３７５５１を挿通させたネジをベース板６０に締結する必要がなくなり、その締結代の分、第１ユニット３７５５１を大きく形成しやすくできる。また、第３７実施形態では、第１ユニット３７５５１の締結部分をベース板６０の凹部３７０６０ｄの内側に収容することができるので、その分、第１ユニット３７５５１に形成される遊技球を送球する空間を大きくすることができる。
【１５３７】
＜正面側に出射される光の光量を遊技球により変更する＞
次いで、図１９６及び図１９７を参照して、第３８実施形態における下変位部材３８４４０について説明する。上記第１１実施形態では、制御基板４９１から照射される光により下変位部材１１４４０に収容された遊技球の位置に影を形成して、その影の位置で遊技球の位置を認識させる場合について説明したが、第３８実施形態における下変位部材１１４４０は、制御基板４９１から照射される光を遊技球の外面で反射させて、その光量が多くされる位置で遊技球の位置を認識させる。なお、上記各実施形態と同一の部分については、同一の符号を付してその詳しい説明を省略する。
【１５３８】
図１９６は、第３８実施形態における下変位部材３８４４０の分解斜視正面図である。図１９７（ａ）は、下変位部材３８４４０の正面図であり、図１９７（ｂ）は、図１９７（ａ）のＣＸＣＶＩＩｂ−ＣＸＣＶＩＩｂ線における下変位部材３８４４０の断面図であり、図１９７（ｃ）は、図１９７（ａ）のＣＸＣＶＩＩｃ−ＣＸＣＶＩＩｃ線における下変位部材３８４４０の断面図である。なお、図１９７（ａ）では、正面側装飾部材３８４５１及び正面ケース３８４８１が取り外された状態が図示されると共に、正面ケース３８４８１に配設されるＬＥＤ３８４８３ｂが２点鎖線で図示される。また、図１９７（ｂ）及び図１９７（ｃ）では、正面側装飾部４５１が取付られた状態が図示される。
【１５３９】
図１９６及び図１９７に示すように、第３８実施形態における下変位部材３８４４０は、正面ベース４１１（図４６参照）に連結されるベース部材４７０と、そのベース部材４７０の前後方向（矢印Ｆ−Ｂ方向）両側を覆うケース部材３８４８０と、そのケース部材３８４８０とベース部材４７０との間に変位可能に配設される伝達機構４６０と、ケース部材３８４８０の前後を覆う態様で形成される装飾部材１１４５０とを主に備えて形成される。
【１５４０】
ケース部材３８４８０は、ベース部材４７０の前後方向（矢印Ｆ−Ｂ方向）両側を覆設する部材であり、ベース部材４７０の正面側（矢印Ｆ方向側）に配設される正面ケース３８４８１と、背面側（矢印Ｂ方向側）に配設される背面ケース４８２とを主に備える。
【１５４１】
正面ケース３８４８１は、正面視矩形横長の板状に形成される。また、正面ケース３８４８１は、上下方向（矢印Ｕ−Ｄ方向）略中間位置に左右方向（矢印Ｌ−Ｒ方向）に広がる開口４８１ａと、背面側（矢印Ｂ方向側）の下端面に突出形成される底壁部４８１ｂと、下方の端部に前後方向に貫通する軸孔４８１ｃと、背面側に配設されるＬＥＤ基板３８４８３と、を主に備える。
【１５４２】
ＬＥＤ基板３８４８３は、下変位部材３８４４０（正面ケース３８４８１）の内部を発光させる部材であり、板状に形成される本体部３８４８３ａと、その本体部３８４８３ａに配設されると共に光を照射する複数のＬＥＤ３８４８３ｂと、を備える。
【１５４３】
本体部３８４８３ａは、複数のＬＥＤ３８４８３ｂに電気を通す配線が敷設される基盤であり、球受部４６７の変位方向（矢印Ｌ−Ｒ方向）に延設される。複数のＬＥＤ３８４８３ｂは、本体部３８４８３ａの延設方向（矢印Ｌ−Ｒ方向）に所定の間隔で配設される。
【１５４４】
また、各ＬＥＤ３８４８３ｂは、各ＬＥＤ３８４８３ｂの背面側（矢印Ｂ方向側）を遊技球が通過する際の遊技球の中心に向かう方向に設定される。これにより、各ＬＥＤ３８４８３ｂの背面側に遊技球が位置する場合に、ＬＥＤの光を遊技球の外面に反射させて正面側装飾部１１４５１に照射させることができる。従って、上述したように、正面側装飾部１１４５１は、光を透過可能な透過部１１４５１ｂを備えるので、遊技球の外面に反射されて正面側装飾部１１４５１に照射された光を、透過部１１４５１ｂを介して遊技者側（矢印Ｆ方向側）に出射させることができる。よって、透過部１１４５１ｂを介して遊技者側から視認される光を、遊技球により反射された部分を他の部分よりも光量を多くすることができる。その結果、光の光量を多く（変更）することで、下変位部材３８４４０の内部に送球された遊技球の位置を遊技者に認識させることができる。
【１５４５】
なお、本実施形態では、複数のＬＥＤ３８４８３ｂが配設される間隔が遊技球の直径よりも小さく設定される。これにより、球受部４６７に受け入れられた遊技球が変位された場合でも、遊技球の少なくとも一部にＬＥＤ３８４８３ｂから出射される光を照射することができる。よって、ＬＥＤ３８４８３ｂから出射される光を、球受部４６７に受け入れられた遊技球に常時照射させることができる。
【１５４６】
また、第３８実施形態によれば、ＬＥＤ３８４８３ｂよりも背面側（矢印Ｂ方向側）に配設されるベース部材４７０、伝達機構４６０及び背面ケース４８２は、光の吸収率が高い部材が好ましい。例えば、各部材の外面が黒い配色を構成する。これによれば、ＬＥＤ３８４８３ｂから出射された光が、ケース部材３８４８０（下変位部材３８４４０）の内部を反射して正面側装飾部１１４５１の透過部１１４５１ｂから出射されることを抑制できる。その結果、遊技球が配置される正面と、それ以外の正面とで光の出射量の違いを大きくすることができ、遊技者に下変位部材３９４４０の内側に受け入れられた遊技球の位置を認識させやすくすることができる。
【１５４７】
次いで、図１９８及び図１９９を参照して第３９実施形態における下変位部材３９４４０について説明する。上記第３８実施形態では、遊技球で光を反射させて遊技球が配設される位置を遊技者に認識させる場合について説明したが、第３９実施形態では、球受部３９４６７に配設される反射部材により光を反射させて遊技球の位置を認識させる。なお、上記各実施形態と同一の部分については、同一の符号を付してその詳しい説明を省略する。
【１５４８】
図１９８は、第３９実施形態における下変位部材３９４４０の分解斜視背面図である。図１９９（ａ）は、下変位部材３９４４０の正面図であり、図１９９（ｂ）及び図１９９（ｃ）は、下変位部材３９４４０の断面図である。なお、図１９９（ｂ）及び図１９９（ｃ）は、図１９８（ｃ）の断面と対応する。
【１５４９】
図１９８及び図１９９に示すように、第３９実施形態における下変位部材３９４４０は、正面ベース４１１（図４６参照）に連結されるベース部材４７０と、そのベース部材４７０の前後を覆うケース部材３８４８０と、ケース部材３８４８０とベース部材４７０との間に変位可能に配設される伝達機構３９４６０と、ケース部材３８４８０の前後を覆う態様で配設される装飾部材１１４５０と、を備える。
【１５５０】
伝達機構３９４６０は、ベース部材４７０の正面側に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の正面側をスライド変位可能に配設される可動ラック４６４と、その可動ラック４６４に回転可能に配置されると共に、ラックギヤ４７６に歯合した状態とされる伝達ギヤ４６５と、その伝達ギヤ４６５に歯合される歯面を有し可動ラック４６４の正面側をスライド変位可能に配設されるラック３９４６６と、そのラック３９４６６の一端側に回転可能に配設される球受部３９４６７とを主に備えて形成される。
【１５５１】
ラック３９４６６は、正面視矩形横長の棒状体から形成され、上端面に刻設されるラックギヤ４６６ａと、他端側の端部から正面側に円柱状に突出する軸部３９４６６ｂと、正面側に突出する２つの摺動板４６６ｃと、背面側に一端から他端に亘って凹設される凹設部４６６ｄとを主に備えて形成される。
【１５５２】
軸部３９４６６ｂは、後述する球受部３９４６７の軸孔４６７ｂに挿入される突起であり、軸孔４６７ｂの内径よりも大きい外径の円柱状に形成される。これにより、球受部４６７を回転可能に保持できる。
【１５５３】
球受部３９４６７は、正面視略Ｌ字に屈曲して形成される第１片３９４６７ｃと、その第１片３９４６７ｃに連結される第２片３９４６７ｄと、その第２片３９４６７ｄに連結されると共に第１片３９４６７ｃ及び第２片３９４６７ｄの正面側（矢印Ｆ方向側）に配設される第３片３９４６７ｅと、を備える。
【１５５４】
第１片３９４６７ｃ及び第２片３９４６７ｄは、開口４５１ａ（図５７参照）から下変位部材３９４４０の内側に送球された遊技球を保持する部分であり、第１片３９４６７ｃ及び第２片３９４６７ｄの対向間に遊技球が送球されると、第１片３９４６７ｃに対して第２片３９４６７ｄが離間する方向に変位され、第１片３９４６７ｃの一部と第２片３９４６７ｄとが正面視においてＵ字状に配置され、そのＵ字の内側部分に遊技球を保持することができる。
【１５５５】
第１片３９４６７ｃは、正面視においてＬ字に形成される一方の延設側を形成する受入片３９４６７ｃ４と、他方の延設側を形成する脚部４６７ａと、受入片３９４６７ｃ４及び脚部４６７ａとの連結部分（屈曲部分）に前後方向（矢印Ｆ−Ｂ方向）に貫通する軸孔４６７ｂが形成される円環状の屈曲部３９４６７ｃ５と、屈曲部３９４６７ｃ５を間に挟んで反対側に突出する連結部３９４６７ｃ１と、を備える。
【１５５６】
受入片３９４６７ｃ４は、第１片３９４６７ｃ及び第２片３９４６７ｄにより正面視Ｕ字状に形成される他方側（矢印Ｒ方向側）の側面を形成する部分であり、正面において三日月状に形成されると共に、第２片３９４６７ｄから離間する方向に凹となる湾曲形状に形成される。
【１５５７】
連結部３９４６７ｃ１は、屈曲部３９４６７ｃ５の軸方向（矢印Ｆ−Ｂ方向）に所定の間隔を隔てて２箇所から突設される。また、連結部３９４６７ｃ１は、後述する第２片３９４６７ｄ及び第３片３９４６７ｅを連結する部分であり、軸孔４６７ｂの軸方向に沿って延設されると共に断面円形状に開口される連結孔３９４６７ｃ２を備える。
【１５５８】
連結孔３９４６７ｃ２は、後述する第３片３９４６７ｅに突設される軸部３９４６７ｅ３が挿入される開口である。連結孔３９４６７ｃ２は、後述する第２片３９４６７ｄに形成される挿通孔３９４６７ｄ３に挿通した軸部３９４６７ｅ３が正面側（矢印Ｆ方向側）から挿入される。また、軸部３９４６７ｅ３は、連結孔３９４６７ｃ２の挿入側と反対側（矢印Ｂ方向側）から挿入されるネジにより締結される。これにより、第１片３９４６７ｃに第２片３９４６７ｄ及び第３片３９４６７ｅを締結することができる。
【１５５９】
また、第１片３９４６７ｃは、連結部３９４６７ｃ１の突設基端側に重力方向下側（矢印Ｄ方向側）に凹む凹部３９４６７ｃ３を備える。凹部３９４６７ｃ３の凹設底面は、第１片３９４６７ｃ及び第２片３９４６７ｄにより遊技球が保持される側面のうち一番低い位置（最下部）に形成される。これにより、第１片３９４６７ｃ及び第２片３９４６７ｄに保持される遊技球は、凹部３９４６７ｃ３の内側に転動される。その結果、遊技球の荷重により第２片３９４６７ｄを第１片３９４６７ｃに対して変位させやすくできる。
【１５６０】
第２片３９４６７ｄは、第１片３９４６７ｃの受入片３９４６７ｃ４及び第２片３９４６７ｄにより正面視Ｕ字状に形成される他方側（矢印Ｌ方向側）の側面を形成する部分であり、正面視において三日月状に形成されると共に、第１片３９４６７ｃから離間する方向に凹となる湾曲形状に形成される。また、第２片３９４６７ｄは、第１片３９４６７ｃの連結部分に前後方向に円形状に開口する挿通孔３９４６７ｄ３と、正面側（矢印Ｆ方向側）から背面側（矢印Ｂ方向側）に向かって円形状に凹設される凹設部３９４６７ｄ２とを主に備える。
【１５６１】
第２片３９４６７ｄは、挿通孔３９４６７ｄ３に、第３片３９４６７ｅの軸部３９４６７ｅ３が挿入され、凹設部３９４６７ｄ２に、第３片３９４６７ｅの連結軸３９４６７ｅ４が挿入される。従って、第２片３９５６７ｄが変位されると、第３片３９４６７ｅも同様に変位される。よって、第２片３９５６７ｄが第１片３９４６７ｃに対して回転変位されると、第３片３９５６７ｅも同様に第１片３９４６７ｃに対して回転変位される。
【１５６２】
さらに、第２片３９４６７ｄは、第１片３９４６７ｃの２箇所に突設される連結部３９４６７ｃ１の対向間に配設されて、第１片３９４６７ｃに連結される。これにより、第２片３９４６７ｄが挿通孔３９４６７ｄ３の軸方向にねじれた場合に、連結部３９４６７ｃ１の対向側の側面に第２片３９４６７ｄを当接させて軸部３９４６７ｅ３が折れることを抑制できる。
【１５６３】
凹設部３９４６７ｄ２は、後述する第３片３９４６７ｅの連結軸３９４６７ｅ４を挿入する孔であり、連結軸３９４６７ｅ４と略同一の形状に凹設される。
【１５６４】
第３片３９４６７ｅは、正面視略半円形の板状に形成される反射板３９４６７ｅ１と、その反射板３９４６７ｅ１から背面側（矢印Ｂ方向側）に向かって突設される軸部３９４６７ｅ３及び連結軸３９４６７ｅ４と、を備える。
【１５６５】
反射板３９４６７ｅ１は、樹脂材料から形成されると共に外面にメッキの塗装が施される。これにより、反射板３９４６７ｅ１にＬＥＤ３８４８３ｂから出射される光が照射された場合に、その外面で光を反射させることができる。また、反射板３９４６７ｅ１は、全体が正面側（矢印Ｆ方向側）に向かって円弧状に湾曲して形成される。これにより、正面側から照射される光を反射した場合に、その光を所定の部分に集光させることができる。なお、反射板３９４６７ｅ１による発光体１１４９１ａの光の遮蔽については後述する。
【１５６６】
軸部３９４６７ｅ３は、上述したように第１片３９４６７ｃの連結孔３９４６７ｃ２及び第２片３９４６７ｄの挿通孔３９４６７ｄ３に挿入される円柱体である。また、軸部３９４６７ｅ３の突設先端面には、軸部３９４６７ｅ３の挿入側と反対側から連結孔３９４６７ｃ２に挿入されるネジを螺合可能な孔が形成される。よって、軸部３９４６７ｅ３を連結孔３９４６７ｃ２及び挿通孔３９４６７ｄ３に挿入した状態で、軸部３９４６７ｅ３の挿入先端面にネジを締結することで、第１片３９４６７ｃ、第２片３９４６７ｄ及び第３片３９４６７ｅを連結することができると共に、第３片３９４６７ｅを第１片３９４６７ｃに対して回転可能な状態にできる。
【１５６７】
連結軸３９４６７ｅ４は、上述したように、第２片３９４６７ｄの凹設部３９４６７ｄ２に挿入される。これにより、第２片３９４６７ｄが第１片３９４６７ｃに対して軸部３９４６７ｅ３を中心に回転変位した際に、連結軸３９４６７ｅ４を第２片３９４６７ｄの変位に伴って変位させることができる。従って、第３片３９４６７ｅを第２片３９４６７ｄの変位に伴って変位させることができる。
【１５６８】
よって、図１９９に示すように、球受部３９４６７は、第１片３９４６７ｃ及び第２片３９４６７ｄの対向間に遊技球が受け入れられると、受け入れられた遊技球が、第１片３９４６７ｃ及び第２片３９４６７ｄの受入面（正面視Ｕ字に形成される内側の側面）を転動して、その受入面の最下端に位置する凹部３９４６７ｃ３に案内される。これにより、遊技球の外面で第２片３９４６７ｄを軸部３９４６７ｅ３を中心に第１片３９４６７ｃから離間する方向に回転させることができる。その結果、第２片３９４６７ｄの変位に伴って移動する第３片３９４６７ｅを上方に変位させてＬＥＤ３８４８３ｂの光の照射上に配置できる。
【１５６９】
従って、ＬＥＤ３８４８３ｂから出射される光を、第３片３９４６７ｅの反射板３９４６７ｅ１により下変位部材３９４４０の正面側（矢印Ｆ方向側）に反射させて、透過部１１４５１ｂから出射させることができる。これにより、透過部１１４５１ｂから出射される光量を部分的に多くして、遊技者に下変位部材３９４４０の内部に送球された遊技球の位置を認識させることができる。
【１５７０】
また、第２片３９４６７ｄは、凹設部３９４６７ｄ２に連結軸３９４６７ｅ４が挿入されて、第３片３９４６７ｅの荷重が常に作用される。第３片３９４６７ｅの重心Ｇは、第２片３９５６７ｄ及び第３片３９５６７ｅとの連結部分から、軸部３９４６７３ｅを挟んで反対側に設定される。これにより、第２片３９４６７ｄおよび第３片３９４６７ｅに重力以外の力が作用していない状態では、第３片３９４６７ｅの荷重により、第２片３９４６７ｄを第１片３９４６７ｃ側に、回転させることができる。
【１５７１】
従って、球受部３９４６７から遊技球が排出される（取り出される）と、第３片３９４６７ｅの荷重により第２片３９４６７ｄを第１片３９４６７ｃの受入片３９４６７ｃ４側に変位させることができる。よって、球受部３９４６７に遊技球が受け入れられた場合にのみ、反射板３９４６７ｅ１により反射されて透過部１１４５１ｂから出射される光量を部分的に大きくすることができる。その結果、球受部３９４６７の位置出し動作等により、反射板３９４６７ｅ１で光が反射されることを抑制できる。
【１５７２】
さらに、球受部３９４６７は、第１実施形態における球受部４６７と同様に、下変位部材３９４４０の内部をスライド変位させる動作により、軸穴３９４６７ｂを中心に回転されて、下変位部材３９４４０の出射開口４７１（図６６参照）から受け入れた遊技球が外側に排出される。
【１５７３】
ここで、球受部３９４６７に受け入れられた遊技球を排出する構造として、球受部３９４６７のスライド移動に伴って、軸孔４６７ｂを中心に球受部３９４６７の回転させる構造では、球受部３９４６７のスライド速度により、軸孔４６７ｂを中心とする球受部３９４６７の回転速度が変更される。従って、球受部３９４６７のスライド速度のみに回転速度が依存するので、球受部３９４６７からの遊技球の排出速度が安定しないという問題点があった。
【１５７４】
これに対し、第３９実施形態では、第３片３９４６７ｅの荷重により第２片３９４６７ｄが回転する方向と、遊技球を出射する際の軸孔４６７ｂを軸とする球受部３９４６７の回転方向とが略同一の方向に設定されるので、出射開口４７１から出射される遊技球に第２片３９４６７ｄが変位する際の駆動力を付与することができる。従って、球受部３９４６７を変位させて出射開口４７１から遊技球を排出する際の球受部３９４６７から遊技球に作用させる力を小さくしても、出射される遊技球の速度を維持することができる。その結果、球受部３９４６７から出射される遊技球の排出速度を安定させることができる。
【１５７５】
次いで、図２００を参照して、第４０実施形態における第１ユニット４０５５１について説明する。上記第１実施形態では、主経路ＳＫ１の湾曲部５８１ａに遊技球が詰まった場合にその不具合を報知する場合について説明したが、第４０実施形態では、規定の大きさ以外の遊技球が主経路ＳＫ１を通過する場合に不正を報知できる。なお、上記各実施形態と同一の部分については、同一の符号を付してその詳しい説明を省略する。
【１５７６】
図２００（ａ）は、第４０実施形態における第１ユニット４０５５１の模式断面図であり、図２００（ｂ）は、図２００（ａ）のＣＣｂ−ＣＣｂ線における第１ユニット４０５５１の模式断面図である。なお、図２００（ａ）の断面図は、図２５の断面図と対応する。
【１５７７】
図２００に示すように、第４０実施形態における第１ユニット４０５５１は、正面側（矢印Ｆ向側）に配設される第１経路部材５６０と、その第１経路部材５６０の背面側（矢印Ｂ方向側）に配設される第２経路部材５７０と、その第２経路部材５７０の背面に配設される第３経路部材４０５８０と、を主に備えて形成される。
【１５７８】
第３経路部材４０５８０は、第２経路部材５７０の上方側（矢印Ｕ方向側）の背面に配設される第１覆設部材４０５８１と、第２経路部材５７０の下方側（矢印Ｄ方向側）の背面に配設される第２覆設部材５８２（図１９参照）と、第１覆設部材４０５８１及び第２覆設部材５８２の間に配設される第１駆動ユニット５８３（図１９参照）と、第２覆設部材５８２の背面に配設される第２駆動ユニット５８４（図１９参照）と、を主に備えて構成される。
【１５７９】
第１覆設部材４０５８１は、背面側（矢印Ｂ方向側）に略Ｕ字状に湾曲する遊技球の送球経路を形成する部材であり、第１開口部５７１ａ及び第４開口部５７１ｄの背面側を連結する湾曲部４０５８１ａと、その湾曲部４０５８１ａの下方側に連なる板状の取付部４０５８１ｂと、を主に備える。
【１５８０】
湾曲部４０５８１ａは、第１開口部５７１ａ及び第４開口部５７１ｄ（第２経路部材５７０）側が開放される断面Ｕ字状に湾曲して形成され、その内側に第１転動部５７６が配設される。また、湾曲部４０５８１ａは、左右方向（矢印Ｌ−Ｒ方向）における幅寸法が、背面側（矢印Ｂ方向側）に向かって小さく形成されており、断面Ｕ字の湾曲部分における左右方向の幅寸法Ｘ１０（図２００（ａ）参照）が遊技球の直径に対して１．１倍以下の大きさに形成される。これにより、規定の遊技球よりも直径が１．１倍以上の遊技球が送球された場合に、その遊技球を湾曲部４０５８１ａ（主経路ＳＫ１）の内部で停止させることができる。
【１５８１】
また、湾曲部４０５８１ａは、第１実施形態における湾曲部５８１ａと同様に、センターフレーム８６の凹部８６ｂ２（図１７参照）の内側に配設される。よって、湾曲部４０５８１ａの内部に停止した遊技球を検出装置８６ｂ３（図１７参照）により検出してパチンコ機１０にエラー（不正）を報知させることができる。
【１５８２】
さらに、湾曲部４０５８１ａは、断面Ｕ字の湾曲部分に開口する開口４０５８１ａ１と、その開口４０４８１ａ１の背面側の端部から上方が開放する箱状に突設される収容部４０５８１ａ２とを備える。
【１５８３】
開口４０５８１ａ１は、規定の遊技球の直径よりも小さい直径の球を主経路ＳＫ１から排出する開口であり、左右方向（矢印Ｌ−Ｒ方向）における開口寸法Ｘ１５（図２００（ａ）参照）が、遊技球の直径の０．９倍よりも大きい寸法に形成される。なお、開口４０５８１ａ１は、第１転動部５７６を転動する遊技球の転動方向となる湾曲部４０５８１ａの背面側に形成されており、主経路ＳＫ１を通過する遊技球を開口４０５８１ａ１に送球することができる。これにより、規定の遊技球よりも直径が０．９割以上小さい遊技球が送球された場合に、その遊技球を開口４０５８１ａ１から主経路ＳＫ１の外側に排出することができる。
【１５８４】
収容部４０５８１ａ２は、開口４０５８１ａ１から排出される遊技球を収容する箱であり、内側の空間が遊技球の直径よりも大きい大きさに形成される。これにより、開口４０５８１ａ１から排出された遊技球を収容部４０５８１ａ２に収容することができ、その収容された遊技球を検出装置８６ｂ３により検出してパチンコ機１０にエラー（不正）を報知させることができる。
【１５８５】
なお、第４０実施形態では、幅寸法Ｘ１０及び開口寸法Ｘ１１が、規定の直径（１１ミリメートル）の遊技球に対して０．１倍の異なる大きさで形成される場合について説明したが、必ずしもこれに限られるものではなく、遊技球に対する大きさの倍率を変更しても良い。
【１５８６】
次いで、図２０１及び図２０２を参照して第４１実施形態における第１ユニット４１５５１について説明する。上記第１実施形態では、主経路ＳＫ２、湾曲経路ＷＫ１及び主経路ＳＫ３に形成される第１凹部５７１ｈ、第２凹部５７１ｉ及び第３凹部５７１ｊが、湾曲経路ＷＫ１の湾曲部分を中心に上下（矢印Ｕ−Ｄ方向）で略対象に形成される場合について説明したが、第４１実施形態における第１凹部４１５７１ｈ、第２凹部４１５７１ｉ及び第３凹部４１５７１ｊは、それぞれ異形に形成されるなお、上記各実施形態と同一の部分については、同一の符号を付してその詳しい説明を省略する。
【１５８７】
図２０１（ａ）は、第４１実施形態における第１ユニット４１５５１の模式断面図であり、図２０１（ｂ）は、図２０１（ａ）のＣＣＩｂ−ＣＣＩｂ線における第１ユニット４１５５１の模式断面図である。図２０２（ａ）は、図２０１（ａ）のＣＣＩＩａ−ＣＣＩＩａ線における第１ユニット４１５５１の模式断面図であり、図２０２（ｂ）は、図２０１（ａ）のＣＣＩＩｂ−ＣＣＩＩｂ線における第１ユニット４１５５１の模式断面図である。
【１５８８】
図２０１及び図２０２に示すように、第４１実施形態における第１ユニット４１５５１は、正面側に配設される第１経路部材４１５６０と、その第１経路部材４１５６０の背面側に配設される第２経路部材４１５７０と、その第２経路部材４１５７０の背面に配設される第３経路部材５８０（図１９参照）と、を主に備えて形成される。
【１５８９】
第１経路部材４１５６０は、遊技盤１３（図２参照）の遊技領域の正面に沿った板状に形成される正面板４１５６４と、上方側（矢印Ｕ方向側）が開放する断面略Ｕ字状に形成され、正面板４１５６４の上方側（矢印Ｕ方向側）端部から背面側（矢印Ｂ方向側）に突設される第１受入部５６１、第２受入部５６２及び第３受入部５６３と（図２１参照）、その第１受入部５６１、第２受入部５６２及び第３受入部５６３の下側（矢印Ｄ方向側）に連なって突設されると共に、正面板４１５６４の一部の端部に沿って延設される第１壁部４１５６５と、その第１壁部５６５の下方に形成され、所定の間隔を隔てた２箇所から突設される２組の第２壁部５６６及び第３壁部５６７（図２１参照）と、を主に備える。
【１５９０】
正面板４１５６４は、後述する第２経路部材４１５７０及び第３経路部材５８０の対向間に形成される遊技球の流下経路の正面側（矢印Ｆ方向側）の壁部となる板部材であり、光透過部材から形成される。これにより、遊技者は、第１ユニット５５１の内部を流下する遊技球を正面板４１５６４を介して（通して）視認することができる。
【１５９１】
また、正面板５６４は、後述する第１凹部４１５７１ｈ、第２凹部４１５７１ｉ及び第３凹部４１５７１ｊと対向する位置に、それぞれ第１凸部４１５６４ｂ、第２凸部４１５６４ｃ及び第３凸部４１５６４ｄが突設される。
【１５９２】
第２経路部材４１５７０は、第１経路部材４１５６０の正面板４１５６４と対向する板状のベース板４１５７１と、そのベース板４１５７１の正面（矢印Ｆ方向側）から第１経路部材４１５６０側に突設される第４壁部５７３（図２１参照）と、その第４壁部５７３から下方側に所定の距離離間する位置に突設される第５壁部５７４（図２１参照）と、その第５壁部５７４から下方側に所定の距離離間する位置に突設される第６壁部５７５（図２１参照）と、を主に備えて形成される。
【１５９３】
ベース板４１５７１は、正面板４１５６４との対向間で形成される遊技球の送球経路（主経路ＳＫ２、湾曲経路ＷＫ１及び主経路ＳＫ３）に凹設される第１凹部４１５７１ｈ、第２凹部４１５７１ｉ及び第３凹部４１５７１ｊを備える。
【１５９４】
第１凹部４１５７１ｈ、第２凹部４１５７１ｉ及び第３凹部４１５７１ｊは、背面側に向かって湾曲形状に凹設されて形成される。また、第１凹部４１５７１ｈ及び第１凸部４１５６４ｂの対向間寸法と、第２凹部４１５７１ｉ及び第２凸部４１５６４ｃの対向間寸法と、第３凹部４１５７１ｊ及び第３凸部４１５６４ｄの対向間寸法は、それぞれ同一の対向間寸法Ｌ１９（図２０１（ｂ）参照）に設定される。
【１５９５】
また、対向間寸法Ｌ１９は、遊技球の直径よりも大きい値に設定されると共に、正面板４１５６４の背面およびベース板５７１の正面の対向間寸法Ｌ２０（図２０１（ｂ）参照）よりも小さい値に設定される。これにより、第１凹部４１５７１ｈ、第２凹部４１５７１ｉ及び第３凹部４１５７１ｊと、第１凸部４１５６４ｂ、第２凸部４１５６４ｃ及び第３凸部４１５６４ｄとの対向間に送球される遊技球を第１凹部４１５７１ｈ、第２凹部４１５７１ｉ及び第３凹部４１５７１ｊと、第１凸部４１５６４ｂ、第２凸部４１５６４ｃ及び第３凸部４１５６４ｄに当接させて、遊技球の転動（流下）速度を遅くすることができる。
【１５９６】
さらに、第１凸部４１５６４ｂ、第２凸部４１５６４ｃ及び第３凸部４１５６４ｄのベース板４１５７１側への突出寸法は同一に設定される。また、第１凸部４１５６４ｂ、第２凸部４１５６４ｃ及び第３凸部４１５６４ｄの突設先端面と、第１凹部４１５７１ｈ、第２凹部４１５７１ｉ及び第３凹部４１５７１ｊを除くベース板４１５７１の正面との対向間の距離寸法Ｌ２１（図２０１（ｂ）参照）は、遊技球の直径よりも小さく設定される。これにより、第１凹部４１５７１ｈ、第２凹部４１５７１ｉ及び第３凹部４１５７１ｊと、第１凸部４１５６４ｂ、第２凸部４１５６４ｃ及び第３凸部４１５６４ｄとの対向間に送球される遊技球を第１凸部４１５６４ｂ、第２凸部４１５６４ｃ及び第３凸部４１５６４ｄに衝突させることができる。その結果、遊技球の転動（流下）速度を遅くすることができる。
【１５９７】
第１凹部４１５７１ｈは、主経路ＳＫ２のベース板４１５７１に形成されており、主経路ＳＫ２の遊技球の送球方向に沿って長く凹設される。これにより、第１凹部４１５７１ｈの内側に送球された遊技球が第１凹部４１５７１ｈの内部を送球された際に、第１凹部４１５７１ｈとの摩擦抵抗が増加することを抑制できる。その結果、主経路ＳＫ２を流下する遊技球が第１凹部４１５７１ｈとの当接により停止することを抑制できる。
【１５９８】
第１凹部４１５７１ｈとの対向面に突設される第１凸部４１５６４ｂは、第１凹部４１５７１ｈの延設方向と直交する方向に延設される。これにより、主経路ＳＫ２を送球される遊技球を第１凸部４１５６４ｂに当接させた際に、その遊技球を第１凹部４１５７１ｈの内側に送球しやすくできる。
【１５９９】
第２凹部４１５７１ｉは、湾曲経路ＷＫ１のベース板４１５７１に形成されており、重力方向（矢印Ｕ−Ｄ方向）に沿って長く凹設される。また、第２凹部４１５７１ｉは、正面視における形状が上下方向に長い楕円に形成され、その楕円の左右方向における中間位置が、上下方向に延びる湾曲経路ＷＫ１の左右方向中間位置に設定される。また、第２凹部４１５７１ｉの楕円の上方側（主経路ＳＫ２側）の湾曲中心が、主経路ＳＫ２を送球される遊技球の中心の送球軌跡上に配置される。従って、第２凹部４１５７１ｉは、主経路ＳＫ２から送球される遊技球の送球軌跡よりも上方側に凹設されるので、主経路ＳＫ２を遊技球が比較的速い速度で送球された場合でも、その遊技球の中心を第２凹部４１５７１ｉの正面側を通過させることができる。その結果、主経路ＳＫ２を通過する遊技球を第２凹部４１５７１ｉの内側に送球して遊技球の速度を遅くしやすくでき、湾曲経路ＷＫ１で遊技球が暴れることを抑制できる。
【１６００】
第２凹部４１５７１ｉとの対向面に突設される第２凸部４１５６４ｃは、正面視において略Ｌ字状に屈曲して形成される。また、第２凸部４１５６４ｃは、屈曲部分が正面視における第２凹部４１５７１ｉの楕円の上方側の湾曲中心の正面側に設定される。また、第２凸部４１５６４ｃの一方側の屈曲部分が、湾曲経路ＷＫ１の遊技球の送球方向と直交する方向に延設されると共に、他方側の屈曲部分が、主経路ＳＫ２の遊技球の送球方向と直交する方向に延設される。これにより、主経路ＳＫ２から湾曲経路ＷＫ１に送球される遊技球を他方側の第２凸部４１５６４ｃに当接させて第２凹部４１５７１ｉの内側に送球すると共に、一方側の第２凸部４１５６４ｃに当接させて湾曲経路ＷＫ１１を送球される遊技球の送球速度を低下しやすくできる。その結果、湾曲経路ＷＫ１に送球された遊技球が暴れることを抑制して、遊技球をスムーズに送球することができる。
【１６０１】
第３凹部４１５７１ｊは、主経路ＳＫ３のベース板４１５７１に形成されており、主経路ＳＫ３の遊技球の送球方向に長い楕円形状に凹設される。これにより、第３凹部４１５７１ｊの内側に送球された遊技球が第３凹部４１５７１ｊの内側を送球された際に、第３凹部４１５７１ｊとの摩擦抵抗が増加することを抑制できる。その結果、主経路ＳＫ３を流下する遊技球が第３凹部４１５７１ｊとの当接により停止することを抑制できる。
【１６０２】
また、第３凹部４１５７１ｊは、遊技球の送球経路の上流側の端部の湾曲中心が第２凹部４１５７１ｉの左右方向中央位置の下方側に設定される。これにより、湾曲経路ＷＫ１の第２凹部４１５７１ｉの内側を流下した遊技球を第２凹部４１５７１ｉに受け入れやすくすることができ、湾曲経路ＷＫ１から主経路ＳＫ３へ遊技球を送球しやすくできる。
【１６０３】
第３凹部４１５６７１ｊとの対向面に突設される第３凸部４１５６４ｄは、正面視において略Ｌ字状に屈曲して形成される。また、第３凸部４１５６４ｄは、屈曲部分が正面視における第３凹部４１５７１ｊの上流側端部の湾曲中心の正面側に設定される。第３凸部４１５６４ｄの一方側の屈曲部分が、主経路ＳＫ３の遊技球の送球方向と直交する方向に延設され、他方側の屈曲部分が、湾曲経路ＷＫ１の遊技球の送球方向と直交する方向に延設される。これにより、湾曲経路ＷＫ１から主経路ＳＫ３に送球される遊技球を他方側の第３凸部４１５６４ｄに当接させて第３凹部４１５７１ｊの内側に送球すると共に、一方側の第３凸部４１５６４ｄに当接させて主経路ＳＫ３を送球する遊技球の送球速度を低下させることができる。その結果、湾曲経路ＷＫ１から主経路ＳＫ１に送球された遊技球が暴れることを抑制して、遊技球をスムーズに送球することができる。
【１６０４】
次いで、図２０３から図２０６を参照して、第４２実施形態における遊技盤４２０１３について説明する。上記第１実施形態では、背面ケース３００に配設される基板ボックス１００（主制御装置１１０）の他端側が、基板ボックス１００の背面側から挿通されるネジにより背面ケース３００に固定される場合について説明したが、第４２実施形態では、背面ケース４２３００に配設される第２係合部材４２３７０が基板ボックス４２１００に係合される場合について説明する。
【１６０５】
初めに、図２０３及び図２０４を参照して、第４２実施形態における背面ケース４２３００の全体構成について説明する。図２０３は、第４２実施形態における背面ケース４２３００の分解斜視正面図である。図２０４（ａ）は、背面ケース４２３００の正面図であり、図２０４（ｂ）は、図２０４（ａ）のＣＣＩＶｂ−ＣＣＩＶｂ線における背面ケース４２３００の模式断面図である。なお、上記各実施形態と同一の部分には同一の符号を付してその詳しい説明を省略する。
【１６０６】
図２０３及び図２０４に示すように、第４２実施形態における背面ケース４２３００は、正面視略矩形の底壁部４２３０１と、その底壁部４２３０１の４辺の外縁から正面へ向けて立設される外壁部４２３０２とを備え、それら各壁部４２３０１，４２３０２により一面側（正面側）が開放された箱状に形成される。
【１６０７】
また、背面ケース４２３００は、底壁部４２３０１の正面側（箱状に形成された開放側（矢印Ｆ方向側））に配設される係合部材３１０と、背面ケース４２３００の背面側に配設され、基板ボックス４２１００の一端側を固定する固定部材３２０と、底壁部４２３０１の正面側に配設され、基板ボックス４２１００の他端側を固定する第２係合部材４２３７０と、を備える。
【１６０８】
底壁部４２３０１は、その中央に正面視矩形の開口３０１ａが、開口形成され、その開口３０１ａを通じて、底壁部４２３０１の背面に配設される第３図柄表示装置８１（図２参照）が視認可能とされる。また、底壁部４２３０１には、正面側に円柱状に突設され、係合部材３１０の摺動溝３１４に挿入される突設部３０１ｂと、固定部材３２０と対抗する位置に開口する第１開口部３０１ｃと、係合部材３１０と対向する位置に開口する第２開口部３０１ｄと、底壁部４２３０１の正面側（矢印Ｆ方向側）に円柱状に突設され、後述する第２係合部材４２３７０の摺動溝４２３７２に挿入される第２突設部４２３０１ｆと、その第２突設部４２３０１ｆの上方（矢印Ｕ方向）に板厚方向（矢印Ｆ−Ｂ方向）に貫通形成される第３開口部４２３０１ｇと、を備える。
【１６０９】
第２突設部４２３０１ｆは、第２係合部材４２３７０の変位方向を規定する突起であり、重力方向の２箇所に並んで形成される。また、第２突設部４２３０１ｆの外径は、後述する第２係合部材４２３７０の摺動溝４２３７２の短手方向の溝幅よりも若干小さい寸法に設定される。さらに、２箇所の第２突設部４２３０１ｆは、互いの中心の離間距離が摺動溝４２３７２の長手方向の溝幅よりも小さい寸法に設定される。これにより、摺動溝４２３７２の内側に２箇所の第２突設部４２３０１ｆを挿入して配設できる。
【１６１０】
第３開口部４２３０１ｇは、内側に後述する基板ボックス４２１００の突設部４２１１８が挿入される開口であり、正面視における突設部４２１１８の外形よりも大きい寸法で開口される。また、第３開口部４２３０１ｇは、係合部材３１０と固定部材３２０とが係合された状態（図２０４（ａ）に示す状態）において、係合部材３１０を固定部材３２０との係合を解除する方向（矢印Ｌ方向）に隣合う位置に形成される。これにより、第３開口部４２３０１ｇに突設部４２１１８が挿入された状態において、係合部材３１０を固定部材３２０との係合を解除することを不能とできる。なお、突設部４２１１８と係合部材３１０との位置関係についての詳しい説明は後述する。
【１６１１】
外壁部４２３０２は、正面視において下方側（矢印Ｄ方向側）の側面に上下方向（矢印Ｕ−Ｄ方向）に開口する第２開口部４２３０２ｂを備える。第２開口部４２３０２ｂは、後述する第２係合部材４２３７０の下方側（矢印Ｄ方向側）の端部を挿通させる開口であり、第２係合部材４２３７０の変位領域に開口形成される。これにより、第２係合部材４２３７０を変位させることができる。
【１６１２】
基板ボックス４２１００は、正面視における外形が、横長矩形の長方形に形成されると共に、内側に主制御装置１１０が配設される。また、基板ボックス４２１００は、一端側（矢印Ｒ方向側）の端部から突出する軸受部１１７（図２０６（ａ）参照）と、基板ボックス４２１００の正面側の一面から突設される突設部４２１１８と、を備える。
【１６１３】
突設部４２１１８は、上述したように、背面ケース４２３００の第３開口部４２３０１ｇに挿入される部分であり、基板ボックス４２１００の正面と背面ケース４２３００の背面とが平行となる状態において、背面ケース４２３００の底壁部４２３０１の正面側に後述する開口部４２１１８ａが配置される長さに設定される。また、突設部４２１１８は、重力方向に開口する開口部４２１１８ａを備えており、その開口部４２１１８ａの内側に後述する第２係合部材４２３７０が挿通した状態で配設される。これにより、基板ボックス４２１００が固定部材３２０を中心に回転することを抑制して、基板ボックス４２１００を背面ケース４２３００の背面側（矢印Ｂ方向側）に変位不能な状態で配設できる。
【１６１４】
また、突設部４２１１８が挿入される第３開口部４２３０１ｇは、上述したように係合部材３１０と固定部材３２０とが係合された状態（図２０４（ａ）に示す状態）において、係合部材３１０を固定部材３２０との係合を解除する方向（矢印Ｌ方向）に隣合う位置に形成されるので、突設部４２１１８が係合部材３１０と隣り合う位置に配設される。また、突設部４２１１８の第３開口部４２３０１ｇへの挿入寸法Ｙ６（図２０４（ｂ）参照）は、係合部材３１０の正面と底壁部４２３０１の正面との離間距離Ｙ７（図２０４（ｂ）参照）よりも大きく設定される。これにより、図２０４（ｂ）に示すように、係合部材３１０と突設部４２１１８とが前後方向（矢印Ｆ−Ｂ方向）位置において重なる位置に配設される。
【１６１５】
従って、突設部４２１１８の開口部４２１１８ａに第２係合部材４２３７０が挿入された状態において、係合部材３１０が固定部材３２０との係合を解除する方向（突設部４２１１８が配設された方向）への変位が規制される。その結果、開口部４２１１８ａに第２係合部材４２３７０が挿入された状態で、係合部材３１０が固定部材３２０との係合が不正に解除されることを抑制でき、基板ボックス４２１００（主制御装置１１０）が不正な基盤に交換されることを抑制できる。
【１６１６】
また、突設部４２１１８の開口部４２１１８ａは、重力方向に開口されており、その開口部４２１１８ａに挿入される第２係合部材４２３７０が重力方向に変位されて挿入される。従って、第２係合部材４２３７０の変位方向（重力方向）と、係合部材３１０の変位方向（水平方向）と、直行する方向に設定されるので、係合部材３１０が遊技者の不正により無理に操作された場合の力を、開口部４２１１８ａに挿入される第２係合部材４２３７０で受け止めやすくすることができる。その結果、係合部材３１０が遊技者の不正により無理に操作された場合に、固定部材３２０との係合が解除されることを抑制できる。
【１６１７】
第２係合部材４２３７０は、正面視縦長矩矩形の板状に形成される板部材４２３７１と、その板部材４２３７１の上方側（矢印Ｕ方向側）の端部から下方（矢印Ｄ方向）に向かって凹設される凹設部４２３７４と、板部材４２３７１の上方側（矢印Ｕ方向側）端部の水平方向外側（矢印Ｌ−Ｒ方向）に突設される第２係合部４２３７３と、凹設部４２３７４の下方に位置に前後方向（矢印Ｆ−Ｂ方向）に開口される摺動溝４２３７２と、を主に備える。
【１６１８】
摺動溝４２３７２は、上述したように、第２係合部材４２３７０を変位可能に配設するための開口であり、重力方向（矢印Ｕ−Ｄ方向）に長く開口される。また、摺動溝４２３７２は、短手方向（矢印Ｌ−Ｒ方向）の幅寸法が、摺動溝４２３７２の内側に配設される第２突設部４２３０１ｆの直径と略同一に設定される。よって、上述したように摺動溝４２３７２に第２突設部４２３０１ｆが挿入されると、第２係合部材４２３７０の摺動方向が摺動溝４２３７２の開口の長手方向に規定される。
【１６１９】
凹設部４２３７４は、板部材４２３７１の上方側の端部を弾性変形やすくするための開口であり、下方に向かって凹設されると共に、前後方向に切り欠かれる。これにより、板部材４２３７１の上方側の端部の剛性を低くして、弾性変形やすくできる。
【１６２０】
第２係合部４２３７３は、上述した突設部４２１１８の開口部４２１１８ａの端部と係合する部分であり、凹設部４２３７４の切り欠き方向と直行する方向の両側面から突設され、その両側の突設先の端部の離間距離Ｘ１２（図２０４（ａ）参照）が、開口部４２１１８ａの左右方向の開口寸法Ｘ１３（図２０４（ｂ）参照）よりも大きく設定される。これにより、第２係合部材４２３７０が開口部４２１１８ａに挿入された場合に、第２係合部４２３７３が開口部４２１１８ａの端部と係合することで、第２係合部４２３７３が開口部４２１１８ａから抜け出ることを抑制できる。
【１６２１】
なお、第２係合部４２３７３は、板部材４２３７１の上方側から下方側に向かって水平方向外側に突設する形状に形成される。これにより、第２係合部材４２３７０が開口部４２１１８ａに挿入される際に、第２係合部４２３７３を開口部４２１１８ａの内側に当接させて、板部材４２３７１の上方側を弾性変形させやすくすることができる。
【１６２２】
また、第２係合部材４２３７０は、開口部４２１１８ａに挿入された状態（係合部４２３７３が突設部４２１１８と係合した状態）において、下方側の端部が、外壁部４２３０２の第２開口部４２３０２ｂの内側に配置される。これにより、第２係合部材４２３７０が背面ケース４２３００の外側から操作されることを抑制できる。その結果、第２係合部４２３７３と突設部４２１１８との係合が不正に解除されて、基板ボックス４２１００（主制御装置１１０）が不正な基盤に交換されることを抑制できる。
【１６２３】
次いで、図２０４及び図２０５を参照して、背面ケース４２３００への基板ボックス４２１００の配設方法について説明する。図２０５（ａ）は、背面ケース４２３００の正面図であり、図２０５（ｂ）は、図２０５（ａ）のＣＣＶｂ−ＣＣＶｂ線における背面ケース４２３００の模式断面図である。なお、図２０４（ａ）及び図２０４（ｂ）では、背面ケース４２３００に基板ボックス４２１００が配設された後の状態が図示され、図２０５（ａ）及び図２０５（ｂ）では、背面ケース４２３００に基板ボックス４２１００が配設される前の状態が図示される。
【１６２４】
第４２実施形態における基板ボックス４２１００は、上述した第１実施形態と同様に、初めに、固定部材３２０が係合部材３１０と係合されて、一側が背面ケース４２３００の背面側に配設される。
【１６２５】
なお、図２０５（ａ）及び図２０５（ｂ）に示すように、係合部材３１０が固定部材３２０に係合前（変位前）の状態では、係合部材３１０の第２片３１２の先端が、第３開口部４２３０１ｇの正面側に配設される。これにより、係合部材３１０と固定部材３２０とが係合される前に、基板ボックス４２１００の突設部４２１１８が第３開口部４２３０１ｇの内側に挿通されることを抑制できる。その結果、基板ボックス４２１００が、突設部４２１１８及び第２係合部材４２３７０の係合のみで、背面ケース４２３００に配設されることを抑制できる。
【１６２６】
次に、基板ボックス４２１００は、他側が一側の固定部材と３２０との連結部分を軸に回転され、突設部４２１１８が背面ケース４２３００の第３開口部４２３０１ｇの内側に挿通される。これにより、突設部４２１１８が第２係合部材４２３７０と係合可能な位置配置される。
【１６２７】
なお、第２係合部材４２３７０は、第３開口部４２３０１ｇの内側に挿通前の状態において、下方側が第２開口部４２３０２ｂに挿通されて背面ケース４２３００の外側に配置される（図２０５（ａ）参照）。これにより、基板ボックス４２１００を背面ケース４２３００に配設する作業者は、背面ケース４２３００の外側から第２係合部材４２３７０を操作して、第２係合部材４２３７０は、第３開口部４２３０１ｇの内側に挿通させることができる。
【１６２８】
また、第２係合部材４２３７０は、その変位方向が重力方向に設定されるので、第３開口部４２３０１ｇの内側に挿通前の状態において、重力の作用により下方側の端部に配設される。これにより、突設部４２１１８が背面ケース４２３００の第３開口部４２３０１ｇの内側に挿通される際に、第２係合部材４２３７０と衝突することを抑制できる。その結果、作業者の作業効率を向上できる。
【１６２９】
また、第２係合部材４２３７０を突設部４２１１８に係合し忘れた場合に、第２係合部材４２３７０を背面ケース４２３００の外側に配置することができるので、作業者に正常な状態でないことを認識やすくすることができる。その結果、第２係合部材４２３７０と突設部４２１１８との係合し忘れを防止できる。
【１６３０】
次に、図２０６を参照して、背面ケース４２３００とベース板４２０６０とについて説明する。図２０６（ａ）は、遊技盤１３の背面図であり、図２０６（ｂ）は、図２０６（ａ）のＣＣＶＩｂ−ＣＣＶＩｂ線における遊技盤１３の断面図である。
【１６３１】
図２０６に示すように、第４２実施形態におけるベース板４２０６０の背面には、立設部材４２０６０ｆが配設される。立設部材４２０６０ｆは、ベース板４２０６０の背面側（矢印Ｂ方向側）に向かって立設されており、その立設先端位置が、背面ケース４２３００の底壁部４２３０１の同一平面状に設定される。また、立設部材４２０６０ｆは、第２係合部材４２３７０の下方側に配置されると共に、背面ケース４２３００の外側に配設される。これにより、第２係合部材４２３７０と突設部４２１１８とを係合し忘れた状態で、背面ケース４２３００を遊技盤４２０１３に配設した場合に、立設部材４２０６０ｆを第２係合部材４２３７０の下方側に衝突させることができる。その結果、第２係合部材４２３７０と突設部４２１１８とを係合し忘れた状態、又は、背面ケース４２３００に基板ボックス４２１００を配設し忘れた状態で、背面ケース４２３００がベース板４２０６０に配設されることを抑制できる。
【１６３２】
なお、本実施形態では、立設部材４２０６０ｆに、背面ケース４２３００の内側を照射する発光基板が配設される。これにより、立設部材４２０６０ｆを光を照射する部分と、異常な状態で背面ケース４２３００とベース板４２０６０とが係合されることを抑制する部分と、兼用させることができる。その結果、ベース板４２０６０の外形が大きくなることを抑制できる。
【１６３３】
次いで、図２０７から図２１１を参照して、第４３実施形態における背面ケース４３３００について説明する。上記第１実施形態では、被係合部３３２が、固定部材３２０に形成される場合について説明したが、第４３実施形態における被係合部４３１０１は、固定部材４３３２０に軸支される基板ボックス４３１００に形成される。なお、上記各実施形態と同一の部分については、同一の符号を付してその詳しい説明を省略する。
【１６３４】
初めに、図２０７から図２１１を参照して、第４３実施形態における背面ケース４３３００の構成について説明する。図２０７は、第４３実施形態における背面ケース４３３００の分解斜視正面図である。図２０８（ａ）は、背面ケース４３３００の正面図であり、図２０８（ｂ）は、背面ケース４３３００の背面図である。図２０９（ａ）は、図２０８（ｂ）のＣＣＩＸａ−ＣＣＩＸａ線における背面ケース４３３００の断面図であり、図２０９（ｂ）は、図２０９（ａ）におけるＣＣＩＸｂ−ＣＣＩＸｂ線における背面ケース４３３００の断面図である。なお、図２０８および図２０９では、係合部材１８３１０と基板ボックス４３１００（被係合部４３１０１）とが係合された状態が図示される。
【１６３５】
図２０７から図２０９に示すように、第４３実施形態における背面ケース４３３００は、正面視略矩形の底壁部４３３０１と、その底壁部４３３０１の４片の外縁から正面へ向けて立設される外壁部１８３０２とを備え、それら各壁部４３３０１，１８３０２により一面側（正面側）が開放された箱状に形成される。また、背面ケース４３３００は、底壁部４３３０１の正面側（箱状に形成された開放側（矢印Ｆ方向側））に配設される係合部材１８３１０と、背面ケース４３３００の背面側に配設され、基板ボックス４３１００（主制御装置１１０）を固定（軸支）する固定部材４３３２０と、を備える。
【１６３６】
底壁部４３３０１は、その中央に正面視矩形の開口３０１ａが開口形成され、その開口３０１ａを通じて、底壁部４３３０１の背面に配設される第３図柄表示装置８１（図２参照）が視認可能とされる。また、底壁部４３３０１は、固定部材４３３２０と対向する位置に開口する第１開口部４３３０１ｃと、その第１開口部４３３０１ｃの下方（矢印Ｄ方向）に位置し、正面側に突出する突設部１８３０１ｂと、を備える。
【１６３７】
突設部１８３０１ｂは、上記第１８実施形態と同様に、係合部材１８３１０を軸支する突起であり、底壁部４３３０１の正面から円柱状に突設される。また、突設部１８３０１ｂの突設先端面には、ネジを螺合する孔が凹設される。これにより、係合部材１８３１０を背面ケース１８３００に配設した状態で、突設部１８３０１ｂにネジを螺合することで係合部材１８３１０が突設部１８３０１ｂから抜け出ることを規制できる。
【１６３８】
なお、背面ケース４３３００に軸支された係合部材１８３１０は、重心が背面ケース４３３００の突設部１８３０１ｂよりも外壁部１８３０２の開口部１８３０２ａ側に位置する。これにより、外部の力が作用していない状態では、重力により第１片１８３１１と第２片１８３１２との連結部が背面ケース４３３００の開口部１８３０２ａから突出する方向に回転する力が係合部材１８３１０に作用される。従って、係合部材１８３１０と固定部材４３３２０との係合が不完全であった場合に、係合部材１８３１０を背面ケース４３３００の外側に突出させて係合部材１８３１０と固定部材４３３２０との係合の忘れを防止することができる。
【１６３９】
第１開口部４３３０１ｃは、後述する基板ボックス４３１００の被係合部４３１０１を挿通するための開口であり、正面視において被係合部４３１０１よりも大きい形状に形成される。これにより、背面ケース４３３００の内側に役物装置（回転ユニット７００を配設した後で基板ボックス４３１００の被係合部４３１０１を背面ケース４３３００の背面側から背面ケース４３３００の正面側に配置することができる。
【１６４０】
また、第１開口部４３３０１ｃの縁部には、後述する固定部材４３３２０の一側（矢印Ｒ方向側）に形成される係止部３３１を係合させるための突壁４３３０１ｃ１（図２０９（ａ）参照）と、後述する固定部材４３３２０の他側（矢印Ｌ方向側）に形成される第２係止部４３３３６を係合させるための第２突壁４３３０１ｃ２（図２０９（ａ）参照）と、が突設される。
【１６４１】
突壁４３３０１ｃ１及び第２突壁４３３０１ｃ２とは、背面側（矢印Ｂ方向側）の突設先端部分が互いに反対方向に屈曲される。これにより、突壁４３３０１ｃ１及び第２突壁４３３０１ｃ２に後述する固定部材４３３２０が係合された状態で、固定部材４３３２０が揺れ動かされて固定部材４３３２０との係合が解除されることを抑制できる。
【１６４２】
突設部１８３０１ｂは、上記第１８実施形態で説明したように、係合部材１８３１０を軸支する部材であり、底壁部４３３０１の正面から円柱状に突設される。従って、係合部材１８３１０は、突設部１８３１０ｂの中心を軸として回転可能な状態で背面ケース４３３００に配設される。
【１６４３】
固定部材４３３２０は、背面ケース４３３００の底壁部４３３０１と係合する介設部材４３３３０と、その介設部材４３３３０に締結される軸支部材３４０とから構成される。
【１６４４】
介設部材４３３３０は、正面側が開放する箱状に形成され、一側（矢印Ｒ方向側）の側面に突設される係止部３３１と、箱状の底面（矢印Ｂ方向側の側面）に円柱状に開口する挿通孔３３３（図３９（ｂ）参照）と、背面側から突出する突部３３４（図３９（ｂ）参照）と、他側（矢印Ｌ方向側）の内面から一側に向かって突出する第２係止部４３３３６と、を主に備える。
【１６４５】
係止部３３１は、固定部材４３３２０の一側（矢印Ｒ方向側）を底壁部４３３０１に係合させるための開口を備え、その開口に上述した第１開口部４３３０１ｃの周囲から断面Ｌ字状に突設される突壁４３３０１ｃ１が挿通される。これにより、介設部材４３３３０（固定部材４３３２０）を背面ケース４３３００に配設する際に、介設部材４３３３０の係止部３３１に突壁４３３０１ｃ１を挿通させて介設部材４３３３０の一側（矢印Ｒ方向側）を背面ケース４３３００に対して係止することができる。
【１６４６】
第２係止部４３３３６は、上述したように固定部材４３３２０の他側（矢印Ｌ方向側）を底壁部４３３０１の背面に形成される第２突壁４３３０１ｃ２に係合させるための突起であり、正面視において、第２突壁４３３０１ｃ２の先端の屈曲部分と重なる位置に形成される。また、第２係止部４３３３６は、第２突壁４３３０１ｃ２と係合された状態（図２０９（ａ）に示す状態）の際に、第２突壁４３３０１ｃ２の先端の屈曲部分よりも正面側に位置される。これにより、固定部材４３３２０の他側が背面側に移動することを抑制できる。
【１６４７】
さらに、第２係止部４３３３６は、突出基端側（固定部材４３３２０の他側）から突出先端側（固定部材の４３３２０の一側）に向かうにつれて、正面が背面側に傾斜される。これにより、第２係止部４３３３６を第２突壁４３３０１ｃ２と係合させる際に、第２突壁４３３０１ｃ２の突出先端を第２係止部４３３０１ｃ２の正面に沿って摺動させやすくできる。よって、固定部材４３３２０を背面ケース４３３００（底壁部４３３０１）の背面側に係合させることができる。
【１６４８】
なお、固定部材４３３２０は、一側の係止部３３１の開口の内側に底壁部４３３０１の突壁４３３０１ｃ１を挿入した後に、他側の第２係止部４３３３６を底壁部４３３０１側（正面側）に押し込んで、固定部材４３３２０の他側を弾性変形させつつ第２係止部４３３３６を底壁部４３３０１の第２突壁４３３０１ｃ２の屈曲先端よりも正面側に移動させることで、背面ケース４３３００（底壁部４３３０１）に配設される。
【１６４９】
基板ボックス４３１００は、正面視における外形が横長矩形の長方形に形成されると共に、内側に主制御装置１１０が配設される。また、基板ボックス４３１００は、一端側（矢印Ｒ方向側）の端部から突出する軸受部１１７と、基板ボックス４３１００の正面から突設される被係合部４３１０１と、を備える。
【１６５０】
被係合部４３１０１は、上述したように係合部材１８３１０と係合する部分であり、基板ボックス４３１００が背面ケース４４３００の背面側に配設された状態（図２０８（ａ）及び図２０８（ｂ）に示す位置）において背面ケース４３３００側（矢印Ｆ方向側）への突出寸法が、背面ケース４３３００に配設される係合部材１８３１０の正面を超える寸法に設定される。また、被係合部４３１０１は、背面ケース４３３００の底壁部４３３０１よりも正面側に正面視における左右方向（矢印Ｌ−Ｒ方向）に開口する開口部４３１０１ａを備える。
【１６５１】
また、被係合部４３１０１は、基板ボックス４３１００が背面ケース４３３００の背面側に配設された状態（基板ボックス４３１００が係合部材１８３１０と係合された状態（図２０９（ａ）に示す状態））において、固定部材４３３２０の他側と水平方向に隣合う位置に形成される。これにより、遊技者の不正により固定部材４３３２０が背面側に強引に引っ張られた場合に、固定部材４３３２０の他側が第２係止部４３３３６と第２突壁４３３０１ｃ２との係合を解除する方向に弾性変形することを抑制できる。一方で、基板ボックス４３１００が背面ケース４３３００の背面側に配設されていない状態（基板ボックス４３１００が係合部材１８３１０と係合されていない状態（図２１０（ａ）に示す状態））では、被係合部４３１０１を固定部材４３３２０の他側と離れた位置に配置することができるので、固定部材４３３２０を被係合部４３１０１に簡易に係合させる（又は固定ｂ図愛４３３２０を被係合部４３１０１から取り外す）ことができる。
【１６５２】
開口部４３１０１ａは、係合部１８３１６を除いた係合部材１８３１０の変位領域と対応する位置に開口して形成される。これにより、開口部４３１０１ａの内側に係合部材１８３１０を挿入して被係合部４３１０１と係合部材１８３１０とを係合させることができる。
【１６５３】
次いで、図２１０を参照して、係合部材１８３１０と基板ボックス４３１００との係合について説明する。図２１０（ａ）及び図２１０（ｂ）は、背面ケース４３３００の断面図である。なお、図２１０（ａ）及び図２１０（ｂ）は、図２０９（ａ）の断面図と対応すると共に、図２１０（ａ）、図２１０（ｂ）及び図２０９（ａ）の順で、係合部材１８３１０を基板ボックス４３１００に係合させる際の遷移状態が図示される。
【１６５４】
図２１０（ａ）に示すように、係合部材１８３１０と基板ボックス４３１００とを係合させる際は、初めに、上述したように介設部材４３３３０と軸支部材３４０とを締結（一体に）した状態の固定部材４３３２０（図２０７に示す状態の固定部材４３３２０）を背面ケース４３３００（底壁部４３３０１）の背面側に係合させる。
【１６５５】
次に、図２１０（ｂ）に示すように、基板ボックス４３１００の軸受部１１７が形成される一側と反対側の他側を背面ケース４３３００の背面側に向かって押圧して、基板ボックス４３１００と軸支部材３４０とを連結するかしめ金具（図示しない）を軸として、基板ボックス４３１００を軸支部材３４０（固定部材４３３２０）に対して回転させる。これにより、基板ボックス４３１００の正面を背面ケース４３３００の背面と略平行な位置に配置して、被係合部４３１０１の開口部４３１０１ａを背面ケース４３３００の第１開口部４３３０１ｃを介して底壁部４３３０１の正面側に配置すると共に、開口部４３１０１ａを係合部材１８３１０の変位領域に配置する。
【１６５６】
よって、図２０９（ａ）に示すように、係合部材１８３１０の第１片１８３１１を開口部４３１０１ａに向かって、係合部材１８３１０を回転変位させることで、係合部材１８３１０の一側（係合部１８１３１６側）の端部を弾性変形させつつ開口部４３１０１ａの内側に挿入して被係合部４３１０１を介した位置に配置できる。
【１６５７】
最後に、基板ボックス４３１００の軸受部１１７が形成される一側と反対側の他側の端部を、背面ケース４３３００の底壁部４３３０１に向かって、基板ボックス４３１００の背面側（矢印Ｂ方向側）から挿入して背面ケース４３３００に締結されるネジにより固定する。これにより、基板ボックス４３１００は、背面ケース４３３００の背面側に回転（動作）不能な状態で配設される。なお、基板ボックス４３１００の他側をネジにより背面ケース４３３００の背面側に締結する作業は、被係合部４３１０１に係合部材１８３１０を係合させる前に行ってもよい。
【１６５８】
以上のように組み立てられる背面ケース４３３００によれば、係合部材１８３００が係合する被係合部４３１０１が基板ボックス４３１００に形成されるので、軸支部材３４０（固定部材４３３２０）に基板ボックス４３１００が軸支されていない（基板ボックス４３１００を配設し忘れた）場合に、係合部材１８３００が係合できなくなる。
【１６５９】
また、上述したように係合部材１８３００は、外部の力が作用していない状態では、重力により第１片１８３１１と第２片１８３１２との連結部が背面ケース１８３００の開口部１８３０２ａから突出する方向に回転する力が係合部材１８３１０に作用される。従って、基板ボックス４３１００を配設し忘れた場合には、係合部材１８３１０を背面ケース４３３００の外側に位置させることで、背面ケース４３３００の底壁部４３３０１に固定部材４３３２０及び基板ボックス４３３１０を配設する作業者に異常（基板ボックス４３１００を配設し忘れている）ことを気が付かせることができる。従って、パチンコ機１０を制御をする基板ボックス４３１００（主制御装置１１０）を付け忘れを防止することができるので、組み立て工程の後工程（例えば、動作チェック時）に基板ボックス４３１００が配設されていないことを発見しやすくできる。その結果、パチンコ機１０が不良（部品を付け忘れた状態）で店舗（例えば、パチンコ店）に導入されることを抑制できる。
【１６６０】
さらに、上記第１８実施形態と同様に、係合部材１８３１０と被係合部４３１０１との係合が不完全であった場合には、係合部材１８３１０を背面ケース１８３００の外側に突出させることで、遊技盤１３の左右方向（矢印Ｌ−Ｒ方）における係合部材１８３１０の端部から背面ケース４３３００の右側（矢印Ｒ方向側）の端部までの距離寸法ＬＲ１（図１６４（ａ）参照）が、遊技盤１３が配設される外枠１１の左右方向における内側の左右方向寸法ＬＲ２（図１６４（ｂ）参照）よりも大きく設定される。これにより、係合部材１８３１０と固定部材１８３２０とが非係合の場合に、遊技盤１３が外枠１１に配設されることを抑制できる。その結果、パチンコ機１０が組み立てられて、動作チェックされる前に基板ボックス４３１００の配設を忘れていることを気が付かせることができるので、基板ボックス４３１００の配設を忘れた状態でパチンコ機１０に電気が通されることを抑制できる。その結果、基板ボックス４３１００の配設忘れにより、他の基板や電装品が故障することを抑制できる。
【１６６１】
次いで、図２１１を参照して、係合部材１８３１０が回転軸となる突設部１８３０１ｂとの当接による抵抗等の要因で被係合部４３１０１との係合が非係合の状態時に、係合部材１８３１０が被係合部４３１０１との係合位置で停止した場合について説明する。図２１１（ａ）及び図２１１（ｂ）は、背面ケース４３３００の断面図である。なお、図２１１（ａ）及び図２１１（ｂ）は、図２０９（ａ）の断面図と対応する。また、図２１１（ａ）及び図２１１（ｂ）は、係合部材１８３１０と基板ボックス４３１００の被係合部４３１０１とが係合される前の状態が図示され、図２１１（ａ）、図２１１（ｂ）の順に基板ボックス４３１００が変位された状態が図示される。
【１６６２】
図２１１（ａ）に示すように、係合部材１８３１０が回転軸となる突設部１８３０１ｂとの当接による抵抗等の要因で被係合部４３１０１との係合が非係合の状態時に係合部材１８３１０が被係合部４３１０１との係合位置で停止されると、係合部材１８３１０の第１片１８３１１の先端（図２１１（ａ）矢印Ｌ方向側端部）が、被係合部４３１０９の軸受部１１７側の側面の突出先端部の変位軌跡（図２１１（ａ）及び図２１１（ｂ）に示す仮想線Ａ）上に配設される。
【１６６３】
これにより、図２１１（ｂ）に示すように、基板ボックス４３１００が固定部材４３３２０に対して回転された場合に、被係合部４３１０９の軸受部１１７側の側面を係合部材１８３１０の第１片１８３１１の先端端面に当接させることができる。
【１６６４】
この場合、被係合部４３１０９の変位方向と、係合部材１８３１０が非係合とされる場合の変位方向とが略同一に設定される。これにより、基板ボックス４３１００を背面ケース４３３００の底壁部４３３０１側に回転される力を、被係合部４３１０１を介して係合部材１８３１０を押し戻す力に利用することができる。
【１６６５】
ここで、係合部材１８３１０と係合する被係合部４３１０１が基板ボックス４３１００（高価な部品）に形成される為に、被係合部４３１０１が破損した場合に基板ボックス４３１００を取り替える必要があり、製造コストが増加する恐れがあった。
【１６６６】
また、係合部材１８３１０が回転軸となる突設部１８３０１ｂとの当接による抵抗等の要因で被係合部４３１０１との係合が非係合の状態時に、係合部材１８３１０が被係合部４３１０１との係合位置で停止されると、係合部材１８３００が背面ケース４３３００の底壁部４３３０１の背面側から底壁部４３３０２の正面側に変位される被係合部４３１０１の変位領域に配設される。そのため、基板ボックス４３１００を変位させた際に、被係合部４３１０１が係合部材１８３１０と衝突して被係合部４３１０１が破損する恐れがあった。
【１６６７】
これに対して、第４３実施形態では、背面ケース４３３００の底壁部４３３０１に固定部材４３３２０を配設する際に、係合部材１８３００の配置が所定の位置（係合部材１８３１０の一部が背面ケース４３３００の開口部１８３０２ａから突出する位置）に配置されていない場合に、基板ボックス４３１００を背面ケース４３３００の底壁部４３３０１の背面側に移動させる力を利用して、係合部材１８３００を所定の位置に変位させることができる。その結果、基板ボックス４３１００の被係合部４３１０１が破損することを抑制できる。
【１６６８】
次いで、図２１２から図２１４を参照して、第４４実施形態における背面ケース４４３００について説明する。上記第１実施形態では、係合部材３１０の移動が回転ユニット７００の背面ベース７２０に挿通されるネジにより規制される場合について説明したが、第４４実施形態では、係合部材４４３１０が固定部材３２０に係合された際に、係合部材４４３１０の移動が基板ボックス４４１００に突設される突設部４４１０２に係合されることで規制される。なお、上記各実施形態と同一の部分については、同一の符号を付してその詳しい説明を省略する。
【１６６９】
初めに、図２１２及び図２１３を参照して、第４４実施形態における背面ケース４４３００の構成について説明する。図２１２は、第４４実施形態における背面ケース４４３００の分解斜視正面図である。図２１３（ａ）は、背面ケース４４３００の正面図であり、図２１３（ｂ）は、図２１３（ａ）のＣＣＸＩＩＩｂ−ＣＣＸＩＩＩｂ線における背面ケース４４３００の断面図である。図２１３（ａ）及び図２１３（ｂ）では、係合部材４４３１０と基板ボックス４４１００（突設部４４１０２）とが係合された状態が図示される。
【１６７０】
図２１２及び図２１３に示すように、第４４実施形態における背面ケース４４３００は、正面視略矩形の底壁部３０１と、その底壁部３０１の４片の外縁から正面へ向けて立設される外壁部３０２とを備え、それら各壁部３０１，３０２により一面側（正面側）が開放された箱状に形成される。また、背面ケース４４３００は、底壁部３０１の正面側（箱状に形成された開放側（矢印Ｆ方向側））に配設される係合部材４４３１０と、背面ケース４４３００（底壁部３０１）の背面側に配設され、基板ボックス４４１００（主制御装置１１０）を固定（軸支）する固定部材４４３２０と、を備える。
【１６７１】
係合部材４４３１０は、正面視における外形がクランク状に形成されており、互いに平行となる方向に延設される第１片４４３１１及び第２片３１２と、その第１片４４３１１及び第２片３１２の端部同士を第１片４４３１１及び第２片３１２の延設方向と直交する方向に連結する第３片３１３とから構成される。また、第１片４４３１１と第２片３１２とのそれぞれに摺動溝３１４が形成される。
【１６７２】
第１片４４３１１は、第３片３１３が連結される他側（矢印Ｌ方向側）と反対側の一側（矢印Ｒ方向側）の端部が、後述する固定部材４４３２０との係合部分として形成されており、第１片４４３１１の延設方向と略直交する方向である上下方向（矢印Ｕ−Ｄ方向）の両外側に突出する係合部３１６と、その２箇所の係合部３１６の略中間位置から第１片３１１の延設方向（矢印Ｌ−Ｒ方向）に凹設される凹部４４３１７と、背面ケース４４３００の底壁部３０１側（背面側（矢印Ｂ方向側））に向かって突出する操作子３１５と、を備える。
【１６７３】
凹部４４３１７は、第１片４４３１１の厚み方向（矢印Ｆ−Ｂ方向）に切り欠いて形成されると共に、第１片４４３１１の一側（矢印Ｒ方向側）端部から他側（矢印Ｌ方向側）に向かって凹設される。よって、第１片４４３１１の一側が二股に分割される。これにより、第１片４４３１１の一側の剛性を他側に比べて低くすることができる。その結果、第１片４４３１１の一側を弾性変形させやすくして、係合部材４４３１０を固定部材４４３２０と係合させやすくできる。なお、係合部材４４３１０と固定部材４４３２０との係合方法については、上記第１実施形態における係合部材３１０と固定部材３２０との係合方法と同様であるので、その詳しい説明については省略する。
【１６７４】
また、凹部４４３１７は、他側（矢印Ｌ方向側）に向かって凹設された凹設底面に、底壁部３０１側（矢印Ｂ方向側）に向かって第３片３１３側（矢印Ｌ方向側）に傾斜する傾斜面４４３１７ａを備える。
【１６７５】
傾斜面４４３１７ａは、後述する基板ボックス４４１００の突設部４４１０２の突設先端が当接した際に突設部４４１０２をスライド移動させるための面であり、基板ボックス４４１００が底壁部３０１の背面側に配置される際の突設部の４４１０２の移動方向（矢印Ｆ−Ｂ方向）に対して係合部材４４３１０が固定部材４４３２０に係合される際のスライド方向と反対方向に４５度以下の角度（鋭角）で傾斜して形成される。これにより、基板ボックス４４１００の突設部４４１０２の先端が当接した際に、突設部４４１０２を傾斜面４４３１７ａに沿ってスライド変位させやすくできる。
【１６７６】
固定部材４４３２０は、背面ケース４４３００と別部材から構成される。これにより、背面ケース４４３００に比べて外形の小さい固定部材４４３２０に基板ボックス４４１００をカシメ固定させることができるので、固定部材４４３２０が背面ケース４４３００と一体に形成される場合に比べて、基板ボックス４４１００を配設しやすくできる。その結果、基板ボックス４４１００が固定部材４４３２０から取り外されにくい状態で基板ボックス４４１００を背面ケース４４３００に配設しやすくできる。
【１６７７】
固定部材３２０は、上述した係合部材４４３１０と係合する介設部材３３０と、その介設部材３３０に締結される軸支部材３４０とから構成される。これにより、軸支部材３４０を別の遊技機の固定部材と同一の形状の流用品として使用することができる。また、軸支部材３４０は、後述する基板ボックス４４１００（主制御装置１１０）の軸受部１１７とかしめ締結される。なお、基板ボックス４４１００は、かしめ金具による締結により、軸支部材３４０に対して回転可能な状態で保持される。
【１６７８】
基板ボックス４４１００は、正面視における外形が、横長矩形の長方形に形成されると共に、内側に主制御装置１１０が配設される。また、基板ボックス４４１００は、一端側（矢印Ｒ方向側）の端部から突出する軸受部１１７と、基板ボックス４４１００の正面から突設される突設部４４１０２と、を備える。なお、基板ボックス４４１００の突設部４４１０２は、弾性変形可能な樹脂材料から形成されており、後述するように係合部材４４３１０と当接された際に弾性変形することができる。
【１６７９】
突設部４４１０２は、上述したように係合部材４４３１０と係合する部分であり、基板ボックス４４１００が背面ケース４４３００の背面側に配設された状態（図２１３（ａ）及び図２１３（ｂ）に示す位置）において背面ケース４４３００側（矢印Ｆ方向側）への突出寸法が、背面ケース４４３００に配設される係合部材４４３１０の正面側（矢印Ｆ方向側）に超える寸法に設定され、係合部材４４３１０の正面側に超えた先端部分に係合部材４４３１０の第３片３１３側（矢印Ｌ方向側）に屈曲する屈曲部４４０１２ａを備える。
【１６８０】
また、突設部４４１０２は、基板ボックス４４１００が背面ケース４４３００の背面側に配設された状態であって係合部材４４３１０が固定部材３２０と係合した状態において、屈曲部４４１０２ａを除く基端側が係合部材４４３１０の凹部４４３１７の内側に配置されると共に、凹部４４３１７の凹設底面（傾斜面４４３１７ａ）と隣合う位置に配置される。従って、正面視において屈曲部４４１０２ａを係合部材４４３１０と重なる位置に配置できる。
【１６８１】
これにより、係合部材４４３１０と固定部材４４３２０とが係合した状態で基板ボックス４４１００がかしめ金具（支持部３４２に軸支される部分）を中心に回転されて、基板ボックス４４１００（主制御装置１１０）が不正な基板ボックスに交換されることを抑制できる。
【１６８２】
さらに、突設部４４１０２の上下方向寸法（矢印Ｕ−Ｄ方向）における幅寸法は、係合部材４４３１０の凹部４４３１７の上下方向における幅寸法と略同一に設定される。これにより、係合部材４４３１０及び固定部材４４３２０が係合された状態から係合部材４４３１０の第１片４４３１１が凹部４４３１７の内側に弾性変形されることを抑制できる。その結果、係合部材４４３１０と固定部材４４３２０との係合が不正に解除されて、固定部材４４３２０に連結される基板ボックス４４１００（主制御装置１１０）が不正な基板に交換されることを抑制できる。
【１６８３】
なお、第４４実施形態では、基板ボックス４４１００を背面ケース４４３００の背面側（図２１３（ｂ）に示す位置）に配設した後で、背面ケース４４３００と基板ボックス４４１００との間から操作子３１５を操作して係合部材４４３１０と固定部材４４３２０との係合が行われる。これにより、基板ボックス４４１００の突設部４４１０２と係合部材４４３１０とが当接することなく、屈曲部４４１０２ａを係合部材４４３１０の正面側に配置できる。
【１６８４】
次いで、図２１４を参照して、基板ボックス４４１００が背面ケース４４３００の背面側に配設される前に、係合部材４４３１０と固定部材４４３２０とを係合した場合について説明する。
【１６８５】
図２１４（ａ）から図２１４（ｃ）は、背面ケース４４３００の断面図である。なお、図２１４（ａ）から図２１４（ｃ）は、図２１３（ｂ）における背面ケース４４３００の断面図と対応する。また、図２１４（ａ）から図２１４（ｃ）は、係合部材４４３１０と固定部材４４３２０とが係合された状態で、基板ボックス４４１００を背面ケース４４３００の背面側に配設する際の遷移状態が順に図示される。
【１６８６】
図２１４（ａ）に示すように、係合部材４４３１０と固定部材４４３２０とが係合前の状態（係合部材４４３１０が矢印Ｌ方向側に配置された状態）では、係合部材４４３１０が基板ボックス４４１００の突設部４４１０２の変位領域の外側に位置される。従って、係合部材４４３１０と固定部材４４３２０とが係合されていない状態では、係合部材４４３１０と当接することなく基板ボックス４４１００をかしめ金具（支持部３４２に軸支される部分）を中心に回転して背面ケース４４３００の背面側に配設できる。
【１６８７】
一方、図２１４（ｂ）に示すように、係合部材４４３１０と固定部材４４３２０とが係合された状態（係合部材４４３１０が矢印Ｒ方向側に配置された状態）では、係合部材４４３１０が基板ボックス４４１００の突設部４４１０２の変位領域と重なる位置に設定される。
【１６８８】
ここで、基板ボックス４４１００は、主制御装置１１０等を備える部品であり、他の部品（例えば、固定部材４４３２０）に比べて高価である。そのため、係合部材４４３１０と固定部材４４３２０とが係合された状態で基板ボックス４４１００がかしめ金具（支持部３４２に軸支される部分）を中心に回転して背面ケース４４３００の背面側に配設された際に、突設部４４１０２が係合部材４４３１０と当接して基板ボックス４４１００が破損する恐れがあった。
【１６８９】
これに対して、第４４実施形態では、係合部材４４３１０が凹部４４３１７に傾斜面４４３１７ａを備えるので、図２１４（ｃ）に示すように、突設部４４１０２の先端部分を傾斜面４４３１７ａに当接させることができる。これにより、基板ボックス４４１００が正面側（矢印Ｆ側方向側）に押し込まれる力を利用して、突設部４４１０２を傾斜面４４３１７ａの正面側に向かって傾斜する方向（矢印Ｒ方向側）に弾性変形させることができる。よって、突設部４４１０２を弾性変形させつつ突設部４４１０２の先端を傾斜面４４３１７ａに沿って正面側に変位させることができる。その結果、突設部４４１０２が係合部材４４３１０と当接して基板ボックス４４１００が破損することを抑制できる。
【１６９０】
また、突設部４４１０２が傾斜面４４３１７ａに沿って摺動される際の突設部４４１０２の弾性回復力の一部は、係合部材４４３１０に対して固定部材４４３２０と係合を解除する方向（矢印Ｌ方向）に作用される。従って、係合部材４４３１０と固定部材４４３２０との係合が不完全であった場合に、係合部材４４３１０と固定部材４４３２０との係合を解除することができる。これにより、係合部材４４３１０と固定部材４４３２０との係合が不完全の状態でパチンコ機１０（図１参照）が組み上げられることを抑制できる。
【１６９１】
なお、突設部４４１０２は、屈曲部４４１０２ａが係合部材４４３１０の正面側に超える位置に変位されると、その弾性変形を戻して図２１３（ａ）及び図２１３（ｂ）に示す位置に配置される。
【１６９２】
次いで、図２１５から図２１７を参照して、第４５実施形態における背面ケース４５３００について説明する。上記第１８実施形態または上記第４３実施形態では、係合部材１８３１０が固定部材１８３２０または基板ボックス４３１００のどちらか一方に係合される場合について説明したが、第４５実施形態における背面ケース４５３００は、係合部材１８３１０が固定部材３２０及び基板ボックス４５１００の両方に係合される。なお、上記各実施形態と同一の部分については、同一の符号を付してその詳しい説明を省略する。
【１６９３】
初めに、図２１５及び図２１６を参照して第４５実施形態における背面ケース４５３００の構成について説明する。図２１５は、第４５実施形態における背面ケース４５３００の分解斜視正面図である。図２１６（ａ）は、背面ケース４５３００の正面図であり、図２１６（ｂ）は、背面ケース４５３００の背面図である。図２１７（ａ）は、背面ケース４５３００の正面図であり、図２１６（ｂ）は、背面ケース４５３００の背面図である。なお、図２１６（ａ）及び図２１６（ｂ）では係合部材１８３００が固定部材３２０と基板ボックス４５１００とに係合された状態が図示され、図２１７（ａ）及び図２１７（ｂ）では係合部材１８３００が固定部材３２０のみに係合された（基板ボックス４５１００とは非係合とされた）状態が図示される。
【１６９４】
図２１５から図２１７に示すように、第４５実施形態における背面ケース４５３００は、正面視略矩形の底壁部４５３０１と、その底壁部４５３０１の４片の外縁から正面へ向けて立設される外壁部１８３０２とを備え、それら各壁部４５３０１，１８３０２により一面側（正面側）が開放された箱状に形成される。また、背面ケース４５３００は、底壁部４５３０１の正面側（箱状に形成された開放側（矢印Ｆ側方向側））に配設される係合部材１８３１０と、背面ケース４５３００（底壁部４５３０１）の背面側に配設され、基板ボックス４５１００（主制御装置１１０）を固定（軸支）する固定部材３２０と、を備える。
【１６９５】
底壁部４５３０１は、その中央に正面視矩形の開口３０１ａが開口形成され、その開口３０１ａを通じて底壁部４５３０１の背面に配設される第３図柄表示装置８１（図２参照）が視認可能とされる。また、底壁部４５３０１は、固定部材４５３２０と対向する位置に開口する第１開口部４５３０１ｃと、その第１開口部４５３０１ｃの下方（矢印Ｄ方向）に位置し、正面側に突出する突設部１８３０１ｂと、を備える。
【１６９６】
突設部１８３０１ｂは、上記第１８実施形態と同様に、係合部材１８３１０を軸支する突起であり、底壁部４５３０１の正面から円柱状に突設される。また、突設部１８３０１ｂの突設先端面には、ネジを螺合する孔が凹設される。これにより、係合部材１８３１０を背面ケース１８３００に配設した状態で、突設部１８３０１ｂにネジを螺合することで係合部材１８３１０が突設部１８３０１ｂから抜け出ることを規制できる。
【１６９７】
なお、背面ケース４５３００に軸支された係合部材１８３１０は、重心が背面ケース４５３００の突設部１８３０１ｂよりも外壁部１８３０２の開口部１８３０２ａ側に位置する。これにより、外部の力が作用していない状態では、重力により第１片１８３１１と第２片１８３１２との連結部が背面ケース４５３００の開口部１８３０２ａから突出する方向に回転する力が係合部材１８３１０に作用される。従って、係合部材１８３１０と固定部材４５３２０との係合が不完全であった場合に、係合部材１８３１０を背面ケース４５３００の外側に突出させて、係合部材１８３１０と固定部材４５３２０との係合の忘れを防止することができる。
【１６９８】
第１開口部４５３０１ｃは、固定部材３２０の被係合部３３２及び後述する基板ボックス４５１００の被係合部４５１０１を挿通するための開口であり、２箇所の被係合部３３２，４５１０１と対応する位置に水平方向に長く開口される。これにより、背面ケース４５３００の内側に役物装置（回転ユニット７００を配設した後で基板ボックス４５１００の被係合部４５１０１を背面ケース４５３００の背面側から背面ケース４５３００の正面側に配置することができる。
【１６９９】
また、第１開口部４５３０１ｃの縁部には、固定部材４５３２０の一側（矢印Ｒ方向側）に形成される係止部３３１を係合させるための突壁４５３０１ｃ１が突設される。突壁４５３０１ｃ１は、後述する係合部材１８３１０を被係合部４５１０１に係合させる際の変位方向（矢印Ｌ方向）と反対方向（矢印Ｒ方向）に先端が屈曲される。これにより、係合部材１８３１０を被係合部４５１０１に係合させる場合に、係合部材１８３１０に被係合部４５１０１が押圧されることで固定部材４５３２０が係合部材１８３１０の変位方向に動いて、係止部３３１の開口から突壁４５３０１ｃ１が抜け出ることを抑制できる。その結果、固定部材４５３２０の一側（矢印Ｒ方向側）と背面ケース４５３００との係合が解除されることを抑制できる。
【１７００】
突設部１８３０１ｂは、上記第１８実施形態で説明したように、係合部材１８３１０を軸支する部材であり、底壁部４５３０１の正面から円柱状に突設される。従って、係合部材１８３１０は、突設部１８３１０ｂの中心を軸として回転可能な状態で背面ケース４５３００に配設される。
【１７０１】
基板ボックス４５１００は、正面視における外形が、横長矩形の長方形に形成されると共に、内側に主制御装置１１０が配設される。また、基板ボックス４５１００は、一端側（矢印Ｒに方向側）の端部から突出する軸受部１１７と、基板ボックス４５１００の正面から突設される被係合部４５１０１と、を備える。
【１７０２】
被係合部４５１０１は、一側の先端が固定部材３２０の被係合部３３２の内側に挿入された状態における係合部材１８３１０と係合する部分であり、基板ボックス４５１００が背面ケース４５３００（底壁部４５３０１）の背面側に配設された状態（図２１６（ａ）に示す位置）において、背面ケース４５３００側（矢印Ｆ方向側）への突出寸法が背面ケース４５３００に配設される係合部材１８３１０の正面を超える寸法に設定される。また、被係合部４５１０１は、背面ケース４５３００の底壁部４５３０１よりも正面側に正面視における左右方向（矢印Ｌ−Ｒ方向）に開口する開口部４５１０１ａを備える。
【１７０３】
開口部４５１０１ａは、係合部材１８３１０の第１片１８３１１を内側に挿入する開口であり、係合部材１８３１６を除いた係合部材１８３１０の第１片１８３１１の変位領域と対応する位置に開口して形成される。これにより、開口部４５１０１ａの内側に係合部材１８３１０を挿入して被係合部４５１０１と係合部４５３１０とを係合させることができる。
【１７０４】
また、被係合部４５１０１は、固定部材３２０の被係合部３３２と所定の間隔を隔てて係合部材１８３１０を被係合部３３２に係合させる際の変位方向に異なる位置に配置される。これにより、係合部材１８３１０が固定部材３２０に係合された後に被係合部４５１０１の被係合部３３２と係合部材１８３１０とを係合させることができる。
【１７０５】
なお、被係合部４５１０１と固定部材３２０の被係合部３３２との離間する距離は、係合部材１８３１０の変位方向における係合部１８３１６の長さ寸法以上に設定される。これにより、係合部材１８３１０の係合部１８３１６を正面視における２箇所の被係合部３３２，４５１０１の間に配置することができる（図２１７（ａ）参照）。その結果、係合部材１８３１０を固定部材３２０に係合させると共に、基板ボックス４５１００と非係合とする状態を維持することができる。
【１７０６】
これにより、固定部材３２０と係合部材１８３１０とを係合して、固定部材３２０を背面ケース４５３００の背面側に配設した状態で、基板ボックス４５１００を固定部材３２０に対して回転変位させることができる。
【１７０７】
以上のように構成される背面ケース４５３００によれば、固定部材３２０及び基板ボックス４５１００を背面ケース４５３００（底壁部４５３０１）に配設する際には、初めに図２１７に示すように、基板ボックス４５１００をかしめ金具で連結した状態の固定部材３２０を背面ケース４５３００（底壁部４５３０１）の背面に配置した状態で係合部材１８３１０を回転して係合部材１８３１０の第１片１８３１１を固定部材３２０の被係合部３３２に係合させる。これにより、基板ボックス４５１００を係合部材１８３１０とを非係合の状態で固定部材３２０に支持させることができる。
【１７０８】
従って、基板ボックス４５１００を背面ケース４５３００（底壁部４５３１）の背面側の位置でかしめ金具（支持部３４２に軸支される部分）を中心に回転させることができる。よって、基板ボックス４５１００（主制御装置１１０）への配線の連結を行いやすくさせることができる。
【１７０９】
次に、図２１７に示すように、基板ボックス４５１００を背面ケース４５３００側に回転させて、基板ボックス４５１００の正面を背面ケース４５３００（底壁部４５３０１）の背面と平行となる位置に配置した後で、係合部材１８１００を基板ボックス４５１００の被係合部４５１０１側（矢印Ｌ方向側）に回転させる。これにより、係合部材１８１００の第１片１８３１１の先端を被係合部４５１０１の開口部４５１０１ａの内側に挿入することができる。その結果、基板ボックス４５１００を背面ケース４５３００の背面側に固定することができる。
【１７１０】
従って、第４５実施形態では、係合部材１８３００に固定部材３２０と基板ボックス４５１００との２部材を背面ケース４５３００の背面側に固定する役割を持たせることができる。その結果、基板ボックス４５１００の軸受部１１７側の一側と反対側の他側（矢印Ｌ方向側）を背面ケース４５３００の背面側に固定しなくても、基板ボックス４５１００を背面ケース４５３００の背面側に固定することができ、製造コストを削減できる。
【１７１１】
また、この場合、背面ケース４５３００の他側（矢印Ｌ方向側）を背面ケース４５３００に固定するための係合部分（係合部材１８３１０と被係合部４５１０１との係合部分）を背面ケース４５３００の底壁部４５３０１とベース板６０（図２参照）との対向間に配置することができる。その結果、背面ケース４５３００とベース板６０の外側から基板ボックス４５１００の係合部分へのアクセスを困難とすることができる。その結果、基板ボックス４５１００の係合が不正に解除されて、基板ボックス４５１００（主制御装置１１０）が不正な主制御装置に交換されることを抑制できる。
【１７１２】
なお、第４５実施形態における基板ボックス４５１００の背面ケース４５３００からの取り外しは、一体に組み付けられた状態の遊技盤１３（図２参照）からベース板６０（図２参照）と背面ケース４５３００とを分解した後に、背面ケース４５３００の内側（底壁部４５３０１の正面側）に配設される各役物装置（例えば、回転ユニット７００）を取り外す。これにより、係合部材１８３１０と基板ボックス４５１００との係合部分にアクセス可能とでき、係合部材１８３１０の第１片１８３１１を弾性変形させて基板ボックス４５１００及び固定部材３２０と係合部材１８３１０との係合を解除することができる。
【１７１３】
次いで、図２１８を参照して、第４６実施形態における一般入賞口ユニット４６１５０について説明する。上記第１実施形態では、一般入賞口ユニット１５０の背面の背面部１５１ｄ及び凹設底面１５１ｂ２が平坦面に形成される場合について説明したが、第４６実施形態における一般入賞口ユニット４６１５０では、本体部４６１５１の外縁に沿って形成される凹凸が背面４６１５１ｄ及び凹設底面４６１５１ｂ２に複数個並設される。なお、上記各実施形態と同一の部分には同一の符号を付してその詳しい説明を省略する。
【１７１４】
図２１８は、第４６実施形態における遊技盤４６０１３の断面図である。なお、図２１８は、図１４の遊技盤１３の断面図に対応する。また、第４６実施形態における遊技盤４６０１３は、第１実施形態と同様に、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。また、第４６実施形態では、ベース板６０の第２開口部６０ｂ（図１１参照）の開口部分に一般入賞口ユニット４６１５０が配設される。
【１７１５】
図２１８に示すように、第４６実施形態における遊技盤４６０１３のベース板６０の正面側（矢印Ｆ方向側）に配設される一般入賞口ユニット４６１５０は、ベース板６０の正面に沿う板状の本体部４６１５１と、その本体部４６１５１の背面側（矢印Ｂ方向側）に配設される装飾部材１５４と、を備える。なお、装飾部材１５４は、第１実施形態と同様に接着テープ１５４ａが外縁部に沿って貼付され、その接着テープ１５４ａの反対面が本体部４６１５１の背面側に貼付されることで本体部４６１５１に配設される。
【１７１６】
本体部４６１５１は、透明の樹脂材料から形成され、背面側（矢印Ｂ方向側）に配設される装飾部材１５４の模様や文字等（絵柄）の装飾を遊技者側（正面側）から視認可能とされる。また、本体部４６１５１は、正面視における本体部４６１５１の外縁部分に正面視における本体部４６１５１の外側に向かって背面側に傾斜する傾斜面１５１ａと、本体部４６１５１の背面から正面側に向かって凹設される凹部４６１５１ｂと、その凹部４６１５１ｂを除いた本体部４６１５１の背面を形成する背面４６１５１ｄと、を主に備える。
【１７１７】
凹部４６１５１ｂは、背面視における本体部４６１５１の外縁から本体部４６１５１の内側に一定の幅を隔てる位置で本体部４６１５１の外縁に沿う形状に凹設される。また、凹部４６１５１ｂは、本体部４６１５１の背面側に配設される装飾部材１５４を収容する空間を形成する凹みであり、背面視における形状が装飾部材１５４の背面視形状よりも大きく形成される。よって、凹部４６１５１ｂの内側に装飾部材１５４が配設された場合には、装飾部材１５４の外縁と凹部４６１５１ｂの外縁との間に所定の隙間が形成される。
【１７１８】
凹部４６１５１ｂは、凹設方向（矢印Ｆ方向）の底面となる凹設底面４６１５１ｂ２と、その凹設底面４６１５１ｂ２の外縁から背面側（矢印Ｂ方向側）に向かって立設される内側面１５１ｂ３と、を備える。
【１７１９】
凹設底面４６１５１ｂ２は、装飾部材１５４の接着面であり、背面視における凹設底面４６１５１ｂ２の外縁から所定の距離内側に隔てる領域（後述する溝状部４６１５１ｂ４及び突状部４６１５１ｂ５を除いた領域）が、本体部４６１５１の正面と平行な平面として形成される。これにより、正面視における本体部４６１５１の外縁から所定の距離内側に向かって離間した内側の領域を介して装飾部材１５４の装飾を視認した場合に、装飾部材１５４の装飾を一様に視認させることができる。
【１７２０】
また、凹設底面４６１５１ｂ２は、背面視における凹設底面４６１５１ｂ２の外縁から所定の距離内側に隔てる領域に正面側に向かって溝状に凹設される複数の溝状部４６１５１ｂ４と、背面側に向かって突設される複数の突状部４６１５１ｂ５と、を備える。
【１７２１】
溝状部４６１５１ｂ４は、背面視における凹設底面４６１５１ｂ２の外縁から内側に向かって一定の間隔で複数個形成されると共に、凹設底面４６１５１ｂ２の外縁に沿う溝状に形成される。また、複数の溝状部４６１５１ｂ４の隣り合う溝状部４６１５１ｂ４の間には、突状部４６１５１ｂ５が背面側に向かって突設される。
【１７２２】
突状部４６１５１ｂ５は、一定の間隔で複数個形成される溝状部４６１５１ｂ４の間に形成されると共に、溝状部４６１５１ｂ４と同様に凹設底面４８１５１ｂ２の外縁に沿って形成される。即ち、突状部４６１５１ｂ５と溝状部４６１５１ｂ４とは、凹設底面４６１５１ｂ２の内側部分から外側部分に向かって交互に形成される。
【１７２３】
また、溝状部４６１５１ｂ４は、凹設底面４６１５１ｂ２の平面に対して正面側に位置され、突状部４６１５１ｂ５は、凹設底面４６１５１ｂ２の平面に対して背面側に位置される。即ち、溝状部４６１５１ｂ４と突状部４６１５１ｂ５とは、凹設底面４６１５１ｂ２の平面を境界として本体部４６１５１の正面側と背面側とのそれぞれに形成される。
【１７２４】
これにより、後述するように、突状部４６１５１ｂ５により押し出される接着テープ１５４ａを溝状部４６１５１ｂ４の内側に押し出して溝状部４６１５１ｂ４に収容することができる。
【１７２５】
また、装飾部材１５４は、外縁部に接着テープ１５４ａが貼付される。従って、接着テープ１５４ａは、装飾部材１５４側に貼付された面と反対側の面が背面視における凹設底面４６１５１ｂ２の外縁から所定の距離内側に隔てる領域に貼付される。よって、接着テープ１５４ａの一部が、凹設底面４６１５１ｂ２の溝状部４６１５１ｂ４及び突状部４６１５１ｂ５に貼付される。
【１７２６】
従って、本体部４６１５１に装飾部材１５４が貼付される際に、突状部４６１５１ｂ５に接着テープ１５４ａが押圧されることで、接着テープ１５４ａが弾性変形して各突状部４６１５１ｂ５の間（溝状部４６１５１ｂ４）に押し込まれる。これにより、凹設底面４６１５１ｂ２に突状部４６１５１ｂ５が形成されず凹設底面４６１５１ｂ２が平坦面に形成される場合に比べて、接着テープ１５４ａと本体部４６１５１との接触面積を増加させることができる。
【１７２７】
即ち、接着テープ１５４ａと本体部４６１５１との接着面積を増加させることができる。従って、本体部４６１５１に対する装飾部材１５４の接着が剥がれて装飾部材１５４が本体部４６１５１から剥がれ落ちることを抑制できる。その結果、本体部４６１５１から装飾部材１５４が剥がれて、ベース板６０の装飾部材６０ｃに対する装飾部材１５４の位置がずれることを抑制できる。
【１７２８】
また、凹設底面４６１５１ｂ２から背面側に向かって突設される突状部４６１５１ｂ５の体積は、凹設底面４６１５１ｂ２に正面側に向かって凹設される溝状部４６１５１ｂ４により凹設された空間の体積よりも小さく設定される。これにより、突状部４６１５１ｂ５により押圧されて、弾性変形する接着テープ１５４ａが溝状部４６１５１ｂ４の内側に侵入する接着テープ１５４ａの体積を溝状部４６１５１ｂ４により凹設された空間の体積よりも小さくすることができる。
【１７２９】
従って、溝状部４６１５１ｂ４の内側に侵入する接着テープ１５４ａと、溝状部４６１５１ｂ４と、の間に空間を形成することができる。よって、装飾部材１５４とベース板６０の装飾部材６０ｃとが前後方向（矢印Ｆ−Ｂ方向）に重なる端部の周囲から正面側に反射する光が、接着テープ１５４ａを透過して本体部４６１５１に入射する場合と、接着テープ１５４ａを透過した後で、空気層（溝状部４６１５１ｂ４と接着テープ１５４ａとの間の空間）を介して本体部４６１５１に入射する場合と、の２の経路を通過して遊技者側に出射される。
【１７３０】
これにより、光の入射および出射による屈折を利用して、２の経路のそれぞれを通過した光により視認される領域を非連続とすることができる。その結果、装飾部材１５４とベース板６０の装飾部材６０ｃとが前後方向（矢印Ｆ−Ｂ方向）に重なる端部の周囲をぼやかした状態で遊技者に視認させることができる。
【１７３１】
さらに、突状部４６１５１ｂ５及び溝状部４６１５１ｂ４により、背面視における凹設底面４６１５１ｂ２の外縁に沿う外側の領域から入射する光を乱反射させることができる。その結果、装飾部材１５４とベース板６０の装飾部材６０ｃとが前後方向（矢印Ｆ−Ｂ方向）に重なる端部の周囲をぼやかした状態で遊技者に視認させることができる。
【１７３２】
背面４６１５１ｄは、凹部４６１５１ｂを除いた本体部４６１５１の背面であり、背面視における本体部４６１５１の外縁に沿う内側部分に一定の幅で形成される。また、背面４６１５１ｄは、背面視における背面４６１５１ｄの内縁に沿う所定の領域に背面側（矢印Ｂ方向側）に突出する複数の背面部突状部４６１５１ｄ２と、正面側に向かって溝状に凹設される複数の背面部溝状部４６１５１ｄ１と、を備える。
【１７３３】
背面部溝状部４６１５１ｄ１は、背面視における背面４６１５１ｄの内縁から外側に向かって一定の間隔で形成されると共に、背面４６１５１ｄの内縁に沿う溝状に形成される。また、複数の背面部溝状部４６１５１ｄ１の隣り合う背面部溝状部４６１５１ｄ１の間には、背面部突状部４６１５１ｄ２が背面側に向かって突設される。
【１７３４】
背面部突状部４６１５１ｄ２は、一定の間隔で複数個形成される背面部溝状部４６１５１ｄ１の間に形成されると共に、背面部溝状部４６１５１ｄ１と同様に、背面４６１５１ｄの内縁に沿って形成される。即ち、背面部突状部４６１５１ｄ２と背面部溝状部４６１５１ｄ１とは、背面４６１５１ｄの内縁側から外縁側に向かって交互に形成される。
【１７３５】
また、背面部溝状部４６１５１ｄ１は、背面４６１５１ｄの平面に対して正面側に位置され、背面部突状部４６１５１ｄ２は、背面４６１５１ｄの平面に対して背面側に位置される。即ち、背面部溝状部４６１５１ｄ１と背面部突状部４６１５１ｄ２とは、背面４６１５１ｄの平面を境界として本体部４６１５１の正面側と背面側とのそれぞれに形成される。
【１７３６】
これら背面部溝状部４６１５１ｄ１及び背面部突状部４６１５１ｄ２により、背面部突状部４６１５１ｄ２をベース板６０の装飾部材６０ｃに食い込ませて、装飾部材６０ｃの装飾面側を弾性変形させて装飾部材６０ｃの装飾面を背面部突状部４６１５１ｄ２の突設間隔で波形状に曲げることができる。これにより、背面部溝状部４６１５１ｄ１及び背面部突状部４６１５１ｄ２の背面側に配置された（装飾面が波形状に曲げられた）装飾部材６０ｃの装飾を遊技者にぼやかした状態で視認させることができる。
【１７３７】
ここで、上述したように、背面部溝状部４６１５１ｄ１及び背面部突状部４６１５１ｄ２は、背面視における本体部４６１５１（背面４６１５１ｄ）の凹部４６１５１ｂ側の端部に形成され、装飾部材１５４が凹部４６１５１ｂの背面視における外形と略同一に設定されるので、装飾部材６０ｃと装飾部材１５４とが重なる端部（境界Ｐ１）の外側の装飾を遊技者にぼやかした状態で視認させることができる。
【１７３８】
従って、正面視における装飾部材６０ｃに装飾部材１５４が前後方向（矢印Ｆ−Ｂ方向）に重なる部分の外側周囲の装飾をぼやかすことができ、装飾部材６０ｃと装飾部材１５４との配置の位置ずれを遊技者に認識されにくくすることができる。その結果、装飾部材６０ｃと装飾部材１５４との装飾を遊技者に１の装飾として視認させやすくすることができる。
【１７３９】
また、背面４６１５１ｄの背面視における内縁（凹部４６１５１ｂ側の縁部）には、背面部突状部４６１５１ｄ２が形成される。これにより、背面部突状部４６１５１ｄ２により、装飾部材６０ｃを弾性変形させつつ一般入賞口ユニット４６１５０をベース板６０に配設する際に、背面視における凹部４６１５１ｂ側の端部側の突起に押し出される装飾部材６０ｃを凹部４６１５１ｂの内側に押し出すことができる。
【１７４０】
従って、本体部４６１５１の背面４６１５１ｄと対向しない凹部４６１５１ｂの内側部分に装飾部材６０ｃを押し出すことができるので、背面４６１５１ｄの背面視における凹部４６１５１ｂ側の端部に背面部溝状部４６１５１ｄ１が形成される場合に比べて、装飾部材６０ｃを弾性変形させる面積を増加させることができる。
【１７４１】
この場合、凹部４６１５１ｂの内側に装飾部材６０ｃが押し出されるので、背面視における凹部４６１５１ｂの外縁と装飾部材１５４の外縁との間の隙間に押し出された分の装飾部材６０ｃを収容することができる。
【１７４２】
よって、装飾部材１５４と装飾部材６０ｃとが重なる端部（境界Ｐ１）に装飾部材６０ｃの弾性変形した領域を近づけることができる。その結果、装飾部材１５４と装飾部材６０ｃとで形成される１の装飾が分割された２の装飾（装飾部材１５４及び装飾部材６０ｃで形成される装飾）から形成されていることを遊技者に認識されにくくできる。
【１７４３】
また、背面４６１５１ｄから背面側に向かって突設される背面部突状部４６１５１ｄ２の体積は、背面４６１５１ｄに正面側に向かって凹設される背面部溝状部４６１５１ｄ１に凹設された空間の体積よりも小さく設定される。これにより、背面部突状部４６１５１ｄ２により押圧されて弾性変形する装飾部材６０ｃが背面部溝状部４６１５１ｄ１の内側に侵入する装飾部材６０ｃの体積を背面部溝状部４６１５１ｄ１により凹設された空間の体積よりも小さくすることができる。
【１７４４】
従って、背面部溝状部４６１５１ｄ１の内側に侵入する装飾部材６０ｃと、背面部溝状部４６１５１ｄ１と、の間に空間を形成することができる。よって、装飾部材１５４とベース板６０の装飾部材６０ｃとが前後方向（矢印Ｆ−Ｂ方向）に重なる端部の周囲から正面側に反射する光が、本体部４６１５１に直接入射する場合と、空気層（背面部溝状部４６１５１ｄ１と装飾部材６０ｃとの間の空間）を介して本体部４６１５１に入射する場合と、の２の経路を通過して遊技者側に出射される。
【１７４５】
これにより、光の入射および出射による屈折を利用して、２の経路のそれぞれを通過した光により視認される領域を非連続とすることができる。その結果、装飾部材１５４とベース板６０の装飾部材６０ｃとが前後方向（矢印Ｆ−Ｂ方向）に重なる端部の周囲をぼやかした状態で遊技者に視認させることができる。
【１７４６】
さらに、背面部突状部４６１５１ｄ２及び背面部溝状部４６１５１ｄ１により、背面視における背面４６１５１ｄの内縁に沿う内側の領域から本体部４６１５１に入射する光を乱反射させることができる。その結果、装飾部材１５４とベース板６０の装飾部材６０ｃとが前後方向（矢印Ｆ−Ｂ方向）に重なる端部の周囲をぼやかした状態で遊技者に視認させることができる。
【１７４７】
次いで、図２１９を参照して、第４７実施形態における一般入賞口ユニット４７１５０について説明する。上記第３１実施形態では、凹設部３１１５１ａ１の下方側の内面が背面側に向かって下降傾斜して形成される場合について説明したが、第４７実施形態における凹設部４７１５１ａ１は、下方側の内面が背面側に向かって上昇傾斜して形成される。なお、上記各実施形態と同一の部分には、同一の符号を付してその詳しい説明を省略する。
【１７４８】
図２１９（ａ）は、第４７実施形態における遊技盤４７０１３の部分拡大正面図であり、図２１９（ｂ）は、図２１９（ａ）のＣＣＸＩＸｂ―ＣＣＸＩＸｂ線における遊技盤４７０１３の模式断面図である。なお、第４７実施形態における遊技盤４７０１３は、第１実施形態と同様に、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第４７実施形態では、ベース板６０の第２開口部６０ｂ（図１１参照）の開口部分に一般入賞口ユニット４７１５０が配設される。
【１７４９】
図２１９に示すように、第４７実施形態におけるベース板６０の正面側に配設される一般入賞口ユニット４７１５０は、ベース板６０の正面に沿う板状の本体部４７１５１と、その本体部４７１５１の背面側に配設される装飾部材１５４と、を備える。
【１７５０】
本体部４７１５１は、透明の樹脂材料から形成され、背面側に配設される装飾部材１５４の模様や文字等（絵柄）の装飾を遊技者側（正面側）から視認可能とされる。また、本体部４７１５１は、正面視における端部が背面側に向かって傾斜する傾斜面４７１５１ａと、その本体部４７１５１の背面から正面側に向かって凹設される凹部１５１ｂとを主に備える。
【１７５１】
傾斜面４７１５１ａは、その傾斜面４７１５１ａの平坦面に対して面直に凹設される複数の凹設部４７１５１ａ１を備える。複数の凹設部４７１５１ａ１は、第１入賞口６４の下方に位置する一般入賞口６３（図２１９（ａ）参照）に向かって溝状に形成される。また、複数の凹設部４７１５１ａ１は、正面視において凹設部４７１５１ａ１の溝状に形成される長手方向に対して直交する方向に複数個並設される。
【１７５２】
複数の凹設部４７１５１ａ１は、断面略三角形状に凹設して形成される。また、凹設部４７１５１ａ１は、断面三角形状に凹設された先端部分の凹設先端部Ｐ４（図２２０（ｂ）参照）が正面視において一般入賞口６３に向かって延設される。さらに、複数の凹設部４７１５１ａ１は、正面視における本体部４７１５１の外縁側に位置する一側の内面と、正面視における本体部４７１５１の内側（外縁側と反対側）に位置する他側の内面とを有する。
【１７５３】
これにより、ベース板６０の装飾部材６０ｃと一般入賞口ユニット４７１５０の装飾部材１５４との装飾の連結部（境界Ｐ１）の周囲から正面側に反射されて傾斜面４７１５１ａから出射される光を乱反射させることができる。その結果、傾斜面４７１５１ａを介して視認される装飾をぼやかすことができ、遊技者に装飾部材６０ｃと装飾部材１５４とで形成される装飾とが分割されていることを遊技者に認識されにくくすることができる。
【１７５４】
また、凹設部４７１５１ａ１は、正面視における本体部４７１５１の外縁側に位置する一側の内面が、その凹設部４７１５１ａ１の凹設先端部Ｐ４に対して、正面視における本体部４７１５１の外縁に向かうほど背面側に傾斜して形成される。これにより、凹設部４７１５１ａ１の外縁側に位置する一側の内面が正面視における本体部４７１５１の外縁に向かうほど正面側に傾斜して形成される場合に比べて、凹設先端部Ｐ４から本体部４７１５１の背面までの距離（板厚）を確保することができる。従って、本体部４７１５１の剛性を確保することができる。
【１７５５】
その結果、遊技盤４７０１３の遊技領域を流下する遊技球が一般入賞口ユニット４７１５０（本体部４７１５１）の正面側に流下する際に傾斜面４７１５１ａに衝突して一般入賞口ユニット４７１５０（本体部４７１５１）が破損することを抑制できる。
【１７５６】
なお、凹設先端部Ｐ４は、本体部４７１５１の正面に対する前後方向位置が常に一定とされる。また、凹設部４７１５１ａ１の外縁側に位置する一側の内面および内側（外縁側と反対側）に位置する他側の内面のベース板６０の正面に対する傾斜角度が常に一定とされる。これにより、凹設部４７１５１ａ１が形成された部分の剛性が部分的に低くなることを抑制して、一般入賞口ユニット４７１５０（本体部４７１５１）が破損することを抑制できる。
【１７５７】
一方、凹設部４７１５１ａ１は、正面視における本体部４７１５１の内側（外縁側と反対側）に位置する他側の内面が、その凹設部４７１５１ａ１の凹設先端部Ｐ４に対して、本体部４７１５１の内側（外縁側と反対側）に向かうほど下方側に傾斜して（正面側に向かうほど下側傾斜して）形成される。これにより、凹設部４７１５１ａ１の内側に埃やゴミが侵入した際に、それら埃やゴミを正面視における本体部４７１５１の内側（外縁側と反対側）に位置する他側の内面に沿って正面側（矢印Ｆ側方向側）に移動させて凹設部４７１５１ａ１の内側から排出することができる。
【１７５８】
その結果、傾斜面４７１５１ａを介して装飾部材１５４又は装飾部材６０ｃ（図２１９（ｂ）参照）を視認する際に、凹設部４７１５１ａ１の内側に貯まる埃やゴミでその視認性が阻害されることを抑制できる。
【１７５９】
さらに、凹設部４７１５１ａ１は、上述したように、第１入賞口６４の下方に位置する一般入賞口６３（図２１９（ａ）参照）に向かって溝状に形成されるので、遊技盤４７０１３の遊技領域を流下して凹設部４７１５１ａ１に衝突する遊技球を、凹設部４７１５１ａ１の溝方向（正面視における凹設先端部Ｐ４の延設方向）に沿って案内することができる。
【１７６０】
詳しく説明すると、凹設部４７１５１ａ１は、凹設先端部が正面視において、一般入賞口６３の上方側に開口する開口部分に向かって延設される。これにより、正面視における遊技盤１３の左側（矢印Ｌ方向側（一般入賞口ユニット４７１５０が配設される側））を流下する遊技球が凹設部４７１５１ａ１に当接した場合に、その遊技球を一般入賞口６３の開口部分に向けて流下しやすくできる。その結果、遊技領域を流下する遊技球を開口（球を回収する孔）に流入させやすくでき、遊技球が遊技領域内に停滞することを抑制して、遊技の進行をスムーズに行うことができる。
【１７６１】
なお、図２１９（ｂ）に示すように、本実施形態では、第１入賞口６４の下方に位置する一般入賞口６３の両隣に第１アウト口７１が形成される。従って、凹設部４７１５１ａ１に当接して一般入賞口６３の開口部分に向けて流下する遊技球が一般入賞口６３に流入しなかった場合に、その遊技球を一般入賞口６３の両隣に形成される第１アウト口７１に流入させることができる。よって、凹設部４７１５１ａ１に沿って流下された遊技球を第１アウト口７１もしくは一般入賞口６３の少なくともどこかの開口（第１アウト口７１又は一般入賞口６３）に送球しやすくできる。
【１７６２】
次いで、図２２０及び図２２１を参照して第４８実施形態における遊技盤４８０１３について説明する。上記第３４実施形態では、特別入賞装置３４５５０の正面側に配設される第１経路部材３４５６０が光非透過性の材料から形成され、第１経路部材３４５６０の背面側に配設される第２経路部材３４５７０が遊技者から視認不能とされる場合について説明したが、第４８実施形態における第１経路部材４８５６０は光透過性の樹脂材料から形成される。なお、上記各実施形態と同一の部分には同一の符号を付してその詳しい説明を省略する。
【１７６３】
図２２０（ａ）は、第４８実施形態における遊技盤４８０１３の正面図であり、図２２０（ｂ）は、図２２０（ａ）のＣＣＸＸｂ−ＣＣＸＸｂ線における遊技盤４８０１３の断面図である。図２２１（ａ）は、第２経路部材４８５７０の斜視正面図であり、図２２１（ｂ）は、図２２０（ｂ）のＣＣＸＸＩｂ−ＣＣＸＸＩｂ線における特別入賞装置４８５５０の断面図である。
【１７６４】
図２２０及び図２２１に示すように、第４８実施形態における遊技盤４８０１３は、正面視略矩形状に切削加工したベース板３４０６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０、一般入賞口ユニット１５０等を組み付けて構成され、その周縁部が内枠４（図１参照）の裏面側（背面側）に取り付けられる。また、第４８実施形態では、第１入賞口６４の上方（矢印Ｕ方向）に特別入賞装置４８５５０が配設される。
【１７６５】
特別入賞装置４８５５０は、正面側（矢印Ｆ方向側）に配設される第１経路部材４８５６０と、その第１経路部材４８５６０の背面側（矢印Ｂ方向）側に配設される第２経路部材４８５７０と、その第２経路部材４８５７０の背面側に螺合される固定具３４５５３と、を備える。
【１７６６】
また、特別入賞装置４８５５０は、正面側に配設される第１経路部材４８５６０（又は背面側に配設される第２経路部材４８５７０）の左右方向（矢印Ｌ−Ｒ方向）における中心線が第１入賞口６４の左右方向における中心線と正面視において同一直線上に配設される。さらに、特別入賞装置４８５５０と第１入賞口６４とは、重力方向（矢印Ｕ−Ｄ方向）に遊技球の直径分離れた位置に配設される。これにより、特別入賞装置４８５５０から排出されて、第１入賞口６４に流入する遊技球を遊技者に視認させやすくできる。
【１７６７】
第１経路部材４８５６０は、後述する第２経路部材４８５７０との対向間で形成される遊技球の流下経路の正面側（矢印Ｆ方向側）の壁部となる板部材であり、光透過性の材料から形成される。これにより、遊技者に特別入賞装置４８５５０の内部を流下する遊技球を視認させて、遊技球の位置を遊技者に認識させることができる。
【１７６８】
また、第１経路部材４８５６０は、遊技領域の正面側（矢印Ｆ方向側）に配設される板状の正面板４８５６４と、その正面板４８５６４の左右（矢印Ｌ−Ｒ方向）の端部から背面側（矢印Ｂ方向側）に立設される第１壁部３４５６５と、を備える。
【１７６９】
正面板４８５６４は、後述する第２経路部材４８５７０との対向間で形成される遊技球の流下経路の正面側（矢印Ｆ方向側）の壁部となる板部材であり、後述する第２経路部材４８５７０のベース板４８５７１と遊技球の直径よりも離間する位置に設定される。
【１７７０】
また、正面板４８５６４は、正面（矢印Ｆ方向側の面）に複数の凹凸からなる化粧面４８５６４ｆ（図２２０（ｂ）参照）を備える。これにより、化粧面４８５６４ｆ（正面板４８５６４）を介して遊技者側に出射される光をその凹凸により乱反射させることができる。従って、化粧面４８５６４ｆ（正面板４８５６４）を介して遊技者が遊技盤４８０１３を視認する領域をぼやかすことができる。
【１７７１】
さらに、正面板４８６５４は、その正面板４８６５４の背面側に配設される第２経路部材４８５７０よりも正面視における外形が大きく形成されると共に、正面視において第２経路部材４８５７０を覆設する位置に配設される。これにより、正面板４８５６４を介した（透過した）状態で第２経路部材４８５７０を遊技者に視認させることができる。従って、上述したように、正面板４８５６４を介して視認される領域を化粧面４８５６４ｆの凹凸によりぼやかすことができるので、第２経路部材４８５７０をぼやかした状態で遊技者に視認させることができる。
【１７７２】
第１壁部３４５６５は、遊技盤４８０１３のベース板３４０６０に締結される部分であり、水平方向における断面が略Ｌ字形状に形成される。また、第１壁部３４５６５の背面側への立設寸法は、正面板４８５６４と後述するベース板４８５７１の第４凸部４８５７１ｂとの最小の対向間寸法Ｘ９（図２２０（ｂ）参照）が、遊技球の直径よりも大きい値に設定される。よって、遊技球は、正面板４８５６４とベース板４８５７１の第４凸部４８５７１ｂとの間を流下することができる。
【１７７３】
第２経路部材４８５７０は、第１経路部材４８５６０の正面板４８５６４と対向する板状のベース板４８５７１と、そのベース板４８５７１の背面側から円柱状に突設される支持部３４５７９と、を備える。
【１７７４】
ベース板４８５７１は、第１経路部材４８５６０の正面板４８５６４との対向間の隙間で遊技球の送球経路を形成する部材であり、正面板４８５６４と遊技球の直径よりも離間する位置に設定される。また、ベース板４８５７１は、正面視円形状に形成され、その円の中心線と支持部３４５７９の中心線が同軸上に設定される。これにより、第２経路部材４８５７０を支持部３４５７９の中心線を軸として回転させた前後で、正面視におけるベース板４８５７１の外形を同一にすることができる。
【１７７５】
ベース板４８５７１は、正面板４８５６４側に突出する第４凸部４８５７１ｂを備える。これにより、ベース板４８５７１及び正面板４８５６４の対向間を流下する遊技球を第４凸部４８５７１ｂに衝突させて流下する方向を変更することができる。
【１７７６】
第４凸部４８５７１ｂは、正面視円環状に形成され、その中心線がベース板４８５７１の中心線と同軸上に設定される。また、第４凸部４８５７１ｂは、正面側（矢印Ｆ方向側）への突出寸法が不均一に設定される。
【１７７７】
詳しく説明すると、図２２１（ａ）及び図２２１（ｂ）に示すベース板４８５７１の上方側（矢印Ｕ方向側）の半円弧部分を形成する領域の低凸部４８５７１ｂ２では所定の突出寸法（本実施形態では、１．５ミリ）に設定され、図２２１（ａ）及び図２２１（ｂ）に示すベース板４８５７１の下方側（矢印Ｄ方向側）の半円弧部分を形成する領域の高凸部４８５７１ｂ１では、低凸部４８５７１ｂ２の突出寸法よりも大きい突出寸法（本実施形態では、３ミリ）に設定される。
【１７７８】
これにより、第２経路部材４８５７０を支持部３４５７９の中心を軸に回転変位させた前後で、第１経路部材４８５６０を介して（透過して）遊技盤４８０１３の正面視で視認される第４凸部４８５７１ｂの形状を同一にすることができる。
【１７７９】
また、上述したように、第１経路部材４８５６０の正面板４８５６４を介して認識される領域は、正面板４８５６４の化粧面４８５６４ｆの凹凸形状によりぼやかした状態で認識されるので、第２経路部材４８５７０の正面側に突出する第４凸部４８５７１ｂの突出寸法の違いを遊技者に認識させにくくすることができる。
【１７８０】
これにより、遊技者が第４凸部４８５７１ｂの高さの違いを認識することで、そのパチンコ機１０（図１参照）の遊技状態が不利な状態と判断して、遊技者が遊技を行わなくなることを抑制できる。その結果、遊技をする前に遊技者が遊技しなくなることを抑制できるので、パチンコ機１０の稼働率を向上させることができる。
【１７８１】
支持部３４５７９は、第２経路部材４８５７０を軸支する部分であり、ベース板３４０６０に円柱状に開口する貫通穴３４０６０ｄに挿入される。また、支持部３４５７９の外径と貫通穴３４０６０ｄの内径とは、略同一の寸法に形成される。これにより、第２経路部材４８５７０を支持部３４５７９の中心を軸に回転（変位）させた前後で、ベース板３４０６０に対する第２経路部材４８５７０の位置がずれることが抑制される。これにより、第２経路部材４８５７０の位置が変更されたことを第２経路部材４８５７０の位置ずれで遊技者が認識することを抑制できる。その結果、遊技をする前に遊技者が遊技しなくなることを抑制できるので、パチンコ機１０の稼働率を向上させることができる。
【１７８２】
支持部３４５７９は、上記第３４実施形態と同様に、突設先端（矢印Ｂ方向側）の端面に正面側（矢印Ｆ方向側）に向かって凹設される締結孔３４５７９ａ（図２２０（ｂ）参照）を備える。締結孔３４５７９ａは、支持部３４５７９の軸と同軸上に凹設されると共に、その内周面に雌ねじ加工がされる。これにより、ベース板３４０６０の背面側（矢印Ｂ方向側）から貫通穴３４０６０ｄに挿通される固定具３４５５３のネジ部３４５５３ｂを締結孔３４５７９ａに螺合させることができる。
【１７８３】
以上のように構成される特別入賞装置４８５５０によれば、特別入賞装置４８５５０の下方から排出される遊技球の排出位置を変更する場合に、作業者は、遊技盤４８０１３のベース板３４０６０に形成される第１開口部６０ａ（センターフレーム８６）を介して遊技盤４８０１３の正面側（矢印Ｆ方向側）から手（腕）をベース板３４０６０の背面側（矢印Ｂ方向側）に挿通させて、固定具３４５５３の操作部３４５５３ａにアクセスする。
【１７８４】
次に、操作部３４５５３ａを回転させて、第２経路部材４８５７０の締結孔３４５７９ａに螺合されるネジ部３４５５３ｂを緩める。これにより、第２経路部材４８５７０を支持部３４５７９の軸を中心に回転変位可能な状態にして、第２経路部材４８５７０を回転させて、第２経路部材４８５７０の第４凸部４８５７１ｂの位置を変更する。第４凸部４８５７１ｂの位置が変更されると、特別入賞装置４８５５０の内部を流下する遊技球が第４凸部４８５７１ｂと衝突しやすい位置が変更されるので、特別入賞装置４８５５０から排出される遊技球の排出位置を変更することができる。
【１７８５】
この場合、上述したように、第２経路部材４８５７０のベース板４８５７１は、正面視円形状に形成され、その軸と同軸上に支持部４８５７９が形成されるので、第２経路部材４８５７０を回転させた場合に、正面視におけるベース板３４０６０に対する第２経路部材４８５７０の配置が変化することを抑制できる。よって、第２経路部材４８５７０が回転されたことを遊技者が認識することを抑制できる。その結果、遊技者が不利と判断して遊技をしなくなることを抑制できる。
【１７８６】
なお、図２２１（ａ）及び図２２１（ｂ）に示すように、第４凸部４８５７１ｂの高凸部４８５７１ｂ１が、低凸部４８５７１ｂ２に対して下方側（矢印Ｄ方向側）に配置される場合には、高凸部４８５７１ｂ１の正面視形状が上方（矢印Ｕ方向）が開口する半円弧形状に配置される。
【１７８７】
よって、上方側（矢印Ｕ方向側）に高凸部４８５７１ｂ１の内周面側が位置する状態とされる。従って、正面板４８５６４及びベース板４８５７１の対向間に流入する遊技球は、高凸部４８５７１ｂ１の内周面側に当接しやすくなり、その内周面に沿って流下することで、ベース板４８５７１の中心と左右方向略同一の位置に集められやすくされる。
【１７８８】
上述したように、特別入賞装置４８５５０は、背面側に配設される第２経路部材４８５７０の左右方向における中心線が第１入賞口６４の左右方向における中心線と正面視において同一直線上に配設されるので、ベース板４８５７１の中心と左右方向略同一の位置から流下する遊技球は第１入賞口６４に流入されやすくされる。即ち、遊技者にとって有利な遊技状態とされる。
【１７８９】
一方、第２経路部材４８５７０が図２２１（ｂ）に示す位置から支持部３４５７９の中心を軸に１８０度回転されて、第４凸部４８５７１ｂの高凸部４８５７１ｂ１が、低凸部４８５７１ｂ２に対して上方側（矢印Ｕ方向側）に配置される場合には、高凸部４８５７１ｂ１の正面視形状が下方（矢印Ｄ方向）が開口する半円弧形状に配置される。
【１７９０】
よって、上方側（矢印Ｕ方向側）に高凸部４８５７１ｂ１の外周面側が位置する状態とされる。従って、正面板４８５６４及びベース板４８５７１の対向間に流入する遊技球は、高凸部４８５７１ｂ１の外周面側に当接しやすくなり、その外周面に沿って流下することで、ベース板４８５７１の左右両方向（矢印Ｌ−Ｒ方向）のどちらかを流下しやすくされる。
【１７９１】
これにより、第４凸部４８５７１ｂの高凸部４８５７１ｂ１が、低凸部４８５７１ｂ２に対して上方側（矢印Ｕ方向側）に配置される場合には、高凸部４８５７１ｂ１が、低凸部４８５７１ｂ２に対して下方側（矢印Ｄ方向側）に配置される場合に比べて、正面板４８５６４及びベース板４８５７１の対向間を流下する遊技球が第１入賞口６４に流入しにくくされる。即ち、遊技者にとって不利な遊技状態とされる。
【１７９２】
また、第２経路部材４８５７０が図２２１（ｂ）に示す位置から支持部３４５７９の中心を軸に正面視に対して右回りに９０度回転されて、第４凸部４８５７１ｂの高凸部４８５７１ｂ１が低凸部４８５７１ｂ２に対して正面視左側（矢印Ｌ方向側）に配置される場合には、高凸部４８５７１ｂ１の正面視形状が正面視右側が開口された半円弧形状に配置される。
【１７９３】
よって、正面視左側の上方側に高凸部４８５７１ｂ１の外周面側が位置する状態とされる。また、第１経路部材４８５６０の正面板４８５６４及び第２経路部材４８５７０のベース板４８５７１の対向間における遊技球の流下経路は、高凸部４８５７１ｂ１が配置される正面視左側の対向間の間隔が低凸部４８５７１ｂ２が配置される正面視右側の対向間の間隔よりも狭く設定される。
【１７９４】
従って、正面板４８５６４及びベース板４８５７１の対向間の正面視左側から流入する遊技球は、高凸部４８５７１ｂ１の外周面側に当接しやすくなり、その外周面に沿って流下することで、ベース板４８５７１の正面視左側（矢印Ｌ方向側）を流下しやすくされる。
【１７９５】
一方、正面板４８５６４及びベース板４８５７１の対向間の正面視右側から流入する遊技球は、正面視左側から流入する遊技球に比べて第４凸部４８５７１ｂに当接しにくくされる。これにより、正面板４８５６４及びベース板４８５７１の対向間の正面視右側から流入する遊技球は、左右方向（矢印Ｌ−Ｒ方向）の中間位置から正面視右側の領域を流下しやすくされる。その結果、正面板４８５６４及びベース板４８５７１の対向間の正面視右側から流入する遊技球は、正面板４８５６４及びベース板４８５７１の対向間の正面視左側から流入する遊技球に比べて、第１入賞口６４に流入しやすくされる。
【１７９６】
また、正面板４８５６４及びベース板４８５７１の対向間の正面視右側から流入して正面視左側の領域に向かって流下する遊技球は、高凸部４８５７１ｂ１の内周面側に当接しやすくされる。これにより、正面板４８５６４及びベース板４８５７１の対向間の正面視右側から流入して正面視左側の領域に向かって流下する遊技球は、高凸部４８５７１ｂ１の内周面に沿って流下することで、ベース板４８５７１の左右方向（矢印Ｌ−Ｒ方向）の中央側を流下しやすくされる。その結果、正面板４８５６４及びベース板４８５７１の対向間の正面視右側から流入する遊技球は、正面板４８５６４及びベース板４８５７１の対向間の正面視左側から流入する遊技球に比べて、第１入賞口６４に流入しやすくされる。
【１７９７】
なお、第２経路部材４８５７０が図２２１（ｂ）に示す位置から支持部３４５７９の中心を軸に正面視に対して左回りに９０度回転されて、第４凸部４８５７１ｂの高凸部４８５７１ｂ１が低凸部４８５７１ｂ２に対して正面視右側（矢印Ｒ方向側）に配置される場合には、第２経路部材４８５７０が図２２１（ｂ）に示す位置から支持部３４５７９の中心を軸に正面視に対して右回りに９０度回転される場合と左右で反対の向きとなるだけであるので、その詳しい説明は省略する。
【１７９８】
以上のように、第４８実施形態では、第１経路部材４８５６０に対する第２経路部材４８５７０の配置を変更して、正面板４８５６４及びベース板４８５７１の対向間が狭くされる位置を変更することができる。この正面板４８５６４及びベース板４８５７１の位置の変更により、上述したように正面板４８５６４及びベース板４８５７１の対向間（特別入賞装置４８５５０）に流入する遊技球の流下しやすい方向を変更することができる。これにより、正面板４８５６４及びベース板４８５７１の対向間（特別入賞装置４８５５０）に流入する遊技球を、第１入賞口６４に流入させやすく、又は、第１入賞口６４に流入させにくくして、遊技者に有利、又は、不利な状態を変更することができる。
【１７９９】
この場合、上述したように、第２経路部材４８５７０のベース板４８５７１は、ベース板３４０６０に対する配置、及び、正面板４８５６４の化粧面４８５６４ｆの凹凸形状により、遊技者に第２経路部材４８５７０の配置を認識させにくくすることができる。従って、遊技者がパチンコ機１０（図１参照）を遊技する前に、遊技状態が不利であると判断して遊技を行わなくなることを抑制できる。その結果、パチンコ機１０の稼働率を向上させることができる。
【１８００】
なお、第４９実施形態では、第２経路部材４８５７０に、第４凸部４８５７１ｂを形成する場合について説明したが、必ずしもこれに限られるものではなく、第４凸部４８５７１ｂを第１経路部材４８５６０の背面側に形成して、第１経路部材４８５６０を回転変位させてもよい。また、第４凸部４８５７１ｂが正面視円環形状に形成される場合について説明したが、第４凸部４８５７１ｂの形状は、第２経路部材４８５７０が回転変位された前後の正面視における形状が同一の形状となる形状であれば良く、例えば、三角形状や四角形状の多角形に形成してもよい。
【１８０１】
次いで、図２２２から図２２４を参照して第４９実施形態における特別入賞装置４９５５０について説明する。上記第３５実施形態では、特別入賞装置３５５５０の正面側に配設される第１経路部材３５５６０が非光透過性の材料から形成され、第１経路部材３５５６０の背面側に配設される第２経路部材３５５７０が遊技者から視認不能とされる場合について説明したが、第４９実施形態における第１経路部材４９５６０は、その一部が光透過性の樹脂材料から形成される。なお、上記各実施形態と同一の部分には同一の符号を付してその詳しい説明を省略する。
【１８０２】
初めに、図２２２及び図２２３を参照して第４９実施形態における特別入賞装置４９５５０について説明する。図２２２（ａ）は、第４９実施形態における遊技盤４９０１３の正面図であり、図２２２（ｂ）は、図２２２（ａ）のＣＣＸＸＩＩｂ−ＣＣＸＸＩＩｂ線における遊技盤４９０１３の断面図である。図２２３は、特別入賞装置４９５５０の分解斜視図である。
【１８０３】
図２２２及び図２２３に示すように、第４９実施形態における特別入賞装置４９５５０は、遊技盤４９０１３に配設される第１入賞口６４の上方側（矢印Ｕ方向側）に配設される。また、特別入賞装置４９５５０は、正面側（矢印Ｆ方向側）に配設される第１経路部材４９５６０の左右方向における中心線が第１入賞口６４の左右方向における中心線と正面視において同一直線上に配設される。
【１８０４】
さらに、特別入賞装置４９５５０と第１入賞口６４とは、重力方向（矢印Ｕ−Ｄ方向）に遊技球の直径分離れた位置に配設される。これにより、特別入賞装置４９５５０から排出される遊技球を遊技者に視認させやすくすることができる。
【１８０５】
特別入賞装置４９５５０は、正面側（矢印Ｆ方向側）に配設される第１経路部材４９５６０と、その第１経路部材４９５６０の背面側（矢印Ｆ方向側）に配設される第２経路部材４９５７０と、その第２経路部材４９５７０の背面側に螺合される固定具３４５５３と、を備える。
【１８０６】
第１経路部材４９５６０は、後述する第２経路部材４９５７０との対向間で形成される遊技球の流下経路の正面側（矢印Ｆ方向側）の壁部となる部材であり、その一部（後述する正面板４９５６４）が光透過性の材料から形成される。これにより、遊技者に特別入賞装置４９５５０の内部を流下する遊技球を視認させて、遊技球の位置を遊技者に認識させることができる。
【１８０７】
また、第１経路部材４９５６０は、遊技領域の正面側（矢印Ｆ方向側）に配設される板状の正面板４９５６４と、その正面板４９５６４の左右の端部から背面側（矢印Ｂ方向側）に立設される第１壁部４９５６５と、を備える。なお、第１経路部材４９５６０は、正面板４９５６４が光透過性の材料から形成され、第１壁部４９５６５が非光透過性の材料から形成される。これにより、正面板４９５６４を透過して背面側の第２経路部材４９５７０を遊技者側から視認可能としつつ、第１壁部４９５６５の光非透過部分を利用して第２経路部材４９５７０を遊技者側から視認不能とすることができる。
【１８０８】
正面板４９５６４は、後述する第２経路部材４９５７０との対向間で形成される遊技球の流下方向の正面側（矢印Ｆ方向側）の壁部となる板部材であり、後述する第２経路部材４９５７０のベース板４９５７１と遊技球の直径よりも離間する位置に設定される。
【１８０９】
また、正面板４９５６４は、正面（矢印Ｆ方向側の面）に複数の凹凸からなる化粧面４９５６４ｆ（図２２２（ｂ）参照）を備える。これにより、化粧面４９５６４ｆ（正面板４９５６４）を介して遊技者側に出射される光をそれら凹凸により乱反射させることができる。従って、化粧面４９５６４ｆ（正面板４９５６４）を介して遊技者が遊技盤４９０１３を視認する領域をぼやかすことができる。
【１８１０】
さらに、正面板４９５６４は、正面視における重力方向（矢印Ｕ−Ｄ方向）の幅寸法が、第２経路部材４９５７０の重力方向における幅寸法よりも大きく設定され、重力方向において第２経路部材４９５７０の正面側を覆設する位置に配置される。これにより、正面板４９５６４を介した（透過した）状態で第２経路部材４９５７０を遊技者に視認させることができる。従って、上述したように、正面板４９５６４を介して視認させる領域を化粧面４９５６４ｆの凹凸によりぼやかすことができるので、第２経路部材４９５７０をぼやかした状態で遊技者に視認させることができる。
【１８１１】
第１壁部４９５６５は、遊技盤４９０１３のベース板３５０６０に締結される部分であり、水平方向における断面が略Ｌ字状に形成される第１壁部４９５６５の背面側（矢印Ｂ方向側）への立設寸法は、正面板４９５６４と後述するベース板４９５７１の第４凸部４９５７１ｂとの対向間寸法Ｘ４（図２２２（ｂ）参照）が遊技球の直径よりも若干大きい値に設定される。
【１８１２】
また、第１壁部４９５６５は、立設先端部からベース板３５０６０の正面と平行な方向に屈曲される屈曲部４９５６５ｇを有し、その屈曲部４９５６５ｇに前後方向（矢印Ｆ−Ｂ方向）に貫通する貫通孔４９５６５ｇ１と、屈曲部４９５６５ｇの背面から正面側（矢印Ｆ方向側）に向かって凹設される凹設部４９５６５ｇ２と、その凹設部４９５６５ｇ２の正面側であって屈曲部４９５６５ｇの正面側（矢印Ｆ方向側）に向かって膨出する膨出部４９５６５ｇ３と、が形成される。
【１８１３】
貫通孔４９５６５ｇ１は、ネジが挿通される孔であり、貫通孔４９５６５ｇ１に挿通したネジをベース板３５０６０に螺合することで、第１経路部材４９５６０をベース板３５０６０に締結できる。
【１８１４】
凹設部４９５６５ｇ２は、後述する第２経路部材４９５７０のベース板４９５７１の左右（矢印Ｌ−Ｒ方向）の両端を内側に収容する部分であり、屈曲部４９５６５ｇの基端から凹設されると共に、屈曲部４９５６５ｇの上下方向（矢印Ｕ−Ｄ方向）中央部に凹設される。
【１８１５】
また、凹設部４９５６５ｇ２の上下方向（矢印Ｕ−Ｄ方向）における幅寸法は、第１経路部材４９５６０の背面側に配設される第２経路部材４９５７０の上下方向における幅寸法よりも大きく形成される。さらに、凹設部４９５６５ｇ２の正面側への凹設寸法は、後述する第２経路部材４９５７０のベース板４９５７１の板厚よりも大きく設定される。また、左右方向（矢印Ｌ−Ｒ方向）の両側に形成される２箇所の屈曲部４９５６５ｇのそれぞれに凹設される２箇所の凹設部４９５６５ｇ２の左右方向における幅寸法は、第２経路部材４９５７０の左右方向における幅寸法よりも十分に大きく設定される。
【１８１６】
これにより、第１経路部材４９５６０の背面側に第２経路部材４９５７０を配設する場合に、第２経路部材４９５７０を凹設部４９５６５ｇ２により形成される凹設空間に収容することで、第１経路部材４９５６０とベース板３５０６０との対向間に第２経路部材４９５７０が挟持されることを抑制できる。
【１８１７】
膨出部４９５６５ｇ３は、後述する第２経路部材４９５７０の第４凸部４９５７１ｂを収容する部分であり、凹設部４９５６５ｇ２の凹設底面の一部を正面側に膨出して形成され、その膨出した内部空間に第４凸部４９５７１ｂを収容できる。即ち、膨出部４９５６５ｇ３は、正面側への膨出寸法が、第４凸部４９５７１ｂの正面側への突出寸法よりも大きく設定される。
【１８１８】
また、膨出部４９５６５ｇ３は、屈曲部４９５６５ｇの基端側から左右方向（矢印Ｌ−Ｒ方向）の外側に延設され、左右両側の膨出部４９５６５ｇ３の重力方向における位置が同一高さに設定される。さらに、その２箇所の膨出部４９５６５ｇ３の内部空間における左右方向の幅寸法Ｘ１６（図２２２（ｂ）参照）は、第４凸部４９５７１ｂの左右方向における寸法Ｘ１７（図２２２（ｂ）参照）よりも大きく設定される。
【１８１９】
第２経路部材４９５７０は、第１経路部材４９５６０の正面板４９５６４と対向する板状のベース板４９５７１と、そのベース板４９５７１の背面側（矢印Ｂ方向側）から背面視矩形状に突設される支持部３５５７９と、を備える。
【１８２０】
ベース板４９５７１は、第１経路部材４９５６０の正面板４９５６４との対向間の隙間で遊技球の送球経路を形成する部材であり、正面板４９５６４と所定量離間する位置に形成される。また、ベース板４９５７１は、正面板４９５６４側（矢印Ｆ方向側）に突出する第４凸部４９５７１ｂを備える。これにより、ベース板４９５７１及び正面板４９５６４の対向間を流下する遊技球を第４凸部４９５７１ｂに衝突させて流下する方向を変更することができる。
【１８２１】
また、第２経路部材４９５７０は、第３５実施形態における第２経路部材３４５７０と同様に、支持部３５５７９に螺合される固定具３４５５３を緩めることで、支持部３５５７９をベース板３５０６０に形成される摺動孔３５０６０ｅ（図２２２（ｂ）参照）の内側に沿って摺動させることができる。これにより、ベース板３５０６０に対する第４凸部４９５７１ｂの配置を変更して、ベース板４９５７１及び正面板４９５６４の対向間を流下する遊技球の流下方向を変更（調整）することができる。
【１８２２】
第４凸部４９５７１ｂは、正面視において左右方向（矢印Ｌ−Ｒ方向）に延設して形成される。また、第４凸部４９５７１ｂは、正面側（矢印Ｆ方向側）への突出寸法が不均一に設定される。
【１８２３】
詳しく説明すると、第４凸部４９５７１ｂは、左右方向における中間部分を形成する低凸部４９５７１ｂ２では、所定の突出寸法（本実施形態では１．５ミリ）に設定され、高凸部４９５７１ｂ１の左右の両側部分を形成する高凸部４９５７１ｂ１では、低凸部４９５７１ｂ２の突出寸法よりも大きい突出寸法（本実施形態では、３ミリ）に設定される。
【１８２４】
なお、低凸部４９５７１ｂ２と高凸部４９５７１ｂ１との連結部分は、図２２２（ｂ）に示すように低凸部４９５７１ｂ２の突設先端部分から高凸部４９５７１ｂ１の突設先端部分に向かって傾斜して形成される。これにより、ベース板４９５７１及び正面板４９５６４の対向間を流下する遊技球が低凸部４９５７１ｂ２と高凸部４９５７１ｂ１との連結部分に当接する場合に、その遊技球を第４凸部４９５７１ｂに沿って流下させることができる。その結果、ベース板４９５７１及び正面板４９５６４の対向間を流下する遊技球を低凸部４９５７１ｂ２の正面側に集めやすくすることができる。
【１８２５】
また、第４凸部４９５７１ｂの低凸部４９５７１ｂ２の左右方向における延設寸法Ｘ１８（図２２２（ｂ）参照）は、第４凸部４９５７１ｂが左右方向における略中間位置に配置される場合の左右方向への最大の変位可能な移動可能量Ｘ１９（図２２２（ｂ）参照）よりも小さく設定される。
【１８２６】
これにより、第２経路部材４９５７０の配置を移動させて、第２経路部材４９５７０の左右方向における中央位置を第１入賞口６４の左右方向における中央位置に対して異なる位置に移動させた場合に、第１入賞口６４の上方に低凸部４９５７１ｂ２及び高凸部４９５７１ｂ１の連結部分（傾斜部分）を配置させやすくできる。これにより、第１入賞口６４の重力方向上方からベース板４９５７１及び正面板４９５６４の対向間に流入する遊技球を低凸部４９５７１ｂ２及び高凸部４９５７１ｂ１の連結部分に当接させて、第１入賞口に流入させにくくすることができる。
【１８２７】
さらに、延設寸法Ｘ１８は、特別入賞装置４９５５０の下方に配設される第１入賞口６４の左右方向（矢印Ｌ−Ｒ方向）における開口幅よりも小さく設定される。これにより、低凸部４９５７１ｂ２が第１入賞口６４の上方に配置される場合には、低凸部４９５７１ｂ２の正面側に集められた遊技球を第１入賞口６４に流入させやすくすることができる。
【１８２８】
以上のように構成される特別入賞装置４９５５０によれば、特別入賞装置４９５５０の下方から排出される遊技球の排出位置を変更する場合に、作業者は、遊技盤４９０１３のベース板４９０６０に形成される第１開口部６０ａ（センターフレーム８６）を介して遊技盤４９０１３の正面側（矢印Ｆ方向側）から手（腕）をベース板３５０６０の背面側（矢印Ｂ方向側）に挿通させて、固定具３４５５３の操作部３４５５３ａにアクセスする。
【１８２９】
次に、操作部３４５５３ａを回転させて、第２経路部材４９５７０の締結孔３４５７９ａに螺合されるネジ部３４５５３ｂを緩める。これにより、第２経路部材４９５７０の支持部３５５７９を貫通穴３４０６０ｄの内周面に沿って移動させることができる。第２経路部材４９５７０を所定の位置に移動させると、第４凸部４９５７１ｂの位置も同様に変更される。よって、上述したように、第１入賞口６４の上方であって、ベース板４９５７１及び正面板４９５６４の対向間から流入する遊技球を低凸部４９５７１ｂ２及び高凸部４９５７１ｂ１の連結部分に当接させる又は、当接させにくくすることで、その遊技球を第１入賞口６４に流入させやすい又は、流入させにくい状態とすることができる。
【１８３０】
次いで、図２２４を参照して、第４９実施形態における特別入賞装置４９５５０の第４凸部４９５７１ｂ（第２経路部材４９５７０）の位置を変化させた場合の遊技球の排出位置の変化について説明する。図２２４（ａ）から図２２４（ｃ）は、図２２２（ｂ）のＣＣＸＸＩＶ−ＣＣＸＸＩＶ線における遊技盤４９０１３の断面図である。なお、図２２４（ａ）から図２２４（ｃ）では、図２２４（ｂ）における第２経路部材４９５７０の位置を基準位置として、図２２４（ａ）では、第２経路部材４９５７０が基準位置から正面視左側に変位された状態が図示され、図２２４（ｃ）では、第２経路部材４９５７０が基準位置から正面視右側（矢印Ｒ方向側）に変位された状態が図示される。
【１８３１】
初めに、図２２４（ｂ）に示すように、第４凸部４９５７１ｂの低凸部４９５７１ｂ２の左右方向（矢印Ｌ−Ｒ方向）における略中央部分が第１入賞口６４の上方に配置される場合には、低凸部４９５７１ｂ２及び高凸部４９５７１ｂ１の連結部分が第１入賞口６４の左右方向両外側に配置される。
【１８３２】
従って、第１入賞口６４の重力方向上側からベース板４９５７１及び正面板４９５６４の対向間に流入する遊技球は、低凸部４９５７１ｂ２及び正面板４９５６４の対向間を通過して第１入賞口６４に流入しやすくされる。即ち、遊技者にとって有利な遊技状態とされる。
【１８３３】
一方、第１入賞口６４の左右方向の両外側の重力方向上側からベース板４９５７１及び正面板４９５６４の対向間に流入する遊技球は、低凸部４９５７１ｂ２及び高凸部４９５７１ｂ１の連結部分に当接して、第１入賞口６４の重力方向上側に案内されやすくされる。よって、第１入賞口６４の左右方向の両外側の重力方向上側からベース板４９５７１及び正面板４９５６４の対向間に流入する遊技球は、第１入賞口６４に流入しやすくされる。
【１８３４】
従って、第４凸部４９５７１ｂの低凸部４９５７１ｂ２の左右方向（矢印Ｌ−Ｒ方向）における略中央部分が第１入賞口６４の重力方向上側に配置される場合には、ベース板４９５７１及び正面板４９５６４の対向間に流入する遊技球を、第１入賞口６４の重力方向上側から排出しやすくして、第１入賞口６４に流入しやすくできる。
【１８３５】
次に、図２２４（ａ）に示すように、第４凸部４９５７１ｂの低凸部４９５７１ｂ２の左右方向（矢印Ｌ−Ｒ方向）における略中央部分が第１入賞口６４に対して正面視左側に移動された場合には、低凸部４９５７１ｂ２の正面視右側における高凸部４９５７１ｂ１との連結部分が、第１入賞口６４の重力方向上側に配置される。
【１８３６】
従って、第１入賞口６４の重力方向上側（矢印Ｕ方向側）からベース板４９５７１及び正面板４９５６４の対向間に流入する遊技球は、低凸部４９５７１ｂ２及び高凸部４９５７１ｂ１の正面視右側の連結部分に当接して、第１入賞口６４の左側を流下しやすくされる。
【１８３７】
また、低凸部４９５７１ｂ２の重力方向上側からベース板４９５７１及び正面板４９５６４の対向間に流入する遊技球は、低凸部４９５７１ｂ２及び正面板４９５６４の対向間を通過して第１入賞口６４の左側を流下する。
【１８３８】
従って、第４凸部４９５７１ｂの低凸部４９５７１ｂ２の左右方向（矢印Ｌ−Ｒ）方向における略中央部分が第１入賞口６４の左側に配置される場合には、低凸部４９５７１ｂ２の略中央部分が第１入賞口６４の重力方向上側に配置される場合に比べて、ベース板４９５７１及び正面板４９５６４の対向間から排出される遊技球を第１入賞口６４に流入しにくくすることができる。即ち、遊技者にとって不利な遊技状態とすることができる。
【１８３９】
なお、図２２４（ｃ）に示すように、第４凸部４９５７１ｂの低凸部４９５７１ｂ２の左右方向（矢印Ｌ−Ｒ方向）における略中央部分が第１入賞口６４に対して正面視右側に移動された場合は、第４凸部４９５７１ｂの低凸部４９５７１ｂ２の左右方向（矢印Ｌ−Ｒ方向）における略中央部分が第１入賞口６４に対して正面視左側に移動された場合と球の移動方向が正面視において左右で反対となるのみであるので、その詳しい説明は省略する。
【１８４０】
以上のように、第４９実施形態では、第１経路部材４９５６０に対する第２経路部材４９５７０の配置を変更して、正面板４９５６４及びベース板４９５７１の対向間の間隔が狭くされる位置を変更することができる。この正面板４９５６４及びベース板４９５７１の位置の変更により、上述したように正面板４９５６４及びベース板４９５７１の対向間（特別入賞装置４９５５０）に流入する遊技球の流下しやすい方向を変更することができる。これにより、正面板４９５６４及びベース板４９５７１の対向間（特別入賞装置４９５５０）に流入する遊技球を、第１入賞口６４に流入させやすく、又は、第１入賞口６４に流入させにくくして、遊技者に有利、又は、不利な状態を形成することができる。
【１８４１】
この場合、上述したように、第２経路部材４９５７０のベース板４９５７１は、正面板４９５６４を介して視認される領域、及び、正面板４９５６４の化粧面４９５６４ｆの凹凸により、遊技者に第２経路部材４９５７０の配置を認識させにくくすることができる。従って、遊技者がパチンコ機１０（図１参照）を遊技する前に、遊技状態が不利であると判断して遊技を行わなくなることを抑制できる。その結果、パチンコ機１０の稼働率を向上させることができる。
【１８４２】
次いで、図２２５及び図２２６を参照して、第５０実施形態における特別入賞装置５０５５０について説明する。上記第１３実施形態では、特別入賞装置１３５５０の正面側に配設される第１経路部材１３５６０が光透過部材から形成され、第１経路部材１３５６０の背面側を流下する遊技球を正面側から視認可能とする場合について説明したが、第５０実施形態では、第１経路部材５０５６０の正面板５０５６４に開口部５０５６４ｇが形成され、その開口部５０５６４ｇを介して背面側を流下する遊技球が視認可能とされる。なお、上記各実施形態と同一の部分には、同一の符号を付してその詳しい説明を省略する。
【１８４３】
初めに、図２２５及び図２２６を参照して第５０実施形態における特別入賞装置５０５５０について説明する。図２２５（ａ）は、第５０実施形態における特別入賞装置５０５５０の正面図であり、図２２５（ｂ）は、図２２５（ａ）のＣＣＸＸＶｂ−ＣＣＸＸＶｂ線における特別入賞装置５０５５０の断面図である。図２２６（ａ）は、特別入賞装置５０５５０の分解斜視正面図であり、図２２６（ｂ）は、特別入賞装置５０５５０の分解斜視背面図である。
【１８４４】
なお、図２２６（ｂ）では、後述する正面板５０５６４の開口部５０５６４ｇを通じて特別入賞装置５０５５０の内側を視認する際の、最上部からの視線に視線ＳＳ１の符号を付して２点鎖線で図示され、最下部から視線に視線ＳＳ２の符号を付して２点鎖線で図示される。
【１８４５】
図２２５及び図２２６に示すように、第５０実施形態における特別入賞装置５０５５０は、正面側に配設される第１経路部材５０５６０と、その第１経路部材５０５６０の背面側に配設される第２経路部材５０５７０と、を備える。
【１８４６】
なお、第５０実施形態は、第１３実施形態における特別入賞装置１３５５０と同様に、特別入賞装置５０５５０の正面視左側（矢印Ｌ方向側）の下方（矢印Ｄ方向）に第１入賞口６４（図２参照）が配設される。従って、特別入賞装置５０５５０の正面視左側から排出される遊技球の数が、正面視右側（矢印Ｒ方向側）に比べて多い程、遊技者にとっての遊技状態が有利に設定される。
【１８４７】
第１経路部材５０５６０は、遊技盤１３（図２参照）の遊技領域の正面側に沿った板状に形成される正面板５０５６４と、その正面板５０５６４の左右の端部から背面側（ベース板６０側（図１１参照））に向かって突設される第１壁部１３５６５と、を主に備える。
【１８４８】
正面板５０５６４は、後述する第２経路部材５０５７０との対向間に形成される遊技球の流下経路の正面側（矢印Ｆ方向側）の壁部となる板部材であり、非光透過部材から形成される。これにより、正面板５０５６４を介して背面側を流下する遊技球を視認不能とすることができる。また、正面板５０５６４は、正面側から第２経路部材５０５７０側に向かって開口する複数の開口部５０５６４ｇと、正面板５０５６４の左右方向（矢印Ｌ−Ｒ方向）略中間位置から第２経路部材５０５７０側に向かって突設される第３凸部１３５６４ｄと、を備える。
【１８４９】
複数の開口部５０５６４ｇは、正面視における第１経路部材５０５６０の左右方向（矢印Ｌ−Ｒ方向）に亘って開口形成されると共に、重力方向に隣り合う開口部５０５６４ｇと所定の間隔を隔てて複数個（本実施形態では、７個）重力方向に並設される。
【１８５０】
また、開口部５０５６４ｇは、重力方向に隣り合う開口部５０５６４ｇとの間の距離寸法Ｙ１０（図２２５（ａ）参照）は遊技球の直径よりも小さく設定される。これにより、第１経路部材５０５６０の正面板５０５６４及び第２経路部材５０５７０のベース板５０５７１の対向間を流下する遊技球を、正面視において常に少なくとも１箇所の開口部５０５６４ｇから視認可能にすることができる。
【１８５１】
ここで、上述したように、特別入賞装置５０５５０は、第１入賞口６４の上方に配設されるので、重力方向（矢印Ｕ−Ｄ方向）において第１入賞口６４（図２参照）とセンターフレーム８６（図２参照）との間に配置される。従って、特別入賞装置５０５５０は、遊技盤１３の重力方向（矢印Ｕ−Ｄ方向）の中間位置（センターフレーム８６）よりも下方に配置される。
【１８５２】
上述したように、通常の遊技状態における遊技者の視点は、遊技盤１３の重力方向略中間位置に設定される。従って、遊技盤１３の重力方向略中間位置よりも下方に配設される特別入賞装置５０５５０は、正面側から見下ろした状態で遊技者に視認される。
【１８５３】
これに対し、第５０実施形態における開口部５０５６４ｇによれば、隣り合う開口部５０５６４ｇの寸法Ｙ１０が、特別入賞装置５０５５０を上方から視認した場合にも、少なくとも１箇所の開口部５０５６４ｇから、特別入賞装置５０５５０の内側を流下する遊技球を視認可能な寸法に設定される。
【１８５４】
詳しく説明すると、正面板５０５６４の板厚Ｔ３（図２２６（ｂ）参照）に対して、重力方向（矢印Ｕ−Ｄ方向）における開口幅Ｙ１１（図２２６（ｂ）参照）が設定される。また、開口部５０５６４ｇの正面側における上方端部から背面側の下方端部を視認する際の傾斜角度を角度θ７（図２２６（ｂ）参照）とすると、各寸法との間で（Ｙ１０×Ｙ１１）／（Ｔ３×ｓｉｎθ７）＜（遊技球の直径）が設定される。これにより、開口部５０５６４ｇを介して特別入賞装置５０５５０を視認した場合にどの位置からでも遊技球を視認することができる。
【１８５５】
第２経路部材５０５７０は、第１経路部材５０５６０の正面板５０５６４と対向する板状のベース板５０５７１と、そのベース板５０５７１の左右（矢印Ｌ−Ｒ方向）の端部から第１経路部材５０５６０の正面板５０５６４側に突設される第４壁部１３５７３と、を備える。
【１８５６】
ベース板５０５７１は、第１経路部材５０５６０の正面板５０５６４との対向間の隙間で遊技球の送球経路を形成する部材であり、正面視における外形が正面板５０５６４の外形よりも小さく形成される。これにより、ベース板５０５７１の正面側を正面板５０５６４で覆うことができるので、遊技者側からベース板５０５７１を視認しにくくすることができる。
【１８５７】
また、ベース板５０５７１は、第１経路部材５０５６０側（矢印Ｆ方向側）に突出する複数（本実施形態では２箇所）の第４凸部５０５７１ｂと、それら第４凸部５０５７１ｂの下方に位置し正面板５０５６４側に突設される第６凸部１３５７１ｄと、を主に備える。
【１８５８】
複数の第４凸部５０５７１ｂは、特別入賞装置５０５５０の内側を流下する遊技球を案内するための突起であり、ベース板５０５７１の左右方向（矢印Ｌ−Ｒ方向）に亘って延設される。従って、正面板５０５６４とベース板５０５７１との間にシム部材ＳＩ（図２２２６（ａ）及び図２２６（ｂ）参照）が挟まれて、正面板５０５６４の背面に対してベース板５０５７１の正面が傾斜された場合に、第４凸部５０５７１ｂに当接する遊技球を正面板５０５６４とベース板５０５７１との前後方向（矢印Ｆ−Ｂ方向）における対向間が大きくされる側に案内することができる。
【１８５９】
また、第４凸部５０５７１ｂは、重力方向（矢印Ｕ−Ｄ方向）において、その重力方向に所定の間隔を隔てて並設され、隣り合う開口部５０５６４ｇの間に形成される。これにより、正面板５０５６４の正面に対して面直の方向から特別入賞装置５０５５０を視認する場合に、開口部５０５６４ｇを介して第４凸部５０５７１ｂが視認されることを抑制できる。従って、遊技者が第４凸部５０５７１ｂと正面板５０５６４との対向間の間隔を認識して、パチンコ機１０（図１参照）で遊技を行う前に、遊技状態が不利であると認識して遊技を行わなくなることを抑制できる。その結果、パチンコ機１０の稼働率を向上できる。
【１８６０】
さらに、第４凸部５０５７１ｂは、隣り合う２箇所の開口部５０５６４ｇのうちの重力方向上側に形成される開口部５０５６４ｇの最上部からの視線ＳＳ１よりも下方であって、隣り合う２箇所の開口部５０５６４ｇのうちの重力方向下側に形成される開口部５０５６４ｇの最下部からの視線ＳＳ２よりも上方に形成される。これにより、正面側から開口部５０５６４ｇを介して特別入賞装置５０５５０の内側を視認する際に、第２経路部材５０５７０に形成される第４凸部５０５７１ｂを視認しにくくすることができる。従って、遊技者が第４凸部５０５７１ｂと正面板５０５６４との対向間の間隔を認識して、パチンコ機１０（図１参照）で遊技を行う前に、遊技状態が不利であると認識して遊技を行わなくなることを抑制できる。その結果、パチンコ機１０の稼働率を向上できる。
【１８６１】
また、第４凸部５０５７１ｂと同様に、ベース板５０５７１の重力方向上端部は、隣り合う２箇所の開口部５０５６４ｇのうちの重力方向上側に形成される開口部５０５６４ｇの最上部からの視線ＳＳ１よりも下方であって、隣り合う２箇所の開口部５０５６４ｇのうちの重力方向下側に形成される開口部５０５６４ｇの最下部からの視線ＳＳ２よりも上方に形成される。これにより、正面側から開口部５０５６４ｇを介して特別入賞装置５０５５０の内側を視認する際に、ベース板５０５７１の重力方向上端部を視認しにくくすることができる。従って、遊技者がベース板５０５７１と正面板５０５６４との対向間の間隔を認識して、パチンコ機１０（図１参照）で遊技を行う前に、遊技状態が不利であると認識して遊技を行わなくなることを抑制できる。その結果、パチンコ機１０の稼働率を向上できる。
【１８６２】
なお、第５０実施形態における第１経路部材５０５６０の正面板５０５６４及び第２経路部材５０５７０のベース板５０５７１の対向間の間隔の調整（移動）は、第１３実施形態と同様に、シム部材ＳＩを正面板５０５６４とベース板５０５７１との対向間に挟み込む位置で調整でき、その調整方法は、第１３実施形態と同様であるので詳しい説明は省略する。
【１８６３】
次いで、図２２７を参照して、第５１実施形態における特別入賞装置５１５５０について説明する。上記第５０実施形態では、正面板５０５６４に形成される開口部５０５６４ｇが左右方向（矢印Ｌ−Ｒ方向）に形成される場合について説明したが、第５１実施形態では、正面板５１５６４に形成される開口部５１５６４ｇが、重力方向（矢印Ｕ−Ｄ方向）に形成される。なお、上記各実施形態と同一の部分には、同一の符号を付してその詳しい説明を省略する。
【１８６４】
初めに、図２２７を参照して第５１実施形態における特別入賞装置５１５５０について説明する。図２２７（ａ）は、第５１実施形態における特別入賞装置５１５５０の正面図であり、図２２７（ｂ）は、図２２７（ａ）のＣＣＸＸＶＩＩｂ−ＣＣＸＸＶＩＩｂ線における特別入賞装置５１５５０の断面図である。
【１８６５】
なお、図２２７（ａ）では、ベース板５１５７１に形成される第４凸部５１５７１ｂが鎖線で図示される。また、図２２７（ｂ）では、正面板５１５６４の開口部５１５６４ｇを介して特別入賞装置５１５５０の内側を視認する際の、正面視における左側端部からの視線に視線ＳＳ３の符号を付して２点差線で図示され、正面視における右側端部からの視線に視線ＳＳ４の符号を付して２点鎖線で図示される。
【１８６６】
図２２７に示すように、第５１実施形態における特別入賞装置５１５５０は、正面側に配設される第１経路部材５１５６０と、その第１経路部材５１５６０の背面側に配設される第２経路部材５１５７０と、を備える。
【１８６７】
なお、第５１実施形態は、第５０実施形態における特別入賞装置５０５５０と同様に、特別入賞装置５１５５０の正面視左側（矢印Ｌ方向側）の下方（矢印Ｄ方向）に第１入賞口６４（図２）が配設される。従って、特別入賞装置５１５５０の正面視左側から排出される遊技球の数が、正面視右側（矢印Ｒ方向側）に比べて多い程、遊技者にとっての遊技状態が有利に設定される。
【１８６８】
第１経路部材５１５６０は、遊技盤１３（図２参照）の遊技領域の正面側に沿った板状に形成される正面板５１５６４と、その正面板５１５６４の左右の端部から背面側（ベース板６０側（図１１参照）に向かって突設される第１壁部１３５６５と、を主に備える。
【１８６９】
正面板５１５６４は、後述する第２経路部材５１５３７との対向間に形成される遊技球の流下経路の正面側（矢印Ｆ方向側）の壁部となる板部材であり、非光透過部材から形成される。これにより、正面板５１５６４を介して背面側を流下する遊技球を視認不能とすることができる。また、正面板５１５６４は、正面側から第２経路部材５１５７０側に向かって開口する複数の開口部５１５６４ｇと、正面板５１５６４の左右方向（矢印Ｌ−Ｒ方向）略中間位置から第２経路部材５１５７０側に向かって突設される第３凸部１３５６４ｄとを備える。
【１８７０】
複数の開口部５１５６４ｇは、正面視における第１経路部材５１５６０の重力方向（矢印Ｕ−Ｄ方向）に長い長孔形状に開口されると共に、隣り合う開口部５１５６４ｇと所定の間隔を隔てて複数個（本実施形態では、６個）左右方向（矢印Ｌ−Ｒ方向）に並設される。
【１８７１】
また、開口部５１５６４ｇは、左右方向（矢印Ｌ−Ｒ方向）に隣り合う開口部５１５６４ｇとの間の距離寸法Ｘ２０は遊技球の直径よりも小さく設定される。これにより、第１経路部材５１５６０の正面板５１５６４及び第２経路部材５１５７０のベース板５１５７１の対向間を流下する遊技球を、正面視において少なくとも１箇所の開口部５１５６４ｇから視認可能にすることができる。
【１８７２】
なお、開口部５１５６４ｇは、重力方向（矢印Ｕ−Ｄ方向）の端部から正面板５１５６４の重力方向の端部までの距離Ｙ１２（図２２７（ａ）参照）が、遊技球の直径よりも小さく設定される。これにより、特別入賞装置５１５５０に流入した遊技球が正面板５１５６４により視認できなくなることを抑制できる。その結果、遊技者が特別入賞装置５１５５０に流入した遊技球を見失うことを抑制できる。
【１８７３】
ここで、上述したように、特別入賞装置５１５５０は、第１入賞口６４（図２参照）の上方に配設されるので、正面視における遊技盤１３（図２参照）の左右方向（矢印Ｌ−Ｒ方向）略中央位置に配設される。また、遊技者は、遊技盤１３に対して正面側の左右方向のどちらからでも視認可能である。従って、単に隣り合う開口部５１５６４ｇとの距離を遊技球の直径よりも小さく設定するのみでは、遊技者が正面板５１５６４の正面に対して左右のずれた位置から開口部５１５６４ｇを視認した場合に、特別入賞装置５１５５０の内側を流下する遊技球を遊技者に認識させることができなくなる恐れがある。
【１８７４】
これに対し、第５１実施形態における開口部５１５６４ｇによれば、隣り合う開口部５１５６４ｇの寸法Ｘ２０が、特別入賞装置５１５５０を左右にずれた位置から視認した場合にも、少なくとも１箇所の開口部５１５６４ｇから特別入賞装置５１５５０の内側を流下する遊技球を視認可能な寸法に設定される。
【１８７５】
詳しく説明すると、正面板５１５６４の板厚Ｔ４（図２２７（ｂ）参照）に対して、水平方向（矢印Ｌ−Ｒ方向）における開口幅Ｘ２１（図２２７（ｂ）参照）が設定される。また、開口部５１５６４ｇの正面側における左右のうちの一方の端部から背面側における左右の内の他方の端部を視認する際の傾斜角度をθ８（図２２７０８（ｂ）参照）とすると、各寸法との間で、（Ｘ２０×Ｘ２１）／（Ｔ４×ｓｉｎθ８）＜（遊技球の直径）が設定される。これにより、開口部５１５６４ｇを介して特別入賞装置５１５５０を視認した場合にどの位置からでも１の遊技球を視認することができる。
【１８７６】
第２経路部材５１５７０は。第１経路部材５１５６０の正面板５１５６４と対向する板状のベース板５１５７１と、そのベース板５１５７１の左右（矢印Ｌ−Ｒ方向）の端部から第１経路部材５１５６０の正面板５１５６４側に突設される第４壁部１３５７３と、を備える。
【１８７７】
ベース板５１５７１は、第１経路部材５１５６０の正面板５１５６４との対向間の隙間で遊技球の送球経路を形成する部材であり、正面視における外形が正面板５１５６４の外形よりも小さく形成される。これにより、ベース板５１５７１の正面側を正面板５１５６４で覆うことができるので、遊技者側からベース板５１５７１を視認しにくくすることができる。
【１８７８】
なお、ベース板５１５７１は、開口部５１５６４ｇの重力方向（矢印Ｕ−Ｄ方向）上端部から正面板５１５６４の重力方向上端部の間の背面側に重力方向（矢印Ｕ−Ｄ方向）の上端部が設定される。これにより、ベース板５１５７１の重力方向上端部を正面板５１５６４で遊技者から視認しにくくすることができる。その結果、遊技者が正面板５１５６４及びベース板５１５７１の対向間の間隔を認識して、パチンコ機１０（図１参照）を遊技する前に遊技状態が有利な状態か不利な状態かを認識することを抑制できる。
【１８７９】
また、ベース板５１５７１は、第１経路部材５１５６０側（矢印Ｆ方向側）に突出する複数（本実施形態では９箇所）の第４凸部５１５７１ｂと、その第４凸部４５１７１ｂよりも下方側の正面から第１経路部材５１５６０側に突出する第６凸部１３５７１ｄと、を備える。
【１８８０】
複数の第４凸部５１５７１ｂは、特別入賞装置５１５５０の内側を流下する遊技球を案内するための突起であり、ベース板５１５７１の正面視における水平方向（矢印Ｌ−Ｒ方向）に亘って分割して形成される。従って、正面板５１５６４とベース板５１５７１との間にシム部材ＳＩ（図１５７（ａ）参照）が挟まれて、正面板５１５６４の背面に対してベース板５１５７１の正面が傾斜された場合に、第４凸部５１５７１ｂに当接する遊技球を正面板５１５６４とベース板５１５７１との前後方向（矢印Ｆ−Ｂ方向）における対向間が大きくされる側に案内することができる。
【１８８１】
また、左右方向（矢印Ｌ−Ｒ方向）に分割された第４凸部５１５７１ｂは、左右方向の一方の端部から他方の端部に向かって突設位置が重力方向下方に設定される。これにより、一方側から他方側に遊技球が案内される場合に、一方側の第４凸部５１５７１ｂから他方側の第４凸部の上端部に遊技球を案内しやすくできる。その結果、第４凸部５１５７１ｂにより遊技球を案内しやすくできる。なお、第４凸部５１５７１ｂは、正面視において、略Ｘ字状に分割して形成されており、一方側から他方側に下方傾斜する複数の第４凸部５１５７１ｂと、他方側から一方側に下方傾斜する複数の第４凸部５１５７１ｂと、で左右方向の両方向のどちらにも遊技球を案内しやすくできる。
【１８８２】
第４凸部５１５７１ｂは、正面視における水平方向（矢印Ｌ−Ｒ）方向において、その重力方向に所定の間隔を隔てて並設され、隣り合う開口部５１５６４ｇの間に形成される。これにより、正面板５１５６４の正面に対して面直の方向から特別入賞装置５１５５０を視認する場合に、開口部５１５６４ｇを介して第４凸部５１５７１ｂが視認されることを抑制できる。その結果、パチンコ機１０の稼働率を向上できる。
【１８８３】
さらに、第４凸部５１５７１ｂは、隣り合う２箇所の開口部５１５６４ｇのうちの左右方向（矢印Ｌ−Ｒ方向）左側に形成される開口部５１５６４ｇの左側端部からの視線ＳＳ３よりも右側（矢印Ｒ方向側）であって、隣り合う２箇所の開口部５１５６４ｇのうちの左右方向右側に形成される開口部５１５６４ｇの右側端部からの視線ＳＳ３よりも左側（矢印Ｌ方向側）に形成される。
【１８８４】
これにより、特別入賞装置５１５５０の正面側から開口部５１５６４ｇを介して特別入賞装置５１５５０の内側を視認する際に、第２経路部材５１５７０形成される第４凸部５１５７１ｂを視認しにくくすることができる。従って、遊技者が第４凸部５１５７１ｂと正面板５１５６４との対向間の間隔を認識して、パチンコ機１０（図１参照）で遊技を行う前に遊技状態が不利であると認識して遊技を行わなくなることを抑制できる。その結果、パチンコ機１０の稼働率を向上できる。
【１８８５】
なお、第５１実施形態における第１経路部材５１５６０の正面板５１５６４及び第２経路部材５１５７０のベース板５１５７１の対向間の間隔の調整（移動）は、第１３実施形態と同様に、シム部材ＳＩを正面板５１５６４とベース板５１５７１との対向間に挟み込む位置で調整でき、その調整方法は、第１３実施形態と同様であるのでその詳しい説明は省略する。
【１８８６】
次いで、図２２８及び図２２９を参照して、第５２実施形態における特別入賞装置５２５５０の第１ユニット５２５５１について説明する。上記第１実施形態では、第１ユニット５５１の湾曲経路ＷＫ１に第２凹部５７１ｉ及び第２凸部５６４ｃが形成される場合について説明したが、第５２実施形態における第１ユニット５２５５１の湾曲経路ＷＫ１には、背面側第２凸部５２５７１ｐ及び第２凸部５２５６４ｃが形成される。
【１８８７】
初めに、図２２８及び図２２９を参照して、第５２実施形態における第１ユニット５２５５１の構成について説明する。図２２８は、第５２実施形態における第１ユニット５２５５１の断面図である。図２２９（ａ）は、図２２８のＣＣＸＸＩＸａ−ＣＣＸＸＩＸａ線における第１ユニット５２５５１の断面図であり、図２２９（ｂ）は、図２２８のＣＣＸＸＩＸｂ−ＣＣＸＸＩＸｂ線における第１ユニット５２５５１の断面図である。なお、図２２８は、図２５（ａ）における第１ユニット５５１の断面図に対応する。
【１８８８】
図２２８及び図２２９に示すように、第５２実施形態における第１ユニット５２５５１は、上記第１実施形態における第１ユニット５５１と同様に、その内部を遊技球が流下可能な空間（経路）を備え、センターフレーム８６（図２参照）に配設される。
【１８８９】
また、第１ユニット５２５５１は、正面側（矢印Ｆ方向側）に配設される第１経路部材５２５６０と、その第１経路部材５２５６０の背面側（矢印Ｂ方向側）に配設される第２経路部材５２５７０と、その第２経路部材５２５７０の背面に配設される第３経路部材５８０（図１９参照）と、を主に備えて形成される。
【１８９０】
第１経路部材５２５６０は、遊技盤１３（図２参照）の遊技領域の正面に沿った板状に形成される正面板５２５６４と、上方側（矢印Ｕ方向側）が開放する断面略Ｕ字状に形成され、正面板５２５６４の上方端部から背面側に突設される第１受入部５６１、第２受入部５６２及び第３受入部５６３（図２１参照）と、その第１受入部５６１、第２受入部５６２及び第３受入部５６３の下側（矢印Ｄ方向側）に連なって形成されると共に、正面板５６４の一部の端部に沿って延設される第１壁部５６５と、その第１壁部５６５の下方に形成され、所定の間隔を隔てた２箇所から突設される２組の第２壁部５６６及び第３壁部５６７（図２１参照）と、を主に備える。
【１８９１】
正面板５２５６４は、後述する第２経路部材５２５７０又は第３経路部材５８０（図１９参照）との対向間に形成される遊技球の流下経路の正面側の壁部となる板部材であり、光透過部材から形成される。これにより、遊技者は、第１ユニット５２５５１の内部を流下する遊技球を正面板５２５６４を介して（通して）視認することができる。
【１８９２】
また、正面板５２５６４は、第２経路部材５２５７０側（矢印Ｂ方向側）に突設される案内部５６４ａ（図２０参照）を備え、その案内部５６４ａにより正面板５２５６４の背面に遊技球の当接により傷が形成されることや遊技球の汚れが付着することを抑制して、第１ユニット５２５５１の内部を流下する遊技球を遊技者に視認させやすい状態を維持できる。
【１８９３】
第２経路部材５２５７０は、第１経路部材５２５６０の正面板５２５６４と対向する板状のベース板５２５７１と、そのベース板５２５７１の正面から第１経路部材５２５６０側に突設される第４壁部５７３と、その第４壁部５７３から下方側に所定の距離離間する位置に突設される第５壁部５７４（図２１参照）と、その第５壁部５７４から下方側に所定の距離離間する位置に突設される第６壁部５７５（図２１参照）と、を主に備えて形成される。
【１８９４】
ベース板５２５７１は、第１経路部材５２５６０の正面板５２５６４と遊技球の直径よりも離間する位置に配設される。これにより、正面板５２５６４とベース板５２５７１との間に遊技球を流下させることができる。
【１８９５】
第１経路部材５２５６０及び第２経路部材５２５７０の対向間により形成される遊技球の流下経路は、上記第１実施形態と同様に、主経路ＳＫ１から主経路ＳＫ６と湾曲経路ＷＫ１と副経路ＨＫ１から副経路ＨＫ３とを主に備える。それら流下経路を遊技球は、主経路ＳＫ１、主経路ＳＫ２、湾曲経路ＷＫ１、主経路ＳＫ３、主経路ＳＫ４、主経路ＳＫ５、主経路ＳＫ６の順に流下する。又は、主経路ＳＫ１〜ＳＫ６を流下する途中の主経路ＳＫ３から主経路ＳＫ３に連通する副経路ＨＫ１に流入されて副経路ＨＫ１を流下する。もしくは、主経路ＳＫ１〜主経路ＳＫ６を流下する途中の主経路ＳＫ５から主経路ＳＫ５に連通する副経路ＨＫ２又は副経路ＨＫ３のどちらかに流入されて副経路ＨＫ２又は副経路ＨＫ３のどちらかを流下する。
【１８９６】
第５２実施形態における主経路ＳＫ２，主経路ＳＫ３及び湾曲経路ＷＫ１には、第２経路部材５２５７０のベース板５２５７１に、正面側（矢印Ｆ方向側）に向かって突設される背面側第１凸部５２５７１ｎ及び背面側第２凸部５２５７１ｐと、背面側（矢印Ｂ方向側）に向かって凹設される第３凹部５７１ｊと、を備え、第１経路部材５２５６０の正面板５２５６４ｈに、背面側に向かって突設される第２凸部５２５６４ｃ及び第３凸部５６４ｄを備える。
【１８９７】
なお、背面側第１凸部５２５７１ｎは主経路ＳＫ２に、背面側第２凸部５２５７１ｐ及び第２凸部５２５６４ｃは湾曲経路ＷＫ１に、第３凹部５７１ｊ及び第３凸部５６４ｄは主経路ＳＫ３に形成される。
【１８９８】
背面側第１凸部５２５７１ｎは、主経路ＳＫ２の遊技球の転動方向において第１段部５７１ｋよりも下流側に形成されると共に、主経路ＳＫ２の遊技球の転動方向における下流側の第１段部５７１ｋの端部に上流側の端部が連続して形成される。
【１８９９】
また、背面側第１凸部５２５７１ｎは、主経路ＳＫ２の上流側のベース板５２５７１の正面に対する傾斜角度が、第１段部５７１ｋのベース板５２５７１の正面に対する傾斜角度と略同一に形成される。よって、主経路ＳＫ２を流下する遊技球が、第１段部５７１ｋに沿って流下した後に、その遊技球を背面側第１凸部５２５７１ｎに沿って流下させることができる。これにより、正面板５２５６４及びベース板５２５７１の対向間の主経路ＳＫ２を流下する遊技球を正面板５２５６４側（正面側）に案内することができる。
【１９００】
なお、背面側第１凸部５２５７１ｎから正面板５２５６４の対向間の隙間Ｌ２４（図２２９（ｂ）参照）は、遊技球の直径よりも大きい値に設定され、その対向間を遊技球が通過可能とされる。また、背面側第１凸部５２５７１ｎの突設先端から主経路ＳＫ２の流下方向における転動終端までの距離寸法Ｌ２５（図２２９（ｂ）参照）は、遊技球の半径よりも小さい値に設定される。
【１９０１】
これにより、主経路ＳＫ２の内側を背面側第１凸部５２５７１ｎの突出側（正面板５２５６４側（正面側））に案内される遊技球が背面側第１凸部５２５７１ｎの基端側（ベース板５２５７１側（背面側））に折り返す前に湾曲経路ＷＫ１に遊技球を送球できる。従って、湾曲経路ＷＫ１に流入する遊技球を正面板５２５６４側に偏る位置にすることができる。
【１９０２】
背面側第２凸部５２５７１ｐ及び第２凸部５２５６４ｃは、前後方向（矢印Ｆ−Ｂ方向）において対向する位置に形成される。また、背面側第２凸部５２５７１ｐ及び第２凸部５２５６４ｃは、それら両者の対向位置における突設寸法が、略同一に設定される。これにより、湾曲経路ＷＫ１から主経路ＳＫ３に流入する遊技球を主経路ＳＫ３の前後方向における略中央位置に送球できる。
【１９０３】
また、背面側第２凸部５２５７１ｐ及び第２凸部５２５６４ｃは、正面視において湾曲経路ＷＫ１の送球方向に対して交差する方向に長い矩形状に形成され、正面視において主経路ＳＫ２との連通側から離間するにつれて重力方向上側（矢印Ｕ方向側）に傾斜する方向に長手方向が設定される。
【１９０４】
詳しく説明すると、背面側第２凸部５２５７１ｐ及び第２凸部５２５６４ｃは、正面視において主経路ＳＫ２（第４壁部５７３）を転動する遊技球の中心の転動軌跡に沿って直線状に描かれる仮想線ＩＬ３（図２２８参照）に対して、主経路ＳＫ２との連通側が仮想線ＩＬ３よりも重力方向下側（矢印Ｄ方向側）に形成されると共に、主経路ＳＫ２との連通側から離間する側が仮想線ＩＬ３よりも重力方向上側（矢印Ｕ方向側）に形成される。
【１９０５】
さらに、背面側第２凸部５２５７１ｐ及び第２凸部５２５６４ｃは、対向する方向（矢印Ｆ−Ｂ方向）への突設距離が、主経路ＳＫ２側との連通側から離間するにつれて大きく設定される。即ち、背面側第２凸部５２５７１ｐ及び第２凸部５２５６４ｃの対向間の間隔は、主経路ＳＫ２側に近い程大きく設定される。
【１９０６】
これにより、主経路ＳＫ２から湾曲経路ＷＫ１に流入する遊技球の転動速度が比較的速い場合に、その遊技球を背面側第２凸部５２５７１ｐ及び第２凸部５２５６４ｃの突出先端面に当接しやすくして遊技球が湾曲経路ＷＫ１内部であばれることを抑制できる。
【１９０７】
また、背面側第２凸部５２５７１ｐ及び第２凸部５２５６４ｃは、突出先端面にそれぞれ平坦な面に形成される背面側先端面５２５７１ｐ１及び正面側平坦面５２５６４ｃ１を備え、それら背面側先端面５２５７１ｐ１及び正面側平坦面５２５６４ｃ１が湾曲経路ＷＫ１の下流側に向かうにつれて突出基端側に向かって傾斜して形成される（図２２９（ａ）参照）。
【１９０８】
これにより、背面側先端面５２５７１ｐ１及び正面側平坦面５２５６４ｃ１に衝突する遊技球の送球方向を湾曲経路ＷＫ１の流下方向に変更しやすくして、遊技球が湾曲経路ＷＫ１であばれる（揺れ動く）ことを抑制できる。その結果、主経路ＳＫ２から主経路ＳＫ３に遊技球をスムーズに流下させることができる。
【１９０９】
また、背面側第２凸部５２５７１ｐ及び第２凸部５２５６４ｃは、主経路ＳＫ２と湾曲経路ＷＫ１との連通側における両者の対向方向への突出寸法が背面側第１凸部５２５７１ｎの突出寸法よりも小さく設定されると共に、それらの対向間の距離寸法が背面側第１凸部５２５７１ｎから正面板５２５６４の対向間の隙間Ｌ２４よりも大きく設定される。
【１９１０】
これにより、背面側第１凸部５２５７１ｎにより正面板５２５６４側（矢印Ｆ方向側）に案内された遊技球を第２凸部５２５６４ｃに当接しやすくできる。よって、主経路ＳＫ２から湾曲経路ＷＫ１に送球される遊技球を第２凸部５２５６４ｃの突出先端に沿って移動させやすくすることができるので、湾曲経路ＷＫ１では、主経路ＳＫ２の遊技球の送球方向に遊技球を流下させつつ、第２凸部５２５６４ｃの突設先端に沿って遊技球を移動させることで、その遊技球を背面側先端面５２５７１ｐ１に当接させやすくできる。その結果、遊技球は、背面側先端面５２５７１ｐ１に沿って流下することで、湾曲経路ＷＫ１を通過する遊技球を主経路ＳＫ３と湾曲経路ＷＫ１との連通側に移動されやすくなり、湾曲経路ＷＫ１を遊技球が通過しやすくなる。
【１９１１】
さらに、背面側第２凸部５２５７１ｐ及び第２凸部５２５６４ｃは、主経路ＳＫ２側（矢印Ｌ方向側の一部が、主経路ＳＫ２の転動面と同一の高さに設定される。これにより、背面側第２凸部５２５７１ｐ及び第２凸部５２５６４ｃに当接して送球速度が低下する遊技球の一部を主経路ＳＫ２の送球方向の延長線上に位置させることができる。
【１９１２】
従って、特別入賞装置５２５５０の内部に遊技球が連続して入球して遊技球が連続して通過する場合には、先行する遊技球を背面側先端面５２５７１ｐ１及び正面側平坦面５２５６４ｃ１に当接させることで、先行する遊技球の流下速度を遅くして後行する遊技球を先行する遊技球に衝突（当接）させることができる。
【１９１３】
これにより、後行する遊技球が衝突する力で先行する遊技球を背面側先端面５２５７１ｐ１及び正面側平坦面５２５６４ｃ１に沿って押し出しやすくでき、先行する遊技球を湾曲経路ＷＫ１の遊技球の流下方向（矢印Ｄ方向側）に流下しやすくできる。その結果、特別入賞装置５２５５０を遊技球が連続した（連なった）状態で流下することを抑制でき、特別入賞装置５２５５０を流下する遊技球を１球ずつ遊技者に視認させることができる。
【１９１４】
また、上述したように、湾曲経路ＷＫ１の下流側に連通される主経路ＳＫ３には、副経路ＨＫ１が連通され、その副経路ＨＫ１と主経路ＳＫ３との連通部分に張出または退避する第１可変板５８３ｂにより、主経路ＳＫ３から副経路ＨＫ１に遊技球が流入可能か不能かが切り替えられる。第１可変板５８３ｂは、所定の遊技状態（例えば、大当たり後の確変状態）とされる場合に一定のタイミングで張出位置と退避位置とで変位される。
【１９１５】
従って、特別入賞装置５２５５０を流下する遊技球が連球しやすい場合には、その連球する遊技球が第１可変板５８３ｂの張出動作のタイミングで２球とも主経路ＳＫ３を流下する可能性が高くなる。よって、遊技者に遊技球が副経路ＨＫ１に流入しにくい印象を与えてしまい、遊技者の興趣を損なう恐れがある。
【１９１６】
これに対し、特別入賞装置５２５５０では、湾曲経路ＷＫ１に形成される第２凸部５２５６４ｃ及び背面側第２凸部５２５７１ｐにより、連球する遊技球の連なりを解除して１球ずつ流下させることができるので、第１可変板５８３ｂの張出状態時にその第１可変板５８３ｂ上を連続して遊技球が通過することを抑制できる。その結果、遊技者に遊技球が副経路ＨＫ１に入りにくい印象を与えにくくなり、遊技者の興趣を損なうことを抑制できる。
【１９１７】
次いで、図２３０及び図２３１を参照して、第５３実施形態における特別入賞装置５３５５０の第１ユニット５３５５１について説明する。上記第１実施形態では、第１ユニット５５１の主経路ＳＫ２の正面板５６４に第１凸部５６４ｂが形成され、ベース板５７１に第１凹部５７１ｈが形成される場合について説明したが、第５３実施形態における第１ユニット５３５５１の主経路ＳＫ２には、正面板５３５６４に正面側第１凹部５３５６４ｈが形成され、ベース板５３５７１に背面側第１凸部５３５７１ｎが形成される。
【１９１８】
初めに、図２３０及び図２３１を参照して、第５３実施形態における第１ユニット５３５５１の構成について説明する。図２３０は、第５３実施形態における第１ユニット５３５５１の断面図である。図２３１（ａ）は、図２３０のＣＣＸＸＸＩａ−ＣＣＸＸＸＩａ線における第１ユニット５３５５１の断面模式図であり、図２３１（ｂ）は、図２３０のＣＣＸＸＸＩｂ−ＣＣＸＸＸＩｂ線における第１ユニット５３５５１の断面模式図であり、図２３１（ｃ）は、図２３０のＣＣＸＸＸＩｃ−ＣＣＸＸＸＩｃ線における第１ユニットの断面模式図である。
【１９１９】
なお、図２３０は、図２５（ａ）における第１ユニット５５１の断面図に対応する。また、図２３１（ａ）及び図２３１（ｂ）では、第１ユニット５３５５１を流下する遊技球の流下方向が矢印で図示される。
【１９２０】
図２２８及び図２２９に示すように、第５３実施形態における第１ユニット５３５５１は、上記第１実施形態における第１ユニット５５１と同様に、その内部を遊技球が流下可能な空間（経路）を備え、センターフレーム８６（図２参照）に配設される。
【１９２１】
また、第１ユニット５３５５１は、正面側（矢印Ｆ方向側）に配設される第１経路部材５３５６０と、その第１経路部材５３５６０の背面側（矢印Ｂ方向側）に配設される第２経路部材５３５７０と、その第２経路部材５３５７０の背面に配設される第３経路部材５８０（図１９参照）と、を主に備えて形成される。
【１９２２】
第１経路部材５３５６０は、遊技盤１３（図２参照）の遊技領域の正面に沿った板状に形成される正面板５３５６４と、上方側（矢印Ｕ方向側）が開放する断面略Ｕ字状に形成され、正面板５３５６４の上方端部から背面側に突設される第１受入部５６１、第２受入部５６２及び第３受入部５６３（図２１参照）と、その第１受入部５６１、第２受入部５６２及び第３受入部５６３の下方側（矢印Ｄ方向側）に連なって形成されると共に、正面板５３５６４の一部の端部に沿って延設される第１壁部５６５と、その第１壁部５６５の下方に形成され、所定の間隔を隔てた２箇所から突設される２組の第２壁部５６６及び第３壁部５６７（図２１参照）と、を主に備える。
【１９２３】
正面板５３５６４は、後述する第２経路部材５３５７０又は第３経路部材５８０（図１９参照）との対向間に形成される遊技球の流下経路の正面側の壁部となる板部材であり、光透過部材から形成される。よって、遊技者は、第１ユニット５３５５１の内部を流下する遊技球を正面板５３５６４を介して（通じて）視認することができる。
【１９２４】
また、正面板５３５６４は、第２経路部材５３５７０側（矢印Ｂ方向側）に突設される案内部５６４ａ（図２０参照）を備え、その案内部５６４ａにより正面板５３５６４ａの背面に遊技球の当接により傷が形成されることや、遊技球の汚れが付着することを抑制して、第１ユニット５３５５１の内部を流下する遊技球を遊技者に視認させやすい状態を維持できる。
【１９２５】
第２経路部材５３５７０は、第１経路部材５３５６０の正面板５３５６４と対抗する板状のベース板５３５７１と、そのベース板５３５７１の正面から第１経路部材５３５６０側に突設される第４壁部５７３と、その第４壁部５７３から下方側に所定の距離離間する位置に突設される第５壁部５７４（図２１参照）と、その第５壁部５７４から下方側に所定の距離離間する位置に突設される第６壁部５７５（図２１参照）と、を主に備えて形成される。
【１９２６】
ベース板５３５７１は、第１経路部材５３５６０の正面板５３５６４と遊技球の直径よりも離間する位置に配設される。これにより、正面板５３５６４とベース板５３５７１との間に遊技球を流下させることができる。
【１９２７】
第１経路部材５３５６０及び第２経路部材５３５７０の対向間に形成される遊技球の流下経路は、上記第１実施形態と同様に、主経路ＳＫ１から主経路ＳＫ６と湾曲経路ＷＫ１と副経路ＨＫ１から副経路ＨＫ３とを主に備える。それら流下経路を遊技球は、主経路ＳＫ１、主経路ＳＫ２、湾曲経路ＷＫ１、主経路ＳＫ３、主経路ＳＫ４、主経路ＳＫ５、主経路ＳＫ６の順に流下する。又は、主経路ＳＫ１〜ＳＫ６を流下する途中の主経路ＳＫ３から主経路ＳＫ３に連通する副経路ＨＫ１に流入されて副経路ＨＫ１を流下する。もしくは、主経路ＳＫ１〜主経路ＳＫ６を流下する途中の主経路ＳＫ５から主経路ＳＫ５に連通する副経路ＨＫ２又は副経路ＨＫ３のどちらかに流入されて副経路ＨＫ２又は副経路ＨＫ３のどちらかを流下する。
【１９２８】
第５３実施形態における主経路ＳＫ２，主経路ＳＫ３及び湾曲経路ＷＫ１には、第２経路部材５３５７０のベース板５３５７１に、正面側（矢印Ｆ方向側）に向かって突設される背面側第１凸部５３５７１ｎと、背面側（矢印Ｂ方向側）に向かって凹設される第２凹部５３５７１ｉ及び第３凹部５７１ｊと、を備える。また、主経路ＳＫ２，主経路ＳＫ３及び湾曲経路ＷＫ１には、第１経路部材５３５６０の正面板５３５６４に、背面側に向かって突設される第２凸部５６４ｃと、正面側に向かって凹設される正面側第１凹部５３５６４ｈと、を備える。
【１９２９】
なお、背面側第１凸部５３５７１ｎ及び正面側第１凹部５３５６４ｈは主経路ＳＫ２に、第２凹部５３５７１ｉ及び第２凸部５６４ｃは湾曲経路ＷＫ１に、第３凹部５７１ｊは主経路ＳＫ３に、それぞれ形成される。
【１９３０】
背面側第１凸部５３５７１ｎは、主経路ＳＫ２の遊技球の転動方向において第１段部５７１ｋよりも下流側に形成されると共に、主経路ＳＫ２の遊技球の転動方向における上流側の端部が主経路ＳＫ２の遊技球の転動方向における第１段部５７１ｋの下流側の端部に連続して形成される。
【１９３１】
また、背面側第１凸部５３５７１ｎは、ベース板５３５７１の正面に対する主経路ＳＫ２の上流側における突出面の傾斜角度が、第１段部５７１ｋのベース板５３５７１の正面に対する傾斜角度と略同一に形成される。よって、主経路ＳＫ２を流下する遊技球が第１段部５７１ｋに沿って流下した後に、その遊技球を背面側第１凸部５３５７１ｎに沿って流下させることができる。これにより、正面板５３５６４及びベース板５３５７１の対向間の主経路ＳＫ２を流下する遊技球を正面板５３５６４側（正面側）に案内することができる。
【１９３２】
正面側第１凹部５３５６４ｈは、背面側第１凸部５３５７１ｎと前後方向（矢印Ｆ−Ｂ方向）に対向する位置に形成されると共に、正面側（矢印Ｆ方向側）に向かって略円弧状に凹設して形成される。また、正面側第１凹部は、正面視において水平方向に長い楕円形状に形成され、主経路ＳＫ２の上流側における遊技球の転動面（第４壁部５７３）から直交する方向の凹設底面までの高さ寸法Ｙ８（図２３０参照）が遊技球の半径分に設定され、主経路ＳＫ２の下流側における遊技球の転動面から直交する方向の凹設底面までの高さ寸法Ｙ９（図２３０参照）が遊技球の半径分よりも高く設定される。
【１９３３】
これにより、主経路ＳＫ２を流下する遊技球を正面側第１凹部５３５６４ｈに沿って送球する際に、重力方向上側（矢印Ｕ方向に）持ち上がる力を遊技球に作用させて、遊技球の転動速度を小さくすることができる。その結果、湾曲経路ＷＫ１に流入する遊技球の転動速度を十分に小さくすることができ、遊技球をスムーズに流下させやすくできる。
【１９３４】
また、正面側第１凹部５３５６４ｈは、主経路ＳＫ２の下流側における端部（矢印Ｂ方向側の端部が、主経路ＳＫ２の転動面（第４壁部５７３の上面）を超える寸法に設定される。これにより、正面側第１凹部５３５６４ｈの凹設底面に沿って案内される遊技球を主経路ＳＫ２の転動面よりも高い位置から湾曲経路ＷＫ１に流入させることができる。
【１９３５】
従って、正面側第１凹部５３５６４ｈにより、上述したように遊技球の転動速度を遅くすることができると共に、重力方向に高い位置から遊技球を湾曲経路ＷＫ１に流入させることができるので、湾曲経路ＷＫ１に流入する遊技球の流下方向を湾曲経路ＷＫ１の送球方向（矢印Ｕ−Ｄ方向）に変更しやすくできる。その結果、主経路ＳＫ２から湾曲経路ＷＫ１への遊技球の流入を安定させやすくできる。
【１９３６】
さらに、正面側第１凹部５３５６４ｈは、主経路ＳＫ２の下流側における端部（矢印Ｒ方向側の端部）が、後述する第２凹部５３５７１ｉの少なくとも一部と重力方向（矢印Ｕ−Ｄ方向）に重なる位置に形成される。これにより、正面側第１凹部５３５６４ｈの凹設底面に沿って案内される遊技球を主経路ＳＫ２の下流側に連通される湾曲経路ＷＫ１に形成される第２凹部５３５７１ｉに送球しやすくできる。
【１９３７】
また、第２凹部５３５７１ｉの少なくとも一部と重力方向に重なる位置に形成されるので、主経路ＳＫ２（正面側第１凹部５３５６４ｈ）から湾曲経路ＷＫ１に送球される遊技球の送球方向を湾曲経路ＷＫ１の流下方向に近づけることができる。
【１９３８】
従って、特別入賞装置５３５５０の内部に遊技球が連続して通過する場合には、湾曲経路ＷＫ１の第２凹部５３５７１ｉ及び第２凸部５６４ｃにより先行する遊技球の流下速度を遅くして、先行する遊技球の送球方向に向けて後行する遊技球を衝突（当接）させることができる。これにより、先行する遊技球を後行する遊技球で押し出すことができ、先行する遊技球を、湾曲経路ＷＫ１の流下方向（矢印Ｄ方向）に流下しやすくできる。その結果、特別入賞装置５３５５０を遊技球が連続して（連なった）状態で流下することを抑制でき、特別入賞装置５３５５０を流下する遊技球を１球ずつ遊技者に視認させることができる。
【１９３９】
また、上述したように、湾曲経路ＷＫ１の下流側に連通される主経路ＳＫ３には、副経路ＨＫ１が連通され、その副経路ＨＫ１と主経路ＳＫ３との連通部分に張出または退避する第１可変板５８３ｂにより、主経路ＳＫ３から副経路ＨＫ１に遊技球が流入可能か不能かが切り替えられる。第１可変板５８３ｂは、所定の遊技状態（例えば、大当たり後の確変状態）とされる場合に一定のタイミングで張出位置と退避位置とで変位される。
【１９４０】
従って、特別入賞装置５３５５０を流下する遊技球が連球しやすい場合には、その連球する遊技球が第１可変板５８３ｂの張出動作のタイミングで２球とも主経路ＳＫ３を流下する可能性が高くなる。よって、遊技者に遊技球が副経路ＨＫ１に流入しにくい印象を与えてしまい、遊技者の興趣を損なう恐れがある。
【１９４１】
これに対し、特別入賞装置５３５５０では、主経路ＳＫ２および湾曲経路に形成される背面側第１凸部５３５７１ｎ、正面側第１凹部５３５６４ｈ、第２凹部５３５７１ｉ及び第２凸部５６４ｃにより、連球する遊技球の連なりを解除して１球ずつ流下させることができるので、第１可変板５８３ｂの張出状態時にその第１可変板５８３ｂ上を連続して遊技球が通過することを抑制できる。その結果、遊技者に遊技球が副経路ＨＫ１に入りにくい印象を与えにくくなり、遊技者の興趣を損なうことを抑制できる。
【１９４２】
第２凹部５３５７１ｉは、湾曲経路ＷＫ１のベース板５３５７１に背面側に向かって凹設される凹部として形成される。また、第２凹部５３５７１ｉは、正面視において楕円形状に形成され、その楕円の長手方向における上端が主経路ＳＫ２と湾曲経路ＷＫ１との連通側に配置されると共に、長手方向における下端が主経路ＳＫ３と湾曲経路ＷＫ１との連通側に配置される。これにより、主経路ＳＫ２から湾曲経路ＷＫ１に流入する遊技球を、第２凹部５３５７１ｉの内側に沿って流下させてスムーズに主経路ＳＫ３に案内しやすくできる。
【１９４３】
また、第２凹部５３５７１ｉは、正面視における上方側端部が下方側端部よりも湾曲経路ＷＫ１と主経路ＳＫ２又は主経路ＳＫ３との接続側から水平方向（矢印Ｌ−Ｒ方向）に離間する位置に設定される。即ち、第２凹部５３５７１ｉは、その正面視における長手方向が重力方向に対して傾斜する状態で形成される。
【１９４４】
さらに、第２凹部５３５７１ｉは、正面視における楕円の中心が、左右方向（矢印Ｌ−Ｒ方向）における第４壁部５７３の湾曲壁部５４５ｂ側の端部から水平方向における湾曲壁部５４５ｂまで対向間の略中間位置に設定される。上述したように、第２凹部５３５７１ｉは、正面視における長手方向が重力方向に対して傾斜されるので、左右方向（矢印Ｌ−Ｒ方向）における第４壁部５７３の湾曲壁部５４５ｂ側の端部から水平方向における湾曲壁部５４５ｂまで対向間の略中間位置の重力方向下側に、第２凹部５３５７１ｉの長手方向を重力方向に配置した際の右下部分を配置することができる。
【１９４５】
これにより、湾曲経路ＷＫ１を通過する遊技球は、左右方向（矢印Ｌ−Ｒ方向）における第４壁部５７３の湾曲壁部５４５ｂ側の端部から水平方向における湾曲壁部５４５ｂまで対向間の略中間位置を通過しやすいところ、その遊技球を第２凹部５３５７１ｉの右下部分に集中させることができる。
【１９４６】
従って、湾曲経路ＷＫ１を通過する遊技球を湾曲経路の右下部分の凹設面に沿って遊技球を案内しやすくなり、湾曲経路ＷＫ１から抜け出る遊技球を主経路ＳＫ３の流下方向に送球することができる。その結果、湾曲経路ＷＫ１から主経路ＳＫ３に遊技球を安定して送球することができる。
【１９４７】
また、第２凹部５３５７１ｉは、正面側第１凹部５３５６４ｈと前後方向（矢印Ｆ−Ｂ方向）において、対向する内面にそれぞれ形成される（図２３１（ａ）参照）。上述したように、正面側第１凹部５３５６４ｈは、正面側に向かって円弧状に凹設して形成されるので、遊技球が正面側第１凹部５３５６４ｈから抜け出る場合には、遊技球が正面側第１凹部５３５６４ｈの内面に沿って送球されることで、その遊技球を主経路ＳＫ２の送球方向に転動させると共に第２凹部５３５７１ｉ側に向かって送球することができる。これにより、主経路ＳＫ２から湾曲経路ＷＫ１に送球される遊技球を正面側第１凹部５３５６４ｈの内側に受け入れやすくすることができる。
【１９４８】
さらに、上述したように、第２凹部５３５７１ｉは、その正面視における長手方向が重力方向に対して傾斜して形成され、正面視における上端が主経路ＳＫ２の下流側端部から離間する位置に形成される。従って、主経路ＳＫ２の正面側第１凹部５３５６４ｈから湾曲経路ＷＫ１までの正面視における遊技球の流下方向の離間距離が長くされる。
【１９４９】
これにより、主経路ＳＫ２を所定以上の速度で流下することで、正面側第１凹部５３５６４ｈの内側に送球されず主経路ＳＫ２の正面側を流下する遊技球を湾曲経路ＷＫ１の正面側に形成される第２凸部５６４ｃに当接させて背面側（ベース板５３５７１側）に流下させることで、湾曲経路ＷＫ１の第２凹部５３５７１ｉの内側に遊技球を送球しやすくすることができる。
【１９５０】
一方、主経路ＳＫ２を所定以下の速度で遊技球が転動する場合には、背面側第１凸部５３５７１ｎにより遊技球が正面側（正面板５３５６４側）に案内されて正面側第１凹部５３５６４ｈの内側を流下する。これにより、正面側第１凹部５３５６４ｈの内壁に沿って流下する遊技球は、湾曲経路ＷＫ１の第２凹部５３５７１ｉに向かって転動して第２凹部５３５７１ｉの内側を送球される。
【１９５１】
従って、主経路ＳＫ２の流下速度に関わらず（正面側第１凹部５３５６４ｈの内側を通過したかに関わらず）湾曲経路ＷＫ１を流下する遊技球を第２凹部５３５７１ｉの内側を通過させることができる。その結果、湾曲経路ＷＫ１から主経路ＳＫ３に送球される遊技球を第２凹部５３５７１ｉの内側に沿って流下させて、湾曲経路ＷＫ１から主経路ＳＫ３への遊技球の送球を安定させることができる。
【１９５２】
第３凹部５７１ｊは、主経路ＳＫ３の内壁を構成するベース板５３５７１に凹設して形成される凹部であり、正面視において水平方向（矢印Ｌ−Ｒ方向）に長い楕円形状に形成される。また、第３凹部５７１ｊは、段部５７１ｍにより正面側に突出された位置におけるベース板５３５７１に形成される。
【１９５３】
第３凹部５７１ｊの上下方向の中心における背面側（矢印Ｂ方向側）への凹設深さは、段部５７１ｍの正面側への高さ寸法Ｌ２３（図２３１（ｂ）参照）と、略同一に設定される。また、第３凹部５７１ｊは、主経路ＳＫ３の下流側における端部が段部５７１ｍの端部と略同一位置に設定される。これにより、第３凹部５７１ｊの内側を通過する遊技球が、第３凹部５７１ｊから抜け出る場合に、送球方向側の第３凹部５７１ｊの内面に遊技球が引っかかることを抑制できる。
【１９５４】
なお、段部５７１ｍは、主経路ＳＫ３の背面側の内壁（ベース板５３５７１の正面）から正面側（矢印Ｆ方向側）に突出され、主経路ＳＫ３の経路内における上流側に形成される。また、段部５７１ｍの突出面は、湾曲経路ＷＫ１の背面側と略同一の前後方向（矢印Ｆ−Ｂ方向）位置に設定される。従って、湾曲経路ＷＫ１から主経路ＳＫ３に遊技球を送球した際に、その遊技球を段部５７１ｍに引っかかることなく主経路ＳＫ３の下流側に流下させることができる。
【１９５５】
一方、遊技球が主経路ＳＫ３を逆流する場合には、段部５７１ｍの突設部分に遊技球を当接させることができる。これにより、遊技球が主経路ＳＫ３を逆流することを抑制できる。
【１９５６】
また、主経路ＳＫ３には、副経路ＨＫ１が連通され、その副経路ＨＫ１と主経路ＳＫ３との連通部分に張出し又は退避する第１可変板５８３ｂにより、主経路ＳＫ３から副経路ＨＫ１に遊技球が流入可能か不能かが切り替えられる。第１可変板５８３ｂは、所定の遊技状態（例えば、大当たり後の確変状態）とされる場合に一定のタイミングで張出位置と退避位置とで変位される。
【１９５７】
従って、パチンコ機１０（図１参照）が所定の遊技状態（例えば、大当たり中）とされ、第１可変板５８３ｂが退避位置から張出位置に変位されるタイミングで遊技球が副経路ＨＫ１に流入する場合に、その遊技球が第１可変板５８３ｂにより押し出されて主経路ＳＫ３を逆流する恐れがあるところ、主経路ＳＫ３に形成される段部５７１ｍが、第１可変板５８３ｂよりも主経路ＳＫ３の上流側に形成されるので、第１可変板５８３ｂの変位に伴う遊技球の逆流を抑制できる。
【１９５８】
なお、第５３実施形態では、主経路ＳＫ３の第３凹部５７１ｊと対向する内面（正面板５３５６４の背面）が平坦面とされる。これにより、湾曲経路ＷＫ１から主経路ＳＫ３に送球される遊技球の送球が阻害されることを抑制しつつ、主経路ＳＫ３を通過する際に暴れる遊技球は第３凹部５７１ｊの内側に受け入れることで、その暴れを抑制することができる。
【１９５９】
よって、主経路ＳＫ３を通過する遊技球が停滞して、遊技球が主経路ＳＫ３で連なることを抑制できる。その結果、パチンコ機１０（図１参照）が所定の遊技状態とされ、第１可変板５８３ｂが所定のタイミングで張出位置と退避位置とで変位する場合に、張出位置とされる際に連続する遊技球が第１可変板５８３ｂの状部を通過することで遊技者に副経路ＨＫ１に遊技球が入りにくい印象を遊技者に与えることを抑制できる。
【１９６０】
次いで、図２３２から図２３５を参照して第５４実施形態における特別入賞装置５４５５０の第１ユニット５４５５１について説明する。上記第１実施形態では、第１ユニット５５１の主経路ＳＫ１に主経路ＳＫ２のみが連通される場合について説明したが、第５４実施形態では、第１ユニット５４５５１の主経路ＳＫ１に主経路ＳＫ２及び副経路ＨＫ６が連通される。なお、上記各実施形態と同一の部分には、同一の符号を付してその説明は省略する。
【１９６１】
初めに、図２３２及び図２３３を参照して、第５４実施形態における第１ユニット５４５５１の構成について説明する。図２３２は、第５４実施形態における第１ユニット５４５５１の分解斜視正面図である。図２３３は、第１ユニット５４５５１の断面模式図である。なお、図２３３は、図２２における第１ユニット５５１の断面模式図に対応する。
【１９６２】
図２３２及び図２３３に示すように、第５４実施形態における第１ユニット５４５５１は、上記第１実施形態における第１ユニット５５１と同様に、その内部を遊技球が流下可能な空間（経路）を備え、センターフレーム８６（図２参照）に配設される。
【１９６３】
また、第１ユニット５４５５１は、正面側（矢印Ｆ方向側）に配設される第１経路部材５４５６０と、その第１経路部材５４５６０の背面側（矢印Ｂ方向側）に配設される第２経路部材５４５７０と、その第２経路部材５４５７０の背面側に配設される第３経路部材５４５８０と、を主に備えて形成される。
【１９６４】
第１経路部材５４５６０は、遊技盤１３（図２参照）の遊技領域の正面に沿った板状に形成される正面板５４５６４と、上方側（矢印Ｕ方向側）が開放する断面略Ｕ字状に形成され、正面板５４５６４の上方端部から背面側に突設される第１受入部５６１、第２受入部５６２及び第３受入部５６３と、その第１受入部５６１、第２受入部５６２及び第３受入部５６３の下側（矢印Ｄ方向側）に連なって形成されると共に、正面板５６４の一部の端部に沿って延設される第１壁部５６５と、その第１壁部５６５の下方に形成され、所定の間隔を隔てた２箇所から突設される２組の第２壁部５６６及び第３壁部５６７と、を主に備える。
【１９６５】
正面板５４５６４は、後述する第２経路部材５４５７０又は第３経路部材５４５８０との対向間に形成される遊技球の流下経路の正面側の壁部となる板部材であり、正面視における第２経路部材５４５７０及び第３経路部材５４５８０の外形と略同一の形状に形成されると共に、全体が光透過部材から形成される。これにより、遊技者は、第１ユニット５４５５１の内部を流下する遊技球を正面板５４５６４を介して（通して）視認することができる。
【１９６６】
また、正面板５４５６４は、第２経路部材５４５７０側（矢印Ｂ方向側）に突設される案内部５６４ａ（図２０参照）を備え、その案内部５６４ａにより正面板５４５６４ａの背面に遊技球の当接により傷が形成されることや遊技球の汚れが付着することを抑制して、第１ユニット５４５５１の内部を流下する遊技球を遊技者に視認させやすい状態を維持できる。
【１９６７】
第２経路部材５４５７０は、第１経路部材５４５６０の正面板５４５６４と対向する板状のベース板５４５７１と、そのベース板５４５７１の正面から第１経路部材５４５６０側に突設される第４壁部５７３と、その第４壁部５７３から下方側に所定の距離離間する位置に突設される第５壁部５４５７４と、その第５壁部５４５７４から下方側に所定の距離離間する位置に突設される第６壁部５４５７５と、を主に備えて形成される。
【１９６８】
ベース板５４５７１は、第１経路部材５４５６０の正面板５４５６４と遊技球の直径よりも離間する位置に配設される。これにより、正面板５４５６４とベース板５４５７１との間に遊技球を流下させることができる。
【１９６９】
また、ベース板５４５７１は、第１受入部５６１、第２受入部５６２及び第３受入部５６３のそれぞれに対応する位置に開口する第１開口部５７１ａ、第２開口部５７１ｂ及び第３開口部５７１ｃと、第１開口部５７１ａの下方に開口する第４開口部５７１ｄと、第５壁部５４５７４及び第６壁部５４５７５のそれぞれの上方に開口する第５開口部５７１ｅ及び第６開口部５４５７１ｆと、第５壁部５４５７４及び第６壁部５４５７５の間に位置し背面側に凹設される凹設部５７１ｇと、ベース板５４５７１の左側端部から突出して形成されると共に背面側に向かって凹設される連通路５４５７２ａを有する突設部５４５７２と、を主に備える。
【１９７０】
突設部５４５７２は、第４開口部５７１ｄから第６開口部５４５７１ｆにかけてベース板５４５７１の正面視左側に突設される。また、突設部５４５７２は、背面側に向かって凹設して形成される溝状の連通路５４５７２ａを備える。
【１９７１】
連通路５４５７２ａは、正面視略Ｕ字状に形成され、そのＵ字の両端部をベース板５４５７１側に向けた状態で形成される。また、連通路５４５７２ａは、正面視略Ｕ字の上方側の一端が第４開口部５７１ｄの正面側に連通されると共に、正面視略Ｕ字の下方側の他端が第６開口部５４５７１ｆの正面側に連通される。
【１９７２】
なお、連通路５４５７２ａは、その凹設幅および凹設深さが共に遊技球の直径よりも大きく設定されており、その内部を遊技球が通過可能とされる。また、連通路５４５７２ａ（突設部５４５７２）の正面側は、第１経路部材５４５６０の正面板５４５６４により覆設されており、連通路５４５７２ａを通過する遊技球が第１ユニット５４５５１の外側に排出されることが抑制される。従って、主経路ＳＫ１と主経路ＳＫ５とを連通する副経路ＨＫ６が、連通路５４５７２ａの内部空間により形成される。
【１９７３】
また、連通路５４５７２ａは、その上方側の一端が正面視における第４開口部５７１ｄの左隣り（矢印Ｌ方向側）に連通されると共に、第４開口部５７１ｄから離間するのに伴って下方に傾斜して形成される。さらに、第４開口部５７１ｄの下側端部から突設される第４壁部５７３は、第４開口部５７１ｄ側から正面視右側（矢印Ｒ方向側）に向かう程、上面が下方に傾斜して形成される。
【１９７４】
従って、第１ユニット５４５５１の第１受入部５６１から流入し、主経路ＳＫ１を通過して第４開口部５７１ｄから流出される遊技球は、第４壁部５７３の上面の傾斜方向に沿って転動するため、正面視における連通路５４５７２ａの上方側の一端から離間する方向（矢印Ｒ方向）に転動する。即ち、第１ユニット５４５５１から流入する遊技球は、通常時には連通路５４５７２ａ（副経路ＨＫ６）に流入されず、第４壁部５７３の上面（主経路ＳＫ２）を転動する。
【１９７５】
第５壁部５４５７４は、上述した第１壁部５６５の湾曲壁部５６５ｂから送球される遊技球の転動面となる部分であり、第４壁部５７３の下面と直交する方向に遊技球の直径よりも下方側に離間する位置に突設されると共に、ベース板５４５７１の左右方向（矢印Ｌ−Ｒ方向）に延設される。また、第５壁部５４５７４は、湾曲壁部５６５ｂ側（矢印Ｒ方向側）から後述する凹設部５７１ｇ側（矢印Ｌ方向側）に向かう程、上面（矢印Ｕ方向側の面）が下方に傾斜して形成される。これにより、湾曲壁部５６５ｂから第５壁部５４５７４の上面に送球される遊技球を、凹設部５７１ｇ側に転動させることができる。さらに、第５壁部５４５７４は、遊技球の転動面に下方側に向かって凹む第１受入凹部５７４ａ、第２受入凹部５７４ｂ及び第５受入凹部５４５７４ｃを備える。
【１９７６】
第５受入凹部５４５７４ｃは、第５壁部５４５７４の第１受入凹部５７４ａ及び第２受入凹部５７４ｂよりも凹設部５７１ｇ側（矢印Ｌ方向側）の端部に形成される。また、第５受入凹部５４５７４ｃは、正面視において左右反対の略Ｌ字状に形成され、そのＬ字の両辺の寸法が遊技球の直径よりも大きく設定される。さらに、第５受入凹部５４５７４ｃの内側には、ベース板５４５７１に開口する第６開口部５４５７１ｆが形成される。これにより、第５受入凹部５４５７４ｃの内側に送球される遊技球を第６開口部５４５７１ｆを通してベース板５４５７１の背面側に送球できる。
【１９７７】
なお、第６開口部５４５７１ｆは、第２経路部材５４５７０の背面側に配設される第３経路部材５４５８０により、複数（本実施形態では、４箇所）の開口にそれぞれ分割される。その４箇所の開口のうちの後述する第２可変板５４５８４ｂの下方であって、正面視における第３受入凹部５７５ａ及び第５受入凹部５４５７４ｃの内側に形成される２箇所の開口は、第２経路部材５４５７０の背面側に遊技球を回収する回収経路に連通される。一方、第２可変板５４５８４ｂの上方に形成される開口と、第３壁部５６７の上方に形成される開口とは、第２経路部材５４５７０の背面側に配設される第３経路部材５４５８０の第２覆設部材５８２により第２経路部材５４５７０の背面側で連通される。
【１９７８】
また、第５受入凹部５４５７４ｃの上方には、パチンコ機１０（図１参照）が通常の遊技状態（例えば、非大当たり状態）とされる場合に、後述する第２駆動ユニット５４５８４の第２可変板５４５８４ｂの一部（第１板部材５４５８４ｂ１）が上方側（第４壁部５７３側）の開口を覆設する。これにより、通常の遊技状態とされる場合に、第５受入凹部５４５７４ｃの上方から第５受入凹部５４５７４ｃの内側に遊技球が流入することが規制される。
【１９７９】
さらに、第５受入凹部５４５７４ｃの内側に形成される第６開口部５４５７１ｆの手前には、検出装置ＳＥ６（図示しない）が配設される。これにより、第５受入凹部５４５７４ｃに流入する遊技球を検出することに伴って、遊技者に所定の遊技価値が付与される。なお、本実施形態では、所定の球数の賞球により、遊技者に遊技価値が付与される。
【１９８０】
第６壁部５４５７５は、第５壁部５４５７４を転動して凹設部５７１ｇに送球される遊技球の転動面となる部分であり、第５壁部５４５７４の下面から下方側（矢印Ｄ方向側）に遊技球の直径よりも離間する位置でベース板５４５７１から突設され、ベース板５４５７１の左右方向（矢印Ｌ−Ｒ）方向に延設される。また、第６壁部５４５７５は、凹設部５７１ｇ側（矢印Ｌ方向側）から第３壁部５６７側に向かって上面が下方に傾斜して形成される。これにより、凹設部５７１ｇから第６壁部５４５７５の上面に送球される遊技球を、第３壁部５６７により形成される送球経路側に転動させることができる。また、第６壁部５４５７５は、遊技球の転動面に下方側に向かって凹む第３受入凹部５７５ａを備える。
【１９８１】
第３経路部材５４５８０は、第２経路部材５４５７０の重力方向上方側（矢印Ｕ方向側）の背面に配設される第１覆設部材５８１と、第２経路部材５７０の重力方向下方側（矢印Ｄ方向側）の背面に配設される第２覆設部材５８２と、第１覆設部材５８１及び第２覆設部材５８２の間に配設される第１駆動ユニット５８３と、第２覆設部材５８２の背面に配設される第２駆動ユニット５４５８４とを主に備えて構成される。
【１９８２】
第２駆動ユニット５４５８４は、電力により前後方向に変位する軸を備える第２ソレノイド５８４ａと、その第２ソレノイド５８４ａの軸に連結される第２可変板５４５８４ｂと、第２ソレノイド５８４ａ及び第２可変板５４５８４ｂの周囲を覆う第２保護部材５４５８４ｃと、を主に備える。
【１９８３】
第２可変板５４５８４ｂは、左右方向（矢印Ｌ−Ｒ方向）に長い２枚の第１板部材５４５８４ｂ１及び第２板部材５４５８４ｂ２と、それら第１板部材５４５８４ｂ１及び第２板部材５４５８４ｂ２を重力方向（矢印Ｕ−Ｄ方向）に連結する連結部材５４５８４ｂ３と、を主に備える。
【１９８４】
第１板部材５４５８４ｂ１及び第２板部材５４５８４ｂ２は、上面が第１ユニット５４５５１の内部を流下する遊技球の転動面となる板部材であり、第１経路部材５４５８１及び第２経路部材５４５８２の対向間に形成される空間に配置される。また、第２可変板５４５８４ａは、背面側（矢印Ｂ方向側）に第２ソレノイド５８４ａの軸が連結されており、第２ソレノイド５８４ａの駆動により、第１板部材５４５８４ｂ１及び第２板部材５４５８４ｂ２を第１経路部材５４５６０及び第２経路部材５４５７０の対向間に張り出した状態とその対向間から退避した状態（第２経路部材５４５７０の背面側に移動した状態）とに切り替えられる。
【１９８５】
また、第１板部材５４５８４ｂ１と第２板部材５４５８４ｂ２とは、正面視における水平方向（矢印Ｌ−Ｒ方向）に並ぶ位置に形成される。さらに、第１板部材５４５８４ｂ１と第２板部材５４５８４ｂ２とは、それらの対向間の隙間が遊技球の直径よりも大きく設定され、第１板部材５４５８４ｂ１が第２板部材５４５８４ｂ２よりも上方に形成される。
【１９８６】
第１板部材５４５８４ｂ１は、正面視において第５受入凹部５４５７４ｃの上方側に配設されると共に、凹設部５７１ｇの下方側に配設される。また、第１板部材５４５８４ｂ１は、その上面が第５壁部５４５７４の上面と略同一の高さに設定されると共に、上面が凹設部５７１ｇの凹設方向（矢印Ｂ方向）に向かって下降傾斜して形成される。これにより、第２可変板５４５８４ｂが第１ユニット５４５５１の送球経路の内側に配置された状態（第１経路部材５４５６０と第２経路部材５４５７０との対向間に張り出した状態）では、第５壁部５４５７４の上面から転動される遊技球の転動方向を変更して、その遊技球を凹設部５７１ｇの内側に向かって転動させることができる。
【１９８７】
一方、第２可変板５４５８４ｂが第１ユニット５４５５１の送球経路の内側から退避された状態（第２可変板５４５８４ｂが第２経路部材５４５７０の背面側に移動した状態）では、第５壁部５４５７４の上面（主経路ＳＫ３）を転動する遊技球を第５受入凹部５４５７４ｃの内側に受け入れて、その遊技球を第６開口部５４５７１ｆに流入させることができる。
【１９８８】
第２板部材５４５８４ｂ２は、正面視において第４受入凹部５７５ｂの上方側に配設される。また、第２板部材５４５８４ｂ２は、正面視において第５受入凹部５４５７４ｃの水平方向（矢印Ｌ−Ｒ方向）に開放される左側（矢印Ｌ方向側）に配設されると共に、その上面が第５受入凹部５４５７４ｃの上面よりも高い位置に設定される。これにより、第２可変板５４５８４ｂが第１ユニット５４５５１の送球経路の内側に配置された状態時（第１経路部材５４５６０と第２経路部材５４５７０との対向間に張り出した状態時）に、第５受入凹部５４５７４ｃの内側に送球された遊技球が第５受入凹部５４５７４ｃの内側から飛び出ることを抑制できる。
【１９８９】
また、第２板部材５４５８４ｂ２は、その上面が第６開口部５４５７１ｆ側（背面側）に向かって傾斜して形成される。これにより、第２可変板５４５８４ｂが第１ユニット５４５５１の送球経路の内側に配置された状態では、凹設部５７１ｇ（主経路ＳＫ４）から第２板部材５４５８４ｂ２の上面に送球される遊技球を第６開口部５４５７１ｆの内側に向かって転動させることができる。
【１９９０】
一方、第２可変板５４５８４ｂが第１ユニット５４５５１の送球経路の内側から退避された状態（第２可変板５４５８４ｂが第２経路部材５４５７０の背面側に移動した状態）では、凹設部５７１ｇ（主経路ＳＫ４）から送球される遊技球を第３受入凹部５７５ａに受け入れて第６開口部５４５７１ｆに流入させることができる。
【１９９１】
また、第２可変板５４５８４ｂが正面側に張り出された状態では、その第２可変板５４５８４ｂの先端が、上述した第６開口部５４５７１ｆに挿入されると共に、第３受入凹部５７５ａ及び第４受入凹部５７５ｂの上側に配置される。これにより、第２可変板５４５８４ｂが正面側に張り出された状態では、その第２可変板５４５８４ｂにより第３受入凹部５７５ａ及び第４受入凹部５７５ｂへの遊技球の流入を防止することができる。
【１９９２】
連結部材５４５８４ｂ３は、第１板部材５４５８４ｂ１と第２板部材５４５８４ｂ２とを連結する部材であり、正面視における第１板部材５４５８４ｂ１の第２板部材５４５８４ｂ２側の端部と、第２板部材５４５８４ｂ２の第１板部材５４５８４ｂ１側の端部とを重力方向（矢印Ｕ−Ｄ方向）に連結する。
【１９９３】
また、連結部材５４５８４ｂ３は、第１板部材５４５８４ｂ１及び第２板部材５４５８４ｂ２の背面側（矢印Ｂ方向側）の端部に形成されており、連結部材５４５８４ｂ３の正面側における第１板部材５４５８４ｂ１と第２板部材５４５８４ｂ２との隙間を介して遊技球を第５受入凹部５４５７４ｃの内側に送球することができる。
【１９９４】
第２保護部材５８４ｃは、第２経路部材５４５７０側が開放する箱状に形成され、その内部に第２ソレノイド５８４ａの軸と第２可変板５４５８４ｂとを連結する機構が配設される。また、第２保護部材５８４ｃは、第１経路部材５４５６０の第２壁部５６６により形成される送球経路の背面側を覆う背面側壁部５８４ｃ１を備える。これにより、背面側壁部５８４ｃ１と第２壁部５６６とで送球経路を形成できるだけでなく、背面側壁部５８４ｃ１と第２壁部５６６とで、第２経路部材５４５７０を覆うことができる。その結果、第１ユニット５４５５１の側面から不正部材が挿入されて、第２経路部材５４５７０に配設される検出装置ＳＥ３〜ＳＥ６に不正が行われることを抑制できる。
【１９９５】
以上のように形成される第１ユニット５４５５１によれば、図２３３に示すように、第１ユニット５４５５１は、主経路ＳＫ１〜ＳＫ６と、副経路ＨＫ１，ＨＫ２，ＨＫ６と、湾曲経路ＷＫ１とを備える。
【１９９６】
副経路ＨＫ６は、主経路ＳＫ１及び主経路ＳＫ２の連通部分と、主経路ＳＫ４及び主経路ＳＫ５の連通部分に両端が連通される。従って、第５４実施形態における主経路ＳＫ１から送球される遊技球を主経路ＳＫ２だけでなく副経路ＨＫ６にも流入させることができる。
【１９９７】
また、副経路ＨＫ６は、主経路ＳＫ４及び主経路ＳＫ５が連通する部分と連通する下端側の経路が、第２可変板５４５８４ｂの第１板部材５４５８４ｂ１及び第２板部材５４５８４ｂ２との重力方向の隙間部分に向かって延設される。従って、副経路ＨＫ６を通過する遊技球を主経路ＳＫ４及び主経路ＳＫ５の連通部分を介して副経路ＨＫ２に流入させることができる。
【１９９８】
また、第５４実施形態では、副経路ＨＫ２が、主経路ＳＫ３及び主経路ＳＫ４の連通部分の下方と、主経路ＳＫ４及び主経路ＳＫ５の連通部分の下方と、の２箇所に形成される。
【１９９９】
従って、第５４実施形態では、主経路ＳＫ１から流入する遊技球は、主経路ＳＫ１から主経路ＳＫ６を順に流下する。又は、主経路ＳＫ１〜ＳＫ６を流下する途中の主経路ＳＫ３から主経路ＳＫ３に連通する副経路ＨＫ１に流入されて副経路ＨＫ１を流下する。又は、主経路ＳＫ１〜主経路ＳＫ６を流下する途中の主経路ＳＫ４又は主経路ＳＫ５から主経路ＳＫ４及び主経路ＳＫ５に連通する副経路ＨＫ２又は副経路ＨＫ３のどちらかに流入して副経路ＨＫ２又はＨＫ３のどちらかを流下する。又は、主経路ＳＫ１から副経路ＨＫ６に流入して主経路ＳＫ５を介して副経路ＨＫ２に流入される。
【２０００】
次いで、図２３４を参照して、副経路ＨＫ６に流入する遊技球について説明する。図２３４（ａ）から図２３４（ｃ）は、第１ユニット５４５５１の部分拡大断面模式図である。なお、図２３４（ａ）から図２３４（ｃ）では、第１受入部５６１に流入する３球の遊技球が１から３の番号を付して図示され、その遷移状態が図２３４（ａ）から図２３４（ｃ）の順に図示される。
【２００１】
図２３４（ａ）から図２３４（ｃ）に示すように、第１受入部５６１は、同時に少なくとも２球以上の遊技球を受入可能な左右方向（矢印Ｌ−Ｒ方向）寸法に設定される。また、第１受入部５６１の遊技球を下方に送球する第１覆設部材５８１の湾曲部５８１ａも同様に、同時に２球の遊技球を流下可能な左右方向寸法に設定される。
【２００２】
一方、湾曲部５８１ａから送球される第４壁部５７３の遊技球の転動面（主経路ＳＫ２）は、１球分の遊技球を送球する前後方向（矢印Ｆ−Ｂ方向）幅及び上下方向（矢印Ｕ−Ｄ方向）幅に設定される。
【２００３】
従って、第１ユニット５４５５１の第１受入部５６１に３球以上の遊技球が流入して、その遊技球が主経路ＳＫ１から主経路ＳＫ２に流入する場合には、図２３４（ｂ）に示すように、１球目の遊技球と２球目の遊技球との両方が互いに主経路ＳＫ２に流入しようとすることで、１球目の遊技球と２球目の遊技球とが主経路ＳＫ１と主経路ＳＫ２との連結部分で遊技球が停滞する。これにより、３球目の遊技球を１球目の遊技球または２球目の遊技球に衝突させて、２球目または３球目の遊技球を連通路５４５７２ａ側に跳ねさせることができる。
【２００４】
その結果、図２３４（ｃ）に示すように、後行する遊技球（２球目または３球目の遊技球）を連通路５４５７２ａに送球することができる。これにより、後から送球された遊技球がさらに主経路ＳＫ１と主経路ＳＫ２との連結部分で詰まることを抑制できる。その結果、主経路ＳＫ１と主経路ＳＫ２との連結部分で遊技球が詰まることで、遊技者の興趣が低下することを抑制できる。
【２００５】
次いで、図２３５を参照して、副経路ＨＫ６を通過する遊技球について説明する。図２３５（ａ）及び図２３５（ｂ）は、第１ユニット５４５５１の部分拡大断面模式図である。なお、図２３５（ａ）及び図２３５（ｂ）では、副経路ＨＫ６を通過する遊技球が順に図示される。
【２００６】
図２３５（ａ）及び図２３５（ｂ）に示すように、副経路ＨＫ６は、下端が第２可変板５４５８４ｂの第２板部材５４５８４ｂ２の上方で主経路ＳＫ４と主経路ＳＫ５との連結部分に連通されると共に、第５受入凹部５４５７４ｃの内側に形成される第６開口部５４５５７１ｆに向かって延設される。
【２００７】
よって、副経路ＨＫ６から流出する遊技球は、第５受入凹部５４５７４ｃの内側の副経路ＨＫ２に送球される。また、副経路ＨＫ６から流出する遊技球の転動速度が遅い場合には、第２板部材５４５８４ｂ２の上面を転動して第５受入凹部５４５７４ｃの内側の副経路ＨＫ２に送球される。
【２００８】
さらに、副経路ＨＫ６の遊技球の送球距離は、主経路ＳＫ２の遊技球の送球距離よりも短く設定される。これにより、主経路ＳＫ２を通過する先行する遊技球と副経路ＨＫ６を通過する後行する遊技球とが衝突することを抑制できる。また、主経路ＳＫ１及び主経路ＳＫ２の連通部分に停滞する先行する遊技球よりも先に主経路ＳＫ２を流下する遊技球と、副経路ＨＫ６とを通過する後行する遊技球とが衝突する場合には、副経路ＨＫ６から流出される遊技球の送球方向により、どちらか１球を第５受入凹部５４５７４ｃに押し出すことができる。
【２００９】
また、副経路ＨＫ２が連通する第５受入凹部５４５７４ｃの内側の第６開口部５４５７１ｆには、検出装置ＳＥ６（図示しない）が配設されるので、その検出装置ＳＥ６の遊技球の検出により、遊技者に所定の遊技価値が付与される。従って、副経路ＨＫ６は、遊技者に所定の遊技価値が付与される経路とされる。
【２０１０】
従って、第１ユニット５４５５１は、主経路ＳＫ１及び主経路ＳＫ２の連通部分に停滞する先行する遊技球に後行する遊技球が衝突した際に後行する遊技球を副経路ＨＫ６に流入させることで、その副経路ＨＫ６に流入される遊技球により所定の遊技価値を遊技者に付与することができる。従って、第１ユニット５４５５１は、主経路ＳＫ１及び主経路ＳＫ２に遊技球が停滞する場合を遊技者にとって有利な状態とすることができる。その結果、主経路ＳＫ１及び主経路ＳＫ２に遊技球が停滞することで遊技者の興趣が低下することを抑制できる。
【２０１１】
次いで、図２３６を参照して第５５実施形態における第１ユニット５５５５１について説明する。上記第５４実施形態における第１ユニット５４５５１では、副経路ＨＫ６から送球される遊技球が副経路ＨＫ２に送球される場合について説明したが、第５５実施形態では、副経路ＨＫ６から送球される遊技球が、第１ユニット５５５５１に形成される一般入賞口５５５７１ｒに送球される。なお、上記各実施形態と同一の部分には、同一の符号を付してその説明は省略する。
【２０１２】
初めに、図２３６を参照して、第５５実施形態における第１ユニット５５５５１の構成について説明する。図２３６は、第５５実施形態における第１ユニット５５５５１の断面模式図である。なお、図２３６の第１ユニット５５５５１は、図２２における第１ユニット５５１の断面に対応する。
【２０１３】
図２３６に示すように、第５５実施形態における第１ユニット５５５５１は、上記第１実施形態における第１ユニット５５１と同様に、その内部を遊技球が流下可能な空間（経路）を備え、センターフレーム８６（図２参照）に配設される。
【２０１４】
また、第１ユニット５５５５１は、正面側（矢印Ｆ方向側）に配設される第１経路部材５４５６０と、その第１経路部材５４５６０の背面側（矢印Ｂ方向側）に配設される第２経路部材５５５７０と、その第２経路部材５４５７０の背面側に配設される第３経路部材５８０（図１９参照）と、を主に備えて形成される。
【２０１５】
第２経路部材５５５７０は、第１経路部材５４５６０の正面板５４５６４と対向する板状のベース板５５５７１と、そのベース板５５５７１の正面から第１経路部材５４５６０側に突設される第４壁部５７３と、その第４壁部５７３から下方側に所定の距離離間する位置に突設される第６壁部５７５と、を主に備えて形成される。
【２０１６】
ベース板５５５７１は、第１経路部材５４５６０の正面板５４５６４と遊技球の直径よりも離間する位置に配設される。これにより、正面板５４５６４とベース板５４５７１との間に遊技球を流下させることができる。
【２０１７】
また、ベース板５５５７１は、第１受入部５６１、第２受入部５６２及び第３受入部５６３のそれぞれに対応する位置に開口する第１開口部５７１ａ、第２開口部５７１ｂ及び第３開口部５７１ｃと、第１開口部５７１ａの下方に開口する第４開口部５７１ｄと、第５壁部５５５７４及び第６壁部５７５のそれぞれの上方に開口する第５開口部５７１ｅ及び第６開口部５７１ｆと、その第６開口部５７１ｆの周囲に開口される一般入賞口５５５７１ｒと、第５壁部５５５７４及び第６壁部５７５の間に位置し背面側に凹設される凹設部５７１ｇと、ベース板５４５７１の左側（矢印Ｌ方向側）端部から突出して形成されると共に背面側（矢印Ｂ方向側）に向かって凹設される連通路５４５７２ａを有する突設部５４５７２と、を主に備える。
【２０１８】
一般入賞口５５５７１ｒは、遊技球を通過させるための開口であり、遊技球の直径よりも大きい開口に設定される。また、一般入賞口５５５７１ｒは、上述した遊技盤１３（図２参照）のベース板６０に配設される一般入賞口６３と同様に、遊技球が入賞（入球）されることにより、所定の数（本実施形態では、５個）の遊技球が賞球として遊技者に払い出される開口である。即ち、一般入賞口５５５７１ｒは、遊技球が入賞することで遊技価値が遊技者に付与される開口である。
【２０１９】
第５壁部５５５７４は、上述した第１壁部５６５の湾曲壁部５６５ｂから送球される遊技球の転動面となる部分であり、第４壁部５７３の下面と直交する方向に遊技球の直径よりも下方側に離間する位置から正面側に向かって突設されると共に、ベース板５５５７１の左右方向（矢印Ｌ−Ｒ方向）に延設される。
【２０２０】
また、第５壁部５５５７４は、湾曲壁部５６５ｂ側（矢印Ｒ方向側）から後述する凹設部５７１ｇ側（矢印Ｌ方向側）に向かう程、上面（矢印Ｕ方向側の面）が下方に傾斜して形成される。これにより、湾曲壁部５６５ｂから第５壁部５５５７４の上面に送球される遊技球を、凹設部５７１ｇ側に転動させることができる。
【２０２１】
さらに、第５壁部５５５７４は、凹設部５７１ｇ側（矢印Ｌ方向側）の端部から湾曲壁部５６５ｂ側（矢印Ｒ方向側）に向かって凹設される第５受入凹部５５５７４ｃを備える。
【２０２２】
第５受入凹部５５５７４ｃは、重力方向（矢印Ｕ−Ｂ方向）において凹設部５７１ｇと第２可変板５４５８４ｂとの間（主経路ＳＫ４と主経路ＳＫ６との間）に形成され、主経路ＳＫ５の上流側の開口部分と連通される。これにより、主経路ＳＫ５の上流側の開口部分に右方向の変位成分を有した状態で送球される遊技球を第５受入凹部５５５７４ｃの内側に送球することができる。
【２０２３】
また、第５受入凹部５５５７４ｃの内側には、上述した一般入賞口５５５７１ｒが形成される。従って、第５受入凹部５５５７４ｃの内側に送球される遊技球は、一般入賞口５５５７１ｒに入賞される。これにより、一般入賞口５５５７１ｒの内側に送球される遊技球の入賞に伴って遊技者に所定の遊技価値が付与される。
【２０２４】
以上のように構成される第１ユニット５５５５１によれば、上記第５４実施形態における副経路ＨＫ６と同様に、主経路ＳＫ１から送球される遊技球を主経路ＳＫ２だけでなく副経路ＨＫ６にも流入させることができる。
【２０２５】
また、副経路ＨＫ６は、主経路ＳＫ４及び主経路ＳＫ５が連通する部分と連通する下端側の経路が、第５受入凹部５５５７４ｃの開口部分に向かって延設される。従って、副経路ＨＫ６を通過する遊技球を主経路ＳＫ４及び主経路ＳＫ５の連通部分を介して第５受入凹部５５５７４ｃに流入させて一般入賞口５５５７１ｒに入賞させることができる。
【２０２６】
よって、第５５実施形態では、主経路ＳＫ１から流入する遊技球は、主経路ＳＫ１から主経路ＳＫ６を順に流下する。又は、主経路ＳＫ１〜ＳＫ６を流下する途中の主経路ＳＫ３から主経路ＳＫ３に連通する副経路ＨＫ１に流入する。又は、主経路ＳＫ１〜主経路ＳＫ６を流下する途中の主経路ＳＫ４又は主経路ＳＫ５から主経路ＳＫ４及び主経路ＳＫ５に連通する副経路ＨＫ２又は副経路ＨＫ３のどちらかに流入して副経路ＨＫ２又はＨＫ３のどちらかを流下する。又は、主経路ＳＫ１から副経路ＨＫ６に流入して主経路ＳＫ５を介して一般入賞口５５５７１ｒに流入する。
【２０２７】
また、上記第５４実施形態で説明したように、主経路ＳＫ１から副経路ＨＫ６への遊技球の流入は、第１受入部５６１から同時に３球以上の遊技球を受け入れる際に、先行する遊技球が停滞する場合に、後行する遊技球を副経路ＨＫ６側に跳ねさせることで行われる（図２３４（ｃ）参照）。
【２０２８】
従って、本実施形態では、副経路ＨＫ６に流入する遊技球を一般入賞口５５５７１ｒに流入させて遊技者に所定の遊技価値を付与することができるので、主経路ＳＫ１と主経路ＳＫ２との連通部分で遊技球が停滞することで、遊技者の興趣が低下することを抑制できる。
【２０２９】
また、本実施形態では、（第５４実施形態における副経路ＨＫ６から送球される遊技球が入賞する）副経路ＨＫ２に比べて、付与される遊技価値が比較的小さく（払い出される球数が少なく）設定される一般入賞口５５５７１ｒに遊技球を送球することができるので、パチンコ機１０（図１参照）の個体差で、副経路ＨＫ６に流入する遊技球にばらつきが生じる際に、遊技者に付与される遊技価値の差を小さくすることができる。
【２０３０】
次いで、図２３７及び図２３８を参照して、第５６実施形態における特別入賞装置５６５５０について説明する。上記第１実施形態では、第１ユニット５５１及び第２ユニット５５２をネジの締結力のみで保持する場合について説明したが、第５６実施形態では、第２ユニット５６５５２の一部の弾性回復力およびネジの締結力により第１ユニット５６５５１及び第２ユニット５６５５２が締結される。なお、上記各実施形態と同一の部分には、同一の符号を付してその詳しい説明を省略する。
【２０３１】
初めに、図２３７を参照して、第５６実施形態における特別入賞装置５６５５０の全体構成について説明する。図２３７は、第５６実施形態における特別入賞装置５６５５０の断面模式図である。なお、図２３７では、特別入賞装置５６５５０が分解された状態で図示される。
【２０３２】
図２３７に示すように、第５６実施形態における特別入賞装置５６５５０は、センターフレーム８６（突設部８６ｂ）を挟んで、そのセンターフレーム８６の正面側（矢印Ｆ方向側）に取り外し可能な第１ユニット５５１と、センターフレーム８６の背面側に取り外し可能な第２ユニット５６５５２と、から構成される。また、特別入賞装置５６５５０は、正面視矩形のベース板５６０６０に配設される。
【２０３３】
ベース板５６０６０は、正面視において中央部分に開口される第１開口部６０ａと、レール部材７６，７７により形成される遊技領域の重力方向下側に開口される第２開口部６０ｂと、を備える。第１開口部６０ａには、センターフレーム８６が配設され、第２開口部６０ｂ（図１１参照）には、一般入賞口ユニット１５０（図１１参照）が配設される。
【２０３４】
また、ベース板５６０６０は、背面に正面側に向かって凹設される凹設溝５６０６０ｈを備える。凹設溝５６０６０ｈは、後述する第２ユニット５６５５２の突設部５６６１２ａが挿入される溝であり、突設部５６６１２ａと対向する位置に形成される。
【２０３５】
第２ユニット５６５５２は、第１ユニット５５１側（正面側（矢印Ｆ方向側））に配設される第４経路部材５６６１０と、その第４経路部材５６６１０の背面側（矢印Ｂ方向側）に配設される第５経路部材５６６２０と、その第５経路部材５６６２０の背面側に配設され第５経路部材５６６２０との対向間に遊技球の送球経路を形成する第６経路部材５６６３０と、第２ユニット５６５５２の側面に配設される装飾部材６５０（図３１参照）と、を主に備える。
【２０３６】
第４経路部材５６６１０は、センターフレーム８６を介して、第１ユニット５５１の背面側（矢印Ｂ方向側）に取付される。また、第４経路部材５６６１０は、正面視縦長矩形の板状に形成される取付板５６６１１と、その取付板５６６１１の端部から第１ユニット５５１側（正面側（矢印Ｆ方向側））に立設される側壁部５６６１２と、を備える。
【２０３７】
取付板５６６１１は、第１ユニット５５１側（正面側（矢印Ｆ方向側））に円形状に凹設されると共にその凹設底面に貫通孔が形成される挿通部６１７と、第５経路部材５６６２０側（背面側（矢印Ｂ方向側））に円形状に突設されると共に突設先端面にネジが螺合する孔が穿設される経路側締結部５６６１８と、取付板５６６１１の中央に開口される開口部６１３と、その開口部６１３の外側に開口される第２挿通部６１４と、を備える。
【２０３８】
挿通部６１７は、第１ユニット５５１と第２ユニット５５２とを締結するためのネジの先端を挿通する部分であり、第１ユニット５５１（第３経路部材５８０（図２０参照））の背面に形成される柱状体５５１ａと対向する位置に形成される。
【２０３９】
また、第５６実施形態では、第１ユニット５５１から背面側に向かって突設される柱状体５５１ａの突設寸法Ｙ１０（図２３７参照）と、挿通部６１７の柱状体５５１ａとの対向面から側壁部５６６１２の当接面５６６１２ｂまで距離Ｙ１１（図２３７参照）と、を合わせた寸法がベース板５６０６０の板厚Ｙ３（図２３７参照）よりも小さく設定される。これにより、第１ユニット５６５５１に第２ユニット５６５５２が締結される前の状態では、柱状体５５１ａと挿通部６１７との間に隙間が形成される（図２３８（ａ）参照）。
【２０４０】
経路側締結部５６６１８は、後述する第６経路部材５６６３０の挿通孔５６６３２に挿通されるネジが螺合される部分であり、挿通孔５６６３２と対向する位置に形成される。これにより、第６経路部材５６６３０を第４経路部材５６６１０に締結できる。
【２０４１】
第２挿通部６１４は、第４経路部材５６６１０をセンターフレーム８６の突設部８６ｂに締結する際に、突設部８６ｂのネジ孔８６ｂ４に螺合するネジを挿通する穴であり、突設部８６ｂに形成されるネジ孔８６ｂ４（図３５参照）と対応する位置に形成される。これにより、センターフレーム８６の突設部８６ｂの背面に第４経路部材５６６１０を配設できる。
【２０４２】
側壁部５６６１２は、第４経路部材５６６１０がベース板５６０６０に配設される際に、ベース板５６０６０に対する第４経路部材５６６１０の位置決めをする部分であり、ベース板５６０６０の背面と対向する位置に設定される。
【２０４３】
また、側壁部５６６１２は、その立設先端面からベース板５６０６０側（矢印Ｆ方向側）に向かって部分的に突設される突設部５６６１２ａと、突設部５６６１２ａが非形成とされる先端面にベース板５６０６０の背面に当接する当接面５６６１２ｂと、が形成される。
【２０４４】
突設部５６６１２ａは、ベース板５６０６０の背面に凹設される凹設溝５６０６０ｈに挿入される部分であり、その厚みが側壁部５６６１２の本体部分と略同一に設定されると共に、凹設溝５６０６０ｈの凹設幅と略同一に設定される。これにより、第４経路部材５６６１０を配設する際には、突設部５６６１２ａを凹設溝５６０６０ｈに挿入して配設することで、第４経路部材５６６１０をベース板５６０６０に対して位置決めして配設することができる。
【２０４５】
また、突設部５６６１２ａの突設寸法は、凹設溝５６０６０ｈの凹設深さよりも小さく設定される。従って、ベース板５６０６０の凹設部５６０６０ｄに突設部５６６１２ａを挿入して、第４経路部材５６６１０をベース板５６０６０の背面に配設すると、第４経路部材５６６１０の当接面５６６１２ｂをベース板５６０６０の背面に当接させることができ、突設部５６６１２ａの突設先端と凹設溝５６０６０ｈの凹設面との対向間に隙間を形成することができる。
【２０４６】
さらに、側壁部５６６１２は、正面視における端部の４片のそれぞれから独立して立設され、４片から立設されるそれぞれの側壁部５６６１２が非連結とされる。これにより、側壁部５６６１２のそれぞれが連結される場合に比べて第４経路部材５６６１０（側壁部５６６１２）の剛性を低くすることができる。
【２０４７】
また、側壁部５６６１２と取付板５６６１１との連結（屈曲）部分は、断面円弧状に形成される。これにより、側壁部５６６１２と取付板５６６１１とが直交して形成される場合に比べて、第４経路部材５６６１０（側壁部５６６１２）の剛性を低くすることができる。
【２０４８】
第５経路部材５６６２０は、正面視略矩形に形成される板状の板部材６２１と、その板部材６２１の正面視における中央部に開口される中央開口部６２２と、板部材６２１から第６経路部材６３０側（背面側）に突設される被締結部５６６２７と、を主に備える。
【２０４９】
被締結部５６６２７は、後述する第６経路部材５６６３０に形成される締結孔５６６３３を挿通されたネジの先端を螺合させる部分であり、締結孔５６６３３と対応する位置に形成される。これにより、第５経路部材５６６２０と第６経路部材５６６３０とが締結される。また、被締結部５６６２７の第６経路部材５６６３０側への突出寸法は、遊技球の直径よりも大きく設定される。これにより、第５経路部材５６６２０と第６経路部材５６６３０との間に遊技球を流下可能な隙間が形成される。
【２０５０】
第６経路部材５６６３０は、正面視略矩形に形成される板状のベース板６３１と、第５経路部材５６６２０の中央開口部６２２と対向する位置のベース板６３１に開口される第２中央開口部６３４と、ベース板６３１の第２中央開口部６３４の周囲に貫通形成される挿通孔５６６３２及び締結孔５６６３３と、を備える。
【２０５１】
挿通孔５６６３２は、第４経路部材５６６１０と第６経路部材５６６３０とを締結するネジを挿通する孔であり、第４経路部材５６６１０の経路側締結部５６６１８に穿設される孔と同軸上に形成される。これにより、挿通孔５６６３２に挿通するネジを経路側締結部５６６１８に螺合して第４経路部材５６６１０と第６経路部材５６６３０とを締結することができる。
【２０５２】
締結孔５６６３３は、上述したように、第５経路部材５６６２０と第６経路部材５６６３０を締結するネジを挿通する孔であり、第５経路部材５６６２０の被締結部５６６２７と同軸上に形成される。これにより、締結孔５６６３３に挿通するネジを被締結部５６６２７に螺合して第５経路部材５６６２０と第６経路部材５６６３０とを締結することができる。
【２０５３】
次いで、図２３８を参照して、特別入賞装置５６５５０の締結について説明する。図２３８（ａ）から図２３８（ｃ）は、特別入賞装置５６５５０の断面模式図である。なお、図２３８（ａ）では、第１ユニット５６５５１の背面側に第４経路部材５６６１０が配置された状態が図示され、図２３８（ｂ）では、第１ユニット５６５５１と第４経路部材５６６１０とが締結された状態が図示され、図２３８（ｃ）では、特別入賞装置５６５５０が組み上げられた状態が図示される。
【２０５４】
図２３８（ａ）に示すように、第５６実施形態における特別入賞装置５６５５０のベース板５６０６０への取り付けは、初めに、組み上がった状態の第１ユニット５５１をベース板５６０６０の正面に配置すると共に、ベース板５６０６０の背面側に第２ユニット５６５５２の第４経路部材５６６１０を配置する。また、第４経路部材５６６１０の背面側から第２挿通部６１４を挿通するネジをセンターフレーム８６のネジ孔８６ｂ４に螺合する。
【２０５５】
これにより、第４経路部材５６６１０とセンターフレーム８６とが締結される。この場合、上述したように、柱状体５５１ａと挿通部６１７との対向間に隙間が形成され、第１ユニット５６５５１と第４経路部材５６６１０とが離れた状態とされる。
【２０５６】
次に、図２３８（ｂ）に示すように、第４経路部材５６６１０の背面側から、第４経路部材５６６１０の挿通部６１７を挿通させて、そのネジを柱状体５５１ａに螺合させる。このネジの螺合により、第１ユニット５６５５１と第４経路部材５６６１０との間に互いが互いに近づく方向の力が作用する。
【２０５７】
上述したように、第４経路部材５６６１０は、側壁部５６６１２により、その全体の剛性が低く設定される。これにより、第１ユニット５６５５１と第４経路部材５６６１０との間に互いが近づく方向の力が作用する場合には、第４経路部材５６６１０のみを弾性変形させやすくできる。
【２０５８】
従って、第１ユニット５６５５１に背面側（矢印Ｂ方向側）に引き込む力が作用する場合に、第１ユニット５６５５１が変形することを防止できる。その結果、第１ユニット５６５５１が変形して第１ユニット５６５５１の内部空間に形成される遊技球の流下経路が歪んで、第１ユニット５６５５１の内部を遊技球が通過しにくくなることを抑制できる。
【２０５９】
また、第４経路部材５６６１０の取付板５６６１１は、正面視における外形が第１ユニット５６５５１の外形よりも大きく設定されるので、第１ユニット５６５１１と第４経路部材５６６１０との連結部分から、第１ユニット５６５５１とベース板５６０６０と当接部分までの距離Ｙ１２（図２３８（ｃ）参照）よりも、第１ユニット５６５１１と第４経路部材５６６１０との連結部分から、第４経路部材５６６１０とベース板５６０６０との当接部分までの距離Ｙ１３のほうが大きく設定される。
【２０６０】
これにより、第１ユニット５６５５１と第４経路部材５６６１０との間に互いが近づく方向の力が作用する場合に、第１ユニット５６５５１よりも第４経路部材５６６１０にその力を集中しやすくできる。その結果、第４経路部材５６６１０のみを弾性変形させやすくできる。
【２０６１】
なお、第４経路部材５６６１０のみを弾性変形させるために、第４経路部材５６６１０の全体の板厚を第１ユニット５６５５１の背面を形成する第３経路部材５８０の板厚よりも小さく設定してもよい。
【２０６２】
最後に、図２３８（ｃ）に示すように、第４経路部材５６６１０の背面側に組み上げた状態の第５経路部材５６６２０及び第６経路部材５６６３０を第４経路部材５６６１０の背面側に配置して、第６経路部材５６６３０の背面側から挿通孔５６６３２を通過させたネジを経路側締結部５６６１８に螺合することで、第１ユニット５６５５１と第２ユニット５６５５２とを一体に組み上げると共に、それら第１ユニット５６５５１と第２ユニット５６５５２とをベース板５６０６０に配設することができる。
【２０６３】
また、図２３８（ｃ）に示すように、第１ユニット５６５５１、第２ユニット５６５５２及びセンターフレーム８６の各締結部分は、特別入賞装置５６５５０の正面視における上下方向（矢印Ｕ−Ｄ方向）及び左右方向（矢印Ｌ−Ｒ方向）の中央位置（図２３８（ｃ）では上下方向の中央）から外側に向かって、第１に第４経路部材５６６１０と（第５経路部材５６６２０と一体にされた）第６経路部材５６６３０との締結部分が形成され、第２に第４経路部材５６６１０とセンターフレーム８６との締結部分が形成され、最後に第１ユニット５６５５１と第４経路部材５６６１０との締結部分が形成される。
【２０６４】
従って、第１ユニット５６５５１と第４経路部材５６６１０との締結部分と、第４経路部材５６６１０と第６経路部材５６６３０との締結部分と、の間に、第４経路部材５６６１０とセンターフレーム８６との締結部分が形成される。
【２０６５】
これにより、第１ユニット５６５５１と第４経路部材５６６１０とが締結された際の、第４経路部材５６６１０の弾性変形が、第４経路部材５６６１０とセンターフレーム８６との締結部分により、第４経路部材５６６１０と第６経路部材５６６３０との締結部分に発生しにくくすることができる。その結果、第４経路部材５６６１０が弾性変形されることにより、第４経路部材５６６１０と第６経路部材５６６３０との締結部分が破損することを抑制できる。
【２０６６】
次いで、図２３９から図２４２を参照して、第５７実施形態における下変位ユニット５７４００について説明する。上記第１実施形態では、下変位ユニット４００が第２張出状態とされる場合に、板状突起４３１ｂにカム部材４２２を当接させる場合について説明したが、第５７実施形態では、下変位ユニット５７４００が退避状態および第１張出状態とされる場合にも板状突起５７４３１ｂにカム部材５７４２２を当接させる。なお、上記各実施形態と同一の部分には、同一の符号を付してその詳しい説明を省略する。
【２０６７】
初めに、図２３９を参照して、第５７実施形態における下変位ユニット５７４００の全体構成について説明する。図２３９（ａ）から図２３９（ｃ）は、第５７実施形態における下変位ユニット５７４００の正面模式図である。なお、図２３９（ａ）から図２３９（ｃ）では、下変位ユニット５７４００のベース部材４１０の外形が２点鎖線で図示されると共に、下変位部材４４０の内側に変位可能な状態で配設される球受部４６７の外形が鎖線で図示される。
【２０６８】
図２３９に示すように、第５７実施形態における下変位ユニット５７４００は、上記第１実施形態における下変位ユニット４００と同様に、背面ケース３００の底壁部３０１（図０参照）に配設されるベース部材４１０と、そのベース部材４１０に配設される伝達部材５７４２０と、ベース部材４１０に連結されると共に伝達部材５７４２０の変位に伴って変位されるリンク部材５７４３０と、一端がベース部材４１０に摺動可能に連結されると共に他端がリンク部材５７４３０に連結されてリンク部材５７４３０から駆動力を伝達されることで変位する下変位部材４４０と、を主に備えて形成される。
【２０６９】
伝達部材５７４２０は、正面ベース４１１（図４５参照）の正面側に取着される駆動モータＫＭ１（図４５参照）の軸に連結される伝達ギヤ４２１（図４５参照）と、その伝達ギヤ４２１と歯合され伝達ギヤ４２１の駆動に伴って回転されるカム部材５７４２２と、を主に備えて形成される。
【２０７０】
リンク部材５７４３０は、第１リンク部材５７４３１と第２リンク部材４３２との２個のリンクから形成される。また、リンク部材５７４３０は、第１リンク部材５７４３１と第２リンク部材４３２とのそれぞれの端部が回転可能な状態で連結される。
【２０７１】
第１リンク部材５７４３１は、正面視略く字形状に屈曲して形成されると共に、前後方向に所定の厚みを有する板状に形成される。また、第１リンク部材５７４３１は、カム部材５７４２２の変位に伴って変位される。第１リンク部材５７４３１は、その第１リンク部材５７４３１の一旦側に前後方向に貫通する貫通穴４３１ａと、第１リンク部材５７４３１の他端側に背面側（矢印Ｂ方向側）に向かって円柱状に突出する連結突起４３１ｃと、ベース部材４１０の湾曲壁部４１１ｅと対向する位置に突出する板状突起５７４３１ｂと、屈曲部分から正面側に向かって円柱状に突出する摺動突起４３１ｄと、を備えて形成される。なお、板状突起５７４３１ｂについての詳しい説明は後述する。
【２０７２】
カム部材５７４２２は、正面視における外径が大きさの異なる２つの半円の一端同士を組み合わせた形状に形成されると共に、前後方向に所定の厚みを有する板状態から形成される。また、カム部材５７４２２は、外径の小さい半円部の外周面に刻設される歯面４２２ｂと、外径の小さい半円部の中心に貫通形成される軸部４２２ａと、後述すリンク部材５７４３０と対向する面（背面）の外周縁に沿って凹設される摺動溝４２２ｃと、外周面の複数箇所（本実施形態では３箇所）から突設される当接部５７４２２ｄと、を備える。なお、当接部５７４２２ｄの詳しい説明については後述する。
【２０７３】
また、カム部材５７４２２は、第１リンク部材５７４３１の板状突起５７４３１ｂを除く第１リンク部材５７４３１の正面と湾曲壁部４１１ｅの突出面（背面）との対向間における領域を変位可能な状態で配設される。
【２０７４】
以上のように構成される下変位ユニット５７４００によれば、上記第１実施形態における下変位ユニット４００と同様に、駆動モータＫＭ１（図４５参照）を駆動させて、カム部材５７４２２を第１位置（図２３９（ａ）に示す位置）と第２位置（図２３９（ｃ）に示す位置）との間で変位させることで、下変位部材４４０を図２３９（ａ）に示す退避状態と図２３９（ｃ）に示す第２張出状態との間で変位させることができる。
【２０７５】
また、下変位部材４４０は、上記第１実施形態と同様に、その下変位部材４４０の内側に変位可能な状態で配設される球受部４６７を備えており、図２３９（ａ）から図２３９（ｃ）に示す、退避状態，第１張出状態，第２張出状態の位置で球受部４６７をスライド変位させて、球受部４６７に受け入れた遊技球を下変位部材４４０の外側に排出することができる。
【２０７６】
次いで、図２４０から図２４２を参照して、第１リンク部材５７４３１及びカム部材５７４２２について詳しく説明する。図２４０（ａ）から図２４０（ｃ）は、第１リンク部材５７４３１及びカム部材５７４２２の背面図である。図２４１（ａ）から図２４１（ｃ）は、第１リンク部材５７４３１及びカム部材５７４２２の正面図である。図２４２（ａ）は、第１リンク部材５７４３１の斜視正面図であり、図２４２（ｂ）は、カム部材５７４２２の斜視背面図であり、図２４２（ｃ）は、図２４０（ｂ）のＣＣＸＬＩＩｃ−ＣＣＸＬＩＩｃ線における下変位ユニット５７４００の断面図である。
【２０７７】
なお、図２４０（ａ）から図２４０（ｃ）では、ベース部材４１０の湾曲壁部４１１ｆが図示されると共に、第１リンク部材５７４３１の正面側に重なるカム部材５７４２２の外形および摺動溝４２２ｃ３と、第１リンク部材５７４３１の板状突起５７４３１ｂとが破線で図示される。また、図２４０（ａ）から図２４０（ｃ）では、ベース部材４１０の湾曲壁部４１１ｆの外形が鎖線で図示されると共に、カム部材５７４２２の背面側に重なる第１リンク部材５７４３１が鎖線で図示される。
【２０７８】
さらに、図２４０（ａ）及び図２４１（ａ）では、下変位ユニット５７４００の退避状態が図示され、図２４０（ｂ）及び図２４１（ｂ）では、下変位ユニット５７４００の第１張出状態が図示され、図２４０（ｃ）及び図２４１（ｃ）では、下変位ユニット５７４００の第２張出状態が図示される。
【２０７９】
図２４０から図２４２に示すように、カム部材５７４２２の外周面には、部分的に外側に向かって突設される複数（本実施形態では３箇所）の当接部５７４２２ｄを備える。当接部５７４２２ｄは、第１リンク部材５７４３１の板状突起５７４３１ｂの側面と当接する部分であり、その当接により第１リンク部材５７４３１とカム部材とが揺れ動くことが抑制される。
【２０８０】
また、複数の当接部５７４２２ｄは、それぞれ下変位ユニット５７４００が退避状態，第１張出状態，第２張出状態とされる場合に、第１リンク部材５７４３１と当接するように形成される。上述したように、退避位置，第１張出位置，第２張出位置では、下変位部材４４０（図２３９参照）の内側に配設される球受部４６７を変位させて、その球受部４６７の内側に受け入れられた遊技球を下変位ユニット５７４００の外側に排出することができる。
【２０８１】
従って、退避状態，第１張出状態，第２張出状態では、球受部４６７の変位に伴って下変位部材４４０の重心位置が変化されるので、球受部４６７を変位した際に下変位部材４４０から第１リンク部材５７４３１に作用する力が変更される。そのため、第１リンク部材５７４３１がベース部材４１０に対して揺れ動きやすい。
【２０８２】
これに対し、本実施形態では、退避状態，第１張出状態，第２張出状態で当接部５７４２２ｄを第１リンク部材５７４３１の板状突起５７４３１ｂに当接させて、第１リンク部材５７４３１が揺れ動くことを抑制できるので、球受部４６７に受け入れられた遊技球を下変位部材４４０の外側に排出する際に下変位部材４４０が揺れ動いて、球受部４６７から排出される遊技球の排出位置が不安定になることを抑制できる。
【２０８３】
また、複数の当接部５７４２２ｄは、カム部材５７４２２の軸部４２２ａから径方向外側における突設先端面が径方向外側に向かって軸部４２２ａの軸方向（矢印Ｆ−Ｂ方向）における幅が小さくされ、その断面が三角形状に形成される。
【２０８４】
一方、第１リンク部材５７４３１の板状突起５７４３１ｂは、カム部材５７４２２と当接する側面に凹設される収容部５７４３１ｂ１を備える。収容部５７４３１ｂ１は、当接部５７４２２ｄの突出先端面と対応する断面三角形状に凹設されており、下変位ユニット５７４００が退避状態，第１張出状態，第２張出状態とされる場合に、当接部５７４２２ｄを収容部５７４３１ｂ１の内側に収容することができる。
【２０８５】
これにより、下変位ユニット５７４００が退避状態，第１張出状態，第２張出状態とされ、球受部４６７を変位させて遊技球を発射（排出）動作した場合に、第１リンク部材５７４３１が前後方向に揺れ動くことを抑制できる。その結果、球受部４６７に受け入れられた遊技球を下変位部材４４０の外側に排出する際に下変位部材４４０が揺れ動いて、球受部４６７から排出される遊技球の排出位置が不安定になることを抑制できる。
【２０８６】
また、下変位ユニット５７４００が退避状態，第１張出状態，第２張出状態以外の状態とされる場合には、板状突起５７４３１ｂから当接部５７４２２ｄを離間させることができる。従って、下変位部材４４０を変位させる場合に、第１リンク部材５７４３１と板状突起５７４３１ｂとが当接して、下変位部材４４０を変位させる際の摺動抵抗が増加することを抑制できる。その結果、下変位部材４４０を変位させる際の電力が増加することを抑制できる。
【２０８７】
次いで、図２４３及び図２４４を参照して、第５８実施形態における下変位ユニット５８４００について説明する。上記第５７実施形態では、下変位ユニット４００が退避状態，第１張出状態，第２張出状態とされる場合に、板状突起５７４３１ｂにカム部材５７４２２を当接させる場合について説明したが、第５８実施形態では、常に板状突起５７４３１ｂにカム部材５８４２２を当接させる。なお、上記各実施形態と同一の部分には、同一の符号を付してその詳しい説明を省略する。
【２０８８】
また、第５８実施形態における下変位ユニット５８４００は、第５７実施形態における下変位ユニット４００と同様に、下変位部材４４０がカム部材５８４２２の回転により変位する構成は同一であるので、その詳しい説明は省略する。
【２０８９】
初めに、図２４３及び図２４４を参照して、第５８実施形態におけるカム部材５７４２２について説明する。図２４３（ａ）から図２４３（ｃ）は、第５８実施形態における第１リンク部材５７４３１及びカム部材５８４２２の背面図である。図２４４（ａ）から図２４４（ｃ）は、第１リンク部材５７４３１及びカム部材５８４２２の正面図である。
【２０９０】
なお、図２４３（ａ）から図２４３（ｃ）では、ベース部材４１０の湾曲壁部４１１ｆが図示されると共に、第１リンク部材５７４３１の正面側に重なるカム部材５８４２２の外形および摺動溝４２２ｃ３と、第１リンク部材５７４３１の板状突起５７４３１ｂとが破線で図示される。また、図２４３（ａ）から図２４３（ｃ）では、ベース部材４１０の湾曲壁部４１１ｆの外形が鎖線で図示されると共に、カム部材５７４２２の背面側に重なる第１リンク部材５７４３１が鎖線で図示される。
【２０９１】
図２４３及び図２４４に示すように、第５８実施形態におけるカム部材５８４２２は、正面視における外径が大きさの異なる２つの半円の一端同士を組み合わせた形状に形成されると共に、前後方向に所定の厚みを有する板状態から形成される。また、カム部材５８４２２は、外径の小さい半円部の外周面に刻設される歯面４２２ｂと、外径の小さい半円部の中心に貫通形成される軸部４２２ａと、後述すリンク部材５７４３０と対向する面（背面）の外周縁に沿って凹設される摺動溝４２２ｃと、外周面から突設される当接部５８４２２ｄと、を備える。
【２０９２】
当接部５８４２２ｄは、第１リンク部材５７４３１の板状突起５７４３１ｂの変位軌跡に沿う形状に形成され、カム部材５８４２２が軸部４２２ａを中心に回転されるに伴って当接部５８４２２ｄの突設面が板状突起５７４３１ｂの側面に当接される。
【２０９３】
また、当接部５８４２２ｄの突設先端面は、第５７実施形態における当接部５７４２２ｄと同様に、カム部材５８４２２の軸部４２２ａから径方向外側における突設先端面が径方向外側に向かって軸部４２２ａの軸方向（矢印Ｆ−Ｂ方向）における幅が小さくされ、その断面が三角形状に形成される。
【２０９４】
以上のように構成される下変位ユニット５８４００によれば、下変位ユニット５８４００の変位状態（退避状態，第１張出状態，第２張出状態）に関わらず、常に当接部５８４２２ｄを第１リンク部材５７４３１の板状突起５７４３１ｂに当接させて、第１リンク部材５７４３１が揺れ動くことを抑制できるので、下変位部材４４０を変位させた際に、下変位部材４４０が揺れ動くことを抑制できる。
【２０９５】
これにより、下変位部材４４０の球受部４６７を変位させて遊技球を発射（排出）動作した場合に、第１リンク部材５７４３１が前後方向に揺れ動くことを抑制できる。その結果、球受部４６７に受け入れられた遊技球を下変位部材４４０の外側に排出する際に下変位部材４４０が揺れ動いて、球受部４６７から排出される遊技球の排出位置が不安定になることを抑制できる。
【２０９６】
また、下変位部材４４０に遊技球が受け入れられた場合や、受け入れた遊技球の受け入れ位置で下変位部材４４０の重心位置が変化する場合であっても、下変位部材４４０が変位中に揺れ動きやすくなることを抑制できる。その結果、下変位部材４４０を変位動作を安定させることができるので、遊技者に下変位部材４４０の変位動作を見せやすくすることができる。
【２０９７】
次いで、図２４５及び図２４６を参照して、第５９実施形態における球受部５９４６７について説明する。上記第１２実施形態では、遊技球が球受部１２４６７に送球されることで、第３片１２４６７ｅが発光体１１４９１ａから照射される光を遮蔽する位置に配置される場合について説明したが、第５９実施形態における球受部５９４６７では、遊技球が送球されていない場合に第３片５９４６７ｅにより、発光体１１４９１ａから照射される光を遮蔽する。なお、上記各実施形態と同一の部分には、同一の符号を付してその説明は省略する。
【２０９８】
初めに、図２４５及び図２４６を参照して、第５９実施形態における球受部５９４６７の構成について説明する。図２４５は、第５９実施形態における下変位部材５９４４０の正面図である。図２４６（ａ）は、球受部５９４６７の分解斜視正面図であり、図２４６（ｂ）は、球受部５９４６７の正面図である。なお、図２４５では、下変位部材５９４４０の正面側に配設される装飾部材４５０（図５８参照）及び正面ケース４８１（図５８参照）を取り外した状態が図示される。
【２０９９】
図２４５及び図２４６に示すように、第５９実施形態における下変位部材５９４４０は、上記第１１実施形態における下変位部材１１４４０と同様に、正面ベース４１１（図１５１参照）に連結されるベース部材４７０（図１５１参照）と、ケース部材４８０とベース部材４７０との間に変位可能に配設される伝達機構５９４６０と、ベース部材４７０の前後を覆うケース部材４８０（図１５１参照）と、ケース部材４８０の前後（矢印Ｆ−Ｂ方向）を覆う態様で形成される装飾部材１１４５０（図１５１参照）と、を主に備えて形成される。
【２１００】
伝達機構５９４６０は、ベース部材４７０の前方に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の前方にスライド変位可能に配設される可動ラック５９４６４と、その可動ラック５９４６４に回転可能に配置されると共に、ラックギヤ４７６に歯合した状態とされる伝達ギヤ４６５と、その伝達ギヤ４６５に歯合される歯面を有し可動ラック５９４６４の前方をスライド変位可能に配設されるラック４６６と、そのラック４６６の一端側に回転可能に配設される球受部４６７とを主に備えて形成される。
【２１０１】
可動ラック５９４６４は、正面視矩形横長の板状に本体部が形成される。可動ラック５９４６４は、本体部の下端（矢印Ｄ方向側の端部）面に刻設されるラックギヤ４６４ａと、正面側（矢印Ｆ方向側）から円柱状に突出する軸部４６４ｂと、本体部の上端（矢印Ｕ方向側の端部）から上方に突出する板状の当接板４６４ｃと、後述する球受部５９４６７の遊技球の発射（排出）動作時の変位方向側（矢印Ｒ方向側）の本体部の端部から板状に突出する当接部５９４６４ｇと、本体部の背面側における上下方向略中央位置に水平方向（矢印Ｌ−Ｒ方向）に亘って突出される案内板４６４ｄ（図５９参照）と、その案内板４６４ｄと反対の正面側に突出するラック案内部４６４ｅ（図５８参照）と、本体部の下端から突出する板状の衝突部４６４ｆと、を主に備えて形成される。
【２１０２】
当接部５９４６４ｇは、後述する球受部５９４６７が第１位置に配置される場合に、球受部５９４６７の第３片５９４６７ｅに当接する突起であり、第３片５９４６７ｅの変位軌跡上に配設される。これにより、球受部５９４６７が第１位置とされる場合に球受部５９４６７を押し込んで第３片５９４６７ｅを変位させることができる。
【２１０３】
球受部５９４６７は、正面視略Ｕ字に形成される本体部５９４６７ｆと、その本体部５９４６７ｆのＵ字状の湾曲部分からその湾曲の径方向外側に向かって突出する脚部４６７ａと、本体部５９４６７ｆの背面側に回転可能な状態で連結される第３片５９４６７ｅと、その第３片５９４６７ｅを係止する係止部材５９４６７ｇと、を主に備える。
【２１０４】
本体部５９４６７ｆは、Ｕ字の下端位置に前後方向に貫通する軸孔４６７ｂと、Ｕ字の湾曲部分の内面に球状に凹設される凹設部５９４６７ｆ１と、本体部５９４６７ｆの背面側に左右方向（矢印Ｌ−Ｒ方向）に貫通する貫通孔５９４６７ｆ２と、を主に備えて形成される。
【２１０５】
凹設部５９４６７ｆ１は、後述する第３片５９４６７ｅの一部を収容する凹みであり、第３片５９４６７ｅの変位領域に配設されると共に、第３片５９４６７ｅの外形に対応する形状に凹設される。また、凹設部５９４６ｆ１は、下方に湾曲する凹みとして形成されると共に、その湾曲の中心が前後方向（矢印Ｆ−Ｂ方向）において本体部５９４６７ｆの正面側（矢印Ｆ方向側）に偏る位置に設定される。
【２１０６】
従って、凹設部５９４６７ｆ１の内側から外側に第３片５９４６７ｅが張り出した場合に、正面（遊技者側）から凹設部５９４６７ｆ１の背面側（矢印Ｂ方向側）の端部を視認可能とされる。これにより、後述する第３片５９４６７ｅに遊技球を受け入れた場合の第３片５９４６７ｅと遊技球との境界線の高さ（重力方向位置）と、本体部５９４６７ｆの背面側の端部の高さを略同一の位置に設定することができる。
【２１０７】
その結果、遮蔽板５９４６７ｅ１が本体部５９４６７ｆの内側に張り出された場合における第３片５９４６７ｅと本体部５９４６７ｆの背面側の端部との境界線の高さと、第３片５９４６７ｅに遊技球を受け入れた場合における第３片５９４６７ｅと遊技球との境界線の高さとの違いで、本体部５９４６７ｆの内側に遊技球が受け入れられているかどうかを遊技者に認識されることを抑制できる。
【２１０８】
貫通孔５９４６７ｆ２は、後述する第３片５９４６７ｅを軸支するための軸が挿入される部分であり、第３片５９４６７ｅに挿入される軸の外径よりも大きく設定される。
【２１０９】
第３片５９４６７ｅは、お椀型に形成される遮蔽板５９４６７ｅ１と、その遮蔽板５９４６７ｅ１の外周面から突設される軸支部５９４６７ｅ５と、その軸支部５９４６７ｅ５に左右方向に貫通する貫通孔５９４６７ｅ６と、軸支部５９４６７ｅ５の突設先端部に装着される錘部材５９４６７ｅ７と、を主に備えて形成される。
【２１１０】
遮蔽板５９４６７ｅ１は、非光透過性の材料から形成されており、発光体１１４９１ａの正面側に配置される場合に、発光体１１４９１ａから照射される光を遮蔽することができる。なお、遮蔽板５９４６７ｅ１による発光体１１４９１ａの光の遮蔽については後述する。
【２１１１】
また、遮蔽板５９４６７ｅ１は、一定の厚みから形成され、お椀型に湾曲して形成された内径が遊技球の直径よりも大きく設定される。これにより、球受部５９４６７に送球される遊技球を遮蔽板５９４６７ｅ１の湾曲内面により保持することができる。
【２１１２】
軸支部５９４６７ｅ５は、本体部５９４６７ｆの背面に位置すると共に、本体部５９４６７ｆに貫通する一対の貫通孔５９４６７ｆ２の間に配置される。軸支部５９４６７ｅ５は、一対の貫通孔５９４６７ｆ２の間に配置された状態で貫通孔５９４６７ｆ２と、貫通孔５９４６７ｅ６と、が同軸上に配置され、貫通孔５９４６７ｆ２に挿通した円柱状の軸が貫通孔５９４６７ｅ６に挿通される。これにより、第３片５９４６７ｅは、本体部５９４６７ｆに対して回転可能な状態で保持される。
【２１１３】
なお、第３片５９４６７ｅは、遮蔽板５９４６７ｅ１が貫通孔５９４６７ｅ６に対して正面側に向かって回転して、遮蔽板５９４６７ｅ１の外面が本体部５９４６７ｆの凹設部５９４６７ｆ１に当接して、遮蔽板５９４６７ｅ１の少なくとも一部が本体部５９４６７ｆの凹設部５９４６７ｆ１の内側に収容された状態（図２４７（ｂ）に示す状態）から遮蔽板５９４６７ｅ１が貫通孔５９４６７ｅ６に対して上方側に向かって起立して、遮蔽板５９４６７ｅ１が本体部５９４６７ｆのＵ字の内側部分に張り出した状態（図２４７（ａ）に示す状態）との間で回転される。
【２１１４】
また、第３片５９４６７ｅは、球受部５９４６７に送球される遊技球を遮蔽板５９４６７ｅ１の内側に受け入れることで、本体部５９４６７ｆの内側に張り出した状態から、凹設部５９４６７ｆ１の内側に収容された状態に変位することができる。また、この場合、球受部５９４６７に送球される遊技球を遮蔽板５９４６７ｅ１の内側部分に保持することができる。
【２１１５】
錘部材５９４６７ｅ７は、遮蔽板５９４６７ｅ１が遊技球を保持していない場合に、遮蔽板５９４６７ｅ１を重力方向上側（本体部５９４６７ｆに対して張り出した位置）に押し上げるための錘であり、金属材料から形成されると共に、貫通孔５９４６７ｅ６を間に挟んで遮蔽板５９４６７ｅ１の反対側に配設される。
【２１１６】
係止部材５９４６７ｇは、正面視において左右が反対のＬ字状に形成され、貫通穴５９６７ｆが形成される突設部分の背面側に軸支される。また、球受部５９４６７がその球受部５９４６７に受け入れた遊技球を排出する動作時の回転方向側（正面視右側（矢印Ｒ方向側））に配設される。これにより、球受部５９４６７に受け入れた遊技球を排出動作する際に、係止部材５９４６７ｇを球受部５９４６７の回転方向に回転させやすくすることができる。
【２１１７】
また、係止部材５９４６７ｇは、重力方向に延設される一側の上端に前後方向（矢印Ｆ−Ｂ方向）に開口する開口部５９４６７ｇ１と、一側の下端から第３片５９４６７ｅの軸支部５９４６７ｅ５側（正面視左側（矢印Ｌ方向側）に突設される他側の係止部５９４６７ｇ２と、を主に備える。
【２１１８】
係止部５９４６７ｇ２は、第３片５９４６７ｅの軸支部５９４６７ｅ５に係合する部位であり、第３片５９４６７ｅの軸支部５９４６７ｅ５の変位領域に配設される。また、係止部５９４６７ｇ２は、係止部材５９４６７ｇの一側から突設された他側の突設先端面が開口部５９４６７ｇ１側から離間するに従って基端側に向かう傾斜面として形成されており、第３片５９４６７ｅが変位してその一部が傾斜面に当接される場合に、第３片５９４６７ｅの当接力が係止部材５９４６７ｇの回転方向に作用される。これにより第３片５９４６７ｅの変位に伴って、係止部材５９４６７ｇを開口部５９４６７ｇ１を中心に回転変位しやすくできる。
【２１１９】
次いで、図２４７を参照して、下変位部材５９４４０が退避状態に配設される場合の第３片５９４６７ｅの動作について説明する。図２４７（ａ）から図２４７（ｃ）は、下変位ユニット５９４００の拡大正面図である。なお、図２４７（ａ）から図２４７（ｃ）では、球受部５９４６７の一部および当接部５９４６４ｇが破線で図示されると共に、図２４７（ａ）では、球受部５９４６７が第１位置に変位される途中の状態が図示され、図２４７（ｂ）では、球受部５９４６７が第１位置に変位された状態が図示され、図２４７（ｃ）では、球受部５９４６７が第３位置に変位された状態が図示される。
【２１２０】
図２４７（ａ）に示すように、球受部５９４６７が第１位置に配置される前の状態では、本体部５９４６７ｆの内側に第３片５９４６７ｅの遮蔽板５９４６７ｅ１が張り出した（上方に配置された）状態とされる。これにより、球受部５９４６７の背面側から出射される光を遮蔽板５９４６７ｅ１で遮蔽することができる。
【２１２１】
一方、図２４７（ｂ）に示すように、球受部５９４６７が、第１位置に配置される場合には、球受部５９４６７の背面側に可動ラック５９４６４の当接部５９４６４ｇが配置される。よって、第３片５９４６７ｅの錘部材５９４６７ｅ７が当接部５９４６４ｇに当接して、第３片５９４６７ｅが貫通孔５９４６７ｅ６を中心に回転される。これにより、球受部５９４６７の遮蔽板５９４６７ｅ１が凹設部５９４６７ｆ１の内側に収容される。即ち、遮蔽板５９４６７ｅ１が起立した状態から遮蔽板５９４６７ｅ１が傾倒した状態にされる。
【２１２２】
この場合、第３片５９４６７ｅの錘部材５９４６７ｅ７が配設される部分に、係止部材５９４６７ｇの係止部５９４６７ｇ２が係合することで、第３片５９４６７ｅが保持される。これにより、本体部５９４６７ｆの内側部分に張り出した遮蔽板５９４６７ｅ１を退避させた状態で、球受部５９４６７を第１位置から第３位置の手前まで変位させることができる。
【２１２３】
従って、第５９実施形態では、本体部５９４６７ｆの内側に遮蔽板５９４６７ｅ１を張り出した状態で球受部５９４６７を変位させる場合と、本体部５９４６７ｆの内側から退避した状態で球受部５９４６７を変位させる場合と、を形成することができる。
【２１２４】
これにより、遮蔽板５９４６７ｅ１により遊技球に似た影を正面側装飾部１１４５１（図１５１参照）の透過部１１４５１ｂ（図１５１参照）に形成して、遊技者に球受部５９４６７に遊技球があると認識させる場合と、球受部５９４６７に遊技球がないと認識させる場合と、を形成することができる。その結果、下変位部材５９４４０による演出のバリエーションを増やすことができる。
【２１２５】
なお、図２４７（ｃ）に示すように、第３片５９４６７ｅと係合する係止部材５９４６７ｇとの係合の解除は、球受部５９４６７を第３位置に変位させることで行われる。即ち、球受部５９４６７を第３位置に変位させて球受部５９４６７に遊技球の発射（排出）動作をさせ、球受部５９４６７の回転を停止させた際の慣性力を利用して係止部材５９４６７ｇを係止部５９４６７ｇ２と軸支部５９４６７ｆ５との係合を解除する方向に回転させる。これにより、第３片５９４６７ｅと係止部材５９４６７ｇとの係合が解除される。
【２１２６】
次いで、図２４８及び図２４９を参照して、球受部５９４６７の変位について説明する。図２４８（ａ）及び図２４８（ｂ）は、下変位部材５９４４０の正面図であり、図２４９（ａ）は、図２４８（ａ）のＣＣＸＬＩＸａ−ＣＣＸＬＩＸａ線における下変位部材５９４４０の断面図であり、図２４９（ｂ）は、図２４８（ｂ）のＣＣＸＬＩＸｂ−ＣＣＸＬＩＸｂ線における下変位部材５９４４０の断面図である。
【２１２７】
なお、図２４８（ａ）では、遊技球が球受部５９４６７に受け入れられる前（保持される前）の状態が図示され、図２４８（ｂ）では、遊技球が球受部５９４６７に受け入られた（保持された）状態が図示される。
【２１２８】
図２４８及び図２４９に示すように、球受部５９４６７に遊技球が受け入れられる前の状態では、第３片５９４６７ｅの遮蔽板５９４６７ｅ１が本体部５９４６７ｆのＵ字の内側部分に張り出した（遮蔽板５９４６７ｅ１が起立した）状態とされる。これにより、球受部５９４６７の背面側に配設され球受部５９４６７側（矢印Ｆ方向側）に出射される光を遮蔽板５９４６７ｅ１により遮蔽することができる。その結果、遮蔽板５９４６７ｅ１により遮蔽されて形成される影を遊技球により形成される影として遊技者に視認させることができる。
【２１２９】
また、球受部５９４６７は、遊技球が受け入れられると、その遊技球がお椀型に形成される遮蔽板５９４６７ｅ１の内面側に案内される。これにより、遮蔽板５９４６７ｅ１が遊技球の荷重により軸支部分を中心に回転されて、本体部５９４６７ｆの凹設部５９４６７ｆ１の内側に収容される。その結果、球受部５９４６７の背面側から球受部５９４６７側（矢印Ｆ方向側）に出射される発光体１１４９１ａの光を遊技球により遮蔽して、球受部５９４６７に送球された遊技球の位置を遊技者に認識させることができる。
【２１３０】
さらに、遊技球は、お椀型に形成される遮蔽板５９４６７ｅ１の内面側に収容されるので、球受部５９４６７に受け入れられた遊技球が球受部５９４６７の変位に伴って揺れ動くことを抑制できる。その結果、遊技球により形成される影を遊技者に認識させやすくできる。
【２１３１】
次いで、図２５０から図２５７を参照し、第６０実施形態として、本発明をパチンコ遊技機（以下、単に「パチンコ機」という）１０に適用した場合の一実施形態について説明する。図２５０は、第６０実施形態におけるパチンコ機１０の正面図であり、図２５１はパチンコ機１０の遊技盤１３の正面図であり、図２５２はパチンコ機１０の背面図である。
【２１３２】
図２５０に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図２５０参照）左側の上下２カ所に金属製のヒンジ１８が取り付けられ、そのヒンジ１８が設けられた側を開閉の軸として内枠１２が正面手前側へ開閉可能に支持されている。
【２１３３】
内枠１２には、多数の釘や入賞口６３，６４等を有する遊技盤１３（図２５１参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図２５３参照）やその球発射ユニット１１２ａから発射された球を遊技盤１３の前面領域まで誘導する発射レール（図示せず）等が取り付けられている。
【２１３４】
内枠１２の前面側には、その前面上側を覆う前面枠１４と、その下側を覆う下皿ユニット１５とが設けられている。前面枠１４及び下皿ユニット１５を支持するために正面視（図２５０参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【２１３５】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【２１３６】
前面枠１４には、球を貯留する上皿１７が前方へ張り出して上面を開放した略箱状に形成されており、この上皿１７に賞球や貸出球などが排出される。上皿１７の底面は正面視（図２５０参照）右側に下降傾斜して形成され、その傾斜により上皿１７に投入された球が球発射ユニット１１２ａ（図２５３参照）へと案内される。また、上皿１７の上面には、枠ボタン２２が設けられている。この枠ボタン２２は、例えば、第３図柄表示装置８１（図２５１参照）で表示される演出のステージを変更したり、スーパーリーチの演出内容を変更したりする場合などに、遊技者により操作される。
【２１３７】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図２５０参照）左上部には、ＬＥＤ等の発光手段が内蔵され賞球の払い出し中とエラー発生時とを表示可能な表示ランプ３４が設けられている。
【２１３８】
また、右側の電飾部３２下側には、前面枠１４の裏面側を視認できるように裏面側より透明樹脂を取り付けて小窓３５が形成され、遊技盤１３前面の貼着スペースＫ１（図２５１参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【２１３９】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【２１４０】
上皿１７の下側に位置する下皿ユニット１５には、その左側に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【２１４１】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【２１４２】
下皿５０の正面下方部には、下皿５０に貯留された球を下方へ排出する際に操作するための球抜きレバー５２が設けられている。この球抜きレバー５２は、常時、正面方向に付勢されており、その付勢に抗して背面方向へスライドさせることにより、下皿５０の底面に形成された底面口が開口して、その底面口から球が自然落下して排出される。この球抜きレバー５４ｂの操作は、通常、下皿５０の下方に下皿５０から排出された球を受け取る箱（一般に「千両箱」と称される）を置いた状態で行われる。
【２１４３】
図２５１に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、可変入賞装置６５、スルーゲート６７、可変表示装置ユニット８０等を組み付けて構成され、その周縁部が内枠１２（図２５０参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【２１４４】
遊技盤１３の前面中央部分は、前面枠１４の窓部１４ｃ（図２５０参照）を通じて内枠１２の前面側から視認することができる。以下に、主に図２５１を参照して、遊技盤１３の構成について説明する。
【２１４５】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図２５０参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【２１４６】
２本のレール６１，６２は、球発射ユニット１１２ａ（図２５３参照）から発射された球を遊技盤１３上部へ案内するために設けられたものである。内レール６１の先端部分（図２５１の左上部）には戻り球防止部材６８が取り付けられ、一旦、遊技盤１３の上部へ案内された球が再度球案内通路内に戻ってしまうといった事態が防止される。外レール６２の先端部（図２５１の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【２１４７】
遊技領域の正面視左側下部（図２５１の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図２５３参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【２１４８】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【２１４９】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【２１５０】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【２１５１】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【２１５２】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【２１５３】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【２１５４】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。
【２１５５】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【２１５６】
第３図柄表示装置８１は９インチサイズの大型の液晶ディスプレイで構成されるものであり、表示制御装置１１４（図２５３参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図２５３参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【２１５７】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【２１５８】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【２１５９】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【２１６０】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【２１６１】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【２１６２】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【２１６３】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【２１６４】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図２５３参照）で大当たりの抽選がなされ、その抽選結果に応じた表示が第１図柄表示装置３７Ａで示される。
【２１６５】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図２５３参照）で大当たりの抽選がなされ、その抽選結果に応じた表示が第１図柄表示装置３７Ｂで示される。
【２１６６】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【２１６７】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【２１６８】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（引込み状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【２１６９】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【２１７０】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【２１７１】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【２１７２】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【２１７３】
第１入賞口６４の右側には可変入賞装置６５が配設されており、その略中央部分に横長矩形状の特定入賞口（大開放口）６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【２１７４】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【２１７５】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【２１７６】
第１入賞口６４の左上には第２可変入賞装置８２ａが配設され、その近傍に第２特定入賞口８２が設けられている。通常は第２可変入賞装置８２ａが閉鎖状態（縮小状態）となって、球が第２特定入賞口８２へと入賞できないようになっている。一方、特定の大当たり（例えば、１５Ｒ確変大当たり）の際に第２可変入賞装置が開放する（拡大状態となる）ことで、球が第２特定入賞口８２に入賞しやすい特別遊技状態とすることができる。
【２１７７】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【２１７８】
遊技盤１３の下側における右隅部には、証紙や識別ラベル等を貼着するための貼着スペースＫ１が設けられ、貼着スペースＫ１に貼られた証紙等は、前面枠１４の小窓３５（図２５０参照）を通じて視認することができる。
【２１７９】
遊技盤１３には、第１アウト口７１が設けられている。遊技領域を流下する球であって、いずれの入賞口６３，６４，６５ａ，６４０，にも入賞しなかった球は、第１アウト口７１を通って図示しない球排出路へと案内される。第１アウト口７１は、第１入賞口６４の下方に配設される。
【２１８０】
遊技盤１３には、球の落下方向を適宜分散、調整等するために多数の釘が植設されているとともに、風車等の各種部材（役物）とが配設されている。
【２１８１】
図２５２に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【２１８２】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【２１８３】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【２１８４】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【２１８５】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図２５３参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【２１８６】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図２５３参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【２１８７】
次に、図２５３を参照して、本パチンコ機１０の電気的構成について説明する。図２５３は、パチンコ機１０の電気的構成を示すブロック図である。
【２１８８】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【２１８９】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【２１９０】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【２１９１】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【２１９２】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【２１９３】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【２１９４】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【２１９５】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【２１９６】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【２１９７】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【２１９８】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【２１９９】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。
【２２００】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【２２０１】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【２２０２】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【２２０３】
電源装置１１５は、パチンコ機１０の各部に電源を供給するための電源部２５１と、停電等による電源遮断を監視する停電監視回路２５２と、ＲＡＭ消去スイッチ１２２（図２５２参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【２２０４】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【２２０５】
ＲＡＭ消去スイッチ回路２５３は、ＲＡＭ消去スイッチ１２２（図２５２参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【２２０６】
次いで、図２５４から図２５７を参照して、第１入賞口６４が形成される入賞口ユニット３００について詳しく説明する。
【２２０７】
初めに、図２５４から図２５７を参照して、入賞口ユニット３００の構成について説明する。図２５４は、遊技盤１３の分解斜視正面図である。図２５５（ａ）は、入賞口ユニット３００の正面図であり、図２５５（ｂ）は、入賞口ユニット３００の背面図である。図２５６（ａ）は、入賞口ユニット３００の側面図であり、図２５６（ｂ）は、図２５５（ａ）のＣＣＬＶＩｂ−ＣＣＬＶＩｂ線における入賞口ユニット３００の断面図である。図２５７（ａ）は、入賞口ユニット３００の斜視正面図であり、図２５７（ｂ）は、入賞口ユニット３００の斜視背面図である。なお、図２５４では、遊技盤１３からセンターフレーム８６及び入賞口ユニット３００を取り外した状態が図示される。また、図２５５（ｂ）及び図２５６（ａ）には、断面略Ｄ字に形成される通路形成部材３３０の上方端部の屈曲部分の延設方向に沿って仮想線Ｓ１が図示される。
【２２０８】
図２５４に示すように、ベース板６０には、センターフレーム８６が取り付けられる中央開口のやや下側（図２５１下側）に厚み方向に貫通する貫通孔６０ａがルータ加工によって形成される。入賞口ユニット３００は、後述する通路形成部材３３０が貫通孔６０ａに挿入されると共に、遊技盤１３の前面側からタッピングネジ等により固定される。
【２２０９】
次いで、図２５５から図２５７に示すように、入賞口ユニット３００は、板状体に形成されるベース部材３１０と、そのベース部材３１０の正面側（図２５５（ａ）紙面手前側）に突出する球入賞部３２０と、ベース板６０の背面側に突出する通路形成部材３３０と主に備え、これらベース部材３１０，球入賞部３２０及び通路形成部材３３０が一体に樹脂材料から形成される。
【２２１０】
ベース部材３１０は、貫通孔６０ａよりも大きい板状に形成されると共に、ベース板６０と平行に配設される（図２５４参照）。また、ベース部材３１０は、前面側（図２５６（ａ）右側）から背面側（図２５６（ａ）左側）に貫通形成される開口部３１１と、その開口部３１１の上方（図２５１上方）に位置し、前面側から背面側に向かって凹設される２つの凹設部３１２（図２５６（ｂ）参照）と、ベース部材３１０の周縁部に貫通形成される複数の貫通孔３１３と、円柱状に形成されると共に背面側に突出形成される突起３１４とを主に備えて形成される。
【２２１１】
開口部３１１は、後述する球入賞部３２０（第１入賞口６４）の内部に送球された遊技球を背面側に送球可能にする孔であり、遊技球の直径よりも大きい寸法に形成される。
【２２１２】
凹設部３１２は、後述する遊技釘ＹＫをベース板６０に打ち込むための下孔であり、遊技釘ＹＫを打ち込む延長線上に凹設される。また、凹設部３１２は、遊技釘ＹＫを打ち込む方向視において、円形状に形成されており、その内径が遊技釘の外形よりもやや小さく形成される。これにより、遊技釘ＹＫを凹設部３１２に打ち込む場合に、遊技釘ＹＫと凹設部３１２との接触抵抗を減らすと共に、遊技釘ＹＫを凹設部３１２の内面で保持することができる。
【２２１３】
なお、遊技釘ＹＫは、上方（図２５６（ａ）上方）に５度傾斜して、ベース部材３１０（入賞口ユニット３００）に打ち込まれる。従って、凹設部３１２は、前面側から背面側に向かって５度下方に傾斜して凹設される。
【２２１４】
遊技釘ＹＫは、ベース部材３１０に２本配設されると共に、釘の頭側が遊技領域に飛び出した状態とされる。２本の遊技釘ＹＫは、後述する球入賞部３２０の側壁３２１の上方端部の上方にそれぞれ配設されると共に、２本が同一の高さに設定される。これにより、２本の遊技釘ＹＫの間隔を調整して、遊技領域を流下する遊技球の球数に対して、第１入賞口６４に流入する球数を調整できる。
【２２１５】
貫通孔３１３は、入賞口ユニット３００をベース板６０に締結固定するためのネジを挿通する貫通孔であり、ベース部材３１０の周縁部に４つ貫通形成される。また、貫通孔３１３は、前面側が拡径して形成される。これにより、皿ネジの先端側（ネジ部分側）を貫通孔３１３の前面側から挿通してベース板６０に螺合させると、皿ネジの頭部が前面側に突出することを抑制できる。よって、遊技球が遊技領域を流下する場合に、遊技球の流下が皿ビスに阻害されることを抑制できる。その結果、遊技領域を流下する遊技球の流下を安定させることができる。
【２２１６】
突起３１４は、ベース板６０と入賞口ユニット３００の位置決めをする突起であり、開口部３１１を挟んで左右に２つ形成される。また、突起３１４と対向する位置のベース板６０には、凹部６０ｂ（図２５４参照）が凹設して形成される。凹部６０ｂは、突起３１４の外形と略同一の内径の円形状に凹設して形成される。これにより、ベース板６０に締結前の入賞口ユニット３００を、ベース板６０に配置した際に、突起３１４が凹部６０ｂの内側に挿入されることで、ベース板６０に対して入賞口ユニット３００を位置決めすることができる。
【２２１７】
球入賞部３２０は、開口部３１１の周囲から前面側（図２５６（ａ）右側）に突出する側壁３２１と、その側壁３２１の突出先端側を連結する前壁３２２とから形成され、側壁３２１と前壁３２２とで囲われる領域に第１入賞口６４が形成される。
【２２１８】
側壁３２１は、上方が開放した断面Ｕ字状に形成され、対向する内壁の対向間の距離寸法が遊技球の直径よりも大きく形成される。前壁３２２は、側壁３２１の突出先端を塞ぐ態様に形成される。従って、第１入賞口６４は、上方が開放する態様に形成される。
【２２１９】
側壁３２１は、底面（図２５６（ｂ）下側の面）に、上方に向かって立設される転動部３２３が形成される。転動部３２３は、後述する通路形成部材３３０の背面側（図２５６（ｂ）左側）端部から前壁３２２に亘って一定の板厚で形成される。
【２２２０】
また、転動部３２３は、前面側（前壁３２２側）に向かって上方傾斜して形成されると共に、側壁３２１の対向間の中間位置に形成される。これにより、第１入賞口６４に流入した遊技球は、転動部３２３の上面に送球されると共に転動部３２３の傾斜により転動して、背面側に送球される。
【２２２１】
通路形成部材３３０は、ベース部材３１０の開口部３１１の周囲から背面側に突出して形成される。通路形成部材３３０は、背面視において下方側が湾曲する略Ｄ字状に形成されており、内側に遊技球を挿通可能な大きさの空間が形成される。これにより、第１入賞口６４に流入した遊技球を通路形成部材３３０の背面側に送球すると共に、通路形成部材３３０の背面側に連通される通路部材（図示しない）に送球することができる。
【２２２２】